(57)【要約】  本発明は、商品及びサービスのためのインタラクティブな搬送業界において、より効率的なシステムに対する長年の要望があることを認識している。本発明の第１の態様は、一般に、搬送業界およびその他の業界におけるインタラクティブリアルタイムシステムに関する。本発明の第２の態様は、一般に、本発明のインタラクティブシステムのリアルタイム使用方法に関する。
2020530173.tif 000002
【特許請求の範囲】
【請求項１】
搬送業界内で、少なくとも１つの代理人の少なくとも１つの選好および少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、全体または部分的に自動化されたリアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス要求の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
前記少なくとも１つの好ましい搬送サービス要求を前記少なくとも１つの代理人に伝えるように動作可能な少なくとも１つのコンピュータプログラム
を含む少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス要求であって、
少なくとも１つの個々の搬送サービス要求であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの要求と、
（ｉｉ）リアルタイムまたはほぼリアルタイムで更新される前記個々の搬送サービス要求と、
（ｉｉｉ）前記個々の搬送サービス要求に対応する定性的及び定量的搬送データと、
を含む少なくとも１つの個々の搬送サービス要求
を含む複数の搬送サービス要求と、
ｇ）複数のフィルタリングされた搬送サービス要求であって、
ｉ）前記少なくとも１つの代理人選好および前記少なくとも１つの代理人の前記少なくとも１つのリアルタイムまたはほぼリアルタイムの地理的位置を使用して前記複数の搬送サービス要求の全部または一部をフィルタリングした少なくとも１つの結果である、前記複数の搬送サービス要求の全部または一部の少なくとも１つのサブセットと、
ｉｉ）リアルタイムまたはほぼリアルタイムで更新される前記複数のフィルタリングされた搬送サービス要求の全部または一部と、
ｉｉｉ）個々のフィルタリングされた搬送サービス要求に対応する定性的および定量的搬送データと、
を含む複数のフィルタリングされた搬送サービス要求と、
ｈ）少なくとも１つの好ましい搬送サービス要求であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス要求の全部または一部から識別される少なくとも１つの他の地理的位置に輸送するための前記少なくとも１つの要求と、
ｉｉ）リアルタイムまたはほぼリアルタイムで更新される前記少なくとも１つの好ましい搬送サービス要求と、
ｉｉｉ）個々の好ましい搬送サービス要求に対応する定性的および定量的搬送データと、
を含む少なくとも１つの好ましい搬送サービス要求と、
ｉ）少なくとも１つの代理人であって、
少なくとも１つの搬送サービスを実行または提供する少なくとも１つの人、少なくとも１つの機械、またはそれらの組み合わせを含む、
少なくとも１つの代理人と、
ｊ）少なくとも１つの代理人選好であって、
ｉ）前記複数の搬送サービス要求の全部または一部を前記複数のフィルタリングされた搬送サービス要求の全部または一部にフィルタリングするために使用される、前記少なくとも１つの代理人によって選択または提供される少なくとも１つのオプションを含み、
ｉｉ）前記少なくとも１つの代理人選好が、前記少なくとも１つの好ましい搬送サービス要求を識別するために使用される、
代理人選好と、
を含み、
前記複数の搬送サービス要求の全部または一部、前記少なくとも１つの代理人の前記少なくとも１つのリアルタイムまたはほぼリアルタイムの地理的位置、またはそれらの組み合わせは、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、前記少なくとも１つの好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは、前記少なくとも１つの端末上で動作し、前記少なくとも１つの代理人によって使用され、
さらに、前記少なくとも１つの中央サーバは、前記複数のフィルタリングされた搬送サービス要求の全部または一部を分析または評価し、次いで、リアルタイムまたはほぼリアルタイムで、前記少なくとも１つの代理人選好に関連する前記少なくとも１つの好ましい搬送サービス要求を確保または取得し、
さらに、前記少なくとも１つの外部サーバは、前記少なくとも１つの外部サーバと前記少なくとも１つの中央サーバとの間の少なくとも１つのリンクを介して前記少なくとも１つの外部サーバから前記少なくとも１つの中央サーバにリアルタイムまたはほぼリアルタイムで送信される前記複数の搬送サービス要求の全部または一部の、少なくとも１つのリアルタイムまたはほぼリアルタイムのソースであり、
さらに、前記複数の搬送サービス要求の全部または一部は、リアルタイムまたはほぼリアルタイムで更新され、
さらに、前記少なくとも１つの中央サーバは、リアルタイムまたはほぼリアルタイムで、前記複数の搬送サービス要求の全部または一部の標準化、集約、またはそれらの組合せを実行し、
さらに、前記少なくとも１つの中央サーバは、リアルタイムまたはほぼリアルタイムで、前記少なくとも１つの代理人選好と、前記少なくとも１つの代理人の前記少なくとも１つのリアルタイムまたはほぼリアルタイムの地理的位置とを使用することによって、前記複数の搬送サービス要求の全部または一部をフィルタリングして、前記複数のフィルタリングされた搬送サービス要求の全部または一部を識別し、
さらに、前記複数のフィルタリングされた搬送サービス要求の全部または一部は、リアルタイムまたはほぼリアルタイムで更新され、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの代理人によって使用され、
さらに、前記少なくとも１つの中央サーバは、前記少なくとも１つの好ましい搬送サービス要求を識別するために、前記複数のフィルタリングされた搬送サービス要求の全部または一部をリアルタイムまたはほぼリアルタイムで分析または評価し、
さらに、前記少なくとも１つの好ましい搬送サービス要求は、リアルタイムまたはほぼリアルタイムで更新され、
さらに、前記少なくとも１つの中央サーバは、リアルタイムまたはほぼリアルタイムで、前記少なくとも１つの代理人選好に関連する前記少なくとも１つの好ましい搬送サービス要求を確保または取得し、
さらに、前記少なくとも１つのアプリケーションは、前記少なくとも１つの中央サーバと前記少なくとも１つのアプリケーションとの間の少なくとも１つのリンクを介して、前記少なくとも１つの中央サーバから前記少なくとも１つのアプリケーションにリアルタイムまたはほぼリアルタイムで送信される、少なくとも１つの確保されたまたは取得された好ましい搬送サービス要求をリアルタイムまたはほぼリアルタイムで更新して表示し、
さらに、前記少なくとも１つの代理人は、前記少なくとも１つの確保または取得された好ましい搬送サービス要求に関連する前記少なくとも１つの搬送サービスを実行または提供し、前記少なくとも１つの代理人の前記少なくとも１つのリアルタイムまたはほぼリアルタイムの地理的位置が更新または変更され、その間、前記少なくとも１つの中央サーバは、前記複数の搬送サービス要求の全部または一部をリアルタイムまたはほぼリアルタイムで繰り返し分析または評価し、次いで、前記少なくとも１つの代理人によって停止されるまで、少なくとも１つの後続のまたは追加の好ましい搬送サービス要求を確保または取得する、
システム。
【請求項２】
前記少なくとも１つの中央サーバまたは前記少なくとも１つの外部サーバの少なくとも１つの機能が、前記少なくとも１つのアプリケーションによって実行される、
請求項１に記載のシステム。
【請求項３】
前記少なくとも１つの中央サーバが、前記少なくとも１つの端末上に位置する、
請求項１に記載のシステム。
【請求項４】
前記複数の搬送サービス要求の全部または一部、前記少なくとも１つの代理人の前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される、
請求項１に記載のシステム。
【請求項５】
前記複数の搬送サービス要求の全部または一部、前記少なくとも１つの代理人の前記少なくとも１つのリアルタイムまたはほぼリアルタイムの地理的位置、またはそれらの組合せが、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない、
請求項１に記載のシステム。
【請求項６】
前記少なくとも１つのアプリケーションが、前記少なくとも１つの中央サーバ上で動作する、
請求項１に記載のシステム。
【請求項７】
前記少なくとも１つのアプリケーションの少なくとも１つの機能が、前記少なくとも１つの中央サーバまたは前記少なくとも１つの外部サーバによって実行される、
請求項１に記載のシステム。
【請求項８】
対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供される、
請求項１に記載のシステム。
【請求項９】
前記複数の搬送サービス要求の全部または一部が、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せを含む、
請求項１に記載のシステム。
【請求項１０】
前記複数の搬送サービス要求が、１つの搬送サービス要求である、
請求項１に記載のシステム。
【請求項１１】
搬送データが、少なくとも１つのサービス開始地理的位置、少なくとも１つのサービス終了地理的位置、価格設定情報、高価格設定情報、少なくとも１つの代理人選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含む、
請求項１に記載のシステム。
【請求項１２】
前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項１に記載のシステム。
【請求項１３】
前記少なくとも１つの好ましい搬送サービス要求が、前記少なくとも１つの代理人選好の少なくとも１つの加重平均に関連する前記複数のフィルタリングされた搬送サービス要求の全部または一部から識別される、
請求項１２に記載のシステム。
【請求項１４】
前記複数の搬送サービス要求の全部または一部をフィルタリングする際に、前記少なくとも１つの代理人の前記少なくとも１つのリアルタイムまたはほぼリアルタイムの地理的位置以外の少なくとも１つの異なる地理的位置が使用される、
請求項１２に記載のシステム。
【請求項１５】
前記複数のフィルタリングされた搬送サービス要求が、１つのフィルタリングされた搬送サービス要求である、
請求項１に記載のシステム。
【請求項１６】
前記少なくとも１つの代理人が、前記少なくとも１つの好ましい搬送サービス要求以外の少なくとも１つの前記フィルタリングされた搬送サービス要求を確保または取得する、
請求項１に記載のシステム。
【請求項１７】
前記少なくとも１つの代理人選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決要求選好、またはそれらの組み合わせを含む、
請求項１に記載のシステム。
【請求項１８】
前記少なくとも１つの後続または追加の好ましい搬送サービス要求が、前記少なくとも１つの代理人のために、少なくとも１つの異なる搬送業界セグメントにおいて確保または取得される、
請求項１に記載のシステム。
【請求項１９】
前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、またはそれらの組合せが、リアルタイムまたはほぼリアルタイムで識別または更新される、
請求項１に記載のシステム。
【請求項２０】
前記少なくとも１つの代理人が、前記少なくとも１つのアプリケーションを使用して、前記少なくとも１つの好ましい搬送サービス要求を分析または評価し、次いで、確保または取得する、
請求項１に記載のシステム。
【請求項２１】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージングサービス、少なくとも１つの拡張メッセージサービス、またはそれらの組合せで表示される、
請求項２０に記載のシステム。
【請求項２２】
前記少なくとも１つの代理人が、前記少なくとも１つの好ましい搬送サービス要求を受諾するか、または拒否する、
請求項２１に記載のシステム。
【請求項２３】
前記少なくとも１つの代理人が前記少なくとも１つの好ましい搬送サービス要求を拒否すると、少なくとも１つの新しいまたは異なる好ましい搬送サービス要求が識別され表示される、
請求項２２に記載のシステム。
【請求項２４】
前記少なくとも１つの代理人のために、２つ以上の前記好ましい搬送サービス要求が同時に確保または取得される、
請求項１に記載のシステム。
【請求項２５】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、少なくとも１つのリモートディスプレイ上に表示される、
請求項１に記載のシステム。
【請求項２６】
前記少なくとも１つの後続または追加の好ましい搬送サービス要求が確保または取得され、前記少なくとも１つの搬送サービスを実行または提供するための少なくとも１つの命令が、リアルタイムまたはほぼリアルタイムで更新または変更される、
請求項１に記載のシステム。
【請求項２７】
前記少なくとも１つの中央サーバ、前記少なくとも１つのアプリケーション、またはそれらの組合せが、前記少なくとも１つの好ましい搬送サービス要求以外の少なくとも１つの異なる搬送サービス要求を提案または推奨する、
請求項１に記載のシステム。
【請求項２８】
前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された、
請求項１に記載のシステム。
【請求項２９】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つのアプリケーションと前記少なくとも１つの中央サーバとの間の少なくとも１つのリンクを介して前記少なくとも１つのアプリケーションと前記少なくとも１つの中央サーバとの間でリアルタイムまたはほぼリアルタイムで送信され、リアルタイムまたはほぼリアルタイムで更新される、
請求項１に記載のシステム。
【請求項３０】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つのアプリケーションと前記少なくとも１つの外部サーバとの間の少なくとも１つのリンクを介して前記少なくとも１つのアプリケーションと前記少なくとも１つの外部サーバとの間でリアルタイムまたはほぼリアルタイムで送信され、リアルタイムまたはほぼリアルタイムで更新される、
請求項１に記載のシステム。
【請求項３１】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つの中央サーバと前記少なくとも１つの外部サーバとの間の少なくとも１つのリンクを介して前記少なくとも１つの中央サーバと前記少なくとも１つの外部サーバとの間でリアルタイムまたはほぼリアルタイムで送信され、リアルタイムまたはほぼリアルタイムで更新される、
請求項１に記載のシステム。
【請求項３２】
少なくとも１つの自律車両が、前記少なくとも１つの代理人と連携して、前記少なくとも１つの搬送サービスの全部または一部を提供または実行する、
請求項１に記載のシステム。
【請求項３３】
前記少なくとも１つのアプリケーション、前記少なくとも１つの代理人、またはそれらの組合せが、前記少なくとも１つの好ましい搬送サービス要求を確保または取得する、
請求項１に記載のシステム。
【請求項３４】
搬送業界内で、少なくとも１つの代理人選好および少なくとも１つの代理人の少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、全体または部分的に自動化されたリアルタイムまたはほぼリアルタイムの方法であって、
ａ）請求項１に記載のシステムを提供するステップと、
ｂ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス要求の全部または一部をリアルタイムまたはほぼリアルタイムで受信するステップと、
ｃ）前記少なくとも１つの中央サーバの前記少なくとも１つのコンピュータ可読メモリに、前記複数の搬送サービス要求の全部または一部をリアルタイムまたはほぼリアルタイムで格納するステップと、
ｄ）前記少なくとも１つの中央サーバを使用して、前記複数の搬送サービス要求の全部または一部をリアルタイムまたはほぼリアルタイムで標準化するステップと、
ｅ）前記少なくとも１つの中央サーバを使用して、前記複数の搬送サービス要求の全部または一部をリアルタイムまたはほぼリアルタイムで集約するステップと、
ｆ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの代理人選好および前記少なくとも１つの代理人の前記少なくとも１つのリアルタイムまたはほぼリアルタイムの地理的位置をリアルタイムまたはほぼリアルタイムで送信するステップであって、
ｉ）前記少なくとも１つの代理人が、前記少なくとも１つの端末の前記少なくとも１つの入力ソースを使用して、前記少なくとも１つのアプリケーションに前記少なくとも１つの代理人選好を入力または提供し、
ｉｉ）前記少なくとも１つのアプリケーションが、前記少なくとも１つの端末の前記少なくとも１つの地理的位置モジュールを使用して前記少なくとも１つの代理人の前記少なくとも１つのリアルタイムまたはほぼリアルタイムの地理的位置を提供する
ステップと、
ｇ）前記少なくとも１つの中央サーバと前記少なくとも１つのアプリケーションとの間の少なくとも１つのリンクを介して、前記少なくとも１つの中央サーバにおいて、前記少なくとも１つの代理人選好および前記少なくとも１つのアプリケーションから前記少なくとも１つの代理人の前記少なくとも１つのリアルタイムまたはほぼリアルタイムの地理的位置をリアルタイムまたはほぼリアルタイムで受信するステップと、
ｈ）前記少なくとも１つの中央サーバにおいて、前記少なくとも１つの代理人選好および前記少なくとも１つの代理人の少なくとも１つのリアルタイムまたはほぼリアルタイムの地理的位置を使用して前記複数の搬送サービス要求の全部または一部をリアルタイムまたはほぼリアルタイムでフィルタリングし、前記複数のフィルタリングされた搬送サービス要求の全部または一部を識別するステップと、
ｉ）前記少なくとも１つの中央サーバにおいて、前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別するステップと、
ｊ）前記少なくとも１つの中央サーバにおいて、前記少なくとも１つの好ましい搬送サービス要求をリアルタイムまたはほぼリアルタイムで確保または取得するステップと、
ｋ）前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの確保または取得された好ましい搬送サービス要求をリアルタイムまたはほぼリアルタイムで送信するステップと、
ｌ）前記少なくとも１つのアプリケーションにおいて、前記少なくとも１つのアプリケーションと前記少なくとも１つの中央サーバとの間の少なくとも１つのリンクを介して、前記少なくとも１つの中央サーバから前記少なくとも１つの確保または取得された好ましい搬送サービス要求をリアルタイムまたはほぼリアルタイムで受信するステップと、
ｍ）、前記少なくとも１つのアプリケーション上で、前記少なくとも１つの確保または取得された好ましい搬送サービス要求を対応する搬送データとともにリアルタイムまたはほぼリアルタイムで表示するステップと、
ｎ）前記少なくとも１つの代理人は、前記少なくとも１つの確保または取得された好ましい搬送サービス要求に関連する少なくとも１つの搬送サービスを実行または提供し、前記少なくとも１つの代理人の前記少なくとも１つのリアルタイムまたはほぼリアルタイムの地理的位置が更新または変更され、その間、前記少なくとも１つの中央サーバは、前記少なくとも１つの代理人によって停止されるまで、前記複数の搬送サービス要求の全部または一部をリアルタイムまたはほぼリアルタイムで繰り返し分析または評価し、次いで、前記少なくとも１つの後続のまたは追加の好ましい搬送サービス要求を確保または取得するステップと、を含む
方法。
【請求項３５】
前記複数の搬送サービス要求の全部または一部、前記少なくとも１つの代理人の前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される、
請求項３４に記載の方法。
【請求項３６】
前記複数の搬送サービス要求の全部または一部、前記少なくとも１つの代理人の前記少なくとも１つのリアルタイムまたはほぼリアルタイムの地理的位置、またはそれらの組合せが、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない、
請求項３４に記載の方法。
【請求項３７】
前記複数の搬送サービス要求の全部または一部をフィルタリングする前のステップＣ〜Ｇは任意の順序とすることができる、
請求項３４に記載の方法。
【請求項３８】
前記少なくとも１つの代理人選好が、前記少なくとも１つのアプリケーションに入力または提供されると、前記少なくとも１つのアプリケーション、前記少なくとも１つの中央サーバの前記少なくとも１つのコンピュータ可読メモリ、またはそれらの組合せに格納またはキャッシュされ、前記少なくとも１つの代理人選好が、前記少なくとも１つの代理人によって前記少なくとも１つのアプリケーションに再び入力または提供されない、
請求項３４に記載の方法。
【請求項３９】
前記少なくとも１つの代理人選好が、前記少なくとも１つの中央サーバの前記少なくとも１つのコンピュータ可読メモリに格納またはキャッシュされ、前記少なくとも１つの代理人選好が、前記少なくとも１つのアプリケーションから前記少なくとも１つの中央サーバに再び送信されない、
請求項３４に記載の方法。
【請求項４０】
前記少なくとも１つの代理人選好、前記少なくとも１つの代理人の前記少なくとも１つのリアルタイムまたはほぼリアルタイムの地理的位置、またはそれらの組合せが、前記複数の搬送サービス要求の全部または一部をフィルタリングする前の任意の時間に、前記少なくとも１つのアプリケーションから前記少なくとも１つの中央サーバに送信される、
請求項３４に記載の方法。
【請求項４１】
前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部を、分類、フィルタリング、特徴付け、スクリーニング、選択、分離、識別、指定、識別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別する、
請求項３４に記載の方法。
【請求項４２】
前記複数の搬送サービス要求の全部または一部は、前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
前記少なくとも１つの代理人選好および前記少なくとも１つの代理人の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別する
ことで、リアルタイムまたはほぼリアルタイムでフィルタリングされ、前記少なくとも１つの好ましい搬送サービス要求が、前記複数のフィルタリングされた搬送サービス要求の全部または一部から、リアルタイムまたはほぼリアルタイムで識別される、
請求項４１に記載の方法。
【請求項４３】
前記複数の搬送サービス要求の全部または一部をフィルタリングするときに、前記少なくとも１つの代理人の前記少なくとも１つのリアルタイムまたはほぼリアルタイムの地理的位置以外の少なくとも１つの異なる地理的位置が使用される、
請求項４１に記載の方法。
【請求項４４】
少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、前記少なくとも１つの代理人選好に関連する前記少なくとも１つの好ましい搬送サービス要求が、前記複数のフィルタリングされた搬送サービス要求の全部または一部から識別される、
請求項３４に記載の方法。
【請求項４５】
前記少なくとも１つの好ましい搬送サービス要求が、前記少なくとも１つの代理人選好の少なくとも１つの加重平均に関連する前記複数のフィルタリングされた搬送サービス要求の全部または一部から識別される、
請求項４４に記載の方法。
【請求項４６】
前記少なくとも１つの好ましい搬送サービス要求が、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス要求の全部または一部をリアルタイムまたはほぼリアルタイムで送信し、
前記少なくとも１つの好ましい搬送サービス要求を、前記少なくとも１つの代理人選好に関連する前記複数のフィルタリングされた搬送サービス要求の全部または一部からリアルタイムまたはほぼリアルタイムで識別する
ことで、前記少なくとも１つのアプリケーション上の前記複数のフィルタリングされた搬送サービス要求の全部または一部から、リアルタイムまたはほぼリアルタイムで識別される、
請求項４４に記載の方法。
【請求項４７】
前記少なくとも１つの代理人が、前記少なくとも１つのアプリケーションを使用して、前記少なくとも１つの好ましい搬送サービス要求を分析または評価し、次いで、セ確保または取得する、
請求項３４に記載の方法。
【請求項４８】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージングサービス、少なくとも１つのスマートメッセージングサービス、少なくとも１つの拡張メッセージサービス、またはそれらの組合せで表示される、
請求項４７に記載の方法。
【請求項４９】
前記少なくとも１つの代理人が、前記少なくとも１つの好ましい搬送サービス要求を受諾するか、または拒否する、
請求項４８に記載の方法。
【請求項５０】
前記少なくとも１つの代理人が前記少なくとも１つの好ましい搬送サービス要求を拒否すると、少なくとも１つの新しいまたは異なる好ましい搬送サービス要求が識別され表示される、
請求項４９に記載の方法。
【請求項５１】
前記少なくとも１つの代理人のために、２つ以上の前記好ましい搬送サービス要求が同時に確保または取得される、
請求項３４に記載の方法。
【請求項５２】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、少なくとも１つのリモートディスプレイ上に表示される、
請求項３４に記載の方法。
【請求項５３】
前記少なくとも１つの中央サーバまたは前記少なくとも１つの外部サーバの少なくとも１つの機能が、前記少なくとも１つのアプリケーションによって実行される、
請求項３４に記載の方法。
【請求項５４】
前記少なくとも１つのアプリケーションが、前記少なくとも１つの中央サーバ上で動作する、
請求項３４に記載の方法。
【請求項５５】
前記少なくとも１つのアプリケーションの少なくとも１つの機能が、前記少なくとも１つの中央サーバまたは前記少なくとも１つの外部サーバによって実行される、
請求項３４に記載の方法。
【請求項５６】
対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供される、
請求項３４に記載の方法。
【請求項５７】
前記少なくとも１つの後続または追加の好ましい搬送サービス要求が、前記少なくとも１つの代理人のために、少なくとも１つの異なる搬送業界セグメントにおいて確保または取得される、
請求項３４に記載の方法。
【請求項５８】
前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、またはそれらの組合せが、リアルタイムまたはほぼリアルタイムで識別または更新される、
請求項３４に記載の方法。
【請求項５９】
前記複数の搬送サービス要求が、１つの搬送サービス要求である、
請求項３４に記載の方法。
【請求項６０】
前記複数のフィルタリングされた搬送サービス要求が、１つのフィルタリングされた搬送サービス要求である、
請求項３４に記載の方法。
【請求項６１】
前記少なくとも１つの代理人が、前記少なくとも１つの好ましい搬送サービス要求以外の少なくとも１つの前記フィルタリングされた搬送サービス要求を確保または取得する、
請求項３４に記載の方法。
【請求項６２】
前記少なくとも１つの後続または追加の好ましい搬送サービス要求が確保または取得され、前記少なくとも１つの搬送サービスを実行または提供するための少なくとも１つの命令が、リアルタイムまたはほぼリアルタイムで更新または変更される、
請求項３４に記載の方法。
【請求項６３】
前記少なくとも１つの中央サーバ、前記少なくとも１つのアプリケーション、またはそれらの組合せが、前記少なくとも１つの好ましい搬送サービス要求以外の少なくとも１つの異なる搬送サービス要求を提案または推奨する、
請求項３４に記載の方法。
【請求項６４】
前記少なくとも１つの中央サーバが、前記少なくとも１つの端末上に位置する、
請求項３４に記載の方法。
【請求項６５】
前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された、
請求項３４に記載の方法。
【請求項６６】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つのアプリケーションと前記少なくとも１つの中央サーバとの間の少なくとも１つのリンクを介して前記少なくとも１つのアプリケーションと前記少なくとも１つの中央サーバとの間でリアルタイムまたはほぼリアルタイムで送信され、リアルタイムまたはほぼリアルタイムで更新される、
請求項３４に記載の方法。
【請求項６７】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つのアプリケーションと前記少なくとも１つの外部サーバとの間の少なくとも１つのリンクを介して前記少なくとも１つのアプリケーションと前記少なくとも１つの外部サーバとの間でリアルタイムまたはほぼリアルタイムで送信され、リアルタイムまたはほぼリアルタイムで更新される、
請求項３４に記載の方法。
【請求項６８】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つの中央サーバと前記少なくとも１つの外部サーバとの間の少なくとも１つのリンクを介して前記少なくとも１つの中央サーバと前記少なくとも１つの外部サーバとの間でリアルタイムまたはほぼリアルタイムで送信され、リアルタイムまたはほぼリアルタイムで更新される、
請求項３４に記載の方法。
【請求項６９】
少なくとも１つの自律車両が、前記少なくとも１つの代理人と連携して、前記少なくとも１つの搬送サービスの全部または一部を提供または実行する、
請求項３４に記載の方法。
【請求項７０】
前記少なくとも１つのアプリケーション、前記少なくとも１つの代理人、またはそれらの組合せが、前記少なくとも１つの好ましい搬送サービス要求を確保または取得する、
請求項３４に記載の方法。
【請求項７１】
搬送業界内で、少なくとも１つの自律車両の少なくとも１つの選択された選好および少なくとも１つのリアルタイムまたはほぼリアルタイムの地理的位置に関連する少なくとも１つの好ましい搬送サービス要求を確保または取得する少なくとも１つのプロセスにおいて少なくとも１つの自律車両を支援するための、全体または部分的に自動化されたリアルタイムまたはほぼリアルタイムのシステムであって、
ａ）少なくとも１つの外部サーバであって、
ｉ）少なくとも１つのコンピュータプロセッサ、
ｉｉ）少なくとも１つのコンピュータ可読メモリ、
ｉｉｉ）少なくとも１つのネットワークインターフェース、
ｉｖ）複数の搬送サービス要求の少なくとも１つのリアルタイムまたはほぼリアルタイムのソース、
ｖ）前記少なくとも１つの自律車両に関連する搬送データの少なくとも１つのリアルタイムまたはほぼリアルタイムのソース、
ｖｉ）またはそれらの組み合わせ
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの地理的位置モジュールと、
（ｉｖ）少なくとも１つのネットワークインターフェースと
を備える少なくとも１つの電子計算装置
を備える少なくとも１つの端末と、
ｄ）少なくとも１つのアプリケーションであって、
ｉ）前記少なくとも１つの好ましい搬送サービス要求を前記少なくとも１つの自律車両に伝えるように動作可能な少なくとも１つのコンピュータプログラムを含み、
ｉｉ）前記少なくとも１つのコンピュータプログラムは、前記少なくとも１つの自律車両に関連する搬送データの全部または一部を伝えるように動作可能である、
少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス要求であって、
少なくとも１つの個々の搬送サービス要求であって、
（ｉ）少なくとも１つの地理的位置から少なくとも１つの他の地理的位置へ、少なくとも１人の人、少なくとも１つの商品、少なくとも１つの物、またはそれらの組み合わせを輸送するための少なくとも１つの要求と、
（ｉｉ）リアルタイムまたはほぼリアルタイムで更新される前記個々の搬送サービス要求と、
（ｉｉｉ）前記個々の搬送サービス要求に対応する定性的及び定量的搬送データと、
を含む少なくとも１つの個々の搬送サービス要求
を含む複数の搬送サービス要求と、
ｇ）複数のフィルタリングされた搬送サービス要求であって、
ｉ）前記少なくとも１つの選択された選好および前記少なくとも１つの自律車両の前記少なくとも１つのリアルタイムまたはほぼリアルタイムの地理的位置を使用して前記複数の搬送サービス要求の全部または一部をフィルタリングした少なくとも１つの結果である、前記複数の搬送サービス要求の全部または一部の少なくとも１つのサブセットと、
ｉｉ）リアルタイムまたはほぼリアルタイムで更新される前記複数のフィルタリングされた搬送サービス要求の全部または一部と、
ｉｉｉ）個々のフィルタリングされた搬送サービス要求に対応する定性的および定量的搬送データと、
を含む複数のフィルタリングされた搬送サービス要求と、
ｈ）少なくとも１つの好ましい搬送サービス要求であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス要求の全部または一部から識別される少なくとも１つの他の地理的位置に輸送するための少なくとも１つの要求と、
ｉｉ）リアルタイムまたはほぼリアルタイムで更新される前記少なくとも１つの好ましい搬送サービス要求と、
ｉｉｉ）個々の好ましい搬送サービス要求に対応する定性的および定量的搬送データと、
を含む少なくとも１つの好ましい搬送サービス要求と、
ｉ）少なくとも１つの自律車両であって、
ｉ）少なくとも１つの運搬サービスを実行または提供する少なくとも１つの自己操縦機械または少なくとも１つの自己駆動機械と、
ｉｉ）リアルタイムまたはほぼリアルタイムで更新される前記少なくとも１つの自律車両の前記少なくとも１つのリアルタイムまたはほぼリアルタイムの地理的位置と、
ｉｉｉ）前記少なくとも１つの自律車両に対応する定性的および定量的搬送データと、
を含む少なくとも１つの自律車両と、
ｊ）少なくとも１つの選択された選好であって、
ｉ）前記少なくとも１つの自律車両の少なくとも１つのオーナまたは少なくとも１つのコントローラによって選択または提供される少なくとも１つのオプションであって、
（１）前記複数の搬送サービス要求の全部または一部の、前記複数のフィルタリングされた搬送サービス要求の全部または一部へのフィルタリング、
（２）前記少なくとも１つの自律車両に関連する搬送データの全部または一部の、前記少なくとも１つの自律車両に関連するフィルタリングされた搬送データの全部または一部へのフィルタリング、
（３）またはこれらの組み合わせ
に使用される少なくとも１つのオプションを含み、
ｉｉ）前記少なくとも１つの選択された選好は、前記少なくとも１つの好ましい搬送サービス要求、前記少なくとも１つの自律車両に関連する好ましい搬送データの全部または一部、好ましいと識別された前記少なくとも１つの自律車両、またはそれらの組合せを識別するために使用される、
少なくとも１つの選択された選好と、
を含み、
前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、前記少なくとも１つの好ましい搬送サービス要求、前記少なくとも１つの自律車両に関連する好ましい搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは、前記少なくとも１つの端末上で動作し、前記少なくとも１つの自律車両によって利用され、
さらに、前記少なくとも１つの端末は、前記少なくとも１つの自律車両に関連付けられており、
さらに、前記少なくとも１つの中央サーバは、前記複数のフィルタリングされた搬送サービス要求の全部または一部、前記少なくとも１つの自律車両に関連するフィルタリングされた搬送データの全部または一部、前記少なくとも１つの自律車両の前記少なくとも１つのリアルタイムまたはほぼリアルタイムの地理的位置の全部または一部、またはそれらの組合せを分析または評価し、次いで、前記少なくとも１つの選択された選好に関連する、前記少なくとも１つの好ましい搬送サービス要求または好ましいと識別された前記少なくとも１つの自律車両をリアルタイムまたはほぼリアルタイムで確保または取得し、
さらに、前記少なくとも１つの外部サーバは、前記少なくとも１つの外部サーバと前記少なくとも１つの中央サーバとの間の少なくとも１つのリンクを介して前記少なくとも１つの外部サーバから前記少なくとも１つの中央サーバにリアルタイムまたはほぼリアルタイムで送信される、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せの、少なくとも１つのリアルタイムまたはほぼリアルタイムのソースであり、
さらに、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、リアルタイムまたはほぼリアルタイムで更新され、
さらに、前記少なくとも１つの中央サーバは、リアルタイムまたはほぼリアルタイムで、前記複数の搬送サービス要求の全部または一部、または前記少なくとも１つの自律車両に関連する搬送データの全部または一部の標準化、集約、またはそれらの組合せを行い、
さらに、前記少なくとも１つの中央サーバは、リアルタイムまたはほぼリアルタイムで、前記少なくとも１つの選択された選好及び前記少なくとも１つの自律車両の前記少なくとも１つのリアルタイムまたはほぼリアルタイムの地理的位置の全部または一部を使用して、前記複数の搬送サービス要求の全部または一部、または前記少なくとも１つの自律車両に関連する搬送データの全部または一部をフィルタリングし、前記複数のフィルタリングされた搬送サービス要求の全部または一部、または前記少なくとも１つの自律車両に関連するフィルタリングされた搬送データの全部または一部を識別し、
さらに、前記複数のフィルタリングされた搬送サービス要求の全部または一部、前記少なくとも１つの自律車両に関連するフィルタリングされた搬送データの全部または一部、前記少なくとも１つの自律車両の前記少なくとも１つのリアルタイムまたはほぼリアルタイムの地理的位置の全部または一部、またはそれらの組合せが、リアルタイムまたはほぼリアルタイムで更新され、
さらに、前記少なくとも１つの端末は、前記少なくとも１つの自律車両とインターフェースをとり、前記少なくとも１つのアプリケーションの操作を容易にするか、または提供し、
さらに、前記少なくとも１つの中央サーバは、前記複数のフィルタリングされた搬送サービス要求の全部または一部、または前記少なくとも１つの自律車に関連するフィルタリングされた搬送データの全部または一部をリアルタイムまたはほぼリアルタイムで分析または評価し、前記少なくとも１つの好ましい搬送サービス要求、前記少なくとも１つの自律車両に関連する好ましい搬送データの全部または一部、好ましいと識別された前記少なくとも１つの自律車両、またはそれらの組み合わせを識別し、
さらに、前記少なくとも１つの好ましい搬送サービス要求、前記少なくとも１つの自律車両に関連する好ましい搬送データの全部または一部、前記少なくとも１つの自律車両の前記少なくとも１つのリアルタイムまたはほぼリアルタイムの地理的位置の全部または一部、またはそれらの組合せが、リアルタイムまたはほぼリアルタイムで更新され、
さらに、前記少なくとも１つの中央サーバは、前記少なくとも１つの選択された選好に関連する、前記少なくとも１つの好ましい搬送サービス要求、好ましいと識別された前記少なくとも１つの自律車両、またはそれらの組合せを、リアルタイムまたはほぼリアルタイムで確保または取得し、
さらに、前記少なくとも１つの中央サーバと前記少なくとも１つのアプリケーションとの間の少なくとも１つのリンクを介して、少なくとも１つの確保または取得された好ましい搬送サービス要求が、前記少なくとも１つの中央サーバから前記少なくとも１つのアプリケーションにリアルタイムまたはほぼリアルタイムで送信されて、リアルタイムまたはほぼリアルタイムで更新され、
さらに、好ましいと識別された前記少なくとも１つの自律車両が前記少なくとも１つの確保または取得された好ましい搬送サービス要求に関連する前記少なくとも１つの搬送サービスを実行または提供し、前記少なくとも１つの自律車両の前記少なくとも１つのリアルタイムまたはほぼリアルタイムの地理的位置の全部または一部が更新または変更され、その間、前記少なくとも１つの中央サーバは、前記少なくとも１つの自律車両の前記少なくとも１つのオーナまたは前記少なくとも１つのコントローラによって停止されるまで、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せをリアルタイムまたはほぼリアルタイムで繰り返し分析または評価し、次いで、好ましいと識別される前記少なくとも１つの自律車両のために、またはそれを基準に、少なくとも１つの後続のまたは追加の好ましい搬送サービス要求を確保または取得する、
システム。
【請求項７２】
前記少なくとも１つの中央サーバまたは前記少なくとも１つの外部サーバの少なくとも１つの機能が、前記少なくとも１つのアプリケーション、少なくとも１つのオーナアプリケーションまたはコントローラアプリケーション、またはそれらの組合せによって実行される、
請求項７１に記載のシステム。
【請求項７３】
前記少なくとも１つの中央サーバが、前記少なくとも１つの自律車両に関連付けられた前記少なくとも１つの端末上に位置する、
請求項７１に記載のシステム。
【請求項７４】
対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、少なくとも１つの異なるフォーマットで構造化され、少なくとも１つの一様なフォーマットに標準化または変換される、
請求項７１に記載のシステム。
【請求項７５】
対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない、
請求項７１に記載のシステム。
【請求項７６】
前記少なくとも１つのアプリケーション、少なくとも１つのオーナアプリケーションまたはコントローラアプリケーション、またはそれらの組合せが、前記少なくとも１つの中央サーバ上で動作する、
請求項７１に記載のシステム。
【請求項７７】
対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバによって供給または提供される、
請求項７１に記載のシステム。
【請求項７８】
前記少なくとも１つの外部サーバが、少なくとも１つの搬送業界セグメントで活動する、少なくとも１つのサービスプロバイダ、少なくとも１つの商品サプライヤ、少なくとも１つのフリートマネージャ、前記少なくとも１つのオーナまたは前記少なくとも１つの自律車両の前記少なくとも１つのコントローラ、少なくとも１つのロジスティクスプロバイダ、少なくとも１つのロジスティクスサプライヤ、またはそれらの組合せによって操作、制御、または管理される、
請求項７７に記載のシステム。
【請求項７９】
前記少なくとも１つのアプリケーション、少なくとも１つのオーナアプリケーションまたはコントローラアプリケーション、またはそれらの組合せの少なくとも１つの機能が、前記少なくとも１つの中央サーバまたは前記少なくとも１つの外部サーバによって実行される、
請求項７１に記載のシステム。
【請求項８０】
前記複数の搬送サービス要求の全部または一部が、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せを含む、
請求項７１に記載のシステム。
【請求項８１】
前記複数の搬送サービス要求が、１つの搬送サービス要求である、
請求項７１に記載のシステム。
【請求項８２】
搬送データが、少なくとも１つのサービス開始地理的位置、少なくとも１つのサービス終了地理的位置、価格設定情報、高価格設定情報、少なくとも１つの選択された選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含む、
請求項７１に記載のシステム。
【請求項８３】
前記複数の搬送サービス要求の全部または一部または前記少なくとも１つの自律車両に関連する搬送データの全部または一部が、前記少なくとも１つの選択された選好および前記少なくとも１つの自律車両の前記少なくとも１つのリアルタイムまたはほぼリアルタイムの地理的位置の全部または一部に関してフィルタリングされ、前記複数のフィルタリングされた搬送サービス要求の全部または一部、または前記少なくとも１つの自律車両に関連するフィルタリングされた搬送データの全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項７１に記載のシステム。
【請求項８４】
前記複数の搬送サービス要求の全部または一部、前記少なくとも１つの自律車両に関連する搬送データの全部または一部、またはそれらの組合せをフィルタリングする際に、前記少なくとも１つの自律車両の前記少なくとも１つのリアルタイムまたはほぼリアルタイムの地理的位置以外の少なくとも１つの異なる地理的位置が使用される、
請求項８３に記載のシステム。
【請求項８５】
前記少なくとも１つの選択された選好の少なくとも１つの加重平均が、
前記少なくとも１つの自律車両に関連するフィルタリングされた搬送データの全部または一部からの、前記少なくとも１つの自律車両または好ましいと識別された前記少なくとも１つの自律車両に関連する好ましい搬送データの全部または一部の識別、
前記複数のフィルタリングされた搬送サービス要求の全部または一部からの、前記少なくとも１つの好ましい搬送サービス要求の識別、
またはそれらの組合せの識別
に使用される、
請求項８３に記載のシステム。
【請求項８６】
前記複数の搬送サービス要求の全部または一部または前記少なくとも１つの自律車両に関連する搬送データの全部または一部が、前記少なくとも１つの選択された選好に関してフィルタリングされ、前記複数のフィルタリングされた搬送サービス要求の全部または一部、または前記少なくとも１つの自律車両に関連するフィルタリングされた搬送データの全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項７１に記載のシステム。
【請求項８７】
前記少なくとも１つの選択された選好の少なくとも１つの加重平均が、
前記少なくとも１つの自律車両に関連するフィルタリングされた搬送データの全部または一部からの、前記少なくとも１つの自律車両または好ましいと識別された前記少なくとも１つの自律車両に関連する好ましい搬送データの全部または一部の識別、
前記複数のフィルタリングされた搬送サービス要求の全部または一部からの、前記少なくとも１つの好ましい搬送サービス要求の識別、
またはそれらの組合せの識別
に使用される、
請求項８６に記載のシステム。
【請求項８８】
前記複数のフィルタリングされた搬送サービス要求が、１つのフィルタリングされた搬送サービス要求である、
請求項７１に記載のシステム。
【請求項８９】
前記少なくとも１つの自律車両が、少なくとも１つの自家用車、少なくとも１つの自動車、少なくとも１つのバン、少なくとも１つの配達バン、少なくとも１つの配達車両、少なくとも１つのラストマイル配達車両、少なくとも１つのロッカーを有する少なくとも１つの車両、少なくとも１つの貯蔵ユニットを有する少なくとも１つの車両、少なくとも１つのコンパートメントを有する少なくとも１つの車両、少なくとも１つのＲＶ、少なくとも１つのトラック、少なくとも１つの配達トラック、少なくとも１つのセミトレーラトラック、少なくとも１つのシャトル、少なくとも１つのヘリコプター、少なくとも１つのボート、少なくとも１つの船舶、少なくとも１つの航空機、少なくとも１つの宇宙船、少なくとも１つのバス、少なくとも１つの列車、少なくとも１つのワゴン、少なくとも１つの人力車、少なくとも１つのスクータ、少なくとも１つのバイク、少なくとも１つのモペッド、少なくとも１つのトライク、少なくとも１つの全地形車両、少なくとも１つの１８ホイーラー、少なくとも１つの輸送機械、少なくとも１つの無人機、少なくとも１つの医療用車両、またはそれらの組み合わせを含む、
請求項７１に記載のシステム。
【請求項９０】
前記少なくとも１つの選択された選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決要求選好、またはそれらの組み合わせを含む、
請求項７１に記載のシステム。
【請求項９１】
前記少なくとも１つの後続のまたは追加の好ましい搬送サービス要求が、好ましいと識別された前記少なくとも１つの自律車両のために、またはそれを基準に、少なくとも１つの異なる搬送業界セグメントにおいて確保または取得される、
請求項７１に記載のシステム。
【請求項９２】
２つ以上の前記好ましい搬送サービス要求が、好ましいと識別された前記少なくとも１つの自律車両のために、またはそれを基準に、同時に確保または取得される、
請求項７１に記載のシステム。
【請求項９３】
前記少なくとも１つの自律車両の前記少なくとも１つのオーナまたは前記少なくとも１つの制御装置が、少なくとも１つの搬送業界セグメントで活動する、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せである、
請求項７１に記載のシステム。
【請求項９４】
前記少なくとも１つの中央サーバ、前記少なくとも１つのアプリケーション、少なくとも１つのオーナアプリケーションまたはコントローラアプリケーション、またはそれらの組合せが、
前記少なくとも１つの好ましい搬送サービス要求以外の少なくとも１つの異なる搬送サービス要求、または
好ましいと識別された前記少なくとも１つの自律車両以外の少なくとも１つの異なる自律車両
を提案または推奨する、
請求項７１に記載のシステム。
【請求項９５】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのアプリケーションと前記少なくとも１つの中央サーバとの間の少なくとも１つのリンクを介して前記少なくとも１つのアプリケーションと前記少なくとも１つの中央サーバとの間でリアルタイムまたはほぼリアルタイムで送信され、リアルタイムで更新される、
請求項７１に記載のシステム。
【請求項９６】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのアプリケーションと前記少なくとも１つの外部サーバとの間の少なくとも１つのリンクを介して、前記少なくとも１つのアプリケーションと前記少なくとも１つの外部サーバとの間でリアルタイムまたはほぼリアルタイムで送信され、リアルタイムまたはほぼリアルタイムで更新される、
請求項７１に記載のシステム。
【請求項９７】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つの中央サーバと前記少なくとも１つの外部サーバとの間の少なくとも１つのリンクを介して前記少なくとも１つの中央サーバと前記少なくとも１つの外部サーバとの間でリアルタイムまたはほぼリアルタイムで送信され、リアルタイムまたはほぼリアルタイムで更新される、
請求項７１に記載のシステム。
【請求項９８】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つの中央サーバとの間の少なくとも１つのリンクを介して、前記少なくとも１つのオーナアプリケーションまたはコントローラアプリケーションと前記少なくとも１つの中央サーバとの間でリアルタイムまたはほぼリアルタイムで送信され、リアルタイムまたはほぼリアルタイムで更新される、
請求項７１に記載のシステム。
【請求項９９】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つの外部サーバとの間の少なくとも１つのリンクを介して前記少なくとも１つのオーナアプリケーションまたはコントローラアプリケーションと前記少なくとも１つの外部サーバとの間でリアルタイムまたはほぼリアルタイムで送信され、リアルタイムまたはほぼリアルタイムで更新される、
請求項７１に記載のシステム。
【請求項１００】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つのアプリケーションとの間の少なくとも１つのリンクを介して、前記少なくとも１つのオーナアプリケーションまたはコントローラアプリケーションと前記少なくとも１つのアプリケーションとの間でリアルタイムまたはほぼリアルタイムで送信され、リアルタイムまたはほぼリアルタイムで更新される、
請求項７１に記載のシステム。
【請求項１０１】
前記少なくとも１つの自律車両に関連する搬送データの全部または一部、前記少なくとも１つの自律車両に関連するフィルタリングされた搬送データの全部または一部、前記少なくとも１つの自律車両に関連する好ましい搬送データの全部または一部、前記複数の搬送サービス要求の全部または一部、前記複数のフィルタリングされた搬送サービス要求の全部または一部、前記少なくとも１つの好ましい搬送サービス要求、またはそれらの組合せが、好ましいと識別される前記少なくとも１つの自律車両または前記少なくとも１つの好ましい搬送サービス要求を確保または取得する前に、任意の順序でフィルタリングされ好ましいと識別される、
請求項７１に記載のシステム。
【請求項１０２】
前記少なくとも１つの自律車両の前記少なくとも１つのリアルタイムまたはほぼリアルタイムの地理的位置の全部または一部が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、リアルタイムまたはほぼリアルタイムで識別または更新される、
請求項７１に記載のシステム。
【請求項１０３】
前記少なくとも１つの自律車両の前記少なくとも１つのオーナまたは前記少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに関連する前記少なくとも１つの選択された選好が、少なくとも１つのオーナアプリケーションまたはコントローラアプリケーションに提供または入力され、前記少なくとも１つのオーナアプリケーションまたはコントローラアプリケーションと前記少なくとも１つの中央サーバとの間の少なくとも１つのリンクを介して前記少なくとも１つの中央サーバに送信される、
請求項７１に記載のシステム。
【請求項１０４】
前記少なくとも１つの後続のまたは追加の好ましい搬送サービス要求が、好ましいと識別された前記少なくとも１つの自律車両のために、またはそれを基準に、確保または取得され、少なくとも１つの搬送サービスを実行する少なくとも１つの指令がリアルタイムまたはほぼリアルタイムで更新または変更される、
請求項７１に記載のシステム。
【請求項１０５】
前記少なくとも１つの自律車両の前記少なくとも１つのオーナまたは前記少なくとも１つのコントローラが、
好ましいと識別された前記少なくとも１つの自律車両以外の、フィルタリングされた前記少なくとも１つの自律車両、
前記少なくとも１つの好ましい搬送サービス要求以外の少なくとも１つの前記フィルタリングされた搬送サービス要求、
またはそれらの組合せ
を確保または取得する、
請求項７１に記載のシステム。
【請求項１０６】
前記少なくとも１つの好ましい搬送サービス要求、少なくとも１つの搬送クライアント、またはそれらの組合せが、少なくとも１つの搬送業界セグメントで活動する、好ましいと識別された前記少なくとも１つの自律車両のために、またはそれを基準に、確保または取得される、
請求項７１に記載のシステム。
【請求項１０７】
好ましいと識別された前記少なくとも１つの自律車両が、前記少なくとも１つの好ましい搬送サービス要求を確保または取得する少なくとも１つのプロセスと同じ少なくとも１つのプロセスまたは同様の少なくとも１つのプロセスで確保または取得される、
請求項７１に記載のシステム。
【請求項１０８】
少なくとも１つの代理人が、前記少なくとも１つの自律車両に関連する前記少なくとも１つの搬送サービスの全部または一部を提供または実行する、
請求項７１に記載のシステム。
【請求項１０９】
前記少なくとも１つの自律車両の前記少なくとも１つのオーナまたは前記少なくとも１つのコントローラが、前記少なくとも１つの搬送サービスを実行するのに好ましいと識別された前記少なくとも１つの自律車両のために、またはそれを基準に、前記少なくとも１つの好ましい搬送サービス要求を確保または取得する、
請求項７１に記載のシステム。
【請求項１１０】
前記少なくとも１つのアプリケーションまたは少なくとも１つのオーナアプリケーションまたはコントローラアプリケーションが、前記少なくとも１つの好ましい搬送サービス要求、好ましいと識別された前記少なくとも１つの自律車両、またはそれらの組合せを確保または取得する、
請求項７１に記載のシステム。
【請求項１１１】
前記少なくとも１つの自律車両の前記少なくとも１つのオーナまたは前記少なくとも１つのコントローラが、少なくとも１つのオーナアプリケーションまたはコントローラアプリケーションまたは前記少なくとも１つのアプリケーションを使用して、前記少なくとも１つの好ましい搬送サービス要求、好ましいと識別された前記少なくとも１つの自律車両、またはそれらの組合せを確保または取得する、
請求項７１に記載のシステム。
【請求項１１２】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションまたは前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージサービス、または少なくとも１つの拡張メッセージサービスで表示される、
請求項１１１に記載のシステム。
【請求項１１３】
前記少なくとも１つの自律車両の前記少なくとも１つのオーナまたは前記少なくとも１つのコントローラが、前記少なくとも１つの好ましい搬送サービス要求、好ましいと識別された前記少なくとも１つの自律車両、またはそれらの組合せを、受諾するか、または拒否する、
請求項１１２に記載のシステム。
【請求項１１４】
前記少なくとも１つの自律車両の前記少なくとも１つのオーナまたは前記少なくとも１つのコントローラが、前記少なくとも１つの好ましい搬送サービス要求または好ましいと識別された前記少なくとも１つの自律車両を拒否すると、
少なくとも１つの新しいまたは異なる好ましい搬送サービス要求、
好ましいと識別された少なくとも１つの新しいまたは異なる自律車両、
またはそれらの組合せ
が識別され、表示される、
請求項１１３に記載のシステム。
【請求項１１５】
前記少なくとも１つのアプリケーション、少なくとも１つのオーナアプリケーションまたはコントローラアプリケーション、前記少なくとも１つの自律車両、前記少なくとも１つの端末、前記少なくとも１つの中央サーバ、前記少なくとも１つの外部サーバ、少なくとも１つのリンク、またはそれらの組合せが結合または統合された、
請求項７１に記載のシステム。
【請求項１１６】
搬送業界内で、少なくとも１つの選択された選好および少なくとも１つの自律車両の少なくとも１つのリアルタイムまたはほぼリアルタイムの地理的位置に関連する少なくとも１つの好ましい搬送サービス要求を確保または取得する少なくとも１つのプロセスにおいて、少なくとも１つの自律車両を支援するための、全体または部分的に自動化されたリアルタイムまたはほぼリアルタイムの方法であって、
ａ）請求項７１に記載のシステムを提供するステップと、
ｂ）前記少なくとも１つの中央サーバにおいて、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せを、前記少なくとも１つの中央サーバと前記少なくとも１つの外部サーバとの間の少なくとも１つのリンクを介して前記少なくとも１つの外部サーバからリアルタイムまたはほぼリアルタイムで受信するステップと、
ｃ）前記少なくとも１つの中央サーバの前記少なくとも１つのコンピュータ可読メモリに、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せを、リアルタイムまたはほぼリアルタイムで格納するステップと、
ｄ）前記少なくとも１つの中央サーバを使用して、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せを、リアルタイムまたはほぼリアルタイムで標準化するステップと、
ｅ）前記少なくとも１つの中央サーバを使用して、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せを、リアルタイムまたはほぼリアルタイムで集約するステップと、
ｆ）前記少なくとも１つの自律車両の前記少なくとも１つのリアルタイムまたはほぼリアルタイムの地理的位置の全部または一部、前記少なくとも１つの自律車両に関連する搬送データの全部または一部、またはそれらの組合せを、前記少なくとも１つのアプリケーションと前記少なくとも１つの中央サーバとの間の少なくとも１つのリンクを介して、前記少なくとも１つのアプリケーションから前記少なくとも１つの中央サーバにリアルタイムまたはほぼリアルタイムで送信するステップであって、
ｉ）前記少なくとも１つのアプリケーションは、前記少なくとも１つの端末の前記少なくとも１つの地理的位置モジュールを使用して、前記少なくとも１つの自律車両の前記少なくとも１つのリアルタイムまたはほぼリアルタイムの地理的位置の全部または一部を提供し、
ｉｉ）前記少なくとも１つのアプリケーションは、前記少なくとも１つの自律車両に関連する搬送データの全部または一部を提供する
ステップと、
ｇ）前記少なくとも１つの中央サーバにおいて、前記少なくとも１つの自律車両の前記少なくとも１つのリアルタイムまたはほぼリアルタイムの地理的位置の全部または一部、前記少なくとも１つの自律車両に関連する搬送データの全部または一部、またはそれらの組合せを、前記少なくとも１つの中央サーバと前記少なくとも１つのアプリケーションとの間の少なくとも１つのリンクを介して、前記少なくとも１つのアプリケーションからリアルタイムまたはほぼリアルタイムで受信するステップと、
ｈ）前記少なくとも１つの選択された選好および前記少なくとも１つの自律車両の前記少なくとも１つのリアルタイムまたはほぼリアルタイムの地理的位置の全部または一部を使用して、前記少なくとも１つの中央サーバにおいて、前記複数の搬送サービス要求の全部または一部、前記少なくとも１つの自律車両に関連する搬送データの全部または一部、またはそれらの組み合わせを、リアルタイムまたはほぼリアルタイムでフィルタリングすることによって、前記複数のフィルタリングされた搬送サービス要求の全部または一部、または前記少なくとも１つの自律車両に関連するフィルタリングされた搬送データの全部または一部を識別するステップであって、
ｉ）前記少なくとも１つの選択された選好は、前記少なくとも１つの自律車両の前記少なくとも１つのオーナまたは前記少なくとも１つのコントローラによって入力または提供され、前記少なくとも１つの中央サーバの前記少なくとも１つのコンピュータ可読メモリに格納またはキャッシュされる
ステップと、
ｉ）前記少なくとも１つの中央サーバにおいて、前記少なくとも１つの選択された選好に関連する、前記少なくとも１つの好ましい搬送サービス要求を、前記複数のフィルタリングされた搬送サービス要求の全部または一部から、リアルタイムまたはほぼリアルタイムで識別するステップ、前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部を、リアルタイムまたはほぼリアルタイムで識別するステップ、またはそれらの組合せをリアルタイムまたはほぼリアルタイムで識別するステップと、
ｊ）前記少なくとも１つの中央サーバにおいて、前記少なくとも１つの好ましい搬送サービス要求、好ましいと識別された前記少なくとも１つの自律車両、またはそれらの組合せを、リアルタイムまたはほぼリアルタイムで確保または取得するステップと、
ｋ）前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの確保または取得された好ましい搬送サービス要求をリアルタイムまたはほぼリアルタイムで送信するステップと、
ｌ）前記少なくとも１つのアプリケーションにおいて、前記少なくとも１つのアプリケーションと前記少なくとも１つの中央サーバとの間の前記少なくとも１つのリンクを介して、前記中央サーバから前記少なくとも１つの確保または取得された好ましい搬送サービス要求をリアルタイムまたはほぼリアルタイムで受信するステップと、を含み、
ｍ）好ましいと識別された前記少なくとも１つの自律車両は、前記少なくとも１つの確保または取得された好ましい搬送サービス要求に関連する前記少なくとも１つの搬送サービスを実行または提供し、前記少なくとも１つの自律車両の前記少なくとも１つのリアルタイムまたはほぼリアルタイムの地理的位置の全部または一部が更新または変更され、その間、前記少なくとも１つの中央サーバは、前記少なくとも１つの自律車両の前記少なくとも１つのオーナまたは前記少なくとも１つのコントローラによって停止されるまで、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組み合わせを、リアルタイムまたはほぼリアルタイムで繰り返し分析または評価し、次いで、好ましいと識別された前記少なくとも１つの自律車両のために、またはそれを基準に、前記少なくとも１つの後続のまたは追加の好ましい搬送サービス要求を確保または取得する、
方法。
【請求項１１７】
対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、少なくとも１つの異なるフォーマットで構造化され、少なくとも１つの一様なフォーマットに標準化または変換される、
請求項１１６に記載の方法。
【請求項１１８】
対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが、標準化されない、
請求項１１６に記載の方法。
【請求項１１９】
前記少なくとも１つの選択された選好が、前記少なくとも１つの自律車両の前記少なくとも１つのオーナまたは前記少なくとも１つのコントローラによって、前記少なくとも１つのアプリケーションまたは少なくとも１つのオーナアプリケーションまたはコントローラアプリケーションに提供または入力され、前記少なくとも１つのアプリケーション、前記少なくとも１つのオーナアプリケーションまたはコントローラアプリケーション、前記少なくとも１つの中央サーバの前記少なくとも１つのコンピュータ可読メモリ、またはそれらの組合せに格納またはキャッシュされる、
請求項１１６に記載の方法。
【請求項１２０】
前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せをフィルタリングする前の前記ステップＣ〜Ｇは任意の順序とすることができる、
請求項１１６に記載の方法。
【請求項１２１】
前記少なくとも１つの選択された選好、前記少なくとも１つの自律車両の前記少なくとも１つのリアルタイムまたはほぼリアルタイムの地理的位置の全部または一部、前記少なくとも１つの自律車両に関連する搬送データの全部または一部、またはそれらの組合せが、前記複数の搬送サービス要求の全部または一部、または前記少なくとも１つの自律車両に関連する搬送データの全部または一部をフィルタリングする前の任意の時点で、前記少なくとも１つの中央サーバに送信される、
請求項１１６に記載の方法。
【請求項１２２】
前記複数の搬送サービス要求の全部または一部または前記少なくとも１つの自律車両に関連する搬送データの全部または一部が、前記少なくとも１つの選択された選好および前記少なくとも１つの自律車両の前記少なくとも１つのリアルタイムまたはほぼリアルタイムの地理的位置の全部または一部に関してフィルタリングされ、前記複数のフィルタリングされた搬送サービス要求の全部または一部、または前記少なくとも１つの自律車両に関連するフィルタリングされた搬送データの全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項１１６に記載の方法。
【請求項１２３】
前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
前記少なくとも１つの選択された選好および前記少なくとも１つの自律車両の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの自律車両に関連する搬送データの全部または一部をリアルタイムまたはほぼリアルタイムで送信し、
前記少なくとも１つの選択された選好および前記少なくとも１つの自律車両の前記少なくとも１つのリアルタイムまたはほぼリアルタイムの地理的位置を使用して前記少なくとも１つの自律車両に関連する搬送データの全部または一部をリアルタイムまたはほぼリアルタイムでフィルタリングすることで、前記複数のフィルタリングされた搬送サービス要求の全部または一部を識別し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記複数の搬送サービス要求の全部または一部、または前記少なくとも１つの自律車両に関連する搬送データの全部または一部がリアルタイムまたはほぼリアルタイムでフィルタリングされ、または、前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別され、またはそれらの組合せが行われる、
請求項１２２に記載の方法。
【請求項１２４】
少なくとも１つのオーナアプリケーションまたはコントローラアプリケーション上で、
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記複数の搬送サービス要求の全部または一部をリアルタイムまたはほぼリアルタイムで送信し、
前記少なくとも１つの選択された選好および前記少なくとも１つの自律車両の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記少なくとも１つの自律車両に関連する搬送データの全部または一部をリアルタイムまたはほぼリアルタイムで送信し、
前記少なくとも１つの選択された選好および前記少なくとも１つの自律車両の前記少なくとも１つのリアルタイムまたはほぼリアルタイムの地理的位置を使用して前記少なくとも１つの自律車両に関連する搬送データの全部または一部をリアルタイムまたはほぼリアルタイムでフィルタリングすることで、前記複数のフィルタリングされた搬送サービス要求の全部または一部を識別し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記複数の搬送サービス要求の全部または一部、または前記少なくとも１つの自律車両に関連する搬送データの全部または一部がリアルタイムまたはほぼリアルタイムでフィルタリングされ、または、前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別され、またはそれらの組合せが行われる、
請求項１２２に記載の方法。
【請求項１２５】
前記複数の搬送サービス要求の全部または一部、前記少なくとも１つの自律車両に関連する搬送データの全部または一部、またはそれらの組合せをフィルタリングする際に、前記少なくとも１つの自律車両の前記少なくとも１つのリアルタイムまたはほぼリアルタイムの地理的位置以外の少なくとも１つの異なる地理的位置が使用される、
請求項１２２に記載の方法。
【請求項１２６】
前記複数の搬送サービス要求の全部または一部または前記少なくとも１つの自律車両に関連する搬送データの全部または一部が、前記少なくとも１つの選択された選好に関してフィルタリングされ、前記複数のフィルタリングされた搬送サービス要求の全部または一部、または前記少なくとも１つの自律車両に関連するフィルタリングされた搬送データの全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項１１６に記載の方法。
【請求項１２７】
前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
前記少なくとも１つの選択された選好を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの自律車両に関連する搬送データの全部または一部をリアルタイムまたはほぼリアルタイムで送信し、
前記少なくとも１つの選択された選好を使用して前記少なくとも１つの自律車両に関連する搬送データの全部または一部をリアルタイムまたはほぼリアルタイムでフィルタリングすることで、前記複数のフィルタリングされた搬送サービス要求の全部または一部を識別し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記複数の搬送サービス要求の全部または一部、または前記少なくとも１つの自律車両に関連する搬送データの全部または一部がリアルタイムまたはほぼリアルタイムでフィルタリングされ、または、前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別され、またはそれらの組合せが行われる、
請求項１２６に記載の方法。
【請求項１２８】
少なくとも１つのオーナアプリケーションまたはコントローラアプリケーション上で、
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記複数の搬送サービス要求の全部または一部をリアルタイムまたはほぼリアルタイムで送信し、
前記少なくとも１つの選択された選好を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記少なくとも１つの自律車両に関連する搬送データの全部または一部をリアルタイムまたはほぼリアルタイムで送信し、
前記少なくとも１つの選択された選好を使用して前記少なくとも１つの自律車両に関連する搬送データの全部または一部をリアルタイムまたはほぼリアルタイムでフィルタリングすることで、前記複数のフィルタリングされた搬送サービス要求の全部または一部を識別し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記複数の搬送サービス要求の全部または一部、または前記少なくとも１つの自律車両に関連する搬送データの全部または一部がリアルタイムまたはほぼリアルタイムでフィルタリングされ、または、前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別され、またはそれらの組合せが行われる、
請求項１２６に記載の方法。
【請求項１２９】
少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、前記少なくとも１つの選択された選好に関連する前記少なくとも１つの好ましい搬送サービス要求が、前記複数のフィルタリングされた搬送サービス要求の全部または一部から識別され、または、好ましいと識別された前記少なくとも１つの自律車両または前記少なくとも１つの選択された選好に関連する前記少なくとも１つの自律車両に関連する好ましい搬送データの全部または一部が、前記少なくとも１つの自律車両に関連するフィルタリングされた搬送サデータの全部または一部から識別され、又はそれらの組み合わせが行われる、
請求項１１６に記載の方法。
【請求項１３０】
前記少なくとも１つの選択された選好の少なくとも１つの加重平均が、
前記少なくとも１つの自律車両に関連するフィルタリングされた搬送データの全部または一部からの、前記少なくとも１つの自律車両または好ましいと識別された前記少なくとも１つの自律車両に関連する好ましい搬送データの全部または一部の識別、
前記複数のフィルタリングされた搬送サービス要求の全部または一部からの、前記少なくとも１つの好ましい搬送サービス要求の識別、
またはそれらの組合せの識別
に使用される、
請求項１２９に記載の方法。
【請求項１３１】
前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス要求の全部または一部をリアルタイムまたはほぼリアルタイムで送信し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの自律車両に関連する搬送データの全部または一部をリアルタイムまたはほぼリアルタイムで送信し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別される、
請求項１２９に記載の方法。
【請求項１３２】
少なくとも１つのオーナアプリケーションまたはコントローラアプリケーション上で、
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記複数のフィルタリングされた搬送サービス要求の全部または一部をリアルタイムまたはほぼリアルタイムで送信し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記少なくとも１つの自律車両に関連する搬送データの全部または一部をリアルタイムまたはほぼリアルタイムで送信し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別される、
請求項１２９に記載の方法。
【請求項１３３】
２つ以上の前記好ましい搬送サービス要求が、好ましいと識別された前記少なくとも１つの自律車両のために、またはそれを基準に、同時に確保または取得される、
請求項１１６に記載の方法。
【請求項１３４】
前記少なくとも１つのアプリケーション、少なくとも１つのオーナアプリケーションまたはコントローラアプリケーション、またはそれらの組合せが、前記少なくとも１つの中央サーバ上で動作する、
請求項１１６に記載の方法。
【請求項１３５】
対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバによって供給または提供される、
請求項１１６に記載の方法。
【請求項１３６】
前記少なくとも１つの外部サーバが、少なくとも１つの搬送業界セグメントで活動する、少なくとも１つのサービスプロバイダ、少なくとも１つの商品サプライヤ、少なくとも１つのフリートマネージャ、前記少なくとも１つのオーナまたは前記少なくとも１つの自律車両の前記少なくとも１つのコントローラ、少なくとも１つのロジスティクスプロバイダ、少なくとも１つのロジスティクスサプライヤ、またはそれらの組合せによって操作、制御、または管理される、
請求項１３５に記載の方法。
【請求項１３７】
前記少なくとも１つの後続のまたは追加の好ましい搬送サービス要求が、好ましいと識別された前記少なくとも１つの自律車両のために、またはそれを基準に、少なくとも１つの異なる搬送業界セグメントにおいて確保または取得される、
請求項１１６に記載の方法。
【請求項１３８】
前記少なくとも１つの自律車両の前記少なくとも１つのオーナまたは前記少なくとも１つの制御装置が、少なくとも１つの搬送業界セグメントで活動する、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せである、
セグメント請求項１１６に記載の方法。
【請求項１３９】
前記少なくとも１つの中央サーバ、前記少なくとも１つのアプリケーション、少なくとも１つのオーナアプリケーションまたはコントローラアプリケーション、またはそれらの組合せが、
前記少なくとも１つの好ましい搬送サービス要求以外の少なくとも１つの異なる搬送サービス要求、または
好ましいと識別された前記少なくとも１つの自律車両以外の少なくとも１つの異なる自律車両
を提案または推奨する、
請求項１１６に記載の方法。
【請求項１４０】
対応する搬送データが関連付けられた前記少なくとも１つの好ましい搬送サービス要求が、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのアプリケーションと前記少なくとも１つの中央サーバとの間の少なくとも１つのリンクを介して前記少なくとも１つのアプリケーションと前記少なくとも１つの中央サーバとの間でリアルタイムまたはほぼリアルタイムで送信され、リアルタイムで更新される、
請求項１１６に記載の方法。
【請求項１４１】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのアプリケーションと前記少なくとも１つの外部サーバとの間の少なくとも１つのリンクを介して、前記少なくとも１つのアプリケーションと前記少なくとも１つの外部サーバとの間でリアルタイムまたはほぼリアルタイムで送信され、リアルタイムまたはほぼリアルタイムで更新される、
請求項１１６に記載の方法。
【請求項１４２】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つの中央サーバと前記少なくとも１つの外部サーバとの間の少なくとも１つのリンクを介して前記少なくとも１つの中央サーバと前記少なくとも１つの外部サーバとの間でリアルタイムまたはほぼリアルタイムで送信され、リアルタイムまたはほぼリアルタイムで更新される、
請求項１１６に記載の方法。
【請求項１４３】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つの中央サーバとの間の少なくとも１つのリンクを介して、前記少なくとも１つのオーナアプリケーションまたはコントローラアプリケーションと前記少なくとも１つの中央サーバとの間でリアルタイムまたはほぼリアルタイムで送信され、リアルタイムまたはほぼリアルタイムで更新される、
請求項１１６に記載の方法。
【請求項１４４】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つの外部サーバとの間の少なくとも１つのリンクを介して前記少なくとも１つのオーナアプリケーションまたはコントローラアプリケーションと前記少なくとも１つの外部サーバとの間でリアルタイムまたはほぼリアルタイムで送信され、リアルタイムまたはほぼリアルタイムで更新される、
請求項１１６に記載の方法。
【請求項１４５】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つのアプリケーションとの間の少なくとも１つのリンクを介して、前記少なくとも１つのオーナアプリケーションまたはコントローラアプリケーションと前記少なくとも１つのアプリケーションとの間でリアルタイムまたはほぼリアルタイムで送信され、リアルタイムまたはほぼリアルタイムで更新される、
請求項１１６に記載の方法。
【請求項１４６】
前記少なくとも１つの自律車両に関連する搬送データの全部または一部、前記少なくとも１つの自律車両に関連するフィルタリングされた搬送データの全部または一部、前記少なくとも１つの自律車両に関連する好ましい搬送データの全部または一部、前記複数の搬送サービス要求の全部または一部、前記複数のフィルタリングされた搬送サービス要求の全部または一部、前記少なくとも１つの好ましい搬送サービス要求、またはそれらの組合せが、好ましいと識別される前記少なくとも１つの自律車両または前記少なくとも１つの好ましい搬送サービス要求を確保または取得する前に、任意の順序でフィルタリングされ好ましいと識別される、
請求項１１６に記載の方法。
【請求項１４７】
前記少なくとも１つの中央サーバまたは前記少なくとも１つの外部サーバの少なくとも１つの機能が、前記少なくとも１つのアプリケーション、少なくとも１つのオーナアプリケーションまたはコントローラアプリケーション、またはそれらの組合せによって実行される、
請求項１１６に記載の方法。
【請求項１４８】
前記複数の搬送サービス要求が、１つの搬送サービス要求である、
請求項１１６に記載の方法。
【請求項１４９】
前記複数のフィルタリングされた搬送サービス要求が、１つのフィルタリングされた搬送サービス要求である、
請求項１１６に記載の方法。
【請求項１５０】
前記少なくとも１つの自律車両の前記少なくとも１つのオーナまたは前記少なくとも１つのコントローラが、
好ましいと識別された前記少なくとも１つの自律車両以外の、フィルタリングされた前記少なくとも１つの自律車両、
前記少なくとも１つの好ましい搬送サービス要求以外の少なくとも１つの前記フィルタリングされた搬送サービス要求、
またはそれらの組合せ
を確保または取得する、
請求項１１６に記載の方法。
【請求項１５１】
前記少なくとも１つの好ましい搬送サービス要求、少なくとも１つの搬送クライアント、またはそれらの組合せが、少なくとも１つの搬送業界セグメントで活動する、好ましいと識別された前記少なくとも１つの自律車両のために、またはそれを基準に、確保または取得される、
請求項１１６に記載の方法。
【請求項１５２】
前記少なくとも１つの自律車両の前記少なくとも１つのリアルタイムまたはほぼリアルタイムの地理的位置の全部または一部が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、リアルタイムまたはほぼリアルタイムで識別または更新される、
請求項１１６に記載の方法。
【請求項１５３】
前記少なくとも１つの後続のまたは追加の好ましい搬送サービス要求が、好ましいと識別された前記少なくとも１つの自律車両のために、またはそれを基準に、確保または取得され、少なくとも１つの搬送サービスを実行する少なくとも１つの指令がリアルタイムまたはほぼリアルタイムで更新または変更される、
請求項１１６に記載の方法。
【請求項１５４】
前記少なくとも１つのアプリケーション、少なくとも１つのオーナアプリケーションまたはコントローラアプリケーション、またはそれらの組合せの少なくとも１つの機能が、前記少なくとも１つの中央サーバまたは前記少なくとも１つの外部サーバによって実行される、
請求項１１６に記載の方法。
【請求項１５５】
前記少なくとも１つの自律車両に関連する搬送データの全部または一部が、前記少なくとも１つの自律車両または前記少なくとも１つの選択された選好に関連して好ましいと識別された前記少なくとも１つの自律車両に関連する好ましい搬送データの全部または一部として、前記少なくとも１つの自律車両に関連する搬送データの全部または一部として、前記少なくとも１つの自律車両の前記少なくとも１つのリアルタイムまたはほぼリアルタイムの地理的位置として、またはそれらの組合せとして、フィルタリングおよび識別され、確保または取得される、
請求項１１６に記載の方法。
【請求項１５６】
ステップＨ〜Ｌにおけるように、前記少なくとも１つの好ましい搬送サービス要求を、フィルタリングし、好ましくは識別し、そして確保または取得するプロセスの少なくとも１つが、好ましいと識別された前記少なくとも１つの自律車両をフィルタリングし、好ましくは識別し、そして確保または取得するために、前記少なくとも１つの選択された選好とともに使用される、
請求項１１６に記載の方法。
【請求項１５７】
前記少なくとも１つの好ましい搬送サービス要求を確保または取得する少なくとも１つのプロセスが、好ましいと識別された前記少なくとも１つの自律車両を確保または取得するために、前記少なくとも１つの選択された選好とともに使用される、
請求項１１６に記載の方法。
【請求項１５８】
少なくとも１つの代理人が、前記少なくとも１つの自律車両に関連する前記少なくとも１つの搬送サービスの全部または一部を提供または実行する、
請求項１１６に記載の方法。
【請求項１５９】
前記少なくとも１つの自律車両の前記少なくとも１つのオーナまたは前記少なくとも１つのコントローラが、前記少なくとも１つの搬送サービスを実行するのに好ましいと識別された前記少なくとも１つの自律車両のために、またはそれを基準に、前記少なくとも１つの好ましい搬送サービス要求を確保または取得する、
請求項１１６に記載の方法。
【請求項１６０】
前記少なくとも１つのアプリケーションまたは少なくとも１つのオーナアプリケーションまたはコントローラアプリケーションが、前記少なくとも１つの好ましい搬送サービス要求、好ましいと識別された前記少なくとも１つの自律車両、またはそれらの組合せを確保または取得する、
請求項１１６に記載の方法。
【請求項１６１】
前記少なくとも１つの自律車両の前記少なくとも１つのオーナまたは前記少なくとも１つのコントローラが、少なくとも１つのオーナアプリケーションまたはコントローラアプリケーションまたは前記少なくとも１つのアプリケーションを使用して、前記少なくとも１つの好ましい搬送サービス要求、好ましいと識別された前記少なくとも１つの自律車両、またはそれらの組合せを確保または取得する、
請求項１１６に記載の方法。
【請求項１６２】
対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションまたは前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージサービス、または少なくとも１つの拡張メッセージサービスで表示される、
請求項１６１に記載の方法。
【請求項１６３】
前記少なくとも１つの自律車両の前記少なくとも１つのオーナまたは前記少なくとも１つのコントローラが、前記少なくとも１つの好ましい搬送サービス要求、好ましいと識別された前記少なくとも１つの自律車両、またはそれらの組合せを、受諾するか、または拒否する、
請求項１６２に記載の方法。
【請求項１６４】
前記少なくとも１つの自律車両の前記少なくとも１つのオーナまたは前記少なくとも１つのコントローラが、前記少なくとも１つの好ましい搬送サービス要求または好ましいと識別された前記少なくとも１つの自律車両を拒否すると、
少なくとも１つの新しいまたは異なる好ましい搬送サービス要求、
好ましいと識別された少なくとも１つの新しいまたは異なる自律車両、
またはそれらの組合せ
が識別され、表示される、
請求項１６３に記載の方法。
【請求項１６５】
前記少なくとも１つの中央サーバが、前記少なくとも１つの自律車両に関連付けられた前記少なくとも１つの端末上に位置する、
請求項１１６に記載の方法。
【請求項１６６】
前記少なくとも１つのアプリケーション、少なくとも１つのオーナアプリケーションまたはコントローラアプリケーション、前記少なくとも１つの自律車両、前記少なくとも１つの端末、前記少なくとも１つの中央サーバ、前記少なくとも１つの外部サーバ、少なくとも１つのリンク、またはそれらの組合せが結合または統合された、
請求項１１６に記載の方法。
【発明の詳細な説明】
【技術分野】
【０００１】
＜関連出願および／または優先権の主張＞
本出願は、２０１８年７月１８日に出願された米国実用特許出願第１６／０３８，４８７号、２０１７年８月１８日に出願された米国実用特許出願第１５／６８０，４３９号、２０１７年８月１３日に出願された米国実用特許出願第１５／６７５，７５７号、及び２０１７年８月１日に出願された米国仮特許出願第６２／５３９，７０６号に対する優先権の利益を主張するものであり、これらの出願は、全ての目的のために、その全体が参照により本明細書に組み込まれる。
【０００２】
本発明は、概して、搬送業界セグメントにおけるインタラクティブリアルタイムシステムおよびリアルタイム使用方法の分野に関する。
【背景技術】
【０００３】
どの新しい業界または業界セグメントにおいても、創造した時点では、関連するシステムおよび方法を最適化する方法に関する十分なデータまたは知識が事前に存在しないために、関連するシステムおよび方法には、通常、複数の非効率な点がある。これらの非効率な点は、通常は、試行錯誤によって時間とともに識別され、この分野における技術的進歩につながる。同じことが、搬送業界、ならびに、ライドヘイル（ｒｉｄｅ−ｈａｉｌ）業界セグメント、ライドシェア（ｒｉｄｅ−ｓｈａｒｅ）業界セグメント、商品配達業界セグメントおよび宅配便業界セグメントを含むがこれらに限定されない、多くの新しい搬送業界セグメントについて言える。
【０００４】
搬送業界セグメントで利用可能な現在の非効率的なシステムおよび方法は、以下ではサービスプロバイダと呼ぶ企業またはエンティティ自体、ならびにサービスプロバイダのためにサービスを実行する代理人に不利益をもたらす。また、現在のところ、サービスプロバイダおよび自律車両のオーナまたはコントローラの両方にとって、自律車両を使用して搬送サービスを効率的に利用、派遣、および／または提供または実行するのは困難であり課題もある。
【０００５】
搬送業界セグメントで使用される現在のシステムおよび方法に関連する問題は、コンピュータ技術に根ざしており、近年の搬送業界セグメントがリアルタイムまたはほぼリアルタイムで活動し大幅に変化しているという事実も関係している。搬送業界セグメントは、搬送サービス要求がある瞬間においては存在していても次の瞬間には無くなっているという点で、リアルタイムまたはほぼリアルタイムの環境である。リアルタイムまたはほぼリアルタイムの搬送業界セグメントでは、代理人は、十分な情報に基づいた決定を大急ぎで行うために、リアルタイムまたはほぼリアルタイムの情報の全部または大部分を入手し、この情報を正確に分析または評価することができない。現在のところ、この種の分析において代理人を支援することができるリアルタイムまたはほぼリアルタイムのシステムやリアルタイムまたはほぼリアルタイムの方法は存在しない。リアルタイムまたはほぼリアルタイムのシステムやリアルタイムまたはほぼリアルタイムの方法が欠如していると、自身の選好を適用することができないため、代理人が、最適でない、汎用的な搬送サービス要求を確保または取得することにつながってしまう。
【０００６】
現在のところ、ライドヘイル業界セグメントにおいてライドサービス要求を取得する代理人は、所与の搬送サービス要求がどのサービスプロバイダからのものであるか、および搬送サービス要求をいつ確保または取得するかによって、全く異なるライドオプション、価格、待ち時間、および目的地までの時間の搬送サービス要求が確保または取得され得る。しかしながら、代理人には、受諾または拒否できる搬送サービス要求が、たった１つのサービスプロバイダからたった１つしか与えられない。現在のころ、搬送サービス要求に代理人を派遣または割り当てるためのシステムや方法は不十分である。したがって、本発明が取り上げるニーズが存在する。
【０００７】
代理人が受信した搬送サービス要求を分析または評価するための現在のシステムおよび方法は、ペースが速いリアルタイムまたはほぼリアルタイムの搬送業界セグメントの環境においては、非常に難しく時間がかかりすぎる。現在の技術では、代理人は、搬送サービス要求を分析または評価してから代理人の個々の選好に基づいて希望する搬送サービス要求を確保または取得することはできない。現在のところ、代理人には、代案なしで１つの搬送サービス要求が与えられ、代理人は、その特定の搬送サービス要求を受諾するかまたは拒否する選択肢しかない。通常、代理人が確保または取得しようとしている搬送サービス要求の詳細は、事前には提供されず、その搬送サービス要求が確保または取得されて初めて明らかになる。代理人は、提供する搬送サービスの詳細を知らずに、搬送サービス要求を確保または取得するかまたは仕事を受けないかを選択しなければならない。
【０００８】
さらに、代理人は、選択肢が与えられていたらそもそも確保または取得しなかったであろう搬送サービス要求であったとしても、遂行したくない搬送サービス要求をキャンセルすると罰せられる。とりわけ、この欠点が、同時に２以上のサービスプロバイダのために働いている代理人に対してうわべだけの選択肢を与えるという一般的なやり方につながっている。しかしながら、この分析または評価方法は、非常に骨の折れる時間のかかるプロセスであり、搬送業界セグメントのリアルタイムまたはほぼリアルタイムな環境においては有用でも実用的でもない。
【０００９】
搬送サービス要求を分析または評価するために、代理人は、異なるサービスプロバイダからの複数のアプリケーションにログインし、アプリケーションごとに個々の搬送サービス要求を見ながら、これらのアプリケーション間を移動する必要がある。このような方法で搬送サービス要求を分析または評価するには多くの時間を要するため、リアルタイムまたはほぼリアルタイムの環境であるがために、代理人が好ましいと考える搬送サービス要求を代理人が見逃す可能性がある。現在のところ、代理人がリアルタイムまたはほぼリアルタイムで搬送サービス要求を分析または評価するためのツールとして使用することができるシステムや方法はない。
【００１０】
代理人は、現在のところ、従来のシステムや方法を考慮すると、リアルタイムまたはほぼリアルタイムで２つ以上のサービスプロバイダからの搬送サービス要求を分析または評価することができず、搬送業界セグメントが他のすべての面においてリアルタイムまたはほぼリアルタイムで活動している場合にもどかしいく感じる障害である。リアルタイムまたはほぼリアルタイムで連続的に搬送サービス要求を分析または評価する方法がないため、代理人は、現在のところ、あまり好ましくない搬送サービス要求を確保または取得せざるを得ないため、代理人が望むほど効率的に彼らの利益や仕事を最大化することができない。代理人には一度に１つの搬送サービス要求しか提供されないため、好ましい搬送サービス要求を確保または取得するために、代理人は、それほど好ましくない搬送サービス要求を断って、より好ましい搬送サービス要求が利用可能になるのを待たなければならない場合がある。このような搬送業界セグメントにおけるシステムや方法の現時点での限界を考慮すると、より効率的に働くことを望む代理人も効率的に働くことができない。
【００１１】
また、現在のところ、２つ以上の搬送業界セグメントにわたってリアルタイムまたはほぼリアルタイムで搬送サービス要求を分析または評価して確保または取得するシステムや方法は存在しない。このようなリアルタイムまたはほぼリアルタイムのシステムやリアルタイムまたはほぼリアルタイムの方法の欠如は、代理人が２つ以上の搬送業界セグメントにおいて搬送サービスを提供することを望む場合に、代理人の搬送業界への進出およびより効率的に活動する能力をさらに制限する。加えて、現時点での制限は、代理人が利用可能な潜在的に好ましい搬送サービス要求の量も減少させる。現在のところ、代理人が、ライドヘイル業界セグメントにおいてライドを提供し、そして、搬送サービス要求が近接している商品配達業界セグメントにおいて食品を配達したい場合に、代理人は、これらの好ましい搬送サービス要求をリアルタイムまたはほぼリアルタイムで分析または評価して確保または取得する能力を得ることができない。代理人がそうすることを可能にするシステムや方法があれば、代理人はより多くの多様な搬送サービス要求にアクセスすることができるようになり、代理人に搬送業界内で搬送サービスを提供する際の更なる柔軟性を与えることができる。本発明の１つの限定を目的としない態様は、代理人のためにこの問題を解決する。
【００１２】
現在のところ、リアルタイムまたはほぼリアルタイムで連続的に搬送サービス要求を分析または評価し、好ましくは、代理人が搬送サービスを実行している間に、後続のまたは追加の好ましい搬送サービス要求を確保または取得することができるシステム、方法、または製品は存在しない。加えて、代理人のために、リアルタイムまたはほぼリアルタイムで、自動的に分析または評価し、次いで２つ以上の好ましい搬送サービス要求を同時に確保または取得するために利用可能な技術は存在しない。また、既存の技術では、リアルタイムまたはほぼリアルタイムで、追加のまたは後続の好ましい搬送サービス要求を自動的に分析または評価し、次いで確保または取得することはできない。代理人の意思決定能力は、現在の技術水準をもってしても限定されている。現在のところ、好ましい搬送サービス要求でさえも、一度に１つの搬送サービス要求しか確保または取得することができない。代理人は、搬送サービス完了後にしか、新しい搬送サービス要求を手動で確保または取得することができない。
【００１３】
また、搬送業界セグメントにおいて搬送サービス要求を確保または取得する現在のシステムおよび方法は、代理人、搬送クライアント、およびそれらの周りの人々にとって安全ではない可能性がある。１つの搬送サービスを次々に提供する代理人は、しばしば、より効率的に活動するために、運転しながら、偽分析を実行しようとするか、または単に次の搬送サービス要求を受諾しようとする。現在のところ、このタイプの分析を行うことができる唯一の方法は、次に利用可能な搬送サービス要求が見つかることを期待して、異なるアプリケーションを開く方法である。その結果、代理人は、道路や周囲から目を離してしまうため、事故に遭う確率が大幅に高まってしまう。州によっては、運転中にモバイル機器を操作することは違法である。既存の技術には、リアルタイムまたはほぼリアルタイムで代理人のためにこのタイプの分析を実行し、次いで代理人のために好ましい搬送サービス要求を確保または取得する能力はない。本発明は、代理人が次に好ましい搬送サービス要求を見つけるために彼らのモバイル機器に気を取られることがないため、代理人が手持ちの搬送サービスを提供することに集中することを可能にする。
【００１４】
現在のところ、代理人には、一度に１つの搬送サービス要求が割り当てられるかまたは提供され、この搬送サービス要求は、いかなる詳細も知らずに無思慮に受諾するかまたは拒否することができる。このプロセスは、搬送サービス要求を代理人に提示する有用な方法ではない。
【００１５】
現在のところ、いくつかのサービスプロバイダは、さまざまな理由で、あるエリアで動的に価格を上げている。より効率的に仕事をしようとするか、より多くのお金を稼ぎたいと考える代理人は、できるだけこれらのエリアで仕事をしようとする。問題は、代理人が高価格設定エリアに到着するまでに、高い価格設定が移動するかまたはなくなることである。代理人は、高価格設定エリアを追いかけるという難題を経験するが、通常は、そこに投資する機会はない。その結果、一部の代理人は、高価格設定エリアを追跡することを断念している。現在のところ、代理人が、収益性を最大化するために、どこが高価格設定エリアになるかを予測または推定するのに使用することができるシステムや方法はない。
【００１６】
連続して実行する複数の搬送サービス要求を分析または評価することで、巡回販売員問題または動的巡回販売員問題として知られる状況が生み出される。この解析または評価の問題は、確保または取得される新しいまたは追加の搬送サービス要求がリアルタイムまたはほぼリアルタイムで利用可能になった場合にさらに複雑になる。本発明の１つの限定を目的としない態様は、この問題を解決する。
【００１７】
本明細書で説明する代理人に関連する多くの問題は、自律車両、および自律車両のオーナまたはコントローラにも関連している場合がある。
【００１８】
また、サービスプロバイダは、搬送業界セグメントで現在使用されている非効率的なシステムおよび方法のために、不利な状況に置かれている。サービスプロバイダにとっての現時点での最大の問題は、搬送サービスを提供する代理人が不足していることである。上述したように、代理人は、異なるサービスプロバイダ間を随意に移動する。そのため、サービスプロバイダには、搬送サービスを提供するための代理人の安定した供給がない。自律車両がより一般的になるにつれて、サービスプロバイダは、代理人の不足を補うために自律車両を使用することによって、この問題に対する解決策を見出せると考える。
【００１９】
サービスプロバイダが自律車両で代理人の不足を補う場合、車両ルーティング問題や車両派遣問題といった他の問題が一般的になる。既存の技術には、自律車両のために分析または評価して好ましい搬送サービス要求を確保または取得する能力は無い。現在のところ、リアルタイムまたはほぼリアルタイムで連続的に搬送サービス要求を自動的に分析または評価することができ、好ましくは、自律車両が搬送サービスを実行している間に、後続のまたは追加の好ましい搬送サービス要求を確保または取得することができるシステム、方法、または製品は存在しない。自律車両またはサービスプロバイダのオーナまたはコントローラの意思決定能力は、現在の技術水準をもってしても限定されている。本発明の１つの限定を目的としない態様は、この問題を解決する。
【００２０】
現在のところ、サービスプロバイダは、代理人を介して労働を外部委託しているが、多くの問題が生じている。限定はしないが、賃金、医療保険、休暇手当、保険、利益分配、タクシー許可、車両資格、車両保守、および業界文化に関する議論がすべて起きており、多くの混乱を引き起こしている。サービスプロバイダは、これらの課題のいくつかに対処して利益を増加させるために自律車両を使用することができるが、自律車両を運搬業界セグメントに組み込むかまたは利用するための効率的なシステムや方法が必要となる。
【００２１】
自律車両がより一般的になった場合、自律車両のオーナは、オーナによって使用されていない間は少なくとも１つの搬送業界セグメントで活動するように、自らの車両を登録することができる。自律車両は、オーナが勤務している間８時間駐車場に留まらせるのではなく、その間にオーナのために少なくとも１つの搬送業界セグメントにおいて収入を生み出すとともに、サービスプロバイダのために利用可能な代理人の不足を補うことに使用することができる。本発明の１つの限定を目的としない態様は、この問題を解決する。
【００２２】
自律車両のオーナまたはコントローラが直面する別の問題は、搬送サービスの実行または提供を容易にするシステムに自律車両をどのように登録または採用するかである。さらに、現在のところ、自律車両は、複数の搬送業界セグメントで活動させることができない。加えて、自律車両は、搬送サービスを容易にするために、複数のサービスプロバイダによって使用されることも、複数のサービスプロバイダと契約することもできない。本発明の少なくとも１つの限定を目的としない態様は、この問題を解決する。
【発明の概要】
【００２３】
本発明は、商品及びサービスのためのインタラクティブな搬送業界において、より効率的なシステムに対する長年の要望があることを認識している。
【００２４】
本発明の第１の態様は、一般に、搬送業界およびその他の業界におけるインタラクティブシステムに関する。
【００２５】
本発明の第２の態様は、一般に、本発明のインタラクティブシステムの使用方法に関する。
【図面の簡単な説明】
【００２６】
【図１】図１は、少なくとも１つの代理人２が利益を得ることができる、マクロ的な視点での、全体的または部分的に自動化された代理人自動化プラットフォーム１３としての、本発明の１つの限定を目的としない態様の好ましい例に関する。搬送サービス要求１５は、少なくとも１つの外部サーバ１０から供給することができ、少なくとも１つのリンク８を介して中央サーバ９に送信することができる。少なくとも１つのサービスプロバイダ５を、少なくとも１つの外部サーバ１０に関連付けることができる。この限定を目的としない図では、各サービスプロバイダ５は、１つの外部サーバ１０に関連付けられている。中央サーバ９は、少なくとも１つの代理人選好１８、および好ましくは少なくとも１つの代理人２のリアルタイムまたはほぼリアルタイムの地理的位置を使用することによって、搬送サービス要求１５をフィルタリングされた搬送サービス要求１６にフィルタリングすることができる。中央サーバ９は、少なくとも１つの代理人選好１８の加重平均を計算することができる。中央サーバ９は、好ましくは、少なくとも１つの好ましい搬送サービス要求１７を識別するために、フィルタリングされた搬送サービス要求１６を、対応する加重平均に関連する順序にソートすることができる。少なくとも１つの好ましい搬送サービス要求１７は、最も高い加重平均を有するフィルタリングされた搬送サービス要求１６から、中央サーバ９によって識別することができる。少なくとも１つの好ましい搬送サービス要求１７は、中央サーバ９によって確保または取得することができる。少なくとも１つの確保または取得された好ましい搬送サービス要求１７は、少なくとも１つのリンク８を介して中央サーバ９から少なくとも１つのアプリケーション６に送信することができる。少なくとも１つのアプリケーション６は、少なくとも１つの端末７上で動作することができる。少なくとも１つの確保または取得された好ましい搬送サービス要求１７は、少なくとも１つのアプリケーション６上に表示することができる。代理人自動化プラットフォーム１３は、少なくとも１つの代理人２によってプロセスが停止されるまで、少なくとも１つの代理人２が少なくとも１つの確保または取得された好ましい搬送サービス要求１７に関連する少なくとも１つの搬送サービスを実行している間に、少なくとも１つの後続のまたは追加の好ましい搬送サービス要求１７を、リアルタイムまたはほぼリアルタイムで連続的に分析または評価し、次いで、好ましくは確保または取得することができる。少なくとも１つのリンク８は、少なくとも１つのアプリケーション６、少なくとも１つの端末７、少なくとも１つの中央サーバ９、少なくとも１つの外部サーバ１０、またはそれらの組み合わせに関連する少なくとも１つのソフトウェア機能または少なくとも１つのソフトウェアコンポーネントとの少なくとも１つの接続または少なくとも１つの関連付けであり得る。
【図２】図２は、代理人２が利益を得ることができる、マクロ的な視点での、全体的または部分的に自動化された代理人自動化プラットフォーム１３としての、本発明の１つの限定を目的としない態様の好ましい例に関する。個々の搬送サービス要求１５は、個々の搬送クライアント１Ａ、１Ｂ、１Ｃ、１Ｄ、１Ｅ、および１Ｆによって提出され得る。個々の搬送サービス要求１５は、図中の個々の搬送クライアント１のそれぞれに対応する。搬送サービス要求１５Ａおよび１５Ｂは、搬送クライアント１Ａおよび１Ｂによって、サービスプロバイダ５Ａに関連付けられた外部サーバ１０Ａに提出される。搬送サービス要求１５Ｃおよび１５Ｄは、搬送クライアント１Ｃおよび１Ｄによって、サービスプロバイダ５Ｂに関連付けられた外部サーバ１０Ｂに提出される。搬送サービス要求１５Ｅおよび１５Ｆは、搬送クライアント１Ｅおよび１Ｆによって、サービスプロバイダ５Ｃに関連付けられた外部サーバ１０Ｃに提出される。各サービスプロバイダ５は、少なくとも１つの外部サーバ１０を有することができる。  中央サーバ９は、搬送サービス要求１５を受信し、次いで、少なくとも１つの代理人選好１８、および、好ましくは、代理人２のリアルタイムまたはほぼリアルタイムの地理的位置を使用することによって、搬送サービス要求１５をフィルタリングされた搬送サービス要求１６にフィルタリングすることができる。中央サーバ９は、少なくとも１つの代理人選好１８の加重平均を計算することができる。中央サーバ９は、好ましくは、少なくとも１つの好ましい搬送サービス要求１７を識別するために、フィルタリングされた搬送サービス要求１６を、対応する加重平均に関連する順序にソートすることができる。少なくとも１つの好ましい搬送サービス要求１７は、中央サーバ９によって、最も高い加重平均を有するフィルタリングされた搬送サービス要求１６から識別することができる。  中央サーバ９は、搬送サービス要求１５を分析または評価し、次いで、少なくとも１つの好ましい搬送サービス要求１７を確保または取得することができる。少なくとも１つの確保または取得された好ましい搬送サービス要求１７は、少なくとも１つのリンク８を介して中央サーバ９からアプリケーション６に送信することができる。アプリケーション６は、端末７上で動作することができ、少なくとも１つの確保または取得された好ましい搬送サービス要求１７を表示することができる。この限定を目的としない図では、代理人２は、代理人自動化プラットフォーム１３とともに視覚的表現１２を使用して、少なくとも１つの搬送クライアント１または少なくとも１つの好ましい搬送サービス要求１７が地理的にどこに位置するかを視覚的に分析または評価することができる。代理人自動化プラットフォーム１３は、代理人２によってプロセスが停止されるまで、代理人２が少なくとも１つの確保または取得された好ましい搬送サービス要求１７に関連する少なくとも１つの搬送サービスを実行している間に、リアルタイムまたはほぼリアルタイムで、連続的に、少なくとも１つの後続のまたは追加の好ましい搬送サービス要求１７を分析または評価し、次いで、好ましくは確保または取得することができる。  少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。少なくとも１つのリンクは、少なくとも１つの代理人２に関連付けられた少なくとも１つの端末７上の、少なくとも１つのアプリケーション６、少なくとも１つの中央サーバ９、少なくとも１つの外部サーバ１０、またはそれらの組合せとの少なくとも１つの接続または少なくとも１つの関連付けであり得る。
【図３】図３は、代理人２が利益を得ることができる、例示的な方法におけるステップの好ましいが必須ではない順序でのフローチャートとしての、本発明の１つの限定を目的としない態様の好ましい例に関する。このフローチャートは、少なくとも１つの好ましい搬送サービス要求１７の分析または評価を行い、次いで確保または取得する際に、全体的にまたは部分的に自動化された代理人自動化プラットフォーム１３が代理人２をどのように支援することができるかについてのステップを説明するものである。少なくとも１つの好ましい搬送サービス要求１７を確保または取得した後、全体的にまたは部分的に自動化された代理人自動化プラットフォーム１３は、リアルタイムまたはほぼリアルタイムで搬送サービス要求１５を連続的に分析または評価することができ、次いで、好ましくは、代理人２が少なくとも１つの搬送サービスを実行している間に、少なくとも１つの後続のまたは追加の好ましい搬送サービス要求１７を確保または取得することができる。少なくとも１つのリンクは、少なくとも１つのアプリケーション６、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図４】図４は、少なくとも１つの自律車両４の少なくとも１つのオーナまたは少なくとも１つのコントローラが利益を得ることができる、マクロ的な視点での、全体的にまたは部分的に自動化された自律車両自動化プラットフォーム１４としての、本発明の１つの限定を目的としない態様の好ましい例に関する。搬送サービス要求１５は、少なくとも１つの外部サーバ１０から供給することができ、少なくとも１つのリンク８を介して中央サーバ９に送信することができる。少なくとも１つのサービスプロバイダ５を、少なくとも１つの外部サーバ１０に関連付けることができる。この限定を目的としない図では、各サービスプロバイダ５は、１つの外部サーバ１０に関連付けられている。中央サーバ９は、少なくとも１つの選択された選好１９、および、好ましくは、少なくとも１つの自律車両３のリアルタイムまたはほぼリアルタイムの地理的位置を使用することによって、搬送サービス要求１５をフィルタリングされた搬送サービス要求１６にフィルタリングすることができる。中央サーバ９は、少なくとも１つの選択された選好１９の加重平均を計算することができる。中央サーバ９は、好ましくは、少なくとも１つの好ましい搬送サービス要求１７を識別するために、フィルタリングされた搬送サービス要求１６を、対応する加重平均に関連する順序にソートすることができる。少なくとも１つの好ましい搬送サービス要求１７は、最も高い加重平均を有するフィルタリングされた搬送サービス要求１６から、中央サーバ９によって識別することができる。少なくとも１つの好ましい搬送サービス要求１７は、中央サーバ９によって確保または取得することができる。少なくとも１つの確保または取得された好ましい搬送サービス要求１７は、少なくとも１つのリンク８を介して中央サーバ９から少なくとも１つのアプリケーション６に送信することができる。少なくとも１つのアプリケーション６は、少なくとも１つの自律車両３に関連付けられた少なくとも１つの端末７上で動作することができる。自律車両自動化プラットフォーム１４は、少なくとも１つの自律車両３が少なくとも１つの確保または取得された好ましい搬送サービス要求１７に関連する少なくとも１つの搬送サービスを実行している間に、少なくとも１つの自律車両４の少なくとも１つのオーナまたは少なくとも１つのコントローラによってプロセスが停止されるまで、リアルタイムまたはほぼリアルタイムで、連続的に、少なくとも１つの後続のまたは追加の好ましい搬送サービス要求１７を分析または評価し、次いで、好ましくは、確保または取得することができる。少なくとも１つのリンク８は、少なくとも１つのアプリケーション６、少なくとも１つのオーナアプリケーションまたはコントローラアプリケーション、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図５】図５は、自律車両のオーナまたはコントローラ４が利益を得ることができる、マクロ的な視点での、全体的または部分的に自動化された自動車自動化プラットフォーム１４としての、本発明の１つの限定を目的としない態様の好ましい例に関する。個々の搬送サービス要求１５は、個々の搬送クライアント１Ａ、１Ｂ、１Ｃ、１Ｄ、１Ｅ、および１Ｆによって提出され得る。個々の搬送サービス要求１５は、図中の個々の搬送クライアント１のそれぞれに対応する。搬送サービス要求１５Ａおよび１５Ｂは、搬送クライアント１Ａおよび１Ｂによって、サービスプロバイダ５Ａに関連する外部サーバ１０Ａに提出される。搬送サービス要求１５Ｃおよび１５Ｄは、搬送クライアント１Ｃおよび１Ｄによって、サービスプロバイダ５Ｂに関連する外部サーバ１０Ｂに提出される。搬送サービス要求１５Ｅおよび１５Ｆは、搬送クライアント１Ｅおよび１Ｆによって、サービスプロバイダ５Ｃに関連する外部サーバ１０Ｃに提出される。各サービスプロバイダ５は、少なくとも１つの外部サーバ１０を有することができる。  中央サーバ９は、搬送サービス要求１５を受信し、次いで、少なくとも１つの選択された選好１９、および、好ましくは、自律車両３のリアルタイムまたはほぼリアルタイムの地理的位置を使用することによって、搬送サービス要求１５をフィルタリングされた搬送サービス要求１６にフィルタリングすることができる。中央サーバ９は、少なくとも１つの選択された選好１９の加重平均を計算することができる。中央サーバ９は、好ましくは、少なくとも１つの好ましい搬送サービス要求１７を識別するために、フィルタリングされた搬送サービス要求１６を、対応する加重平均に関連する順序にソートすることができる。少なくとも１つの好ましい搬送サービス要求１７は、最も高い加重平均を有するフィルタリングされた搬送サービス要求１６から、中央サーバ９によって識別することができる。  少なくとも１つの好ましい搬送サービス要求１７は、少なくとも１つのリンク８を介して、中央サーバ９からオーナアプリケーションまたはコントローラアプリケーション１１に送信することができる。この限定を目的としない図では、自律車両自動化プラットフォーム１４が部分的に自動化されている場合、自律車両のオーナまたはコントローラ４は、オーナアプリケーションまたはコントローラアプリケーション１１を使用することによって少なくとも１つの好ましい搬送サービス要求１７を受諾することができる。次いで、中央サーバ９は、少なくとも１つの好ましい搬送サービス要求１７を確保または取得することができる。少なくとも１つの確保または取得された好ましい搬送サービス要求１７は、少なくとも１つのリンク８を介して中央サーバ９からアプリケーション６に送信することができる。アプリケーション６は、自律車両３に関連付けられた端末７上で動作することができる。自律車両自動化プラットフォーム１４は、プロセスが自律車両のオーナまたはコントローラ４によって停止されるまで、自律車両３が少なくとも１つの確保または取得された好ましい搬送サービス要求１７に関連する少なくとも１つの搬送サービスを実行している間に、少なくとも１つの後続のまたは追��の好ましい搬送サービス要求１７を、リアルタイムまたはほぼリアルタイムで、連続的に、分析または評価し、次いで、好ましくは、確保または取得することができる。  少なくとも１つのリンクは、少なくとも１つのアプリケーション６、少なくとも１つのオーナアプリケーションまたはコントローラアプリケーション１１、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。少なくとも１つのリンクは、少なくとも１つの自律車両３に関連付けられた少なくとも１つの端末７上の、少なくとも１つのアプリケーション６、少なくとも１つのオーナアプリケーションまたはコントローラアプリケーション１１、少なくとも１つの中央サーバ９、少なくとも１つの外部サーバ１０、またはそれらの組合せとの少なくとも１つの接続または少なくとも１つの関連付けであり得る。
【図６】図６は、自律車両のオーナまたはコントローラ４が利益を得ることができる、例示的な方法のステップの好ましいが必須ではない順序でのフローチャートとしての、本発明の１つの限定を目的としない態様の好ましい例に関する。このフローチャートは、少なくとも１つの好ましい搬送サービス要求１７を分析または評価し、次いで確保または取得する際に、全体的にまたは部分的に自動化された自動車自動化プラットフォーム１４が、自律車両３または自律車両のオーナまたはコントローラ４をどのように支援することができるかについてのステップを説明するものである。全体的にまたは部分的に自動化された自律車両自動化プラットフォーム１４は、少なくとも１つの好ましい搬送サービス要求１７を確保または取得した後に、搬送サービス要求１５を、リアルタイムまたはほぼリアルタイムで、連続的に、分析または評価することができ、次いで、好ましくは、自律車両３が少なくとも１つの搬送サービスを実行している間に、少なくとも１つの後続のまたは追加の好ましい搬送サービス要求１７を確保または取得することができる。少なくとも１つのリンクは、少なくとも１つのアプリケーション６、少なくとも１つのオーナまたはコントローラアプリケーション、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図７】図７は、少なくとも１つの搬送サービス要求１５を少なくとも１つの好ましい搬送サービス要求１７に変換するフローチャートとしての、本発明の少なくとも１つの限定を目的としない態様の好ましい例に関する。中央サーバ９が少なくとも１つの外部サーバ１０から少なくとも１つの搬送サービス要求１５を受信すると、中央サーバ９は、少なくとも１つの代理人選好１８または少なくとも１つの選択された選好１９、および、好ましくは、少なくとも１つの代理人２または少なくとも１つの自律車両３のリアルタイムまたはほぼリアルタイムの地理的位置を使用して、少なくとも１つの搬送サービス要求１５を少なくとも１つのフィルタリングされた搬送サービス要求１６にフィルタリングすることができる。中央サーバ９は、少なくとも１つの代理人選好１８または少なくとも１つの選択された選好１９の加重平均を計算することができる。中央サーバ９は、好ましくは、少なくとも１つの好ましい搬送サービス要求１７を識別するために、少なくとも１つのフィルタリングされた搬送サービス要求１６を対応する加重平均に関連する順序にソートすることができる。少なくとも１つの好ましい搬送サービス要求１７は、最も高い加重平均を有する少なくとも１つのフィルタリングされた搬送サービス要求１６として、中央サーバ９によって少なくとも１つのフィルタリングされた搬送サービス要求１６から識別することができる。すべての少なくとも１つの搬送サービス要求１５が少なくとも１つのフィルタリングされた搬送サービス要求１６になれるわけではなく、すべての少なくとも１つのフィルタリングされた搬送サービス要求１６が少なくとも１つの好ましい搬送サービス要求１７になれるわけではない。中央サーバ９は、少なくとも１つの好ましい搬送サービス要求１７を分析して識別するために、代理人自動化プラットフォーム１３によって使用され得る。中央サーバ９は、少なくとも１つの好ましい搬送サービス要求１７を分析して識別するために、自律車両自動化プラットフォーム１４によって使用され得る。中央サーバ９の少なくとも１つの機能、または外部サーバ１０の少なくとも１つの機能は、アプリケーション６、オーナアプリケーションまたはコントローラアプリケーション１１、またはそれらの組合せによって実行することができる。少なくとも１つの自律車両３に関連する搬送データの全部または一部は、少なくとも１つの搬送サービス要求１５を少なくとも１つの好ましい搬送サービス要求１７にフィルタリングして識別するための少なくとも１つのプロセスと同じ少なくとも１つのプロセスまたは同様の少なくとも１つのプロセスによって、好ましいものとしてフィルタリングして識別することができる。少なくとも１つのリンクは、少なくとも１つのアプリケーション６、少なくとも１つのオーナアプリケーションまたはコントローラアプリケーション、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図８】図８は、例えば５つの好ましい搬送サービス要求１７を分析または評価し、次いで確保または取得するために自律車両３によって使用される、全体が自動化された自律車両自動化プラットフォーム１４の概要としての、本発明の少なくとも１つの限定を目的としない態様の好ましい例に関する。この限定を目的としない図では、自律車両自動化プラットフォーム１４が第１の好ましい搬送サービス要求１７を確保または取得したときに、５つの好ましい搬送サービス要求１７のすべてが存在したまたは利用可能であったわけではない。自律車両自動化プラットフォーム１４は、第１の好ましい搬送サービス要求１７を確保または取得した後、自律車両３が第１の搬送サービスを実行して自律車両３のリアルタイムまたはほぼリアルタイムの地理的位置が更新または変更されている間に、リアルタイムまたはほぼリアルタイムで、連続的に、搬送サービス要求１５を分析または評価し、次いで、好ましくは、少なくとも１つの後続のまたは追加の好ましい搬送サービス要求１７を確保または取得することができる。  好ましい搬送サービス要求１７は、連続的に変化し、リアルタイムまたはほぼリアルタイムで更新されるが、例示する目的で、５つの確保または取得された好ましい搬送サービス要求１７Ａ、１７Ｂ、１７Ｃ、１７Ｄ、および１７Ｅが全て示されている。第１の好ましい搬送サービス要求１７Ｃが確保または取得された後、自律車両自動化プラットフォーム１４は、次に好ましい搬送サービス要求１７を確保または取得する前に、更新された情報を用いてリアルタイムまたはほぼリアルタイムで再度または連続的に分析または評価するため、自律車両自動化プラットフォーム１４は、好ましい搬送サービス要求１７Ａ、１７Ｂ、１７Ｃ、１７Ｄ、および１７Ｅを順番に確保または取得することを求められていない。  第１の好ましい搬送サービス要求１７Ｃは、自律車両自動化プラットフォーム１４によって、自律車両３のために確保または取得される。自律車両３は、ボックス１７Ｃで示されるサービス開始地理的位置で第１の搬送クライアント１をピックアップし、ルート上の最初の黒丸で示されたサービス終了地理的位置に進む。第１の好ましい搬送サービス要求１７Ｃが完了する前に、自律車両自動化プラットフォーム１４は、第２の好ましい搬送サービス要求１７Ａを連続的に分析または評価し、次いで、確保または取得する。自律車両３は、サービス終了地理的位置で第１の搬送クライアント１を降ろし、ボックス１７Ａで示される第２の好ましい搬送サービス要求１７Ａのサービス開始地理的位置に進む。  自律車両３は、サービス開始地理的位置で第２の搬送クライアント１をピックアップし、ルート上の第２の黒丸で示されるサービス終了地理的位置に進む。第２の好ましい搬送サービス要求１７Ａを完了する前に、自律車両自動化プラットフォーム１４は、第３の好ましい搬送サービス要求１７Ｄを連続的に分析または評価し、次いで、確保または取得する。自律車両３は、サービス終了地理的位置で第２の搬送クライアント１を降ろし、ボックス１７Ｄで示される第３の好ましい搬送サービス要求１７Ｄのサービス開始地理的位置に進む。  自律車両３は、サービス開始地理的位置で第３の���送クライアント１をピックアップし、ルート上の第３の黒丸で示されるサービス終了地理的位置に進む。第３の好ましい搬送サービス要求１７Ｄが完了する前に、自律車両自動化プラットフォーム１４は、第４の好ましい搬送サービス要求１７Ｅを連続的に分析または評価し、次いで、確保または取得する。自律車両３は、サービス終了地理的位置で第３の搬送クライアント１を降ろし、ボックス１７Ｅで示される第４の好ましい搬送サービス要求１７Ｅのサービス開始地理的位置に進む。  自律車両３は、サービス開始地理的位置で第４の搬送クライアント１をピックアップし、ルート上の第４の黒丸で示されるサービス終了地理的位置に進む。第４の好ましい搬送サービス要求１７Ｅが完了する前に、自律車両自動化プラットフォーム１４は、第５の好ましい搬送サービス要求１７Ｂを連続的に分析または評価し、次いで、確保または取得する。自律車両３は、サービス終了地理的位置で第４の搬送クライアント１を降ろし、ボックス１７Ｂで示される第５の好ましい搬送サービス要求１７Ｂのサービス開始地理的位置に進む。  自律車両３は、サービス開始地理的位置で第５の搬送クライアント１をピックアップし、ルート上の第５の黒丸で示されるサービス終了地理的位置に進む。自律車両３は、サービス終了地理的位置で第５の搬送クライアント１を降ろす。この限定を目的としない図では、自律車両３が第５の好ましい搬送サービス要求１７Ｂを完了した後、自律車両のオーナまたはコントローラ４は、オーナアプリケーションまたはコントローラアプリケーション１１を介して自律車両自動化プラットフォーム１４をオフにする。少なくとも１つのリンクは、少なくとも１つのアプリケーション６、少なくとも１つのオーナアプリケーションまたはコントローラアプリケーション、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図９】図９は、少なくとも１つの自律車両３がどのようにして好ましいと識別することができる少なくとも１つの自律車両３に変換されるかを示すフローチャートとしての、本発明の少なくとも１つの限定を目的としない態様の好ましい例に関する。フローチャートとしての本発明の別の限定を目的としない態様は、少なくとも１つの自律車両３に関連する搬送データの全部または一部の少なくとも１つの自律車両３に関連する好ましい搬送データの全部または一部への変換、好ましいと識別することができる少なくとも１つの自律車両３、またはそれらの組合せを表示することができる。左の列は、少なくとも１つの自律車両３に関連する搬送データの全部または一部、少なくとも１つの自律車両３、またはそれらの組合せを表すことができる。中央の列は、少なくとも１つの自律車両３に関連するフィルタリングされた搬送データの全部または一部、フィルタリング可能な少なくとも１つの自律車両３、またはそれらの組合せを表すことができる。右の列は、少なくとも１つの自律車両３に関連する好ましい搬送データの全部または一部、好ましいと識別することができる少なくとも１つの自律車両３、またはそれらの組合せを表すことができる。  中央サーバ９が、少なくとも１つの外部サーバ１０から、対応する搬送データを有する少なくとも１つの搬送サービス要求１５、対応する搬送データを有する少なくとも１つの自律車両３、少なくとも１つの自律車両３に関連する搬送データの全部または一部、少なくとも１つの自律車両３の少なくとも１つのリアルタイムまたはほぼリアルタイムの地理的位置、またはそれらの組合せを受信すると、中央サーバ９は、少なくとも１つの選択された選好１９、および、好ましくは、少なくとも１つの自律車両３のリアルタイムまたはほぼリアルタイムの地理的位置を使用して、少なくとも１つの自律車両３に関連する搬送データの全部または一部を、少なくとも１つの自律車両３に関連するフィルタリングされた搬送データの全部または一部にフィルタリングすることができる。中央サーバ９は、少なくとも１つの選択された選好１９の加重平均を計算することができる。中央サーバ９は、好ましくは、好ましいと識別することができる少なくとも１つの自律車両３、少なくとも１つの自律車両３に関連する好ましい搬送データの全部または一部、またはそれらの組合せを識別するために、少なくとも１つの自律車両３に関連するフィルタリングされた搬送データの全部または一部を、対応する加重平均に関連する順序にソートすることができる。  少なくとも１つの自律車両３に関連する好ましい搬送データの全部または一部は、中央サーバ９によって、少なくとも１つの自律車両３に関連するフィルタリングされた搬送データの全部または一部から、最も高い加重平均を有することができる少なくとも１つの自律車両３に関連するフィルタリングされた搬送データの全部または一部として識別することができる。好ましいと識別できる少なくとも１つの自律車両３は、中央サーバ９によって、少なくとも１つの自律車両３に関連するフィルタリングされた搬送データの全部または一部から、最も高い加重平均を有することができる少なくとも１つの自律車両３に関連するフィ��タリングされた搬送データの全部または一部として識別することができる。少なくとも１つの自律車両３に関連する搬送データの全部または一部が、少なくとも１つの自律車両３に関連するフィルタリングされた搬送データの全部または一部になれるわけではなく、少なくとも１つの自律車両３に関連するフィルタリングされた搬送データの全部または一部が、少なくとも１つの自律車両３、好ましいと識別することができる少なくとも１つの自律車両３、またはそれらの組合せに関連する好ましい搬送データの全部または一部になれるわけではない。少なくとも１つの自律車両３のすべてが、フィルタリングすることができる少なくとも１つの自律車両３になれるわけではなく、フィルタリングすることができる少なくとも１つの自律車両３のすべてが、好ましいと識別することができる少なくとも１つの自律車両３になれるわけではない。  中央サーバ９は、好ましいと識別することができる少なくとも１つの自律車両３、少なくとも１つの自律車両３に関連する好ましい搬送データの全部または一部、またはそれらの組み合わせを分析して識別するために、代理人自動化プラットフォームによって使用され得る。中央サーバ９は、好ましいと識別することができる少なくとも１つの自律車両３、少なくとも１つの自律車両３に関連する好ましい搬送データの全部または一部、またはそれらの組合せを分析して識別するために、自律車両自動化プラットフォームによって使用され得る。中央サーバ９の少なくとも１つの機能または外部サーバ１０の少なくとも１つの機能は、アプリケーション６、オーナアプリケーションまたはコントローラアプリケーション１１、外部サーバ１０、またはそれらの組合せによって実行することができる。少なくとも１つの自律車両３に関連する搬送データの全部または一部は、少なくとも１つの搬送サービス要求１５を少なくとも１つの好ましい搬送サービス要求１７にフィルタリングして識別するための少なくとも１つのプロセスと同じ少なくとも１つのプロセスまたは同様の少なくとも１つのプロセスによって、好ましいものとしてフィルタリングして識別することができる。少なくとも１つのリンクは、少なくとも１つのアプリケーション６、少なくとも１つのオーナまたはコントローラアプリケーション、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図１０】図１０は、概して、自律車両のオーナまたはコントローラ４、フリートマネージャ、商品サプライヤ、サービスプロバイダ５、ロジスティクスプロバイダ、ロジスティクス供給業者、またはそれらの組み合わせが利益を得ることができる、マクロレベル的な視点での、全体的にまたは部分的に自動化された自律車両自動化プラットフォームとしての、本発明の１つの限定を目的としない態様の１つの好ましい例に関する。この限定を目的としない例では、サービスプロバイダ５に関連する少なくとも５つの異なるシナリオを、自律車両自動化プラットフォームのために実行ことができる。  個々のサービスプロバイダ５は、異なるサービスプロバイダ５を識別するために、対応する文字Ａ、Ｂ、Ｃ、Ｄ、およびＥで表示することができる。個々のサービスプロバイダ５Ａ、５Ｂ、５Ｃ、および５Ｄは、例えば、直接的または間接的な接続を表す少なくとも１つの異なるまたは固有の線で表示することができる。サービスプロバイダ５Ｅまたはフリートマネージャは、別のサービスプロバイダ５Ｃのための自律車両３のフリートを管理または操作することができ、このことは、サービスプロバイダ５Ｃと同じ二重実線によって表現され表示される。個々のサービスプロバイダ５は、中央サーバ９とともに、少なくとも１つの外部サーバ１０を使用または利用することができる。  搬送サービス要求１５Ａは、１つの実線で示すように、サービスプロバイダ５Ａに関連付けられた外部サーバ１０Ａに提出されたライドヘイル要求であり得る。搬送サービス要求１５Ｂは、円形の点線で示すように、サービスプロバイダ５Ｂに関連付けられた外部サーバ１０Ｂに提出されたライドヘイル要求であり得る。搬送サービス要求１５Ｃは、両方とも二重実線で示されているため、サービスプロバイダ５Ｃに関連付けられた２つの外部サーバ１０Ｃから来た食品配達要求およびライドヘイル要求であり得る。搬送サービス要求１５Ｄは、長方形の点線で示すように、サービスプロバイダ５Ｄまたは商品サプライヤに関連する１つの外部サーバ１０Ｄに提出された、宅配便配達要求および商品配達要求であり得る。サービスプロバイダ５Ｅまたはフリートマネージャに関連付けられた外部サーバ１０Ｅに提出される搬送サービス要求１５はない。  この限定を目的としない図では、個々のサービスプロバイダ５は、少なくとも１つの異なる特徴または少なくとも１つの異なるバリエーションを有し得る少なくとも１つのサービスプロバイダ５ネットワークの制御、所有、操作、管理等をすることができる。個々のサービスプロバイダ５ネットワークは、少なくとも１つの接続の少なくとも１つの異なる組み合わせで表示することができる。個々のサービスプロバイダ５ネットワークは、少なくとも１つの異なるまたは固有の線によって、少なくとも１つのデータフロー、および、個々のサービスプロバイダ５が誰と通信することができるかを表示することができる。少なくとも１つのリンクは、少なくとも１つのアプリケーション６、少なくとも１つのオーナまたはコントローラアプリケーション、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図１１】図１１は、少なくとも１つの搬送サービス要求１５の少なくとも１つの好ましい搬送サービス要求１７への変換に関する、本発明の少なくとも１つの限定を目的としない態様の好ましい例に関する。個々の搬送サービス要求１５は、各要求に関連付けられた異なるサービスプロバイダを識別するために、対応する文字Ａ、Ｂ、Ｃ、Ｄ、Ｅ、Ｆ、およびＧで表示することができる。少なくとも１つの選択された選好１９は、搬送サービス要求１５をフィルタリングされた搬送サービス要求１６にフィルタリングするために適用することができる。好ましい搬送サービス要求１７は、少なくとも１つの選択された選好１９を使用することによって、フィルタリングされた搬送サービス要求１６から識別することができる。搬送サービス要求１５Ｆおよび１５Ｇは、両方とも、少なくとも１つの選択された選好１９に適合しないか、またはそれを満たしていないため、フィルタリングされた搬送サービス要求１６にならない。フィルタリングされた搬送サービス要求１６、１６Ａ、１６Ｂ、１６Ｃ、１６Ｄ、および１６Ｅは、好ましくは、少なくとも１つの選択された選好１９に関連してソートすることができ、その結果、フィルタリングされた搬送サービス要求１６Ｄおよび１６Ｅの両方が好ましい搬送サービス要求１７にならない。フィルタリングされた搬送サービス要求１６、１６Ａ、１６Ｂ、および１６Ｃは、好ましい搬送サービス要求１７、１７Ａ、１７Ｂ、および１７Ｃになる。少なくとも１つの自律車両３に関連する搬送データの全部または一部は、少なくとも１つの搬送サービス要求１５を少なくとも１つの好ましい搬送サービス要求１７にフィルタリングして識別するための少なくとも１つのプロセスと同じ少なくとも１つのプロセスまたは同様の少なくとも１つのプロセスによって、好ましいものとしてフィルタリングして識別することができる。少なくとも１つのリンクは、少なくとも１つのアプリケーション６、少なくとも１つのオーナアプリケーションまたはコントローラアプリケーション、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【図１２】図１２は、ハードウェアとソフトウェアの少なくとも１つの統合に関する、本発明の少なくとも１つの限定を目的としない態様の好ましい例に関する。少なくとも１つのアプリケーション６、少なくとも１つの中央サーバ９、少なくとも１つの端末７、少なくとも１つのリンク８、またはそれらの組み合わせは、結合または統合することができる。少なくとも１つのアプリケーション６、少なくとも１つの中央サーバ９、少なくとも１つのリンク８、またはそれらの組合せは、少なくとも１つの端末７上で結合または統合することができる。少なくとも１つのアプリケーション６、少なくとも１つの中央サーバ９、少なくとも１つのリンク８、またはそれらの組合せは、少なくとも１つの自律車両に関連付けられた少なくとも１つの端末７上で結合または統合することができる。  少なくとも１つのリンク８は、少なくとも１つのアプリケーション６、少なくとも１つのオーナまたはコントローラアプリケーション、少なくとも１つの自律車両、少なくとも１つの端末７、少なくとも１つの中央サーバ９、少なくとも１つの外部サーバ１０、またはそれらの組合せに関連する少なくとも１つのソフトウェア機能または少なくとも１つのソフトウェアコンポーネントとの少なくとも１つの接続または少なくとも１つの関連付けであり得る。
【発明を実施するための形態】
【００２７】
＜定義＞
異なる定義がなされていない限り、ここで使用するすべての技術用語および科学用語は、本発明が属するセグメントの業者が通常理解するものと同じ意味を有する。一般に、本明細書中で使用される命名法および以下に記載される手順は、当該セグメントにおいて周知であり一般的に採用されている。従来の方法、例えば、当技術セグメントおよび種々の一般的な参考文献に提供されているものが、これらの手順に使用される。用語が単数形で記載されている場合、本発明者らはまた、その用語の複数形も考慮しており、用語が複数形で記載されている場合、本発明者らは、その用語の単数形も考慮している。本明細書で使用される命名法および以下に記載される手順は、特に示されていない限り、当技術セグメントにおいて周知であり一般的に採用されているものである。本明細書で使用される他の技術用語は、様々な技術辞書によって例示されるような、それらが使用される当技術セグメントにおける通常の意味を有する。
【００２８】
＜序論＞
本発明は、商品及びサービスのためのインタラクティブな搬送業界において、より効率的なシステムに対する長年の要望があることを認識している。
【００２９】
本発明のわずかの限定を目的としない導入として、本発明は、
１．搬送業界およびその他の業界におけるインタラクティブシステム、及び
２．本発明のインタラクティブシステムの使用方法
を含む、いくつかの一般的かつ有用な態様を含む。
【００３０】
本発明のこれらの態様、ならびに本明細書に記載される他の態様は、本明細書に記載される方法、製品、および組成物を使用することによって達成することができる。本発明の範囲を完全に理解することで、本発明の様々な態様を組み合わせて、本発明の望ましい実施形態を作ることができることがさらに認識されるであろう。
【００３１】
＜発明の概要および解決される課題＞
本発明の１つの限定を目的としない態様（以下、少なくとも１つの代理人自動化プラットフォームと呼ぶ）は、少なくとも１つのリアルタイムまたはほぼリアルタイムのシステムおよび少なくとも１つのリアルタイムまたはほぼリアルタイムの方法を使用して、少なくとも１つの代表者による、少なくとも１つの好ましい搬送サービス要求を分析または評価し、次いで、確保または取得する少なくとも１つのプロセスを容易にすることができる、全体的にまたは部分的に自動化された、少なくとも１つの技術ベースの解決方法であり得る。
【００３２】
全体的にまたは部分的に自動化された、本発明の少なくとも１つの代理人自動化プラットフォームは、少なくとも１つの代理人選好、および、好ましくは、少なくとも１つの代理人少なくとも１つのリアルタイムまたはほぼリアルタイムの地理的位置に基づいて、少なくとも１つの好ましい搬送サービス要求を識別し、次いで確保または取得するために、少なくとも１つの搬送サービス要求を連続的にリアルタイムまたはほぼリアルタイムで分析または評価することができる。少なくとも１つの第１の好ましい搬送サービス要求を確保または取得した後、少なくとも１つの代理人は、少なくとも１つの搬送サービスを実行することができ、本発明の少なくとも１つの代理人自動化プラットフォームは、少なくとも１つの代理人によって少なくとも１つのプロセスが停止され、少なくとも１つの代理人が少なくとも１つの最後の搬送サービスを実行するまで、少なくとも１つの後続のまたは追加の好ましい搬送サービス要求を解析または評価し、次いで確保または取得する少なくとも１つのリアルタイムまたはほぼリアルタイムのプロセスを自動的かつ連続的に繰り返すことができる。
【００３３】
全体的にまたは部分的に自動化された、本発明の少なくとも１つの代理人自動化プラットフォームの１つの利点は、少なくとも１つの代理人が、少なくとも１つの好ましい搬送サービス要求、および、好ましくは、少なくとも１つの後続のまたは追加の好ましい搬送サービス要求を識別し、次いで確保または取得するために、少なくとも１つの搬送サービス要求を連続的にリアルタイムまたはほぼリアルタイムで分析または評価する際の効率の向上であり得る。本発明の少なくとも１つの代理人自動化プラットフォームは、連続的に分析または評価される少なくとも１つの受信される搬送サービス要求をリアルタイムまたはほぼリアルタイムで更新することができ、次いで、少なくとも１つの後続のまたは追加の好ましい搬送サービス要求を確保または取得することができる。本発明の少なくとも１つの代理人自動化プラットフォームは、少なくとも１つの搬送サービス要求をリアルタイムまたはほぼリアルタイムで連続的に分析または評価することができ、好ましくは、少なくとも１つの代理人が少なくとも１つの搬送サービスを実行している間に、少なくとも１つの好ましい搬送サービス要求を確保または取得することができる。
【００３４】
その結果、少なくとも１つの代理人および少なくとも１つのサービスプロバイダは、より効率的に活動することができ、少なくとも１つの追加の搬送サービスを実行することが可能になり、収益性を高めることができる。本発明の少なくとも１つの代理人自動化プラットフォームからの少なくとも１つの異なる搬送サービス要求の少なくとも１つの提案または推奨によって、少なくとも１つの代理人に関連する効率を向上させ、少なくとも１つの巡回セールスパーソン問題または少なくとも１つの動的巡回セールスパーソン問題に関連する少なくとも１つの問題を解決することができる。本発明の少なくとも１つの代理人自動化プラットフォームは、少なくとも１つの後続のまたは追加の好ましい搬送サービス要求を識別し、確保し、または取得し、少なくとも１つの搬送サービス要求をリアルタイムまたはほぼリアルタイムで連続的に分析または評価することによって、少なくとも１つの搬送サービスをより効率的に実行することで、少なくとも１つの問題を解決することができる。この向上した効率によって、少なくとも１人の代理人が、少なくとも１人の代理人選好、および、好ましくは、少なくとも１人の代理人の少なくとも１つのリアルタイムまたはほぼリアルタイムの地理的位置に基づいて、少なくとも１つの追加の搬送サービスを実行することを可能にすることができる。本発明の少なくとも１つの利点によって、少なくとも１つの搬送業界セグメントに関連する、少なくとも１つの巡回セールスパーソン問題、少なくとも１つの動的巡回セールスパーソン問題、またはそれらの組合せに関連する少なくとも１つの問題に対処することができる。
【００３５】
本発明の少なくとも１つの代理人自動化プラットフォームの１つの限定を目的としない実施形態の１つの利点は、部分的に自動化される場合にも、効率に関係するものであり得る。本発明の少なくとも１つの代理人自動化プラットフォームが部分的に自動化されている場合、本発明は、少なくとも１つの代理人選好に関連する少なくとも１つの好ましい搬送サービス要求を識別するために少なくとも１つのプロセスを実行することができ、少なくとも１つの代理人は、単に受諾するかまたは拒否することができる。本発明のこの限定を目的としない実施形態では、少なくとも１つの代理人が受諾するかまたは拒否するために、少なくとも１つの好ましい搬送サービス要求の少なくとも１つのポップアップまたは通知を少なくとも１つのアプリケーション上に表示することができる。拒否された場合、少なくとも１つの好ましい搬送サービス要求が受諾されるか、拒否されるか、または少なくとも１つの代理人が本発明の少なくとも１つの代理人自動化プラットフォームをオフにするまで、少なくとも１つの次に好ましい搬送サービス要求を表示することができる。リアルタイムまたはほぼリアルタイムで連続的に分析または評価し、少なくとも１つの好ましい搬送サービス要求を表示する、本発明の少なくとも１つの代理人自動化プラットフォームの少なくとも１つの能力によって、現在の技術水準と比較して、少なくとも１つの代理人がより効率的に仕事をし、少なくとも１つのユーザ対話を改善することを可能にすることができる。
【００３６】
全体的にまたは部分的に自動化された、本発明の少なくとも１つの代理人自動化プラットフォームの１つの利点は、少なくとも１つのリアルタイムまたはほぼリアルタイムの搬送業界セグメントにおいて、少なくとも１つの代理人のための少なくとも１つの意思決定プロセスを改善することができることである。本発明の少なくとも１つの代理人自動化プラットフォームにおいては、少なくとも１つの搬送サービス要求をリアルタイムまたはほぼリアルタイムで連続的に分析または評価することができる。それに対し、少なくとも１つの現在のシステムにおける制限および少なくとも１つの現在の方法における制限があると、通常、少なくとも１つの代理人は、潜在的に１つの時点で次の搬送サービス要求を１つだけしか受信することができず、また、通常、少なくとも１つの代理人が１つの搬送サービス要求をもうすぐ完了するという時点でしか受信することができない。
【００３７】
少なくとも１つの制限は、少なくとも１つの代理人の意思決定能力を低下させ、少なくとも１人の代理人が少なくとも１つの代理人選好を使用することを許容せず、少なくとも１人の代理人がその時点で利用可能な少なくとも１つの最も好ましい搬送サービス要求を確保または取得する少なくとも１つの機会を減少させ得る。本発明の少なくとも１つの代理人自動化プラットフォームは、少なくとも１つの代理人が現在の慣習のために逃し得る少なくとも１つの好ましい搬送サービス要求を識別することができる。本発明の少なくとも１つの代理人自動化プラットフォームは、少なくとも１つの代理人が少なくとも１つの搬送サービスを実行している間に、少なくとも１つの後続のまたは追加の好ましい搬送サービス要求を確保または取得することができる。現在の技術水準に起因して、少なくとも１つの代理人は、少なくとも１つの搬送サービス要求をどのようにしていつ分析または評価することができるかは言うまでも無く、少なくとも１つの搬送サービス要求をどのようにしていつ確保または取得することができるかという点について制限されるので、少なくとも１つの代理人は、少なくとも１つの後続のまたは追加の好ましい搬送サービス要求の確保または取得を逃す可能性がある。少なくとも１つの搬送サービスを実行し且つ少なくとも１つの次の搬送サービス要求を探索するという、しばしば少なくとも１つの次善の搬送サービス要求の確保または取得につながるマルチタスクを少なくとも１つの代理人に行わせる代わりに、本発明の少なくとも１つの代理人自動化プラットフォームは、少なくとも１つの代理人のために、少なくとも１つの好ましい搬送サービス要求を解析または評価し、次いで確保または取得することができる。
【００３８】
本発明の少なくとも１つの代理人自動化プラットフォームでは、１回の分析または評価の代わりに、連続的かつ改善されたリアルタイムまたはほぼリアルタイムの分析または評価を使用することによって、少なくとも１つの意思決定プロセスを改善することができ、少なくとも１つの好ましい搬送サービス要求を確保または取得することができる。本発明の少なくとも１つの改善された意思決定プロセスの少なくとも１つの利点によって、少なくとも１つの搬送業界セグメントに関連する、少なくとも１つの巡回セールスパーソン問題、少なくとも１つの動的回セールスパーソン問題、またはそれらの組合せに関連する少なくとも１つの問題に対処することができる。
【００３９】
本発明の少なくとも１つの代理人自動化プラットフォームの１つの利点は、少なくとも１人のユーザとの間における改善された使い勝手または対話に関連し得る。現在の技術水準では、少なくとも１つの代理人が、運転中にしばしば少なくとも１つの後続または追加の搬送サービス要求を受信する可能性ために貴重な時間および労力を費やすことを必要とされ得る。本発明の少なくとも１つの代理人自動化プラットフォームは、少なくとも１つの搬送サービスを実行中に、限定はしないが、少なくとも１つの方向、少なくとも１つのルート、少なくとも１つの搬送クライアント、少なくとも１つの搬送サービス要求、少なくとも１つの好ましい搬送サービス要求、少なくとも１つのサービス開始地理的位置、少なくとも１つのサービス終了地理的位置、またはそれらの組合せを更新するかまたは少なくとも１つの代理人に通知することができ、それによって少なくとも１つの代理人が少なくとも１つの搬送サービスを実行するための少なくとも１つの対話または使い勝手を改善することができる。本発明は、現在の技術水準を改善することができ、少なくとも１つの代理人が少なくとも１つの代理人選好を入力または提供することを可能にすることができる。また、本発明の少なくとも１つの代理人自動化プラットフォームは、リアルタイムまたはほぼリアルタイムで、連続的に、少なくとも１つの後続のまたは追加の好ましい搬送サービス要求を解析または評価し、次いで確保または取得するのを容易にすることができる。
【００４０】
本発明の少なくとも１つの代理人自動化プラットフォームの１つの利点は、安全性に関連し得る。少なくとも１つの代理人が少なくとも１つのモバイル機器に払わなければならない注意が少ないほど、および、少なくとも１つの代理人が少なくとも１つの搬送サービスの実行に集中しているほど、少なくとも１つの代理人、少なくとも１つの搬送クライアント、および、近くまたはエリア内の他の人にとって、より安全であり得る。本発明の少なくとも１つの代理人自動化プラットフォームは、少なくとも１つの好ましいシステムおよび少なくとも１つの好ましい方法を使用して、少なくとも１つの代理人が、少なくとも１つの搬送サービスのみに集中し、少なくとも１つの搬送クライアントおよび他の人に対してより高いレベルの安全性を提供することを可能にしつつ、少なくとも１つの代理人選好、および、好ましくは、少なくとも１つの代理人の少なくとも１つのリアルタイムまたはほぼリアルタイムの地理的位置に基づいて、少なくとも１つの好ましい搬送サービス要求を自動的に検索し、フィルタリングし、分析または評価し、次いで確保または取得することができる。
【００４１】
本発明の少なくとも１つの代理人自動化プラットフォームは、少なくとも１つの単一の車両の視点、少なくとも１つのフリートの視点、少なくとも１つの独立したサードパーティの視点、またはそれらの組合せから少なくとも１つの代理人を管理または制御することができる。本発明の少なくとも１つの代理人自動化プラットフォームは、リアルタイムまたはほぼリアルタイムで車両利用を最適化するために、ソフトウェア、ハードウェア、ロジスティクス、またはそれらの組合せを統合または実装することによって、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等に利益をもたらすことができる。本発明の少なくとも１つの代理人自動化プラットフォームは、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等のために、またはそれらを基準に、ソフトウェア、ハードウェア、ロジスティクス、またはそれらの組合せを統合または実装することができる。本発明の少なくとも１つの代理人自動化プラットフォームは、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等のために、またはそれらを基準に、ソフトウェア、ハードウェア、ロジスティクス、またはそれらの組合せを統合または実装して、少なくとも１つの代理人と少なくとも１つの搬送クライアントとの間でのリアルタイムまたはほぼリアルタイムでの少なくとも１つの搬送サービスを容易にすることができる。少なくとも１つのフリートマネージャ、少なくとも１つのサービスプロバイダ、少なくとも１つの商品サプライヤ、少なくとも１つの自律車両の少なくとも１つのオーナまたはコントローラ、少なくとも１つのロジスティクスプロバイダ、少なくとも１つのロジスティクスサプライヤ等は、車両利用を最適化するために本発明の少なくとも１つの代理人自動化プラットフォームを採用または利用することができ、その結果、より手頃なサービスの提供につながり、少なくとも１つの搬送クライアントの間での、または少なくとも１つの搬送クライアントとともに、消費者心理を改善することができる。
【００４２】
本発明の１つの限定を目的としない態様（以下、少なくとも１つの自律車両自動化プラットフォームと称する）は、少なくとも１つのリアルタイムまたはほぼリアルタイムのシステムおよび少なくとも１つのリアルタイムまたはほぼリアルタイムの方法を使用して、少なくとも１つの好ましい搬送サービス要求を分析または評価し、次いで確保または取得する少なくとも１つのプロセスにおいて少なくとも１つの自律車両を手助けすることができる、全体的にまたは部分的に自動化された、少なくとも１つの技術ベースの解決方法であり得る。
【００４３】
全体的にまたは部分的に自動化された、本発明の少なくとも１つの自律車両自動化プラットフォームは、少なくとも１つの選択された選好、および、好ましくは、少なくとも１つの自律車両の少なくとも１つのリアルタイムまたはほぼリアルタイムの地理的位置に基づいて、少なくとも１つの好ましい搬送サービス要求を識別し、次いで確保または取得するために、少なくとも１つの搬送サービス要求を連続的にリアルタイムまたはほぼリアルタイムで分析または評価することができる。少なくとも１つの好ましい搬送サービス要求を確保または取得された後、少なくとも１つのプロセスが少なくとも１つの自律車両の少なくとも１つのオーナまたは少なくとも１つのコントローラによって停止され、少なくとも１つの自律車両が少なくとも１つの最後の搬送サービスを実行するまで、少なくとも１つの自律車両は少なくとも１つの搬送サービスを実行することができ、本発明の少なくとも１つの自律車自動化プラットフォームは、少なくとも１つの後続のまたは追加の好ましい搬送サービス要求を分析または評価し次いで確保または取得する、少なくとも１つのリアルタイムまたはほぼリアルタイムのプロセスを自動的かつ継続的に繰り返すことができる。
【００４４】
全体的にまたは部分的に自動化された、本発明の少なくとも１つの自律車両自動化プラットフォームの１つの利点は、少なくとも１つの自律車両のために、少なくとも１つの搬送サービス要求を連続的にリアルタイムまたはほぼリアルタイムで分析または評価して、少なくとも１つの好ましい搬送サービス要求、および、好ましくは、少なくとも１つの後続のまたは追加の好ましい搬送サービス要求を識別し、次いで確保または取得する際の効率を改善することができることであり得る。本発明の少なくとも１つの自律車両自動化プラットフォームは、連続的に分析または評価される少なくとも１つの受信される搬送サービス要求でリアルタイムまたはほぼリアルタイムで更新することができ、次いで、少なくとも１つの後続または追加の好ましい搬送サービス要求を確保または取得することができる。本発明の少なくとも１つの自律車両自動化プラットフォームは、少なくとも１つの搬送サービス要求をリアルタイムまたはほぼリアルタイムで連続的に分析または評価することができ、好ましくは、少なくとも１つの自律車両が少なくとも１つの搬送サービスを実行している間に、少なくとも１つの好ましい搬送サービス要求を確保または取得することができる。
【００４５】
その結果、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、より効率的に活動することができ、少なくとも１つの追加の搬送サービスを実行することが可能になり、収益性を高めることができる。本発明の少なくとも１つの自律車両自動化プラットフォームからの、少なくとも１つの異なる搬送サービス要求の少なくとも１つの提案または推奨によって、少なくとも１つの自律車両、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せに関連する効率を改善し、少なくとも１つの車両ルーティング問題または少なくとも１つの車両派遣問題に関する少なくとも１つの問題を解決することができる。本発明の少なくとも１つの自律車両自動化プラットフォームは、少なくとも１つの後続または追加の好ましい搬送サービス要求を識別して確保または取得し、少なくとも１つの搬送サービス要求をリアルタイムまたはほぼリアルタイムで連続的に分析または評価して少なくとも１つの搬送サービスをより効率的に実行することによって、少なくとも１つの問題を解決することができる。この改善された効率性によって、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組み合わせが、少なくとも１つの自律車両の少なくとも１つの選択された選好、および、好ましくは、少なくとも１つの自律車両の少なくとも１つのリアルタイムまたはほぼリアルタイムの地理的位置に基づいて、少なくとも１つの自律車両を戦略的に配置または派遣することを可能にすることができる。本発明の少なくとも１つの自律車両自動化プラットフォームの少なくとも１つの利点は、少なくとも１つの搬送業界セグメントに関連する少なくとも１つの車両ルーティング問題、少なくとも１つの車両派遣問題、またはそれらの組合せに関連する少なくとも１つの問題に対処することができる。
【００４６】
本発明の少なくとも１つの自律車両自動化プラットフォームの１つの利点は、少なくとも１つの搬送サービスに利用可能な少なくとも１つの自律車両内の少なくとも１つの余分な座席による、収益性の上昇であり得る。本発明は、利用可能な少なくとも１つの余分な座席があり得る、少なくとも１つのドライバレス自律車両を導入することができる。利用可能な少なくとも１つの余分な座席があるため、少なくとも１つの追加の搬送サービス要求を促進することによって、収益性を高めることができる。
【００４７】
本発明の少なくとも１つの自律車両自動化プラットフォームの１つの限定を目的としない実施形態の１つの利点は、部分的に自動化されている場合も、効率に関連したものであり得る。本発明の少なくとも１つの自律車両自動化プラットフォームが部分的に自動化されている場合、本発明は、少なくとも１つの選択された選好に関連する少なくとも１つの好ましい搬送サービス要求を識別するために少なくとも１つのプロセスを実行することができ、少なくとも１つの自律車両の少なくとも１つのオーナまたは少なくとも１つのコントローラは、単に受諾するかまたは拒否することができる。本発明のこの限定を目的としない実施形態では、少なくとも１つの好ましい搬送サービス要求の少なくとも１つのポップアップまたは通知を、少なくとも１つの自律車両の少なくとも１つのオーナまたは少なくとも１つのコントローラが受諾するかまたは拒否するために、少なくとも１つのオーナアプリケーションまたはコントローラアプリケーション上に表示することができる。拒否された場合、少なくとも１つの好ましい搬送サービス要求が受諾されるか、拒否されるか、または少なくとも１つの自律車両の少なくとも１つのオーナまたは少なくとも１つのコントローラが、本発明の少なくとも１つの自律車両自動化プラットフォームをオフにするまで、少なくとも１つの次の好ましい搬送サービス要求を表示することができる。少なくとも１つの好ましい搬送サービス要求をリアルタイムまたはほぼリアルタイムで連続的に分析または評価して表示する、本発明の少なくとも１つの自律車両自動化プラットフォームの少なくとも１つの能力は、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せのより効率的な活動を可能にすることができる。
【００４８】
全体的にまたは部分的に自動化された、本発明の少なくとも１つの自律車両自動化プラットフォームの１つの利点は、少なくとも１つのリアルタイムまたはほぼリアルタイムの搬送業界セグメントにおける、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せの少なくとも１つの意思決定プロセスを、改善することができることである。本発明の少なくとも１つの自律車両自動化プラットフォームは、少なくとも１つの搬送サービス要求をリアルタイムまたはほぼリアルタイムで連続的に分析または評価することができる。それに対し、少なくとも１つの現在のシステムにおける制限および少なくとも１つの現在の方法における制限があると、通常、少なくとも１つの自律車両の少なくとも１つのオーナまたは少なくとも１つのコントローラは、潜在的に１つの時点で次の搬送サービス要求を１つだけしか受信することができず、また、通常、少なくとも１つの自律車両が１つの搬送サービス要求をもうすぐ完了するという時点でしか受信することができない。
【００４９】
少なくとも１つの制限は、少なくとも１つの自律車両の少なくとも１つのオーナまたは少なくとも１つのコントローラの意思決定能力を低下させ、少なくとも１つの自律車両の少なくとも１つのオーナまたは少なくとも１つのコントローラが少なくとも１つの選択された選好を使用することを許容せず、その時点で利用可能な少なくとも１つの最も好ましい搬送サービス要求が確保または取得される少なくとも１つの機会を減少させ得る。本発明の少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せが、現在の慣習のために逃し得る少なくとも１つの好ましい搬送サービス要求を識別することができる。本発明の少なくとも１つの自律車両自動化プラットフォームは、少なくとも１つの自律車両が少なくとも１つの搬送サービスを実行している間に、少なくとも１つの後続のまたは追加の好ましい搬送サービス要求を確保または取得することができる。現在の技術水準に起因して、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせは、少なくとも１つの搬送サービス要求をどのようにしていつ分析または評価することができるかは言うまでも無く、少なくとも１つの搬送サービス要求をどのようにしていつ確保または取得することができるかという点について制限されるので、少なくとも１つの自律車の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせは、少なくとも１つの後続のまたは追加の好ましい搬送サービス要求の確保または取得を逃す可能性がある。
【００５０】
本発明の少なくとも１つの自律車両自動化プラットフォームでは、１回の分析または評価の代わりに、連続的かつ改善されたリアルタイムまたはほぼリアルタイムの分析または評価を使用することによって、少なくとも１つの意思決定プロセスを改善することができ、少なくとも１つの好ましい搬送サービス要求を確保または取得することができる。本発明の少なくとも１つの改善された意思決定プロセスの少なくとも１つの利点によって、少なくとも１つの搬送業界セグメントに関連する、少なくとも１つの車両ルーティング問題、少なくとも１つの車両派遣問題、またはそれらの組合せに関連する少なくとも１つの問題にも対処することができる。
【００５１】
現在のところ、少なくとも１つの搬送業界セグメントにおいては、少なくとも１つの代理人が不足している。本発明の少なくとも１つの自律車両自動化プラットフォームの１つの利点は、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せが少なくとも１つの追加の搬送サービスを提供するための少なくとも１つの代理人の不足を補完するのを手助けする少なくとも１つの能力であり得る。この能力によって、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せの収益性を向上させ、少なくとも１つの搬送クライアントの待ち時間を短縮することが可能になり得る。本発明の少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せが、少なくとも１つの代理人の不足を少なくとも１つの自律車両で補完して、少なくとも１つの追加の搬送サービス要求を満たすのを助けることを可能にすることができる。
【００５２】
本発明の少なくとも１つの自律車両自動化プラットフォームの１つの利点は、少なくとも１つの搬送サービスを容易にするために、少なくとも１つのリアルタイムまたはほぼリアルタイムのシステムおよび少なくとも１つのリアルタイムまたはほぼリアルタイムの方法に少なくとも１つの自律車両を登録または採用するための少なくとも１つの解決策であり得る。本発明は、少なくとも１つの自律車両の少なくとも１つのオーナまたは少なくとも１つのコントローラが、少なくとも１つの搬送サービスを実行または提供することを可能にする。
【００５３】
本発明の少なくとも１つの自律車両自動化プラットフォームの１つの利点は、少なくとも１つの搬送クライアントのためのサービス品質改善のための少なくとも１つの解決策であり得る。現在のところ、少なくとも１つの代理人に関連するサービス品質に問題がある。本発明は、搬送業界内のサービス品質に関連する課題を改善し、軽減することができる。
【００５４】
全体的にまたは部分的に自動化された、本発明の少なくとも１つの自律車両自動化プラットフォームの１つの利点は、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等に関連して、少なくとも１つの自律車両または少なくとも１つの自律車両の少なくとも１つのフリートをリアルタイムまたはほぼリアルタイムで管理または制御するための少なくとも１つの改善されたプロセスであり得る。少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等は、本発明の少なくとも１つの自律車両自動化プラットフォームを採用することによって、少なくとも１つの自律車両を管理または操作させるためのより優れた制御性を得ることができる。本発明の少なくとも１つの自律車両自動化プラットフォームは、少なくとも１つの単一の車両の視点、少なくとも１つのフリートの視点、少なくとも１つの独立したサードパーティの視点、またはそれらの組合せから少なくとも１つの自律車両を管理または制御することができる。
【００５５】
本発明の少なくとも１つの自律車両自動化プラットフォームは、リアルタイムまたはほぼリアルタイムで車両利用を最適化するために、ソフトウェア、ハードウェア、ロジスティクス、またはそれらの組合せを統合または実装することによって、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等に利益をもたらすことができる。本発明の少なくとも１つの自律車両自動化プラットフォームは、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等のために、またはそれらを基準に、ソフトウェア、ハードウェア、ロジスティクス、またはそれらの組合せを統合または実装することができる。本発明の少なくとも１つの自律車両自動化プラットフォームは、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等のために、またはそれらを基準に、ソフトウェア、ハードウェア、ロジスティクス、またはそれらの組合せを統合または実装して、少なくとも１つの自律車両と少なくとも１つの搬送クライアントとの間でのリアルタイムまたはほぼリアルタイムでの少なくとも１つの搬送サービスを容易にすることができる。少なくとも１つのフリートマネージャ、少なくとも１つのサービスプロバイダ、少なくとも１つの商品サプライヤ、少なくとも１つの自律車両の少なくとも１つのオーナまたはコントローラ、少なくとも１つのロジスティクスプロバイダ、少なくとも１つのロジスティクスサプライヤ等は、車両利用を最適化するために本発明の少なくとも１つの自律車両自動化プラットフォームを採用または利用することができ、その結果、より手頃なサービスの提供につながり、少なくとも１つの搬送クライアントの間での、または少なくとも１つの搬送クライアントとともに、消費者心理を改善することができる。
【００５６】
本発明の少なくとも１つの自律車両自動化プラットフォームは、少なくとも１つの搬送サービスを実行するために少なくとも１つのサードパーティに少なくとも１つの自律車両を制御または操作させることによって、少なくとも１つのフリートマネージャ、少なくとも１つのサービスプロバイダ、少なくとも１つの商品サプライヤ、少なくとも１つのオーナ、または少なくとも１つの自律車両の少なくとも１つのコントローラ、少なくとも１つのロジスティクスプロバイダ、少なくとも１つのロジスティクスサプライヤ等に利益をもたらすことができる。
【００５７】
本発明の少なくとも１つの自律車両自動化プラットフォームは、少なくとも１つの搬送サービスを実行するために、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等に少なくとも１つの自律車両を制御または操作させることによって、少なくとも１つのサードパーティ等に利益をもたらすことができる。
【００５８】
本発明の１つの利点は、少なくとも１つの搬送業界セグメントに関連する洞察または知識の増加に起因して、少なくとも１つの代理人が、限定はしないが、少なくとも１つの搬送クライアント、少なくとも１つの商品サプライヤ、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せと対話する少なくとも１つの改善された能力であり得る。本発明は、少なくとも１つの代理人によって分析または評価される、限定はしないが、少なくとも１つの好ましい搬送サービス要求、少なくとも１つのフィルタリングされた搬送サービス要求、搬送データ、またはそれらの組合せを提示するための少なくとも１つのツールであり得る。
【００５９】
本発明の１つの利点は、少なくとも１人の代理人が、少なくとも１つの好ましい搬送サービス要求を分析または評価し、次いで確保または取得する際に、より優れた制御性または柔軟性を得ることができることであり得る。少なくとも１つの代理人は、少なくとも１つの代理人がどのようにどこで働きたいかについての、少なくとも１つのパラメータまたは少なくとも１つの代理人選好を設定することができ、それによって、少なくとも１つの代理人に、より優れた制御性や適応性が提供される。少なくとも１つの自律車両の少なくとも１つのオーナまたは少なくとも１つのコントローラは、少なくとも１つの自律車両をどのようにどこに派遣するかについての少なくとも１つのパラメータまたは少なくとも１つの選択された選好を設定することができ、それによって、少なくとも１つの自律車両の少なくとも１つのオーナまたは少なくとも１つのコントローラに、より優れた制御性や適応性が提供される。
【００６０】
少なくとも１つの代理人や少なくとも１つの自律車両の少なくとも１つのオーナまたは少なくとも１つのコントローラに対する本発明の１つの利点は、少なくとも１つの好ましい搬送サービス要求を分析または評価し、次いで確保または取得する少なくとも１つの方法を、リアルタイムまたはほぼリアルタイムで達成することができる点であり得る。リアルタイムまたはほぼリアルタイムで動作することができる少なくとも１つのシステムおよび少なくとも１つの方法を利用することによって、量子計算、機械学習技術、またはそれらの組合せを組み込んで、限定はしないが、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せが少なくとも１つの好ましい搬送サービス要求を確保または取得するための分析または評価をさらに改善することができる。
【００６１】
本発明の１つの利点は、少なくとも１つの代理人、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって分析または評価される少なくとも１つの搬送サービス要求がより多く利用可能なことであり得る。少なくとも１つの代理人、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの代理人選好または少なくとも１つの選択した選好が与えられている場合、少なくとも１つの搬送サービス要求が多く紹介されるほど、少なくとも１つの好ましい搬送サービス要求を識別して確保または取得できる機会が多くなる。
【００６２】
本発明の１つの利点は、少なくとも１つの代理人が、少なくとも１つの搬送サービス要求を少なくとも１つのフィルタリングされた搬送サービス要求にフィルタリングし、少なくとも１つのフィルタリングされた搬送サービス要求から少なくとも１つの好ましい搬送サービス要求を識別するための、少なくとも１つの代理人選好を入力または提供することができることであり得る。少なくとも１つの好ましい搬送サービス要求を識別し好ましくは確保または取得するために少なくとも１つの代理人選好を使用する、少なくとも１つの改善されたプロセスにより、少なくとも１つの代理人は、少なくとも１つの搬送サービス要求をより効率的に分析または評価することができる。少なくとも１つの改善されたプロセスは、少なくとも１つの代理人がより効率的に働き、少なくとも１つの好ましい搬送サービス要求を識別し確保または取得することに費やす時間を短縮し、少なくとも１つの搬送サービスの提供に費やす時間を長くすることを可能にすることができる。
【００６３】
本発明の１つの利点は、少なくとも１つの搬送サービス要求を少なくとも１つのフィルタリングされた搬送サービス要求にフィルタリングし、少なくとも１つのフィルタリングされた搬送サービス要求から少なくとも１つの好ましい搬送サービス要求を識別するために、少なくとも１つの自律車両の少なくとも１つのオーナまたは少なくとも１つのコントローラが、少なくとも１つの選択された選好を入力または提供することができることであり得る。少なくとも１つの自律車両、少なくとも１つの自律車両の少なくとも１つのオーナまたは少なくとも１つのコントローラ、またはそれらの組合せは、少なくとも１つの好ましい搬送サービス要求を識別し、好ましくは確保または取得するために、少なくとも１つの選択された選好を使用する、少なくとも１つの改善されたプロセスにより、少なくとも１つの搬送サービス要求をより効率的に分析または評価することができる。少なくとも１つの改善されたプロセスは、少なくとも１つの自律車両、少なくとも１つの自律車両の少なくとも１つのオーナまたは少なくとも１つのコントローラ、またはそれらの組合せが、より効率的に活動し、少なくとも１つの好ましい搬送サービス要求を識別し確保または取得するのに費やす時間を短縮し、少なくとも１つの搬送サービスを提供するのに費やす時間を長くすることを可能にすることができる。
【００６４】
本発明の１つの利点は、少なくとも１人の代理人が、少なくとも１つの代理人選好に関連する少なくとも１つの好ましい搬送サービス要求を確保または取得する際に、その予想利益を増大させることができることであり得る。本発明は、少なくとも１つの代理人が、少なくとも１つの好ましい搬送サービス要求を識別し、好ましくは確保または取得するために、少なくとも１つの代理人選好を入力または提供する少なくとも１つの能力を提供することができる。少なくとも１つの改善されたプロセスは、少なくとも１つの高価格設定選好を使用しているときは、少なくとも１つの代理人が、少なくとも１つの所与の期間にわたって、少なくとも１つの代理人の収益性を増加させることができる少なくとも１つの好ましい搬送サービス要求のみを確保または取得することを可能にすることができる。少なくとも１人の代理人は、少なくとも１つの高価格設定選好を使用しているときに、少なくとも１つの所与のエリア内に留まるって収益性を高めるために、少なくとも１つのより短い距離の搬送サービスだけを提供することを望む可能性がある。少なくとも１つの代理人は、高価格エリア内で提供される少なくとも１つの搬送サービスごとに、少なくとも１つの高価格エリア外で少なくとも１つの同様の搬送サービスを実行するよりも、収益性を高めることができる。より高い収益性による利益の増加は、限定はしないが、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせに及ぶ。
【００６５】
本発明の１つの利点は、少なくとも１つの代理人または少なくとも１つの自律車両が、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを操作しまたはそれらと契約を結ぶ少なくとも１つの能力であり得る。本発明は、少なくとも１つの代理人または少なくとも１つの自律車両が、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せと同時に、またはそれらに続いて活動することを可能にすることができる。
【００６６】
本発明の１つの利点は、少なくとも１つの代理人または少なくとも１つの自律車両が、少なくとも１つの搬送業界セグメントにおいて少なくとも１つの搬送サービスを操作または提供する少なくとも１つの能力であり得る。現在のところ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせは、少なくとも１つの代理人または少なくとも１つの自律車両が少なくとも１つの追加の搬送業界セグメントで同時に活動することを可能にする少なくとも１つの能力を有していない。本発明は、少なくとも１つの代理人または少なくとも１つの自律車両が、最初に少なくとも１つの搬送業界セグメントで活動し、次に、少なくとも１つの異なる搬送業界セグメントで少なくとも１つの搬送サービスを実行し、次に、少なくとも１つの最初の搬送業界セグメントに戻って活動することを可能にすることができる。本発明は、シームレスに、少なくとも１つの代理人選好または少なくとも１つの選択された選好に基づいて、少なくとも１つの代理人または少なくとも１つの自律車両の少なくとも１つの搬送業界セグメント間の移動を可能にすることができる。
【００６７】
本発明の１つの利点は、搬送業界全体に付加価値を加えることができることである。本発明の少なくとも１つの代理人自動化プラットフォームおよび本発明の少なくとも１つの自律車両自動化プラットフォームは、少なくとも１つの搬送業界セグメントが、業界の将来の成長のために、より効率的に活動し、より多くの処理をこなし、より成長することを可能にすることができる。少なくとも１つの代理人および少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの代理人の満足度を高め、少なくとも１つの代理人が少なくとも１つの代理人選好に基づいて少なくとも１つの好ましい搬送サービスを識別し実行することを可能にすることによって、本発明から利益を得ることができる。少なくとも１つのサービスプロバイダ、少なくとも１つの良商品サプライヤ、少なくとも１つのフリートマネージャ、少なくとも１つのロジスティクスプロバイダ、少なくとも１つのロジスティクスサプライヤ、またはそれらの組み合わせも、少なくとも１つの自律車両を使用して、少なくとも１人の代理人の不足を低減するのを助けることによって利益を得ることができる。少なくとも１つの自律車両の少なくとも１つのオーナまたは少なくとも１つのコントローラは、彼らの少なくとも１つの自律車両が、使用されていない間、少なくとも１つの代理人の供給を強化し、収益性を高めることができるので、本発明から利益を得ることができる。少なくとも１つの搬送クライアントは、限定はしないが、より短い待ち時間、少なくとも１つの搬送サービスのより高い品質、より高い価格透明性、またはそれらの組み合わせを含む、本発明からの利益を得ることができる。同時に、本発明は、少なくとも１つの既存のシステムおよび少なくとも１つの既存の方法をリアルタイムまたはほぼリアルタイムの環境に適応させることで改善し、少なくとも１つの搬送業界セグメントをすべての関係者にとってよりよいものにするのを促進することができる。
【００６８】
＜本発明の例示的な態様および実施形態の詳細な説明＞
Ｉ．システム＃１：代理人自動化プラットフォーム
本発明の第一の態様は、搬送業界内で、少なくとも１つの代理人の少なくとも１つの選好および少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、全体または部分的に自動化されたリアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス要求の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
前記少なくとも１つの好ましい搬送サービス要求を前記少なくとも１つの代理人に伝えるように動作可能な少なくとも１つのコンピュータプログラム
を含む少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス要求であって、
少なくとも１つの個々の搬送サービス要求であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの要求と、
（ｉｉ）リアルタイムまたはほぼリアルタイムで更新される前記個々の搬送サービス要求と、
（ｉｉｉ）前記個々の搬送サービス要求に対応する定性的及び定量的搬送データと、
を含む少なくとも１つの個々の搬送サービス要求
を含む複数の搬送サービス要求と、
ｇ）複数のフィルタリングされた搬送サービス要求であって、
ｉ）前記少なくとも１つの代理人選好および前記少なくとも１つの代理人の前記少なくとも１つのリアルタイムまたはほぼリアルタイムの地理的位置を使用して前記複数の搬送サービス要求の全部または一部をフィルタリングした少なくとも１つの結果である、前記複数の搬送サービス要求の全部または一部の少なくとも１つのサブセットと、
ｉｉ）リアルタイムまたはほぼリアルタイムで更新される前記複数のフィルタリングされた搬送サービス要求の全部または一部と、
ｉｉｉ）個々のフィルタリングされた搬送サービス要求に対応する定性的および定量的搬送データと、
を含む複数のフィルタリングされた搬送サービス要求と、
ｈ）少なくとも１つの好ましい搬送サービス要求であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス要求の全部または一部から識別される少なくとも１つの他の地理的位置に輸送するための前記少なくとも１つの要求と、
ｉｉ）リアルタイムまたはほぼリアルタイムで更新される前記少なくとも１つの好ましい搬送サービス要求と、
ｉｉｉ）個々の好ましい搬送サービス要求に対応する定性的および定量的搬送データと、
を含む少なくとも１つの好ましい搬送サービス要求と、
ｉ）少なくとも１つの代理人であって、
少なくとも１つの搬送サービスを実行または提供する少なくとも１つの人、少なくとも１つの機械、またはそれらの組み合わせを含む、
少なくとも１つの代理人と、
ｊ）少なくとも１つの代理人選好であって、
ｉ）前記複数の搬送サービス要求の全部または一部を前記複数のフィルタリングされた搬送サービス要求の全部または一部にフィルタリングするために使用される、前記少なくとも１つの代理人によって選択または提供される少なくとも１つのオプションを含み、
ｉｉ）前記少なくとも１つの代理人選好が、前記少なくとも１つの好ましい搬送サービス要求を識別するために使用される、
代理人選好と、
を含み、
前記複数の搬送サービス要求の全部または一部、前記少なくとも１つの代理人の前記少なくとも１つのリアルタイムまたはほぼリアルタイムの地理的位置、またはそれらの組み合わせは、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、前記少なくとも１つの好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは、前記少なくとも１つの端末上で動作し、前記少なくとも１つの代理人によって使用され、
さらに、前記少なくとも１つの中央サーバは、前記複数のフィルタリングされた搬送サービス要求の全部または一部を分析または評価し、次いで、リアルタイムまたはほぼリアルタイムで、前記少なくとも１つの代理人選好に関連する前記少なくとも１つの好ましい搬送サービス要求を確保または取得し、
さらに、前記少なくとも１つの外部サーバは、前記少なくとも１つの外部サーバと前記少なくとも１つの中央サーバとの間の少なくとも１つのリンクを介して前記少なくとも１つの外部サーバから前記少なくとも１つの中央サーバにリアルタイムまたはほぼリアルタイムで送信される前記複数の搬送サービス要求の全部または一部の、少なくとも１つのリアルタイムまたはほぼリアルタイムのソースであり、
さらに、前記複数の搬送サービス要求の全部または一部は、リアルタイムまたはほぼリアルタイムで更新され、
さらに、前記少なくとも１つの中央サーバは、リアルタイムまたはほぼリアルタイムで、前記複数の搬送サービス要求の全部または一部の標準化、集約、またはそれらの組合せを実行し、
さらに、前記少なくとも１つの中央サーバは、リアルタイムまたはほぼリアルタイムで、前記少なくとも１つの代理人選好と、前記少なくとも１つの代理人の前記少なくとも１つのリアルタイムまたはほぼリアルタイムの地理的位置とを使用することによって、前記複数の搬送サービス要求の全部または一部をフィルタリングして、前記複数のフィルタリングされた搬送サービス要求の全部または一部を識別し、
さらに、前記複数のフィルタリングされた搬送サービス要求の全部または一部は、リアルタイムまたはほぼリアルタイムで更新され、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの代理人によって使用され、
さらに、前記少なくとも１つの中央サーバは、前記少なくとも１つの好ましい搬送サービス要求を識別するために、前記複数のフィルタリングされた搬送サービス要求の全部または一部をリアルタイムまたはほぼリアルタイムで分析または評価し、
さらに、前記少なくとも１つの好ましい搬送サービス要求は、リアルタイムまたはほぼリアルタイムで更新され、
さらに、前記少なくとも１つの中央サーバは、リアルタイムまたはほぼリアルタイムで、前記少なくとも１つの代理人選好に関連する前記少なくとも１つの好ましい搬送サービス要求を確保または取得し、
さらに、前記少なくとも１つのアプリケーションは、前記少なくとも１つの中央サーバと前記少なくとも１つのアプリケーションとの間の少なくとも１つのリンクを介して、前記少なくとも１つの中央サーバから前記少なくとも１つのアプリケーションにリアルタイムまたはほぼリアルタイムで送信される、少なくとも１つの確保されたまたは取得された好ましい搬送サービス要求をリアルタイムまたはほぼリアルタイムで更新して表示し、
さらに、前記少なくとも１つの代理人は、前記少なくとも１つの確保または取得された好ましい搬送サービス要求に関連する前記少なくとも１つの搬送サービスを実行または提供し、前記少なくとも１つの代理人の前記少なくとも１つのリアルタイムまたはほぼリアルタイムの地理的位置が更新または変更され、その間、前記少なくとも１つの中央サーバは、前記複数の搬送サービス要求の全部または一部をリアルタイムまたはほぼリアルタイムで繰り返し分析または評価し、次いで、前記少なくとも１つの代理人によって停止されるまで、少なくとも１つの後続のまたは追加の好ましい搬送サービス要求を確保または取得する、
システムを含む。
【００６９】
Ａ．少なくとも１つの中央サーバ
本発明の一実施形態は、前記少なくとも１つの中央サーバまたは前記少なくとも１つの外部サーバの少なくとも１つの機能が、前記少なくとも１つのアプリケーションによって実行されるシステムを含む。
【００７０】
本発明の別の実施形態は、前記少なくとも１つの中央サーバが、前記少なくとも１つの端末上に位置するシステムを含む。
【００７１】
本発明の更なる実施形態は、前記複数の搬送サービス要求の全部または一部、前記少なくとも１つの代理人の前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換されるシステムを含む。
【００７２】
本発明の付加的な実施形態は、前記複数の搬送サービス要求の全部または一部、前記少なくとも１つの代理人の前記少なくとも１つのリアルタイムまたはほぼリアルタイムの地理的位置、またはそれらの組合せが、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されないシステムを含む。
【００７３】
Ｂ．少なくとも１つのアプリケーション
本発明の一実施形態は、前記少なくとも１つのアプリケーションが、前記少なくとも１つの中央サーバ上で動作するシステムを含む。
【００７４】
本発明の別の実施形態は、前記少なくとも１つのアプリケーションの少なくとも１つの機能が、前記少なくとも１つの中央サーバまたは前記少なくとも１つの外部サーバによって実行されるシステムを含む。
【００７５】
Ｃ．複数の搬送サービス要求
本発明の一実施形態は、対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供されるシステムを含む。
【００７６】
本発明の別の実施形態は、前記複数の搬送サービス要求の全部または一部が、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せを含むシステムを含む。
【００７７】
本発明の更なる実施形態は、前記複数の搬送サービス要求が、１つの搬送サービス要求であるシステムを含む。
【００７８】
本発明の付加的な実施形態は、搬送データが、少なくとも１つのサービス開始地理的位置、少なくとも１つのサービス終了地理的位置、価格設定情報、高価格設定情報、少なくとも１つの代理人選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含むシステムを含む。
【００７９】
Ｄ．複数のフィルタリングされた搬送サービス要求
本発明の一実施形態は、前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別されるシステムを含む。
【００８０】
本発明の更なる実施形態は、前記少なくとも１つの好ましい搬送サービス要求が、前記少なくとも１つの代理人選好の少なくとも１つの加重平均に関連する前記複数のフィルタリングされた搬送サービス要求の全部または一部から識別されるシステムを含む。
【００８１】
本発明の付加的な実施形態は、前記複数の搬送サービス要求の全部または一部をフィルタリングする際に、前記少なくとも１つの代理人の前記少なくとも１つのリアルタイムまたはほぼリアルタイムの地理的位置以外の少なくとも１つの異なる地理的位置が使用されるシステムを含む。
【００８２】
本発明の一実施形態は、前記複数のフィルタリングされた搬送サービス要求が、１つのフィルタリングされた搬送サービス要求であるシステムを含む。
【００８３】
Ｅ．少なくとも１つの好ましい搬送サービス要求
本発明の一実施形態は、前記少なくとも１つの代理人が、前記少なくとも１つの好ましい搬送サービス要求以外の少なくとも１つの前記フィルタリングされた搬送サービス要求を確保または取得するシステムを含む。
【００８４】
Ｆ．少なくとも１つの代理人選好
本発明の一実施形態は、前記少なくとも１つの代理人選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決要求選好、またはそれらの組み合わせを含むシステムを含む。
【００８５】
Ｇ．機能
本発明の別の実施形態は、前記少なくとも１つの後続または追加の好ましい搬送サービス要求が、前記少なくとも１つの代理人のために、少なくとも１つの異なる搬送業界セグメントにおいて確保または取得されるシステムを含む。
【００８６】
本発明の更なる実施形態は、前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、またはそれらの組合せが、リアルタイムまたはほぼリアルタイムで識別または更新されるシステムを含む。
【００８７】
本発明の一実施形態は、前記少なくとも１つの代理人が、前記少なくとも１つのアプリケーションを使用して、前記少なくとも１つの好ましい搬送サービス要求を分析または評価し、次いで、確保または取得するシステムを含む。
【００８８】
本発明の別の実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つのアプリケーションに送信され、少なくとも１つのポップアップ、少なくとも１つのアイコン、少なくとも１つのビジュアル（ｖｉｓｕａｌ）、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージングサービス、少なくとも１つの拡張メッセージサービス、またはそれらの組合せで表示されるシステムを含む。
【００８９】
本発明の更なる実施形態は、前記少なくとも１つの代理人が、前記少なくとも１つの好ましい搬送サービス要求を受諾するか、または拒否するシステムを含む。
【００９０】
本発明の付加的な実施形態は、前記少なくとも１つの代理人が前記少なくとも１つの好ましい搬送サービス要求を拒否すると、少なくとも１つの新しいまたは異なる好ましい搬送サービス要求が識別され表示されるシステムを含む。
【００９１】
本発明の一実施形態は、前記少なくとも１つの代理人のために、２つ以上の前記好ましい搬送サービス要求が同時に確保または取得されるシステムを含む。
【００９２】
本発明の別の実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、少なくとも１つのリモートディスプレイ上に表示されるシステムを含む。
【００９３】
本発明の更なる実施形態は、前記少なくとも１つの後続または追加の好ましい搬送サービス要求が確保または取得され、前記少なくとも１つの搬送サービスを実行または提供するための少なくとも１つの命令が、リアルタイムまたはほぼリアルタイムで更新または変更されるシステムを含む。
【００９４】
本発明の付加的な実施形態は、前記少なくとも１つの中央サーバ、前記少なくとも１つのアプリケーション、またはそれらの組合せが、前記少なくとも１つの好ましい搬送サービス要求以外の少なくとも１つの異なる搬送サービス要求を提案または推奨するシステムを含む。
【００９５】
本発明の付加的な実施形態は、前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合されたシステムを含む。
【００９６】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つのアプリケーションと前記少なくとも１つの中央サーバとの間の少なくとも１つのリンクを介して前記少なくとも１つのアプリケーションと前記少なくとも１つの中央サーバとの間でリアルタイムまたはほぼリアルタイムで送信され、リアルタイムまたはほぼリアルタイムで更新されるシステムを含む。
【００９７】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つのアプリケーションと前記少なくとも１つの外部サーバとの間の少なくとも１つのリンクを介して前記少なくとも１つのアプリケーションと前記少なくとも１つの外部サーバとの間でリアルタイムまたはほぼリアルタイムで送信され、リアルタイムまたはほぼリアルタイムで更新されるシステムを含む。
【００９８】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つの中央サーバと前記少なくとも１つの外部サーバとの間の少なくとも１つのリンクを介して前記少なくとも１つの中央サーバと前記少なくとも１つの外部サーバとの間でリアルタイムまたはほぼリアルタイムで送信され、リアルタイムまたはほぼリアルタイムで更新されるシステムを含む。
【００９９】
本発明の付加的な実施形態は、少なくとも１つの自律車両が、前記少なくとも１つの代理人と連携して、前記少なくとも１つの搬送サービスの全部または一部を提供または実行するシステムを含む。
【０１００】
本発明の付加的な実施形態は、前記少なくとも１つのアプリケーション、前記少なくとも１つの代理人、またはそれらの組合せが、前記少なくとも１つの好ましい搬送サービス要求を確保または取得するシステムを含む。
【０１０１】
ＩＩ．方法＃１：代理人自動化プラットフォーム
本発明の第二の態様は、搬送業界内で、少なくとも１つの代理人選好および少なくとも１つの代理人の少なくとも１つのリアルタイムまたはほぼリアルタイムの地理的位置に関連する少なくとも１つの好ましい搬送サービス要求を確保または取得する少なくとも１つのプロセスにおいて少なくとも１つの代理人を支援するための、全体または部分的に自動化されたリアルタイムまたはほぼリアルタイムの方法であって、
ａ）上記セクションＩに記載のシステムのいずれかを提供するステップと、
ｂ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス要求の全部または一部をリアルタイムまたはほぼリアルタイムで受信するステップと、
ｃ）前記少なくとも１つの中央サーバの前記少なくとも１つのコンピュータ可読メモリに、前記複数の搬送サービス要求の全部または一部をリアルタイムまたはほぼリアルタイムで格納するステップと、
ｄ）前記少なくとも１つの中央サーバを使用して、前記複数の搬送サービス要求の全部または一部をリアルタイムまたはほぼリアルタイムで標準化するステップと、
ｅ）前記少なくとも１つの中央サーバを使用して、前記複数の搬送サービス要求の全部または一部をリアルタイムまたはほぼリアルタイムで集約するステップと、
ｆ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの代理人選好および前記少なくとも１つの代理人の前記少なくとも１つのリアルタイムまたはほぼリアルタイムの地理的位置をリアルタイムまたはほぼリアルタイムで送信するステップであって、
ｉ）前記少なくとも１つの代理人が、前記少なくとも１つの端末の前記少なくとも１つの入力ソースを使用して、前記少なくとも１つのアプリケーションに前記少なくとも１つの代理人選好を入力または提供し、
ｉｉ）前記少なくとも１つのアプリケーションが、前記少なくとも１つの端末の前記少なくとも１つの地理的位置モジュールを使用して前記少なくとも１つの代理人の前記少なくとも１つのリアルタイムまたはほぼリアルタイムの地理的位置を提供する
ステップと、
ｇ）前記少なくとも１つの中央サーバと前記少なくとも１つのアプリケーションとの間の少なくとも１つのリンクを介して、前記少なくとも１つの中央サーバにおいて、前記少なくとも１つの代理人選好および前記少なくとも１つのアプリケーションから前記少なくとも１つの代理人の前記少なくとも１つのリアルタイムまたはほぼリアルタイムの地理的位置をリアルタイムまたはほぼリアルタイムで受信するステップと、
ｈ）前記少なくとも１つの中央サーバにおいて、前記少なくとも１つの代理人選好および前記少なくとも１つの代理人の少なくとも１つのリアルタイムまたはほぼリアルタイムの地理的位置を使用して前記複数の搬送サービス要求の全部または一部をリアルタイムまたはほぼリアルタイムでフィルタリングし、前記複数のフィルタリングされた搬送サービス要求の全部または一部を識別するステップと、
ｉ）前記少なくとも１つの中央サーバにおいて、前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別するステップと、
ｊ）前記少なくとも１つの中央サーバにおいて、前記少なくとも１つの好ましい搬送サービス要求をリアルタイムまたはほぼリアルタイムで確保または取得するステップと、
ｋ）前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの確保または取得された好ましい搬送サービス要求をリアルタイムまたはほぼリアルタイムで送信するステップと、
ｌ）前記少なくとも１つのアプリケーションにおいて、前記少なくとも１つのアプリケーションと前記少なくとも１つの中央サーバとの間の少なくとも１つのリンクを介して、前記少なくとも１つの中央サーバから前記少なくとも１つの確保または取得された好ましい搬送サービス要求をリアルタイムまたはほぼリアルタイムで受信するステップと、
ｍ）、前記少なくとも１つのアプリケーション上で、前記少なくとも１つの確保または取得された好ましい搬送サービス要求を対応する搬送データとともにリアルタイムまたはほぼリアルタイムで表示するステップと、
ｎ）前記少なくとも１つの代理人は、前記少なくとも１つの確保または取得された好ましい搬送サービス要求に関連する少なくとも１つの搬送サービスを実行または提供し、前記少なくとも１つの代理人の前記少なくとも１つのリアルタイムまたはほぼリアルタイムの地理的位置が更新または変更され、その間、前記少なくとも１つの中央サーバは、前記少なくとも１つの代理人によって停止されるまで、前記複数の搬送サービス要求の全部または一部をリアルタイムまたはほぼリアルタイムで繰り返し分析または評価し、次いで、前記少なくとも１つの後続のまたは追加の好ましい搬送サービス要求を確保または取得するステップと、を含む
方法を含む。
【０１０２】
Ａ．複数の搬送サービス要求の標準化
本発明の一実施形態は、前記複数の搬送サービス要求の全部または一部、前記少なくとも１つの代理人の前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される方法を含む。
【０１０３】
本発明の別の実施形態は、前記複数の搬送サービス要求の全部または一部、前記少なくとも１つの代理人の前記少なくとも１つのリアルタイムまたはほぼリアルタイムの地理的位置、またはそれらの組合せが、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されない方法を含む。
【０１０４】
本発明の更なる実施形態は、前記複数の搬送サービス要求の全部または一部をフィルタリングする前のステップＣ〜Ｇは任意の順序とすることができる方法を含む。
【０１０５】
Ｂ．少なくとも１つの代理人選好および少なくとも１つの地理的位置の中央サーバへの送信
本発明の一実施形態は、前記少なくとも１つの代理人選好が、前記少なくとも１つのアプリケーションに入力または提供されると、前記少なくとも１つのアプリケーション、前記少なくとも１つの中央サーバの前記少なくとも１つのコンピュータ可読メモリ、またはそれらの組合せに格納またはキャッシュされ、前記少なくとも１つの代理人選好が、前記少なくとも１つの代理人によって前記少なくとも１つのアプリケーションに再び入力または提供されない方法を含む。
【０１０６】
本発明の別の実施形態は、前記少なくとも１つの代理人選好が、前記少なくとも１つの中央サーバの前記少なくとも１つのコンピュータ可読メモリに格納またはキャッシュされ、前記少なくとも１つの代理人選好が、前記少なくとも１つのアプリケーションから前記少なくとも１つの中央サーバに再び送信されない方法を含む。
【０１０７】
本発明の更なる実施形態は、前記少なくとも１つの代理人選好、前記少なくとも１つの代理人の前記少なくとも１つのリアルタイムまたはほぼリアルタイムの地理的位置、またはそれらの組合せが、前記複数の搬送サービス要求の全部または一部をフィルタリングする前の任意の時間に、前記少なくとも１つのアプリケーションから前記少なくとも１つの中央サーバに送信される方法を含む。
【０１０８】
Ｃ．複数の搬送サービス要求のフィルタリング
本発明の一実施形態は、前記複数の搬送サービス要求の全部または一部が、前記少なくとも１つの代理人選好および前記少なくとも１つの代理人の前記少なくとも１つのリアルタイムまたはほぼリアルタイムの地理的位置に関してフィルタリングされ、前記複数のフィルタリングされた搬送サービス要求の全部または一部を、分類、フィルタリング、特徴付け、スクリーニング、選択、分離、識別、指定、識別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別する方法を含む。
【０１０９】
本発明の別の実施形態は、前記複数の搬送サービス要求の全部または一部は、前記少なくとも１つのアプリケーション上で、
ａ）前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
ｂ）前記少なくとも１つの代理人選好および前記少なくとも１つの代理人の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
ｃ）前記少なくとも１つの代理人選好に関連する前記複数のフィルタリングされた搬送サービス要求の全部または一部から、前記少なくとも１つの好ましい搬送サービス要求をリアルタイムまたはほぼリアルタイムで識別する
ことで、リアルタイムまたはほぼリアルタイムでフィルタリングされ、前記少なくとも１つの好ましい搬送サービス要求が、前記複数のフィルタリングされた搬送サービス要求の全部または一部から、リアルタイムまたはほぼリアルタイムで識別される方法を含む。
【０１１０】
本発明の更なる実施形態は、前記複数の搬送サービス要求の全部または一部をフィルタリングするときに、前記少なくとも１つの代理人の前記少なくとも１つのリアルタイムまたはほぼリアルタイムの地理的位置以外の少なくとも１つの異なる地理的位置が使用される方法を含む。
【０１１１】
Ｄ．少なくとも１つの好ましい搬送サービス要求の識別
本発明の一実施形態は、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、前記少なくとも１つの代理人選好に関連する前記少なくとも１つの好ましい搬送サービス要求が、前記複数のフィルタリングされた搬送サービス要求の全部または一部から識別される方法を含む。
【０１１２】
本発明の別の実施形態は、前記少なくとも１つの好ましい搬送サービス要求が、前記少なくとも１つの代理人選好の少なくとも１つの加重平均に関連する前記複数のフィルタリングされた搬送サービス要求の全部または一部から識別される方法を含む。
【０１１３】
本発明の更なる実施形態は、前記少なくとも１つの好ましい搬送サービス要求が、
ａ）前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス要求の全部または一部をリアルタイムまたはほぼリアルタイムで送信し、
ｂ）前記少なくとも１つの好ましい搬送サービス要求を、前記少なくとも１つの代理人選好に関連する前記複数のフィルタリングされた搬送サービス要求の全部または一部からリアルタイムまたはほぼリアルタイムで識別する
ことで、前記少なくとも１つのアプリケーション上の前記複数のフィルタリングされた搬送サービス要求の全部または一部から、リアルタイムまたはほぼリアルタイムで識別される方法を含む。
【０１１４】
Ｅ．少なくとも１つの好ましい搬送サービス要求の確保または取得
本発明の一実施形態は、前記少なくとも１つの代理人が、前記少なくとも１つのアプリケーションを使用して、前記少なくとも１つの好ましい搬送サービス要求を分析または評価し、次いで、セ確保または取得する方法を含む。
【０１１５】
本発明の別の実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージングサービス、少なくとも１つのスマートメッセージングサービス、少なくとも１つの拡張メッセージサービス、またはそれらの組合せで表示される方法を含む。
【０１１６】
本発明の更なる実施形態は、前記少なくとも１つの代理人が、前記少なくとも１つの好ましい搬送サービス要求を受諾するか、または拒否する方法を含む。
【０１１７】
本発明の付加的な実施形態は、前記少なくとも１つの代理人が前記少なくとも１つの好ましい搬送サービス要求を拒否すると、少なくとも１つの新しいまたは異なる好ましい搬送サービス要求が識別され表示される方法を含む。
【０１１８】
本発明の一実施形態は、前記少なくとも１つの代理人のために、２つ以上の前記好ましい搬送サービス要求が同時に確保または取得される方法を含む。
【０１１９】
Ｆ．表示
本発明の一実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、前記少なくとも１つの代理人の前記少なくとも１つのリアルタイムまたはほぼリアルタイムの地理的位置、またはそれらの組合せが、少なくとも１つのリモートディスプレイ上に表示される方法を含む。
【０１２０】
Ｇ．付加的実施形態
本発明の一実施形態は、前記少なくとも１つの中央サーバまたは前記少なくとも１つの外部サーバの少なくとも１つの機能が、前記少なくとも１つのアプリケーションによって実行される方法を含む。
【０１２１】
本発明の別の実施形態は、前記少なくとも１つのアプリケーションが、前記少なくとも１つの中央サーバ上で動作する方法を含む。
【０１２２】
本発明の更なる実施形態は、前記少なくとも１つのアプリケーションの少なくとも１つの機能が、前記少なくとも１つの中央サーバまたは前記少なくとも１つの外部サーバによって実行される方法を含む。
【０１２３】
本発明の一実施形態は、対応する搬送データが関連付けられた前記複数の搬送サービス要求の全部または一部が、少なくとも１つの搬送業界セグメントで活動する少なくとも１つのサービスプロバイダまたは少なくとも１つの商品サプライヤによって供給または提供される方法を含む。
【０１２４】
本発明の別の実施形態は、前記少なくとも１つの後続または追加の好ましい搬送サービス要求が、前記少なくとも１つの代理人のために、少なくとも１つの異なる搬送業界セグメントにおいて確保または取得される方法を含む。
【０１２５】
本発明の更なる実施形態は、前記少なくとも１つの代理人の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの確保または取得された好ましい搬送サービス要求、前記少なくとも１つの代理人選好、またはそれらの組合せが、リアルタイムまたはほぼリアルタイムで識別または更新される方法を含む。
【０１２６】
本発明の一実施形態は、前記複数の搬送サービス要求が、１つの搬送サービス要求である方法を含む。
【０１２７】
本発明の一実施形態は、前記複数のフィルタリングされた搬送サービス要求が、１つのフィルタリングされた搬送サービス要求である方法を含む。
【０１２８】
本発明の別の実施形態は、前記少なくとも１つの代理人が、前記少なくとも１つの好ましい搬送サービス要求以外の少なくとも１つの前記フィルタリングされた搬送サービス要求を確保または取得する方法を含む。
【０１２９】
本発明の付加的な実施形態は、前記少なくとも１つの後続または追加の好ましい搬送サービス要求が確保または取得され、前記少なくとも１つの搬送サービスを実行または提供するための少なくとも１つの命令が、リアルタイムまたはほぼリアルタイムで更新または変更される方法を含む。
【０１３０】
本発明の一実施形態は、前記少なくとも１つの中央サーバ、前記少なくとも１つのアプリケーション、またはそれらの組合せが、前記少なくとも１つの好ましい搬送サービス要求以外の少なくとも１つの異なる搬送サービス要求を提案または推奨する方法を含む。
【０１３１】
本発明の別の実施形態は、前記少なくとも１つの中央サーバが、前記少なくとも１つの端末上に位置する方法を含む。
【０１３２】
本発明の別の実施形態は、前記少なくとも１つのアプリケーション、前記少なくとも１つの端末、前記少なくとも１つの中央サーバ、前記少なくとも１つの外部サーバ、少なくとも１つのリンク、またはそれらの組合せが結合または統合された方法を含む。
【０１３３】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つのアプリケーションと前記少なくとも１つの中央サーバとの間の少なくとも１つのリンクを介して前記少なくとも１つのアプリケーションと前記少なくとも１つの中央サーバとの間でリアルタイムまたはほぼリアルタイムで送信され、リアルタイムまたはほぼリアルタイムで更新される方法を含む。
【０１３４】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つのアプリケーションと前記少なくとも１つの外部サーバとの間の少なくとも１つのリンクを介して前記少なくとも１つのアプリケーションと前記少なくとも１つの外部サーバとの間でリアルタイムまたはほぼリアルタイムで送信され、リアルタイムまたはほぼリアルタイムで更新される方法を含む。
【０１３５】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの代理人の前記少なくとも１つのリアルタイムまたはほぼリアルタイムの地理的位置、前記少なくとも１つの代理人選好、前記少なくとも１つの確保または取得された好ましい搬送サービス要求、またはそれらの組合せが、前記少なくとも１つの中央サーバと前記少なくとも１つの外部サーバとの間の少なくとも１つのリンクを介して前記少なくとも１つの中央サーバと前記少なくとも１つの外部サーバとの間でリアルタイムまたはほぼリアルタイムで送信され、リアルタイムまたはほぼリアルタイムで更新される方法を含む。
【０１３６】
本発明の付加的な実施形態は、少なくとも１つの自律車両が、前記少なくとも１つの代理人と連携して、前記少なくとも１つの搬送サービスの全部または一部を提供または実行する方法を含む。
【０１３７】
本発明の付加的な実施形態は、前記少なくとも１つのアプリケーション、前記少なくとも１つの代理人、またはそれらの組合せが、前記少なくとも１つの好ましい搬送サービス要求を確保または取得する方法を含む。
【０１３８】
ＩＩＩ．システム＃２：自律車両自動化プラットフォーム
本発明の第三の態様は、搬送業界内で、少なくとも１つの自律車両の少なくとも１つの選択された選好および少なくとも１つのリアルタイムまたはほぼリアルタイムの地理的位置に関連する少なくとも１つの好ましい搬送サービス要求を確保または取得する少なくとも１つのプロセスにおいて少なくとも１つの自律車両を支援するための、全体または部分的に自動化されたリアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと、
ｉｉｉ）少なくとも１つのネットワークインターフェースと、
ｉｖ）複数の搬送サービス要求の少なくとも１つのリアルタイムまたはほぼリアルタイムのソースと、
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの地理的位置モジュールと、
（ｉｖ）少なくとも１つのネットワークインターフェースと
を備える少なくとも１つの電子計算装置
を備える少なくとも１つの端末と、
ｄ）少なくとも１つのアプリケーションであって、
ｉ）前記少なくとも１つの好ましい搬送サービス要求を前記少なくとも１つの自律車両に伝えるように動作可能な少なくとも１つのコンピュータプログラムを含む、
少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス要求であって、
少なくとも１つの個々の搬送サービス要求であって、
（ｉ）少なくとも１つの地理的位置から少なくとも１つの他の地理的位置へ、少なくとも１人の人、少なくとも１つの商品、少なくとも１つの物、またはそれらの組み合わせを輸送するための少なくとも１つの要求と、
（ｉｉ）リアルタイムまたはほぼリアルタイムで更新される前記個々の搬送サービス要求と、
（ｉｉｉ）前記個々の搬送サービス要求に対応する定性的及び定量的搬送データと、
を含む少なくとも１つの個々の搬送サービス要求
を含む複数の搬送サービス要求と、
ｇ）複数のフィルタリングされた搬送サービス要求であって、
ｉ）前記少なくとも１つの選択された選好および前記少なくとも１つの自律車両の前記少なくとも１つのリアルタイムまたはほぼリアルタイムの地理的位置を使用して前記複数の搬送サービス要求の全部または一部をフィルタリングした少なくとも１つの結果である、前記複数の搬送サービス要求の全部または一部の少なくとも１つのサブセットと、
ｉｉ）リアルタイムまたはほぼリアルタイムで更新される前記複数のフィルタリングされた搬送サービス要求の全部または一部と、
ｉｉｉ）個々のフィルタリングされた搬送サービス要求に対応する定性的および定量的搬送データと、
を含む複数のフィルタリングされた搬送サービス要求と、
ｈ）少なくとも１つの好ましい搬送サービス要求であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス要求の全部または一部から識別される少なくとも１つの他の地理的位置に輸送するための少なくとも１つの要求と、
ｉｉ）リアルタイムまたはほぼリアルタイムで更新される前記少なくとも１つの好ましい搬送サービス要求と、
ｉｉｉ）個々の好ましい搬送サービス要求に対応する定性的および定量的搬送データと、
を含む少なくとも１つの好ましい搬送サービス要求と、
ｉ）少なくとも１つの自律車両であって、
ｉ）少なくとも１つの運搬サービスを実行する少なくとも１つの自己操縦機械または少なくとも１つの自己駆動機械と、
ｉｉ）リアルタイムまたはほぼリアルタイムで更新される前記少なくとも１つの自律車両の前記少なくとも１つのリアルタイムまたはほぼリアルタイムの地理的位置と、
を含む少なくとも１つの自律車両と、
ｊ）少なくとも１つの選択された選好であって、
ｉ）前記少なくとも１つの自律車両の少なくとも１つのオーナまたは少なくとも１つのコントローラによって選択または提供される、前記複数の搬送サービス要求の全部または一部の、前記複数のフィルタリングされた搬送サービス要求の全部または一部へのフィルタリングに使用される少なくとも１つのオプションを含み、
ｉｉ）前記少なくとも１つの選択された選好は、前記少なくとも１つの好ましい搬送サービス要求を識別するために使用される、
少なくとも１つの選択された選好と、
を含み、
前記複数の搬送サービス要求の全部または一部が、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、前記少なくとも１つの好ましい搬送サービス要求、前記少なくとも１つの自律車両の前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは、前記少なくとも１つの端末上で動作し、前記少なくとも１つの自律車両によって利用され、
さらに、前記少なくとも１つの端末は、前記少なくとも１つの自律車両に関連付けられており、
さらに、前記少なくとも１つの中央サーバは、前記複数のフィルタリングされた搬送サービス要求の全部または一部を分析または評価し、次いで、前記少なくとも１つの選択された選好に関連する前記少なくとも１つの好ましい搬送サービス要求をリアルタイムまたはほぼリアルタイムで確保または取得し、
さらに、前記少なくとも１つの外部サーバは、前記少なくとも１つの外部サーバと前記少なくとも１つの中央サーバとの間の少なくとも１つのリンクを介して前記少なくとも１つの外部サーバから前記少なくとも１つの中央サーバにリアルタイムまたはほぼリアルタイムで送信される前記複数の搬送サービス要求の全部または一部の、少なくとも１つのリアルタイムまたはほぼリアルタイムのソースであり、
さらに、前記複数の搬送サービス要求の全部または一部が、リアルタイムまたはほぼリアルタイムで更新され、
さらに、前記少なくとも１つの中央サーバは、リアルタイムまたはほぼリアルタイムで、前記複数の搬送サービス要求の全部または一部の標準化、集約、またはそれらの組合せを行い、
さらに、前記少なくとも１つの中央サーバは、リアルタイムまたはほぼリアルタイムで、前記少なくとも１つの選択された選好及び前記少なくとも１つの自律車両の前記少なくとも１つのリアルタイムまたはほぼリアルタイムの地理的位置を使用して、前記複数の搬送サービス要求の全部または一部をフィルタリングし、前記複数のフィルタリングされた搬送サービス要求の全部または一部を識別し、
さらに、前記複数のフィルタリングされた搬送サービス要求の全部または一部が、リアルタイムまたはほぼリアルタイムで更新され、
さらに、前記少なくとも１つの端末は、前記少なくとも１つの自律車両とインターフェースをとり、前記少なくとも１つのアプリケーションの操作を容易にするか、または提供し、
さらに、前記少なくとも１つの中央サーバは、前記複数のフィルタリングされた搬送サービス要求の全部または一部をリアルタイムまたはほぼリアルタイムで分析または評価し、前記少なくとも１つの好ましい搬送サービス要求を識別し、
さらに、前記少なくとも１つの好ましい搬送サービス要求が、リアルタイムまたはほぼリアルタイムで更新され、
さらに、前記少なくとも１つの中央サーバは、前記少なくとも１つの選択された選好に関連する、前記少なくとも１つの好ましい搬送サービス要求を、リアルタイムまたはほぼリアルタイムで確保または取得し、
さらに、前記少なくとも１つの中央サーバと前記少なくとも１つのアプリケーションとの間の少なくとも１つのリンクを介して、少なくとも１つの確保または取得された好ましい搬送サービス要求が、前記少なくとも１つの中央サーバから前記少なくとも１つのアプリケーションにリアルタイムまたはほぼリアルタイムで送信されて、リアルタイムまたはほぼリアルタイムで更新され、
さらに、前記少なくとも１つの自律車両が前記少なくとも１つの確保または取得された好ましい搬送サービス要求に関連する前記少なくとも１つの搬送サービスを実行し、前記少なくとも１つの自律車両の前記少なくとも１つのリアルタイムまたはほぼリアルタイムの地理的位置が更新または変更され、その間、前記少なくとも１つの中央サーバは、前記少なくとも１つの自律車両の前記少なくとも１つのオーナまたは前記少なくとも１つのコントローラによって停止されるまで、前記複数の搬送サービス要求の全部または一部をリアルタイムまたはほぼリアルタイムで繰り返し分析または評価し、次いで、少なくとも１つの後続のまたは追加の好ましい搬送サービス要求を確保または取得する、
システムを含む。
【０１３９】
Ａ．少なくとも１つの中央サーバ
本発明の一実施形態は、前記少なくとも１つの中央サーバの少なくとも１つの機能が、前記少なくとも１つのアプリケーション、少なくとも１つのオーナアプリケーションまたはコントローラアプリケーション、またはそれらの組合せによって実行されるシステムを含む。
【０１４０】
本発明の別の実施形態は、前記少なくとも１つの中央サーバが、前記少なくとも１つの端末上に位置するシステムを含む。
【０１４１】
本発明の更なる実施形態は、少なくとも１つの異なるフォーマットで構造化されている前記複数の搬送サービス要求の全部または一部が、少なくとも１つの一様なフォーマットに標準化または変換されるシステムを含む。
【０１４２】
本発明の付加的な実施形態は、前記複数の搬送サービス要求の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されないシステムを含む。
【０１４３】
Ｂ．少なくとも１つのアプリケーション
本発明の一実施形態は、前記少なくとも１つのアプリケーション、少なくとも１つのオーナアプリケーションまたはコントローラアプリケーション、またはそれらの組合せが、前記少なくとも１つの中央サーバ上で動作するシステムを含む。
【０１４４】
本発明の別の実施形態は、前記少なくとも１つのアプリケーション、少なくとも１つのオーナアプリケーションまたはコントローラアプリケーション、またはそれらの組合せの少なくとも１つの機能が、前記少なくとも１つの中央サーバによって実行されるシステムを含む。
【０１４５】
Ｃ．複数の搬送サービス要求
本発明の一実施形態は、対応する搬送データが関連付けられた前記複数の搬送サービス要求の全部または一部が、少なくとも１つの搬送業界セグメントで活動する、少なくとも１つのサービスプロバイダによって供給または提供されるシステムを含む。
【０１４６】
本発明の別の実施形態は、前記複数の搬送サービス要求の全部または一部が、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せを含むシステムを含む。
【０１４７】
本発明の更なる実施形態は、前記複数の搬送サービス要求が、１つの搬送サービス要求であるシステムを含む。
【０１４８】
本発明の付加的な実施形態は、搬送データが、少なくとも１つのサービス開始地理的位置、少なくとも１つのサービス終了地理的位置、価格設定情報、高価格設定情報、少なくとも１つの選択された選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、またはそれらの組合せを含むシステムを含む。
【０１４９】
Ｄ．複数のフィルタリングされた搬送サービス要求
本発明の一実施形態は、前記複数の搬送サービス要求の全部または一部が、前記少なくとも１つの選択された選好および前記少なくとも１つの自律車両の前記少なくとも１つのリアルタイムまたはほぼリアルタイムの地理的位置に関してフィルタリングされ、前記複数のフィルタリングされた搬送サービス要求の全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別されるシステムを含む。
【０１５０】
本発明の別の実施形態は、前記少なくとも１つの好ましい搬送サービス要求が、前記少なくとも１つの選択された選好の少なくとも１つの加重平均に関連して、前記複数のフィルタリングされた搬送サービス要求の全部または一部から識別されるシステムを含む。
【０１５１】
本発明の更なる実施形態は、前記複数の搬送サービス要求の全部または一部をフィルタリングする際に、前記少なくとも１つの自律車両の前記少なくとも１つのリアルタイムまたはほぼリアルタイムの地理的位置以外の少なくとも１つの異なる地理的位置が使用されるシステムを含む。
【０１５２】
本発明の付加的な実施形態は前記複数のフィルタリングされた搬送サービス要求が、１つのフィルタリングされた搬送サービス要求であるシステムを含む。
【０１５３】
Ｅ．少なくとも１つの好ましい搬送サービス要求
本発明の一実施形態は、前記少なくとも１つの自律車両の前記少なくとも１つのオーナまたは前記少なくとも１つのコントローラが、前記少なくとも１つの好ましい搬送サービス要求以外の少なくとも１つの前記フィルタリングされた搬送サービス要求を確保または取得するシステムを含む。
【０１５４】
Ｆ．少なくとも１つの自律車両
本発明の一実施形態は、前記少なくとも１つの自律車両が、少なくとも１つの自家用車、少なくとも１つの自動車、少なくとも１つのバン、少なくとも１つのトラック、少なくとも１つのセミトレーラトラック、少なくとも１つのシャトル、少なくとも１つのヘリコプター、少なくとも１つの航空機、少なくとも１つのボート、少なくとも１つの船舶、少なくとも１つの宇宙船、少なくとも１つのバス、少なくとも１つの列車、少なくとも１つのワゴン、少なくとも１つの全地形車両、少なくとも１つの１８ホイーラー、少なくとも１つの輸送機械、少なくとも１つの無人機、少なくとも１つの医療用車両、またはそれらの組み合わせを含むシステムを含む。
【０１５５】
Ｇ．少なくとも１つの選択された選好
本発明の一実施形態は、前記少なくとも１つの選択された選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのイベント包含選好、少なくとも１つのイベント除外選好、少なくとも１つの交通量基準選好、少なくとも１つの道路条件選好、少なくとも１つの気象条件選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ包含選好、少なくとも１つのサービスプロバイダ除外選好、少なくとも１つのサービスプロバイダ密度選好、少なくとも１つのサービスレベル選好、少なくとも１つの商品サプライヤ包含選好、少なくとも１つの商品サプライヤ除外選好、少なくとも１つの商品サプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、またはそれらの組み合わせを含むシステムを含む。
【０１５６】
Ｈ．機能
本発明の一実施形態は、前記少なくとも１つの後続のまたは追加の好ましい搬送サービス要求が、前記少なくとも１つの自律車両のために、少なくとも１つの異なる搬送業界セグメントにおいて確保または取得されるシステムを含む。
【０１５７】
本発明の別の実施形態は、前記少なくとも１つの自律車両の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、またはそれらの組合せが、リアルタイムまたはほぼリアルタイムで識別または更新されるシステムを含む。
【０１５８】
本発明の付加的な実施形態は、前記少なくとも１つの自律車両の前記少なくとも１つのオーナまたは前記少なくとも１つのコントローラの前記少なくとも１つの選択された選好が、少なくとも１つのオーナアプリケーションまたはコントローラアプリケーションに提供または入力され、前記少なくとも１つのオーナアプリケーションまたはコントローラアプリケーションと前記少なくとも１つの中央サーバとの間の少なくとも１つのリンクを介して前記少なくとも１つの中央サーバに送信されるシステムを含む。
【０１５９】
本発明の一実施形態は、前記少なくとも１つの自律車両の前記少なくとも１つのオーナまたは前記少なくとも１つのコントローラが、少なくとも１つのオーナアプリケーションまたはコントローラアプリケーション、前記少なくとも１つのアプリケーション、またはそれらの組み合わせを使用して、前記少なくとも１つの好ましい搬送サービス要求を分析または評価し、次いで確保または取得するシステムを含む。
【０１６０】
本発明の更なる実施形態は、対応する搬送データが関連付けられた前記少なくとも１つの好ましい搬送サービス要求が、前記少なくとも１つのオーナアプリケーションまたはコントローラアプリケーションまたは前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージサービス、少なくとも１つの拡張メッセージサービス、またはそれらの組み合わせで表示されるシステムを含む。
【０１６１】
本発明の付加的な実施形態は、前記少なくとも１つの自律車両の前記少なくとも１つのオーナまたは前記少なくとも１つのコントローラが、前記少なくとも１つの好ましい搬送サービス要求を、受諾するか、または拒否するシステムを含む。
【０１６２】
本発明の一実施形態は、前記少なくとも１つの自律車両の前記少なくとも１つのオーナまたは前記少なくとも１つのコントローラが前記少なくとも１つの好ましい搬送サービス要求を拒否すると、少なくとも１つの新しいまたは異なる好ましい搬送サービス要求が識別され、表示されるシステムを含む。
【０１６３】
本発明の別の実施形態は、２つ以上の前記好ましい搬送サービス要求が、前記少なくとも１つの自律車両のために、同時に確保または取得されるシステムを含む。
【０１６４】
本発明の更なる実施形態は、前記少なくとも１つの自律車両の前記少なくとも１つのオーナまたは前記少なくとも１つの制御装置が、少なくとも１つの搬送業界セグメントで活動する、少なくとも１つのサービスプロバイダであるシステムを含む。
【０１６５】
本発明の付加的な実施形態は、前記少なくとも１つの後続のまたは追加の好ましい搬送サービス要求が確保または取得され、少なくとも１つの搬送サービスを実行する少なくとも１つの指令が更新または変更されるシステムを含む。
【０１６６】
本発明の付加的な実施形態は、前記少なくとも１つの中央サーバ、前記少なくとも１つのアプリケーション、少なくとも１つのオーナアプリケーションまたはコントローラアプリケーション、またはそれらの組合せが、前記少なくとも１つの好ましい搬送サービス要求以外の少なくとも１つの異なる搬送サービス要求を提案または推奨するシステムを含む。
【０１６７】
本発明の別の実施形態は、前記少なくとも１つのアプリケーション、少なくとも１つのオーナアプリケーションまたはコントローラアプリケーション、またはそれらの組み合わせが、前記少なくとも１つの好ましい搬送サービス要求を確保または取得するシステムを含む。
【０１６８】
本発明の更なる実施形態は、前記少なくとも１つのアプリケーション、少なくとも１つのオーナアプリケーションまたはコントローラアプリケーション、前記少なくとも１つの自律車両、前記少なくとも１つの端末、前記少なくとも１つの中央サーバ、前記少なくとも１つの外部サーバ、少なくとも１つのリンク、またはそれらの組合せが結合または統合されたシステムを含む。
【０１６９】
ＩＶ．方法＃２：自律車両自動化プラットフォーム
本発明の第四の態様は、搬送業界内で、少なくとも１つの選択された選好および少なくとも１つの自律車両の少なくとも１つのリアルタイムまたはほぼリアルタイムの地理的位置に関連する少なくとも１つの好ましい搬送サービス要求を確保または取得する少なくとも１つのプロセスにおいて、少なくとも１つの自律車両を支援するための、全体または部分的に自動化されたリアルタイムまたはほぼリアルタイムの方法であって、
ａ）上記セクションＩＩＩに記載のシステムのいずれかを提供するステップと、
ｂ）前記少なくとも１つの中央サーバにおいて、前記複数の搬送サービス要求の全部または一部を、前記少なくとも１つの中央サーバと前記少なくとも１つの外部サーバとの間の少なくとも１つのリンクを介して前記少なくとも１つの外部サーバからリアルタイムまたはほぼリアルタイムで受信するステップと、
ｃ）前記少なくとも１つの中央サーバの前記少なくとも１つのコンピュータ可読メモリに、前記複数の搬送サービス要求の全部または一部を、リアルタイムまたはほぼリアルタイムで格納するステップと、
ｄ）前記少なくとも１つの中央サーバを使用して、前記複数の搬送サービス要求の全部または一部を、リアルタイムまたはほぼリアルタイムで標準化するステップと、
ｅ）前記少なくとも１つの中央サーバを使用して、前記複数の搬送サービス要求の全部または一部を、リアルタイムまたはほぼリアルタイムで集約するステップと、
ｆ）前記少なくとも１つの自律車両の前記少なくとも１つのリアルタイムまたはほぼリアルタイムの地理的位置を、前記少なくとも１つのアプリケーションと前記少なくとも１つの中央サーバとの間の少なくとも１つのリンクを介して、前記少なくとも１つのアプリケーションから前記少なくとも１つの中央サーバにリアルタイムまたはほぼリアルタイムで送信するステップであって、
ｉ）前記少なくとも１つのアプリケーションは、前記少なくとも１つの端末の前記少なくとも１つの地理的位置モジュールを使用して、前記少なくとも１つの自律車両の前記少なくとも１つのリアルタイムまたはほぼリアルタイムの地理的位置を提供するステップと、
ｇ）前記少なくとも１つの中央サーバにおいて、前記少なくとも１つの自律車両の前記少なくとも１つのリアルタイムまたはほぼリアルタイムの地理的位置を、前記少なくとも１つの中央サーバと前記少なくとも１つのアプリケーションとの間の少なくとも１つのリンクを介して、前記少なくとも１つのアプリケーションからリアルタイムまたはほぼリアルタイムで受信するステップと、
ｈ）前記少なくとも１つの選択された選好および前記少なくとも１つの自律車両の前記少なくとも１つのリアルタイムまたはほぼリアルタイムの地理的位置を使用して、前記少なくとも１つの中央サーバにおいて、前記複数の搬送サービス要求の全部または一部を、リアルタイムまたはほぼリアルタイムでフィルタリングすることによって、前記複数のフィルタリングされた搬送サービス要求の全部または一部を識別するステップであって、
ｉ）前記少なくとも１つの選択された選好は、前記少なくとも１つの自律車両の前記少なくとも１つのオーナまたは前記少なくとも１つのコントローラによって入力または提供され、前記少なくとも１つの中央サーバの前記少なくとも１つのコンピュータ可読メモリに格納またはキャッシュされる
ステップと、
ｉ）前記少なくとも１つの中央サーバにおいて、前記少なくとも１つの選択された選好に関連する、前記少なくとも１つの好ましい搬送サービス要求を、前記複数のフィルタリングされた搬送サービス要求の全部または一部から、リアルタイムまたはほぼリアルタイムで識別するステップと、
ｊ）前記少なくとも１つの中央サーバにおいて、前記少なくとも１つの好ましい搬送サービス要求を、リアルタイムまたはほぼリアルタイムで確保または取得するステップと、
ｋ）前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの確保または取得された好ましい搬送サービス要求をリアルタイムまたはほぼリアルタイムで送信するステップと、
ｌ）前記少なくとも１つのアプリケーションにおいて、前記少なくとも１つのアプリケーションと前記少なくとも１つの中央サーバとの間の前記少なくとも１つのリンクを介して、前記中央サーバから前記少なくとも１つの確保または取得された好ましい搬送サービス要求をリアルタイムまたはほぼリアルタイムで受信するステップと、を含み、
ｍ）前記少なくとも１つの自律車両は、前記少なくとも１つの確保または取得された好ましい搬送サービス要求に関連する前記少なくとも１つの搬送サービスを実行し、前記少なくとも１つの自律車両の前記少なくとも１つのリアルタイムまたはほぼリアルタイムの地理的位置が更新または変更され、その間、前記少なくとも１つの中央サーバは、前記少なくとも１つの自律車両の前記少なくとも１つのオーナまたは前記少なくとも１つのコントローラによって停止されるまで、前記複数の搬送サービス要求の全部または一部を、リアルタイムまたはほぼリアルタイムで繰り返し分析または評価し、次いで、前記少なくとも１つの後続のまたは追加の好ましい搬送サービス要求を確保または取得する、
方法を含む。
【０１７０】
Ａ．複数の搬送サービス要求の標準化
本発明の一実施形態は、少なくとも１つの異なるフォーマットで構造化された前記複数の搬送サービス要求の全部または一部が、少なくとも１つの一様なフォーマットに標準化または変換される方法を含む。
【０１７１】
本発明の別の実施形態は、前記複数の搬送サービス要求の全部または一部が、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが、標準化されない方法を含む。
【０１７２】
本発明の更なる実施形態は、前記複数の搬送サービス要求の全部または一部をフィルタリングする前の前記ステップＣ〜Ｇは任意の順序とすることができる方法を含む。
【０１７３】
Ｂ．少なくとも１つの地理的位置の少なくとも１つの中央サーバへの送信
本発明の一実施形態は、前記少なくとも１つの選択された選好が、前記少なくとも１つの自律車両の前記少なくとも１つのオーナまたは前記少なくとも１つのコントローラによって、前記少なくとも１つのアプリケーションまたは少なくとも１つのオーナアプリケーションまたはコントローラアプリケーションに提供または入力され、前記少なくとも１つのアプリケーション、前記少なくとも１つのオーナアプリケーションまたはコントローラアプリケーション、前記少なくとも１つの中央サーバの前記少なくとも１つのコンピュータ可読メモリ、またはそれらの組合せに格納またはキャッシュされる方法を含む。
【０１７４】
本発明の別の実施形態は、前記少なくとも１つの選択された選好が、前記少なくとも１つのアプリケーションと前記少なくとも１つの中央サーバとの間の少なくとも１つのリンクを介して、前記少なくとも１つのアプリケーションから前記少なくとも１つの中央サーバに送信される方法を含む。
【０１７５】
本発明の更なる実施形態は、前記少なくとも１つの選択された選好が、前記少なくとも１つのオーナアプリケーションまたはコントローラアプリケーションと前記少なくとも１つの中央サーバとの間の少なくとも１つのリンクを介して、前記少なくとも１つのオーナアプリケーションまたはコントローラアプリケーションから前記少なくとも１つの中央サーバに送信される方法を含む。
【０１７６】
本発明の付加的な実施形態は、前記少なくとも１つの選択された選好、前記少なくとも１つの自律車両の前記少なくとも１つのリアルタイムまたはほぼリアルタイムの地理的位置、またはそれらの組合せが、前記複数の搬送サービス要求の全部または一部をフィルタリングする前の任意の時点で、前記少なくとも１つの中央サーバに送信される方法を含む。
【０１７７】
Ｃ．複数の搬送サービス要求のフィルタリング
本発明の一実施形態は、前記複数の搬送サービス要求の全部または一部が、前記少なくとも１つの選択された選好および前記少なくとも１つの自律車両の前記少なくとも１つのリアルタイムまたはほぼリアルタイムの地理的位置に関してフィルタリングされ、前記複数のフィルタリングされた搬送サービス要求の全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される方法を含む。
【０１７８】
本発明の別の実施形態は、前記少なくとも１つのアプリケーション上で、
ａ）前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
ｂ）前記少なくとも１つの選択された選好および前記少なくとも１つの自律車両の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
ｃ）前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、
前記複数の搬送サービス要求の全部または一部がリアルタイムまたはほぼリアルタイムでフィルタリングされ、前記少なくとも１つの好ましい搬送サービス要求が、前記複数のフィルタリングされた搬送サービス要求の全部または一部からリアルタイムまたはほぼリアルタイムで識別される方法を含む。
【０１７９】
本発明の更なる実施形態は、前記少なくとも１つのアプリケーション上で、
ａ）前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記複数の搬送サービス要求の全部または一部をリアルタイムまたはほぼリアルタイムで送信し、
ｂ）前記少なくとも１つの選択された選好および前記少なくとも１つの自律車両の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
ｃ）前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、
前記複数の搬送サービス要求の全部または一部がリアルタイムまたはほぼリアルタイムでフィルタリングされ、前記少なくとも１つの好ましい搬送サービス要求が、前記複数のフィルタリングされた搬送サービス要求の全部または一部からリアルタイムまたはほぼリアルタイムで識別される方法を含む。
【０１８０】
本発明の付加的な実施形態は、前記複数の搬送サービス要求の全部または一部をフィルタリングする際に、前記少なくとも１つの自律車両の前記少なくとも１つのリアルタイムまたはほぼリアルタイムの地理的位置以外の少なくとも１つの異なる地理的位置が使用される方法を含む。
【０１８１】
Ｄ．少なくとも１つの好ましい搬送サービス要求の識別
本発明の一実施形態は、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つの比較、またはそれらの組合せを使用することによって、前記少なくとも１つの選択された選好に関連する前記少なくとも１つの好ましい搬送サービス要求が、前記複数のフィルタリングされた搬送サービス要求の全部または一部から識別される方法を含む。
【０１８２】
本発明の別の実施形態は、前記少なくとも１つの好ましい搬送サービス要求が、前記少なくとも１つの選択された選好の少なくとも１つの加重平均に関連して、前記複数のフィルタリングされた搬送サービス要求の全部または一部から識別される方法を含む。
【０１８３】
本発明の更なる実施形態は、前記少なくとも１つのアプリケーション上で、
ａ）前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス要求の全部または一部をリアルタイムまたはほぼリアルタイムで送信し、
ｂ）前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、
前記少なくとも１つの好ましい搬送サービス要求が、前記複数のフィルタリングされた搬送サービス要求の全部または一部からリアルタイムまたはほぼリアルタイムで識別される方法を含む。
【０１８４】
本発明の付加的な実施形態は、前記少なくとも１つのオーナアプリケーションまたはコントローラアプリケーション上で、
ａ）前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記複数のフィルタリングされた搬送サービス要求の全部または一部をリアルタイムまたはほぼリアルタイムで送信し、
ｂ）前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、
前記少なくとも１つの好ましい搬送サービス要求が、前記複数のフィルタリングされた搬送サービス要求の全部または一部からリアルタイムまたはほぼリアルタイムで識別される方法を含む。
【０１８５】
Ｅ．少なくとも１つの好ましい搬送サービス要求の確保または取得
本発明の一実施形態は、前記少なくとも１つのアプリケーションまたは少なくとも１つのオーナアプリケーションまたはコントローラアプリケーションが、前記少なくとも１つの好ましい搬送サービス要求を確保または取得する方法を含む。
【０１８６】
本発明の別の実施形態は、前記少なくとも１つの自律車両の前記少なくとも１つのオーナまたは前記少なくとも１つのコントローラが、少なくとも１つのオーナアプリケーションまたはコントローラアプリケーション、前記少なくとも１つのアプリケーション、またはそれらの組み合わせを使用して、前記少なくとも１つの好ましい搬送サービス要求を分析または評価し、次いで確保または取得する方法を含む。
【０１８７】
本発明の更なる実施形態は、対応する搬送データが関連付けられた前記少なくとも１つの好ましい搬送サービス要求が、前記少なくとも１つのオーナアプリケーションまたはコントローラアプリケーションまたは前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージサービス、少なくとも１つの拡張メッセージサービス、またはそれらの組み合わせで表示される方法を含む。
【０１８８】
本発明の付加的な実施形態は、前記少なくとも１つの自律車両の前記少なくとも１つのオーナまたは前記少なくとも１つのコントローラが、前記少なくとも１つの好ましい搬送サービス要求を、受諾するか、または拒否する方法を含む。
【０１８９】
本発明の別の実施形態は、前記少なくとも１つの自律車両の前記少なくとも１つのオーナまたは前記少なくとも１つのコントローラが前記少なくとも１つの好ましい搬送サービス要求を拒否すると、少なくとも１つの新しいまたは異なる好ましい搬送サービス要求が識別され、表示される方法を含む。
【０１９０】
本発明の更なる実施形態は、２つ以上の前記好ましい搬送サービス要求が、前記少なくとも１つの自律車両のために、同時に確保または取得される方法を含む。
【０１９１】
Ｆ．付加的実施形態
本発明の一実施形態は、前記少なくとも１つの中央サーバの少なくとも１つの機能が、前記少なくとも１つのアプリケーション、少なくとも１つのオーナアプリケーションまたはコントローラアプリケーション、またはそれらの組合せによって実行される方法を含む。
【０１９２】
本発明の別の実施形態は、前記少なくとも１つのアプリケーション、少なくとも１つのオーナアプリケーションまたはコントローラアプリケーション、またはそれらの組合せが、前記少なくとも１つの中央サーバ上で動作する方法を含む。
【０１９３】
本発明の更なる実施形態は、前記少なくとも１つのアプリケーション、少なくとも１つのオーナアプリケーションまたはコントローラアプリケーション、またはそれらの組合せの少なくとも１つの機能が、前記少なくとも１つの中央サーバによって実行される方法を含む。
【０１９４】
本発明の付加的な実施形態は、対応する搬送データが関連付けられた前記複数の搬送サービス要求の全部または一部が、少なくとも１つの搬送業界セグメントで活動する少なくとも１つのサービスプロバイダによって供給または提供される方法を含む。
【０１９５】
本発明の一実施形態は、前記少なくとも１つの後続のまたは追加の好ましい搬送サービス要求が、前記少なくとも１つの自律車両のために、少なくとも１つの異なる搬送業界セグメントにおいて確保または取得される、方法を含む。
【０１９６】
本発明の別の実施形態は、前記少なくとも１つの自律車両の前記少なくとも１つのリアルタイムまたはほぼリアルタイムの地理的位置が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、またはそれらの組合せが、リアルタイムまたはほぼリアルタイムで識別または更新される方法を含む。
【０１９７】
本発明の付加的な実施形態は、前記複数の搬送サービス要求が、１つの搬送サービス要求である方法を含む。
【０１９８】
本発明の一実施形態は、前記複数のフィルタリングされた搬送サービス要求が、１つのフィルタリングされた搬送サービス要求である方法を含む。
【０１９９】
本発明の別の実施形態は、前記少なくとも１つの自律車両の前記少なくとも１つのオーナまたは前記少なくとも１つのコントローラが、前記少なくとも１つの好ましい搬送サービス要求以外の少なくとも１つの前記フィルタリングされた搬送サービス要求を確保または取得する方法を含む。
【０２００】
本発明の更なる実施形態は、前記少なくとも１つの自律車両の前記少なくとも１つのオーナまたは前記少なくとも１つの制御装置が、少なくとも１つの搬送業界セグメントで活動する少なくとも１つのサービスプロバイダである方法を含む。
【０２０１】
本発明の付加的な実施形態は、前記少なくとも１つの後続のまたは追加の好ましい搬送サービス要求が確保または取得され、少なくとも１つの搬送サービスを実行する少なくとも１つの指令が更新または変更される方法を含む。
【０２０２】
本発明の一実施形態は、前記少なくとも１つの中央サーバ、前記少なくとも１つのアプリケーション、少なくとも１つのオーナアプリケーションまたはコントローラアプリケーション、またはそれらの組合せが、前記少なくとも１つの好ましい搬送サービス要求以外の少なくとも１つの異なる搬送サービス要求を提案または推奨する方法を含む。
【０２０３】
本発明の更なる実施形態は、前記少なくとも１つの中央サーバが、前記少なくとも１つの自律車両に関連付けられた前記少なくとも１つの端末上に位置する方法を含む。
【０２０４】
本発明の更なる実施形態は、前記少なくとも１つのアプリケーション、少なくとも１つのオーナアプリケーションまたはコントローラアプリケーション、前記少なくとも１つの自律車両、前記少なくとも１つの端末、前記少なくとも１つの中央サーバ、前記少なくとも１つの外部サーバ、少なくとも１つのリンク、またはそれらの組合せが結合または統合された方法を含む。
【０２０５】
Ｖ．システム＃３：自律車両自動化プラットフォーム
本発明の第一の態様は、搬送業界内で、少なくとも１つの自律車両の少なくとも１つの選択された選好および少なくとも１つのリアルタイムまたはほぼリアルタイムの地理的位置に関連する少なくとも１つの好ましい搬送サービス要求を確保または取得する少なくとも１つのプロセスにおいて少なくとも１つの自律車両を支援するための、全体または部分的に自動化されたリアルタイムまたはほぼリアルタイムのシステムであって、
ａ）少なくとも１つの外部サーバであって、
ｉ）少なくとも１つのコンピュータプロセッサ、
ｉｉ）少なくとも１つのコンピュータ可読メモリ、
ｉｉｉ）少なくとも１つのネットワークインターフェース、
ｉｖ）複数の搬送サービス要求の少なくとも１つのリアルタイムまたはほぼリアルタイムのソース、
ｖ）前記少なくとも１つの自律車両に関連する搬送データの少なくとも１つのリアルタイムまたはほぼリアルタイムのソース、
ｖｉ）またはそれらの組み合わせ
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの地理的位置モジュールと、
（ｉｖ）少なくとも１つのネットワークインターフェースと
を備える少なくとも１つの電子計算装置
を備える少なくとも１つの端末と、
ｄ）少なくとも１つのアプリケーションであって、
ｉ）前記少なくとも１つの好ましい搬送サービス要求を前記少なくとも１つの自律車両に伝えるように動作可能な少なくとも１つのコンピュータプログラムを含み、
ｉｉ）前記少なくとも１つのコンピュータプログラムは、前記少なくとも１つの自律車両に関連する搬送データの全部または一部を伝えるように動作可能である、
少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス要求であって、
少なくとも１つの個々の搬送サービス要求であって、
（ｉ）少なくとも１つの地理的位置から少なくとも１つの他の地理的位置へ、少なくとも１人の人、少なくとも１つの商品、少なくとも１つの物、またはそれらの組み合わせを輸送するための少なくとも１つの要求と、
（ｉｉ）リアルタイムまたはほぼリアルタイムで更新される前記個々の搬送サービス要求と、
（ｉｉｉ）前記個々の搬送サービス要求に対応する定性的及び定量的搬送データと、
を含む少なくとも１つの個々の搬送サービス要求
を含む複数の搬送サービス要求と、
ｇ）複数のフィルタリングされた搬送サービス要求であって、
ｉ）前記少なくとも１つの選択された選好および前記少なくとも１つの自律車両の前記少なくとも１つのリアルタイムまたはほぼリアルタイムの地理的位置を使用して前記複数の搬送サービス要求の全部または一部をフィルタリングした少なくとも１つの結果である、前記複数の搬送サービス要求の全部または一部の少なくとも１つのサブセットと、
ｉｉ）リアルタイムまたはほぼリアルタイムで更新される前記複数のフィルタリングされた搬送サービス要求の全部または一部と、
ｉｉｉ）個々のフィルタリングされた搬送サービス要求に対応する定性的および定量的搬送データと、
を含む複数のフィルタリングされた搬送サービス要求と、
ｈ）少なくとも１つの好ましい搬送サービス要求であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス要求の全部または一部から識別される少なくとも１つの他の地理的位置に輸送するための少なくとも１つの要求と、
ｉｉ）リアルタイムまたはほぼリアルタイムで更新される前記少なくとも１つの好ましい搬送サービス要求と、
ｉｉｉ）個々の好ましい搬送サービス要求に対応する定性的および定量的搬送データと、
を含む少なくとも１つの好ましい搬送サービス要求と、
ｉ）少なくとも１つの自律車両であって、
ｉ）少なくとも１つの運搬サービスを実行または提供する少なくとも１つの自己操縦機械または少なくとも１つの自己駆動機械と、
ｉｉ）リアルタイムまたはほぼリアルタイムで更新される前記少なくとも１つの自律車両の前記少なくとも１つのリアルタイムまたはほぼリアルタイムの地理的位置と、
ｉｉｉ）前記少なくとも１つの自律車両に対応する定性的および定量的搬送データと、
を含む少なくとも１つの自律車両と、
ｊ）少なくとも１つの選択された選好であって、
ｉ）前記少なくとも１つの自律車両の少なくとも１つのオーナまたは少なくとも１つのコントローラによって選択または提供される少なくとも１つのオプションであって、
（１）前記複数の搬送サービス要求の全部または一部の、前記複数のフィルタリングされた搬送サービス要求の全部または一部へのフィルタリング、
（２）前記少なくとも１つの自律車両に関連する搬送データの全部または一部の、前記少なくとも１つの自律車両に関連するフィルタリングされた搬送データの全部または一部へのフィルタリング、
（３）またはこれらの組み合わせ
に使用される少なくとも１つのオプションを含み、
ｉｉ）前記少なくとも１つの選択された選好は、前記少なくとも１つの好ましい搬送サービス要求、前記少なくとも１つの自律車両に関連する好ましい搬送データの全部または一部、好ましいと識別された前記少なくとも１つの自律車両、またはそれらの組合せを識別するために使用される、
少なくとも１つの選択された選好と、
を含み、
前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、前記少なくとも１つの好ましい搬送サービス要求、前記少なくとも１つの自律車両に関連する好ましい搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは、前記少なくとも１つの端末上で動作し、前記少なくとも１つの自律車両によって利用され、
さらに、前記少なくとも１つの端末は、前記少なくとも１つの自律車両に関連付けられており、
さらに、前記少なくとも１つの中央サーバは、前記複数のフィルタリングされた搬送サービス要求の全部または一部、前記少なくとも１つの自律車両に関連するフィルタリングされた搬送データの全部または一部、前記少なくとも１つの自律車両の前記少なくとも１つのリアルタイムまたはほぼリアルタイムの地理的位置の全部または一部、またはそれらの組合せを分析または評価し、次いで、前記少なくとも１つの選択された選好に関連する、前記少なくとも１つの好ましい搬送サービス要求または好ましいと識別された前記少なくとも１つの自律車両をリアルタイムまたはほぼリアルタイムで確保または取得し、
さらに、前記少なくとも１つの外部サーバは、前記少なくとも１つの外部サーバと前記少なくとも１つの中央サーバとの間の少なくとも１つのリンクを介して前記少なくとも１つの外部サーバから前記少なくとも１つの中央サーバにリアルタイムまたはほぼリアルタイムで送信される、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せの、少なくとも１つのリアルタイムまたはほぼリアルタイムのソースであり、
さらに、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、リアルタイムまたはほぼリアルタイムで更新され、
さらに、前記少なくとも１つの中央サーバは、リアルタイムまたはほぼリアルタイムで、前記複数の搬送サービス要求の全部または一部、または前記少なくとも１つの自律車両に関連する搬送データの全部または一部の標準化、集約、またはそれらの組合せを行い、
さらに、前記少なくとも１つの中央サーバは、リアルタイムまたはほぼリアルタイムで、前記少なくとも１つの選択された選好及び前記少なくとも１つの自律車両の前記少なくとも１つのリアルタイムまたはほぼリアルタイムの地理的位置の全部または一部を使用して、前記複数の搬送サービス要求の全部または一部、または前記少なくとも１つの自律車両に関連する搬送データの全部または一部をフィルタリングし、前記複数のフィルタリングされた搬送サービス要求の全部または一部、または前記少なくとも１つの自律車両に関連するフィルタリングされた搬送データの全部または一部を識別し、
さらに、前記複数のフィルタリングされた搬送サービス要求の全部または一部、前記少なくとも１つの自律車両に関連するフィルタリングされた搬送データの全部または一部、前記少なくとも１つの自律車両の前記少なくとも１つのリアルタイムまたはほぼリアルタイムの地理的位置の全部または一部、またはそれらの組合せが、リアルタイムまたはほぼリアルタイムで更新され、
さらに、前記少なくとも１つの端末は、前記少なくとも１つの自律車両とインターフェースをとり、前記少なくとも１つのアプリケーションの操作を容易にするか、または提供し、
さらに、前記少なくとも１つの中央サーバは、前記複数のフィルタリングされた搬送サービス要求の全部または一部、または前記少なくとも１つの自律車に関連するフィルタリングされた搬送データの全部または一部をリアルタイムまたはほぼリアルタイムで分析または評価し、前記少なくとも１つの好ましい搬送サービス要求、前記少なくとも１つの自律車両に関連する好ましい搬送データの全部または一部、好ましいと識別された前記少なくとも１つの自律車両、またはそれらの組み合わせを識別し、
さらに、前記少なくとも１つの好ましい搬送サービス要求、前記少なくとも１つの自律車両に関連する好ましい搬送データの全部または一部、前記少なくとも１つの自律車両の前記少なくとも１つのリアルタイムまたはほぼリアルタイムの地理的位置の全部または一部、またはそれらの組合せが、リアルタイムまたはほぼリアルタイムで更新され、
さらに、前記少なくとも１つの中央サーバは、前記少なくとも１つの選択された選好に関連する、前記少なくとも１つの好ましい搬送サービス要求、好ましいと識別された前記少なくとも１つの自律車両、またはそれらの組合せを、リアルタイムまたはほぼリアルタイムで確保または取得し、
さらに、前記少なくとも１つの中央サーバと前記少なくとも１つのアプリケーションとの間の少なくとも１つのリンクを介して、少なくとも１つの確保または取得された好ましい搬送サービス要求が、前記少なくとも１つの中央サーバから前記少なくとも１つのアプリケーションにリアルタイムまたはほぼリアルタイムで送信されて、リアルタイムまたはほぼリアルタイムで更新され、
さらに、好ましいと識別された前記少なくとも１つの自律車両が前記少なくとも１つの確保または取得された好ましい搬送サービス要求に関連する前記少なくとも１つの搬送サービスを実行または提供し、前記少なくとも１つの自律車両の前記少なくとも１つのリアルタイムまたはほぼリアルタイムの地理的位置の全部または一部が更新または変更され、その間、前記少なくとも１つの中央サーバは、前記少なくとも１つの自律車両の前記少なくとも１つのオーナまたは前記少なくとも１つのコントローラによって停止されるまで、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せをリアルタイムまたはほぼリアルタイムで繰り返し分析または評価し、次いで、好ましいと識別される前記少なくとも１つの自律車両のために、またはそれを基準に、少なくとも１つの後続のまたは追加の好ましい搬送サービス要求を確保または取得する、
システムを含む。
【０２０６】
本発明の一実施形態は、前記少なくとも１つの中央サーバまたは前記少なくとも１つの外部サーバの少なくとも１つの機能が、前記少なくとも１つのアプリケーション、少なくとも１つのオーナアプリケーションまたはコントローラアプリケーション、またはそれらの組合せによって実行されるシステムを含む。
【０２０７】
本発明の別の実施形態は、前記少なくとも１つの中央サーバが、前記少なくとも１つの自律車両に関連付けられた前記少なくとも１つの端末上に位置するシステムを含む。
【０２０８】
本発明の更なる実施形態は、対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、少なくとも１つの異なるフォーマットで構造化され、少なくとも１つの一様なフォーマットに標準化または変換されるシステムを含む。
【０２０９】
本発明の付加的な実施形態は、対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが標準化されないシステムを含む。
【０２１０】
本発明の一実施形態は、前記少なくとも１つのアプリケーション、少なくとも１つのオーナアプリケーションまたはコントローラアプリケーション、またはそれらの組合せが、前記少なくとも１つの中央サーバ上で動作するシステムを含む。
【０２１１】
本発明の別の実施形態は、対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバによって供給または提供されるシステムを含む。
【０２１２】
本発明の更なる実施形態は、前記少なくとも１つの外部サーバが、少なくとも１つの搬送業界セグメントで活動する、少なくとも１つのサービスプロバイダ、少なくとも１つの商品サプライヤ、少なくとも１つのフリートマネージャ、前記少なくとも１つのオーナまたは前記少なくとも１つの自律車両の前記少なくとも１つのコントローラ、少なくとも１つのロジスティクスプロバイダ、少なくとも１つのロジスティクスサプライヤ、またはそれらの組合せによって操作、制御、または管理されるシステムを含む。
【０２１３】
本発明の付加的な実施形態は、前記少なくとも１つのアプリケーション、少なくとも１つのオーナアプリケーションまたはコントローラアプリケーション、またはそれらの組合せの少なくとも１つの機能が、前記少なくとも１つの中央サーバまたは前記少なくとも１つの外部サーバによって実行されるシステムを含む。
【０２１４】
本発明の一実施形態は、前記複数の搬送サービス要求の全部または一部が、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せを含むシステムを含む。
【０２１５】
本発明の別の実施形態は、前記複数の搬送サービス要求が、１つの搬送サービス要求であるシステムを含む。
【０２１６】
本発明の更なる実施形態は、搬送データが、少なくとも１つのサービス開始地理的位置、少なくとも１つのサービス終了地理的位置、価格設定情報、高価格設定情報、少なくとも１つの選択された選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含むシステムを含む。
【０２１７】
本発明の付加的な実施形態は、前記複数の搬送サービス要求の全部または一部または前記少なくとも１つの自律車両に関連する搬送データの全部または一部が、前記少なくとも１つの選択された選好および前記少なくとも１つの自律車両の前記少なくとも１つのリアルタイムまたはほぼリアルタイムの地理的位置の全部または一部に関してフィルタリングされ、前記複数のフィルタリングされた搬送サービス要求の全部または一部、または前記少なくとも１つの自律車両に関連するフィルタリングされた搬送データの全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別されるシステムを含む。
【０２１８】
本発明の付加的な実施形態は、前記複数の搬送サービス要求の全部または一部、前記少なくとも１つの自律車両に関連する搬送データの全部または一部、またはそれらの組合せをフィルタリングする際に、前記少なくとも１つの自律車両の前記少なくとも１つのリアルタイムまたはほぼリアルタイムの地理的位置以外の少なくとも１つの異なる地理的位置が使用されるシステムを含む。
【０２１９】
本発明の一実施形態は、前記少なくとも１つの選択された選好の少なくとも１つの加重平均が、
前記少なくとも１つの自律車両に関連するフィルタリングされた搬送データの全部または一部からの、前記少なくとも１つの自律車両または好ましいと識別された前記少なくとも１つの自律車両に関連する好ましい搬送データの全部または一部の識別、
前記複数のフィルタリングされた搬送サービス要求の全部または一部からの、前記少なくとも１つの好ましい搬送サービス要求の識別、
またはそれらの組合せの識別
に使用されるシステムを含む。
【０２２０】
本発明の別の実施形態は、前記複数の搬送サービス要求の全部または一部または前記少なくとも１つの自律車両に関連する搬送データの全部または一部が、前記少なくとも１つの選択された選好に関してフィルタリングされ、前記複数のフィルタリングされた搬送サービス要求の全部または一部、または前記少なくとも１つの自律車両に関連するフィルタリングされた搬送データの全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別されるシステムを含む。
【０２２１】
本発明の更なる実施形態は、前記少なくとも１つの選択された選好の少なくとも１つの加重平均が、
前記少なくとも１つの自律車両に関連するフィルタリングされた搬送データの全部または一部からの、前記少なくとも１つの自律車両または好ましいと識別された前記少なくとも１つの自律車両に関連する好ましい搬送データの全部または一部の識別、
前記複数のフィルタリングされた搬送サービス要求の全部または一部からの、前記少なくとも１つの好ましい搬送サービス要求の識別、
またはそれらの組合せの識別
に使用されるシステムを含む。
【０２２２】
本発明の付加的な実施形態は、前記複数のフィルタリングされた搬送サービス要求が、１つのフィルタリングされた搬送サービス要求であるシステムを含む。
【０２２３】
本発明の一実施形態は、前記少なくとも１つの自律車両が、少なくとも１つの自家用車、少なくとも１つの自動車、少なくとも１つのバン、少なくとも１つの配達バン、少なくとも１つの配達車両、少なくとも１つのラストマイル配達車両、少なくとも１つのロッカーを有する少なくとも１つの車両、少なくとも１つの貯蔵ユニットを有する少なくとも１つの車両、少なくとも１つのコンパートメントを有する少なくとも１つの車両、少なくとも１つのＲＶ、少なくとも１つのトラック、少なくとも１つの配達トラック、少なくとも１つのセミトレーラトラック、少なくとも１つのシャトル、少なくとも１つのヘリコプター、少なくとも１つのボート、少なくとも１つの船舶、少なくとも１つの航空機、少なくとも１つの宇宙船、少なくとも１つのバス、少なくとも１つの列車、少なくとも１つのワゴン、少なくとも１つの人力車、少なくとも１つのスクータ、少なくとも１つのバイク、少なくとも１つのモペッド、少なくとも１つのトライク、少なくとも１つの全地形車両、少なくとも１つの１８ホイーラー、少なくとも１つの輸送機械、少なくとも１つの無人機、少なくとも１つの医療用車両、またはそれらの組み合わせを含むシステムを含む。
【０２２４】
本発明の別の実施形態は、前記少なくとも１つの選択された選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決要求選好、またはそれらの組み合わせを含むシステムを含む。
【０２２５】
本発明の更なる実施形態は、前記少なくとも１つの後続のまたは追加の好ましい搬送サービス要求が、好ましいと識別された前記少なくとも１つの自律車両のために、またはそれを基準に、少なくとも１つの異なる搬送業界セグメントにおいて確保または取得されるシステムを含む。
【０２２６】
本発明の付加的な実施形態は、２つ以上の前記好ましい搬送サービス要求が、好ましいと識別された前記少なくとも１つの自律車両のために、またはそれを基準に、同時に確保または取得されるシステムを含む。
【０２２７】
本発明の一実施形態は、前記少なくとも１つの自律車両の前記少なくとも１つのオーナまたは前記少なくとも１つの制御装置が、少なくとも１つの搬送業界セグメントで活動する、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せであるシステムを含む。
【０２２８】
本発明の別の実施形態は、前記少なくとも１つの中央サーバ、前記少なくとも１つのアプリケーション、少なくとも１つのオーナアプリケーションまたはコントローラアプリケーション、またはそれらの組合せが、
前記少なくとも１つの好ましい搬送サービス要求以外の少なくとも１つの異なる搬送サービス要求、または
好ましいと識別された前記少なくとも１つの自律車両以外の少なくとも１つの異なる自律車両
を提案または推奨するシステムを含む。
【０２２９】
本発明の更なる実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのアプリケーションと前記少なくとも１つの中央サーバとの間の少なくとも１つのリンクを介して前記少なくとも１つのアプリケーションと前記少なくとも１つの中央サーバとの間でリアルタイムまたはほぼリアルタイムで送信され、リアルタイムで更新されるシステムを含む。
【０２３０】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのアプリケーションと前記少なくとも１つの外部サーバとの間の少なくとも１つのリンクを介して、前記少なくとも１つのアプリケーションと前記少なくとも１つの外部サーバとの間でリアルタイムまたはほぼリアルタイムで送信され、リアルタイムまたはほぼリアルタイムで更新されるシステムを含む。
【０２３１】
本発明の一実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つの中央サーバと前記少なくとも１つの外部サーバとの間の少なくとも１つのリンクを介して前記少なくとも１つの中央サーバと前記少なくとも１つの外部サーバとの間でリアルタイムまたはほぼリアルタイムで送信され、リアルタイムまたはほぼリアルタイムで更新されるシステムを含む。
【０２３２】
本発明の別の実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つの中央サーバとの間の少なくとも１つのリンクを介して、前記少なくとも１つのオーナアプリケーションまたはコントローラアプリケーションと前記少なくとも１つの中央サーバとの間でリアルタイムまたはほぼリアルタイムで送信され、リアルタイムまたはほぼリアルタイムで更新されるシステムを含む。
【０２３３】
本発明の更なる実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つの外部サーバとの間の少なくとも１つのリンクを介して前記少なくとも１つのオーナアプリケーションまたはコントローラアプリケーションと前記少なくとも１つの外部サーバとの間でリアルタイムまたはほぼリアルタイムで送信され、リアルタイムまたはほぼリアルタイムで更新されるシステムを含む。
【０２３４】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つのアプリケーションとの間の少なくとも１つのリンクを介して、前記少なくとも１つのオーナアプリケーションまたはコントローラアプリケーションと前記少なくとも１つのアプリケーションとの間でリアルタイムまたはほぼリアルタイムで送信され、リアルタイムまたはほぼリアルタイムで更新されるシステムを含む。
【０２３５】
本発明の一実施形態は、前記少なくとも１つの自律車両に関連する搬送データの全部または一部、前記少なくとも１つの自律車両に関連するフィルタリングされた搬送データの全部または一部、前記少なくとも１つの自律車両に関連する好ましい搬送データの全部または一部、前記複数の搬送サービス要求の全部または一部、前記複数のフィルタリングされた搬送サービス要求の全部または一部、前記少なくとも１つの好ましい搬送サービス要求、またはそれらの組合せが、好ましいと識別される前記少なくとも１つの自律車両または前記少なくとも１つの好ましい搬送サービス要求を確保または取得する前に、任意の順序でフィルタリングされ好ましいと識別されるシステムを含む。
【０２３６】
本発明の一実施形態は、前記少なくとも１つの自律車両の前記少なくとも１つのリアルタイムまたはほぼリアルタイムの地理的位置の全部または一部が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、リアルタイムまたはほぼリアルタイムで識別または更新されるシステムを含む。
【０２３７】
本発明の別の実施形態は、前記少なくとも１つの自律車両の前記少なくとも１つのオーナまたは前記少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに関連する前記少なくとも１つの選択された選好が、少なくとも１つのオーナアプリケーションまたはコントローラアプリケーションに提供または入力され、前記少なくとも１つのオーナアプリケーションまたはコントローラアプリケーションと前記少なくとも１つの中央サーバとの間の少なくとも１つのリンクを介して前記少なくとも１つの中央サーバに送信されるシステムを含む。
【０２３８】
本発明の更なる実施形態は、前記少なくとも１つの後続のまたは追加の好ましい搬送サービス要求が、好ましいと識別された前記少なくとも１つの自律車両のために、またはそれを基準に、確保または取得され、少なくとも１つの搬送サービスを実行する少なくとも１つの指令がリアルタイムまたはほぼリアルタイムで更新または変更されるシステムを含む。
【０２３９】
本発明の付加的な実施形態は、前記少なくとも１つの自律車両の前記少なくとも１つのオーナまたは前記少なくとも１つのコントローラが、
好ましいと識別された前記少なくとも１つの自律車両以外の、フィルタリングされた前記少なくとも１つの自律車両、
前記少なくとも１つの好ましい搬送サービス要求以外の少なくとも１つの前記フィルタリングされた搬送サービス要求、
またはそれらの組合せ
を確保または取得するシステムを含む。
【０２４０】
本発明の一実施形態は、前記少なくとも１つの好ましい搬送サービス要求、少なくとも１つの搬送クライアント、またはそれらの組合せが、少なくとも１つの搬送業界セグメントで活動する、好ましいと識別された前記少なくとも１つの自律車両のために、またはそれを基準に、確保または取得されるシステムを含む。
【０２４１】
本発明の別の実施形態は、好ましいと識別された前記少なくとも１つの自律車両が、前記少なくとも１つの好ましい搬送サービス要求を確保または取得する少なくとも１つのプロセスと同じ少なくとも１つのプロセスまたは同様の少なくとも１つのプロセスで確保または取得されるシステムを含む。
【０２４２】
本発明の更なる実施形態は、少なくとも１つの代理人が、前記少なくとも１つの自律車両に関連する前記少なくとも１つの搬送サービスの全部または一部を提供または実行するシステムを含む。
【０２４３】
本発明の付加的な実施形態は、前記少なくとも１つの自律車両の前記少なくとも１つのオーナまたは前記少なくとも１つのコントローラが、前記少なくとも１つの搬送サービスを実行するのに好ましいと識別された前記少なくとも１つの自律車両のために、またはそれを基準に、前記少なくとも１つの好ましい搬送サービス要求を確保または取得するシステムを含む。
【０２４４】
本発明の一実施形態は、前記少なくとも１つのアプリケーションまたは少なくとも１つのオーナアプリケーションまたはコントローラアプリケーションが、前記少なくとも１つの好ましい搬送サービス要求、好ましいと識別された前記少なくとも１つの自律車両、またはそれらの組合せを確保または取得するシステムを含む。
【０２４５】
本発明の別の実施形態は、前記少なくとも１つの自律車両の前記少なくとも１つのオーナまたは前記少なくとも１つのコントローラが、少なくとも１つのオーナアプリケーションまたはコントローラアプリケーションまたは前記少なくとも１つのアプリケーションを使用して、前記少なくとも１つの好ましい搬送サービス要求、好ましいと識別された前記少なくとも１つの自律車両、またはそれらの組合せを確保または取得するシステムを含む。
【０２４６】
本発明の更なる実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションまたは前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージサービス、または少なくとも１つの拡張メッセージサービスで表示されるシステムを含む。
【０２４７】
本発明の付加的な実施形態は、前記少なくとも１つの自律車両の前記少なくとも１つのオーナまたは前記少なくとも１つのコントローラが、前記少なくとも１つの好ましい搬送サービス要求、好ましいと識別された前記少なくとも１つの自律車両、またはそれらの組合せを、受諾するか、または拒否するシステムを含む。
【０２４８】
本発明の一実施形態は、前記少なくとも１つの自律車両の前記少なくとも１つのオーナまたは前記少なくとも１つのコントローラが、前記少なくとも１つの好ましい搬送サービス要求または好ましいと識別された前記少なくとも１つの自律車両を拒否すると、
少なくとも１つの新しいまたは異なる好ましい搬送サービス要求、
好ましいと識別された少なくとも１つの新しいまたは異なる自律車両、
またはそれらの組合せ
が識別され、表示されるシステムを含む。
【０２４９】
本発明の付加的な実施形態は、前記少なくとも１つのアプリケーション、少なくとも１つのオーナアプリケーションまたはコントローラアプリケーション、前記少なくとも１つの自律車両、前記少なくとも１つの端末、前記少なくとも１つの中央サーバ、前記少なくとも１つの外部サーバ、少なくとも１つのリンク、またはそれらの組合せが結合または統合されたシステムを含む。
【０２５０】
ＶＩ．方法＃３：自律車両プラットフォーム
本発明の第二の態様は、搬送業界内で、少なくとも１つの選択された選好および少なくとも１つの自律車両の少なくとも１つのリアルタイムまたはほぼリアルタイムの地理的位置に関連する少なくとも１つの好ましい搬送サービス要求を確保または取得する少なくとも１つのプロセスにおいて、少なくとも１つの自律車両を支援するための、全体または部分的に自動化されたリアルタイムまたはほぼリアルタイムの方法であって、
ａ）上記セクションＩに記載のシステムを提供するステップと、
ｂ）前記少なくとも１つの中央サーバにおいて、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せを、前記少なくとも１つの中央サーバと前記少なくとも１つの外部サーバとの間の少なくとも１つのリンクを介して前記少なくとも１つの外部サーバからリアルタイムまたはほぼリアルタイムで受信するステップと、
ｃ）前記少なくとも１つの中央サーバの前記少なくとも１つのコンピュータ可読メモリに、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せを、リアルタイムまたはほぼリアルタイムで格納するステップと、
ｄ）前記少なくとも１つの中央サーバを使用して、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せを、リアルタイムまたはほぼリアルタイムで標準化するステップと、
ｅ）前記少なくとも１つの中央サーバを使用して、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せを、リアルタイムまたはほぼリアルタイムで集約するステップと、
ｆ）前記少なくとも１つの自律車両の前記少なくとも１つのリアルタイムまたはほぼリアルタイムの地理的位置の全部または一部、前記少なくとも１つの自律車両に関連する搬送データの全部または一部、またはそれらの組合せを、前記少なくとも１つのアプリケーションと前記少なくとも１つの中央サーバとの間の少なくとも１つのリンクを介して、前記少なくとも１つのアプリケーションから前記少なくとも１つの中央サーバにリアルタイムまたはほぼリアルタイムで送信するステップであって、
ｉ）前記少なくとも１つのアプリケーションは、前記少なくとも１つの端末の前記少なくとも１つの地理的位置モジュールを使用して、前記少なくとも１つの自律車両の前記少なくとも１つのリアルタイムまたはほぼリアルタイムの地理的位置の全部または一部を提供し、
ｉｉ）前記少なくとも１つのアプリケーションは、前記少なくとも１つの自律車両に関連する搬送データの全部または一部を提供する
ステップと、
ｇ）前記少なくとも１つの中央サーバにおいて、前記少なくとも１つの自律車両の前記少なくとも１つのリアルタイムまたはほぼリアルタイムの地理的位置の全部または一部、前記少なくとも１つの自律車両に関連する搬送データの全部または一部、またはそれらの組合せを、前記少なくとも１つの中央サーバと前記少なくとも１つのアプリケーションとの間の少なくとも１つのリンクを介して、前記少なくとも１つのアプリケーションからリアルタイムまたはほぼリアルタイムで受信するステップと、
ｈ）前記少なくとも１つの選択された選好および前記少なくとも１つの自律車両の前記少なくとも１つのリアルタイムまたはほぼリアルタイムの地理的位置の全部または一部を使用して、前記少なくとも１つの中央サーバにおいて、前記複数の搬送サービス要求の全部または一部、前記少なくとも１つの自律車両に関連する搬送データの全部または一部、またはそれらの組み合わせを、リアルタイムまたはほぼリアルタイムでフィルタリングすることによって、前記複数のフィルタリングされた搬送サービス要求の全部または一部、または前記少なくとも１つの自律車両に関連するフィルタリングされた搬送データの全部または一部を識別するステップであって、
ｉ）前記少なくとも１つの選択された選好は、前記少なくとも１つの自律車両の前記少なくとも１つのオーナまたは前記少なくとも１つのコントローラによって入力または提供され、前記少なくとも１つの中央サーバの前記少なくとも１つのコンピュータ可読メモリに格納またはキャッシュされる
ステップと、
ｉ）前記少なくとも１つの中央サーバにおいて、前記少なくとも１つの選択された選好に関連する、前記少なくとも１つの好ましい搬送サービス要求を、前記複数のフィルタリングされた搬送サービス要求の全部または一部から、リアルタイムまたはほぼリアルタイムで識別するステップ、前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部を、リアルタイムまたはほぼリアルタイムで識別するステップ、またはそれらの組合せをリアルタイムまたはほぼリアルタイムで識別するステップと、
ｊ）前記少なくとも１つの中央サーバにおいて、前記少なくとも１つの好ましい搬送サービス要求、好ましいと識別された前記少なくとも１つの自律車両、またはそれらの組合せを、リアルタイムまたはほぼリアルタイムで確保または取得するステップと、
ｋ）前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの確保または取得された好ましい搬送サービス要求をリアルタイムまたはほぼリアルタイムで送信するステップと、
ｌ）前記少なくとも１つのアプリケーションにおいて、前記少なくとも１つのアプリケーションと前記少なくとも１つの中央サーバとの間の前記少なくとも１つのリンクを介して、前記中央サーバから前記少なくとも１つの確保または取得された好ましい搬送サービス要求をリアルタイムまたはほぼリアルタイムで受信するステップと、を含み、
ｍ）好ましいと識別された前記少なくとも１つの自律車両は、前記少なくとも１つの確保または取得された好ましい搬送サービス要求に関連する前記少なくとも１つの搬送サービスを実行または提供し、前記少なくとも１つの自律車両の前記少なくとも１つのリアルタイムまたはほぼリアルタイムの地理的位置の全部または一部が更新または変更され、その間、前記少なくとも１つの中央サーバは、前記少なくとも１つの自律車両の前記少なくとも１つのオーナまたは前記少なくとも１つのコントローラによって停止されるまで、前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組み合わせを、リアルタイムまたはほぼリアルタイムで繰り返し分析または評価し、次いで、好ましいと識別された前記少なくとも１つの自律車両のために、またはそれを基準に、前記少なくとも１つの後続のまたは追加の好ましい搬送サービス要求を確保または取得する、
方法を含む。
【０２５１】
本発明の一実施形態は、対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、少なくとも１つの異なるフォーマットで構造化され、少なくとも１つの一様なフォーマットに標準化または変換される方法を含む。
【０２５２】
本発明の別の実施形態は、対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバと前記少なくとも１つの中央サーバとの間の少なくとも１つのリンクを介して前記少なくとも１つの外部サーバから前記少なくとも１つの中央サーバに送信される前に、少なくとも１つの一様なフォーマットで構造化されるが、標準化されない方法を含む。
【０２５３】
本発明の更なる実施形態は、前記少なくとも１つの選択された選好が、前記少なくとも１つの自律車両の前記少なくとも１つのオーナまたは前記少なくとも１つのコントローラによって、前記少なくとも１つのアプリケーションまたは少なくとも１つのオーナアプリケーションまたはコントローラアプリケーションに提供または入力され、前記少なくとも１つのアプリケーション、前記少なくとも１つのオーナアプリケーションまたはコントローラアプリケーション、前記少なくとも１つの中央サーバの前記少なくとも１つのコンピュータ可読メモリ、またはそれらの組合せに格納またはキャッシュされる方法を含む。
【０２５４】
本発明の付加的な実施形態は前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せをフィルタリングする前の前記ステップＣ〜Ｇは任意の順序とすることができる方法を含む。
【０２５５】
本発明の一実施形態は、前記少なくとも１つの選択された選好、前記少なくとも１つの自律車両の前記少なくとも１つのリアルタイムまたはほぼリアルタイムの地理的位置の全部または一部、前記少なくとも１つの自律車両に関連する搬送データの全部または一部、またはそれらの組合せが、前記複数の搬送サービス要求の全部または一部、または前記少なくとも１つの自律車両に関連する搬送データの全部または一部をフィルタリングする前の任意の時点で、前記少なくとも１つの中央サーバに送信される方法を含む。
【０２５６】
本発明の別の実施形態は、前記複数の搬送サービス要求の全部または一部または前記少なくとも１つの自律車両に関連する搬送データの全部または一部が、前記少なくとも１つの選択された選好および前記少なくとも１つの自律車両の前記少なくとも１つのリアルタイムまたはほぼリアルタイムの地理的位置の全部または一部に関してフィルタリングされ、前記複数のフィルタリングされた搬送サービス要求の全部または一部、または前記少なくとも１つの自律車両に関連するフィルタリングされた搬送データの全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される方法を含む。
【０２５７】
本発明の更なる実施形態は、前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
前記少なくとも１つの選択された選好および前記少なくとも１つの自律車両の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの自律車両に関連する搬送データの全部または一部をリアルタイムまたはほぼリアルタイムで送信し、
前記少なくとも１つの選択された選好および前記少なくとも１つの自律車両の前記少なくとも１つのリアルタイムまたはほぼリアルタイムの地理的位置を使用して前記少なくとも１つの自律車両に関連する搬送データの全部または一部をリアルタイムまたはほぼリアルタイムでフィルタリングすることで、前記複数のフィルタリングされた搬送サービス要求の全部または一部を識別し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記複数の搬送サービス要求の全部または一部、または前記少なくとも１つの自律車両に関連する搬送データの全部または一部がリアルタイムまたはほぼリアルタイムでフィルタリングされ、または、前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別され、またはそれらの組合せが行われる方法を含む。
【０２５８】
本発明の付加的な実施形態は、少なくとも１つのオーナアプリケーションまたはコントローラアプリケーション上で、
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記複数の搬送サービス要求の全部または一部をリアルタイムまたはほぼリアルタイムで送信し、
前記少なくとも１つの選択された選好および前記少なくとも１つの自律車両の前記少なくとも１つのリアルタイムまたはほぼリアルタイムの地理的位置を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記少なくとも１つの自律車両に関連する搬送データの全部または一部をリアルタイムまたはほぼリアルタイムで送信し、
前記少なくとも１つの選択された選好および前記少なくとも１つの自律車両の前記少なくとも１つのリアルタイムまたはほぼリアルタイムの地理的位置を使用して前記少なくとも１つの自律車両に関連する搬送データの全部または一部をリアルタイムまたはほぼリアルタイムでフィルタリングすることで、前記複数のフィルタリングされた搬送サービス要求の全部または一部を識別し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記複数の搬送サービス要求の全部または一部、または前記少なくとも１つの自律車両に関連する搬送データの全部または一部がリアルタイムまたはほぼリアルタイムでフィルタリングされ、または、前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別され、またはそれらの組合せが行われる方法を含む。
【０２５９】
本発明の一実施形態は、前記複数の搬送サービス要求の全部または一部、前記少なくとも１つの自律車両に関連する搬送データの全部または一部、またはそれらの組合せをフィルタリングする際に、前記少なくとも１つの自律車両の前記少なくとも１つのリアルタイムまたはほぼリアルタイムの地理的位置以外の少なくとも１つの異なる地理的位置が使用される方法を含む。
【０２６０】
本発明の別の実施形態は、前記複数の搬送サービス要求の全部または一部または前記少なくとも１つの自律車両に関連する搬送データの全部または一部が、前記少なくとも１つの選択された選好に関してフィルタリングされ、前記複数のフィルタリングされた搬送サービス要求の全部または一部、または前記少なくとも１つの自律車両に関連するフィルタリングされた搬送データの全部または一部が、分類、フィルタリング、特徴付け、スクリーニング、選択、分離、識別、指定、区別、命名、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される方法を含む。
【０２６１】
本発明の更なる実施形態は、前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数の搬送サービス要求の全部または一部をリアルタイムまたはほぼリアルタイムで送信し、
前記少なくとも１つの選択された選好を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの自律車両に関連する搬送データの全部または一部をリアルタイムまたはほぼリアルタイムで送信し、
前記少なくとも１つの選択された選好を使用して前記少なくとも１つの自律車両に関連する搬送データの全部または一部をリアルタイムまたはほぼリアルタイムでフィルタリングすることで、前記複数のフィルタリングされた搬送サービス要求の全部または一部を識別し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記複数の搬送サービス要求の全部または一部、または前記少なくとも１つの自律車両に関連する搬送データの全部または一部がリアルタイムまたはほぼリアルタイムでフィルタリングされ、または、前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別され、またはそれらの組合せが行われる方法を含む。
【０２６２】
本発明の付加的な実施形態は、少なくとも１つのオーナアプリケーションまたはコントローラアプリケーション上で、
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記複数の搬送サービス要求の全部または一部をリアルタイムまたはほぼリアルタイムで送信し、
前記少なくとも１つの選択された選好を使用して前記複数の搬送サービス要求の全部または一部をリアルタイムまたはほぼリアルタイムでフィルタリングすることで、前記複数のフィルタリングされた搬送サービス要求の全部または一部を識別し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記少なくとも１つの自律車両に関連する搬送データの全部または一部をリアルタイムまたはほぼリアルタイムで送信し、
前記少なくとも１つの選択された選好を使用して前記少なくとも１つの自律車両に関連する搬送データの全部または一部をリアルタイムまたはほぼリアルタイムでフィルタリングすることで、前記複数のフィルタリングされた搬送サービス要求の全部または一部を識別し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記複数の搬送サービス要求の全部または一部、または前記少なくとも１つの自律車両に関連する搬送データの全部または一部がリアルタイムまたはほぼリアルタイムでフィルタリングされ、または、前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別され、またはそれらの組合せが行われる方法を含む。
【０２６３】
本発明の一実施形態は、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、前記少なくとも１つの選択された選好に関連する前記少なくとも１つの好ましい搬送サービス要求が、前記複数のフィルタリングされた搬送サービス要求の全部または一部から識別され、または、好ましいと識別された前記少なくとも１つの自律車両または前記少なくとも１つの選択された選好に関連する前記少なくとも１つの自律車両に関連する好ましい搬送データの全部または一部が、前記少なくとも１つの自律車両に関連するフィルタリングされた搬送サデータの全部または一部から識別され、又はそれらの組み合わせが行われる方法を含む。
【０２６４】
本発明の別の実施形態は、前記少なくとも１つの選択された選好の少なくとも１つの加重平均が、
前記少なくとも１つの自律車両に関連するフィルタリングされた搬送データの全部または一部からの、前記少なくとも１つの自律車両または好ましいと識別された前記少なくとも１つの自律車両に関連する好ましい搬送データの全部または一部の識別、
前記複数のフィルタリングされた搬送サービス要求の全部または一部からの、前記少なくとも１つの好ましい搬送サービス要求の識別、
またはそれらの組合せの識別
に使用される方法を含む。
【０２６５】
本発明の更なる実施形態は、前記少なくとも１つのアプリケーション上で、
前記少なくとも１つの中央サーバと前記少なくとも１つのアプリケーションとの間の少なくとも１つのリンクを介して、前記少なくとも１つの中央サーバから前記少なくとも１つのアプリケーションに前記複数のフィルタリングされた搬送サービス要求の全部または一部をリアルタイムまたはほぼリアルタイムで送信し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのアプリケーションとの間の少なくとも１つのリンクを介して、前記少なくとも１つの中央サーバから前記少なくとも１つのアプリケーションに前記少なくとも１つの自律車両に関連する搬送データの全部または一部をリアルタイムまたはほぼリアルタイムで送信し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別される方法を含む。
【０２６６】
本発明の付加的な実施形態は、少なくとも１つのオーナアプリケーションまたはコントローラアプリケーション上で、
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記複数のフィルタリングされた搬送サービス要求の全部または一部をリアルタイムまたはほぼリアルタイムで送信し、
前記少なくとも１つの選択された選好に関連する前記複数のフィルタリングされた搬送サービス要求の全部または一部から、前記少なくとも１つの好ましい搬送サービス要求をリアルタイムまたはほぼリアルタイムで識別することによって、または
前記少なくとも１つの中央サーバと前記少なくとも１つのオーナアプリケーションまたはコントローラアプリケーションとの間の少なくとも１つのリンクを介して、前記少なくとも１つの中央サーバから前記少なくとも１つのオーナアプリケーションまたはコントローラアプリケーションに前記少なくとも１つの自律車両に関連する搬送データの全部または一部をリアルタイムまたはほぼリアルタイムで送信し、
前記少なくとも１つの自律車両に関連するフィルタリングされた搬送データの全部または一部から、前記少なくとも１つの選択された選好に関連する、好ましいと識別された前記少なくとも１つの自律車両または前記少なくとも１つの自律車両に関連する好ましい搬送データの全部または一部をリアルタイムまたはほぼリアルタイムで識別することによって、または
それらの組み合わせによって、
前記少なくとも１つの好ましい搬送サービス要求が、前記複数のフィルタリングされた搬送サービス要求の全部または一部からリアルタイムまたはほぼリアルタイムで識別され、または、好ましいと識別された前記少なくとも１つの自律車両が、前記少なくとも１つの自律車両に関連するフィルタリングされた搬送データの全部または一部からリアルタイムまたはほぼリアルタイムで識別される方法を含む。
【０２６７】
本発明の一実施形態は、２つ以上の前記好ましい搬送サービス要求が、好ましいと識別された前記少なくとも１つの自律車両のために、またはそれを基準に、同時に確保または取得される方法を含む。
【０２６８】
本発明の別の実施形態は、前記少なくとも１つのアプリケーション、少なくとも１つのオーナアプリケーションまたはコントローラアプリケーション、またはそれらの組合せが、前記少なくとも１つの中央サーバ上で動作する方法を含む。
【０２６９】
本発明の更なる実施形態は、対応する搬送データが関連付けられた前記複数の搬送サービス要求の全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、またはそれらの組合せが、前記少なくとも１つの外部サーバによって供給または提供される方法を含む。
【０２７０】
本発明の付加的な実施形態は、前記少なくとも１つの外部サーバが、少なくとも１つの搬送業界セグメントで活動する、少なくとも１つのサービスプロバイダ、少なくとも１つの商品サプライヤ、少なくとも１つのフリートマネージャ、前記少なくとも１つのオーナまたは前記少なくとも１つの自律車両の前記少なくとも１つのコントローラ、少なくとも１つのロジスティクスプロバイダ、少なくとも１つのロジスティクスサプライヤ、またはそれらの組合せによって操作、制御、または管理される方法を含む。
【０２７１】
本発明の一実施形態は、前記少なくとも１つの後続のまたは追加の好ましい搬送サービス要求が、好ましいと識別された前記少なくとも１つの自律車両のために、またはそれを基準に、少なくとも１つの異なる搬送業界セグメントにおいて確保または取得される方法を含む。
【０２７２】
本発明の別の実施形態は、前記少なくとも１つの自律車両の前記少なくとも１つのオーナまたは前記少なくとも１つの制御装置が、少なくとも１つの搬送業界セグメントで活動する、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せである方法を含む。
【０２７３】
本発明の更なる実施形態は、前記少なくとも１つの中央サーバ、前記少なくとも１つのアプリケーション、少なくとも１つのオーナアプリケーションまたはコントローラアプリケーション、またはそれらの組合せが、
前記少なくとも１つの好ましい搬送サービス要求以外の少なくとも１つの異なる搬送サービス要求、または
好ましいと識別された前記少なくとも１つの自律車両以外の少なくとも１つの異なる自律車両
を提案または推奨する方法を含む。
【０２７４】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのアプリケーションと前記少なくとも１つの中央サーバとの間の少なくとも１つのリンクを介して前記少なくとも１つのアプリケーションと前記少なくとも１つの中央サーバとの間でリアルタイムまたはほぼリアルタイムで送信され、リアルタイムで更新される方法を含む。
【０２７５】
本発明の一実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのアプリケーションと前記少なくとも１つの外部サーバとの間の少なくとも１つのリンクを介して、前記少なくとも１つのアプリケーションと前記少なくとも１つの外部サーバとの間でリアルタイムまたはほぼリアルタイムで送信され、リアルタイムまたはほぼリアルタイムで更新される方法を含む。
【０２７６】
本発明の別の実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つの中央サーバと前記少なくとも１つの外部サーバとの間の少なくとも１つのリンクを介して前記少なくとも１つの中央サーバと前記少なくとも１つの外部サーバとの間でリアルタイムまたはほぼリアルタイムで送信され、リアルタイムまたはほぼリアルタイムで更新される方法を含む。
【０２７７】
本発明の更なる実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つの中央サーバとの間の少なくとも１つのリンクを介して、前記少なくとも１つのオーナアプリケーションまたはコントローラアプリケーションと前記少なくとも１つの中央サーバとの間でリアルタイムまたはほぼリアルタイムで送信され、リアルタイムまたはほぼリアルタイムで更新される方法を含む。
【０２７８】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つの外部サーバとの間の少なくとも１つのリンクを介して前記少なくとも１つのオーナアプリケーションまたはコントローラアプリケーションと前記少なくとも１つの外部サーバとの間でリアルタイムまたはほぼリアルタイムで送信され、リアルタイムまたはほぼリアルタイムで更新される方法を含む。
【０２７９】
本発明の付加的な実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションと前記少なくとも１つのアプリケーションとの間の少なくとも１つのリンクを介して、前記少なくとも１つのオーナアプリケーションまたはコントローラアプリケーションと前記少なくとも１つのアプリケーションとの間でリアルタイムまたはほぼリアルタイムで送信され、リアルタイムまたはほぼリアルタイムで更新される方法を含む。
【０２８０】
本発明の一実施形態は、前記少なくとも１つの自律車両に関連する搬送データの全部または一部、前記少なくとも１つの自律車両に関連するフィルタリングされた搬送データの全部または一部、前記少なくとも１つの自律車両に関連する好ましい搬送データの全部または一部、前記複数の搬送サービス要求の全部または一部、前記複数のフィルタリングされた搬送サービス要求の全部または一部、前記少なくとも１つの好ましい搬送サービス要求、またはそれらの組合せが、好ましいと識別される前記少なくとも１つの自律車両または前記少なくとも１つの好ましい搬送サービス要求を確保または取得する前に、任意の順序でフィルタリングされ好ましいと識別される方法を含む。
【０２８１】
本発明の別の実施形態は、前記少なくとも１つの中央サーバまたは前記少なくとも１つの外部サーバの少なくとも１つの機能が、前記少なくとも１つのアプリケーション、少なくとも１つのオーナアプリケーションまたはコントローラアプリケーション、またはそれらの組合せによって実行される方法を含む。
【０２８２】
本発明の更なる実施形態は、前記複数の搬送サービス要求が、１つの搬送サービス要求である方法を含む。
【０２８３】
本発明の一実施形態は、前記複数のフィルタリングされた搬送サービス要求が、１つのフィルタリングされた搬送サービス要求である方法を含む。
【０２８４】
本発明の別の実施形態は、前記少なくとも１つの自律車両の前記少なくとも１つのオーナまたは前記少なくとも１つのコントローラが、
好ましいと識別された前記少なくとも１つの自律車両以外の、フィルタリングされた前記少なくとも１つの自律車両、
前記少なくとも１つの好ましい搬送サービス要求以外の少なくとも１つの前記フィルタリングされた搬送サービス要求、
またはそれらの組合せ
を確保または取得する方法を含む。
【０２８５】
本発明の更なる実施形態は、前記少なくとも１つの好ましい搬送サービス要求、少なくとも１つの搬送クライアント、またはそれらの組合せが、少なくとも１つの搬送業界セグメントで活動する、好ましいと識別された前記少なくとも１つの自律車両のために、またはそれを基準に、確保または取得される方法を含む。
【０２８６】
本発明の付加的な実施形態は、前記少なくとも１つの自律車両の前記少なくとも１つのリアルタイムまたはほぼリアルタイムの地理的位置の全部または一部が更新または変更されると、または交通情報が更新または変更されると、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、リアルタイムまたはほぼリアルタイムで識別または更新される方法を含む。
【０２８７】
本発明の一実施形態は、前記少なくとも１つの後続のまたは追加の好ましい搬送サービス要求が、好ましいと識別された前記少なくとも１つの自律車両のために、またはそれを基準に、確保または取得され、少なくとも１つの搬送サービスを実行する少なくとも１つの指令がリアルタイムまたはほぼリアルタイムで更新または変更される方法を含む。
【０２８８】
本発明の別の実施形態は、前記少なくとも１つのアプリケーション、少なくとも１つのオーナアプリケーションまたはコントローラアプリケーション、またはそれらの組合せの少なくとも１つの機能が、前記少なくとも１つの中央サーバまたは前記少なくとも１つの外部サーバによって実行される方法を含む。
【０２８９】
本発明の更なる実施形態は、前記少なくとも１つの自律車両に関連する搬送データの全部または一部が、前記少なくとも１つの自律車両または前記少なくとも１つの選択された選好に関連して好ましいと識別された前記少なくとも１つの自律車両に関連する好ましい搬送データの全部または一部として、前記少なくとも１つの自律車両に関連する搬送データの全部または一部として、前記少なくとも１つの自律車両の前記少なくとも１つのリアルタイムまたはほぼリアルタイムの地理的位置として、またはそれらの組合せとして、フィルタリングおよび識別され、確保または取得される方法を含む。
【０２９０】
本発明の付加的な実施形態は、上記ステップＨ〜Ｌにおけるように、前記少なくとも１つの好ましい搬送サービス要求を、フィルタリングし、好ましくは識別し、そして確保または取得するプロセスの少なくとも１つが、好ましいと識別された前記少なくとも１つの自律車両をフィルタリングし、好ましくは識別し、そして確保または取得するために、前記少なくとも１つの選択された選好とともに使用される方法を含む。
【０２９１】
本発明の一実施形態は、前記少なくとも１つの好ましい搬送サービス要求を確保または取得する少なくとも１つのプロセスが、好ましいと識別された前記少なくとも１つの自律車両を確保または取得するために、前記少なくとも１つの選択された選好とともに使用される方法を含む。
【０２９２】
本発明の別の実施形態は、少なくとも１つの代理人が、前記少なくとも１つの自律車両に関連する前記少なくとも１つの搬送サービスの全部または一部を提供または実行する方法を含む。
【０２９３】
本発明の更なる実施形態は、前記少なくとも１つの自律車両の前記少なくとも１つのオーナまたは前記少なくとも１つのコントローラが、前記少なくとも１つの搬送サービスを実行するのに好ましいと識別された前記少なくとも１つの自律車両のために、またはそれを基準に、前記少なくとも１つの好ましい搬送サービス要求を確保または取得する方法を含む。
【０２９４】
本発明の付加的な実施形態は、前記少なくとも１つのアプリケーションまたは少なくとも１つのオーナアプリケーションまたはコントローラアプリケーションが、前記少なくとも１つの好ましい搬送サービス要求、好ましいと識別された前記少なくとも１つの自律車両、またはそれらの組合せを確保または取得する方法を含む。
【０２９５】
本発明の一実施形態は、前記少なくとも１つの自律車両の前記少なくとも１つのオーナまたは前記少なくとも１つのコントローラが、少なくとも１つのオーナアプリケーションまたはコントローラアプリケーションまたは前記少なくとも１つのアプリケーションを使用して、前記少なくとも１つの好ましい搬送サービス要求、好ましいと識別された前記少なくとも１つの自律車両、またはそれらの組合せを確保または取得する方法を含む。
【０２９６】
本発明の一実施形態は、対応する搬送データが関連付けられた前記少なくとも１つの好ましい搬送サービス要求、対応する搬送データが関連付けられた前記複数のフィルタリングされた搬送サービス要求の全部または一部、対応する搬送データが関連付けられた前記複数の搬送サービス要求の全部または一部、前記少なくとも１つの自律車両に関連する好ましい搬送データの全部または一部、前記少なくとも１つの自律車両に関連するフィルタリングされた搬送データの全部または一部、前記少なくとも１つの自律車両に関連する搬送データの全部または一部、前記少なくとも１つの自律車両の前記少なくとも１つのリアルタイムまたはほぼリアルタイムの地理的位置の全部または一部、少なくとも１つの代理人選好、前記少なくとも１つの選択された選好、前記少なくとも１つの確保または取得された好ましい搬送サービス要求、好ましいと識別された少なくとも１つの確保または取得された自律車両、またはそれらの組合せが、前記少なくとも１つのオーナアプリケーションまたはコントローラアプリケーションまたは前記少なくとも１つのアプリケーションに送信され、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージサービス、少なくとも１つのスマートメッセージサービス、または少なくとも１つの拡張メッセージサービスで表示される方法を含む。
【０２９７】
本発明の別の実施形態は、前記少なくとも１つの自律車両の前記少なくとも１つのオーナまたは前記少なくとも１つのコントローラが、前記少なくとも１つの好ましい搬送サービス要求、好ましいと識別された前記少なくとも１つの自律車両、またはそれらの組合せを、受諾するか、または拒否する方法を含む。
【０２９８】
本発明の更なる実施形態は、前記少なくとも１つの自律車両の前記少なくとも１つのオーナまたは前記少なくとも１つのコントローラが、前記少なくとも１つの好ましい搬送サービス要求または好ましいと識別された前記少なくとも１つの自律車両を拒否すると、
少なくとも１つの新しいまたは異なる好ましい搬送サービス要求、
好ましいと識別された少なくとも１つの新しいまたは異なる自律車両、
またはそれらの組合せ
が識別され、表示される方法を含む。
【０２９９】
本発明の更なる実施形態は、前記少なくとも１つの中央サーバが、前記少なくとも１つの自律車両に関連付けられた前記少なくとも１つの端末上に位置する方法を含む。
【０３００】
本発明の更なる実施形態は、前記少なくとも１つのアプリケーション、少なくとも１つのオーナアプリケーションまたはコントローラアプリケーション、前記少なくとも１つの自律車両、前記少なくとも１つの端末、前記少なくとも１つの中央サーバ、前記少なくとも１つの外部サーバ、少なくとも１つのリンク、またはそれらの組合せが結合または統合された方法を含む。
【０３０１】
ＶＩＩ．第Ｉ節から第ＶＩ節までの詳細な説明
本発明の以下の詳細な説明は、一部には、搬送業界内で少なくとも１つの好ましい搬送サービス要求を確保または取得するためのシステムおよび方法を含む。このシステムは、限定はしないが、以下のハードウェア、ソフトウェア、関係者、自動化プラットフォーム、および搬送業界内の少なくとも１つの好ましい搬送サービス要求の確保または取得に関与するいくつかの情報を含む。
【０３０２】
「ほぼリアルタイム」
ほぼリアルタイムは、例えば、自動化されたデータ処理によって、少なくとも１つのイベントの少なくとも１つの発生と処理されたデータの少なくとも１つの使用との間に生じる遅延に関連し得る。ほぼリアルタイムは、データや情報の適時性を指し得、これは、電子通信および自動データ処理に必要な時間だけ遅延し得る。ほぼリアルタイムは、有意な遅延がないことを暗示し得る。ほぼリアルタイムは、最高の発展レベルまたは最新技術を指し得る。
【０３０３】
限定を目的としない例として、ほぼリアルタイムは、リアルタイムであってもよく、またはリアルタイムに類似していてもよい。限定を目的としない例として、ほぼリアルタイムは、少なくとも１つのイベントまたは少なくとも１つの状況が、現在時刻から処理時間を差し引いた時刻に存在したことを表し得る。限定を目的としない例として、少なくとも１つのシステムの少なくとも１つの機能、少なくとも１つの方法、またはそれらの組み合わせは、リアルタイムまたはほぼリアルタイムで実行することができる。限定を目的としない例として、少なくとも１つの自律車両の少なくとも１つのリアルタイムまたはほぼリアルタイムの地理的位置は、リアルタイムまたはほぼリアルタイムで更新することができる。限定を目的としない例として、少なくとも１つの自律車両の少なくとも１つのフリートの少なくとも１つのリアルタイムまたはほぼリアルタイムの地理的位置は、リアルタイムまたはほぼリアルタイムで更新することができる。
【０３０４】
「搬送クライアント」
少なくとも１つの搬送クライアントは、限定はしないが、例えば、少なくとも１つの搬送サービスを受けるかまたは要求することができる、少なくとも１人の人、少なくとも１つのエンティティ、少なくとも１つのロボット、少なくとも１つの機械、またはそれらの組合せであり得る。少なくとも１つの搬送クライアントは、少なくとも１つの搬送サービスの少なくとも１つの消費者である必要はない。少なくとも１つの搬送クライアントは、最高の発展レベルまたは最新技術に更新またはリフレッシュされた少なくとも１つの機能を、リアルタイムまたはほぼリアルタイムで実行することができる。
【０３０５】
少なくとも１つの搬送クライアントは、限定はしないが、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せのための、またはそれらを基準とした場合の、少なくとも１つのフィルタリングされた搬送サービス要求および／または少なくとも１つの好ましい搬送サービス要求になり得る少なくとも１つの搬送サービス要求を、例えば、入力または生成することができる。
【０３０６】
限定を目的としない例として、少なくとも１つの搬送クライアントは、ライドヘイル業界セグメントにおける少なくとも１人の乗客であり得る。限定を目的としない例として、少なくとも１つの搬送クライアントは、食品配達業界セグメントにおける少なくとも１つの商品の少なくとも１つの消費者であり得る。限定を目的としない例として、少なくとも１つの搬送クライアントは、貨物配達業界セグメントにおける貨物の少なくとも１つの消費者であり得る。限定を目的としない例として、少なくとも１つの搬送クライアントは、少なくとも１つの自律車両に関連する搬送データの全部または一部を分析または評価することができる。限定を目的としない例として、少なくとも１つの搬送クライアントは、少なくとも１つの自律車両自動化プラットフォームに関連する少なくとも１つのフロントエンドアプリケーションを利用して、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せの少なくとも１つのオーナまたは少なくとも１つのコントローラのために、またはそれらとともに活動する少なくとも１つの自律車両に関連する搬送データの全部または一部を分析または評価することができる。限定を目的としない例として、少なくとも１つの搬送クライアントは、少なくとも１つの自律車両自動化プラットフォームに関連する少なくとも１つの改善されたシステム、少なくとも１つの改善された方法、またはそれらの組合せから利益を得ることができる。
【０３０７】
「サービスプロバイダ」
少なくとも１つのサービスプロバイダは、例えば、少なくとも１つの搬送サービスを提供するために、限定はしないが、少なくとも１つの代理人、少なくとも１つの自律車両、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せを、雇用するか、またはそれらと契約することができる少なくとも１つのエンティティまたは少なくとも１つの業界であり得る。少なくとも１つのサービスプロバイダは、限定はしないが、少なくとも１つの代理人、少なくとも１つの自律車両、少なくとも１つの自律車両の少なくとも１つのオーナまたは少なくとも１つのコントローラ、少なくとも１つの商品サプライヤ、少なくとも１つのフリートマネージャ、少なくとも１つの搬送クライアント、少なくとも１つのロジスティクスプロバイダ、少なくとも１つのロジスティクスサプライヤ、またはそれらの組合せとの間の少なくとも１つの搬送サービスを容易にすることができる。少なくとも１つのサービスプロバイダは、例えば、少なくとも１つのサービス、少なくとも１つの配達サービス、またはそれらの組合せを提供または実行することができる、少なくとも１つのエンティティまたは少なくとも１つの業界であり得る。少なくとも１つのサービスプロバイダは、少なくとも１つの自律車両を所有し、操作し、または制御することができる。
【０３０８】
少なくとも１つのサービスプロバイダは、少なくとも１つの外部サーバを介して、少なくとも１つの搬送業界セグメントに関連する、対応する搬送データを有する少なくとも１つの搬送サービス要求、対応する搬送データを有する少なくとも１つの自律車両、少なくとも１つの自律車両の少なくとも１つのリアルタイムまたはほぼリアルタイムの地理的位置、またはそれらの組合せの少なくとも１つのソースまたは少なくとも１つのプロバイダであり得る。少なくとも１つのサービスプロバイダは、例えば、少なくとも１つの外部サーバを利用することができ、少なくとも１つの外部サーバは、対応する搬送データを有する少なくとも１つの搬送サービス要求、少なくとも１つの自律車両、少なくとも１つの自律車両に関連する搬送データの全部または一部、少なくとも１つの自律車両の少なくとも１つのリアルタイムまたはほぼリアルタイムの地理的位置の全部または一部、少なくとも１つの自律車両に関連する任意のデータまたは情報、またはそれらの組合せの少なくとも１つのソースまたは少なくとも１つのプロバイダであり得る。
【０３０９】
少なくとも１つのサービスプロバイダは、少なくとも１つの自律車両を操作、所有、または制御することができる。少なくとも１つのサービスプロバイダは、少なくとも１つのサードパーティに代わって、少なくとも１つの自律車両を操作、所有、または制御することができる。少なくとも１つのサービスプロバイダは、少なくとも１つの搬送業界セグメントにおける少なくとも１つの搬送サービスを容易にするために、少なくとも１つのネットワークを操作、所有、または制御することができる。少なくとも１つのサービスプロバイダは、少なくとも１つのネットワーク上で少なくとも１つの自律車両を操作、所有、または制御することができる。少なくとも１つのサービスプロバイダは、少なくとも１つの他のネットワーク上で少なくとも１つの自律車両を操作、所有、または制御することができる。少なくとも１つのサービスプロバイダは、少なくとも１つのネットワーク上の少なくとも１つのサードパーティに代わって、少なくとも１つの自律車両を操作、所有、または制御することができる。
【０３１０】
少なくとも１つのサービスプロバイダは、少なくとも１つの代理人自動化プラットフォームを使用して、少なくとも１つの搬送サービスを容易にし、操作し、または管理することができる。少なくとも１つのサービスプロバイダは、少なくとも１つの自律車両自動化プラットフォームを使用して、少なくとも１つの搬送サービスを容易にし、操作し、または管理することができる。少なくとも１つのサービスプロバイダは、少なくとも１つの自律車両自動化プラットフォームを使用して、少なくとも１つの自律車両を制御または操作することができる。少なくとも１つのサービスプロバイダは、少なくとも１つの自律車両自動化プラットフォームを使用して、好ましいと識別することができる少なくとも１つの自律車両、少なくとも１つの自律車両、またはそれらの組合せのために、またはそれらを基準に、少なくとも１つの好ましい搬送サービス要求を確保または取得することができる。
【０３１１】
少なくとも１つのサービスプロバイダは、少なくとも１つの搬送サービスを容易にし実行するために、限定はしないが、少なくとも１つの中央サーバ、少なくとも１つの外部サーバ、少なくとも１つのアプリケーション、少なくとも１つのオーナアプリケーションまたはコントローラアプリケーション、またはそれらの組合せを使用することができる。少なくとも１つのサービスプロバイダは、少なくとも１つの搬送業界セグメントで活動することができる。少なくとも１つのサービスプロバイダは、限定はしないが、少なくとも１つの代理人、少なくとも１つの自律車両、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、少なくとも１つの自律車両の少なくとも１つのオーナまたは少なくとも１つのコントローラ、またはそれらの組合せの少なくとも１つの搬送ネットワークを独立して制御または操作することができる。少なくとも１つのサービスプロバイダは、任意で、少なくとも１つの自律車両の少なくとも１つのオーナまたは少なくとも１つのコントローラととらえるかまたは呼ぶことができる。少なくとも１つのサービスプロバイダは、限定はしないが、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せに関連する情報技術基盤を利用することができる。少なくとも１つのサービスプロバイダは、最高の発展レベルまたは最新技術に更新またはリフレッシュされた少なくとも１つの機能をリアルタイムまたはほぼリアルタイムで実行することができる。少なくとも１つのサービスプロバイダは、少なくとも１つの好ましい搬送サービス要求、好ましいと識別することができる少なくとも１つの自律車両、またはそれらの組合せを受諾するかまたは拒否することができる。
【０３１２】
少なくとも１つのサービスプロバイダは、限定はしないが、少なくとも１つの商品サプライヤまたは少なくとも１つの自律車両であり得る、少なくとも１つの指定されたロッカー等を有するかまたは利用することができる少なくとも１つの車両であり得る。少なくとも１つのサービスプロバイダは、限定はしないが、少なくとも１つの移動型商品サプライヤ、少なくとも１つの移動型自律車両、少なくとも１つの移動型店頭、少なくとも１つのラストマイル（ｌａｓｔ  ｍｉｌｅ）配達車両、少なくとも１つの移動型ロジスティクスプロバイダ、少なくとも１つの移動型ロジスティクスサプライヤ、またはこれらの組み合わせであり得る、少なくとも１つのコンパートメント等を有するかまたは利用することができる少なくとも１つの車両であり得る。
【０３１３】
限定を目的としない例として、少なくとも１つのサービスプロバイダは、限定はしないが、少なくとも１つのライドシェアサービスコントローラ、少なくとも１つのライドヘイルサービスコントローラ、少なくとも１つのカーシェアサービスコントローラ、少なくとも１つのタクシーサービスコントローラ、少なくとも１つのシャトルサービスコントローラ、少なくとも１つの人物配達サービスコントローラ、少なくとも１つの食品配達サービスコントローラ、少なくとも１つの商品配達サービスコントローラ、少なくとも１つの動物配達サービスコントローラ、少なくとも１つの医療サービスおよび医療配達（ｍｅｄｉｃａｌ  ｄｅｌｉｖｅｒｙ）コントローラ、少なくとも１つの宅配便サービスコントローラ、少なくとも１つのアイテム配達サービスコントローラ、少なくとも１つの貨物配達サービスコントローラ、少なくとも１つのピアツーピア搬送サービスコントローラ、少なくとも１つの配達サービスコントローラ、少なくとも１つの輸送サービスコントローラ、またはそれらの組合せであり得る。
【０３１４】
限定を目的としない例として、少なくとも１つのサービスプロバイダは、少なくとも１つの自律車両を利用する場合、少なくとも１つの代理人ととらえるか、または呼ぶことができる。限定を目的としない例として、少なくとも１つのサービスプロバイダは、少なくとも１つの自律車両、少なくとも１つの自律車両の少なくとも１つのフリート、少なくとも１つの代理人、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つのサードパーティ、またはそれらの組合せととらえるか、または呼ぶことができる。
【０３１５】
限定を目的としない例として、少なくとも１つのサービスプロバイダは、少なくとも１つの個々の搬送業界セグメントで活動することができる。限定を目的としない例として、少なくとも１つのサービスプロバイダは、対応する搬送データが関連付けられた少なくとも１つの搬送サービス要求の全部または一部、少なくとも１つの自律車両に関連する搬送データの全部または一部、少なくとも１つの自律車両全部または一部、少なくとも１つの自律車両の少なくとも１つのリアルタイムまたはほぼリアルタイムの地理的位置の全部または一部、少なくとも１つの自律車両の少なくとも１つのフリートに関連する搬送データの全部または一部、少なくとも１つの自律車両の少なくとも１つのフリートの全部または一部、少なくとも１つの自律車両の少なくとも１つのフリートの少なくとも１つのリアルタイムまたはほぼリアルタイムの地理的位置の全部または一部、またはそれらの組み合わせの、少なくとも１つのソースまたは少なくとも１つのプロバイダであり得る。
【０３１６】
限定を目的としない例として、少なくとも１つのサービスプロバイダは、対応する搬送データを有する少なくとも１つの搬送サービス要求の全部または一部、対応する搬送データを有する少なくとも１つの自律車両の全部または一部、少なくとも１つの自律車両の少なくとも１つのリアルタイムまたはほぼリアルタイムの地理的位置の全部または一部、少なくとも１つの自律車両の少なくとも１つのフリートに関連する搬送データの全部または一部、少なくとも１つの自律車両の少なくとも１つのフリートの少なくとも１つのリアルタイムまたはほぼリアルタイムの地理的位置の全部または一部、またはそれらの組合せを提供することができる少なくとも１つのＡＰＩを有するか、または利用することができる。限定を目的としない例として、少なくとも１つのサービスプロバイダは、搬送データの全部または一部を有するか、または生成することができる。
【０３１７】
限定を目的としない例として、少なくとも１つのサービスプロバイダは、少なくとも１つの搬送サービスを提供するために、少なくとも１つのＯＥＭまたは少なくとも１つの自動車製造業者のために、またはそれらに代わって、少なくとも１つの自律車両を操作または制御することができる。限定を目的としない例として、少なくとも１つのサービスプロバイダは、少なくとも１つの搬送業界セグメントで活動することができる少なくとも１つのネットワーク上で、少なくとも１つのＯＥＭのために、またはそれに代わって、少なくとも１つの自律車両または少なくとも１つの自律車両の少なくとも１つのフリートを制御または操作することができる。限定を目的としない例として、少なくとも１つのサービスプロバイダは、少なくとも１つの外部サーバを、少なくとも１つの搬送業界セグメントのために、またはそれとともに利用することができる。限定を目的としない例として、少なくとも１つのサービスプロバイダは、少なくとも１つの自律車両を賃貸または転貸することができる。限定を目的としない例として、少なくとも１つのサービスプロバイダは、少なくとも１つの自律車両の少なくとも１つのフリートを賃貸または転貸することができる。限定を目的としない例として、少なくとも１つのサービスプロバイダは、少なくとも１つのサードパーティから少なくとも１つの自律車両または少なくとも１つの自律車両の少なくとも１つのフリートを賃貸または転貸することができる。
【０３１８】
限定を目的としない例として、少なくとも１つのサービスプロバイダは、例えば、少なくとも１つの搬送サービスを提供するために、限定はしないが、少なくとも１つの自律車両の少なくとも１つのフリートを雇用するか、またはこれと契約することができる少なくとも１つのエンティティまたは少なくとも１つの業界であり得る。限定を目的としない例として、少なくとも１つのサービスプロバイダは、少なくとも１つの搬送業界セグメントにおいて、少なくとも１つの自律車両の少なくとも１つのフリートを雇用するか、またはこれと契約することができる。限定を目的としない例として、少なくとも１つのサービスプロバイダは、少なくとも１つの自律車両自動化プラットフォームを使用して、少なくとも１つの自律車両の少なくとも１つのフリートを制御または操作することができる。
【０３１９】
限定を目的としない例として、少なくとも１つのサービスプロバイダは、少なくとも１つの自律車両の少なくとも１つのフリートを所有し、操作し、または制御することができる。限定を目的としない例として、少なくとも１つのサービスプロバイダは、少なくとも１つのネットワーク上で、少なくとも１つの自律車両の少なくとも１つのフリートを所有し、操作し、または制御することができる。限定を目的としない例として、少なくとも１つのサービスプロバイダは、少なくとも１つの他のネットワーク上で、少なくとも１つの自律車両の少なくとも１つのフリートを所有し、操作し、または制御することができる。限定を目的としない例として、少なくとも１つのサービスプロバイダは、少なくとも１つのネットワーク上で、少なくとも１つのサードパーティに代わって、少なくとも１つの自律車両の少なくとも１つのフリートを所有し、操作し、または制御することができる。
【０３２０】
限定を目的としない例として、少なくとも１つのサービスプロバイダは、例えば、少なくとも１つの搬送業界セグメントに関連する、少なくとも１つの自律車両の少なくとも１つのフリートの全部または一部、少なくとも１つの自律車両の少なくとも１つのフリートに関連する搬送データの全部または一部、少なくとも１つの自律車両の少なくとも１つのフリートの少なくとも１つのリアルタイムまたはほぼリアルタイムの地理的位置の全部または一部、少なくとも１つの自律車両の少なくとも１つのフリートに関連する任意のデータまたは情報、またはそれらの組合せの少なくとも１つのソースまたは少なくとも１つのプロバイダのであり得る少なくとも１つの外部サーバを利用することができる。
【０３２１】
限定を目的としない例として、少なくとも１つのサービスプロバイダ等は、少なくとも１つの選択された選好を、少なくとも１つのコンピュータプログラムである、少なくとも１つのオーナアプリケーションまたはコントローラアプリケーションに入力または提供することができ、少なくとも１つの選択された選好は、少なくとも１つの中央サーバ、少なくとも１つの外部サーバ、少なくとも１つのアプリケーション、またはそれらの組合せに送信することができる。限定を目的としない例として、少なくとも１つのサービスプロバイダは、少なくとも１つの自律車両自動化プラットフォーム、少なくとも１つの代理人自動化プラットフォーム、またはそれらの組合せを使用して、少なくとも１つの搬送業界セグメントにおける少なくとも１つの搬送サービスを容易にし、操作、実行等を行うことができる。
【０３２２】
「商品サプライヤ」
少なくとも１つの商品サプライヤは、例えば、限定はしないが、少なくとも１つの搬送サービスで搬送される少なくとも１つの商品、少なくとも１つの物品、少なくとも１つの物、少なくとも１つのアイテム、またはそれらの組合せを提供または供給することができる、少なくとも１つのエンティティまたは少なくとも１つの業界であり得る。少なくとも１つの商品サプライヤは、例えば、限定はしないが、少なくとも１つのサービス、少なくとも１つの配達サービス、またはそれらの組み合わせを提供または供給することができる少なくとも１つのエンティティまたは少なくとも１つの業界であり得る。少なくとも１つの商品サプライヤは、少なくとも１つの自律車両を所有し、操作し、または制御することができる。
【０３２３】
少なくとも１つの商品サプライヤは、例えば、少なくとも１つの搬送サービスを提供するために、限定はしないが、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つのフリートマネージャ、少なくとも１つのロジスティクスプロバイダ、少なくとも１つのロジスティクスサプライヤ、またはそれらの組合せを、雇用するか、またはこれらと契約することができる、少なくとも１つのエンティティまたは少なくとも１つの業界であり得る。少なくとも１つの商品サプライヤは、限定はしないが、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つのフリートマネージャ、少なくとも１つのロジスティクスプロバイダ、少なくとも１つのロジスティクスサプライヤ、少なくとも１つの搬送クライアント、またはこれらの組合せとの間の少なくとも１つの搬送サービスを容易にすることができる。
【０３２４】
少なくとも１つの商品サプライヤは、少なくとも１つの外部サーバを介して、少なくとも１つの搬送業界セグメントに関連する、対応する搬送データを有する少なくとも１つの搬送サービス要求、対応する搬送データを有する少なくとも１つの自律車両、少なくとも１つの自律車両の少なくとも１つのリアルタイムまたはほぼリアルタイムの地理的位置、またはそれらの組合せの、少なくとも１つのソースまたは少なくとも１つのプロバイダとなり得る。少なくとも１つの商品サプライヤは、例えば、少なくとも１つの搬送業界セグメントに関連する、対応する搬送データを有する少なくとも１つの搬送サービス要求、少なくとも１つの自律車両、少なくとも１つの自律車両に関連する搬送データの全部または一部、少なくとも１つの自律車両の少なくとも１つのリアルタイムまたはほぼリアルタイムの地理的位置の全部または一部、少なくとも１つの自律車両に関連する任意のデータまたは情報、またはそれらの組合せの、少なくとも１つのソースまたは少なくとも１つのプロバイダであり得る、少なくとも１つの外部サーバを利用することができる。
【０３２５】
少なくとも１つの商品サプライヤは、少なくとも１つの自律車両を操作、所有、または制御することができる。少なくとも１つの商品サプライヤは、少なくとも１つのサードパーティに代わって、少なくとも１つの自律車両を操作、所有、または制御することができる。少なくとも１つの商品サプライヤは、少なくとも１つのネットワークを操作、所有、または制御して、少なくとも１つの搬送業界セグメントにおける少なくとも１つの搬送サービスを容易にすることができる。少なくとも１つの商品サプライヤは、少なくとも１つのネットワーク上で少なくとも１つの自律車両を操作、所有、または制御することができる。少なくとも１つの商品サプライヤは、少なくとも１つの他のネットワーク上で少なくとも１つの自律車両を操作、所有、または制御することができる。少なくとも１つの商品サプライヤは、少なくとも１つのネットワーク上で、少なくとも１つのサードパーティに代わって、少なくとも１つの自律車両を操作、所有、または制御することができる。
【０３２６】
少なくとも１つの商品サプライヤは、少なくとも１つの代理人自動化プラットフォームを使用して、少なくとも１つの搬送サービスを容易にし、操作し、または管理することができる。少なくとも１つの商品サプライヤは、少なくとも１つの自律車両自動化プラットフォームを使用して、少なくとも１つの搬送サービスを容易にし、操作し、または管理することができる。少なくとも１つの商品サプライヤは、少なくとも１つの自律車両自動化プラットフォームを使用して、少なくとも１つの自律車両を制御または操作することができる。少なくとも１つの商品サプライヤは、少なくとも１つの自律車両自動化プラットフォームを使用して、好ましいと識別することができる少なくとも１つの自律車両、少なくとも１つの自律車両、またはそれらの組合せのために、またはそれらを基準に、少なくとも１つの好ましい搬送サービス要求を確保または取得することができる。
【０３２７】
少なくとも１つの商品サプライヤは、限定はしないが、少なくとも１つの中央サーバ、少なくとも１つの外部サーバ、少なくとも１つのアプリケーション、少なくとも１つのオーナアプリケーションまたはコントローラアプリケーション、またはそれらの組合せを使用して、少なくとも１つの搬送サービスを容易にし、実行することができる。少なくとも１つの商品サプライヤは、少なくとも１つの搬送業界セグメントで活動することができる。少なくとも１つの商品サプライヤは、限定はしないが、少なくとも１つの代理人の少なくとも１つの搬送ネットワーク、少なくとも１つの自律車両、少なくとも１つのサービスプロバイダ、少なくとも１つのフリートマネージャ、少なくとも１つのロジスティクスプロバイダ、少なくとも１つのロジスティクスサプライヤ、少なくとも１つの搬送クライアント、少なくとも１つの自律車両の少なくとも１つのオーナまたは少なくとも１つのコントローラ、またはそれらの組み合わせを、独立して制御または操作することができる。少なくとも１つの商品サプライヤは、任意で、少なくとも１つの自律車両の少なくとも１つのオーナまたは少なくとも１つのコントローラととらえるかまたは呼ぶことができる。少なくとも１つの商品サプライヤは、限定はしないが、少なくとも１つの商品サプライヤ、少なくとも１つのサービスプロバイダ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せに関連する情報技術基盤を利用することができる。
【０３２８】
少なくとも１つの商品サプライヤは、少なくとも１つのサービスプロバイダのために、またはそれとともに、活動することができる。少なくとも１つの商品サプライヤは、少なくとも１つの好ましい搬送サービス要求、好ましいと識別することができる少なくとも１つの自律車両、またはそれらの組合せを受諾するかまたは拒否することができる。少なくとも１つの商品サプライヤは、最高の発展レベルまたは最新技術に更新またはリフレッシュされた少なくとも１つの機能をリアルタイムまたはほぼリアルタイムで実行することができる。少なくとも１つの商品サプライヤは、少なくとも１つの好ましい搬送サービス要求を受諾するかまたは拒否することができる。
【０３２９】
少なくとも１つの商品サプライヤは、限定はしないが、少なくとも１つのサービスプロバイダまたは少なくとも１つの自律車両であり得る、少なくとも１つの指定されたロッカー等を有するかまたは利用することができる少なくとも１つの車両であり得る。少なくとも１つの商品サプライヤは、限定はしないが、少なくとも１つの移動型サービスプロバイダ、少なくとも１つの移動型自律車両、少なくとも１つの移動型店頭、少なくとも１つのラストマイル配達車両、少なくとも１つの移動型ロジスティクスプロバイダ、少なくとも１つの移動型ロジスティクスサプライヤ、またはそれらの組み合わせであり得る、少なくとも１つのコンパートメント等を有するか、またはこれを利用することができる、少なくとも１つの車両であり得る。
【０３３０】
限定を目的としない例として、少なくとも１つの商品サプライヤは、限定はしないが、少なくとも１つの食品配達サービスコントローラ、少なくとも１つの商品配達サービスコントローラ、少なくとも１つの動物配達サービスコントローラ、少なくとも１つの医療サービスおよび医療配達コントローラ、少なくとも１つの宅配便サービスコントローラ、少なくとも１つのアイテム配達サービスコントローラ、少なくとも１つの貨物配達サービスコントローラ、少なくとも１つのピアツーピア搬送サービスコントローラ、少なくとも１つの配達サービスコントローラ、少なくとも１つの輸送サービスコントローラ、またはそれらの組合せであり得る。
【０３３１】
限定を目的としない例として、少なくとも１つの商品サプライヤは、少なくとも１つのサービスプロバイダととらえるか、または呼ぶことができる。限定を目的としない例として、少なくとも１つの商品サプライヤは、少なくとも１つの自律車両、少なくとも１つの自律車両の少なくとも１つのフリート、少なくとも１つの代理人、少なくとも１つのサービスプロバイダ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せととらえるか、または呼ぶことができる。
【０３３２】
限定を目的としない例として、少なくとも１つの商品サプライヤは、少なくとも１つの食品トラックであり得る。限定を目的としない例として、少なくとも１つの商品サプライヤは、貨物を生産または供給する少なくとも１つのエンティティであり得る。限定を目的としない例として、少なくとも１つの商品サプライヤは、少なくとも１つの個々の搬送業界セグメントで活動することができる。限定を目的としない例として、少なくとも１つの商品サプライヤは、少なくとも１つの搬送サービス要求の少なくとも１つのソースまたは少なくとも１つのプロバイダであり得る。限定を目的としない例として、少なくとも１つの商品サプライヤは、少なくとも１つの食品に関連する少なくとも１つの搬送サービスを提供または実行することができる。
【０３３３】
限定を目的としない例として、少なくとも１つの商品サプライヤは、少なくとも１つの個々のサービスプロバイダのために、またはそれに代わって活動することができる。限定を目的としない例として、少なくとも１つの商品サプライヤは、対応する搬送データが関連付けられた少なくとも１つの搬送サービス要求の全部または一部、少なくとも１つの自律車両に関連する搬送データの全部または一部、少なくとも１つの自律車両の全部または一部、少なくとも１つの自律車両の少なくとも１つのリアルタイムまたはほぼリアルタイムの地理的位置の全部または一部、少なくとも１つの自律車両の少なくとも１つのフリートに関連する搬送データの全部または一部、少なくとも１つの自律車両の少なくとも１つのフリートの全部または一部、少なくとも１つの自律車両の少なくとも１つのフリートのリアルタイムまたはほぼリアルタイムの地理的位置の全部または一部、またはそれらの組み合わせの、少なくとも１つのソースまたは１つのプロバイダであり得る。限定を目的としない例として、少なくとも１つの商品サプライヤは、搬送データの全部または一部を有するか、または生成することができる。
【０３３４】
限定を目的としない例として、少なくとも１つの商品サプライヤは、対応する搬送データを有する少なくとも１つの搬送サービス要求の全部または一部、対応する搬送データを有する少なくとも１つの自律車両の全部または一部、少なくとも１つの自律車両の少なくとも１つのリアルタイムまたはほぼリアルタイムの地理的位置の全部または一部、少なくとも１つの自律車両の少なくとも１つのフリートに関連する搬送データの全部または一部、少なくとも１つの自律車両の少なくとも１つのフリートの少なくとも１つのリアルタイムまたはほぼリアルタイムの地理的位置の全部または一部、またはそれらの組合せを提供することができる少なくとも１つのＡＰＩを有するか、または利用することができる。
【０３３５】
限定を目的としない例として、少なくとも１つの商品サプライヤは、少なくとも１つの搬送サービスを提供するために、少なくとも１つのＯＥＭまたは少なくとも１つの自動車製造業者のために、またはそれに代わって、少なくとも１つの自律車両を操作または制御することができる。限定を目的としない例として、少なくとも１つの商品サプライヤは、少なくとも１つの搬送業界セグメントで活動することができる少なくとも１つのネットワーク上で、少なくとも１つのＯＥＭのために、またはそれに代わって、少なくとも１つの自律車両または少なくとも１つの自律車両の少なくとも１つのフリートを制御または操作することができる。限定を目的としない例として、少なくとも１つの商品サプライヤは、少なくとも１つの搬送業界セグメントのために少なくとも１つの外部サーバを利用することができる。限定を目的としない例として、少なくとも１つの商品サプライヤは、少なくとも１つの自律車両を賃貸または転貸することができる。限定を目的としない例として、少なくとも１つの商品サプライヤは、少なくとも１つの自律車両の少なくとも１つのフリートを賃貸または転貸することができる。限定を目的としない例として、少なくとも１つの商品サプライヤは、少なくとも１つのサードパーティから、少なくとも１つの自律車両または少なくとも１つの自律車両の少なくとも１つのフリートを賃貸または転貸することができる。
【０３３６】
限定を目的としない例として、少なくとも１つの商品サプライヤは、例えば、少なくとも１つの搬送サービスを提供するために、限定はしないが、少なくとも１つの自律車両の少なくとも１つのフリートを雇用するか、またはこれと契約することができる、少なくとも１つのエンティティまたは少なくとも１つの業界であり得る。限定を目的としない例として、少なくとも１つの商品サプライヤは、少なくとも１つの搬送業界セグメントにおいて少なくとも１つの自律車両の少なくとも１つのフリートを雇用するか、またはこれと契約することができる。限定を目的としない例として、少なくとも１つの商品サプライヤは、少なくとも１つの自律車両自動化プラットフォームを使用して、少なくとも１つの自律車両の少なくとも１つのフリートを制御または操作することができる。
【０３３７】
限定を目的としない例として、少なくとも１つの商品サプライヤは、少なくとも１つの自律車両の少なくとも１つのフリートを所有し、操作し、または制御することができる。限定を目的としない例として、少なくとも１つの商品サプライヤは、少なくとも１つのネットワーク上で、少なくとも１つの自律車両の少なくとも１つのフリートを所有し、操作し、または制御することができる。限定を目的としない例として、少なくとも１つの商品サプライヤは、少なくとも１つの他のネットワーク上で、少なくとも１つの自律車両の少なくとも１つのフリートを所有し、操作し、または制御することができる。限定を目的としない例として、少なくとも１つの商品サプライヤは、少なくとも１つのネットワーク上で、少なくとも１つのサードパーティに代わって、少なくとも１つの自律車両の少なくとも１つのフリートを所有し、操作し、または制御することができる。
【０３３８】
限定を目的としない例として、少なくとも１つの商品サプライヤは、例えば、少なくとも１つの搬送業界セグメントに関連する、少なくとも１つの自律車両の少なくとも１つのフリートの全部または一部、少なくとも１つの自律車両の少なくとも１つのフリートに関連する搬送データの全部または一部、少なくとも１つの自律車両の少なくとも１つのフリートの少なくとも１つのリアルタイムまたはほぼリアルタイムの地理的位置のうちの全部または一部、少なくとも１つの自律車両の少なくとも１つのフリートに関連する任意のデータまたは情報、またはそれらの組合せの、少なくとも１つのソースまたは少なくとも１つのプロバイダであり得る、少なくとも１つの外部サーバを利用することができる。
【０３３９】
限定を目的としない例として、少なくとも１つの商品サプライヤ等は、少なくとも１つのウェブサイトである少なくとも１つのオーナアプリケーションまたはコントローラアプリケーションに、少なくとも１つの選択された選好を入力または提供することができ、少なくとも１つの選択された選好は、少なくとも１つの中央サーバ、少なくとも１つの外部サーバ、少なくとも１つのアプリケーション、またはそれらの組合せに送信することができる。限定を目的としない例として、少なくとも１つの商品サプライヤは、少なくとも１つの自律車両自動化プラットフォーム、少なくとも１つの代理人自動化プラットフォーム、またはそれらの組み合わせを使用して、少なくとも１つの搬送業界セグメントにおける少なくとも１つの搬送サービスを容易にし、操作、実行等を行うことができる。
【０３４０】
「代理人」
少なくとも１つの代理人は、限定はしないが、例えば、少なくとも１つの好ましい搬送サービス要求、少なくとも１つのフィルタリングされた搬送サービス要求、少なくとも１つの搬送サービス要求、またはそれらの組合せを確保または取得することができる、少なくとも１人の人、少なくとも１つのエンティティ、少なくとも１つのロボット、少なくとも１つの機械等であり得る。少なくとも１人の代理人は、限定はしないが、少なくとも１人の人、少なくとも１つの商品、少なくとも１つの物品、少なくとも１つの物、少なくとも１つのアイテム、少なくとも１つの搬送クライアント、またはそれらの組合せの、少なくとも１つの搬送サービスを提供または実行することができる。少なくとも１つの代理人は、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せに雇用されるか、またはそれらと契約することができる。少なくとも１つの代理人は、例えば、少なくとも１つのサービス、少なくとも１つの配達サービス、またはそれらの組み合わせを提供または実行することができる、少なくとも１つのエンティティまたは少なくとも１人の人であり得る。少なくとも１つの代理人は、少なくとも１つの自律車両を所有し、操作し、または制御することができる。
【０３４１】
少なくとも１つの代理人は、限定はしないが、少なくとも１つのサービスプロバイダネットワーク、少なくとも１つの自律車両ネットワークの少なくとも１つのオーナまたは少なくとも１つのコントローラ、少なくとも１つのフリートマネージャネットワーク、少なくとも１つのロジスティクスプロバイダネットワーク、少なくとも１つのロジスティクスサプライヤネットワーク、少なくとも１つのアプリケーション、少なくとも１つの中央サーバ、少なくとも１つの外部サーバ、またはそれらの組合せに、いつでもサインオンおよび／またはサインオフすることができる。少なくとも１つの代理人は、限定はしないが、少なくとも１つのサービスプロバイダネットワーク、少なくとも１つの自律車両ネットワークの少なくとも１つのオーナまたは少なくとも１つのコントローラ、少なくとも１つのフリートマネージャネットワーク、少なくとも１つのロジスティクスプロバイダネットワーク、少なくとも１つのロジスティクスサプライヤネットワーク、少なくとも１つの中央サーバ、少なくとも１つのアプリケーション、少なくとも１つの外部サーバ、またはそれらの組合せにサインインすることができる。例えば、少なくとも１つのサービス開始地理的位置、少なくとも１つのサービス終了地理的位置、価格情報、またはそれらの組合せが分かった時点で、少なくとも１つの代理人に関連する少なくとも１つの搬送サービス提供を生成することができる。
【０３４２】
少なくとも１つの代理人は、少なくとも１つの搬送サービス要求をフィルタリングするために使用される少なくとも１つの代理人選好を入力または提供することができる。少なくとも１つの代理人は、限定はしないが、少なくとも１つの好ましい搬送サービス要求、少なくとも１つのフィルタリングされた搬送サービス要求、またはそれらの組合せを識別するために使用される少なくとも１つの代理人選好を入力または提供することができる。
【０３４３】
少なくとも１つの代理人は、少なくとも１つの搬送サービスを、容易にし、実行するために、少なくとも１つのアプリケーションを使用して、限定はしないが、少なくとも１つの端末、少なくとも１つの中央サーバ、少なくとも１つの外部サーバ、少なくとも１つのアプリケーション、またはそれらの組合せを介して、少なくとも１つのサービスプロバイダネットワーク、少なくとも１つの商品サプライヤネットワーク、少なくとも１つの自律車両ネットワークの少なくとも１つのオーナまたは少なくとも１つのコントローラ、少なくとも１つのフリートマネージャネットワーク、少なくとも１つのロジスティクスプロバイダネットワーク、少なくとも１つのロジスティクスサプライヤネットワーク、またはそれらの組合せにアクセスすることができる。少なくとも１つの代理人は、少なくとも１つの搬送業界セグメントにおいて少なくとも１つの搬送サービスを提供することができる。少なくとも１つの代理人は、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せのために、少なくとも１つの搬送サービスを提供することができる。少なくとも１人の代理人は、限定はしないが、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せに関連する情報技術基盤を使用することができる。少なくとも１つの代理人は、最高の発展レベルまたは最新技術に更新またはリフレッシュされた少なくとも１つの機能をリアルタイムまたはほぼリアルタイムで実行することができる。
【０３４４】
少なくとも１つの代理人自動化プラットフォームは、少なくとも１つの代理人のために、少なくとも１つの好ましい搬送サービス要求を確保または取得することができる。少なくとも１つの代理人は、少なくとも１つの代理人自動化プラットフォームを利用して、少なくとも１つの好ましい搬送サービス要求以外の少なくとも１つの提案または推奨された搬送サービス要求を確保または取得することができる。少なくとも１つの代理人は、少なくとも１つの代理人自動化プラットフォームを使用しているとき、少なくとも１つの好ましい搬送サービス要求を受諾するかまたは拒否することができる。限定を目的としない例として、少なくとも１つの代理人は、少なくとも１つの好ましい搬送サービス要求以外の少なくとも１つのフィルタリングされた搬送サービス要求を確保または取得することができる。限定を目的としない例として、少なくとも１つの代理人は、少なくとも１つのアプリケーション、少なくとも１つの中央サーバ、少なくとも１つの外部サーバ、またはそれらの組合せを使用して、少なくとも１つの好ましい搬送サービス要求を受諾するかまたは拒否することができる。
【０３４５】
限定を目的としない例として、少なくとも１つの代理人は、少なくとも１つの自律車両を利用しているとき、少なくとも１つのサービスプロバイダととらえるか、または呼ぶことができる。限定を目的としない例として、少なくとも１つの代理人は、少なくとも１つの自律車両、少なくとも１つの自律車両の少なくとも１つのフリート、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せととらえるか、または呼ぶことができる。限定を目的としない例として、少なくとも１つの代理人は、限定はしないが、少なくとも１つの動的マップ、少なくとも１つのヒートマップ、またはそれらの組合せ等の、少なくとも１つの視覚的表現を使用して、少なくとも１つの搬送クライアントまたは少なくとも１つの好ましい搬送サービス要求が地理的にどこに位置しているかを分析または評価することができる。限定を目的としない例として、少なくとも１人の代理人は、少なくとも１つの自律車両を使用して、少なくとも１つの搬送サービスを実行することができる。
【０３４６】
限定を目的としない例として、少なくとも１つの代理人は、少なくとも１つの独立したサードパーティであり得る。限定を目的としない例として、少なくとも１つの代理人は、少なくとも１つの独立した契約者であり得る。限定を目的としない例として、ライドヘイル／ライドシェア業界セグメントでは、少なくとも１つの代理人は、少なくとも１つのドライバであり得る。限定を目的としない例として、食品配達業界セグメントでは、少なくとも１人の代理人は、少なくとも１つの食品をピックアップし、少なくとも１つの食品を降ろして少なくとも１つの搬送クライアントに渡す少なくとも１人のドライバであり得る。限定を目的としない例として、宅配便業界セグメントでは、少なくとも１人の代理人は、少なくとも１つの商品、少なくとも１つの物、少なくとも１つの物品、またはそれらの組み合わせのピックアップ作業および降ろす作業を行う少なくとも１人の人であり得る。限定を目的としない例として、少なくとも１つの代理人は、少なくとも１つの個々の搬送業界セグメントにおいて少なくとも１つの搬送サービスを提供することができる。限定を目的としない例として、少なくとも１つの代理人は、少なくとも１つの個々のサービスプロバイダのために少なくとも１つの搬送サービスを提供することができる。
【０３４７】
限定を目的としない例として、少なくとも１つの代理人は、少なくとも１つの搬送サービスを実行するために、少なくとも１つの自律車両または少なくとも１つの自律車両の少なくとも１つのフリートで管理または操作することができる。限定を目的としない例として、少なくとも１つのサービスプロバイダ、少なくとも１つの商品サプライヤ、少なくとも１つのロジスティクスプロバイダ、少なくとも１つのロジスティクスサプライヤ等は、少なくとも１つの自律車両自動化プラットフォームを利用して、少なくとも１つの代理人および少なくとも１つの自律車両を少なくとも１つの効率的な方法で管理または操作することができる。限定を目的としない例として、少なくとも１つのサービスプロバイダ、少なくとも１つのフリートマネージャ、少なくとも１つのロジスティクスプロバイダ、少なくとも１つのロジスティクスサプライヤ等は、少なくとも１つの自律車両自動化プラットフォームを利用して、少なくとも１つの代理人自動化プラットフォームを利用した少なくとも１つの代理人の管理または操作と併せて、少なくとも１つの自律車両フリートを管理または操作することができる。限定を目的としない例として、少なくとも１つのサービスプロバイダ、少なくとも１つのフリートマネージャ、少なくとも１つのロジスティクスプロバイダ、少なくとも１つのロジスティクスサプライヤ等は、少なくとも１つの代理人および少なくとも１つの自律車両を使用して、少なくとも１つの搬送業界セグメントにおいて少なくとも１つの搬送サービスを実行することができる。限定を目的としない例として、少なくとも１つの代理人は、搬送データの全部または一部を有するか、または生成することができる。
【０３４８】
限定を目的としない例として、少なくとも１人の代理人は、少なくとも１つの搬送サービスの全部または一部を実行することができる。限定を目的としない例として、少なくとも１つの代理人は、少なくとも１つの自律車両と連携して、少なくとも１つの搬送サービスの全部または一部を実行することができる。限定を目的としない例として、少なくとも１つの代理人は、少なくとも１つの搬送サービスの一部を実行することができ、少なくとも１つの自律車両は、少なくとも１つの搬送サービスの少なくとも１つの他の部分を実行することができる。限定を目的としない例として、少なくとも１つの代理人は、少なくとも１つのウェイポイントにいる間に少なくとも１つの搬送サービスの一部を実行することができ、少なくとも１つの自律車両は、少なくとも１つの搬送サービスの少なくとも１つの他の部分を実行することができる。
【０３４９】
限定を目的としない例として、少なくとも１人の代理人は、配達すべき食品をピックアップして少なくとも１つの自律車両に食品を入れることができる。限定を目的としない例として、少なくとも１人の代理人は、配達すべき食品を注文して少なくとも１つの自律車両に食品を入れることができる。限定を目的としない例として、少なくとも１人の代理人は、配達すべき食品を少なくとも１つの無人機といった少なくとも１つの自律車両に入れることができる。限定を目的としない例として、少なくとも１人の代理人は、配達すべき食品を少なくとも１つの自律地上車両といった少なくとも１つの自律車両に入れることができる。
【０３５０】
限定を目的としない例として、少なくとも１つの代理人は、少なくとも１つの代理人自動化プラットフォーム、少なくとも１つの自律車両自動化プラットフォーム、またはそれらの組み合わせを使用して、少なくとも１つの搬送業界セグメントにおける少なくとも１つの搬送サービスを容易にし、操作、実行等を行うことができる。
【０３５１】
「自律車両」
少なくとも１つの自律車両は、限定はしないが、例えば少なくとも１つの搬送サービスを提供または実行することができる、少なくとも１つの機械、少なくとも１つのロボット、少なくとも１つの自動車等であり得る。少なくとも１つの自律車両は、例えば、少なくとも１つのサービス、少なくとも１つの配達サービス、またはそれらの組合せを提供または実行することができる少なくとも１つのエンティティまたは少なくとも１つの業界ととらえることができる。少なくとも１つの自律車両は、例えば、限定はしないが、少なくとも１人の人、少なくとも１つの商品、少なくとも１つの物、少なくとも１つの物品、少なくとも１つのアイテム、少なくとも１つの搬送クライアント、またはそれらの組合せの、少なくとも１つの地理的位置から少なくとも１つの他の地理的位置への搬送または輸送に用いることができる、少なくとも１つの自律機械、少なくとも１つの自走機械、少なくとも１つの自動運転機械等であり得る。
【０３５２】
少なくとも１つの自律車両が検討された場合、フィルタリングすることができる少なくとも１つの自律車両、好ましいと識別することができる少なくとも１つの自律車両、またはそれらの組み合わせも検討することができる。少なくとも１つの自律車両の少なくとも１つのリアルタイムまたはほぼリアルタイムの地理的位置の全部または一部が検討された場合、フィルタリングすることができる少なくとも１つの自律車両の少なくとも１つのリアルタイムまたはほぼリアルタイムの地理的位置の全部または一部、好ましいと識別することができる少なくとも１つの自律車両の少なくとも１つのリアルタイムまたはほぼリアルタイムの地理的位置の全部または一部、またはそれらの組合せも検討することができる。
【０３５３】
少なくとも１つの自律車両は、少なくとも１つの中央サーバ、少なくとも１つの外部サーバ、少なくとも１つのオーナアプリケーションまたはコントローラアプリケーション、少なくとも１つのアプリケーション、またはそれらの組合せの間の少なくとも１つのリンクを使用して、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、少なくとも１つの代理人、またはそれらの組合せと通信することができる。
【０３５４】
少なくとも１つの自律車両は、限定はしないが、少なくとも１つのサービスプロバイダネットワーク、少なくとも１つの自律車両ネットワークの少なくとも１つのオーナまたは少なくとも１つのコントローラ、少なくとも１つの商品サプライヤネットワーク、少なくとも１つのフリートマネージャネットワーク、少なくとも１つのロジスティクスプロバイダネットワーク、少なくとも１つのロジスティクスサプライヤネットワーク、少なくとも１つの中央サーバ、少なくとも１つのアプリケーション、少なくとも１つの外部サーバ、少なくとも１つのオーナアプリケーションまたはコントローラアプリケーション、またはそれらの組合せにサインインすることができる。少なくとも１つのサービス開始地理的位置、少なくとも１つのサービス終了地理的位置、価格情報、またはそれらの組合せが分かった時点で、少なくとも１つの自律車両に関連する少なくとも１つの搬送サービス提供を生成することができる。少なくとも１つの自律車両は、少なくとも１つの搬送クライアントまたは少なくとも１つのエンティティのために少なくとも１つの搬送サービスを提供または実行することができる。
【０３５５】
少なくとも１つの自律車両は、部分的に自律型、半自律型等であり得る。少なくとも１つの自律車両は、完全な人間のドライバによる制御から完全な自律までの範囲の、自動運転システムのために米国運輸省道路交通安全局（Ｎａｔｉｏｎａｌ  Ｈｉｇｈｗａｙ  Ｔｒａｆｆｉｃ  Ｓａｆｅｔｙ  Ａｄｍｉｎｉｓｔｒａｔｉｏｎ）によって採用されたＳｏｃｉｅｔｙ  ｏｆ  Ａｕｔｏｍｏｔｉｖｅ  Ｅｎｇｉｎｅｅｒｓ（ＳＡＥ）によるレベル分けに関連する異なるレベルの自律性を有する、またはそれによって特性を示すことができる。少なくとも１つの自律車両は、ハードウェアおよび／またはソフトウェアを単独で、または組み合わせで含むことができる。少なくとも１つの自律車両は、少なくとも１つの端末、少なくとも１つのアプリケーション、少なくとも１つのリンク、またはそれらの組合せを利用することができる。少なくとも１つの自律車両は、少なくとも１つの端末、少なくとも１つのアプリケーション、少なくとも１つのリンク、少なくとも１つの中央サーバ、少なくとも１つの外部サーバ、少なくとも１つのオーナアプリケーションまたはコントローラアプリケーション、またはそれらの組合せを利用することができ、またはそれらと関連付けることができる。少なくとも１つの自律車両は、最高の発展レベルまたは最新技術に更新またはリフレッシュされた少なくとも１つの機能をリアルタイムまたはほぼリアルタイムで実行することができる。
【０３５６】
少なくとも１つの自律車両は、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等に関連する少なくとも１つの中央サーバ、少なくとも１つの外部サーバ、少なくとも１つの端末、少なくとも１つのアプリケーション、少なくとも１つのオーナアプリケーションまたはコントローラアプリケーション、またはそれらの組み合わせに、またはそれらとの間で、対応する搬送データが関連付けられた少なくとも１つの搬送サービス要求、対応する搬送データが関連付けられた少なくとも１つのフィルタリングされた搬送サービス要求、対応する搬送データが関連付けられた少なくとも１つの好ましい搬送サービス要求、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、少なくとも１つの自律車両の少なくとも１つのリアルタイムまたはほぼリアルタイムの地理的位置の全部または一部、少なくとも１つの選択された選好、またはそれらの組み合わせを通信することができる。
【０３５７】
少なくとも１つの自律車両は、少なくとも１つの搬送業界セグメントにおいて少なくとも１つの搬送サービスを提供または実行することができる。少なくとも１つの自律車両は、少なくとも１つの搬送業界セグメントで活動する、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せに関連する少なくとも１つの搬送サービスを提供または実行することができる。
【０３５８】
少なくとも１つの自律車両は、少なくとも１つの搬送業界セグメントで活動する、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、少なくとも１つのサードパーティ等によって制御または操作することができる。少なくとも１つの自律車両は、限定はしないが、少なくとも１つの中央サーバ、少なくとも１つの外部サーバ、少なくとも１つのアプリケーション、少なくとも１つのオーナアプリケーションまたはコントローラアプリケーション、またはそれらの組み合わせを利用する、少なくとも１つのサービスプロバイダ、少なくとも１つの自律車両の少なくとも１つのオーナまたは少なくとも１つのコントローラ、少なくとも１つの商品サプライヤ、少なくとも１つのロジスティクスプロバイダ、少なくとも１つのロジスティクスサプライヤ、少なくとも１つのフリートマネージャ等から、少なくとも１つのリンクを介してまたは用いて、遠隔からアクセスし、利用し、制御しまたは操作することができる。少なくとも１つのアプリケーションまたは少なくとも１つのオーナアプリケーションまたはコントローラアプリケーションは、少なくとも１つの自律車両に関連付けることができる少なくとも１つの端末上で動作するか、またはこの端末を制御することができ、少なくとも１つの自律車両機能とインターフェースをとることができる。少なくとも１つの選択された選好は、限定はしないが、少なくとも１つの好ましい搬送サービス要求、少なくとも１つのフィルタリングされた搬送サービス要求、またはそれらの組み合わせを、少なくとも１つの自律車両または好ましいと識別できる少なくとも１つの自律車両のために、またはそれらを基準に、確保または取得するために使用することができる。
【０３５９】
少なくとも１つの自律車両は、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、またはそれらの組合せによって供給または提供され得る。少なくとも１つの自律車両に関連する搬送データの全部または一部は、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、またはそれらの組合せに関連付けることができる少なくとも１つの外部サーバによって供給または提供することができる。
【０３６０】
少なくとも１つの自律車両は、少なくとも１つの自律車両に関連する搬送データの全部または一部を有するか、または生成することができる。少なくとも１つの自律車両は、少なくとも１つの自律車両に関連する搬送データの全部または一部を有することができるか、またはそれに関連付けることができる。フィルタリングすることができる少なくとも１つの自律車両は、少なくとも１つの自律車両に関連するフィルタリングされた搬送データの全部または一部を有することができるか、またはそれに関連付けることができる。好ましいと識別することができる少なくとも１つの自律車両は、少なくとも１つの自律車両に関連する好ましい搬送データの全部または一部を有することができるか、またはそれに関連付けることができる。
【０３６１】
少なくとも１つの自律車両自動化プラットフォームは、少なくとも１つの自律車両、フィルタリングすることができる少なくとも１つの自律車両、好ましいと識別することができる少なくとも１つの自律車両、またはそれらの組合せのために、またはそれらを基準に、少なくとも１つの好ましい搬送サービス要求を確保または取得することができる。少なくとも１つの自律車両自動化プラットフォームは、少なくとも１つの自律車両、フィルタリングすることができる少なくとも１つの自律車両、好ましいと識別することができる少なくとも１つの自律車両、またはそれらの組合せを、少なくとも１つの好ましい搬送サービス要求のために、またはそれを基準に、確保または取得することができる。少なくとも１つの自律車両は、少なくとも１つの自律車両自動化プラットフォームを利用して、少なくとも１つの好ましい搬送サービス要求以外の少なくとも１つの提案または推奨された搬送サービス要求を確保または取得することができる。少なくとも１つの自律車両を、少なくとも１つの自律車両自動化プラットフォームとともに利用して、好ましいと識別することができる少なくとも１つの自律車両以外の少なくとも１つの提案されたまたは推奨された自律車両を確保または取得することができる。少なくとも１つの自律車両は、少なくとも１つの自律車両自動化プラットフォームによって、またはそれとともに、利用され、操作され、または制御されるときに、ジオフェンスによって移動エリアが制限され得る。
【０３６２】
少なくとも１つの自律車両は、機械学習技術等を用いて、少なくとも１つの好ましい搬送サービス要求を分析または評価し、次いで確保または取得することができ、または少なくとも１つの好ましい搬送サービス要求以外の少なくとも１つの異なる搬送サービス要求を提案または推奨することができる。少なくとも１つの自律車両は、機械学習技術等を利用して、好ましいと識別できる少なくとも１つの自律車両を分析または評価し、次いで確保または取得することができ、または好ましいと識別できる少なくとも１つの自律車両以外の少なくとも１つの異なる自律車両を提案または推奨できる。少なくとも１つの自律車両は、機械学習技術等を利用して、少なくとも１つの搬送サービスを容易にすることができる。少なくとも１つの自律車両は、機械学習技術等を利用して、少なくとも１つの他の自律車両と通信することができる。
【０３６３】
少なくとも１つの自律車両は、限定はしないが、少なくとも１つの指定されたロッカー等を有するかまたは利用することができる少なくとも１つの車両であり得る。少なくとも１つの自律車両は、限定はしないが、少なくとも１つのサービスプロバイダまたは少なくとも１つの商品サプライヤであり得る、少なくとも１つの指定されたロッカー等を有するか、または利用することができる少なくとも１つの車両であり得る。少なくとも１つの自律車両は、限定はしないが、少なくとも１つの移動型サービスプロバイダ、少なくとも１つの移動型商品サプライヤ、少なくとも１つの移動型店頭、少なくとも１つのラストマイル配達車両、少なくとも１つの移動型ロジスティクスプロバイダ、少なくとも１つの移動型ロジスティクスサプライヤ、またはそれらの組合せであり得る、少なくとも１つのコンパートメント等を有するまたは利用することができる少なくとも１つの車両であり得る。
【０３６４】
少なくとも１つの自律車両は、情報またはデータの全部または一部を、少なくとも１つの中央サーバ、少なくとも１つの外部サーバ、少なくとも１つのアプリケーション、少なくとも１つのオーナアプリケーションまたはコントローラアプリケーション、少なくとも１つの自律車両、またはそれらの組合せと通信することができる。
【０３６５】
限定を目的としない例として、少なくとも１つの自律車両は、限定はしないが、少なくとも１つの車両、少なくとも１つの自動車、少なくとも１つのバン、少なくとも１つの配達バン、少なくとも１つの配達車輌、少なくとも１つのラストマイル配達車輌、少なくとも１つのロッカーを有するかまたは利用することができる少なくとも１つの車両、少なくとも１つの貯蔵ユニットを有するかまたは利用することができる少なくとも１つの車両、少なくとも１つのコンパートメント、少なくとも１つのＲＶ、少なくとも１つのトラック、少なくとも１つの配達トラック、少なくとも１つのセミトレーラトラック、少なくとも１つのシャトル、少なくとも１つのヘリコプター、少なくとも１つのボート、少なくとも１つの船舶、少なくとも１つの航空機、少なくとも１つの宇宙船、少なくとも１つのバス、少なくとも１つの列車、少なくとも１つのワゴン、少なくとも１つの人力車、少なくとも１つのスクータ、少なくとも１つのバイク、少なくとも１つのモペット、少なくとも１つの三輪車、少なくとも１つの全地形車両、少なくとも１つの１８輪トラック、少なくとも１つの輸送機械、少なくとも１つの無人機、少なくとも１つの医療車両、またはそれらの組み合わせを有するかまたは利用することができる少なくとも１つの車両であり得る。
【０３６６】
限定を目的としない例として、少なくとも１つの自律車両は、少なくとも１人の人間のドライバの助けを借りずに少なくとも１つの搬送サービスを実行することができる、少なくとも１つの機械、少なくとも１つのロボット、少なくとも１つの車両等であり得る。限定を目的としない例として、少なくとも１つの自律車両は、少なくとも１つの好ましい搬送サービス要求以外の少なくとも１つのフィルタリングされた搬送サービス要求を確保または取得することができる。限定を目的としない例として、少なくとも１つの自律車両、少なくとも１つの自律車両の少なくとも１つのオーナまたは少なくとも１つのコントローラ、またはそれらの組み合わせは、好ましいと識別することができる少なくとも１つの自律車両以外のフィルタリングすることができる少なくとも１つの自律車両を確保または取得することができる。限定を目的としない例として、少なくとも１つの自律車両は、少なくとも１つのサービスプロバイダ、少なくとも１つのエンティティ、少なくとも１つの業界、少なくとも１つの個々の、少なくとも１つの自律車両の少なくとも１つのオーナまたは少なくとも１つのコントローラ、少なくとも１つの商品サプライヤ、少なくとも１つのフリートマネージャ、少なくとも１つのサードパーティ、少なくとも１つのロジスティクスプロバイダ、少なくとも１つのロジスティクスサプライヤ、またはそれらの組合せによって所有または制御することができる。
【０３６７】
限定を目的としない例として、少なくとも１つの自律車両に関連付けられた少なくとも１つの端末は、少なくとも１つの車載インフォテインメント、少なくとも１つのインターフェース、少なくとも１つのタッチスクリーン、少なくとも１つのキーパッド、少なくとも１つのヘッドアップディスプレイ、少なくとも１つの音声認識、少なくとも１つの音声制御、またはそれらの組合せを介して、少なくとも１つのアプリケーションまたは少なくとも１つのオーナアプリケーションまたはコントローラアプリケーションによってアクセスされ、利用され、制御され、または操作され得る。限定を目的としない例として、少なくとも１つの自律車両に関連付けられた少なくとも１つの端末は、限定はしないが、少なくとも１つのタッチスクリーン、少なくとも１つのキーパッド、少なくとも１つの音声認識、少なくとも１つの音声制御、少なくとも１つのヘッドアップディスプレイ、少なくとも１つの車載インフォテインメント等といった少なくとも１つの入力源を有することができる。
【０３６８】
限定を目的としない例として、少なくとも１つの端末は、例えば、少なくとも１つのアプリケーション、少なくとも１つのオーナアプリケーションまたはコントローラアプリケーション、少なくとも１つの中央サーバ、少なくとも１つの外部サーバ、少なくとも１つの端末、少なくとも１つのリンク、またはそれらの組合せを結合または統合するために利用することができる少なくとも１つの自律車両であり得る。限定を目的としない例として、少なくとも１つのアプリケーション、少なくとも１つのオーナアプリケーションまたはコントローラアプリケーション、少なくとも１つの自律車両、少なくとも１つの端末、少なくとも１つの中央サーバ、少なくとも１つの外部サーバ、少なくとも１つのリンク、またはそれらの組合せを結合または統合することができる。
【０３６９】
限定を目的としない例として、少なくとも１つの自律車両は、少なくとも１つの代理人、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのサードパーティ、少なくとも１つのロジスティクスプロバイダ、少なくとも１つのロジスティクスサプライヤ、またはそれらの組合せととらえるか、または呼ぶことができる。限定を目的としない例として、少なくとも１つの自律車両は、少なくとも１つのアプリケーション、少なくとも１つの中央サーバ、少なくとも１つの外部サーバ、少なくとも１つのオーナアプリケーションまたはコントローラアプリケーション、またはそれらの組合せを使用して、少なくとも１つの好ましい搬送サービス要求を受諾するかまたは拒否することができる。
【０３７０】
限定を目的としない例として、少なくとも１つの自律車両を使用して、少なくとも１つの地理的位置から少なくとも１つの他の地理的位置に貨物を運ぶことができる。限定を目的としない例として、少なくとも１つの自律車両は、少なくとも１つの自律車両の少なくとも１つのオーナまたは少なくとも１つのコントローラが仕事をしている間に、少なくとも１つの搬送サービスを実行することができる。限定を目的としない例として、少なくとも１つの自律車両を、少なくとも１つの医療サービスおよび医療配達のために使用することができる。限定を目的としない例として、少なくとも１つの自律車両は、少なくとも１つの個々の搬送業界セグメントにおいて少なくとも１つの搬送サービスを提供することができる。限定を目的としない例として、少なくとも１つの自律車両は、少なくとも１つの個々のサービスプロバイダに関連する少なくとも１つの搬送サービスを提供することができる。限定を目的としない例として、少なくとも１つの自律車両は、少なくとも１つのトゥクトゥク、少なくとも１つのリモルク（ｒｅｍｏｒｑｕｅ）、少なくとも１つの人力車等であり得る。限定を目的としない例として、少なくとも１つの自律車両は、Ｓｏｃｉｅｔｙ  ｏｆ  Ａｕｔｏｍｏｔｉｖｅ  Ｅｎｇｉｎｅｅｒｓ（ＳＡＥ）によるレベル分けに従って、レベル０、レベル１、レベル２、レベル３、レベル４、およびレベル５の自律性レベルで特性を示すことができる。
【０３７１】
限定を目的としない例として、少なくとも１つの自律車両は、限定はしないが、少なくとも１つの配達アイテムまたは少なくとも１つの配達商品を輸送または搬送することができる、少なくとも１つの配達バン、少なくとも１つの配達車両、少なくとも１つのロッカーを有するかまたは利用することができる少なくとも１つのバン、少なくとも１つの貯蔵ユニットを有するかまたは利用することができる少なくとも１つのバン、少なくとも１つのコンパートメントを有するかまたは利用することができる少なくとも１つのバン、またはそれらの組合せであり得る。限定を目的としない例として、少なくとも１つの自律車両は、限定はしないが、少なくとも１つの商品を輸送または搬送することができるか、または少なくとも１つのサービスを実行または提供することができ、少なくとも１つの歩道、少なくとも１つの自転車レーン等で動作することができる、少なくとも１つの配達車両等であり得る。
【０３７２】
限定を目的としない例として、少なくとも１つの自律車両がリアルタイムまたはほぼリアルタイムで更新される場合、少なくとも１つの自律車両の少なくとも１つの物理的なリアルタイムまたはほぼリアルタイムの地理的位置をリアルタイムまたはほぼリアルタイムで更新することができる。限定を目的としない例として、少なくとも１つの自律車両がリアルタイムまたはほぼリアルタイムで更新される場合、少なくとも１つの自律車両の少なくとも１つの物理的なリアルタイムまたはほぼリアルタイムの地理的位置だけでなく、少なくとも１つのデジタル表現をリアルタイムまたはほぼリアルタイムで更新することができる。限定を目的としない例として、少なくとも１つの物理的な自律車両だけでなく、少なくとも１つの視覚的表現、少なくとも１つのインフォテインメント、少なくとも１つのアプリケーション、少なくとも１つの中央サーバ、少なくとも１つのオーナまたはコントローラアプリケーション、またはそれらの組合せ上における少なくとも１つのデジタル表現も、リアルタイムまたはほぼリアルタイムで更新することができる。
【０３７３】
限定を目的としない例として、少なくとも１つの自律車両が検討された場合、少なくとも１つの自律車両の少なくとも１つのフリートも検討することができる。限定を目的としない例として、少なくとも１つの自律車両は、少なくとも１つの自律車両の少なくとも１つのフリートの一部であり得る。限定を目的としない例として、少なくとも１つの自律車両の少なくとも１つのフリートが検討された場合、フィルタリングされることができる少なくとも１つの自律車両の少なくとも１つのフリート、好ましいと識別することができる少なくとも１つの自律車両の少なくとも１つのフリート、またはそれらの組合せも検討することができる。
【０３７４】
限定を目的としない例として、少なくとも１つの自律車両が検討された場合、少なくとも１つの自律車両の少なくとも１つのフリート、少なくとも１つの自律車両フリート、またはそれらの組合せも検討することができる。限定を目的としない例として、少なくとも１つの自律車両は、少なくとも１つの自律車両の少なくとも１つのフリート、少なくとも１つの自律車両フリート、またはそれらの組合せととらえるか、または呼ぶことができる。限定を目的としない例として、少なくとも１つの自律車両の少なくとも１つのフリートは、少なくとも１つの自律車両フリートであり得る。
【０３７５】
限定を目的としない例として、少なくとも１つの自律車両は、少なくとも１つの搬送業界セグメントで活動する、２つ以上のサービスプロバイダ、２つ以上の商品サプライヤ、２つ以上のフリートマネージャ、２つ以上の自律車両の２つ以上のオーナまたは２つ以上のコントローラ、２つ以上のロジスティクスプロバイダ、２つ以上のロジスティクスサプライヤ等によって制御または操作することができる。限定を目的としない例として、少なくとも１つの自律車両は、少なくとも１つの搬送業界セグメントで活動する少なくとも１つのＯＥＭ等によって制御または操作することができる。限定を目的としない例として、少なくとも１つの自律車両は、少なくとも１つのＯＥＭ等によって所有され、少なくとも１つの搬送業界セグメントで活動する少なくとも１つのサービスプロバイダ等によって制御または操作することができる。限定を目的としない例として、少なくとも１つの自律車両または少なくとも１つの自律車両の少なくとも１つのフリートは、少なくとも１つのフリートマネージャによって制御または操作することができる。限定を目的としない例として、少なくとも１つの自律車両は、少なくとも１つのＯＥＭ等によって所有され、少なくとも１つの搬送業界セグメントで活動する少なくとも１つのフリートマネージャによって制御または操作することができる。限定を目的としない例として、少なくとも１つの自律車両は、少なくとも１つのＯＥＭ等によって所有され、少なくとも１つの搬送業界セグメントで活動する少なくとも１つのサードパーティによって制御または操作することができる。限定を目的としない例として、少なくとも１つの商品サプライヤ等のために、またはそれに代わって、少なくとも１つの搬送サービスを容易にするために、少なくとも１つの自律車両が、少なくとも１つのサービスプロバイダ等によって利用され得る。限定を目的としない例として、少なくとも１つの自律車両または少なくとも１つの自律車両の少なくとも１つのフリートは、少なくとも１つの自律車両の少なくとも１つのオーナまたは少なくとも１つのコントローラによって制御または操作することができる。
【０３７６】
限定を目的としない例として、少なくとも１つの自律車両は、少なくとも１つのロジスティクスプロバイダ、少なくとも１つのロジスティクスサプライヤ、またはそれらの組合せによって制御または操作することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つのサードパーティのために、少なくとも１つの自律車両を制御または操作することができる。限定を目的としない例として、少なくとも１つのサードパーティは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせのために、少なくとも１つの自律車両を制御または操作することができる。
【０３７７】
限定を目的としない例として、少なくとも１つの自律車両は、少なくとも１つの自律車両センサ等に関連する少なくとも１つの自律車両に関連する搬送データの全部または一部を有するか、または生成することができる。限定を目的としない例として、少なくとも１つの自律車両は、少なくとも１つの自律車両バッテリレベル等に関連する搬送データの全部または一部を有するか、または生成することができる。限定を目的としない例として、少なくとも１つの自律車両に関連する搬送データの全部または一部は、１つの自律車両に関連する全部または一部のデータであり得る。限定を目的としない例として、少なくとも１つの自律車両に関連する搬送データは、少なくとも１つの自律車両の少なくとも１つのフリートに関連する全部または一部のデータであり得る。限定を目的としない例として、少なくとも１つの自律車両に関連する搬送データは、限定はしないが、少なくとも１つの自律車両の少なくとも１つのリアルタイムまたはほぼリアルタイムの地理的位置、少なくとも１つの自律車両の少なくとも１つのフリートの少なくとも１つのリアルタイムまたはほぼリアルタイムの地理的位置、少なくとも１つの自律車両フリートの少なくとも１つのリアルタイムまたはほぼリアルタイムの地理的位置、またはそれらの組合せを含み得る。限定を目的としない例として、少なくとも１つの自律車両は、好ましくは少なくとも１つの自律車両に関連付けられた少なくとも１つのアプリケーション上に格納またはキャッシュすることができる、少なくとも１つの自律車両に関連する搬送データの全部または一部を有するか、または生成することができる。
【０３７８】
限定を目的としない例として、少なくとも１つの自律車両が検討された場合、少なくとも１つの自律車両に関連する搬送データの全部または一部も検討することができる。限定を目的としない例として、フィルタリングすることができる少なくとも１つの自律車両が検討された場合、少なくとも１つの自律車両に関連するフィルタリングされた搬送データの全部または一部も検討することができる。限定を目的としない例として、好ましいと識別することができる少なくとも１つの自律車両が検討された場合、少なくとも１つの自律車両に関連する好ましい搬送データの全部または一部も検討することができる。限定を目的としない例として、少なくとも１つの自律車両自動化プラットフォーム、少なくとも１つの代理人自動化プラットフォーム、またはそれらの組み合わせによって、またはそれらとともに、少なくとも１つの自律車両を利用することで、少なくとも１つの搬送業界セグメントにおける少なくとも１つの搬送サービスを容易にし、操作、実行等を行うことができる。
【０３７９】
「自律車両のオーナまたはコントローラ」
少なくとも１つの自律車両の少なくとも１つのオーナまたは少なくとも１つのコントローラは、限定はしないが、例えば、少なくとも１つの搬送クライアントのために少なくとも１つの搬送サービスを提供するために使用される少なくとも１つの自律車両を所有し、操作し、または制御することができる、少なくとも１人の人、少なくとも１つのエンティティ、少なくとも１つのロボット、少なくとも１つの機械、またはそれらの組合せであり得る。少なくとも１つの自律車両の少なくとも１つのオーナまたは少なくとも１つのコントローラは、例えば、少なくとも１つのサービス、少なくとも１つの配達サービス、またはそれらの組合せを提供または実行することができる、少なくとも１つのエンティティまたは少なくとも１人の人であり得る。少なくとも１つの自律車両の少なくとも１つのオーナまたは少なくとも１つのコントローラは、少なくとも１つの自律車両を所有し、操作し、または制御することができる。少なくとも１つの自律車両の少なくとも１つのオーナまたは少なくとも１つのコントローラは、少なくとも１つの自律車両、好ましいと識別することができる少なくとも１つの自律車両、またはそれらの組合せのために、またはそれらを基準に、少なくとも１つの好ましい搬送サービス要求を分析または評価し、次いで確保または取得することができる。
【０３８０】
少なくとも１つの自律車両の少なくとも１つのオーナまたは少なくとも１つのコントローラは、例えば、少なくとも１つの搬送サービスを提供するために、限定はしないが、少なくとも１つの代理人、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを雇用し、それらと契約し、またはそれらを含むことができる。少なくとも１つの自律車両の少なくとも１つのオーナまたは少なくとも１つのコントローラは、限定はしないが、少なくとも１つの代理人、少なくとも１つの自律車両、少なくとも１つのサービスプロバイダ、少なくとも１つの商品サプライヤ、少なくとも１つのフリートマネージャ、少なくとも１つの搬送クライアント、少なくとも１つのロジスティクスプロバイダ、少なくとも１つのロジスティクスサプライヤ、またはそれらの組合せの間の少なくとも１つの搬送サービスを容易にすることができる。
【０３８１】
少なくとも１つの自律車両の少なくとも１つのオーナまたは少なくとも１つのコントローラは、例えば、少なくとも１つの搬送業界セグメントに関連する、対応する搬送データを有する少なくとも１つの搬送サービス要求、少なくとも１つの自律車両、少なくとも１つの自律車両に関連する搬送データの全部または一部、少なくとも１つの自律車両の少なくとも１つのリアルタイムまたはほぼリアルタイムの地理的位置の全部または一部、少なくとも１つの自律車両に関連する任意のデータまたは情報、またはそれらの組合せの少なくとも１つのソースまたは少なくとも１つのプロバイダであり得る、少なくとも１つの外部サーバを有することができるか、または少なくとも１つの外部サーバに関連付けることができる。
【０３８２】
少なくとも１つの自律車両の少なくとも１つのオーナまたは少なくとも１つのコントローラは、少なくとも１つの自律車両を操作、所有、または制御することができる。少なくとも１つの自律車両の少なくとも１つのオーナまたは少なくとも１つのコントローラは、少なくとも１つのサードパーティに代わって、少なくとも１つの自律車両を操作、所有、または制御することができる。少なくとも１つの自律車両の少なくとも１つのオーナまたは少なくとも１つのコントローラは、少なくとも１つの搬送業界セグメントにおいて少なくとも１つの搬送サービスを容易にするために、少なくとも１つのネットワークを操作、所有、または制御することができる。少なくとも１つの自律車両の少なくとも１つのオーナまたは少なくとも１つのコントローラは、少なくとも１つのネットワーク上で少なくとも１つの自律車両を操作、所有、または制御することができる。少なくとも１つの自律車両の少なくとも１つのオーナまたは少なくとも１つのコントローラは、少なくとも１つの他のネットワーク上で少なくとも１つの自律車両を操作、所有、または制御することができる。少なくとも１つの自律車両の少なくとも１つのオーナまたは少なくとも１つのコントローラは、少なくとも１つのネットワーク上の少なくとも１つのサードパーティに代わって、少なくとも１つの自律車両を操作、所有、または制御することができる。
【０３８３】
少なくとも１つの自律車両の少なくとも１つのオーナまたは少なくとも１つのコントローラは、少なくとも１つの自律車両自動化プラットフォームを使用して、少なくとも１つの搬送サービスを容易にし、操作し、または管理することができる。少なくとも１つの自律車両の少なくとも１つのオーナまたは少なくとも１つのコントローラは、少なくとも１つの自律車両自動化プラットフォームを使用して、少なくとも１つの自律車両を制御または操作することができる。少なくとも１つの自律車両の少なくとも１つのオーナまたは少なくとも１つのコントローラは、少なくとも１つの自律車両自動化プラットフォームを使用して、好ましいと識別することができる少なくとも１つの自律車両、少なくとも１つの自律車両、またはそれらの組合せのために、またはそれらを基準に、少なくとも１つの好ましい搬送サービス要求を確保または取得することができる。
【０３８４】
少なくとも１つの自律車両の少なくとも１つのオーナまたは少なくとも１つのコントローラは、少なくとも１つの搬送サービスを容易にし、実行するために、限定はしないが、少なくとも１つの中央サーバ、少なくとも１つの外部サーバ、少なくとも１つのアプリケーション、少なくとも１つのオーナアプリケーションまたはコントローラアプリケーション、またはそれらの組合せを使用することができる。少なくとも１つの自律車両の少なくとも１つのオーナまたは少なくとも１つのコントローラは、限定はしないが、少なくとも１つの代理人、少なくとも１つの自律車両、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、少なくとも１つのサービスプロバイダ、またはそれらの組合せの少なくとも１つの搬送ネットワークを、独立して制御または操作することができる。少なくとも１つの自律車両の少なくとも１つのオーナまたは少なくとも１つのコントローラは、少なくとも１つの搬送サービスを容易にするために、少なくとも１つの端末、少なくとも１つの中央サーバ、少なくとも１つの外部サーバ、またはそれらの組合せを介して少なくとも１つのサービスプロバイダネットワーク等にアクセスするために、限定はしないが、少なくとも１つのアプリケーションまたは少なくとも１つのオーナアプリケーションまたはコントローラアプリケーションを使用することができる。
【０３８５】
少なくとも１つの自律車両の少なくとも１つのオーナまたは少なくとも１つのコントローラは、限定はしないが、少なくとも１つのアプリケーションまたは少なくとも１つのオーナアプリケーションまたはコントローラアプリケーションを使用して、好ましいと識別することができる少なくとも１つの自律車両、少なくとも１つの自律車両、またはそれらの組合せのために、またはそれらを基準に、少なくとも１つの好ましい搬送サービス要求を分析または評価し、次いで確保または取得することができる。少なくとも１つの自律車両の少なくとも１つのオーナまたは少なくとも１つのコントローラは、少なくとも１つの好ましい搬送サービス要求のために、またはそれらを基準に、確保または取得される、少なくとも１つの自律車両または好ましいと識別することができる少なくとも１つの自律車両を識別することができる。
【０３８６】
少なくとも１つの自律車両の少なくとも１つのオーナまたは少なくとも１つのコントローラは、限定はしないが、少なくとも１つのサービスプロバイダネットワーク、少なくとも１つの商品サプライヤネットワーク、少なくとも１つのフリートマネージャネットワーク、少なくとも１つのロジスティクスプロバイダネットワーク、少なくとも１つのロジスティクスサプライヤネットワーク、少なくとも１つの中央サーバ、少なくとも１つの外部サーバ、少なくとも１つのオーナアプリケーションまたはコントローラアプリケーション、またはそれらの組合せに、いつでもサインオンおよび／またはサインオフすることができる。少なくとも１つの自律車両の少なくとも１つのオーナまたは少なくとも１つのコントローラは、限定はしないが、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せに関連する情報技術基盤を使用することができる。
【０３８７】
少なくとも１つの自律車両の少なくとも１つのオーナまたは少なくとも１つのコントローラは、少なくとも１つの搬送業界セグメントで活動することができる。少なくとも１つの自律車両の少なくとも１つのオーナまたは少なくとも１つのコントローラは、任意で、少なくとも１つの搬送業界セグメントで活動する少なくとも１つのフリートマネージャととらえるか、または呼ぶことができる。少なくとも１つの自律車両の少なくとも１つのオーナまたは少なくとも１つのコントローラは、少なくとも１つの独立したサードパーティであり得る。少なくとも１つの自律車両の少なくとも１つのオーナまたは少なくとも１つのコントローラは、少なくとも１人の個々の個人であってもよい。少なくとも１つの自律車両の少なくとも１つのオーナまたは少なくとも１つのコントローラは、少なくとも１つの好ましい搬送サービス要求、好ましいと識別することができる少なくとも１つの自律車両、またはそれらの組合せを受諾するかまたは拒否することができる。
【０３８８】
少なくとも１つの自律車両の少なくとも１つのオーナまたは少なくとも１つのコントローラは、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せのために働くことができ、またはそれらに関連付けることができる。少なくとも１つの自律車両の少なくとも１つのオーナまたは少なくとも１つのコントローラは、少なくとも１つの搬送業界セグメントにおいて少なくとも１つの自律車両を制御または操作することができる。少なくとも１つの自律車両の少なくとも１つのオーナまたは少なくとも１つのコントローラは、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに関連する少なくとも１つの自律車両を制御または操作することができる。少なくとも１つの自律車両の少なくとも１つのオーナまたは少なくとも１つのコントローラは、最高の発展レベルまたは最新技術に更新またはリフレッシュされた少なくとも１つの機能をリアルタイムまたはほぼリアルタイムで実行することができる。
【０３８９】
少なくとも１つの自律車両の少なくとも１つのオーナまたは少なくとも１つのコントローラは、少なくとも１つのオーナアプリケーションまたはコントローラアプリケーション、少なくとも１つのアプリケーション、少なくとも１つの中央サーバ、またはそれらの組合せに、少なくとも１つの選択された選好を入力または提供することができる。少なくとも１つの自律車両の少なくとも１つのオーナまたは少なくとも１つのコントローラは、少なくとも１つの自律車両のために少なくとも１つの搬送サービス要求をフィルタリングするために使用される、少なくとも１つの選択された選好を入力または提供することができる。少なくとも１つの自律車両の少なくとも１つのオーナまたは少なくとも１つのコントローラは、限定はしないが、少なくとも１つの好ましい搬送サービス要求、少なくとも１つのフィルタリングされた搬送サービス要求、またはそれらの組合せを識別するために使用される少なくとも１つの選択された選好を入力または提供することができる。少なくとも１つの自律車両の少なくとも１つのオーナまたは少なくとも１つのコントローラは、少なくとも１つの自律車両に関連する搬送データの全部または一部をフィルタリングするために使用される少なくとも１つの選択された選好を入力または提供することができる。少なくとも１つの自律車両の少なくとも１つのオーナまたは少なくとも１つのコントローラは、限定はしないが、フィルタリングすることができる少なくとも１つの自律車両、少なくとも１つの自律車両に関連するフィルタリングされた搬送データの全部または一部、好ましいと識別することができる少なくとも１つの自律車両、少なくとも１つの自律車両に関連する好ましい搬送データの全部または一部、またはそれらの組合せを識別するために使用される、少なくとも１つの選択された選好を入力または提供することができる。
【０３９０】
少なくとも１つの自律車両の少なくとも１つのオーナまたは少なくとも１つのコントローラは、例えば、少なくとも１つの自律車両自動化プラットフォームを利用する場合に、必要に応じて、少なくとも１つの選択された選好を使用して、少なくとも１つの搬送サービス要求および少なくとも１つの自律車両という２つの変数をフィルタリングすることができる。少なくとも１つの自律車両の少なくとも１つのオーナまたは少なくとも１つのコントローラは、例えば、少なくとも１つの自律車両自動化プラットフォームを利用する場合に、必要に応じて、少なくとも１つの選択された選好を使用して、少なくとも１つの好ましい搬送サービス要求、好ましいと識別することができる少なくとも１つの自律車両、少なくとも１つの自律車両に関連する好ましい搬送データの全部または一部、またはそれらの組合せという２つの好ましい変数を識別することができる。
【０３９１】
少なくとも１つの自律車両自動化プラットフォームは、少なくとも１つの自律車両の少なくとも１つのオーナまたは少なくとも１つのコントローラのために、少なくとも１つの好ましい搬送サービス要求、好ましいと識別することができる少なくとも１つの自律車両、またはそれらの組合せを確保または取得することができる。少なくとも１つの自律車両の少なくとも１つのオーナまたは少なくとも１つのコントローラは、少なくとも１つの自律車両自動化プラットフォームを利用して、少なくとも１つの好ましい搬送サービス要求以外の少なくとも１つの提案または推奨された異なる搬送サービス要求を確保または取得することができる。少なくとも１つの自律車両の少なくとも１つのオーナまたは少なくとも１つのコントローラは、少なくとも１つの自律車両自動化プラットフォームを利用して、好ましいと識別することができる少なくとも１つの自律車両以外の少なくとも１つの提案または推奨される異なる自律車両を確保または取得することができる。少なくとも１つの自律車両の少なくとも１つのオーナまたは少なくとも１つのコントローラは、少なくとも１つの自律車両自動化プラットフォームを使用する場合、少なくとも１つの好ましい搬送サービス要求を受諾するかまたは拒否することができる。少なくとも１つの自律車両の少なくとも１つのオーナまたは少なくとも１つのコントローラは、少なくとも１つの自律車両自動化プラットフォームを使用して、少なくとも１つの自律車両、好ましいと識別することができる少なくとも１つの自律車両、またはそれらの組合せのために、またはそれらを基準に、少なくとも１つの好ましい搬送サービス要求を識別し、好ましくは確保または取得することができる。
【０３９２】
限定を目的としない例として、少なくとも１つの自律車両の少なくとも１つのオーナまたは少なくとも１つのコントローラは、限定はしないが、少なくとも１つのライドシェアサービスコントローラ、少なくとも１つのライドヘイルサービスコントローラ、少なくとも１つのカーシェアサービスコントローラ、少なくとも１つのタクシーサービスコントローラ、少なくとも１つのシャトルサービスコントローラ、少なくとも１つの人物配達サービスコントローラ、少なくとも１つの食品配達サービスコントローラ、少なくとも１つの商品配達サービスコントローラ、少なくとも１つの動物配達サービスコントローラ、少なくとも１つの医療サービスおよび医療配達コントローラ、少なくとも１つの宅配便サービスコントローラ、少なくとも１つのアイテム配達サービスコントローラ、少なくとも１つの貨物配達サービスコントローラ、少なくとも１つのピアツーピア搬送サービスコントローラ、少なくとも１つの配達サービスコントローラ、少なくとも１つの輸送サービスコントローラ、またはそれらの組合せであり得る。
【０３９３】
限定を目的としない例として、少なくとも１つの自律車両の少なくとも１つのオーナまたは少なくとも１つのコントローラは、少なくとも１つのフリートマネージャ、少なくとも１つのサービスプロバイダ、少なくとも１つの商品サプライヤ、少なくとも１つのロジスティクスプロバイダ、少なくとも１つのロジスティクスサプライヤ、少なくとも１つのサードパーティ、少なくとも１つの自律車両、少なくとも１つの自律車両の少なくとも１つのフリート、またはそれらの組合せととらえるか、または呼ぶことができる。限定を目的としない例として、少なくとも１つの自律車両の少なくとも１つのオーナまたは少なくとも１つのコントローラは、少なくとも１つの自律車両の少なくとも１つの個人のオーナまたは少なくとも１つの個人のコントローラであり得る。
【０３９４】
限定を目的としない例として、少なくとも１つの自律車両の少なくとも１つのオーナまたは少なくとも１つのコントローラは、少なくとも１つの個々の搬送業界セグメントで活動することができる。限定を目的としない例として、少なくとも１つの自律車両の少なくとも１つのオーナまたは少なくとも１つのコントローラは、少なくとも１つの個々のサービスプロバイダ等に関連する少なくとも１つの自律車両を制御または操作することができる。限定を目的としない例として、少なくとも１つの自律車両の少なくとも１つのオーナまたは少なくとも１つのコントローラは、対応する搬送データが関連付けられた少なくとも１つの搬送サービス要求の全部または一部、少なくとも１つの自律車両に関連する搬送データの全部または一部、少なくとも１つの自律車両の全部または一部、少なくとも１つの自律車両の少なくとも１つのリアルタイムまたはほぼリアルタイムの地理的位置の全部または一部、少なくとも１つの自律車両の少なくとも１つのフリートに関連する搬送データの全部または一部、少なくとも１つの自律車両の少なくとも１つのフリートの全部または一部、少なくとも１つの自律車両の少なくとも１つのフリートの少なくとも１つのリアルタイムまたはほぼリアルタイムの地理的位置の全部または一部、またはそれらの組み合わせの、少なくとも１つのソースまたは少なくとも１つのプロバイダであり得る。
【０３９５】
限定を目的としない例として、少なくとも１つの自律車両の少なくとも１つのオーナまたは少なくとも１つのコントローラは、対応する搬送データを有する少なくとも１つの搬送サービス要求の全部または一部、対応する搬送データを有する少なくとも１つの自律車両の全部または一部、少なくとも１つの自律車両の少なくとも１つのリアルタイムまたはほぼリアルタイムの地理的位置の全部または一部、少なくとも１つの自律車両の少なくとも１つのフリートに関連する搬送データの全部または一部、少なくとも１つの自律車両の少なくとも１つのフリートの少なくとも１つのリアルタイムまたはほぼリアルタイムの地理的位置の全部または一部、またはそれらの組合せを提供することができる少なくとも１つのＡＰＩを有するか、または利用することができる。
【０３９６】
限定を目的としない例として、少なくとも１つの自律車両の少なくとも１つのオーナまたは少なくとも１つのコントローラは、少なくとも１つの搬送サービスを提供するために、少なくとも１つのＯＥＭまたは少なくとも１つの自動車製造業者のために、またはそれに代わって、少なくとも１つの自律車両を操作または制御することができる。限定を目的としない例として、少なくとも１つの自律車両の少なくとも１つのオーナまたは少なくとも１つのコントローラは、少なくとも１つの搬送業界セグメントで活動することができる少なくとも１つのネットワーク上で、少なくとも１つのＯＥＭのために、またはそれに代わって、少なくとも１つの自律車両または少なくとも１つの自律車両の少なくとも１つのフリートを制御または操作することができる。限定を目的としない例として、少なくとも１つの自律車両の少なくとも１つのオーナまたは少なくとも１つのコントローラは、少なくとも１つの搬送業界セグメントで活動することができる少なくとも１つのサービスプロバイダネットワーク上等で、少なくとも１つのＯＥＭのために、またはそれに代わって、少なくとも１つの自律車両または少なくとも１つの自律車両の少なくとも１つのフリートを制御または操作することができる。
【０３９７】
限定を目的としない例として、少なくとも１つの自律車両の少なくとも１つのオーナまたは少なくとも１つのコントローラは、少なくとも１つの搬送業界セグメントのために、または少なくとも１つの搬送業界セグメントとともに、少なくとも１つの外部サーバを利用することができる。限定を目的としない例として、少なくとも１つの自律車両の少なくとも１つのオーナまたは少なくとも１つのコントローラは、少なくとも１つの自律車両を賃貸または転貸することができる。限定を目的としない例として、少なくとも１つの自律車両の少なくとも１つのオーナまたは少なくとも１つのコントローラは、少なくとも１つの自律車両の少なくとも１つのフリートを賃貸または転貸することができる。限定を目的としない例として、少なくとも１つの自律車両の少なくとも１つのオーナまたは少なくとも１つのコントローラは、少なくとも１つのサードパーティから少なくとも１つの自律車両または少なくとも１つの自律車両の少なくとも１つのフリートを賃貸または転貸することができる。限定を目的としない例として、少なくとも１つの自律車両の少なくとも１つのオーナまたは少なくとも１つのコントローラは、少なくとも１つの自律車両の少なくとも１つの賃借人であり得る。
【０３９８】
限定を目的としない例として、少なくとも１つの自律車両の少なくとも１つのオーナまたは少なくとも１つのコントローラは、少なくとも１つの好ましい搬送サービス要求以外の少なくとも１つのフィルタリングされた搬送サービス要求を確保または取得することができる。限定を目的としない例として、少なくとも１つの自律車両の少なくとも１つのオーナまたは少なくとも１つのコントローラは、好ましいと識別することができる少なくとも１つの自律車両以外のフィルタリングすることができる少なくとも１つの自律車両を確保または取得することができる。限定を目的としない例として、少なくとも１つの自律車両の少なくとも１つのオーナまたは少なくとも１つのコントローラは、少なくとも１つのオーナアプリケーションまたはコントローラアプリケーション、少なくとも１つのアプリケーション、少なくとも１つの中央サーバ、少なくとも１つの外部サーバ、またはそれらの組合せを使用して、少なくとも１つの好ましい搬送サービス要求を受諾するかまたは拒否することができる。
【０３９９】
限定を目的としない例として、少なくとも１つの自律車両の少なくとも１つのオーナまたは少なくとも１つのコントローラは、例えば、少なくとも１つの搬送サービスを提供するために、限定はしないが、少なくとも１つの自律車両の少なくとも１つのフリートを雇用するか、またはそれと契約することができる、少なくとも１つのエンティティまたは少なくとも１つの業界であり得る。限定を目的としない例として、少なくとも１つの自律車両の少なくとも１つのオーナまたは少なくとも１つのコントローラは、少なくとも１つの搬送業界セグメントにおいて、少なくとも１つの自律車両の少なくとも１つのフリートを雇用するか、またはそれと契約することができる。限定を目的としない例として、少なくとも１つの自律車両の少なくとも１つのオーナまたは少なくとも１つのコントローラは、少なくとも１つの自律車両自動化プラットフォームを使用して、少なくとも１つの自律車両の少なくとも１つのフリートを制御または操作することができる。
【０４００】
限定を目的としない例として、少なくとも１つの自律車両の少なくとも１つのオーナまたは少なくとも１つのコントローラは、少なくとも１つの自律車両の少なくとも１つのフリートを所有し、操作し、または制御することができる。限定を目的としない例として、少なくとも１つの自律車両の少なくとも１つのオーナまたは少なくとも１つのコントローラは、少なくとも１つのネットワーク上で少なくとも１つの自律車両の少なくとも１つのフリートを所有し、操作し、または制御することができる。限定を目的としない例として、少なくとも１つの自律車両の少なくとも１つのオーナまたは少なくとも１つのコントローラは、少なくとも１つの他のネットワーク上で少なくとも１つの自律車両の少なくとも１つのフリートを所有し、操作し、または制御することができる。限定を目的としない例として、少なくとも１つの自律車両の少なくとも１つのオーナまたは少なくとも１つのコントローラは、少なくとも１つのネットワーク上で、少なくとも１つのサードパーティに代わって、少なくとも１つの自律車両の少なくとも１つのフリートを所有し、操作し、または制御することができる。
【０４０１】
限定を目的としない例として、少なくとも１つの自律車両の少なくとも１つのオーナまたは少なくとも１つのコントローラは、例えば、少なくとも１つの搬送業界セグメントに関連する、少なくとも１つの自律車両の少なくとも１つのフリートの全部または一部、少なくとも１つの自律車両の少なくとも１つのフリートに関連する搬送データの全部または一部、少なくとも１つの自律車両の少なくとも１つのフリートの少なくとも１つのリアルタイムまたはほぼリアルタイムの地理的位置の全部または一部、少なくとも１つの自律車両の少なくとも１つのフリートに関連する任意のデータまたは情報、またはこれらの組み合わせの少なくとも１つのソースまたは少なくとも１つのプロバイダであり得る少なくとも１つの外部サーバを利用することができる。
【０４０２】
限定を目的としない例として、少なくとも１つの自律車両の少なくとも１つのオーナや少なくとも１つのコントローラ等は、少なくとも１つのコンピュータプログラムである少なくとも１つのオーナアプリケーションまたはコントローラアプリケーションに、少なくとも１つの選択された選好を入力または提供することができ、少なくとも１つの選択された選好は、少なくとも１つの中央サーバ、少なくとも１つのアプリケーション、またはそれらの組合せに送信することができる。限定を目的としない例として、少なくとも１つの自律車両の少なくとも１つのオーナまたは少なくとも１つのコントローラは、少なくとも１つの搬送業界セグメントにおける少なくとも１つの搬送サービスを容易にし、操作、実行等を行うために、少なくとも１つの自律車両自動化プラットフォーム、少なくとも１つの代理人自動化プラットフォーム、またはそれらの組合せを使用することができる。
【０４０３】
無制限の例として、少なくとも１つの自律車両の少なくとも１つのオーナまたは少なくとも１つのコントローラは、少なくとも１つの搬送サービスを実行するために最も長い間待機していた可能性がある、好ましいと識別することができる少なくとも１つの自律車両を識別することができ、また、好ましいと識別することができる少なくとも１つの自律車両のために、またはそれを基準に、少なくとも１つの好ましい搬送サービス要求を確保または取得することができる。限定を目的としない例として、少なくとも１つの自律車両の少なくとも１つのオーナまたは少なくとも１つのコントローラは、期待通りに機能していない少なくとも１つの自律車両を識別することができ、好ましくは、好ましいと識別することができる少なくとも１つの自律車両、少なくとも１つの自律車両、またはそれらの組合せのために、またはそれらを基準に、少なくとも１つの好ましい搬送サービス要求を確保または取得することができる。限定を目的としない例として、少なくとも１つの自律車両の少なくとも１つのオーナまたは少なくとも１つのコントローラは、少なくとも１つのゲームが終了したときに、少なくとも１つの搬送サービスを実行するために少なくとも１つのサッカースタジアムに向かって移動させることができる少なくとも１つの自律車両の少なくとも１つのフリートを識別することができる。
【０４０４】
「代理人自動化プラットフォーム」
少なくとも１つの代理人自動化プラットフォームは、例えば、少なくとも１つの好ましい搬送サービス要求を確保または取得するための少なくとも１つの操作または少なくとも１つの機能を容易にすることができる、少なくとも１つのシステムおよび／または少なくとも１つの方法であり得る。少なくとも１つの代理人自動化プラットフォームは、例えば、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの代理人、またはそれらの組み合わせによって利用または操作することができる、少なくとも１つのシステムおよび／または少なくとも１つの方法であり得る。
【０４０５】
少なくとも１つの代理人自動化プラットフォームは、少なくとも１つのルールベースのアプローチを利用することができる。少なくとも１つの代理人自動化プラットフォームは、少なくとも１つのルールベースのシステム、少なくとも１つのルールベースの方法、またはそれらの組合せを利用することができる。少なくとも１つの代理人自動化プラットフォームは、少なくとも１つのサービス型ソフトウェア（ＳａａＳ）であり得る。少なくとも１つの代理人自動化プラットフォームは、少なくとも１つのサブスクリプションサービスであり得る。少なくとも１つの代理人自動化プラットフォームは、少なくとも１つの代理人、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの代理人、またはそれらの組み合わせのために、またはそれらを基準に、車両利用を最適化することができる。
【０４０６】
全部または一部が自動化された少なくとも１つの代理人自動化プラットフォームは、例えば、少なくとも１つの代理人選好に関連する少なくとも１つの搬送サービス要求を分析または評価することができ、好ましくは、少なくとも１つの代理人の少なくとも１つのリアルタイムまたはほぼリアルタイムの地理的位置を分析または評価して、少なくとも１つの代理人のために少なくとも１つの好ましい搬送サービス要求を確保または取得することができる。少なくとも１つの代理人自動化プラットフォームによって確保され、取得され、または識別された任意の少なくとも１つの搬送サービス要求は、少なくとも１つの好ましい搬送サービス要求ととらえるか、または呼ぶことができる。少なくとも１つの代理人自動化プラットフォームは、少なくとも１つのコンピュータプログラム製品であり得る。少なくとも１つの代理人自動化プラットフォームは、限定はしないが、少なくとも１つの代理人、少なくとも１つのサービスサプライヤ、少なくとも１つの商品サプライヤ、少なくとも１つの自律車両の少なくとも１つのオーナまたは少なくとも１つのコントローラ、またはそれらの組合せによって使用され得る。
【０４０７】
少なくとも１つの代理人自動化プラットフォームは、少なくとも１つの自律車両のために、少なくとも１つのルートまたは少なくとも１つの派遣指示を提供または識別することができる。少なくとも１つの代理人自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせに対して、またはそれらのために、少なくとも１つのルートまたは少なくとも１つの派遣指示を提供または識別することができる。少なくとも１つの代理人自動化プラットフォームは、少なくとも１つのエンティティ、少なくとも１人の人、少なくとも１つのエンティティ、少なくとも１つのコンピュータ等が、少なくとも１つのバックエンドシステム（ｂａｃｋｅｎｄ  ｓｙｓｔｅｍ）、少なくとも１つのフロントエンドシステム（ｆｒｏｎｔｅｎｄ  ｓｙｓｔｅｍ）、またはそれらの組合せ上でロジスティクスを管理することができる。
【０４０８】
少なくとも１つの代理人自動化プラットフォームは、少なくとも１つの視点を有するか、または少なくとも１つの視点から利用することができる。少なくとも１つの代理人自動化プラットフォームは、少なくとも１つの異なる視点を有するか、または少なくとも１つの異なる視点から利用することができる。少なくとも１つの代理人自動化プラットフォームは、同時に少なくとも１つの視点を有するか、または同時に少なくとも１つの視点から利用することができる。少なくとも１つの代理人自動化プラットフォームは、少なくとも１つの自律車両の少なくとも１つのオーナまたは少なくとも１つのコントローラ、少なくとも１つの代理人、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等に関連する少なくとも１つの視点を有するか、またはそれらの視点から利用することができる。少なくとも１つの代理人自動化プラットフォームは、機械学習技術等を実装または利用することができる。少なくとも１つの代理人自動化プラットフォームは、機械学習技術等を実装または利用して、少なくとも１つの入力ソースによって供給または提供された情報またはデータを分析または評価することができる。
【０４０９】
少なくとも１つの好ましい搬送サービス要求を確保または取得することができ、少なくとも１つの代理人に表示することができる。少なくとも１つの代理人自動化プラットフォームは、少なくとも１つの第１の好ましい搬送サービス要求が確保または取得された後に、少なくとも１つの後続または追加の好ましい搬送サービス要求を確保または取得することができる。
【０４１０】
少なくとも１つの代理人自動化プラットフォームは、部分的に自動化されている場合、少なくとも１つの代理人が、限定はしないが、少なくとも１つのアプリケーションまたは少なくとも１つの中央サーバを使用して、少なくとも１つの好ましい搬送サービス要求を分析または評価し、次いで確保または取得することを可能にすることができる。対応する搬送データが関連付けられた少なくとも１つの好ましい搬送サービス要求、対応する搬送データが関連付けられた少なくとも１つのフィルタリングされた搬送サービス要求、またはそれらの組合せは、少なくとも１つの中央サーバから少なくとも１つのアプリケーションに送信し、限定はしないが、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つのアラート、少なくとも１つのメッセージ、少なくとも１つのショートメッセージサービス、少なくとも１つのマルチメディアメッセージングサービス、少なくとも１つのスマートメッセージングサービス、または少なくとも１つの拡張メッセージサービスとして表示することができる。少なくとも１つの代理人は、限定はしないが、少なくとも１つのアプリケーション上に表示することができる、少なくとも１つの好ましい搬送サービス要求、少なくとも１つのフィルタリングされた搬送サービス要求、またはそれらの組合せを、受諾するかまたは拒否することができる。少なくとも１人の代理人が、少なくとも１つの好ましい搬送サービス要求または少なくとも１つのフィルタリングされた搬送サービス要求を拒否する場合、少なくとも１つの新しいまたは異なる好ましい搬送サービス要求または少なくとも１つの新しいまたは異なるフィルタリングされた搬送サービス要求を、少なくとも１つの代理人自動化プラットフォームによって識別し、表示することができる。
【０４１１】
少なくとも１つの代理人自動化プラットフォームは、限定はしないが、少なくとも１つのサービスプロバイダ、少なくとも１つの外部サーバ、少なくとも１つの中央サーバ、またはそれらの組合せによって提供または供給される少なくとも１つの好ましい搬送サービス要求を確保または取得することができる。少なくとも１つの代理人自動化プラットフォームは、少なくとも１つの搬送業界セグメントにおいて、少なくとも１つの好ましい搬送サービス要求を確保または取得することができる。少なくとも１つの代理人自動化プラットフォームは、少なくとも１つの代理人のために、少なくとも１つの異なる搬送業界セグメントにおいて、少なくとも１つの後続のまたは追加の好ましい搬送サービス要求を確保または取得することができる。少なくとも１つの代理人自動化プラットフォームは、少なくとも１つのサービスプロバイダに関連する少なくとも１つの好ましい搬送サービス要求を確保または取得することができる。
【０４１２】
少なくとも１つの代理人自動化プラットフォームは、少なくとも１つの代理人の少なくとも１つのリアルタイムまたはほぼリアルタイムの地理的位置の変更または更新として、リアルタイムまたはほぼリアルタイムで、少なくとも１つの好ましい搬送サービス要求、少なくとも１つのフィルタリングされた搬送サービス要求、少なくとも１つの搬送サービス要求、またはそれらの組合せを更新することができる。少なくとも１つの代理人自動化プラットフォームは、少なくとも１つの代理人の少なくとも１つのリアルタイムまたはほぼリアルタイムの地理的位置が更新または変更された場合に、少なくとも１つの新しいまたは異なる好ましい搬送サービス要求を識別し、好ましくは確保または取得することができる。少なくとも１つの代理人自動化プラットフォームは、交通情報が更新された場合に、少なくとも１つの好ましい搬送サービス要求、少なくとも１つのフィルタリングされた搬送サービス要求、少なくとも１つの搬送サービス要求、またはそれらの組合せを更新することができる。
【０４１３】
少なくとも１つの代理人自動化プラットフォームは、リアルタイムまたはほぼリアルタイムで更新またはリフレッシュすることができ、最高の発展レベルまたは最新技術に更新またはリフレッシュされているものを指し得る。少なくとも１つの代理人自動化プラットフォームは、リアルタイムまたはほぼリアルタイムで少なくとも１つの機能を実行することができ、最高の発展レベルまたは最新技術に更新またはリフレッシュされているものを指し得る。
【０４１４】
少なくとも１つの代理人自動化プラットフォームは、リアルタイムまたはほぼリアルタイムで少なくとも１つの搬送サービス要求を繰り返しまたは連続的に分析または評価することができ、好ましくは、少なくとも１つの代理人が少なくとも１つの搬送サービスおよびを実行し、少なくとも１つの代理人の少なくとも１つのリアルタイムまたはほぼリアルタイムの地理的位置が更新または変更されている間に、少なくとも１つの後続のまたは追加の好ましい搬送サービス要求を確保または取得することができる。少なくとも１つの代理人自動化プラットフォームは、限定はしないが、少なくとも１つの方向、少なくとも１つのルート、少なくとも１つの搬送クライアント、少なくとも１つの搬送サービス要求、少なくとも１つのフィルタリングされた搬送サービス要求、少なくとも１つの好ましい搬送サービス要求、少なくとも１つのサービス開始地理的位置、少なくとも１つのサービス終了地理的位置、交通情報、またはそれらの組合せを更新するか、または少なくとも１つの搬送サービスを実行している少なくとも１つの代理人に通知することができる。少なくとも１つの代理人自動化プラットフォームは、限定はしないが、少なくとも１つの搬送サービス要求、少なくとも１つのフィルタリングされた搬送サービス要求、少なくとも１つの好ましい搬送サービス要求、少なくとも１つの代理人の少なくとも１つのリアルタイムまたはほぼリアルタイムの地理的位置、少なくとも１つの代理人選好、またはそれらの組合せを、リアルタイムまたはほぼリアルタイムで繰り返しまたは連続的に分析または評価することによって、少なくとも１つの搬送サービスを実行する少なくとも１つの順序を更新または変更することができる。少なくとも１つの代理人自動化プラットフォームは、少なくとも１つの確保または取得された好ましい搬送サービス要求または少なくとも１つの確保または取得されたフィルタリングされた搬送サービス要求の確保状態を解除するかまたはキャンセルすることができる。
【０４１５】
少なくとも１つの代理人自動化プラットフォームは、機械学習技術等を使用して、少なくとも１つの好ましい搬送サービス要求、少なくとも１つのフィルタリングされた搬送サービス要求、少なくとも１つの搬送サービス要求、またはそれらの組合せを提案または推奨し、任意で確保または取得することができる。少なくとも１つの代理人自動化プラットフォームは、限定はしないが、少なくとも１つの過去の搬送サービス、少なくとも１つの過去のパターン、少なくとも１つの代理人の少なくとも１つの傾向、現在のリアルタイムまたはほぼリアルタイムの環境、少なくとも１つの代理人の少なくとも１つのリアルタイムまたはほぼリアルタイムの地理的位置、少なくとも１つの代理人選好、少なくとも１つの異なる代理人選好、少なくとも１つの代理人選好の少なくとも１つの異なる組合せ、またはそれらの組合せに基づいて、少なくとも１つの好ましい搬送サービス要求以外の少なくとも１つの異なる搬送サービス要求を提案または推奨することができる。少なくとも１人の代理人は、少なくとも１つの代理人自動化プラットフォームが少なくとも１つの提案または推奨を行うために、少なくとも１つの代理人選好をランク付けすることができる。少なくとも１つの代理人自動化プラットフォームは、少なくとも１つの好ましい搬送サービス要求に加えて、または少なくとも１つの好ましい搬送サービス要求の代替として、少なくとも１つの代替のまたは少なくとも１つの異なる搬送サービス要求を、少なくとも１つの代理人に提案し、推奨し、または通知することができる。少なくとも１つの異なる搬送サービス要求の少なくとも１つの提案または推奨によって、少なくとも１つの代理人が少なくとも１つの追加の搬送サービス要求を実行するのを手助けすることができる。確保または取得された、少なくとも１つの代理人自動化プラットフォームによって提案または推奨されたあらゆる少なくとも１つの搬送サービス要求は、少なくとも１つの好ましい搬送サービス要求として識別することができる。
【０４１６】
限定を目的としない例として、少なくとも１つの好ましい搬送サービス要求、少なくとも１つのフィルタリングされた搬送サービス要求、または少なくとも１つの搬送サービス要求は、少なくとも１つの代理人とのいかなる対話もなしに確保または取得することができる。限定を目的としない例として、少なくとも１つの代理人自動化プラットフォームは、少なくとも１つの個々の搬送業界セグメントにおいて、少なくとも１つの好ましい搬送サービス要求を確保または取得することができる。限定を目的としない例として、少なくとも１つの代理人自動化プラットフォームは、少なくとも１つの個々のサービスプロバイダに関連する少なくとも１つの好ましい搬送サービス要求を確保または取得することができる。
【０４１７】
限定を目的としない例として、少なくとも１つの代理人自動化プラットフォームは、少なくとも１つの好ましい搬送サービス要求以外の、少なくとも１つのフィルタリングされた搬送サービス要求または少なくとも１つの搬送サービス要求を確保または取得することができる。限定を目的としない例として、少なくとも１つの代理人自動化プラットフォームは、少なくとも１つの代理人によって受諾または拒否され得る、少なくとも１つの中央サーバ、少なくとも１つのアプリケーション、またはそれらの組合せによって識別された少なくとも１つの好ましい搬送サービス要求を、更新または少なくとも１つの代理人に通知することができる。限定を目的としない例として、少なくとも１つの代理人自動化プラットフォームによって識別された少なくとも１つの好ましい搬送サービス要求以外の少なくとも１つの異なる搬送サービス要求が、少なくとも１つの代理人によって受諾されるかまたは選択され得る。
【０４１８】
限定を目的としない例として、少なくとも１つの確保または取得された搬送サービスは、同時に、または同じもしくは類似の旅程（ｔｒｉｐ）中に実行することができる。限定を目的としない例として、少なくとも１つの代理人自動化プラットフォームは、限定はしないが、少なくとも１つの代理人選好、少なくとも１つの代理人の少なくとも１つのリアルタイムまたはほぼリアルタイムの地理的位置、またはそれらの組合せに基づいて、少なくとも１つの好ましい搬送サービス要求の少なくとも１つのルートを作成および／または最適化することができる。限定を目的としない例として、少なくとも１つの代理人自動化プラットフォームは、少なくとも１つのビジュアル、少なくとも１つのアプリケーション、少なくとも１つの中央サーバ、またはそれらの組合せ上で、少なくとも１つの好ましい搬送サービス要求を表示することができる。限定を目的としない例として、少なくとも１つの代理人自動化プラットフォームは、組み合わせるかまたは統合することができる、少なくとも１つのアプリケーション、少なくとも１つの端末、少なくとも１つの中央サーバ、少なくとも１つの外部サーバ、少なくとも１つのリンク、またはこれらの組み合わせを利用することができる。
【０４１９】
限定を目的としない例として、少なくとも１つの代理人自動化プラットフォームは、少なくとも１つのより良い好ましい搬送サービス要求または少なくとも１つのより良いフィルタリングされた搬送サービス要求が、限定はしないが、リアルタイムまたはほぼリアルタイム等で利用可能になった場合、少なくとも１つの確保または取得された好ましい搬送サービス要求または少なくとも１つの確保または取得されたフィルタリングされた搬送サービス要求の確保状態を解除するかまたはキャンセルすることができる。
【０４２０】
限定を目的としない例として、少なくとも１つの代理人自動化プラットフォームは、少なくとも１つの過去の搬送サービスに基づいて、少なくとも１つの他の地理的位置または少なくとも１つの他のエリアにおいおける、少なくとも１つの異なる搬送サービス要求を提案または推奨することができる。限定を目的としない例として、少なくとも１つの代理人自動化プラットフォームは、少なくとも１つの代理人が、少なくとも１つの特定の搬送業界セグメント選好および少なくとも１つのサービスレベル選好を少なくとも１つの代理人選好として選択し、少なくとも１つの価格設定選好を少なくとも１つの代理人選好ではない選好として選択した場合、高価格設定に基づいて、少なくとも１つの好ましい搬送サービス要求、少なくとも１つのフィルタリングされた搬送サービス要求、少なくとも１つの搬送サービス要求、またはそれらの組合せを提案または推奨することができる。限定を目的としない例として、少なくとも１つのアプリケーションは、少なくとも１つの好ましい搬送サービス要求以外の少なくとも１つの異なる搬送サービス要求を提案または推奨することができる。
【０４２１】
限定を目的としない例として、少なくとも１つの代理人自動化プラットフォームは、少なくとも１つのポップアップまたは少なくとも１つの通知から所与の時間経過した後に、少なくとも１つの好ましい搬送サービス要求を自動的に確保または取得することができる。限定を目的としない例として、少なくとも１つの代理人は、少なくとも１つのアプリケーション上で、スワイプするかまたは少なくとも１つの他のジェスチャを使用することによって、少なくとも１つの代理人自動化プラットフォームによって識別された少なくとも１つの好ましい搬送サービス要求を受諾するかまたは拒否することができる。限定を目的としない例として、少なくとも１つの代理人自動化プラットフォームは、少なくとも１つのニューラルネットワークを利用することができる。限定を目的としない例として、少なくとも１つの代理人自動化プラットフォームは、量子計算を利用することができる。限定を目的としない例として、少なくとも１つの代理人自動化プラットフォームは、少なくとも１つの好ましい搬送サービス要求または少なくとも１つのフィルタリングされた搬送サービス要求を表示することができ、少なくとも１つの代理人は、少なくとも１つの好ましい搬送サービス要求または少なくとも１つのフィルタリングされた搬送サービス要求を確保または取得することができる。限定を目的としない例として、２つ以上の好ましい搬送サービス要求を、少なくとも１人の代理人のために同時に確保または取得することができる。
【０４２２】
限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの自律車両自動化プラットフォームとともに少なくとも１つの代理人自動化プラットフォームを利用して、少なくとも１つの搬送サービスを容易にするかまたは実行することができる。限定を目的としない例として、少なくとも１つの代理人は、少なくとも１つの代理人自動化プラットフォームを利用して、少なくとも１つの搬送サービスの全部または一部を実行することができる。限定を目的としない例として、少なくとも１つの代理人は、少なくとも１つの代理人自動化プラットフォーム、少なくとも１つの自律車両自動化プラットフォーム、またはそれらの組み合わせを利用して、少なくとも１つの自律車両とともに、少なくとも１つの搬送サービスの全部または一部を実行することができる。限定を目的としない例として、少なくとも１つの代理人自動化プラットフォーム、少なくとも１つの自律車両自動化プラットフォーム、またはそれらの組合せを利用して、少なくとも１つの代理人は、少なくとも１つの搬送サービスの一部を実行することができ、少なくとも１つの自律車両は、少なくとも１つの搬送サービスの少なくとも１つの他の部分を実行することができる。
【０４２３】
「自律車両自動化プラットフォーム」
全体的にまたは部分的に自動化された少なくとも１つの自律車両自動化プラットフォームは、例えば、少なくとも１つの好ましい搬送サービス要求、好ましいと識別することができる少なくとも１つの自律車両、またはそれらの組合せを確保または取得するための少なくとも１つの操作または少なくとも１つの機能を容易にすることができる、少なくとも１つのシステムおよび／または少なくとも１つの方法であり得る。全体的にまたは部分的に自動化された少なくとも１つの自律車両自動化プラットフォームは、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両、またはそれらの組合せによって利用または操作することができる少なくとも１つのシステムおよび／または少なくとも１つの方法であり得る。少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せのために、またはそれらを基準に、車両利用を最適化することができる。
【０４２４】
少なくとも１つの自律車両自動化プラットフォームは、少なくとも１つのコンピュータプログラム製品であり得る。少なくとも１つの自律車両自動化プラットフォームは、少なくとも１つのルールベースのアプローチを利用することができる。少なくとも１つの自律車両自動化プラットフォームは、少なくとも１つのルールベースのシステム、少なくとも１つのルールベースの方法、またはそれらの組合せを利用することができる。少なくとも１つの自律車両自動化プラットフォームは、少なくとも１つのサービス型ソフトウェア（ＳａａＳ）であり得る。少なくとも１つの自律車両自動化プラットフォームは、少なくとも１つのサブスクリプションサービスであり得る。
【０４２５】
少なくとも１つの自律車両自動化プラットフォームは、少なくとも１つの自律車両を管理、制御、または操作することができる。全体的にまたは部分的に自動化された少なくとも１つの自律車両自動化プラットフォームは、例えば、少なくとも１つの自律車両、好ましいと識別され得る少なくとも１つの自律車両、またはそれらの組み合わせのために、またはそれらを基準に、少なくとも１つの好ましい搬送サービス要求を確保または取得するために、少なくとも１つの選択された選好、および、好ましくは、少なくとも１つの自律車両の少なくとも１つのリアルタイムまたはほぼリアルタイムの地理的位置に関連する少なくとも１つの搬送サービス要求を分析または評価することができる。少なくとも１つの好ましい搬送サービス要求が、少なくとも１つの自律車両のために、またはそれを基準に、確保または取得された場合、好ましいと識別できる少なくとも１つの自律車両も検討することができる。少なくとも１つの自律車両自動化プラットフォームによって確保され、取得され、または識別された任意の少なくとも１つの搬送サービス要求は、少なくとも１つの好ましい搬送サービス要求ととらえるか、または呼ぶことができる。
【０４２６】
全体的にまたは部分的に自動化された少なくとも１つの自律車両自動化プラットフォームは、例えば、少なくとも１つの好ましい搬送サービス要求のために、またはそれを基準に、少なくとも１つの自律車両、好ましいと識別され得る少なくとも１つの自律車両、またはそれらの組み合わせを確保または取得するために、少なくとも１つの選択された選好に関連する少なくとも１つの自律車両に関連する搬送データの全部または一部、および、好ましくは、少なくとも１つの自律車両の少なくとも１つのリアルタイムまたはほぼリアルタイムの地理的位置を分析または評価することができる。少なくとも１つの自律車両が検討された場合、フィルタリングすることができる少なくとも１つの自律車両、好ましいと識別することができる少なくとも１つの自律車両、またはそれらの組み合わせも検討することができる。少なくとも１つの自律車両自動化プラットフォームによって確保され、取得され、または識別される任意の少なくとも１つの自律車両は、好ましいと識別することができる少なくとも１つの自律車両ととらえるか、または呼ぶことができる。
【０４２７】
少なくとも１つの自律車両自動化プラットフォームは、少なくとも１つの自律車両への、または少なくとも１つの自律車両のための、少なくとも１つのルートまたは少なくとも１つの派遣指示を提供または識別することができる。少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはこれらの組み合わせに、またはそれらのために、の少なくとも１つのルートまたは少なくとも１つの派遣命令を、提供または識別することができる。少なくとも１つの自律車両自動化プラットフォームは、限定はしないが、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって使用され得る。
【０４２８】
少なくとも１つの自律車両自動化プラットフォームは、少なくとも１つの視点を有するか、または少なくとも１つの視点から利用することができる。少なくとも１つの自律車両自動化プラットフォームは、少なくとも１つの異なる視点から利用することができる。少なくとも１つの自律車両自動化プラットフォームは、少なくとも１つの視点を有するか、または少なくとも１つの視点から同時に利用することができる。少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等に関連する少なくとも１つの視点を有することができるかまたは利用することができる。少なくとも１つの自律車両自動化プラットフォームは、フリート性能を最適化することができ、少なくとも１つの効率的な方法で少なくとも１つの自律車両を制御または操作することができる。少なくとも１つの自律車両自動化プラットフォームは、少なくとも１つの単一の自律車両から少なくとも１つの自律車両の少なくとも１つのフリートへの視点をとることによって、フリート性能を最適化することができる。少なくとも１つの自律車両自動化プラットフォームは、パフォーマンスが低い少なくとも１つの自律車両を選出または識別し、その少なくとも１つの自律車両については少なくとも１つの選択された選好の度合いを強めることで、そのパフォーマンスが低い少なくとも１つの自律車両用の少なくとも１つの好ましい搬送サービス要求が確保または取得される可能性を高めることができる。
【０４２９】
少なくとも１つの自律車両自動化プラットフォームは、少なくとも１つのエンティティ、少なくとも１人の人、少なくとも１つのエンティティ、少なくとも１つのコンピュータ等を有することができ、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せの物流を管理することができる。少なくとも１つの自律車両自動化プラットフォームは、少なくとも１つのエンティティ、少なくとも１人の人、少なくとも１つのエンティティ、少なくとも１つのコンピュータ等に、少なくとも１つのバックエンドシステム、少なくとも１つのフロントエンドシステム、またはそれらの組合せ上の物流を管理させることができる。
【０４３０】
少なくとも１つの自律車両自動化プラットフォームは、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ等に関連する、少なくとも１つの好ましい搬送サービス要求、少なくとも１つの自律車両、好ましいと識別することができる少なくとも１つの自律車両、またはそれらの組合せを確保または取得することができる。少なくとも１つの好ましい搬送サービス要求は、少なくとも１つの自律車両、好ましいと識別することができる少なくとも１つの自律車両、またはそれらの組み合わせのために、またはそれらを基準に、確保または取得することができる。少なくとも１つの自律車両自動化プラットフォームは、少なくとも１つの第１の好ましい搬送サービス要求が、少なくとも１つの自律車両、好ましいと識別することができる少なくとも１つの自律車両、またはそれらの組合せのために、またはそれらを基準に、確保または取得された後に、少なくとも１つの後続または追加の好ましい搬送サービス要求を確保または取得することができる。
【０４３１】
少なくとも１つの自律車両自動化プラットフォームは、限定はしないが、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、少なくとも１つの外部サーバ、少なくとも１つの中央サーバ、少なくとも１つのアプリケーション、少なくとも１つのオーナアプリケーションまたはコントローラアプリケーション、またはそれらの組合せによって提供または供給された、少なくとも１つの好ましい搬送サービス要求、少なくとも１つの自律車両、好ましいと識別することができる少なくとも１つの自律車両、またはそれらの組合せを確保または取得することができる。少なくとも１つの自律車両自動化プラットフォームは、少なくとも１つの搬送業界セグメントにおいて、少なくとも１つの好ましい搬送サービス要求、少なくとも１つの自律車両、好ましいと識別することができる少なくとも１つの自律車両、またはそれらの組合せを確保または取得することができる。少なくとも１つの自律車両自動化プラットフォームは、少なくとも１つの自律車両または好ましいと識別することができる少なくとも１つの自律車両のために、少なくとも１つの異なる搬送業界セグメントにおいて、少なくとも１つの後続または追加の好ましい搬送サービス要求を確保または取得することができる。少なくとも１つの自律車両自動化プラットフォームは、好ましいと識別された少なくとも１つの自律車両のために、またはそれを基準に、少なくとも１つの異なる搬送業界セグメントにおいて、少なくとも１つの後続または追加の好ましい搬送サービス要求を、確保または取得することができる。
【０４３２】
少なくとも１つの自律車両自動化プラットフォームは、少なくとも１つの好ましい搬送サービス要求、少なくとも１つの自律車両、好ましいと識別することができる少なくとも１つの自律車両、またはそれらの組合せを、少なくとも１つの中央サーバ、少なくとも１つの外部サーバ、少なくとも１つのアプリケーション、少なくとも１つのオーナアプリケーションまたはコントローラアプリケーション、またはそれらの組合せ上で確保または取得することができる。少なくとも１つの自律車両自動化プラットフォームは、少なくとも１つの中央サーバ上で少なくとも１つの好ましい搬送サービス要求等を確保または取得し、少なくとも１つの他の中央サーバ上で好ましいと識別することができる少なくとも１つの自律車両等を確保または取得することができる。少なくとも１つの自律車両自動化プラットフォームは、以前に確保または取得された少なくとも１つの好ましい搬送サービス要求が拒否されるか、または利用可能でない場合に、好ましいと識別することができる少なくとも１つの自律車両のための別の少なくとも１つの好ましい搬送サービス要求を確保または取得することができる。
【０４３３】
少なくとも１つの自律車両自動化プラットフォームは、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ等のために、またはそれらとともに、少なくとも１つの自律車両の少なくとも１つのフリートを管理、操作、または制御することができる。少なくとも１つの自律車両自動化プラットフォームは、少なくとも１つの搬送サービスの全部または一部を容易にすることができる。少なくとも１つの自律車両自動化プラットフォームは、少なくとも１つの搬送サービスの一部を容易にし、少なくとも１つの搬送サービスの少なくとも１つの他の部分を外注することができる。少なくとも１つの自動車両自動化プラットフォームは、少なくとも１つの搬送サービスを容易にするために、少なくとも１つの代理人自動車両プラットフォームとともに利用することができる。少なくとも１つの自律車両自動化プラットフォームは、少なくとも１つの固有の識別子または少なくとも１つの固有の番号を使用して、少なくとも１つの自律車両を管理、操作、または制御することができる。
【０４３４】
少なくとも１つの自律車両自動化プラットフォームは、少なくとも１つの自律車両の少なくとも１つのリアルタイムまたはほぼリアルタイムの地理的位置の全部または一部が変更または更新された場合に、リアルタイムまたはほぼリアルタイムで、少なくとも１つの好ましい搬送サービス要求、少なくとも１つのフィルタリングされた搬送サービス要求、少なくとも１つの搬送サービス要求、少なくとも１つの自律車両に関連するフィルタリングされた搬送データの全部または一部、少なくとも１つの自律車両に関連する好ましい搬送データの全部または一部、またはそれらの組合せをリアルタイムまたはほぼリアルタイムで更新することができる。少なくとも１つの自律車両自動化プラットフォームは、少なくとも１つの自律車両の少なくとも１つのリアルタイムまたはほぼリアルタイムの地理的位置の全部または一部が更新または変更された場合に、好ましいと識別することができる少なくとも１つの新しいまたは異なる好ましい搬送サービス要求、または好ましいと識別することができる少なくとも１つの新しいまたは異なる自律車両を識別し、好ましくは確保または取得することができる。少なくとも１つの自律車両自動化プラットフォームは、交通情報が更新された場合に、少なくとも１つの好ましい搬送サービス要求、少なくとも１つのフィルタリングされた搬送サービス要求、少なくとも１つの搬送サービス要求、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、またはそれらの組合せを更新することができる。
【０４３５】
少なくとも１つの自律車両自動化プラットフォームは、リアルタイムまたはほぼリアルタイムで更新またはリフレッシュすることができ、最高の発展レベルまたは最新技術に更新またはリフレッシュされているものを指し得る。少なくとも１つの自律車両自動化プラットフォームは、リアルタイムまたはほぼリアルタイムで少なくとも１つの機能を実行することができ、最高の発展レベルまたは最新技術に更新またはリフレッシュされているものを指し得る。少なくとも１つの自律車両自動化プラットフォームは、少なくとも１つの選択された選好を使用して、好ましくは、少なくとも１つの好ましい搬送サービス要求のみを、好ましいと識別することができる少なくとも１つの自律車両のために、またはそれを基準に、確保または取得することができる。少なくとも１つの自律車両自動化プラットフォームは、少なくとも１つの選択された選好を適用して、好ましくは、少なくとも１つの好ましい搬送サービス要求のために、またはそれを基準に、好ましいと識別することができる少なくとも１つの自律車両のみを、確保または取得することを可能にすることができる。
【０４３６】
少なくとも１つの自律車両自動化プラットフォームは、少なくとも１つの自律車両が少なくとも１つの搬送サービスを実行または提供して少なくとも１つの自律車両の少なくとも１つのリアルタイムまたはほぼリアルタイムの地理的位置の全部または一部が更新または変更されている間に、少なくとも１つの搬送サービス要求をリアルタイムまたはほぼリアルタイムで繰り返しまたは連続的に分析または評価することができ、好ましくは、少なくとも１つの後続のまたは追加の好ましい搬送サービス要求を確保または取得することができる。少なくとも１つの自律車両自動化プラットフォームは、少なくとも１つの自律車両または好ましいと識別することができる少なくとも１つの自律車両が少なくとも１つの搬送サービスを実行または提供して少なくとも１つの自律車両の少なくとも１つのリアルタイムまたはほぼリアルタイムの地理的位置の全部または一部が更新または変更されている間に、少なくとも１つの自律車両、または少なくとも１つの自律車両に関連する搬送データの全部または一部をリアルタイムまたはほぼリアルタイムで繰り返しまたは連続的に分析または評価することができ、好ましくは、少なくとも１つの後続のまたは追加の好ましい搬送サービス要求を確保または取得することができる。
【０４３７】
少なくとも１つの自律車両自動化プラットフォームは、少なくとも１つの搬送サービスを実行している間に、限定はしないが、少なくとも１つの方向、少なくとも１つのルート、少なくとも１つの搬送クライアント、少なくとも１つの搬送サービス要求、少なくとも１つのフィルタリングされた搬送サービス要求、少なくとも１つの好ましい搬送サービス要求、少なくとも１つのサービス開始地理的位置、少なくとも１つのサービス終了地理的位置、交通情報、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、またはそれらの組み合わせを、更新するか、または少なくとも１つの自律車両、少なくとも１つの自律車両の少なくとも１つのオーナまたは少なくとも１つのコントローラ等に通知することができる。
【０４３８】
少なくとも１つの自律車両自動化プラットフォームは、限定はしないが、少なくとも１つの搬送サービス要求、少なくとも１つのフィルタリングされた搬送サービス要求、少なくとも１つの好ましい搬送サービス要求、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、少なくとも１つの自律車両の少なくとも１つのリアルタイムまたはほぼリアルタイムの地理的位置、少なくとも１つの選択された選好、またはそれらの組合せを、リアルタイムまたはほぼリアルタイムで繰り返しまたは連続的に分析または評価することによって、実行する少なくとも１つの搬送サービスの少なくとも１つの順序を更新または変更することができる。
【０４３９】
少なくとも１つの自律車両自動化プラットフォームは、少なくとも１つの確保または取得された好ましい搬送サービス要求、または少なくとも１つの確保または取得されたフィルタリングされた搬送サービス要求の確保状態を解除するかまたはキャンセルすることができる。少なくとも１つの自律車両自動化プラットフォームは、少なくとも１つの搬送サービス要求、少なくとも１つのフィルタリングされた搬送サービス要求、少なくとも１つの好ましい搬送サービス要求、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、少なくとも１つの自律車両、フィルタリングすることができる少なくとも１つの自律車両、好ましいと識別することができる少なくとも１つの自律車両、またはそれらの組合せの確保状態を解除するかまたはキャンセルすることができる。
【０４４０】
少なくとも１つの自律車両自動化プラットフォームは、少なくとも１つの搬送サービス要求、少なくとも１つのフィルタリングされた搬送サービス要求、少なくとも１つの好ましい搬送サービス要求、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、少なくとも１つの自律車両、フィルタリングすることができる少なくとも１つの自律車両、好ましいと識別することができる少なくとも１つの自律車両、またはそれらの組合せについて、少なくとも１つの中央サーバ、少なくとも１つの外部サーバ、少なくとも１つのアプリケーション、少なくとも１つのオーナアプリケーションまたはコントローラアプリケーション、またはそれらの組合せ上で、確保状態を解除するかまたはキャンセルすることができる。
【０４４１】
少なくとも１つの自律車両自動化プラットフォームは、機械学習技術等を実装または利用することができる。少なくとも１つの自律車両自動化プラットフォームは、機械学習技術等を実装または利用して、少なくとも１つの入力ソースによって供給または提供された情報またはデータを分析または評価することができる。少なくとも１つの自律車両自動化プラットフォームは、機械学習技術等を使用して、少なくとも１つの好ましい搬送サービス要求、少なくとも１つのフィルタリングされた搬送サービス要求、少なくとも１つの搬送サービス要求、好ましいと識別することができる少なくとも１つの自律車両、フィルタリングすることができる少なくとも１つの自律車両、少なくとも１つの自律車両、またはそれらの組合せを提案または推奨し、任意で確保または取得することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等は、少なくとも１つの自律車両自動化プラットフォームが少なくとも１つの提案または推奨を行うための、少なくとも１つの選択された選好をランク付けすることができる。
【０４４２】
少なくとも１つの自律車両自動化プラットフォームは、限定はしないが、少なくとも１つの過去の搬送サービス、少なくとも１つの過去のパターン、少なくとも１つの自律車両の少なくとも１つの傾向、現在のリアルタイムまたはほぼリアルタイムの環境、少なくとも１つの自律車両の少なくとも１つのリアルタイムまたはほぼリアルタイムの地理的位置、少なくとも１つの選択された選好、少なくとも１つの異なる選択された選好、少なくとも１つの選択された選好の少なくとも１つの異なる組合せ、またはそれらの組合せに基づいて、少なくとも１つの好ましい搬送サービス要求以外の少なくとも１つの異なる搬送サービス要求を提案または推奨することができる。少なくとも１つの自律車両自動化プラットフォームは、好ましいと識別することができる少なくとも１つの自律車両以外の少なくとも１つの異なる自律車両を提案または推奨することができる。
【０４４３】
少なくとも１つの自律車両自動化プラットフォームは、少なくとも１つの好ましい搬送サービス要求に加えて、または少なくとも１つの好ましい搬送サービス要求の代わりとして、少なくとも１つの代替または少なくとも１つの異なる搬送サービス要求を、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに提案し、推奨し、または通知することができる。少なくとも１つの異なる搬送サービス要求の少なくとも１つの提案または推奨によって、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せが、少なくとも１つの追加の搬送サービス要求を実行または提供するのを手助けすることができる。確保または取得された、少なくとも１つの自律車両自動化プラットフォームによって提案または推奨される任意の少なくとも１つの搬送サービス要求は、少なくとも１つの好ましい搬送サービス要求として識別することができる。確保または取得された、少なくとも１つの自律車両自動化プラットフォームによって提案または推奨される任意の少なくとも１つの自律車両は、好ましいと識別することができる少なくとも１つの自律車両として識別することができる。
【０４４４】
少なくとも１つの自律車両自動化プラットフォームは、部分的に自動化されている場合、少なくとも１つの自律車両の少なくとも１つのオーナまたは少なくとも１つのコントローラ、少なくとも１つのサービスプロバイダ等が、限定はしないが、少なくとも１つのアプリケーション、少なくとも１つのオーナアプリケーションまたはコントローラアプリケーション、少なくとも１つの中央サーバ、少なくとも１つの外部サーバ、またはそれらの組合せを使用して、少なくとも１つの好ましい搬送サービス要求を分析または評価し、次いで確保または取得することを可能にすることができる。対応する搬送データが関連付けられた少なくとも１つの好ましい搬送サービス要求、対応する搬送データが関連付けられた少なくとも１つのフィルタリングされた搬送サービス要求、少なくとも１つの自律車両に関連する好ましい搬送データの全部または一部、少なくとも１つの自律車両に関連するフィルタリングされた搬送データの全部または一部、またはそれらの組合せを、少なくとも１つの中央サーバから少なくとも１つのアプリケーションまたは少なくとも１つのオーナアプリケーションまたはコントローラアプリケーションに送信し、限定はしないが、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージングサービス、少なくとも１つのスマートメッセージングサービス、または少なくとも１つの拡張メッセージサービスとして表示することができる。
【０４４５】
少なくとも１つの自律車両の少なくとも１つのオーナまたは少なくとも１つのコントローラ、少なくとも１つのサービスプロバイダ等は、限定はしないが、少なくとも１つのアプリケーションまたは少なくとも１つのオーナアプリケーションまたはコントローラアプリケーション上に表示することができる、少なくとも１つの好ましい搬送サービス要求、少なくとも１つのフィルタリングされた搬送サービス要求、少なくとも１つの自律車両に関連する好ましい搬送データの全部または一部、少なくとも１つの自律車両に関連するフィルタリングされた搬送データの全部または一部、またはそれらの組合せを受諾するかまたは拒否することができる。
【０４４６】
少なくとも１つの自律車両の少なくとも１つのオーナまたは少なくとも１つのコントローラ、少なくとも１つのサービスプロバイダ等が、少なくとも１つの好ましい搬送サービス要求または少なくとも１つのフィルタリングされた搬送サービス要求を拒否した場合、少なくとも１つの新しいまたは異なる好ましい搬送サービス要求、または少なくとも１つの新しいまたは異なるフィルタリングされた搬送サービス要求を、少なくとも１つの自律車両自動化プラットフォームによって識別し、表示することができる。少なくとも１つの自律車両の少なくとも１つのオーナまたは少なくとも１つのコントローラ、少なくとも１つのサービスプロバイダ等が、好ましいと識別することができる少なくとも１つの自律車両またはフィルタリングすることができる少なくとも１つの自律車両として識別されることができる少なくとも１つの自律車両を拒否した場合、好ましいと識別することができる少なくとも１つの新しいまたは異なる自律車両またはフィルタリングすることができる少なくとも１つの新しいまたは異なる自律車両を、少なくとも１つの自律車両自動化プラットフォームによって識別し、表示することができる。
【０４４７】
限定を目的としない例として、少なくとも１つの好ましい搬送サービス要求、少なくとも１つのフィルタリングされた搬送サービス要求、少なくとも１つの搬送サービス要求、少なくとも１つの自律車両、フィルタリングすることができる少なくとも１つの自律車両、好ましいと識別することができる少なくとも１つの自律車両、またはそれらの組合せは、少なくとも１つの自律車両の少なくとも１つのオーナまたは少なくとも１つのコントローラによるいかなる対話等もなしに確保または取得することができる。限定を目的としない例として、少なくとも１つの自律車両自動化プラットフォームは、少なくとも１つの個々の搬送業界セグメントにおいて、少なくとも１つの自律車両、好ましいと識別され得る少なくとも１つの自律車両、またはそれらの組合せのために、またはそれらを基準に、少なくとも１つの好ましい搬送サービス要求を確保または取得することができる。限定を目的としない例として、少なくとも１つの自律車両自動化プラットフォームは、少なくとも１つの個々のサービスプロバイダに関連する、少なくとも１つの自律車両、好ましいと識別することができる少なくとも１つの自律車両、またはそれらの組合せのために、またはそれらを基準に、少なくとも１つの好ましい搬送サービス要求を確保または取得することができる。
【０４４８】
限定を目的としない例として、少なくとも１つの自律車両自動化プラットフォームは、少なくとも１つの好ましい搬送サービス要求以外の少なくとも１つのフィルタリングされた搬送サービス要求または少なくとも１つの搬送サービス要求を確保または取得することができる。限定を目的としない例として、少なくとも１つの自律車両自動化プラットフォームは、好ましいと識別することができる少なくとも１つの自律車両以外のフィルタリングすることができる少なくとも１つの自律車両または少なくとも１つの自律車両を確保または取得することができる。限定を目的としない例として、少なくとも１つの自律車両自動化プラットフォームは、少なくとも１つの自律車両の少なくとも１つのオーナまたは少なくとも１つのコントローラ、少なくとも１つのサービスプロバイダ等によって受諾または拒否され得る、少なくとも１つの中央サーバ、少なくとも１つのアプリケーション、少なくとも１つのオーナアプリケーションまたはコントローラアプリケーション、またはそれらの組み合わせによって識別された少なくとも１つの好ましい搬送サービス要求を、更新するか、または少なくとも１つの自律車両の少なくとも１つのオーナまたは少なくとも１つのコントローラ、少なくとも１つのサービスプロバイダ等に通知することができる。限定を目的としない例として、少なくとも１つの自律車両自動化プラットフォームによって識別される少なくとも１つの好ましい搬送サービス要求以外の少なくとも１つの異なる搬送サービスを、少なくとも１つの自律車両の少なくとも１つのオーナまたは少なくとも１つのコントローラ、少なくとも１つのサービスプロバイダ等によって、受諾するかまたは選択することができる。限定を目的としない例として、少なくとも１つの自律車両自動化プラットフォームによって識別され得る、好ましいと識別することができる少なくとも１つの自律車両以外の、少なくとも１つの異なる自律車両を、少なくとも１つの自律車両の少なくとも１つのオーナまたは少なくとも１つのコントローラ、少なくとも１つのサービスプロバイダ等によって受諾するかまたは選択することができる。
【０４４９】
限定を目的としない例として、少なくとも１つの自律車両自動化プラットフォームは、少なくとも１つの搬送サービスを容易にするために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって使用され得る。限定を目的としない例として、少なくとも１つの自律車両自動化プラットフォームは、少なくとも１つの搬送サービスを提供または実行するために少なくとも１つのサードパーティ等に少なくとも１つの自律車両を制御、管理、または操作させることによって、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等に利益をもたらすことができる。限定を目的としない例として、少なくとも１つの自律車両自動化プラットフォームは、少なくとも１つの搬送サービスを提供または実行するために、少なくとも１つのフリートマネージャ、少なくとも１つのサービスプロバイダ、少なくとも１つの商品サプライヤ、少なくとも１つの自律車両の少なくとも１つのオーナまたは少なくとも１つのコントローラ、少なくとも１つのロジスティクスプロバイダ、少なくとも１つのロジスティクスサプライヤ等に、少なくとも１つの自律車両を制御、管理、または操作させることによって、少なくとも１つのサードパーティ等に利益をもたらすことができる。
【０４５０】
限定を目的としない例として、少なくとも１つの確保または取得された搬送サービスは、同時に、または同じもしくは類似の旅程中に実行することができる。限定を目的としない例として、少なくとも１つの自律車両自動化プラットフォームは、限定はしないが、少なくとも１つの選択された選好、少なくとも１つの自律車両の少なくとも１つのリアルタイムまたはほぼリアルタイムの地理的位置、またはそれらの組合せに基づいて、少なくとも１つの好ましい搬送サービス要求の少なくとも１つのルートを作成および／または最適化することができる。限定を目的としない例として、少なくとも１つの自律車両自動化プラットフォームは、少なくとも１つのオーナアプリケーションまたはコントローラアプリケーション、少なくとも１つのアプリケーション、少なくとも１つの中央サーバ、少なくとも１つのビジュアル、またはそれらの組合せによって、少なくとも１つの好ましい搬送サービス要求または好ましいと識別することができる少なくとも１つの自律車両を示すことができる。限定を目的としない例として、少なくとも１つの自律車両自動化プラットフォームは、組み合わせるかまたは統合することができる、少なくとも１つのアプリケーション、少なくとも１つのオーナアプリケーションまたはコントローラアプリケーション、少なくとも１つの自律車両、少なくとも１つの端末、少なくとも１つの中央サーバ、少なくとも１つの外部サーバ、少なくとも１つのリンク、またはこれらの組み合わせを利用することができる。
【０４５１】
限定を目的としない例として、少なくとも１つの自律車両自動化プラットフォームは、少なくとも１つのより良い好ましい搬送サービス要求または少なくとも１つのより良いフィルタリングされた搬送サービス要求が、限定はしないが、リアルタイムまたはほぼリアルタイム等で利用可能になった場合に、少なくとも１つの確保または取得された好ましい搬送サービス要求または少なくとも１つの確保または取得されたフィルタリングされた搬送サービス要求の確保状態を解除するかまたはキャンセルすることができる。限定を目的としない例として、少なくとも１つの自律車両自動化プラットフォームは、好ましいと識別することができる少なくとも１つのより良い自律車両、またはフィルタリングすることができる少なくとも１つのより良い自律車両が、限定はしないが、リアルタイムまたはほぼリアルタイム等で利用可能になった場合に、好ましいと識別することができる確保または取得された自律車両、またはフィルタリングすることができる少なくとも１つの確保または取得された自律車両の確保状態を解除するかキャンセルすることができる。限定を目的としない例として、少なくとも１つの自律車両自動化プラットフォームは、好ましいと識別することができる少なくとも１つの自律車両が利用不可能であるか、または利用不可能になった場合に、好ましいと識別することができる少なくとも１つの自律車両の確保状態を解除するかまたはキャンセルすることができる。
【０４５２】
限定を目的としない例として、少なくとも１つの自律車両自動化プラットフォームは、少なくとも１つの過去の搬送サービスに基づいて、少なくとも１つの他の地理的位置または少なくとも１つの他のエリアにおける少なくとも１つの異なる搬送サービス要求を提案または推奨することができる。限定を目的としない例として、少なくとも１つの自律車両自動化プラットフォームは、少なくとも１つの自律車両の少なくとも１つのオーナまたは少なくとも１つのコントローラが、少なくとも１つの選択された選好として、少なくとも１つの特定の搬送業界セグメント選好および少なくとも１つのサービス選好レベルを選択した場合に、少なくとも１つの好ましい搬送サービス要求、少なくとも１つのフィルタリングされた搬送サービス要求、少なくとも１つの搬送サービス要求、少なくとも１つの自律車両、フィルタリングすることができる少なくとも１つの自律車両、好ましいと識別することができる少なくとも１つの自律車両、またはそれらの組合せを、高い搬送サービス要求密度に基づいて提案または推奨することができる。限定を目的としない例として、少なくとも１つの中央サーバ、少なくとも１つのアプリケーション、少なくとも１つのオーナアプリケーションまたはコントローラアプリケーション、またはそれらの組合せは、少なくとも１つの好ましい搬送サービス要求以外の少なくとも１つの異なる搬送サービス要求を提案または推奨することができる。限定を目的としない例として、少なくとも１つの中央サーバ、少なくとも１つのアプリケーション、少なくとも１つのオーナアプリケーションまたはコントローラアプリケーション、またはそれらの組合せは、好ましいと識別することができる少なくとも１つの自律車両以外の少なくとも１つの異なる自律車両を提案または推奨することができる。
【０４５３】
限定を目的としない例として、全体的にまたは部分的に自動化された少なくとも１つの自律車両自動化プラットフォームは、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せが、少なくとも１つの自律車両を少なくとも１つの搬送業界セグメントに統合するのを補助するための少なくとも１つのツールとして使用することができる。限定を目的としない例として、少なくとも１つの自律車両自動化プラットフォームは、少なくとも１つのオペレーションシステム、少なくとも１つのオペレーション方法、少なくとも１つのバックエンドオペレーションシステム、少なくとも１つのバックエンドオペレーション方法、またはそれらの組合せであり得る。
【０４５４】
限定を目的としない例として、少なくとも１つの自律車両自動化プラットフォームは、少なくとも１つのポップアップまたは少なくとも１つの通知から所与の時間経過した後に、少なくとも１つの好ましい搬送サービス要求、少なくとも１つの自律車両、好ましいと識別することができる少なくとも１つの自律車両、またはそれらの組合せを自動的に確保または取得することができる。限定を目的としない例として、少なくとも１つの自律車両の少なくとも１つのオーナまたは少なくとも１つのコントローラ等は、少なくとも１つのオーナアプリケーションまたはコントローラアプリケーションまたは少なくとも１つのアプリケーション上で、スワイプまたは少なくとも１つの他のジェスチャを使用することによって、少なくとも１つの自律車両自動化プラットフォームによって識別される、少なくとも１つの好ましい搬送サービス要求、少なくとも１つの自律車両、好ましいと識別することができる少なくとも１つの自律車両、またはそれらの組合せを受諾するかまたは拒否することができる。限定を目的としない例として、少なくとも１つの自律車両自動化プラットフォームは、少なくとも１つのニューラルネットワークを利用することができる。限定を目的としない例として、少なくとも１つの自律車両自動化プラットフォームは、量子計算を利用することができる。限定を目的としない例として、少なくとも１つの自律車両、好ましいと識別することができる少なくとも１つの自律車両、またはそれらの組み合わせのために、またはそれらを基準に、２つ以上の好ましい搬送サービス要求を同時に確保または取得することができる。
【０４５５】
限定を目的としない例として、少なくとも１つの自律車両自動化プラットフォームは、少なくとも１つの自律車両の少なくとも１つのフリートを管理、制御、または操作することができる。限定を目的としない例として、少なくとも１つの自律車両自動化プラットフォームは、少なくとも１つの自律車両の少なくとも１つのフリートを、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等のために、またはそれらとともに、管理、制御、または操作することができる。限定を目的としない例として、少なくとも１つの自律車両自動化プラットフォームは、少なくとも１つの自律車両の少なくとも１つのフリートのために、またはそれを基準に、少なくとも１つの好ましい搬送サービス要求を確保または取得することができる。限定を目的としない例として、少なくとも１つの自律車自動化プラットフォームは、少なくとも１つの好ましい搬送サービス要求のために、またはそれを基準に、好ましいと識別することができる少なくとも１つの自律車両の少なくとも１つのフリートを確保または取得することができる。
【０４５６】
限定を目的としない例として、少なくとも１つの自律車両自動化プラットフォームは、少なくとも１つの自律車両または少なくとも１つの自律車両の少なくとも１つのフリートに、少なくとも１つの固有の識別子または少なくとも１つの固有の番号を割り当てることができる。限定を目的としない例として、少なくとも１つの自律車両自動化プラットフォームは、少なくとも１つの自律車両または少なくとも１つの自律車両の少なくとも１つのフリートを管理、制御、または操作するために、少なくとも１つの固有の識別子または少なくとも１つの固有の番号を使用することができる。限定を目的としない例として、少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせを管理、制御、または操作するために、少なくとも１つの固有の識別子または少なくとも１つの固有の番号を使用することができる。
【０４５７】
限定を目的としない例として、少なくとも１つの自律車両自動化プラットフォームは、１つの自律車両からの視点をとることによって、フリート性能を最適化することができる。限定を目的としない例として、少なくとも１つの自律車両自動化プラットフォームは、複数の自律車両からの視点をとることによって、フリート性能を最適化することができる。限定を目的としない例として、少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せのために物流を管理するために、少なくとも１つのサードパーティにライセンスを与えるかまたは少なくとも１つのサードパーティを雇用することができる。
【０４５８】
限定を目的としない例として、少なくとも１つの自律車両自動化プラットフォームを利用して、少なくとも１つのロボットタクシーサービスを管理、制御、または操作することができる。限定を目的としない例として、少なくとも１つの自律車両自動化プラットフォームを利用して、少なくとも１つの食品配達サービスを管理、制御、または操作することができる。限定を目的としない例として、少なくとも１つの自律車両自動化プラットフォームを利用して、少なくとも１つの荷物配達サービスを管理、制御、または操作することができる。限定を目的としない例として、少なくとも１つの自律車両自動化プラットフォームを利用して、複数の搬送業界セグメントを管理、制御、または操作することができる。
【０４５９】
限定を目的としない例として、少なくとも１つの自律車両自動化プラットフォームは、少なくとも１つの入力ソース、または、例えば少なくとも１つのドライブナビゲーションアプリケーションといった、少なくとも１つのＡＰＩを統合または組み込むことができる。限定を目的としない例として、少なくとも１つの自律車両自動化プラットフォームは、少なくとも１つのルーティングサービスまたはマッピングサービスといった、少なくとも１つのサードパーティＡＰＩまたはサードパーティサービスからの情報またはデータを使用または利用することができる。限定を目的としない例として、少なくとも１つの自律車両自動化プラットフォームは、少なくとも１つの高精細度マップまたは少なくとも１つのマッピングプロバイダを統合または組み込むことができる。限定を目的としない例として、少なくとも１つの自律車両自動化プラットフォームは、少なくとも１つのサードパーティからの情報またはデータを統合することができる。限定を目的としない例として、少なくとも１つの自律車両自動化プラットフォームは、少なくとも１つのマッププロバイダからの情報またはデータを統合することができる。限定を目的としない例として、少なくとも１つの自律車両自動化プラットフォームは、少なくとも１つの「ネットワーク効果」によって改善することができる。
【０４６０】
限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの自律車両自動化プラットフォームを少なくとも１つの代理人自動化プラットフォームとともに利用して、少なくとも１つの搬送サービスを容易にするかまたは実行することができる。限定を目的としない例として、少なくとも１つの代理人は、少なくとも１つの自律車両自動化プラットフォームを利用して、少なくとも１つの自律車両とともに、少なくとも１つの搬送サービスの全部または一部を実行することができる。限定を目的としない例として、少なくとも１つの代理人は、少なくとも１つの自律車両自動化プラットフォームを利用する少なくとも１つの自律車両とともに、少なくとも１つの搬送サービスの全部または一部を実行することができる。限定を目的としない例として、少なくとも１つの自律車両自動化プラットフォームを利用することで、少なくとも１つの代理人は、少なくとも１つの搬送サービスの一部を実行することができ、少なくとも１つの自律車両は、少なくとも１つの搬送サービスの少なくとも１つの他の部分を実行することができる。
【０４６１】
限定を目的としない例として、少なくとも１つの自律車両自動化プラットフォームは、少なくとも１つの搬送サービスの少なくとも１つの搬送クライアントまたは少なくとも１つの受取人に、少なくとも１つの搬送サービスのための少なくとも１つのルートを選出または選択することを可能にするかまたは要求することができる。限定を目的としない例として、少なくとも１つの自律車両自動化プラットフォームは、少なくとも１つの好ましい搬送サービス要求を識別し、次いで、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等に関連する少なくとも１つの中央サーバ上で好ましいと識別することができる少なくとも１つの自律車両を確保することができる。限定を目的としない例として、少なくとも１つの自律車両自動化プラットフォームは、少なくとも１つの好ましい搬送サービス要求または好ましいと識別することができる少なくとも１つの自律車両を識別することができ、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等に関連する別のサーバ上で確保または取得することができる。
【０４６２】
限定を目的としない例として、少なくとも１つの自律車両自動化プラットフォームは、少なくとも１つのデータベーステーブルを利用して、少なくとも１つの好ましい搬送サービス要求をフィルタリングし、好ましくは識別することができる。限定を目的としない例として、少なくとも１つの自律車両自動化プラットフォームは、少なくとも１つのデータベーステーブルを使用して、好ましいと識別することができる少なくとも１つの自律車両をフィルタリングし、好ましくは識別することができる。限定を目的としない例として、少なくとも１つの自律車両自動化プラットフォームは、少なくとも１つのデータベーステーブルを使用して、少なくとも１つの好ましい搬送サービス要求および好ましいと識別することができる少なくとも１つの自律車両をフィルタリングし、好ましくは識別することができる。
【０４６３】
限定を目的としない例として、少なくとも１つの自律車両自動化プラットフォームは、例えば少なくとも１つの自動車事故といった少なくとも１つの交通ベースの情報を識別し、少なくとも１つの交通ベースの情報を少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのアプリケーション、少なくとも１つのオーナアプリケーションまたはコントローラアプリケーション、少なくとも１つの中央サーバ、またはそれらの組合せに通信することができる。
【０４６４】
限定を目的としない例として、少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせに関連する少なくとも１つの中央サーバと通信するか、または接続することができる。限定を目的としない例として、少なくとも１つの自律車両自動化プラットフォームは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせに関連する少なくとも１つの他の中央サーバと通信するか、または接続することができる。限定を目的としない例として、少なくとも１つの自律車両自動化プラットフォームは、少なくとも１つの自律車両自動化プラットフォームを管理、制御、または操作するための１つの中央サーバ、フリートマネージャに関連付けられた１つの中央サーバ、およびサービスプロバイダに関連付けられた別の中央サーバという、３つの中央サーバと通信または接続することができる。
【０４６５】
以下は、様々な当事者またはエンティティによって使用される少なくとも１つの本発明の異なる例である：
【０４６６】
限定を目的としない例として、少なくとも１つの独立したサードパーティは、少なくとも１つの本発明を所有または開発することができ、限定はしないが、少なくとも１つのソフトウェア、少なくとも１つのサービス型ソフトウェア（ＳａａＳ）、少なくとも１つのサブスクリプションサービス、少なくとも１つの技術、少なくとも１つの自律車両自動化プラットフォーム、少なくとも１つの代理人自動化プラットフォーム、少なくとも１つのシステム、少なくとも１つの方法、またはそれらの組合せの全部または一部のライセンスを、少なくとも１つのＯＥＭに与えることができ、少なくとも１つのＯＥＭは、少なくとも１つの本発明を制御、管理、または操作することができる。限定を目的としない例として、独立会社Ａは、少なくとも１つの本発明を所有または開発することができ、少なくとも１つの自律車両自動化プラットフォームのライセンスをＯＥＭ会社Ｂに与えることができ、ＯＥＭ会社Ｂは、バックエンドロジスティクスを制御、管理、または操作することができる。限定を目的としない例として、独立会社Ａは、少なくとも１つの本発明を所有または開発することができ、少なくとも１つの自律車両自動化プラットフォームのライセンスを複数のＯＥＭ会社に与えることができ、複数のＯＥＭ会社は、バックエンドロジスティクスを制御、管理、または操作することができる。
【０４６７】
限定を目的としない例として、少なくとも１つの独立したサードパーティは、少なくとも１つのＯＥＭのために、限定はしないが、少なくとも１つのソフトウェア、少なくとも１つのサービス型ソフトウェア（ＳａａＳ）、少なくとも１つのサブスクリプションサービス、少なくとも１つの技術、少なくとも１つの自律車両自動化プラットフォーム、少なくとも１つの代理人自動化プラットフォーム、少なくとも１つのシステム、少なくとも１つの方法、またはそれらの組合せの全部または一部を含む、少なくとも１つの本発明を所有し、管理し、かつ／または操作することができる。限定を目的としない例として、独立会社Ａは、少なくとも１つの自律車両自動化プラットフォームを所有またはライセンスすることができ、独立会社Ａは、ＯＥＭ会社Ｂのバックエンドロジスティクスを制御、管理、または操作することができる。限定を目的としない例として、独立会社Ａは、少なくとも１つの自律車両自動化プラットフォームを所有またはライセンスすることができ、独立会社Ａは、複数のＯＥＭ会社のバックエンドロジスティクスを制御、管理、または操作することができる。
【０４６８】
限定を目的としない例として、少なくとも１つのＯＥＭは、限定はしないが、少なくとも１つのソフトウェア、少なくとも１つのサービス型ソフトウェア（ＳａａＳ）、少なくとも１つのサブスクリプションサービス、少なくとも１つの技術、少なくとも１つの自律車両自動化プラットフォーム、少なくとも１つの代理人自動化プラットフォーム、少なくとも１つのシステム、少なくとも１つの方法、またはそれらの組合せの全部または一部を含む、少なくとも１つの本発明を所有またはライセンスすることができ、少なくとも１つのＯＥＭは、自身のＯＥＭ搬送ネットワーク上で少なくとも１つの本発明を制御、管理、または操作することができる。限定を目的としない例として、ＯＥＭ会社Ｃは、少なくとも１つの自律車両自動化プラットフォームを所有またはライセンスすることができ、ＯＥＭ会社Ｃは、自社の搬送ネットワークのバックエンドロジスティクスを制御、管理、または操作することができる。限定を目的としない例として、ＯＥＭ会社Ｃは、少なくとも１つの自律車両自動化プラットフォームを所有またはライセンスすることができ、ＯＥＭ会社Ｃは、自社の搬送ネットワーク上の複数の搬送業界セグメントにおけるバックエンドロジスティクスを制御、管理、または操作することができる。
【０４６９】
限定を目的としない例として、少なくとも１つのＯＥＭは、限定はしないが、少なくとも１つのソフトウェア、サービス型ソフトウェア（ＳａａＳ）、少なくとも１つのサブスクリプションサービス、少なくとも１つの技術、少なくとも１つの自律車両自動化プラットフォーム、少なくとも１つの代理人自動化プラットフォーム、少なくとも１つのシステム、少なくとも１つの方法、またはそれらの組合せの全部または一部を含む、少なくとも１つの本発明を所有またはライセンスすることができ、少なくとも１つのＯＥＭは、少なくとも１つの他の搬送ネットワーク上で少なくとも１つの本発明を制御、管理、または操作することができる。限定を目的としない例として、ＯＥＭ会社Ｃは、少なくとも１つの自律車両自動化プラットフォームを所有またはライセンスすることができ、ＯＥＭ会社Ｃは、サービスプロバイダ会社Ａの搬送ネットワークのバックエンドロジスティクスを制御、管理、または操作することができる。限定を目的としない例として、ＯＥＭ会社Ｃは、少なくとも１つの自律車両自動化プラットフォームを所有またはライセンスすることができ、ＯＥＭ  会社  Ｃは、他の複数のサービスプロバイダの搬送ネットワークのバックエンドロジスティクスを制御、管理、または操作することができる。
【０４７０】
限定を目的としない例として、少なくとも１つのサービスプロバイダ等は、限定はしないが、少なくとも１つのソフトウェア、少なくとも１つのサービス型ソフトウェア（ＳａａＳ）、少なくとも１つのサブスクリプションサービス、少なくとも１つの技術、少なくとも１つの自律車両自動化プラットフォーム、少なくとも１つの代理人自動化プラットフォーム、少なくとも１つのシステム、少なくとも１つの方法、またはそれらの組合せの全部または一部を含む、少なくとも１つの本発明を所有またはライセンスすることができ、少なくとも１つのサービスプロバイダ等は、自身のサービスプロバイダ搬送ネットワーク等上で少なくとも１つの本発明を制御、管理、または操作することができる。限定を目的としない例として、サービスプロバイダ会社Ｂは、少なくとも１つの自律車両自動化プラットフォームを所有またはライセンスすることができ、サービスプロバイダ会社Ｂは、自身の搬送ネットワークのためにバックエンドロジスティクスを制御、管理、または操作することができる。限定を目的としない例として、サービスプロバイダ会社Ｂは、少なくとも１つの自律車両自動化プラットフォームを所有またはライセンスすることができ、サービスプロバイダ会社Ｂは、自身の搬送ネットワーク上で複数の搬送業界セグメントにおけるバックエンドロジスティクスを制御、管理、または操作することができる。
【０４７１】
限定を目的としない例として、少なくとも１つのサービスプロバイダ等は、限定はしないが、少なくとも１つのソフトウェア、サービス型ソフトウェア（ＳａａＳ）、少なくとも１つのサブスクリプションサービス、少なくとも１つの技術、少なくとも１つの自律車両自動化プラットフォーム、少なくとも１つの代理人自動化プラットフォーム、少なくとも１つのシステム、少なくとも１つの方法、またはそれらの組合せの全部または一部を含む、少なくとも１つの本発明を所有またはライセンスすることができ、少なくとも１つの独立したサードパーティは、サービスプロバイダ搬送ネットワーク等上で少なくとも１つの本発明を制御、管理、または操作することができる。限定を目的としない例として、サービスプロバイダ会社Ｃは、少なくとも１つの自律車両自動化プラットフォームを所有またはライセンスすることができ、独立会社Ｂは、サービスプロバイダ会社Ｃの搬送ネットワークのバックエンドロジスティクスを制御、管理、または操作することができる。限定を目的としない例として、サービスプロバイダ会社Ｃは、少なくとも１つの自律車両自動化プラットフォームを所有またはライセンスすることができ、独立会社Ｂは、複数のサービスプロバイダ搬送ネットワークのバックエンドロジスティクスを制御、管理、または操作することができる。
【０４７２】
「視覚的表現」
少なくとも１つの視覚的表現は、少なくとも１つの代理人が、例えば、少なくとも１つの地理的マップ上で少なくとも１つの搬送サービス要求または少なくとも１つの搬送サービス要求メトリック（ｍｅｔｒｉｃ）を分析または評価して、少なくとも１つの好ましい搬送サービス要求を確保または取得するのを手助けするために使用される少なくとも１つのツールであり得る。少なくとも１つの視覚的表現は、限定はしないが、少なくとも１つの視点、少なくとも１つの基準点、少なくとも１つの関心点、またはそれらの組み合わせから見ることができる。
【０４７３】
少なくとも１つの視覚的表現は、例えば、限定はしないが、対応する搬送データが関連付けられた少なくとも１つの好ましい搬送サービス要求、対応する搬送データが関連付けられた少なくとも１つのフィルタリングされた搬送サービス要求、対応する搬送データが関連付けられた少なくとも１つの搬送サービス要求、少なくとも１つのそれぞれの要求に関連する少なくとも１つのメトリック、少なくとも１つの代理人の少なくとも１つのリアルタイムまたはほぼリアルタイムの地理的位置、少なくとも１つの自律車両の少なくとも１つのリアルタイムまたはほぼリアルタイムの地理的位置、少なくとも１つの自律車両の少なくとも１つのオーナまたは少なくとも１つのコントローラの少なくとも１つのリアルタイムまたはほぼリアルタイムの地理的位置、少なくとも１つのサービスプロバイダの少なくとも１つのリアルタイムまたはほぼリアルタイムの地理的位置、少なくとも１つの商品サプライヤの少なくとも１つのリアルタイムまたはほぼリアルタイムの地理的位置、少なくとも１つのフリートマネージャの少なくとも１つのリアルタイムまたはほぼリアルタイムの地理的位置、少なくとも１つの搬送クライアントの少なくとも１つのリアルタイムまたはほぼリアルタイムの地理的位置、少なくとも１つのロジスティクスプロバイダの少なくとも１つのリアルタイムまたはほぼリアルタイムの地理的位置、少なくとも１つのロジスティクスサプライヤの少なくとも１つのリアルタイムまたはほぼリアルタイムの地理的位置、少なくとも１つの選択された選好、少なくとも１つの代理人選好、またはそれらの組み合わせを表示することができる少なくとも１つの地理的マップであり得る。少なくとも１つの視覚的表現は、例えば、限定はしないが、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、またはそれらの組合せを表示することができる少なくとも１つの地理的マップであり得る。
【０４７４】
少なくとも１つの視覚的表現は、例えば、限定はしないが、対応する搬送データ関連付けられた少なくとも１つの好ましい搬送サービス提供、対応する搬送データが関連付けられた少なくとも１つのフィルタリングされた搬送サービス提供、対応する搬送データが関連付けられた少なくとも１つの搬送サービス提供、少なくとも１つのそれぞれの提供に関連する少なくとも１つのメトリック、またはそれらの組合せを表示することができる少なくとも１つの地理的マップであり得る。
【０４７５】
少なくとも１つの視覚的表現は、少なくとも１つの自律車両内または自律車両上に表示することができる。少なくとも１つの自律車両の少なくとも１つのルートまたは少なくとも１つの経路を示すために、少なくとも１つの自律車両内または自律車両上に少なくとも１つの視覚的表現を表示することができる。少なくとも１つの視覚的表現は、少なくとも１つの自律車両内の少なくとも１つの搬送クライアントによって利用され得る。少なくとも１つの視覚的表現は、少なくとも１つのコマーシャルまたは少なくとも１つの広告を有するか、またはそれに関連付けることができる。少なくとも１つの視覚的表現は、少なくとも１つのインタラクティブマップであり得る。少なくとも１つの視覚的表現は、少なくとも１つの搬送クライアントによって使用され得る少なくとも１つのインタラクティブマップであり得る。少なくとも１つの視覚的表現は、少なくとも１つの搬送クライアントが、限定はしないが、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、少なくとも１つの自律車両、またはそれらの組合せと通信するために使用することができる少なくとも１つのインタラクティブマップであり得る。
【０４７６】
少なくとも１つの視覚的表現は、限定はしないが、少なくとも１つのアプリケーション、少なくとも１つの中央サーバ、少なくとも１つのオーナアプリケーションまたはコントローラアプリケーション、少なくとも１つのリモートディスプレイ、またはそれらの組み合わせ上に表示することができる。少なくとも１つの視覚的表現は、好ましくは視覚的な、任意の形式またはフォーマットとすることができる。少なくとも１つの視覚的表現のコンポーネントの形態、フォーマット、および順序における少なくとも１つの変形は、本発明の範囲内である。少なくとも１つの視覚的表現は、リアルタイムまたはほぼリアルタイムで更新またはリフレッシュすることができ、最高の発展レベルまたは最新技術に更新またはリフレッシュされているものを指し得る。少なくとも１つの視覚的表現は、リアルタイムまたはほぼリアルタイムで少なくとも１つの機能を実行することができ、最高の発展レベルまたは最新技術に更新またはリフレッシュされているものを指し得る。
【０４７７】
少なくとも１つの視覚的表現は、少なくとも１つの地理的マップ上に、限定はしないが、少なくとも１つの搬送業界セグメントにおける少なくとも１つの搬送サービス要求、少なくとも１つの搬送サービス要求メトリック、またはそれらの組合せを表示することができる。少なくとも１つの視覚的表現は、限定はしないが、少なくとも１つの地理的マップ上に、少なくとも１つのサービスプロバイダに関連する、少なくとも１つの搬送サービス要求、少なくとも１つの搬送サービス要求メトリック、またはそれらの組合せを表示することができる少なくとも１つのツールであり得る。少なくとも１つの視覚的表現は、少なくとも１つの代理人または少なくとも１つの自律車両から少なくとも１つのサービス開始地理的位置への、次いで少なくとも１つのサービス終了地理的位置への少なくとも１つのルートを表示することができる。
【０４７８】
少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを、少なくとも１つのサービス選好レベルを表示することができる少なくとも１つの視覚的表現上に、またはそれとともに表示することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを、少なくとも１つのサービス選好レベルを表示することができる少なくとも１つの動的マップ上に、またはそれとともに表示することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを、少なくとも１つのサービス選好レベルを表示することができる少なくとも１つのヒートマップ上に、またはそれとともに表示することができる。
【０４７９】
限定を目的としない例として、少なくとも１つの視覚的表現は、限定はしないが、少なくとも１つの動的マップ、少なくとも１つのリアルタイムまたはほぼリアルタイムのヒートマップ、少なくとも１つの過去のヒートマップ、少なくとも１つの予測ヒートマップ、またはそれらの組み合わせであり得る。限定を目的としない例として、少なくとも１つの視覚的表現は、限定はしないが、少なくとも１つのマッププロバイダサーバ等の少なくとも１つのサードパーティサーバ上でコンパイルすることができる。限定を目的としない例として、少なくとも１つの視覚的表現は、少なくとも１つのマッププロバイダからの情報またはデータを用いてコンパイルすることができる。限定を目的としない例として、少なくとも１つの代理人等は、少なくとも１つの視覚的表現を使用して、少なくとも１つのサービスプロバイダからの価格情報または少なくとも１つの他のメトリックを分析または評価することができる。
【０４８０】
限定を目的としない例として、少なくとも１つの視覚的表現は、組み合わせるかまたは統合することができる、少なくとも１つのアプリケーション、少なくとも１つのオーナアプリケーションまたはコントローラアプリケーション、少なくとも１つの自律車両、少なくとも１つの端末、少なくとも１つの中央サーバ、少なくとも１つの外部サーバ、少なくとも１つのリンク、またはそれらの組み合わせを利用することができる。
【０４８１】
限定を目的としない例として、少なくとも１つの視覚的表現を使用して、少なくとも１つの個々の搬送業界セグメントに関連する少なくとも１つのメトリックを示すことができる少なくとも１つの地理的マップ上の少なくとも１つのエリアを分析または評価することができる。限定を目的としない例として、少なくとも１つの視覚的表現を使用して、少なくとも１つの個々のサービスプロバイダに関連する少なくとも１つのメトリックを示すことができる少なくとも１つの地理的マップ上の少なくとも１つのエリアを分析または評価することができる。限定を目的としない例として、少なくとも１つの視覚的表現は、例えば、少なくとも１つの自律車両フリートの少なくとも１つのリアルタイムまたはほぼリアルタイムの地理的位置を表示することができる少なくとも１つの地理的マップであり得る。
【０４８２】
「アプリケーション」
少なくとも１つのアプリケーションは、例えば、少なくとも１つの好ましい搬送サービス要求、好ましいと識別することができる少なくとも１つの自律車両、またはそれらの組合せを確保または取得するための少なくとも１つの操作または少なくとも１つの機能を容易にすることができる少なくとも１つのソフトウェアであり得る。少なくとも１つのアプリケーションは、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用または操作することができる少なくとも１つのソフトウェアであり得る。少なくとも１つのアプリケーションは、例えば、少なくとも１つのコンピュータアプリケーション、少なくとも１つのコンピュータプログラム、少なくとも１つのＡＰＩ、少なくとも１つのウェブサイト、少なくとも１つのウェブアプリケーション、少なくとも１つのスマートフォンアプリケーション、少なくとも１つのクラウドアプリケーション、少なくとも１つのサービス等といった少なくとも１つのソフトウェアであり得る。
【０４８３】
少なくとも１つのアプリケーションは、限定はしないが、例えば、対応する搬送データが関連付けられた少なくとも１つの好ましい搬送サービス要求、少なくとも１つの自律車両に関連する好ましい搬送データの全部または一部、少なくとも１つの自律車両の少なくとも１つのリアルタイムまたはほぼリアルタイムの地理的位置の全部または一部、またはそれらの組合せの分析、評価、確保、取得、受諾、拒否、キャンセル、表示、通信、またはそれらの組合せを容易にすることができるソフトウェアであり得る。少なくとも１つのアプリケーションは、限定はしないが、任意の適切な有形または無形の表現媒体等の任意の形式またはフォーマットで提供することができ、好ましくは、少なくとも１つの電子形式で提供することができる。少なくとも１つのアプリケーションは、限定はしないが、少なくとも１つの中央サーバ、少なくとも１つのリンク、少なくとも１つの外部サーバ、少なくとも１つの商品サプライヤ、少なくとも１つの自律車両、少なくとも１つのオーナアプリケーションまたはコントローラアプリケーション、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはこれらの組合せに関連付けることができる。
【０４８４】
少なくとも１つのアプリケーションは、限定はしないが、少なくとも１つの中央サーバ、少なくとも１つの外部サーバ、少なくとも１つの商品サプライヤ、少なくとも１つの自律車両、少なくとも１つの端末、少なくとも１つのオーナアプリケーションまたはコントローラアプリケーション、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つの代理人、少なくとも１つの搬送クライアント、またはそれらの組合せに伝えるか、またはそれらと通信するのに適したソフトウェアであり得る。少なくとも１つのアプリケーションは、限定はしないが、少なくとも１つの端末、少なくとも１つの中央サーバ、少なくとも１つの外部サーバ、またはそれらの組合せ上で動作することができる。少なくとも１つのアプリケーションは、少なくとも１つの異なるフォーマットで構成された、対応する搬送データが関連付けられた少なくとも１つの搬送サービス要求、少なくとも１つの自律車両に関連する搬送データの全部または一部、少なくとも１つの自律車両の少なくとも１つのリアルタイムまたはほぼリアルタイムの地理的位置の全部または一部、またはそれらの組合せを、少なくとも１つの一様なフォーマットに標準化または変換することができる。少なくとも１つの代理人は、少なくとも１つのアプリケーションに、少なくとも１つの代理人選好を入力または提供することができる。
【０４８５】
少なくとも１つのアプリケーションは、限定はしないが、少なくとも１つの端末の少なくとも１つの地理的位置モジュールを使用して、少なくとも１つの代理人の少なくとも１つのリアルタイムまたはほぼリアルタイムの地理的位置、少なくとも１つの自律車両の少なくとも１つのリアルタイムまたはほぼリアルタイムの地理的位置、少なくとも１つのサービスプロバイダの少なくとも１つのリアルタイムまたはほぼリアルタイムの地理的位置、少なくとも１つの商品サプライヤの少なくとも１つのリアルタイムまたはほぼリアルタイムの地理的位置、少なくとも１つのフリートマネージャの少なくとも１つのリアルタイムまたはほぼリアルタイムの地理的位置、少なくとも１つのロジスティクスプロバイダの少なくとも１つのリアルタイムまたはほぼリアルタイムの地理的位置、少なくとも１つのロジスティクスサプライヤの少なくとも１つのリアルタイムまたはほぼリアルタイムの地理的位置、少なくとも１つの自律車両の少なくとも１つのオーナまたは少なくとも１つのコントローラの少なくとも１つのリアルタイムまたはほぼリアルタイムの地理的位置、またはこれらの組み合わせを提供することができる。少なくとも１つのアプリケーションによって入力または発見された情報および／またはデータをキャッシュすることができる。少なくとも１つのアプリケーションは、リアルタイムまたはほぼリアルタイムで更新またはリフレッシュすることができ、最高の発展レベルまたは最新技術に更新またはリフレッシュされているものを指し得る。少なくとも１つのアプリケーションは、リアルタイムまたはほぼリアルタイムで少なくとも１つの機能を実行することができ、最高の発展レベルまたは最新技術に更新またはリフレッシュされることを指すことができる。
【０４８６】
少なくとも１つのアプリケーションは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別することができる少なくとも１つの確保または取得された自律車両、またはそれらの組合せを含む情報またはデータを通信することができる。少なくとも１つのアプリケーションは、情報またはデータの全部または一部を、少なくとも１つの中央サーバ、少なくとも１つの外部サーバ、少なくとも１つのアプリケーション、少なくとも１つのオーナアプリケーションまたはコントローラアプリケーション、少なくとも１つの自律車両、またはそれらの組合せと通信することができる。
【０４８７】
少なくとも１つのアプリケーションは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別できる少なくとも１つの確保または取得された自律車両、またはそれらの組合せを、一緒にまたは別々にフィルタリングおよび識別することができる。
【０４８８】
少なくとも１つのアプリケーションは、例えば、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せを確保または取得するための少なくとも１つの操作または少なくとも１つの機能を容易にすることができる少なくとも１つのソフトウェアであり得る。
【０４８９】
少なくとも１つのアプリケーションを使用して、少なくとも１つの好ましい搬送サービス要求、好ましいと識別することができる少なくとも１つの自律車両、少なくとも１つの自律車両に関連する好ましい搬送データの全部または一部、またはそれらの組合せを分析、評価、確保、取得、受諾、拒否、取り消し、または通信することができる。少なくとも１つのアプリケーションは、限定はしないが、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せによって使用され得る。少なくとも１つのアプリケーションは、限定はしないが、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって使用、アクセス、制御、または操作することで、任意で、少なくとも１つの好ましい搬送サービス要求、好ましいと識別することができる少なくとも１つの自律車両、またはそれらの組合せを分析または評価し、次いで、好ましくは、確保または取得することができる。
【０４９０】
少なくとも１つのアプリケーションは、少なくとも１つの視覚的表現を表示することができる。少なくとも１つのアプリケーションは、少なくとも１つの確保または取得された好ましい搬送サービス要求、好ましいと識別することができる少なくとも１つの確保または取得された自律車両、少なくとも１つの自律車両に関連する好ましい搬送データの全部または一部、またはそれらの組合せを表示することができる。少なくとも１つのアプリケーションは、受諾または拒否され得る、少なくとも１つの好ましい搬送サービス要求、好ましいと識別することができる少なくとも１つの自律車両、少なくとも１つの自律車両に関連する好ましい搬送データの全部または一部、またはそれらの組合せを表示することができる。少なくとも１つのアプリケーションは、限定はしないが、少なくとも１つの搬送サービス要求、少なくとも１つのフィルタリングされた搬送サービス要求、少なくとも１つの好ましい搬送サービス要求、またはそれらの組合せに関連する搬送データを表示することができる。少なくとも１つのアプリケーションは、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、またはそれらの組合せを表示することができる。
【０４９１】
限定を目的としない例として、限定はしないが、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せによって使用される、少なくとも１つのアプリケーションの少なくとも１つの異なる変形が存在し得る。限定を目的としない例として、少なくとも１つのアプリケーションは、少なくとも１つの端末の少なくとも１つの慣性測定ユニット（ＩＭＵ）読み取り値を少なくとも１つの中央サーバに送信して、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せの少なくとも１つの向きまたは少なくとも１つの方向を決定することができる。限定を目的としない例として、少なくとも１つのアプリケーションは、限定はしないが、少なくとも１つのモバイルアプリケーション、少なくとも１つの非モバイルアプリケーション、少なくとも１つのウェブサイト、少なくとも１つのプラグイン、またはそれらの組み合わせの少なくとも１つの形態であり得る。
【０４９２】
限定を目的としない例として、少なくとも１つのアプリケーションは、少なくとも１つの中央サーバ、少なくとも１つの外部サーバ、少なくとも１つのオーナアプリケーションまたはコントローラアプリケーション、またはそれらの組合せ上で動作することができる。限定を目的としない例として、少なくとも１つのアプリケーションは、少なくとも１つの中央サーバ機能または少なくとも１つの外部サーバ機能を実行することができる。限定を目的としない例として、少なくとも１つのアプリケーションは、少なくとも１つの中央サーバ機能または少なくとも１つの外部サーバ機能と同様の少なくとも１つの機能を実行して、少なくとも１つの好ましい搬送サービス要求、好ましいと識別することができる少なくとも１つの自律車両、少なくとも１つの自律車両に関連する好ましい搬送データの全部または一部、またはそれらの組合せを識別することができる。限定を目的としない例として、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せによって使用される少なくとも１つの異なるアプリケーションが存在し得る。
【０４９３】
限定を目的としない例として、対応する搬送データが関連付けられた少なくとも１つの好ましい搬送サービス要求、好ましいと識別することができる少なくとも１つの自律車両、少なくとも１つの自律車両に関連する好ましい搬送データの全部または一部、またはそれらの組合せを、少なくとも１つのアプリケーションに送信することができ、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージングサービス、少なくとも１つのスマートメッセージングサービス、少なくとも１つの拡張メッセージサービス、またはそれらの組合せとして表示することができる。
【０４９４】
限定を目的としない例として、少なくとも１つのアプリケーションは、少なくとも１つの好ましい搬送サービス要求、少なくとも１つのフィルタリングされた搬送サービス要求、少なくとも１つの搬送サービス要求、好ましいと識別することができる少なくとも１つの自律車両、フィルタリングすることができる少なくとも１つの自律車両、少なくとも１つの自律車両、フィルタが可能な少なくとも１つの自律車両、またはそれらの組み合わせを確保または取得し、少なくとも１つの中央サーバ、少なくとも１つの外部サーバ、少なくとも１つのアプリケーション、少なくとも１つのオーナアプリケーションまたはコントローラアプリケーション、少なくとも１つの自律車両の少なくとも１つのオーナまたはコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せと直接または間接的に通信することができる。
【０４９５】
限定を目的としない例として、少なくとも１つのアプリケーションは、少なくとも１つの好ましい搬送サービス要求、少なくとも１つのフィルタリングされた搬送サービス要求、またはそれらの組合せを確保または取得することができ、少なくとも１つの中央サーバを介して少なくとも１つの外部サーバと間接的に通信することができる。限定を目的としない例として、少なくとも１つのアプリケーションは、少なくとも１つの好ましい搬送サービス要求、少なくとも１つのフィルタリングされた搬送サービス要求、またはそれらの組合せを確保または取得することができ、少なくとも１つの外部サーバ、少なくとも１つのサービスプロバイダ等と直接通信することができる。限定を目的としない例として、少なくとも１つのアプリケーションは、少なくとも１つのサービスプロバイダアプリケーション等であり得る。
【０４９６】
限定を目的としない例として、少なくとも１つのアプリケーションは、好ましいと識別することができる少なくとも１つの自律車両、フィルタリングすることができる少なくとも１つの自律車両、またはそれらの組合せを確保または取得することができ、少なくとも１つの中央サーバを介して少なくとも１つの外部サーバと間接的に通信することができる。限定を目的としない例として、少なくとも１つのアプリケーションは、好ましいと識別することができる少なくとも１つの自律車両、フィルタリングすることができる少なくとも１つの自律車両、またはそれらの組合せを確保または取得することができ、少なくとも１つの外部サーバ、少なくとも１つのサービスプロバイダ等と直接通信することができる。限定を目的としない例として、少なくとも１つのアプリケーションは、少なくとも１つのサービスプロバイダアプリケーション、少なくとも１つの自律車両の少なくとも１つのオーナまたは少なくとも１つのコントローラのアプリケーション、少なくとも１つの商品サプライヤアプリケーション、少なくとも１つのフリートマネージャアプリケーション、少なくとも１つのロジスティクスプロバイダアプリケーション、少なくとも１つのロジスティクスサプライヤアプリケーション、またはそれらの組合せであり得る。
【０４９７】
限定を目的としない例として、少なくとも１つの自律車両上の、または少なくとも１つの自律車両に関連付けられた、少なくとも１つのアプリケーションが存在し得る。限定を目的としない例として、少なくとも１つの自律車両上の、または少なくとも１つの自律車両に関連付けられた、少なくとも１つの異なるアプリケーションが存在し得る。限定を目的としない例として、１つの自律車両上に常駐することができる、または１つの自律車両に関連付られた、少なくとも１つの異なる機能を有する少なくとも１つのアプリケーションが存在し得る。限定を目的としない例として、１つの自律車両上に、または１つの自律車両に関連付けられた、２つ以上のアプリケーションが存在し得る。限定を目的としない例として、１つの自律車両上に、または１つの自律車両に関連付けられた２つ以上の異なるアプリケーションが存在し得る。限定を目的としない例として、１つの自律車両上に、または１つの自律車両に関連付けられた２つの異なるアプリケーションが存在することができ、第１のアプリケーションは、車両メンテナンスを可能にするディーラシップアプリケーションであり、第２のアプリケーションは、搬送サービスを容易にする、少なくとも１つの中央サーバに統合されたアプリケーションである。
【０４９８】
限定を目的としない例として、少なくとも１つのアプリケーションを、少なくとも１つの自律車両に関連付けることができる。限定を目的としない例として、少なくとも１つのアプリケーションを、少なくとも１つの自律車両の少なくとも１つのフリートに関連付けることができる。限定を目的としない例として、少なくとも１つのアプリケーションは、少なくとも１つのサービスプロバイダ、少なくとも１つの自律車両の少なくとも１つのオーナまたは少なくとも１つのコントローラ、少なくとも１つの自律車両、少なくとも１つの商品サプライヤ、少なくとも１つのフリートマネージャ、少なくとも１つのロジスティクスプロバイダ、少なくとも１つのロジスティクスサプライヤ、少なくとも１つの代理人、またはそれらの組合せによって、遠隔からアクセス、制御、または操作することで、任意で、少なくとも１つの好ましい搬送サービス要求および／または好ましいと識別することができる少なくとも１つの自律車両を分析または評価し、次いで、好ましくは、確保または取得することができる。限定を目的としない例として、少なくとも１つのアプリケーション、少なくとも１つのオーナアプリケーションまたはコントローラアプリケーション、少なくとも１つの自律車両、少なくとも１つの端末、少なくとも１つの中央サーバ、少なくとも１つの外部サーバ、少なくとも１つのリンク、またはそれらの組合せを結合または統合することができる。
【０４９９】
限定を目的としない例として、少なくとも１つの搬送サービス要求、または少なくとも１つの自律車両に関連する搬送データの全部または一部は、少なくとも１つのアプリケーション上でリアルタイムまたはほぼリアルタイムでフィルタリングすることができる。限定を目的としない例として、少なくとも１つの好ましい搬送サービス要求は、少なくとも１つのアプリケーション上で、少なくとも１つのフィルタリングされた搬送サービス要求から、リアルタイムで識別することができる。限定を目的としない例として、好ましいと識別することができる少なくとも１つの自律車両、少なくとも１つの自律車両に関連する好ましい搬送データの全部または一部、またはそれらの組合せは、少なくとも１つのアプリケーション上で、少なくとも１つの自律車両に関連するフィルタリングされた搬送データの全部または一部から、リアルタイムまたはほぼリアルタイムで識別することができる。限定を目的としない例として、少なくとも１つの代理人は、少なくとも１つのアプリケーションに、または少なくとも１つのアプリケーションに、少なくとも１つの代理人選好を入力または提供することができる。限定を目的としない例として、少なくとも１つの搬送サービス要求は、少なくとも１つの中央サーバ、少なくとも１つの外部サーバ、少なくとも１つのアプリケーション、またはそれらの組合せ上で事前にフィルタリングまたは分類することができる。
【０５００】
限定を目的としない例として、少なくとも１つの搬送サービス要求をフィルタリングする際に、少なくとも１つの代理人等の少なくとも１つのリアルタイムまたはほぼリアルタイムの地理的位置以外の少なくとも１つの異なる地理的位置を使用することができる。限定を目的としない例として、少なくとも１つの搬送サービス要求をフィルタリングする際に、少なくとも１つの自律車両の少なくとも１つのリアルタイムまたはほぼリアルタイムの地理的位置以外の少なくとも１つの異なる地理的位置を使用することができる。限定を目的としない例として、少なくとも１つの自律車両に関連する搬送データの全部または一部をフィルタリングする際に、少なくとも１つの自律車両の少なくとも１つのリアルタイムまたはほぼリアルタイムの地理的位置以外の少なくとも１つの異なる地理的位置を使用することができる。限定を目的としない例として、少なくとも１つのアプリケーションは、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等に関連する少なくとも１つのＡＰＩを公開するか、またはそれらに関連する少なくとも１つのＡＰＩを介してアクセスすることができる。
【０５０１】
以下は、様々な当事者によって使用される、少なくとも１つのアプリケーションの異なる例である。
【０５０２】
少なくとも１つの代理人は、少なくとも１つの端末を介して少なくとも１つのアプリケーションにアクセスすることができる。限定を目的としない例として、少なくとも１人の代理人が、少なくとも１つの好ましい搬送サービス要求を分析または評価し、次いで確保または取得することができる。少なくとも１つのアプリケーションを、少なくとも１つの代理人自動化プラットフォームとともに使用して、少なくとも１つの代表者のための少なくとも１つの好ましい搬送サービス要求を確保または取得することができる。
【０５０３】
少なくとも１つの自律車両は、少なくとも１つの端末を介して少なくとも１つのアプリケーションにアクセスすることができる。限定を目的としない例として、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せは、少なくとも１つの好ましい搬送サービス要求、好ましいと識別することができる少なくとも１つの自律車両、またはそれらの組合せを分析または評価し、次いで確保または取得することができる。
【０５０４】
少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せは、少なくとも１つのアプリケーションにアクセスして、少なくとも１つの自律車両を管理、制御、操作等することができる。
【０５０５】
限定を目的としない例として、少なくとも１つのアプリケーションを、少なくとも１つの自律車両自動化プラットフォームとともに使用して、好ましいと識別することができる少なくとも１つの自律車両のために、またはそれを基準に、少なくとも１つの好ましい搬送サービス要求を確保または取得することができる。限定を目的としない例として、少なくとも１つのアプリケーションを、少なくとも１つの自律車両自動化プラットフォームとともに使用して、少なくとも１つの好ましい搬送サービス要求のために、またはそれを基準に、好ましいと識別することができる少なくとも１つの自律車両を確保または取得することができる。限定を目的としない例として、少なくとも１つのアプリケーションは、少なくとも１つの搬送業界セグメントで活動する少なくとも１つのサービスプロバイダに関連する少なくとも１つの好ましい搬送サービス要求を確保または取得することができる。限定を目的としない例として、少なくとも１つのアプリケーションは、少なくとも１つの搬送業界セグメントで活動する少なくとも１つのフリートプロバイダに関連する、好ましいと識別することができる少なくとも１つの自律車両を確保または取得することができる。
【０５０６】
「オーナアプリケーションまたはコントローラアプリケーション」
少なくとも１つのオーナアプリケーションまたはコントローラアプリケーションは、例えば、少なくとも１つの好ましい搬送サービス要求、好ましいと識別することができる少なくとも１つの自律車両、またはそれらの組合せを確保または取得するための少なくとも１つの操作または少なくとも１つの機能を容易にすることができる少なくとも１つのソフトウェアであり得る。少なくとも１つのオーナアプリケーションまたはコントローラアプリケーションは、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって利用または操作することができる少なくとも１つのソフトウェアであり得る。
【０５０７】
少なくとも１つのオーナアプリケーションまたはコントローラアプリケーションは、例えば、少なくとも１つのコンピュータアプリケーション、少なくとも１つのコンピュータプログラム、少なくとも１つのＡＰＩ、少なくとも１つのウェブサイト、少なくとも１つのウェブアプリケーション、少なくとも１つのスマートフォンアプリケーション、少なくとも１つのクラウドアプリケーション、少なくとも１つのサービス等の、少なくとも１つのソフトウェアであり得る。少なくとも１つのオーナアプリケーションまたはコントローラアプリケーションは、限定はしないが、例えば、少なくとも１つの自律車両の少なくとも１つのオーナまたは少なくとも１つのコントローラ、少なくとも１つのサービスプロバイダ等によって使用され得る、対応する搬送データが関連付けられた少なくとも１つの好ましい搬送サービス要求、少なくとも１つの自律車両に関連する好ましい搬送データの全部または一部、少なくとも１つの自律車両の少なくとも１つのリアルタイムまたはほぼリアルタイムの地理的位置の全部または一部、またはそれらの組合せの分析、評価、確保、取得、受諾、拒否、キャンセル、表示、通信、またはそれらの組合せを容易にすることができるソフトウェアであり得る。少なくとも１つのオーナアプリケーションまたはコントローラアプリケーションは、例えば、少なくとも１つの自律車両または少なくとも１つの自律車両の少なくとも１つのフリートを制御または操作することができる。少なくとも１つのオーナアプリケーションまたはコントローラアプリケーションは、限定はしないが、任意の適切な有形または無形の表現媒体等の任意の形態またはフォーマットで提供することができ、好ましくは、少なくとも１つの電子形態で提供することができる。
【０５０８】
少なくとも１つのオーナアプリケーションまたはコントローラアプリケーションは、限定はしないが、少なくとも１つの中央サーバ、少なくとも１つの外部サーバ、少なくとも１つのリンク、少なくとも１つの商品サプライヤ、少なくとも１つの自律車両、少なくとも１つのアプリケーション、少なくとも１つのサービスプロバイダ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せに関連付けることができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの選択された選好を少なくとも１つのオーナアプリケーションまたはコントローラアプリケーションに入力または提供することができる。
【０５０９】
少なくとも１つのオーナアプリケーションまたはコントローラアプリケーションは、限定はしないが、少なくとも１つの端末、少なくとも１つの中央サーバ、少なくとも１つの外部サーバ、またはそれらの組合せ上で動作することができる。少なくとも１つのオーナアプリケーションまたはコントローラアプリケーションは、少なくとも１つの自律車両に関連付けられた少なくとも１つのアプリケーションとともに、またはそれに加えて使用することができる。少なくとも１つのオーナアプリケーションまたはコントローラアプリケーションによって入力または発見された情報および／またはデータをキャッシュすることができる。
【０５１０】
少なくとも１つのオーナアプリケーションまたはコントローラアプリケーションは、リアルタイムまたはほぼリアルタイムで更新またはリフレッシュすることができ、最高の発展レベルまたは最新技術に更新またはリフレッシュされているものを指し得る。少なくとも１つのオーナアプリケーションまたはコントローラアプリケーションは、リアルタイムまたはほぼリアルタイムで少なくとも１つの機能を実行することができ、最高の発展レベルまたは最新技術に更新またはリフレッシュされているものを指し得る。
【０５１１】
少なくとも１つのオーナアプリケーションまたはコントローラアプリケーションは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別することができる少なくとも１つの確保または取得された自律車両等を含む情報またはデータを通信することができる。少なくとも１つのオーナアプリケーションまたはコントローラアプリケーションは、情報またはデータの全部または一部を、少なくとも１つの中央サーバ、少なくとも１つの外部サーバ、少なくとも１つのアプリケーション、少なくとも１つのオーナアプリケーションまたはコントローラアプリケーション、少なくとも１つの自律車両、またはそれらの組合せと通信することができる。
【０５１２】
少なくとも１つのオーナアプリケーションまたはコントローラアプリケーションは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別することができる少なくとも１つの確保または取得された自律車両、またはそれらの組合せを、一緒にまたは別々にフィルタリングおよび識別することができる。
【０５１３】
少なくとも１つのオーナアプリケーションまたはコントローラアプリケーションは、例えば、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せを確保または取得するための少なくとも１つの操作または少なくとも１つの機能を容易にすることができる少なくとも１つのソフトウェアであり得る。
【０５１４】
少なくとも１つのオーナアプリケーションまたはコントローラアプリケーションは、少なくとも１つの好ましい搬送サービス要求、少なくとも１つのフィルタリングされた搬送サービス要求、少なくとも１つの搬送サービス要求、好ましいと識別することができる少なくとも１つの自律車両、フィルタリングすることができる少なくとも１つの自律車両、少なくとも１つの自律車両、またはそれらの組み合わせを確保または取得することができ、少なくとも１つのサーバ、少なくとも１つの外部サーバ、少なくとも１つのアプリケーション、少なくとも１つのオーナアプリケーションまたはコントローラアプリケーション、少なくとも１つの自律車両、少なくとも１つの自律車両の少なくとも１つのオーナまたはコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せと、直接または間接的に通信することができる。
【０５１５】
少なくとも１つのオーナアプリケーションまたはコントローラアプリケーションは、限定はしないが、例えば、少なくとも１つの選択された選好を入力または提供するために使用することができるソフトウェアであり得る。少なくとも１つのオーナアプリケーションまたはコントローラアプリケーションを使用して、少なくとも１つの好ましい搬送サービス要求、好ましいと識別することができる少なくとも１つの自律車両、少なくとも１つの自律車両に関連する好ましい搬送データの全部または一部、またはそれらの組合せを分析、評価、確保、取得、受諾、拒否、取り消、または通信することができる。少なくとも１つのオーナアプリケーションまたはコントローラアプリケーションは、限定はしないが、少なくとも１つのサービスプロバイダ、少なくとも１つの自律車両、少なくとも１つの自律車両の少なくとも１つのオーナまたは少なくとも１つのコントローラ、少なくとも１つの代理人、少なくとも１つの商品サプライヤ、少なくとも１つのフリートマネージャ、少なくとも１つのロジスティクスプロバイダ、少なくとも１つのロジスティクスサプライヤ、またはこれらの組み合わせによって、少なくとも１つの自律車両または好ましいと識別することができる少なくとも１つの自律車両のために、またはそれらを基準に、少なくとも１つの好ましい搬送サービス要求を確保または取得するために使用することができる。少なくとも１つのオーナアプリケーションまたはコントローラアプリケーションは、限定はしないが、少なくとも１つの好ましい搬送サービス要求、好ましいと識別することができる少なくとも１つの自律車両、またはそれらの組合せを確保または取得するために、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せによって、使用、アクセス、制御、または操作することができる。
【０５１６】
少なくとも１つのオーナアプリケーションまたはコントローラアプリケーションは、少なくとも１つの視覚的表現を表示することができる。少なくとも１つのオーナアプリケーションまたはコントローラアプリケーションは、少なくとも１つの確保または取得された好ましい搬送サービス要求、好ましいと識別することができる少なくとも１つの確保または取得された自律車両、またはそれらの組み合わせを表示することができる。少なくとも１つのオーナアプリケーションまたはコントローラアプリケーションは、受諾または拒否され得る、少なくとも１つの好ましい搬送サービス要求、好ましいと識別することができる少なくとも１つの自律車両、少なくとも１つの自律車両に関連する好ましい搬送データの全部または一部、またはそれらの組合せを表示することができる。少なくとも１つのオーナアプリケーションまたはコントローラアプリケーションは、限定はしないが、少なくとも１つの搬送サービス要求、少なくとも１つのフィルタリングされた搬送サービス要求、少なくとも１つの好ましい搬送サービス要求、またはそれらの組合せに関連する搬送データを表示することができる。少なくとも１つのオーナアプリケーションまたはコントローラアプリケーションは、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、またはそれらの組合せを表示することができる。
【０５１７】
限定を目的としない例として、限定はしないが、少なくとも１つの代理人、少なくとも１つの自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せによって使用される、少なくとも１つのオーナアプリケーションまたはコントローラアプリケーションの少なくとも１つの異なる変形が存在し得る。限定を目的としない例として、少なくとも１つのオーナアプリケーションまたはコントローラアプリケーションは、例えば、少なくとも１つの自律車両の少なくとも１つのフリートを制御または操作させることができる。限定を目的としない例として、少なくとも１つのオーナアプリケーションまたはコントローラアプリケーションは、少なくとも１つのサービスプロバイダアプリケーション、少なくとも１つの自律車両の少なくとも１つのオーナアプリケーションまたは少なくとも１つのコントローラアプリケーション、少なくとも１つの商品サプライヤアプリケーション、少なくとも１つのフリートマネージャアプリケーション、少なくとも１つのロジスティクスプロバイダアプリケーション、少なくとも１つのロジスティクスサプライヤアプリケーション、またはそれらの組合せであり得る。
【０５１８】
限定を目的としない例として、対応する搬送データが関連付けられた少なくとも１つの好ましい搬送サービス要求、好ましいと識別することができる少なくとも１つの自律車両、少なくとも１つの自律車両に関連する好ましい搬送データの全部または一部、またはそれらの組合せを、少なくとも１つのオーナアプリケーションまたはコントローラアプリケーションに送信することができ、少なくとも１つのポップアップ、少なくとも１つのアイコン、少なくとも１つのビジュアル、少なくとも１つのシンボル、少なくとも１つのパターン、少なくとも１つのマーカ、少なくとも１つの通知、少なくとも１つの警告、少なくとも１つのメッセージ、少なくとも１つのショートメッセージサービス、少なくとも１つのマルチメディアメッセージングサービス、少なくとも１つのスマートメッセージングサービス、少なくとも１つの拡張メッセージサービス、またはそれらの組合せとして表示することができる。
【０５１９】
限定を目的としない例として、少なくとも１つのオーナアプリケーションまたはコントローラアプリケーションは、少なくとも１つの中央サーバ、少なくとも１つのアプリケーション、少なくとも１つの外部サーバ、またはそれらの組合せと同様の少なくとも１つの機能を実行して、少なくとも１つの好ましい搬送サービス要求、好ましいと識別することができる少なくとも１つの自律車両、少なくとも１つの自律車両に関連する好ましい搬送データの全部または一部、またはそれらの組合せを識別することができる。限定を目的としない例として、少なくとも１つの中央サーバ、少なくとも１つのアプリケーション、少なくとも１つの外部サーバ、またはそれらの組合せの少なくとも１つの機能は、少なくとも１つのオーナアプリケーションまたはコントローラアプリケーションによって実行することができる。限定を目的としない例として、少なくとも１つのオーナアプリケーションまたはコントローラアプリケーションは、少なくとも１つの中央サーバ、少なくとも１つのアプリケーション、少なくとも１つの外部サーバ、またはそれらの組合せ上で動作することができる。限定を目的としない例として、少なくとも１つのアプリケーション、少なくとも１つのオーナアプリケーションまたはコントローラアプリケーション、少なくとも１つの自律車両、少なくとも１つの端末、少なくとも１つの中央サーバ、少なくとも１つの外部サーバ、少なくとも１つのリンク、またはそれらの組合せを結合または統合することができる。
【０５２０】
限定を目的としない例として、少なくとも１つのオーナアプリケーションまたはコントローラアプリケーションは、少なくとも１つの異なるフォーマットで構成された、対応する搬送データが関連付けられた少なくとも１つの搬送サービス要求、少なくとも１つの自律車両に関連する搬送データの全部または一部、少なくとも１つの自律車両の少なくとも１つのリアルタイムまたはほぼリアルタイムの地理的位置の全部または一部、またはそれらの組合せを、少なくとも１つの一様なフォーマットに標準化または変換することができる。限定を目的としない例として、少なくとも１つのオーナアプリケーションまたはコントローラアプリケーションを、少なくとも１つの自律車両に関連付けることができる。限定を目的としない例として、少なくとも１つのオーナアプリケーションまたはコントローラアプリケーションを、少なくとも１つの自律車両の少なくとも１つのフリートに関連付けることができる。限定を目的としない例として、少なくとも１つのオーナアプリケーションまたはコントローラアプリケーションは、限定はしないが、少なくとも１つのモバイルアプリケーション、少なくとも１つの非モバイルアプリケーション、少なくとも１つのウェブサイト、少なくとも１つのプラグイン、またはそれらの組み合わせの少なくとも１つの形態であり得る。
【０５２１】
限定を目的としない例として、少なくとも１つの搬送サービス要求、または少なくとも１つの自律車両に関連する搬送データの全部または一部は、少なくとも１つのオーナアプリケーションまたはコントローラアプリケーション上でリアルタイムまたはほぼリアルタイムでフィルタリングすることができる。限定を目的としない例として、少なくとも１つの好ましい搬送サービス要求は、少なくとも１つのオーナアプリケーションまたはコントローラアプリケーション上で、少なくとも１つのフィルタリングされた搬送サービス要求から、リアルタイムまたはほぼリアルタイムで識別することができる。限定を目的としない例として、好ましいと識別することができる少なくとも１つの自律車両、少なくとも１つの自律車両に関連する好ましい搬送データの全部または一部、またはそれらの組合せは、少なくとも１つのオーナアプリケーションまたはコントローラアプリケーション上で、少なくとも１つの自律車両に関連するフィルタリングされた搬送データの全部または一部から、リアルタイムまたはほぼリアルタイムで識別することができる。
【０５２２】
限定を目的としない例として、少なくとも１つのオーナアプリケーションまたはコントローラアプリケーションは、少なくとも１つの好ましい搬送サービス要求、少なくとも１つのフィルタリングされた搬送サービス要求、またはそれらの組合せを確保または取得することができ、少なくとも１つの中央サーバを介して少なくとも１つの外部サーバと間接的に通信することができる。限定を目的としない例として、少なくとも１つのオーナアプリケーションまたはコントローラアプリケーションは、少なくとも１つの好ましい搬送サービス要求、少なくとも１つのフィルタリングされた搬送サービス要求、またはそれらの組合せを確保または取得することができ、少なくとも１つの外部サーバと直接通信することができる。限定を目的としない例として、少なくとも１つのオーナアプリケーションまたはコントローラアプリケーションは、少なくとも１つの好ましい搬送サービス要求、少なくとも１つのフィルタリングされた搬送サービス要求、またはそれらの組合せを確保または取得することができ、少なくとも１つのサービスプロバイダ等と直接通信することができる。限定を目的としない例として、少なくとも１つのオーナまたはコントローラアプリケーションは、少なくとも１つのサービスプロバイダアプリケーション等であり得る。
【０５２３】
限定を目的としない例として、少なくとも１つのオーナアプリケーションまたはコントローラアプリケーションは、好ましいと識別することができる少なくとも１つの自律車両、フィルタリングすることができる少なくとも１つの自律車両、またはそれらの組合せを確保または取得することができ、少なくとも１つの中央サーバを介して少なくとも１つの外部サーバと間接的に通信することができる。限定を目的としない例として、少なくとも１つのオーナアプリケーションまたはコントローラアプリケーションは、好ましいと識別することができる少なくとも１つの自律車両、フィルタリングすることができる少なくとも１つの自律車両、またはそれらの組合せを確保または取得することができ、少なくとも１つの外部サーバ、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ等と直接通信することができる。
【０５２４】
限定を目的としない例として、少なくとも１つのオーナアプリケーションまたはコントローラアプリケーションは、少なくとも１つの搬送業界セグメントで活動する少なくとも１つのサービスプロバイダに関連する少なくとも１つの好ましい搬送サービス要求を確保または取得することができる。限定を目的としない例として、少なくとも１つのオーナアプリケーションまたはコントローラアプリケーションは、少なくとも１つのサービスプロバイダ、少なくとも１つの自律車両の少なくとも１つのオーナまたは少なくとも１つのコントローラ、少なくとも１つの自律車両、少なくとも１つの商品サプライヤ、少なくとも１つのフリートマネージャ、少なくとも１つのロジスティクスプロバイダ、少なくとも１つのロジスティクスサプライヤ、少なくとも１つの代理人、またはそれらの組合せによって、遠隔からアクセス、制御、または操作することによって、任意で、少なくとも１つの好ましい搬送サービス要求および／または好ましいと識別することができる少なくとも１つの自律車両を分析または評価し、次いで、好ましくは、確保または取得することができる。限定を目的としない例として、少なくとも１つの代理人は、少なくとも１つのオーナアプリケーションまたはコントローラアプリケーションに、少なくとも１つの選択された選好を入力または提供することができる。
【０５２５】
限定を目的としない例として、少なくとも１つのオーナアプリケーションまたはコントローラアプリケーションは、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等に関連する少なくとも１つのＡＰＩを公開するか、またはそれらに関連する少なくとも１つのＡＰＩを介してアクセスすることができる。
【０５２６】
「端末」
少なくとも１つの端末は、例えば、少なくとも１つの好ましい搬送サービス要求、好ましいと識別することができる少なくとも１つの自律車両、またはそれらの組合せを確保または取得するための少なくとも１つの操作または少なくとも１つの機能を容易にすることができる少なくとも１つのハードウェアであり得る。少なくとも１つの端末は、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用または操作することができる少なくとも１つのハードウェアであり得る。
【０５２７】
少なくとも１つの端末は、例えば、少なくとも１つのアプリケーション、少なくとも１つのオーナアプリケーションまたはコントローラアプリケーション、少なくとも１つの中央サーバ、少なくとも１つの外部サーバ、少なくとも１つの端末、少なくとも１つのリンク、またはそれらの組合せを結合または統合するために利用することができる少なくとも１つの自律車両であり得る。少なくとも１つの端末は、限定はしないが、例えば、少なくとも１つのアプリケーションの操作を容易にすることができる少なくとも１つのデバイスであり得る。少なくとも１つの端末は、例えば、少なくとも１つのリンクを介して、少なくとも１つの中央サーバ、少なくとも１つの外部サーバ、少なくとも１つのアプリケーション、少なくとも１つのオーナアプリケーションまたはコントローラアプリケーション、少なくとも１つの自律車両、またはそれらの組合せと通信することができる。少なくとも１つの端末は、限定はしないが、少なくとも１つのコンピュータプロセッサ、少なくとも１つのコンピュータ可読メモリ、少なくとも１つの入力ソース、少なくとも１つの地理的位置モジュール、少なくとも１つのディスプレイ、少なくとも１つのネットワークインターフェース、またはそれらの組合せを含み得る少なくとも１つの電子計算装置であり得る。少なくとも１つの端末は、ハードウェアおよび／またはソフトウェアを、単独で、または組み合わせて、包含することができる。
【０５２８】
少なくとも１つの端末は、限定はしないが、少なくとも１つのアプリケーション、少なくとも１つのオーナアプリケーションまたはコントローラアプリケーション、またはそれらの組合せにアクセスするために使用されることができる。少なくとも１つのアプリケーションは、少なくとも１つの端末上で動作することができる。少なくとも１つの端末は、少なくとも１つの自律車両に関連付けることができる。少なくとも１つのオペレーティングシステムは、少なくとも１つの端末上で実行することができる。少なくとも１つの端末は、限定はしないが、少なくとも１つのアプリケーションの少なくとも１つの表示機能、少なくとも１つの入力機能、少なくとも１つの操作、またはそれらの組合せを容易にすることができる。少なくとも１つのアプリケーションは、少なくとも１つの端末の少なくとも１つの地理的位置モジュールを使用して、限定はしないが、少なくとも１つの代理人、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナもしくは少なくとも１つのコントローラ、またはそれらの組合せの、少なくとも１つのリアルタイムまたはほぼリアルタイムの地理的位置を提供することができる。少なくとも１つの端末は、少なくとも１つのディスプレイまたは少なくとも１つのリモートディスプレイに関連付けることができる。
【０５２９】
限定を目的としない例として、少なくとも１つの端末は、限定はしないが、少なくとも１つのコンピュータ、少なくとも１つのスマートフォンデバイス、少なくとも１つのプラグインデバイス、少なくとも１つの携帯型計算装置、少なくとも１つのハンドヘルド計算装置、少なくとも１つのタブレット計算装置、少なくとも１つのラップトップ計算装置、少なくとも１つのウェアラブル計算装置、少なくとも１つのポータブル計算装置、少なくとも１つの固定計算装置、少なくとも１つの非固定計算装置、少なくとも１つの生理学的に組み込まれた計算装置、少なくとも１つの生物学的に組み込まれた計算装置、少なくとも１つの車載情報機器、少なくとも１つのインターネット・オブ・シングス（ＩｏＴ）デバイス、少なくとも１つの投影装置、少なくとも１つの車両に組み込まれた少なくとも１つの計算装置、少なくとも１つのヘッドアップディスプレイ、少なくとも１つの音声認識、少なくとも１つの音声制御、またはそれらの組み合わせであり得る。
【０５３０】
限定を目的としない例として、少なくとも１つの端末の少なくとも１つの慣性測定ユニット（ＩＭＵ）読み取り値を使用して、少なくとも１つの代理人、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、またはそれらの組合せの少なくとも１つの向きまたは少なくとも１つの方向を判断することができる。限定を目的としない例として、少なくとも１つの端末の少なくとも１つの地理的位置モジュールは、限定はしないが、少なくとも１つのグローバル・ポジショニング・システム（ＧＰＳ）、少なくとも１つの衛星追跡、少なくとも１つのＲＦＩＤ追跡、少なくとも１つの電波探知、少なくとも１つのＷｉＦｉ測位システム、少なくとも１つのジオフェンス、移動通信のための少なくとも１つのグローバルシステム、少なくとも１つの携帯電話三角測量、少なくとも１つのインターネット追跡、またはそれらの組合せを含み得る。
【０５３１】
限定を目的としない例として、少なくとも１つの中央サーバは、任意で、少なくとも１つの自律車両に関連付けることができる少なくとも１つの端末上に配置することができる。限定を目的としない例として、少なくとも１つのオーナアプリケーションまたはコントローラアプリケーションは、任意で、少なくとも１つの端末上に位置することができる。限定を目的としない例として、少なくとも１つの端末の少なくとも１つの入力ソースは、限定はしないが、少なくとも１つのタッチスクリーン、少なくとも１つのキーパッド、少なくとも１つのキーボード、少なくとも１つの音声制御による入力、またはそれらの組合せであり得る。限定を目的としない例として、少なくとも１つの視覚的表現は、少なくとも１つの端末の少なくとも１つのディスプレイを使用して、少なくとも１つのアプリケーション上に表示することができる。限定を目的としない例として、少なくとも１つの端末は、少なくとも１つの自律車両内に埋め込むか、または取り付けることができる。限定を目的としない例として、少なくとも１つの端末は、少なくとも１つの自律車両の内部または外部にあり得る。限定を目的としない例として、少なくとも１つの端末は、少なくとも１つの代理人、少なくとも１つの搬送クライアント、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって使用され得る少なくとも１つのスマートフォンであり得る。
【０５３２】
限定を目的としない例として、少なくとも１つのアプリケーション、少なくとも１つのオーナアプリケーションまたはコントローラアプリケーション、少なくとも１つの中央サーバ、少なくとも１つの外部サーバ、少なくとも１つのリンク、少なくとも１つの自律車両、またはそれらの組合せは、少なくとも１つのスマートフォンなどの少なくとも１つの端末上で結合または統合することができる。限定を目的としない例として、少なくとも１つの端末は、少なくとも１つのアプリケーション、少なくとも１つのオーナアプリケーションまたはコントローラアプリケーション、少なくとも１つのリンク、少なくとも１つの端末、少なくとも１つの中央サーバ、少なくとも１つの外部サーバ、少なくとも１つの自律車両、またはそれらの組合せと関連付けるか、またはそれらと通信するために、少なくとも１つの物理的な接続を必要としない。
【０５３３】
限定を目的としない例として、少なくとも１つの端末を、少なくとも１つの自律車両の少なくとも１つのフリートに関連付けることができる。限定を目的としない例として、少なくとも１つの端末は、少なくとも１つの端末の少なくとも１つの地理的位置モジュールを使用して、少なくとも１つの自律車両の少なくとも１つのフリートの少なくとも１つのリアルタイムまたはほぼリアルタイムの地理的位置を提供することができる。
【０５３４】
「リンク」
少なくとも１つのリンクは、例えば、少なくとも１つの好ましい搬送サービス要求、好ましいと識別することができる少なくとも１つの自律車両、またはそれらの組合せを確保または取得するための少なくとも１つの操作または少なくとも１つの機能を容易にすることができる、少なくとも１つのソフトウェアおよび／または少なくとも１つのハードウェアであり得る。少なくとも１つのリンクは、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用または操作することができる、少なくとも１つのソフトウェアおよび／または少なくとも１つのハードウェアであり得る。
【０５３５】
少なくとも１つのリンクは、例えば、少なくとも１つのソフトウェア機能、少なくとも１つのソフトウェア操作、少なくとも１つのソフトウェアコンポーネント、少なくとも１つのソフトウェアモジュール、またはそれらの組み合わせとの少なくとも１つの接続または少なくとも１つの関連付けであり得る。少なくとも１つのリンクは、少なくとも１つのソフトウェア機能または少なくとも１つのソフトウェア操作に接続することができるかまたは関連付けることができる。少なくとも１つのリンクは、少なくとも１つのソフトウェアモジュールに接続することができるかまたは関連付けることができる。少なくとも１つのリンクは、限定はしないが、少なくとも１つの電子通信ネットワークチャネルを含み得る。少なくとも１つのリンクは、例えば、情報またはデータの効率的な、迅速な、正確な、または同様の送信を可能にすることができる少なくとも１つの適切なリンクであり得る。少なくとも１つのリンクは、限定はしないが、少なくとも１つの中央サーバ、少なくとも１つの外部サーバ、少なくとも１つの端末、少なくとも１つのオーナアプリケーションまたはコントローラアプリケーション、少なくとも１つの自律車両、少なくとも１つのアプリケーション、またはそれらの組合せの間の少なくとも１つの接続の少なくとも１つの組合せであり得る。好ましくは、限定はしないが、少なくとも１つの中央サーバ、少なくとも１つの外部サーバ、少なくとも１つの端末、少なくとも１つのアプリケーション、少なくとも１つのオーナアプリケーションまたはコントローラアプリケーション、またはそれらの組合せの間の少なくとも１つのリンクは、インターネットを介して、好ましくは安全にすることができ、より好ましくは暗号化することができる。少なくとも１つのリンクの定義は、ハードウェアおよび／またはソフトウェアを、単独で、または組み合わせて、包含することができる。
【０５３６】
少なくとも１つのリンクは、リアルタイムまたはほぼリアルタイムでデータまたは情報を通信または提供することができ、最高の発展レベルまたは最新技術を指し得る。少なくとも１つのリンクは、リアルタイムまたはほぼリアルタイムで更新またはリフレッシュすることができ、最高の発展レベルまたは最新技術に更新またはリフレッシュされているものを指し得る。少なくとも１つのリンクは、リアルタイムまたはほぼリアルタイムで少なくとも１つの機能を実行することができ、最高の発展レベルまたは最新技術に更新またはリフレッシュされているものを指し得る。
【０５３７】
少なくとも１つのリンクは、少なくとも１つの他の自律車両と通信するために、少なくとも１つの自律車両によって利用され得る。少なくとも１つのリンクは、少なくとも１つの自律車両に関連する搬送データの全部または一部を通信するために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用され得る。少なくとも１つのリンクは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに利用されて、対応する搬送データが関連付けられた少なくとも１つの搬送サービス要求を通信することができる。
【０５３８】
少なくとも１つのリンクは、少なくとも１つの搬送サービスを容易にするために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって利用され得る。少なくとも１つのリンクを利用して、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別できる少なくとも１つの確保または取得された自律車両等を含む情報またはデータを通信することができる。
【０５３９】
限定を目的としない例として、少なくとも１つのリンクは、限定はしないが、少なくとも１つのＷｉＦｉ接続、少なくとも１つの無線接続、少なくとも１つのイーサネット（登録商標）接続、少なくとも１つのＬＴＥ接続、少なくとも１つの３Ｇ接続、少なくとも１つの４Ｇ接続、少なくとも１つの５Ｇ接続、少なくとも１つの６Ｇ接続、少なくとも１つの７Ｇ接続、少なくとも１つの無線接続、少なくとも１つのＲＦＩＤ接続、少なくとも１つのブルートゥース（登録商標）接続、少なくとも１つのＢＬＥ接続、少なくとも１つのＰＡＮ接続、少なくとも１つのＬＡＮ接続、少なくとも１つのＭＡＮ接続、少なくとも１つのＷＡＮ接続、少なくとも１つのＷＬＡＮ接続、少なくとも１つのＧＳＭ（登録商標）接続、少なくとも１つのＧＰＲＳ接続、少なくとも１つのＵＭＴＳ接続、少なくとも１つのダイヤルアップ接続、少なくとも１つのブロードバンド接続、少なくとも１つの携帯接続、少なくとも１つのＤＳＬ接続、少なくとも１つのケーブル接続、少なくとも１つの有線接続、少なくとも１つの衛星接続、少なくとも１つのＩＳＤＮ接続、少なくとも１つの光ファイバ接続、少なくとも１つの赤外線接続、少なくとも１つのクラウドコンピューティングネットワーク接続などの少なくとも１つのクライアント−サーバネットワーク接続、情報を伝達することができる少なくとも１つの他の適切な方法、手段、ハードウェアおよび／またはソフトウェア、あるいはそれらの組合せ等の、任意の適切な接続であり得る。
【０５４０】
限定を目的としない例として、少なくとも１つのリンクは、限定はしないが、少なくとも１つの中央サーバ、少なくとも１つの外部サーバ、少なくとも１つの端末、少なくとも１つのオーナアプリケーションまたはコントローラアプリケーション、少なくとも１つの自律車両、少なくとも１つのアプリケーション、少なくとも１つの自律車両に関連付けられた少なくとも１つのアプリケーション、またはそれらの組合せの間の少なくとも１つの接続の少なくとも１つの組合せであり得る。限定を目的としない例として、少なくとも１つのリンクを使用して、限定はしないが、少なくとも１つの中央サーバ、少なくとも１つの外部サーバ、少なくとも１つの端末、少なくとも１つのオーナアプリケーションまたはコントローラアプリケーション、少なくとも１つの自律車両、少なくとも１つのアプリケーション、少なくとも１つの自律車両に関連付けられた少なくとも１つのアプリケーション、少なくとも１つの自律車両フリートに関連付けられた少なくとも１つのアプリケーション、またはそれらの組合せの間で、少なくとも１つの自律車両の少なくとも１つのフリートを管理または制御することができる。
【０５４１】
限定を目的としない例として、少なくとも１つのリンクは、少なくとも１つのソフトウェアインターフェースまたはＡＰＩの少なくとも１つの形態であり得る。限定を目的としない例として、少なくとも１つのリンクは、少なくとも１つのプロセス間通信であり得る。限定を目的としない例として、１つのソフトウェアアプリケーション上で、少なくとも１つのリンクを利用して、少なくとも１つのアプリケーション、少なくとも１つのオーナアプリケーションまたはコントローラアプリケーション、少なくとも１つの端末、少なくとも１つの中央サーバ、少なくとも１つの外部サーバ、またはそれらの組合せに接続するか、またはそれらに関連付けることができる。限定を目的としない例として、少なくとも１つの中央サーバは、同じソフトウェアアプリケーション上で、少なくとも１つのアプリケーション、少なくとも１つのオーナアプリケーションまたはコントローラアプリケーション、少なくとも１つの端末、少なくとも１つの中央サーバ、少なくとも１つの外部サーバ、またはそれらの組合せに接続するか、またはそれらと通信することができる。限定を目的としない例として、少なくとも１つのリンクを利用して、少なくとも１つのアプリケーション、少なくとも１つのオーナアプリケーションまたはコントローラアプリケーション、少なくとも１つの端末、少なくとも１つの中央サーバ、少なくとも１つの外部サーバ、またはそれらの組合せに接続するか、またはそれらに関連付けて、少なくとも１つの好ましい搬送サービス要求、好ましいと識別することができる少なくとも１つの自律車両、またはそれらの組合せを確保または取得することができる。限定を目的としない例として、少なくとも１つのリンクは、少なくとも１つのアプリケーション、少なくとも１つのオーナアプリケーションまたはコントローラアプリケーション、少なくとも１つの端末、少なくとも１つの中央サーバ、少なくとも１つの外部サーバ、少なくとも１つの自律車両、またはそれらの組合せに接続するかまたはそれらと通信するための少なくとも１つの物理的な接続を必要としない。
【０５４２】
限定を目的としない例として、少なくとも１つのリンクを、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって利用することで、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、またはそれらの組み合わせを、限定はしないが、少なくとも１つの中央サーバ、少なくとも１つの外部サーバ、少なくとも１つの端末、少なくとも１つのオーナアプリケーションまたはコントローラアプリケーション、少なくとも１つの自律車両、少なくとも１つのアプリケーション、少なくとも１つの自律車両に関連付けられた少なくとも１つのアプリケーション、少なくとも１つの自律車両フリートに関連付けられた少なくとも１つのアプリケーション、またはそれらの組合せと通信することができる。
【０５４３】
限定を目的としない例として、少なくとも１つのリンクは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって利用されることで、搬送データが関連付けられた少なくとも１つの搬送サービス要求、搬送データが関連付けられた少なくとも１つのフィルタリングされた搬送サービス要求、搬送データが関連付けられた少なくとも１つの好ましい搬送サービス要求、またはそれらの組合せを、限定はしないが、少なくとも１つの中央サーバ、少なくとも１つの外部サーバ、少なくとも１つの端末、少なくとも１つのオーナアプリケーションまたはコントローラアプリケーション、少なくとも１つの自律車両、少なくとも１つのアプリケーション、少なくとも１つの自律車両に関連付けられた少なくとも１つのアプリケーション、少なくとも１つの自律車両フリートに関連付けられた少なくとも１つのアプリケーション、またはそれらの組合せと通信することができる。限定を目的としない例として、少なくとも１つのリンクは、少なくとも１つの中央サーバを少なくとも１つの他の中央サーバに接続することができる。
【０５４４】
限定を目的としない例として、少なくとも１つのリンクは、少なくとも１つのＯＥＭと間接的にまたは直接通信するために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用され得る。限定を目的としない例として、少なくとも１つのリンクは、少なくとも１つのサードパーティと間接的にまたは直接通信するために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用され得る。限定を目的としない例として、少なくとも１つのリンクは、少なくとも１つのルートまたは少なくとも１つの交通情報に関して少なくとも１つの他の自律車両とリアルタイムまたはほぼリアルタイムで通信するために、少なくとも１つの自律車両によって利用され得る。
【０５４５】
「中央サーバ」
少なくとも１つの中央サーバは、例えば、少なくとも１つの好ましい搬送サービス要求、好ましいと識別することができる少なくとも１つの自律車両、またはそれらの組合せを確保または取得するための少なくとも１つの操作または少なくとも１つの機能を容易にすることができる、少なくとも１つのソフトウェアおよび／または少なくとも１つのハードウェアであり得る。少なくとも１つの中央サーバは、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、またはそれらの組合せによって利用または操作することができる、少なくとも１つのソフトウェアおよび／または少なくとも１つのハードウェアであり得る。少なくとも１つの中央サーバは、少なくとも１つのソフトウェアおよび／または少なくとも１つのハードウェア、例えば、少なくとも１つのコンピュータアプリケーション、少なくとも１つのコンピュータプログラム、少なくとも１つのウェブサイト、少なくとも１つのウェブアプリケーション、少なくとも１つのクラウドアプリケーション、少なくとも１つのサービスなどであり得る。
【０５４６】
少なくとも１つの中央サーバは、例えば、少なくとも１つの自律車両、好ましいと識別できる少なくとも１つの自律車両、またはそれらの組み合わせのために、またはそれらを基準に、少なくとも１つの好ましい搬送サービス要求を確保または取得するための少なくとも１つの操作または少なくとも１つの機能を容易にすることができる。少なくとも１つの中央サーバは、限定はしないが、少なくとも１つのコンピュータプロセッサ、少なくとも１つのコンピュータ可読メモリ、少なくとも１つのネットワークインターフェース、またはそれらの組合せを含み得る。少なくとも１つの中央サーバは、限定はしないが、少なくとも１つのコンピュータネットワークシステムであり得る。少なくとも１つの中央サーバは、好ましくは、ハードウェア及び／またはソフトウェアを、単独で、または組み合わせて、包含することができる。
【０５４７】
少なくとも１つの中央サーバを使用して、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのサードパーティ、少なくとも１つのロジスティクスプロバイダ、少なくとも１つのロジスティクスサプライヤ、またはそれらの組合せのために、物流を管理または操作することができる。少なくとも１つの中央サーバを使用して、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのサードパーティ、少なくとも１つのロジスティクスプロバイダ、少なくとも１つのロジスティクスサプライヤ、またはそれらの組合せのために、少なくとも１つの自律車両を制御、管理、または操作することができる。少なくとも１つの中央サーバは、限定はしないが、少なくとも１つの外部サーバ、少なくとも１つのリンク、少なくとも１つの端末、少なくとも１つの中央サーバ、少なくとも１つのオーナアプリケーションまたはコントローラアプリケーション、少なくとも１つの商品サプライヤ、少なくとも１つの自律車両、少なくとも１つのアプリケーション、少なくとも１つのサービスプロバイダ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、少なくとも１つの代理人、少なくとも１つの搬送クライアント、またはそれらの組合せに関連付けることができる。
【０５４８】
少なくとも１つの中央サーバは、異なるハードウェア及び／またはソフトウェアを、単独で、または組み合わせて、包含することができる。少なくとも１つの中央サーバは、少なくとも１つのデータベースを含むか、または少なくとも１つのデータベースに接続することができる。少なくとも１つの中央サーバの少なくとも１つのコンピュータ可読メモリは、少なくとも１つの中央サーバが使用または接続することができる少なくとも１つのデータベースであり得るか、または少なくとも１つのデータベースを含み得る。少なくとも１つの中央サーバは、少なくとも１つのデータベース、少なくとも１つのリアルタイムデータベース、少なくとも１つのほぼリアルタイムのデータベース、少なくとも１つのデータベーストリガ、少なくとも１つのデータベーステーブル、少なくとも１つのデータベース行、少なくとも１つのデータベース列、少なくとも１つのデータベース結果セット、少なくとも１つのデータベースノード、少なくとも１つのデータベースエッジ、少なくとも１つのデータベースプロパティ、少なくとも１つのブロックチェーン、少なくとも１つのブロックチェーン技術、またはそれらの組合せからの任意の情報またはデータを格納し、取り出し、または利用することができる。少なくとも１つの中央サーバは、少なくとも１つのデータベース、少なくとも１つのスキームレスデータベース、少なくとも１つのグラフデータベース、少なくとも１つのリレーショナルデータベース、少なくとも１つの非リレーショナルデータベース、少なくとも１つの分散データベース、少なくとも１つの並列データベース等に任意の情報またはデータを格納するか、またはそれらから任意の情報またはデータを取り出すことができる。
【０５４９】
少なくとも１つの中央サーバは、少なくとも１つのリンクを介して、限定はしないが、少なくとも１つのアプリケーション、少なくとも１つの外部サーバ、少なくとも１つの中央サーバ、少なくとも１つのオーナアプリケーションまたはコントローラアプリケーション、少なくとも１つの端末、またはそれらの組合せに接続するか、またはそれらと通信することができる。少なくとも１つの中央サーバは、限定はしないが、少なくとも１つのアプリケーション、少なくとも１つのオーナアプリケーションまたはコントローラアプリケーション、少なくとも１つの外部サーバ、少なくとも１つの中央サーバ、またはそれらの組合せの間の情報またはデータの双方向の少なくとも１つのフローを制御することができる。少なくとも１つの中央サーバは、少なくとも１つの個々の地理的位置または少なくとも１つの追加の地理的位置にある少なくとも１つのサーバであり得る。少なくとも１つの中央サーバは、好ましくは、１つのインターネットロケーションに関連し得るが、そうである必要はない。
【０５５０】
少なくとも１つの中央サーバは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別することができる少なくとも１つの確保または取得された自律車両等を含む情報またはデータを通信することができる。少なくとも１つの中央サーバは、情報またはデータの全部または一部を、少なくとも１つの中央サーバ、少なくとも１つの外部サーバ、少なくとも１つのアプリケーション、少なくとも１つのオーナアプリケーションまたはコントローラアプリケーション、少なくとも１つの自律車両、またはそれらの組合せと通信することができる。
【０５５１】
少なくとも１つの中央サーバは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別することができる少なくとも１つの確保または取得された自律車両、またはそれらの組合せを、一緒にまたは別々にフィルタリングおよび識別することができる。
【０５５２】
少なくとも１つの中央サーバは、例えば、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せを確保または取得するための少なくとも１つの操作または少なくとも１つの機能を容易にすることができる少なくとも１つのソフトウェアおよび／または少なくとも１つのハードウェアであり得る。
【０５５３】
少なくとも１つの中央サーバは、少なくとも１つの好ましい搬送サービス要求、少なくとも１つのフィルタリングされた搬送サービス要求、少なくとも１つの搬送サービス要求、好ましいと識別することができる少なくとも１つの自律車両、フィルタすることができる少なくとも１つの自律車両、少なくとも１つの自律車両、またはそれらの組み合わせを確保または取得することができ、少なくとも１つの中央サーバ、少なくとも１つの外部サーバ、少なくとも１つのアプリケーション、少なくとも１つのオーナアプリケーションまたはコントローラアプリケーション、少なくとも１つの端末、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せと直接または間接的に通信することができる。
【０５５４】
少なくとも１つの中央サーバは、少なくとも１つの異なるフォーマットで構成された、少なくとも１つの搬送サービス要求、少なくとも１つの自律車両に関連する搬送データの全部または一部、少なくとも１つの自律車両の少なくとも１つのリアルタイムまたはほぼリアルタイムの地理的位置の全部または一部、またはそれらの組合せを、少なくとも１つの一様なフォーマットに標準化または変換することができる。少なくとも１つの中央サーバは、好ましくは、少なくとも１つの安全なサーバであり得る。少なくとも１つの中央サーバは、市販のハードウェアおよび／またはソフトウェアを使用して安全にすることができる。さらに、少なくとも１つの中央サーバは、少なくとも１つのサーバに出入りする通信が暗号化されるように、暗号化ソフトウェアを含み得る。暗号化ハードウェアおよび／またはソフトウェアは市販されている。少なくとも１つの中央サーバは、リアルタイムまたはほぼリアルタイムで更新またはリフレッシュすることができ、最高の発展レベルまたは最新技術に更新またはリフレッシュされているものを指し得る。少なくとも１つの中央サーバは、リアルタイムまたはほぼリアルタイムで少なくとも１つの機能を実行することができ、最高の発展レベルまたは最新技術に更新またはリフレッシュされているものを指し得る。少なくとも１つの中央サーバは、機械学習技術等を使用して、少なくとも１つの自律車両自動化プラットフォーム、少なくとも１つの代理人自動化プラットフォーム、少なくとも１つの視覚表現、またはそれらの組合せを改善することができる少なくとも１つのパターンを識別することができる。
【０５５５】
少なくとも１つの中央サーバは、少なくとも１つのデータベース、少なくとも１つのデータベーステーブル、少なくとも１つの結果セット等を使用して、少なくとも１つの搬送サービス要求をフィルタリングすることができる。少なくとも１つの中央サーバは、少なくとも１つのデータベース、少なくとも１つのデータベーステーブル、少なくとも１つの結果セット等を使用して、少なくとも１つの好ましい搬送サービス要求を識別することができる。少なくとも１つの中央サーバは、少なくとも１つのデータベースを使用して、少なくとも１つの自律車両に関連する搬送データの全部または一部をフィルタリングすることができる。少なくとも１つの中央サーバは、少なくとも１つのデータベース、少なくとも１つのデータベーステーブル、少なくとも１つの結果セット等を使用して、好ましいと識別することができる少なくとも１つの自律車両を識別することができる。少なくとも１つの中央サーバは、少なくとも１つのデータベース、少なくとも１つのデータベーステーブル、少なくとも１つの結果セット等を使用して、少なくとも１つの自律車両に関連する好ましい搬送データの全部または一部を識別することができる。
【０５５６】
少なくとも１つの中央サーバは、少なくとも１つの自律車両に関連する少なくとも１つの搬送サービス要求または搬送データの全部または一部を、少なくとも１つの代理人選好、および、好ましくは、少なくとも１つの代理人の少なくとも１つのリアルタイムまたはほぼリアルタイムの地理的位置に関してフィルタリングし、少なくとも１つの自律車両に関連する少なくとも１つのフィルタリングされた搬送サービス要求またはフィルタリングされた搬送データの全部または一部を、限定はしないが、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つを含むプロセスによって識別することができる。
【０５５７】
少なくとも１つの中央サーバは、少なくとも１つの自律車両に関連する少なくとも１つの搬送サービス要求または搬送データの全部または一部を少なくとも１つの代理人選好に関してフィルタリングし、少なくとも１つの自律車両に関連する少なくとも１つのフィルタリングされた搬送サービス要求またはフィルタリングされた搬送データの全部または一部を、限定はしないが、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つを含むプロセスによって識別することができる。
【０５５８】
少なくとも１つの中央サーバは、少なくとも１つの自律車両に関連する少なくとも１つの搬送サービス要求または搬送データの全部または一部を、少なくとも１つの選択された選好、および、好ましくは、少なくとも１つの自律車両の少なくとも１つのリアルタイムまたはほぼリアルタイムの地理的位置に関してフィルタリングし、少なくとも１つの自律車両に関連する少なくとも１つのフィルタリングされた搬送サービス要求またはフィルタリングされた搬送データの全部または一部を、限定はしないが、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つを含むプロセスによって識別することができる。
【０５５９】
少なくとも１つの中央サーバは、少なくとも１つの自律車両に関連する少なくとも１つの搬送サービス要求または搬送データの全部または一部を少なくとも１つの選択された選好に関してフィルタリングし、少なくとも１つの自律車両に関連する少なくとも１つのフィルタリングされた搬送サービス要求またはフィルタリングされた搬送データの全部または一部を、限定はしないが、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つを含むプロセスによって識別することができる。
【０５６０】
少なくとも１つの中央サーバは、最初に少なくとも１つの好ましい搬送サービス要求をフィルタリングして識別し、次いで好ましいと識別することができる少なくとも１つの自律車両をフィルタリングして識別することができ、少なくとも１つの搬送サービスを実行するために、それらをマッチングさせ、確保または取得することができる。少なくとも１つの中央サーバは、最初に好ましいと識別することができる少なくとも１つの自律車両をフィルタリングして識別し、次いで少なくとも１つの好ましい搬送サービス要求をフィルタリングして識別することができ、少なくとも１つの搬送サービスを実行するために、それらをマッチングさせ、確保または取得することができる。少なくとも１つの好ましい搬送サービス要求、好ましいと識別することができる少なくとも１つの自律車両、またはそれらの組合せのフィルタリングおよび識別は、いずれの順序またはいずれの方向でも行うことができる。
【０５６１】
少なくとも１つの中央サーバは、少なくとも１つの搬送サービス要求、少なくとも１つの自律車両に関連する搬送データの全部または一部、少なくとも１つの自律車両の少なくとも１つのリアルタイムまたはほぼリアルタイムの地理的位置の全部または一部、またはそれらの組合せを、受信時にフィルタリング、分類等をすることができる。少なくとも１つの中央サーバは、少なくとも１つの搬送サービス要求、少なくとも１つの自律車両に関連する搬送データの全部または一部、またはそれらの組合せを２回以上フィルタリング等することができる。少なくとも１つの中央サーバは、少なくとも１つの搬送サービス要求、または少なくとも１つの自律車両に関連する搬送データの全部または一部をフィルタリングする前に、任意の順序で、少なくとも１つの搬送サービス要求を、限定はしないが、受信、送信、格納、標準化、集約、またはそれらの組合せを行うことができる。少なくとも１つの中央サーバは、少なくとも１つの自律車両に関連する少なくとも１つの搬送サービス要求または搬送データの全部または一部をフィルタリングする前に、少なくとも１つの自律車両に関連する搬送データの全部または一部、または少なくとも１つの自律車両の少なくとも１つのリアルタイムまたはほぼリアルタイムの地理的位置の全部または一部を、任意の順序で、限定はしないが、受信、送信、格納、標準化、集約、またはそれらの組合せを行うことができる。
【０５６２】
少なくとも１つの中央サーバは、少なくとも１つのフィルタリングされた搬送サービス要求または少なくとも１つの事前にフィルタリングされた搬送サービス要求から少なくとも１つの好ましい搬送サービス要求を識別することができる。少なくとも１つの中央サーバは、少なくとも１つの自律車両に関連するフィルタリングされた搬送データの全部または一部、または少なくとも１つの自律車両に関連する事前にフィルタリングされた搬送データの全部または一部から、少なくとも１つの自律車両に関連する好ましい搬送データの全部または一部を識別することができる。少なくとも１つの中央サーバは、少なくとも１つの自律車両に関連するフィルタリングされた搬送データの全部または一部、または少なくとも１つの自律車両に関連する事前にフィルタリングされた搬送データの全部または一部から、好ましいと識別することができる少なくとも１つの自律車両を識別することができる。
【０５６３】
限定はしないが、少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、少なくとも１つの代理人選好または少なくとも１つの選択された選好に関連する少なくとも１つの好ましい搬送サービス要求を、少なくとも１つのフィルタされた搬送サービス要求から識別することができる。
【０５６４】
少なくとも１つの分類アルゴリズム、少なくとも１つの選択アルゴリズム、少なくとも１つの検索アルゴリズム、少なくとも１つのマージアルゴリズム、少なくとも１つの最大関数、少なくとも１つの最小関数、少なくとも１つのグラフアルゴリズム、少なくとも１つのグラフ検索アルゴリズム、少なくとも１つのツリーアルゴリズム、少なくとも１つのツリー検索アルゴリズム、少なくとも１つの行列計算、少なくとも１つの行列アルゴリズム、少なくとも１つの比較、またはそれらの組合せを使用することによって、少なくとも１つの選択された選好に関連する少なくとも１つの好ましい搬送サービス要求を、複数のフィルタリングされた搬送サービス要求の全部または一部から識別し、または、好ましいと識別することができる少なくとも１つの自律車両または少なくとも１つの選択された選好に関連する少なくとも１つの自律車両に関連する好ましい搬送データの全部または一部を、少なくとも１つの自律車両に関連するフィルタリングされた搬送サデータの全部または一部から識別し、またはそれらの組み合わせを行うことができる。
【０５６５】
少なくとも１つの中央サーバは、好ましくは、少なくとも１つの代理人選好または少なくとも１つの選択された選好を使用して、少なくとも１つの自律車両に関連する少なくとも１つのフィルタリングされた搬送サービス要求またはフィルタリングされた搬送データの全部または一部をソート等して、少なくとも１つの好ましい搬送サービス要求、好ましいと識別することができる少なくとも１つの自律車両、少なくとも１つの自律車両に関連する好ましい搬送データの全部または一部、またはそれらの組合せを識別することができる。
【０５６６】
少なくとも１つの中央サーバは、好ましくは、少なくとも１つの代理人選好の少なくとも１つの加重平均に関連する少なくとも１つの順序で少なくとも１つのフィルタリングされた搬送サービス要求をソート等して、少なくとも１つの好ましい搬送サービス要求を識別することができる。少なくとも１つの中央サーバは、好ましくは、少なくとも１つの選択された選好の少なくとも１つの加重平均に関連する少なくとも１つの順序で、少なくとも１つのフィルタリングされた搬送サービス要求をソート等して、少なくとも１つの好ましい搬送サービス要求を識別することができる。少なくとも１つの選択された選好の少なくとも１つの加重平均を使用して、少なくとも１つの自律車両に関連する好ましい搬送データの全部または一部または好ましいと識別することができる少なくとも１つの自律車両を、少なくとも１つの自律車両に関連するフィルタリングされた搬送データの全部または一部、複数のフィルタリングされた搬送サービス要求の全部または一部から識別することができる少なくとも１つの好ましい搬送サービス要求、またはそれらの組合せから識別することができる。
【０５６７】
少なくとも１つの中央サーバは、限定はしないが、少なくとも１つの搬送業界セグメントで活動する少なくとも１つのサービスプロバイダ等に関連する、少なくとも１つの搬送サービス要求、少なくとも１つのフィルタリングされた搬送サービス要求、少なくとも１つの好ましい搬送サービス要求、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、好ましいと識別することができる少なくとも１つの自律車両、またはそれらの組合せを、処理するかまたは容易にすることができる。少なくとも１つの中央サーバは、少なくとも１つのデフォルトの代理人選好、少なくとも１つのデフォルトの選択された選好、またはそれらの組合せを使用するか、または有することができる。
【０５６８】
少なくとも１つの代理人自動化プラットフォームまたは少なくとも１つの自律車両自動化プラットフォームが使用される場合、少なくとも１つの中央サーバは、少なくとも１つの搬送サービス要求、または少なくとも１つの自律車両に関連する搬送データの全部または一部をリアルタイムまたはほぼリアルタイムで分析または評価することができる。少なくとも１つの搬送サービス要求は、少なくとも１つの代理人選好または少なくとも１つの選択された選好、および、好ましくは、少なくとも１つの代理人または少なくとも１つの自律車両の少なくとも１つのリアルタイムまたはほぼリアルタイムの地理的位置をそれぞれ使用することによってフィルタリングすることができる。少なくとも１つの自律車両に関連する搬送データの全部または一部は、少なくとも１つの選択された選好、および、好ましくは、少なくとも１つの自律車両の少なくとも１つのリアルタイムまたはほぼリアルタイムの地理的位置を使用することによってフィルタリングすることができる。
【０５６９】
少なくとも１つの搬送サービス要求が事前にフィルタリングされるかまたは事前に分類される場合、少なくとも１つの搬送サービス要求は、少なくとも１つのフィルタリングされた搬送サービス要求ととらえるかまたは呼ぶことができ、少なくとも１つの中央サーバは、少なくとも１つの好ましい搬送サービス要求を識別することができる。少なくとも１つの自律車両に関連する搬送データの全部または一部が事前にフィルタリングされるかまたは事前に分類される場合、少なくとも１つの自律車両に関連する搬送データの全部または一部は、少なくとも１つの自律車両に関連するフィルタリングされた搬送データの全部または一部ととらえるかまたは呼ぶことができ、少なくとも１つの中央サーバは、少なくとも１つの自律車両に関連する好ましい搬送データの全部または一部、好ましいと識別することができる少なくとも１つの自律車両、またはそれらの組合せを識別することができる。
【０５７０】
少なくとも１つのフィルタリングされた搬送サービス要求は、好ましくは、少なくとも１つの代理人選好または少なくとも１つの選択された選好の少なくとも１つの加重平均に関連してソートすることができるが、少なくとも１つの好ましい搬送サービス要求をそれぞれ識別する際にソートは必要とされない。少なくとも１つの自律車両に関連するフィルタリングされた搬送データの全部または一部は、好ましくは、少なくとも１つの選択された選好の少なくとも１つの加重平均に関連してソートすることができるが、少なくとも１つの自律車両に関連する好ましい搬送データの全部または一部、好ましいと識別することができる少なくとも１つの自律車両、またはそれらの組合せを識別する際にソートは必要とされない。少なくとも１つの好ましい搬送サービス要求を識別することができ、次いで、好ましくは、確保または取得することができる。好ましいと識別することができる少なくとも１つの自律車両、少なくとも１つの自律車両に関連する好ましい搬送データの全部または一部、またはそれらの組合せを識別することができ、次いで、好ましくは確保または取得することができる。
【０５７１】
限定を目的としない例として、少なくとも１つの中央サーバの少なくとも１つのコンピュータ可読メモリは、限定はしないが、少なくとも１つのデータベース、少なくとも１つのデータベーステーブル、少なくとも１つのデータベース結果セット、少なくとも１つのクラウドストレージ、少なくとも１つのハードディスクドライブ、少なくとも１つのソリッドステートドライブ、少なくとも１つの光ディスクドライブ、少なくとも１つのフラッシュメモリ、少なくとも１つのランダムアクセスメモリ（ＲＡＭ）、少なくとも１つのテープ等であり得る。
【０５７２】
限定を目的としない例として、少なくとも１つの中央サーバは、同じまたは少なくとも１つの異なる地理的位置に操作可能にリンクされた少なくとも１つの別個のサーバを含むことができる。限定を目的としない例として、少なくとも１つの中央サーバは、任意で、少なくとも１つの端末の一部であり得る。限定を目的としない例として、少なくとも１つの中央サーバは、任意で、少なくとも１つのアプリケーション、または少なくとも１つのオーナアプリケーションまたはコントローラアプリケーションの一部であり得る。限定を目的としない例として、少なくとも１つの中央サーバは、任意で、少なくとも１つの端末上に位置することができる。限定を目的としない例として、少なくとも１つのアプリケーション、少なくとも１つのオーナアプリケーションまたはコントローラアプリケーション、またはそれらの組合せは、任意で、少なくとも１つの中央サーバ上で動作することができる。限定を目的としない例として、少なくとも１つの中央サーバまたは少なくとも１つの外部サーバの少なくとも１つの機能は、少なくとも１つのアプリケーション、少なくとも１つのオーナアプリケーションまたはコントローラアプリケーション、またはそれらの組合せによって実行することができる。限定を目的としない例として、少なくとも１つのアプリケーション、少なくとも１つのオーナアプリケーションまたはコントローラアプリケーション、またはそれらの組み合わせの少なくとも１つの機能は、少なくとも１つの中央サーバまたは少なくとも１つの外部サーバによって実行され得る。限定を目的としない例として、少なくとも１つの中央サーバの少なくとも１つの機能は、少なくとも１つの外部サーバによって実行することができる。限定を目的としない例として、少なくとも１つの中央サーバは、量子計算を含むか、または利用することができる。限定を目的としない例として、少なくとも１つの中央サーバは、少なくとも１つのニューラルネットワークを含むか、または利用することができる。限定を目的としない例として、少なくとも１つの中央サーバは、機械学習技術等を含むか、または利用することができる。限定を目的としない例として、少なくとも１つの中央サーバは、ロサンゼルスおよびニューヨークといった少なくとも１つの地理的位置にわたって分散させるかまたは配置することができる。
【０５７３】
限定を目的としない例として、少なくとも１つの中央サーバは、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せ内で、少なくとも１つの搬送サービス要求、少なくとも１つの自律車両に関連する搬送データの全部または一部、またはそれらの組合せを集約することができる。限定を目的としない例として、少なくとも１つの中央サーバは、少なくとも１つの個々の搬送業界セグメントに関連する少なくとも１つの個々のサービスプロバイダ等からの、少なくとも１つの搬送サービス要求、少なくとも１つのフィルタリングされた搬送サービス要求、少なくとも１つの好ましい搬送サービス要求、少なくとも１つの自律車両に関連する搬送データの全部または一部、少なくとも１つの自律車両に関連するフィルタリングされた搬送データの全部または一部、少なくとも１つの自律車両に関連する好ましい搬送データの全部または一部、好ましいと識別することができる少なくとも１つの自律車両、またはそれらの組合せを処理することができか、または容易にすることができる。限定を目的としない例として、少なくとも１つの中央サーバは、少なくとも１つのアプリケーションまたは少なくとも１つのオーナアプリケーションまたはコントローラアプリケーションに送信される少なくとも１つの視覚的表現をコンパイルすることができる。限定を目的としない例として、少なくとも１つの中央サーバは、少なくとも１つの自律車両の少なくとも１つのフリートを制御または操作することができる。限定を目的としない例として、少なくとも１つのアプリケーション、少なくとも１つのオーナアプリケーションまたはコントローラアプリケーション、少なくとも１つの自律車両、少なくとも１つの端末、少なくとも１つの中央サーバ、少なくとも１つの外部サーバ、少なくとも１つのリンク、またはそれらの組合せを結合または統合することができる。
【０５７４】
限定を目的としない例として、少なくとも１つの搬送サービス要求、少なくとも１つの自律車両に関連する搬送データの全部または一部、少なくとも１つの自律車両の少なくとも１つのリアルタイムまたはほぼリアルタイムの地理的位置の全部または一部、またはそれらの組合せを、少なくとも１つのリンクを介して少なくとも１つの外部サーバから少なくとも１つの中央サーバに送信することができる。限定を目的としない例として、少なくとも１つの搬送サービス要求、少なくとも１つの自律車両に関連する搬送データの全部または一部、少なくとも１つの自律車両の少なくとも１つのリアルタイムまたはほぼリアルタイムの地理的位置の全部または一部、またはそれらの組合せを、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せから、少なくとも１つのリンクを介して少なくとも１つの中央サーバに送信することができる。限定を目的としない例として、少なくとも１つの搬送サービス要求、少なくとも１つの自律車両に関連する搬送データの全部または一部、少なくとも１つの自律車両の少なくとも１つのリアルタイムまたはほぼリアルタイムの地理的位置の全部または一部、またはそれらの組合せは、少なくとも１つの外部サーバから送信される前に少なくとも１つの一様なフォーマットで構成することができ、標準化する必要がない。
【０５７５】
限定を目的としない例として、少なくとも１つの中央サーバは、少なくとも１つの代理人および／または少なくとも１つの自律車両のために、限定はしないが、対応する搬送データが関連付けられた少なくとも１つの搬送サービス要求を受信、格納、標準化、集約、フィルタリング、および好ましくはソートし、少なくとも１つの好ましい搬送サービス要求を確保または取得するための機能を含む、本発明の少なくとも１つの機能を実行することができる。限定を目的としない例として、少なくとも１つの中央サーバは、少なくとも１つの自律車両の少なくとも１つのオーナまたは少なくとも１つのコントローラのために、限定はしないが、少なくとも１つの自律車両に関連する搬送データの全部または一部を受信、格納、標準化、集約、フィルタリング、および好ましくはソートし、好ましいと識別することができる少なくとも１つの自律車両を確保または取得するための機能を含む、本発明の少なくとも１つの機能を実行することができる。
【０５７６】
限定を目的としない例として、少なくとも１つの搬送サービス要求、少なくとも１つの自律車両に関連する搬送データの全部または一部、またはそれらの組合せをフィルタリングする際に、少なくとも１つの代理人の少なくとも１つのリアルタイムまたはほぼリアルタイムの地理的位置や少なくとも１つの自律車両の少なくとも１つのリアルタイムまたはほぼリアルタイムの地理的位置以外の少なくとも１つの異なる地理的位置を使用することができる。
【０５７７】
限定を目的としない例として、少なくとも１つの代理人選好、好ましくは、少なくとも１つの代理人の少なくとも１つのリアルタイムまたはほぼリアルタイムの地理的位置、またはそれらの組合せを、少なくとも１つの搬送サービス要求をフィルタリングする前の任意の時点で少なくとも１つの中央サーバに送信することができる。限定を目的としない例として、少なくとも１つの選択された選好、好ましくは、少なくとも１つの自律車両の少なくとも１つのリアルタイムまたはほぼリアルタイムの地理的位置、少なくとも１つの自律車両に関連する搬送データの全部または一部、またはそれらの組合せを、少なくとも１つの搬送サービス要求をフィルタリングする前の任意の時点で少なくとも１つの中央サーバに送信することができる。
【０５７８】
限定を目的としない例として、少なくとも１つの中央サーバは、少なくとも１つの好ましい搬送サービス要求を識別するために少なくとも１つの加重平均を計算する際に、少なくとも１つの代理人選好に対して少なくとも１つの等しい重みまたは少なくとも１つの等しくない重みを使用することができる。限定を目的としない例として、少なくとも１つの中央サーバは、少なくとも１つの好ましい搬送サービス要求、好ましいと識別することができる少なくとも１つの自律車両、少なくとも１つの自律車両に関連する好ましい搬送データの全部または一部、またはそれらの組合せを識別するために少なくとも１つの加重平均を計算する際に、少なくとも１つの選択された選好に対して少なくとも１つの等しい重みまたは少なくとも１つの等しくない重みを使用することができる。
【０５７９】
限定を目的としない例として、少なくとも１つの中央サーバが少なくとも１つの搬送サービス要求を受信した場合、少なくとも１つの中央サーバは、少なくとも１つの搬送サービス要求を分類するかまたは事前にフィルタリングすることができる。限定を目的としない例として、少なくとも１つの中央サーバは、少なくとも１つの地理的エリアに関連する、少なくとも１つの事前にフィルタリングされた搬送サービス要求、または少なくとも１つの事前に分類された搬送サービス要求を取得または受信することができる。限定を目的としない例として、少なくとも１つの中央サーバは、少なくとも１つのサービスレベルに関連する、少なくとも１つの事前にフィルタリングされた搬送サービス要求、または少なくとも１つの事前に分類された搬送サービス要求を取得または受信することができる。限定を目的としない例として、少なくとも１つの搬送サービス要求は、少なくとも１つの地理的エリアに基づいて、少なくとも１つの中央サーバ上で事前にフィルタリングするかまたは事前に分類することができる。限定を目的としない例として、少なくとも１つの搬送サービス要求は、少なくとも１つのサービスレベルに基づいて、少なくとも１つの中央サーバ上で事前にフィルタリングするかまたは事前に分類することができる。
【０５８０】
限定を目的としない例として、少なくとも１つの搬送サービス要求は、少なくとも１つの外部サーバまたは少なくとも１つの中央サーバ上で事前にフィルタリングするかまたは事前に分類することができ、少なくとも１つの搬送サービス要求は少なくとも１つのフィルタリングされた搬送サービス要求になることができ、フィルタリングは少なくとも１つの中央サーバ上では必要とされない。限定を目的としない例として、少なくとも１つの搬送サービス要求が事前にフィルタリングされるかまたは事前に分類される場合、少なくとも１つの中央サーバは、少なくとも１つの搬送サービス要求をフィルタリングする必要がなく、少なくとも１つの好ましい搬送サービス要求を識別することができる。
【０５８１】
限定を目的としない例として、少なくとも１つの中央サーバが、少なくとも１つの自律車両に関連する搬送データの全部または一部を受信する際に、少なくとも１つの中央サーバは、少なくとも１つの自律車両に関連する搬送データの全部または一部を分類するかまたは事前にフィルタリングすることができる。限定を目的としない例として、少なくとも１つの中央サーバは、少なくとも１つの地理的エリアに関連する、少なくとも１つの自律車両に関連する少なくとも１つの事前にフィルタリングされた搬送データの全部または一部、または少なくとも１つの自律車両に関連する少なくとも１つの事前に分類された搬送データの全部または一部を取得または受信することができる。限定を目的としない例として、少なくとも１つの中央サーバは、少なくとも１つのサービスレベルに関連する、少なくとも１つの自律車両に関連する少なくとも１つの事前にフィルタリングされた搬送データの全部または一部、または少なくとも１つの自律車両に関連する少なくとも１つの事前に分類された搬送データの全部または一部を取得または受信することができる。限定を目的としない例として、少なくとも１つの自律車両に関連する搬送データの全部または一部は、少なくとも１つの地理的エリアに基づいて、少なくとも１つの中央サーバ上で事前にフィルタリングするかまたは事前に分類することができる。限定を目的としない例として、少なくとも１つの自律車両に関連する搬送データの全部または一部は、少なくとも１つのサービスレベルに基づいて、少なくとも１つの中央サーバ上で事前にフィルタリングするかまたは事前に分類することができる。
【０５８２】
限定を目的としない例として、少なくとも１つの搬送サービス要求、または少なくとも１つの自律車両に関連する搬送データの全部または一部は、事前にフィルタリングされたかまたは事前に分類された後に、少なくとも１つの中央サーバ上で、少なくとも１つの代理人選好、少なくとも１つの選択された選好、またはそれらの組合せに基づいてフィルタリングすることができる。
【０５８３】
限定を目的としない例として、少なくとも１つの中央サーバが、少なくとも１つの事前にフィルタリングされた搬送サービス要求を取得する場合、少なくとも１つの中央サーバは、少なくとも１つの事前にフィルタリングされた搬送サービス要求を少なくとも１つの代理人選好または少なくとも１つの選択された選好と比較して、少なくとも１つのフィルタリングされた搬送サービス要求を識別することができる。限定を目的としない例として、少なくとも１つの中央サーバが少なくとも１つの事前にフィルタリングされた自律車両を取得する場合、少なくとも１つの中央サーバは、少なくとも１つの自律車両に関連する事前にフィルタリングされた搬送データの全部または一部を少なくとも１つの選択された選好と比較して、少なくとも１つの自律車両に関連するフィルタリングされた搬送データの全部または一部を識別することができる。
【０５８４】
限定を目的としない例として、少なくとも１つの搬送サービス要求が事前にフィルタリングされている場合、少なくとも１つの搬送サービス要求はフィルタリングされない。限定を目的としない例として、少なくとも１つの事前にフィルタリングされた搬送サービス要求は、少なくとも１つのフィルタリングされた搬送サービス要求ととらえるか、または呼ぶことができる。限定を目的としない例として、少なくとも１つの中央サーバは、少なくとも１つの搬送サービス要求を少なくとも１回フィルタリングすることができる。限定を目的としない例として、少なくとも１つの中央サーバは、好ましくは、少なくとも１つの好ましい搬送サービス要求を識別するために、少なくとも１つの搬送サービス要求を少なくとも１回ソート等することができる。限定を目的としない例として、少なくとも１つの中央サーバは、少なくとも１つの価格設定選好、次いで少なくとも１つのサービスプロバイダ選好に基づいて、少なくとも１つの搬送サービス要求を２回以上フィルタリングすることができる。限定を目的としない例として、少なくとも１つの搬送サービス要求は、少なくとも１つの中央サーバ上で受信された後に、少なくとも１つの地理的位置によって分類することができる。
【０５８５】
限定を目的としない例として、少なくとも１つの自律車両に関連する搬送データの全部または一部が事前にフィルタリングされている場合、少なくとも１つの自律車両に関連する搬送データの全部または一部はフィルタリングされない。限定を目的としない例として、少なくとも１つの自律車両に関連する事前にフィルタリングされた搬送データの全部または一部は、少なくとも１つの自律車両に関連するフィルタリングされた搬送データの全部または一部ととらえるかまたは呼ぶことができる。限定を目的としない例として、少なくとも１つの中央サーバは、少なくとも１つの自律車両に関連する搬送データの全部または一部を少なくとも１回フィルタリングすることができる。限定を目的としない例として、少なくとも１つの中央サーバは、好ましくは、少なくとも１つの自律車両に関連する搬送データの全部または一部を少なくとも１回ソート等して、好ましいと識別することができる少なくとも１つの自律車両、少なくとも１つの自律車両に関連する好ましい搬送データの全部または一部、またはそれらの組合せを識別することができる。限定を目的としない例として、少なくとも１つの中央サーバは、少なくとも１つの価格設定選好に基づいて、次いで少なくとも１つの商品サプライヤ選好に基づいて、少なくとも１つの自律車両に関連する搬送データの全部または一部を２回以上フィルタリングすることができる。限定を目的としない例として、少なくとも１つの自律車両に関連する搬送データの全部または一部は、少なくとも１つの中央サーバ上で受信された後に、少なくとも１つの地理的位置によって分類することができる。限定を目的としない例として、少なくとも１つの自律車両に関連する事前にフィルタリングされた搬送データの全部または一部は、少なくとも１つの自律車両の少なくとも１つのリアルタイムまたはほぼリアルタイムの地理的位置の全部または一部も含め、事前にフィルタリングするか、再びフィルタリングするか、またはそれらの組合せを行うことができる。
【０５８６】
限定を目的としない例として、少なくとも１つのフィルタリングされた搬送サービス要求は、好ましくは、少なくとも１つの好ましい搬送サービス要求を識別するために、少なくとも１つの代理人選好の少なくとも１つの加重平均、または少なくとも１つの選択された選好の少なくとも１つの加重平均に関連する少なくとも１つの昇順または降順にソートすることができる。限定を目的としない例として、少なくとも１つの自律車両に関連するフィルタリングされた搬送データの全部または一部は、好ましくは、好ましいと識別することができる少なくとも１つの自律車両、少なくとも１つの自律車両に関連する好ましい搬送データの全部または一部、またはそれらの組合せを識別するために、少なくとも１つの選択された選好の少なくとも１つの加重平均に関連する少なくとも１つの昇順または降順にソートすることができる。
【０５８７】
限定を目的としない例として、少なくとも１つの代理人または少なくとも１つの自律車両の少なくとも１つのリアルタイムまたはほぼリアルタイムの地理的位置が更新または変更された際に、対応する搬送データが関連付けられた少なくとも１つの好ましい搬送サービス要求、対応する搬送データが関連付けられた少なくとも１つのフィルタリングされた搬送サービス要求、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、またはそれらの組合せを、リアルタイムまたはほぼリアルタイムで識別または更新することができる。
【０５８８】
限定を目的としない例として、交通情報が更新または変更された際に、対応する搬送データが関連付けられた少なくとも１つの好ましい搬送サービス要求、対応する搬送データが関連付けられた複数のフィルタリングされた搬送サービス要求の全部または一部、対応する搬送データが関連付けられた複数の搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの代理人選好、少なくとも１つの選択された選好、少なくとも１つの確保または取得された好ましい搬送サービス要求、好ましいと識別された少なくとも１つの確保または取得された自律車両、またはそれらの組合せを、リアルタイムまたはほぼリアルタイムで識別または更新することができる。
【０５８９】
限定を目的としない例として、少なくとも１つの中央サーバは、少なくとも１つの好ましい搬送サービス要求、少なくとも１つのフィルタリングされた搬送サービス要求、好ましいと識別することができる少なくとも１つの自律車両、フィルタリングすることができる少なくとも１つの自律車両、またはそれらの組合せを確保または取得することができ、少なくとも１つの外部サーバ、少なくとも１つの中央サーバ、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せと直接通信することができる。
【０５９０】
限定を目的としない例として、少なくとも１つの確保または取得された好ましい搬送サービス要求、または好ましいと識別することができる少なくとも１つの確保または取得された自律車両は、限定はしないが、少なくとも１つのサービスプロバイダ、少なくとも１つの外部サーバ、少なくとも１つの中央サーバ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、少なくとも１つのオーナアプリケーションまたはコントローラアプリケーション、少なくとも１つのアプリケーション、少なくとも１つの自律車両、少なくとも１つの代理人、少なくとも１つの搬送クライアント、またはそれらの組合せに送信することができる。
【０５９１】
限定を目的としない例として、少なくとも１つの中央サーバを使用して、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのサードパーティ、少なくとも１つのロジスティクスプロバイダ、少なくとも１つのロジスティクスサプライヤ等のために、フロントエンドまたはバックエンドで物流を管理することができる。限定を目的としない例として、少なくとも１つの中央サーバを使用して、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのサードパーティ、少なくとも１つのロジスティクスプロバイダ、少なくとも１つのロジスティクスサプライヤ、またはそれらの組合せのために、フロントエンドまたはバックエンドで少なくとも１つの自律車両を制御または操作することができる。限定を目的としない例として、少なくとも１つの中央サーバを少なくとも１つのフリートマネージャによって使用して、少なくとも１つのサービスプロバイダ等のためにバックエンドで物流を管理することができる。限定を目的としない例として、少なくとも１つの中央サーバを少なくとも１つのサービスプロバイダ等によって使用して、少なくとも１つのＯＥＭまたは少なくとも１つの自動車製造業者のためにバックエンドで物流を管理することができる。限定を目的としない例として、少なくとも１つの中央サーバを少なくとも１つのサービスプロバイダ等によって使用して、少なくとも１つの自律車両の少なくとも１つのフリートのためにバックエンドで物流を管理することができる。限定を目的としない例として、少なくとも１つの中央サーバを少なくとも１つの自律車両等の少なくとも１つのオーナまたは少なくとも１つのコントローラによって使用して、少なくとも１つの自律車両の少なくとも１つの個人のオーナのために物流を管理することができる。限定を目的としない例として、少なくとも１つの中央サーバを少なくとも１つの自律車両等の少なくとも１つのオーナまたは少なくとも１つのコントローラによって使用して、少なくとも１つのフリートマネージャのために物流を管理することができる。
【０５９２】
限定を目的としない例として、少なくとも１つの中央サーバは、少なくとも１つのデータベース、少なくとも１つのデータベーステーブル、または少なくとも１つのデータベース結果セットにおいて、少なくとも１つの自律車両に関連する少なくとも１つの搬送サービス要求または搬送データの全部または一部の受信、格納、標準化、集約、送信、フィルタリング、識別、またはそれらの組合せを行うことができる。限定を目的としない例として、少なくとも１つの中央サーバは、少なくとも１つのデータベース、少なくとも１つのデータベーステーブル、または少なくとも１つのデータベース結果セットにおいて、少なくとも１つの好ましい搬送サービス要求または好ましいと識別することができる少なくとも１つの自律車両の受信、格納、標準化、集約、送信、フィルタリング、識別、またはそれらの組合せを行い、次いで確保または取得することができる。限定を目的としない例として、好ましいと識別することができる少なくとも１つの自律車両を確保または取得する際に、少なくとも１つの自律車両に関連する好ましい搬送データの全部または一部を任意で確保または取得することができる。
【０５９３】
限定を目的としない例として、少なくとも１つの中央サーバは、少なくとも１つのデータベース、少なくとも１つのデータベーステーブル、少なくとも１つのデータベース結果セット、またはそれらの組合せにおいて、対応する搬送データを有する搬送サービス要求を分類するかまたは事前に分類することができる。限定を目的としない例として、少なくとも１つの中央サーバは、少なくとも１つのデータベース、少なくとも１つのデータベーステーブル、少なくとも１つのデータベース結果セット、またはそれらの組合せにおいて、個々の自律車両のそれぞれに対応する搬送データに基づいて、対応する搬送データを有する自律車両のフリートを分類するかまたは事前に分類することができる。限定を目的としない例として、少なくとも１つの中央サーバは、少なくとも１つのデータベース、少なくとも１つのデータベーステーブル、少なくとも１つのデータベース結果セット、またはそれらの組合せにおいて、少なくとも１つの自律車両フリートに関連する搬送データの全部または一部を、全体として、分類するかまたは事前に分類することができる。限定を目的としない例として、少なくとも１つの中央サーバは、少なくとも１つのデータベース、少なくとも１つのデータベーステーブル、少なくとも１つのデータベース結果セット、またはそれらの組み合わせにおいて、個々の自律車両のそれぞれに対応する搬送データに基づいて、対応する搬送データを有する自律車両のフリートを分類するかまたは事前に分類することができる。限定を目的としない例として、少なくとも１つの中央サーバは、少なくとも１つのデータベース、少なくとも１つのデータベーステーブル、少なくとも１つのデータベース結果セット、またはそれらの組合せにおいて、対応する搬送データを有する自律車両のフリートを、全体として、分類するかまたは事前に分類することができる。
【０５９４】
限定を目的としない例として、少なくとも１つの中央サーバは、少なくとも１つのグラフデータベースを使用して、最も近接している可能性がある少なくとも１つの自律車両、好ましいと識別することができる少なくとも１つの自律車両、またはそれらの組合せのために、またはそれらを基準に、少なくとも１つの好ましい搬送サービス要求を識別することができる。限定を目的としない例として、少なくとも１つの中央サーバは、少なくとも１つのノードおよび／または少なくとも１つのエッジを有する少なくとも１つの有向グラフまたは少なくとも１つの無向グラフを利用して、少なくとも１つの好ましい搬送サービス要求までの最短移動時間内にある少なくとも１つの自律車両を識別することができる。
【０５９５】
限定を目的としない例として、対応する搬送データを有する２つの自律車両は、搬送業界セグメント選好に基づいて、２つの異なるデータベース、２つの異なるデータベーステーブル、または２つの異なるデータベース結果セットに格納または分類することができ、搬送サービス要求の全部または一部は、別のデータベース、別のデータベーステーブル、または別のデータベース結果セットに格納または分類することができる。この限定を目的としない例を続けて説明すると、少なくとも１つの中央サーバは、３つの異なるデータベース、３つの異なるデータベーステーブル、または３つの異なるデータベース結果セットを有し、または使用して、両方の自律車両のために、またはそれらを基準に、確保または取得される好ましい搬送サービス要求をフィルタリングし、識別することができる。この限定を目的としない例を続けて説明すると、少なくとも１つの中央サーバは、少なくとも１つのデータベースまたは少なくとも１つのデータベーステーブルを有するか、または使用することができ、少なくとも１つの中央サーバは、３つの異なるクエリを有するか、または使用することができるが、少なくとも１つの基礎となるデータベーステーブルは、依然として同じであるか、または変更されない。
【０５９６】
限定を目的としない例として、少なくとも１つの中央サーバは、少なくとも１つのデータベースまたは少なくとも１つのデータベーステーブルから、少なくとも１つの自律車両に関連する少なくとも１つの搬送サービス要求または搬送データの全部または一部をフィルタリングすることができ、少なくとも１つのデータベース結果セットは、少なくとも１つのフィルタリングされた搬送サービス要求、または少なくとも１つの自律車両に関連するフィルタリングされた搬送データの全部または一部を識別することができる。限定を目的としない例として、少なくとも１つの中央サーバは、少なくとも１つのデータベースまたは少なくとも１つのデータベーステーブルから、少なくとも１つの好ましい搬送サービス要求、または少なくとも１つの自律車両に関連する好ましい搬送データの全部または一部を識別することができ、少なくとも１つのデータベース結果セットは、少なくとも１つの好ましい搬送サービス要求、または少なくとも１つの自律車両に関連する好ましい搬送データの全部または一部を識別することができる。
【０５９７】
限定を目的としない例として、少なくとも１つの自律車両の少なくとも１つのオーナまたは少なくとも１つのコントローラまたは少なくとも１つのフリートマネージャは、例えば、両方の自律車両のために、またはそれらを基準に確保または取得される好ましい搬送サービス要求をフィルタリングおよび識別する際に、各データベース、データベーステーブル、またはデータベース結果セットに対して複数の選択された選好を使用することができる。限定を目的としない例として、少なくとも１つの自律車両の少なくとも１つのオーナまたは少なくとも１つのコントローラまたは少なくとも１つのフリートマネージャは、例えば、両方の好ましい搬送サービス要求のために、またはそれらを基準に確保または取得される好ましいと識別することができる２つの自律車両をフィルタリングし識別する際に、各データベース、データベーステーブル、またはデータベース結果セットに対して複数の選択された選好を使用することができる。
【０５９８】
限定を目的としない例として、少なくとも１つの中央サーバは、少なくとも１つの１段階プロセスを利用して、搬送サービス要求、少なくとも１つの自律車両に関連する搬送データの全部または一部、またはそれらの組合せをフィルタリングすることができる。限定を目的としない例として、少なくとも１つの中央サーバは、初めに少なくとも１つの選択された選好に基づいて搬送サービス要求をフィルタリングし、次いで少なくとも１つの自律車両の少なくとも１つのリアルタイムまたはほぼリアルタイムの地理的位置に基づいて搬送サービス要求の少なくとも１つのサブセットをフィルタリングする２段階プロセスを使用して、搬送サービス要求をフィルタリングすることができる。限定を目的としない例として、少なくとも１つの中央サーバは、初めに少なくとも１つの自律車両の少なくとも１つのリアルタイムまたはほぼリアルタイムの地理的位置に基づいて搬送サービス要求をフィルタリングし、次いで少なくとも１つの選択された選好に基づいて搬送サービス要求の少なくとも１つのサブセットをフィルタリングする２段階プロセスを使用して、搬送サービス要求をフィルタリングすることができる。限定を目的としない例として、少なくとも１つの中央サーバは、初めに少なくとも１つの選択された選好に基づいて搬送サービス要求を最初にフィルタリングし、次いで少なくとも１つの異なる選択された選好に基づいて搬送サービス要求の少なくとも１つのサブセットをフィルタリングする２段階プロセスを使用して、搬送サービス要求をフィルタリングすることができる。
【０５９９】
限定を目的としない例として、少なくとも１つの中央サーバは、初めに少なくとも１つの選択された選好に基づいて少なくとも１つの自律車両に関連する搬送データの全部または一部をフィルタリングし、次いで少なくとも１つの自律車両の少なくとも１つのリアルタイムまたはほぼリアルタイムの地理的位置に基づいて少なくとも１つの自律車両に関連する搬送データの全部または一部の少なくとも１つのサブセットをフィルタリングする２段階プロセスを使用して、少なくとも１つの自律車両に関連する搬送データの全部または一部をフィルタリングすることができる。限定を目的としない例として、少なくとも１つの中央サーバは、初めに少なくとも１つの自律車両の少なくとも１つのリアルタイムまたはほぼリアルタイムの地理的位置に基づいて少なくとも１つの自律車両に関連する搬送データの全部または一部をフィルタリングし、次いで少なくとも１つの選択された選好に基づいて少なくとも１つの自律車両に関連する搬送データの全部または一部の少なくとも１つのサブセットをフィルタリングする２段階プロセスを使用して、少なくとも１つの自律車両に関連する搬送データの全部または一部をフィルタリングすることができる。限定を目的としない例として、少なくとも１つの中央サーバは、初めに少なくとも１つの選択された選好に基づいて少なくとも１つの自律車両に関連する搬送データの全部または一部をフィルタリングし、次いで少なくとも１つの異なる選択された選好に基づいて少なくとも１つの自律車両に関連する搬送データの全部または一部の少なくとも１つのサブセットをフィルタリングする２段階プロセスを使用して、少なくとも１つの自律車両に関連する搬送データの全部または一部をフィルタリングすることができる。
【０６００】
限定を目的としない例として、少なくとも１つの中央サーバは、複数の好ましい搬送サービス要求、好ましいと識別することができる自律車両のフリート、またはそれらの組み合わせをフィルタリングして識別することができ、複数の搬送サービスを実行するために、それらをマッチングさせ、確保または取得することができる。限定を目的としない例として、少なくとも１つの中央サーバは、初めに複数の好ましい搬送サービス要求をフィルタリングして識別し、次いで好ましいと識別することができる複数の自律車両をフィルタリングして識別することができ、複数の搬送サービスを実行するために、それらをマッチングさせ、確保または取得することができる。限定を目的としない例として、少なくとも１つの中央サーバは、初めに好ましいと識別することができる複数の自律車両をフィルタリングして識別し、次いで複数の好ましい搬送サービス要求をフィルタリングして識別することができ、複数の搬送サービスを実行するために、それらをマッチングさせ、確保または取得することができる。
【０６０１】
限定を目的としない例として、少なくとも１つの中央サーバは、任意の順序で、対応する搬送データを有する少なくとも１つの搬送サービス要求、少なくとも１つの自律車両に関連する搬送データの全部または一部、またはそれらの組合せをフィルタリングすることができる。限定を目的としない例として、少なくとも１つの中央サーバは、任意の順序で、対応する搬送データが関連付けられた少なくとも１つの好ましい搬送サービス要求、好ましいと識別することができる少なくとも１つの自律車両、少なくとも１つの自律車両に関連する好ましい搬送データの全部または一部、またはそれらの組合せを識別することができる。限定を目的としない例として、少なくとも１つの中央サーバは、任意の順序で、対応する搬送データが関連付けられた少なくとも１つの好ましい搬送サービス要求、好ましいと識別することができる少なくとも１つの自律車両、またはそれらの組合せを確保または取得することができる。限定を目的としない例として、少なくとも１つの中央サーバは、第２の選択された選好を使用または適用することができ、少なくとも１つのプロセスは、任意で、少なくとも１つの追加のレベルのフィルタリングと呼ばれるか、または少なくとも１つの追加のレベルのフィルタリングと見なすことができる。
【０６０２】
限定を目的としない例として、少なくとも１つの中央サーバは、機械学習技術等を使用して少なくとも１つのパターンを識別することができ、少なくとも１つの自律車両自動化プラットフォームは、少なくとも１つの識別された搬送サービス要求需要増加のパターンに起因して、午後９時前後に少なくとも１つの特定のエリアに少なくとも１つの自律車両を追加することができる。限定を目的としない例として、少なくとも１つの中央サーバは、機械学習技術等を使用して、搬送データに関する少なくとも１つの相関に基づいて少なくとも１つのパターンを識別することができる。限定を目的としない例として、少なくとも１つの中央サーバは、交通渋滞と１日の中の少なくとも１つの時間との間の少なくとも１つの相関を識別することができる。限定を目的としない例として、少なくとも１つのアプリケーション、少なくとも１つのオーナアプリケーションまたはコントローラアプリケーション、少なくとも１つの外部サーバ、またはそれらの組合せは、少なくとも１つの中央サーバ上で動作することができる。
【０６０３】
限定を目的としない例として、少なくとも１つの中央サーバは、少なくとも１つのより良い好ましい搬送サービス要求または少なくとも１つのより良いフィルタリングされた搬送サービス要求が、限定はしないが、リアルタイムまたはほぼリアルタイム等で利用可能になった場合、少なくとも１つの確保または取得された好ましい搬送サービス要求または少なくとも１つの確保または取得されたフィルタリングされた搬送サービス要求の確保状態を解除するかまたはキャンセルすることができる。限定を目的としない例として、少なくとも１つの中央サーバは、好ましいと識別することができる少なくとも１つのより良い自律車両、またはフィルタリングすることができる少なくとも１つのより良い自律車両が、限定はしないが、リアルタイムまたはほぼリアルタイム等で利用可能になった場合に、好ましいと識別することができる少なくとも１つの確保または取得された自律車両またはフィルタリングすることができる少なくとも１つの確保または取得された自律車両の確保状態を解除するかまたはキャンセルすることができる。限定を目的としない例として、少なくとも１つの中央サーバは、好ましいと識別することができる少なくとも１つの自律車両が利用可能であるかまたは利用不可能になった場合に、好ましいと識別することができる少なくとも１つの自律車両の確保状態を解除するかまたはキャンセルすることができる。限定を目的としない例として、少なくとも１つの中央サーバは、少なくとも１つのデータポイントに基づいた少なくとも１つのデータベースを有するか、または少なくとも１つのデータベースに関連付けることができる。
【０６０４】
限定を目的としない例として、少なくとも１つのサービスプロバイダに関連する少なくとも１つの中央サーバ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組み合わせは、少なくとも１つの好ましい搬送サービス要求、好ましいと識別することができる少なくとも１つの自律車両、またはそれらの組み合わせを確保または取得することができ、少なくとも１つのサードパーティに関連するまたは属する少なくとも１つの中央サーバを手助けし且つそれらと通信することができる。限定を目的としない例として、少なくとも１つのサービスプロバイダに関連する少なくとも１つの中央サーバ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの好ましい搬送サービス要求、好ましいと識別することができる少なくとも１つの自律車両、またはそれらの組合せを確保または取得することができ、少なくとも１つの他のサービスプロバイダに関連するまたは属する少なくとも１つの他の中央サーバ、少なくとも１つの自律車両の少なくとも１つの他のオーナまたは少なくとも１つの他のオーナまたは少なくとも１つの他のコントローラ、少なくとも１つの他の商品サプライヤ、少なくとも１つの他のフリートマネージャ、少なくとも１つの他のロジスティクスプロバイダ、少なくとも１つの他のロジスティクスサプライヤ、少なくとも１つの他のロジスティクスサプライヤ等を手助けし且つそれらと通信することができる。限定を目的としない例として、好ましいと識別することができる少なくとも１つの自律車両は、２つ以上の好ましい搬送サービス要求のために、またはそれを基準に、同時に確保または取得することができる。
【０６０５】
「システム」
少なくとも１つのシステムは、限定はしないが、例えば、少なくとも１つの好ましい搬送サービス要求、好ましいと識別することができる少なくとも１つの自律車両、またはそれらの組合せを確保または取得することができる、本発明の要素の集合であり得る。少なくとも１つのシステムは、限定はしないが、本発明の要素の集合であってもよく、少なくとも１つの要素は、少なくとも１つの他の要素と関連付けられるか、または統合することができる。要素または個々の要素の集合は、同じ位置または異なる位置にあってもよい。少なくとも１つのシステムは、限定はしないが、少なくとも１つのコンピュータプログラム製品であり得る。少なくとも１つのシステムは、限定はしないが、少なくとも１つのルールベースのシステムであり得る。
【０６０６】
限定を目的としない例として、本発明では、少なくとも１つの運搬クライアント、少なくとも１つのアプリケーション、少なくとも１つの運搬クライアントまたはコントローラアプリケーション、少なくとも１つの代理人、少なくとも１つの自律車両、少なくとも１つの自律車両の少なくとも１つのフリート、少なくとも１つの自律車両、フィルタリングすることができる少なくとも１つの自律車両、好ましいと識別することができる少なくとも１つの自律車両、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、少なくとも１つの端末、少なくとも１つのリンク、少なくとも１つの中央サーバ、少なくとも１つの外部サーバ、少なくとも１つのサービスプロバイダ、少なくとも１つの商品サプライヤ、少なくとも１つの代理人自動化プラットフォーム、少なくとも１つの自律車両自動化プラットフォーム、少なくとも１つの視覚表現、少なくとも１つの代理人選好、少なくとも１つの選択された選好、搬送データ、少なくとも１つの自律車両に関連する運搬データ、少なくとも１つの自律車両に関連するフィルタリングされた搬送データ、少なくとも１つの自律車両に関連する好ましい搬送データ、少なくとも１つの搬送サービス要求、少なくとも１つのフィルタリングされた搬送サービス要求、および少なくとも１つの好ましい搬送サービス要求は、すべて、少なくとも１つの類似の地理的位置にあっても、少なくとも１つの境界を越えた位置を含む少なくとも１つの離れた位置に広がっていても良い。
【０６０７】
少なくとも１つのシステムを使用して、少なくとも１つの搬送業界セグメントで活動する少なくとも１つのサービスプロバイダに関連する、少なくとも１つの好ましい搬送サービス要求、好ましいと識別することができる少なくとも１つの自律車両、またはそれらの組合せを分析または評価し、好ましくは確保または取得することができる。少なくとも１つのシステムは、リアルタイムまたはほぼリアルタイムで更新またはリフレッシュすることができ、最高の発展レベルまたは最新技術に更新またはリフレッシュされているものを指し得る。少なくとも１つのシステムは、リアルタイムまたはほぼリアルタイムで少なくとも１つの機能を実行することができ、最高レベルの開発または最新技術に更新またはリフレッシュされているものを指し得る。
【０６０８】
「方法」
少なくとも１つの方法は、限定はしないが、例えば、少なくとも１つの好ましい搬送サービス要求、好ましいと識別することができる少なくとも１つの自律車両、またはそれらの組み合わせを確保または取得することができる、本発明の要素の集合であり得る。少なくとも１つの方法は、限定はしないが、本発明の要素の集合であってもよく、少なくとも１つの要素は、少なくとも１つの他の要素と関連付けられるか、または統合することができる。要素または個々の要素の集合は、同じ位置または異なる位置にあってもよい。少なくとも１つの方法は、限定はしないが、少なくとも１つのコンピュータプログラム製品であり得る。少なくとも１つの方法は、限定はしないが、少なくとも１つのルールベースの方法であり得る。
【０６０９】
限定を目的としない例として、本発明では、少なくとも１つの運搬クライアント、少なくとも１つのアプリケーション、少なくとも１つの運搬クライアントまたはコントローラアプリケーション、少なくとも１つの代理人、少なくとも１つの自律車両、少なくとも１つの自律車両の少なくとも１つのフリート、少なくとも１つの自律車両、フィルタリングすることができる少なくとも１つの自律車両、好ましいと識別することができる少なくとも１つの自律車両、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、少なくとも１つの端末、少なくとも１つのリンク、少なくとも１つの中央サーバ、少なくとも１つの外部サーバ、少なくとも１つのサービスプロバイダ、少なくとも１つの商品サプライヤ、少なくとも１つの代理人自動化プラットフォーム、少なくとも１つの自律車両自動化プラットフォーム、少なくとも１つの視覚表現、少なくとも１つの代理人選好、少なくとも１つの選択された選好、搬送データ、少なくとも１つの自律車両に関連する運搬データ、少なくとも１つの自律車両に関連するフィルタリングされた搬送データ、少なくとも１つの自律車両に関連する好ましい搬送データ、少なくとも１つの搬送サービス要求、少なくとも１つのフィルタリングされた搬送サービス要求、および少なくとも１つの好ましい搬送サービス要求は、すべて、少なくとも１つの類似の地理的位置にあっても、または少なくとも１つの境界を越えた位置を含む少なくとも１つの離れた位置に広がっていても良い。
【０６１０】
少なくとも１つの方法を使用して、少なくとも１つの搬送業界セグメントで活動する少なくとも１つのサービスプロバイダに関連する、少なくとも１つの好ましい搬送サービス要求、好ましいと識別することができる少なくとも１つの自律車両、またはそれらの組合せを分析または評価し、好ましくは確保または取得することができる。少なくとも１つの方法は、リアルタイムまたはほぼリアルタイムで更新またはリフレッシュすることができ、最高の発展レベルまたは最新技術に更新またはリフレッシュされているものを指し得る。少なくとも１つの方法は、リアルタイムまたはほぼリアルタイムで少なくとも１つの機能を実行することができ、最高の発展レベルまたは最新技術に更新またはリフレッシュされているものを指し得る。
【０６１１】
「外部サーバ」
少なくとも１つの外部サーバは、例えば、少なくとも１つの好ましい搬送サービス要求、好ましいと識別することができる少なくとも１つの自律車両、またはそれらの組合せを確保または取得するための少なくとも１つの操作または少なくとも１つの機能を容易にすることができる、少なくとも１つのソフトウェアおよび／または少なくとも１つのハードウェアであり得る。少なくとも１つの外部サーバは、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用または操作することができる、少なくとも１つのソフトウェアおよび／または少なくとも１つのハードウェアであり得る。少なくとも１つの外部サーバは、少なくとも１つのソフトウェアおよび／または少なくとも１つのハードウェア、例えば、少なくとも１つのコンピュータアプリケーション、少なくとも１つのコンピュータプログラム、少なくとも１つのＡＰＩ、少なくとも１つのウェブサイト、少なくとも１つのウェブアプリケーション、少なくとも１つのスマートフォンアプリケーション、少なくとも１つのクラウドアプリケーション、少なくとも１つのサービス等であり得る。
【０６１２】
少なくとも１つの外部サーバは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別することができる少なくとも１つの確保または取得された自律車両等を含む情報またはデータを通信することができる。少なくとも１つの外部サーバは、情報またはデータの全部または一部を、少なくとも１つの中央サーバ、少なくとも１つの外部サーバ、少なくとも１つのアプリケーション、少なくとも１つのオーナアプリケーションまたはコントローラアプリケーション、少なくとも１つの自律車両、またはそれらの組合せと通信することができる。
【０６１３】
少なくとも１つの外部サーバは、例えば、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せを確保または取得するための少なくとも１つの操作または少なくとも１つの機能を容易にすることができる、少なくとも１つのソフトウェアおよび／または少なくとも１つのハードウェアであり得る。
【０６１４】
少なくとも１つの外部サーバは、少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等に関連する少なくとも１つのＡＰＩを公開するか、またはそれらに関連する少なくとも１つのＡＰＩを介してアクセスすることができる。
【０６１５】
少なくとも１つの自律車両に関連する搬送データの全部または一部は、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両の少なくとも１つのオーナまたは少なくとも１つのコントローラ、またはそれらの組合せに関連付けることができる少なくとも１つの外部サーバによって供給または提供され得る。少なくとも１つの自律車両に関連する搬送データの全部または一部は、対応する搬送データが関連付けられた少なくとも１つの搬送サービス要求を有するかまたは提供することもできる少なくとも１つの外部サーバによって供給または提供され得る。少なくとも１つの自律車両に関連する搬送データの全部または一部は、対応する搬送データが関連付けられた少なくとも１つの搬送サービス要求を有さないまたは提供しない少なくとも１つの外部サーバによって供給または提供され得る。少なくとも１つの自律車両、少なくとも１つの自律車両に関連する搬送データの全部または一部、またはそれらの組合せは、少なくとも１つのサードパーティによって供給または提供され得る。
【０６１６】
少なくとも１つの外部サーバは、限定はしないが、対応する搬送データが関連付けられた少なくとも１つの搬送サービス要求、少なくとも１つの自律車両に関連する搬送データの全部または一部、またはそれらの組合せの少なくとも１つのソースを含み得る。少なくとも１つの外部サーバは、例えば、少なくとも１つのリアルタイムまたはほぼリアルタイムの搬送サービス要求の少なくとも１つのソース、少なくとも１つの自律車両に関連する搬送データの全部または一部の少なくとも１つのソース、またはそれらの組合せであり得る。少なくとも１つの外部サーバは、限定はしないが、少なくとも１つのコンピュータネットワークシステムであり得る。少なくとも１つの外部サーバは、限定はしないが、少なくとも１つのコンピュータプロセッサ、少なくとも１つのコンピュータ可読メモリ、および少なくとも１つのネットワークインターフェースを含み得る。少なくとも１つの外部サーバは、好ましくは、ハードウェア及び／またはソフトウェアを、単独で、または組み合わせて、包含することができる。
【０６１７】
少なくとも１つの自律車両は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せに関連付けることができる少なくとも１つの外部サーバによって供給または提供することができる。少なくとも１つの自律車両は、少なくとも１つの搬送サービス要求を供給または提供することもできる少なくとも１つの外部サーバによって供給または提供することができる。少なくとも１つの自律車両は、少なくとも１つの搬送サービス要求を有さないまたは提供しない少なくとも１つの外部サーバによって供給または提供することができる。
【０６１８】
少なくとも１つの自律車両に関連する搬送データの全部または一部は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せに関連付けることができる少なくとも１つの外部サーバによって供給または提供することができる。少なくとも１つの自律車両に関連する搬送データの全部または一部は、少なくとも１つの搬送サービス要求を有するかまたは提供することもできる少なくとも１つの外部サーバによって供給または提供することができる。少なくとも１つの自律車両に関連する搬送データの全部または一部は、少なくとも１つの搬送サービス要求を有さないまたは提供しない少なくとも１つの外部サーバによって供給または提供することができる。
【０６１９】
少なくとも１つの自律車両に関連する搬送データの全部または一部は、少なくとも１つの中央サーバ、少なくとも１つの外部サーバ、少なくとも１つのアプリケーション、少なくとも１つの自律車両に関連付けることができる少なくとも１つのアプリケーション、少なくとも１つのオーナアプリケーションまたはコントローラアプリケーション、少なくとも１つの端末、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに送信するかまたはそれらと通信することができる。
【０６２０】
少なくとも１つの自律車両に関連するフィルタリングされた搬送データの全部または一部は、少なくとも１つの中央サーバ、少なくとも１つの外部サーバ、少なくとも１つのアプリケーション、少なくとも１つの自律車両に関連付けることができる少なくとも１つのアプリケーション、少なくとも１つのオーナアプリケーションまたはコントローラアプリケーション、少なくとも１つの端末、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに送信するかまたはそれらと通信することができる。
【０６２１】
少なくとも１つの自律車両に関連する好ましい搬送データの全部または一部は、少なくとも１つの中央サーバ、少なくとも１つの外部サーバ、少なくとも１つのアプリケーション、少なくとも１つの自律車両に関連付けることができる少なくとも１つのアプリケーション、少なくとも１つのオーナアプリケーションまたはコントローラアプリケーション、少なくとも１つの端末、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに送信するかまたはそれらと通信することができる。
【０６２２】
少なくとも１つの自律車両は、少なくとも１つの中央サーバを介して少なくとも１つの外部サーバと通信することができる。少なくとも１つの自律車両は、少なくとも１つの中央サーバ、少なくとも１つのアプリケーション、または少なくとも１つの外部サーバを介して、またはそれらによって、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、またはそれらの組合せと通信することができる。少なくとも１つの自律車両は、少なくとも１つのアプリケーションを介して、またはそれによって、少なくとも１つの外部サーバまたは少なくとも１つの中央サーバと通信することができる。少なくとも１つの自律車両は、少なくとも１つの自律車両に関連付けられた少なくとも１つのアプリケーションと少なくとも１つの中央サーバとの間の少なくとも１つのリンクを使用して、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、またはそれらの組合せと通信することができる。少なくとも１つの自律車両は、少なくとも１つの自律車両に関連付けられた少なくとも１つのアプリケーションと少なくとも１つの外部サーバとの間の少なくとも１つのリンクを使用して、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、またはそれらの組合せと通信することができる。少なくとも１つの自律車両は、少なくとも１つのオーナアプリケーションまたはコントローラアプリケーションを介して、またはそれらによって、少なくとも１つの外部サーバまたは少なくとも１つの中央サーバと通信することができる。
【０６２３】
少なくとも１つの好ましい搬送サービス要求、好ましいと識別することができる少なくとも１つの自律車両、またはそれらの組合せを、少なくとも１つの中央サーバ、少なくとも１つのアプリケーション、少なくとも１つのオーナアプリケーションまたはコントローラアプリケーション、少なくとも１つの外部サーバ、またはそれらの組合せを介して、またはそれらによって確保または取得することができる。少なくとも１つの好ましい搬送サービス要求、好ましいと識別することができる少なくとも１つの自律車両、またはそれらの組み合わせは、少なくとも１つの自律車両に関連付けられた少なくとも１つのアプリケーションを介して、少なくとも１つの中央サーバまたは少なくとも１つの外部サーバによって確保または取得することができる。少なくとも１つの好ましい搬送サービス要求、好ましいと識別することができる少なくとも１つの自律車両、またはそれらの組み合わせは、少なくとも１つの自律車両に関連付けられた少なくとも１つのアプリケーションと少なくとも１つの中央サーバとの間で、少なくとも１つのリンクを介して確保または取得し、送信することができる。少なくとも１つの好ましい搬送サービス要求、好ましいと識別することができる少なくとも１つの自律車両、またはそれらの組み合わせは、少なくとも１つのリンクを介して、少なくとも１つの自律車両に関連付けられた少なくとも１つのアプリケーションと少なくとも１つの外部サーバとの間で、少なくとも１つの中央サーバを介して確保または取得し、送信することができる。少なくとも１つの好ましい搬送サービス要求、好ましいと識別することができる少なくとも１つの自律車両、またはそれらの組み合わせは、少なくとも１つの自律車両に関連付けられた少なくとも１つのアプリケーションと少なくとも１つの外部サーバとの間で、少なくとも１つのリンクを介して、確保または取得し、送信することができる。少なくとも１つの好ましい搬送サービス要求、好ましいと識別することができる少なくとも１つの自律車両、またはそれらの組み合わせは、少なくとも１つのオーナアプリケーションまたはコントローラアプリケーションを介して、またはそれによって、確保または取得することができる。
【０６２４】
少なくとも１つの外部サーバは、少なくとも１つのデータポイントに基づいた少なくとも１つのデータベースを有するか、または少なくとも１つのデータベースに関連付けることができる。少なくとも１つの外部サーバは、少なくとも１つの搬送サービス要求、少なくとも１つの自律車両に関連する搬送データの全部または一部、またはそれらの組合せのための少なくとも１つのデータベースを有するか、またはそれらに関連付けることができる。少なくとも１つの外部サーバは、少なくとも１つの選択された選好または少なくとも１つの代理人選好に基づいた少なくとも１つのデータベースを有するか、または少なくとも１つのデータベースに関連付けることができる。少なくとも１つの外部サーバは、少なくとも１つの搬送業界セグメントのための少なくとも１つのデータベースを有するか、またはそれに関連付けることができる。少なくとも１つの外部サーバは、少なくとも１つの搬送業界セグメントを有するか、またはそれに関連付けることができる。
【０６２５】
少なくとも１つの外部サーバは、限定はしないが、少なくとも１つのリンクを介して少なくとも１つの中央サーバに接続するか、または少なくとも１つの中央サーバと通信することができる少なくとも１つのサーバであり得る。少なくとも１つの外部サーバは、少なくとも１つのリンクを介して、少なくとも１つの中央サーバに、限定はしないが、搬送データが関連付けられた少なくとも１つの搬送サービス要求、少なくとも１つの自律車両に関連する搬送データの全部または一部、またはそれらの組合せをリアルタイムまたはほぼリアルタイムで送信することができる。少なくとも１つの外部サーバは、異なるハードウェアおよび／またはソフトウェアを、単独で、または組み合わせて、包含することができる。少なくとも１つの外部サーバは、少なくとも１つのデータベースを含むか、または少なくとも１つのデータベースに接続することができる。少なくとも１つの外部サーバの少なくとも１つのコンピュータ可読メモリは、少なくとも１つの外部サーバが接続することができる少なくとも１つのデータベースであり得る。
【０６２６】
少なくとも１つの外部サーバは、限定はしないが、少なくとも１つの中央サーバ、少なくとも１つの外部サーバ、少なくとも１つのリンク、少なくとも１つの端末、少なくとも１つのオーナアプリケーションまたはコントローラアプリケーション、少なくとも１つの商品サプライヤ、少なくとも１つの自律車両、少なくとも１つのアプリケーション、少なくとも１つのサービスプロバイダ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せを有するか、またはそれらに関連付けることができる。少なくとも１つの外部サーバは、任意で、少なくとも１つのサービスプロバイダサーバ、少なくとも１つの商品サプライヤサーバ、少なくとも１つのフリートマネージャサーバ、少なくとも１つの自律車両の少なくとも１つのオーナまたは少なくとも１つのコントローラのサーバ、少なくとも１つのロジスティクスプロバイダ、少なくとも１つのロジスティクスサプライヤ、またはそれらの組合せととらえるかまたは呼ぶことができる。少なくとも１つの外部サーバは、少なくとも１つの個々の地理的位置または少なくとも１つの追加の地理的位置にある少なくとも１つのサーバであり得る。少なくとも１つの外部サーバは、好ましくは、１つのインターネットロケーションに関連し得るが、そうである必要はない。好ましくは、少なくとも１つの外部サーバは、少なくとも１つの安全なサーバであり得る。少なくとも１つの外部サーバは、市販のハードウェアおよび／またはソフトウェアを使用して安全にすることができる。さらに、少なくとも１つの外部サーバは、少なくとも１つの外部サーバに出入りする通信が暗号化されるように、暗号化ソフトウェアを含み得る。暗号化ハードウェアおよび／またはソフトウェアは市販されている。
【０６２７】
少なくとも１つの外部サーバは、少なくとも１つのアプリケーションプログラムインターフェース（ＡＰＩ）等に関連付けることができる。少なくとも１つの外部サーバのアプリケーションプログラムインターフェース（ＡＰＩ）等を使用して、限定はしないが、少なくとも１つの中央サーバ、少なくとも１つの外部サーバ、少なくとも１つのアプリケーション、少なくとも１つのオーナアプリケーションまたはコントローラアプリケーション、少なくとも１つの自律車両、またはそれらの組合せの間の通信を容易にすることができる。少なくとも１つの外部サーバは、少なくとも１つの搬送業界セグメントで活動する少なくとも１つのサービスプロバイダ等に関連する、搬送データが関連付けられた少なくとも１つの搬送サービス要求、少なくとも１つの自律車両に関連する搬送データの全部または一部、またはそれらの組合せを提供することができる。少なくとも１つの外部サーバは、リアルタイムまたはほぼリアルタイムで更新またはリフレッシュすることができ、最高の発展レベルまたは最新技術に更新またはリフレッシュされているものを指し得る。少なくとも１つの外部サーバは、リアルタイムまたはほぼリアルタイムで少なくとも１つの機能を実行することができ、最高の発展レベルまたは最新技術に更新またはリフレッシュされているものを指し得る。
【０６２８】
限定を目的としない例として、対応する搬送データが関連付けられた少なくとも１つの搬送サービス要求、少なくとも１つの自律車両に関連する搬送データの全部または一部、またはそれらの組合せの少なくとも１つのソースである少なくとも１つの外部サーバは、少なくとも１つの個々のサービスプロバイダ、少なくとも１つの自律車両の少なくとも１つの個々のオーナまたは少なくとも１つの個々のコントローラ、少なくとも１つの個々の商品サプライヤ、少なくとも１つの個々のフリートマネージャ、少なくとも１つの個々のロジスティクスプロバイダ、少なくとも１つの個々のロジスティクスサプライヤ、またはそれらの組合せに関連付けることができる。
【０６２９】
限定を目的としない例として、少なくとも１つの外部サーバは、少なくとも１つの中央サーバ上で動作することができる。限定を目的としない例として、少なくとも１つの外部サーバは、同じまたは少なくとも１つの異なる地理的位置において操作可能にリンクされた少なくとも１つの別個のサーバを含み得る。限定を目的としない例として、少なくとも１つの外部サーバは、任意で、少なくとも１つのピアツーピアネットワークととらえるかまたは呼ぶことができる。限定を目的としない例として、少なくとも１つの外部サーバは、少なくとも１つの中央サーバに、または少なくとも１つの中央サーバで、事前に標準化することができる、少なくとも１つの搬送サービス要求、少なくとも１つの自律車両に関連する搬送データの全部または一部、またはそれらの組合せを送信することができる。限定を目的としない例として、少なくとも１つの外部サーバは、限定はしないが、少なくとも１つのリンクを介して、少なくとも１つのアプリケーション、少なくとも１つのオーナアプリケーションまたはコントローラアプリケーション、少なくとも１つの中央サーバ、またはそれらの組合せに接続するかまたはそれらと通信することができる少なくとも１つのサーバであり得る。限定を目的としない例として、少なくとも１つのアプリケーション、少なくとも１つのオーナアプリケーションまたはコントローラアプリケーション、少なくとも１つの自律車両、少なくとも１つの端末、少なくとも１つの中央サーバ、少なくとも１つの外部サーバ、少なくとも１つのリンク、またはそれらの組合せを結合または統合することができる。
【０６３０】
限定を目的としない例として、少なくとも１つの自律車両の少なくとも１つのフリートは、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せに関連付けることができる少なくとも１つの外部サーバによって供給または提供することができる。
【０６３１】
限定を目的としない例として、個々のサービスプロバイダ等は、少なくとも１つのデータポイントに基づいた少なくとも１つのデータベースを使用することができるか、または少なくとも１つのデータベースを有することができる少なくとも１つの外部サーバに関連付けることができる。限定を目的としない例として、個々のサービスプロバイダ等は、少なくとも１つの搬送サービス要求、少なくとも１つの自律車両に関連する搬送データの全部または一部、またはそれらの組合せのための少なくとも１つのデータベースを使用することができるか、または有することができる少なくとも１つの外部サーバに関連付けることができる。限定を目的としない例として、個々のサービスプロバイダ等は、少なくとも１つの選択された選好または少なくとも１つの代理人選好に基づいて少なくとも１つのデータベースを使用または有することができる少なくとも１つの外部サーバに関連付けることができる。限定を目的としない例として、個々のサービスプロバイダ等は、少なくとも１つの運送業界セグメントのための少なくとも１つのデータベースを使用することができるか、または有することができる少なくとも１つの外部サーバに関連付けることができる。限定を目的としない例として、個々のサービスプロバイダ等は、ライドヘイル業界セグメントという搬送業界セグメントに関連する少なくとも１つの外部サーバと、貨物業界セグメントという搬送業界セグメントに関連する少なくとも１つの他の外部サーバとを使用するか、または有することができる。限定を目的としない例として、個々のサービスプロバイダ等は、少なくとも１つの搬送サービス要求のために少なくとも１つの外部サーバを使用するか、または有することができる。限定を目的としない例として、個々のサービスプロバイダ等は、少なくとも１つの自律車両に関連する搬送データの全部または一部のために、少なくとも１つの外部サーバを使用するか、または有することができる。
【０６３２】
限定を目的としない例として、少なくとも１つのフリートマネージャ等は、少なくとも１つの自律車両の少なくとも１つのフリートのための少なくとも１つのデータベースを含むことができる少なくとも１つの外部サーバを使用するか、または有することができる。限定を目的としない例として、少なくとも１つの外部サーバは、２つの異なるエンティティに属する２つの中央サーバに接続するか、またはそれらと通信することができる。限定を目的としない例として、少なくとも１つの確保または取得された好ましい搬送サービス要求、好ましいと識別することができる少なくとも１つの確保または取得された自律車両、またはそれらの組合せを、少なくとも１つのリンクを介して少なくとも１つのアプリケーションから少なくとも１つの外部サーバに送信することができる。
【０６３３】
限定を目的としない例として、少なくとも１つの外部サーバは、限定はしないが、対応する搬送データが関連付けられた少なくとも１つの好ましい搬送サービス要求の全部または一部、対応する搬送データが関連付けられた少なくとも１つのフィルタリングされた搬送サービス要求の全部または一部、対応する搬送データが関連付けられた少なくとも１つの搬送サービス要求の全部または一部、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、少なくとも１つの自律車両の少なくとも１つのリアルタイムまたはほぼリアルタイムの地理的位置の全部または一部、少なくとも１つの代理人選好、少なくとも１つの選択された選好、少なくとも１つの確保または取得された好ましい搬送サービス要求、好ましいと識別することができる少なくとも１つの確保または取得された自律車両、またはそれらの組み合わせを、一緒にまたは別々にフィルタリングして識別することができる。
【０６３４】
限定を目的としない例として、少なくとも１つの搬送サービス要求は、少なくとも１つの中央サーバ、少なくとも１つの外部サーバ、少なくとも１つのアプリケーション、またはそれらの組合せ上で事前にフィルタリングするかまたは事前に分類することができる。限定を目的としない例として、少なくとも１つの外部サーバは、少なくとも１つの好ましい搬送サービス要求、少なくとも１つのフィルタリングされた搬送サービス要求、少なくとも１つの搬送サービス要求、好ましいと識別することができる少なくとも１つの自律車両、フィルタリングすることができる少なくとも１つの自律車両、少なくとも１つの自律車両、またはそれらの組み合わせを確保または取得することができ、少なくとも１つの中央サーバ、少なくとも１つの外部サーバ、少なくとも１つのアプリケーション、少なくとも１つのオーナアプリケーションまたはコントローラアプリケーション、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せと直接または間接的に通信することができる。限定を目的としない例として、少なくとも１つの外部サーバの少なくとも１つの機能は、少なくとも１つの中央サーバによって実行することができる。
【０６３５】
「搬送データ」
搬送データは、例えば、少なくとも１つの好ましい搬送サービス要求、好ましいと識別することができる少なくとも１つの自律車両、またはそれらの組合せを確保または取得するための少なくとも１つの操作または少なくとも１つの機能を容易にするために使用することができる情報またはデータであり得る。搬送データは、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって利用または管理することができる情報またはデータであり得る。
【０６３６】
搬送データは、例えば、少なくとも１つの地理的位置から少なくとも１つの他の地理的位置への、限定はしないが、少なくとも１人の人、少なくとも１つの商品、少なくとも１つの物品、少なくとも１つの物、またはそれらの組合せを輸送するための少なくとも１つの要求の、少なくとも１つの過去のメトリック、少なくとも１つの現在のメトリック、少なくとも１つの将来のメトリック、またはそれらの組合せに対応するデータまたは情報であり得る。
【０６３７】
少なくとも１つの自律車両に関連する搬送データの全部または一部が検討された場合、少なくとも１つの自律車両に関連するフィルタリングされた搬送データの全部または一部、少なくとも１つの自律車両に関連する好ましい搬送データの全部または一部、またはそれらの組合せも検討することができる。少なくとも１つの自律車両に関連する搬送データの全部または一部が検討された場合、少なくとも１つの自律車両の少なくとも１つのリアルタイムまたはほぼリアルタイムの地理的位置の全部または一部、フィルタリングすることができる少なくとも１つの自律車両の少なくとも１つのリアルタイムまたはほぼリアルタイムの地理的位置の全部または一部、好ましいと識別することができる少なくとも１つの自律車両の少なくとも１つのリアルタイムまたはほぼリアルタイムの地理的位置の全部または一部、またはそれらの組合せも検討することができる。
【０６３８】
少なくとも１つの自律車両に関連する搬送データ、少なくとも１つの搬送サービス要求、少なくとも１つの自律車両の少なくとも１つのリアルタイムまたはほぼリアルタイムの地理的位置、またはそれらの組合せは、少なくとも１つの外部サーバ、少なくとも１つの中央サーバ、少なくとも１つのアプリケーション、少なくとも１つのオーナアプリケーションまたはコントローラアプリケーション等から供給または提供することができる。少なくとも１つの自律車両に関連する搬送データ、少なくとも１つの搬送サービス要求、少なくとも１つの自律車両の少なくとも１つのリアルタイムまたはほぼリアルタイムの地理的位置、またはそれらの組合せは、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等によって供給または提供することができる。
【０６３９】
少なくとも１つの自律車両に関連する搬送データ、少なくとも１つの搬送サービス要求、またはそれらの組合せは、少なくとも１つの外部サーバ、少なくとも１つの中央サーバ、少なくとも１つのアプリケーション、少なくとも１つのオーナアプリケーションまたはコントローラアプリケーション等によって生成することができる。少なくとも１つの自律車両に関連する搬送データ、少なくとも１つの搬送サービス要求、またはそれらの組合せは、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等によって生成することができる。
【０６４０】
搬送データは、少なくとも１つの自律車両に関連する少なくとも１つの技術、少なくとも１つのソフトウェア、少なくとも１つのハードウェア、またはそれらの組合せによって供給、提供、または生成することができる。少なくとも１つの自律車両に関連する搬送データの全部または一部は、少なくとも１つの自律車両を制御、管理、または操作するために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって使用され得る。
【０６４１】
搬送データは、限定はしないが、例えば、少なくとも１つのリンクを介して、少なくとも１つの外部サーバ、少なくとも１つの中央サーバ、少なくとも１つのアプリケーション、少なくとも１つの端末、少なくとも１つのオーナアプリケーションまたはコントローラアプリケーション、またはそれらの組合せの間で送信することができる、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せに対応する任意のデータまたは情報であり得る。
【０６４２】
搬送データは、例えば、少なくとも１つの外部サーバから、少なくとも１つの中央サーバ、少なくとも１つのアプリケーション、少なくとも１つのオーナアプリケーションまたはコントローラアプリケーション、少なくとも１つの外部サーバ、またはそれらの組合せに送信することができる。少なくとも１つの外部サーバから取り出された搬送データは、例えば、少なくとも１つの中央サーバ、少なくとも１つのアプリケーション、少なくとも１つのオーナアプリケーションまたはコントローラアプリケーション、少なくとも１つの外部サーバ、またはそれらの組合せ上にキャッシュすることができ、性能を向上させ、限定はしないが、少なくとも１つの中央サーバ制限、少なくとも１つの外部サーバ制限、少なくとも１つのサービスプロバイダ等の制限、少なくとも１つのリンク制限、および任意の関連するサービスプロバイダ等の制限を含む、少なくとも１つの関連する制限を一層多く回避することができる。
【０６４３】
搬送データは、少なくとも１つのデータベースに格納またはキャッシュすることができる。搬送データは、少なくとも１つのデータベーステーブルに格納またはキャッシュすることができる。搬送データはリアルタイムまたはほぼリアルタイムで更新またはリフレッシュすることができ、最高の発展レベルまたは最新技術に更新またはリフレッシュされているものを指し得る。搬送データは、少なくとも１つの搬送業界セグメントで活動する、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つの搬送クライアント、少なくとも１つの代理人、またはそれらの組合せに関連する、少なくとも１つの好ましい搬送サービス要求、少なくとも１つのフィルタリングされた搬送サービス要求、少なくとも１つの搬送サービス要求、少なくとも１つの自律車両、フィルタリングすることができる少なくとも１つの自律車両、好ましいと識別することができる少なくとも１つの自律車両、またはそれらの組み合わせに対応し得る。
【０６４４】
搬送データの全部または一部は、限定はしないが、少なくとも１つの搬送サービス要求を少なくとも１つのフィルタリングされた搬送サービス要求にフィルタリングするために使用することができる、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せに関連する任意のデータまたは情報であり得る。
【０６４５】
搬送データの全部または一部は、限定はしないが、少なくとも１つの自律車両に関連する搬送データの全部または一部を少なくとも１つの自律車両に関連するフィルタリングされた搬送データの全部または一部にフィルタリングするために使用することができる、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せに関連する任意のデータまたは情報であり得る。
【０６４６】
搬送データの全部または一部は、限定はしないが、少なくとも１つのフィルタリングされた搬送サービス要求から少なくとも１つの好ましい搬送サービス要求を識別するために使用することができる、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せに関連する任意のデータまたは情報であり得る。
【０６４７】
搬送データの全部または一部は、限定はしないが、少なくとも１つの自律車両に関連するフィルタリングされた搬送データの全部または一部から、少なくとも１つの自律車両または好ましいと識別することができる少なくとも１つの自律車両に関連する好ましい搬送データの全部または一部を識別するために使用することができる、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車、好ましいと識別することができる少なくとも１つの自律車両、またはそれらの組み合わせに関連する任意のデータまたは情報であり得る。
【０６４８】
搬送データの全部または一部は、限定はしないが、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せに関連する、格納、集約、標準化、フィルタリング、好ましいと識別等することができる、任意のデータまたは情報であり得る。少なくとも１つの自律車両に関連する搬送データの全部または一部は、少なくとも１つの搬送サービス要求、少なくとも１つのフィルタリングされた搬送サービス要求、少なくとも１つの好ましい搬送サービス要求、またはそれらの組合せをフィルタリングし好ましいと識別する少なくとも１つのプロセスと同じ少なくとも１つのプロセスまたは同様の少なくとも１つのプロセスによって、フィルタリングし好ましいと識別することができる。
【０６４９】
少なくとも１つの自律車に関連する搬送データの全部または一部は、少なくとも１つの搬送サービス要求の代わりに、または少なくとも１つの搬送サービス要求と置き換えて、フィルタリングし好ましいと識別することができる。少なくとも１つの自律車両に関連する搬送データの全部または一部は、少なくとも１つの好ましい搬送サービス要求をフィルタリングし識別する少なくとも１つのプロセスによって、フィルタリングし好ましいと識別することができる。少なくとも１つの自律車両に関連する搬送データの全部または一部は、少なくとも１つの選択された選好、少なくとも１つの自律車両の少なくとも１つのリアルタイムまたはほぼリアルタイムの地理的位置、またはそれらの組合せに関してフィルタリングし、好ましいと識別し、確保または取得することができる。
【０６５０】
搬送データの全部または一部は、限定はしないが、少なくとも１つの搬送サービス要求、少なくとも１つのフィルタリングされた搬送サービス要求、少なくとも１つの好ましい搬送サービス要求、少なくとも１つの自律車両、フィルタリングすることができる少なくとも１つの自律車両、好ましいと識別することができる少なくとも１つの自律車両、またはそれらの組合せに関連する任意のデータまたは情報であり得、事前にフィルタリングするかまたは事前に分類することができる。少なくとも１つの自律車両に関連する搬送データの全部または一部は、事前にフィルタリングするかまたは事前に分類することができる。少なくとも１つの自律車両に関連する搬送データの全部または一部、少なくとも１つの自律車両に関連するフィルタリングされた搬送データの全部または一部、またはそれらの組合せは、少なくとも１つの自律車両の少なくとも１つのリアルタイムまたはほぼリアルタイムの地理的位置の全部または一部に基づいて事前にフィルタリングするかまたは事前に分類することができる。
【０６５１】
搬送データは、例えば、少なくとも１つの自律車両、好ましいと識別することができる少なくとも１つの自律車両、またはそれらの組み合わせのために、またはそれらを基準に、少なくとも１つの好ましい搬送サービス要求を分析または評価し、次いで確保または取得するために、少なくとも１つの中央サーバ、少なくとも１つの外部サーバ、少なくとも１つの外部サーバ、少なくとも１つのアプリケーション、少なくとも１つのオーナアプリケーションまたはコントローラアプリケーション、少なくとも１つの代理人、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって使用され得る。
【０６５２】
搬送データは、少なくとも１つの好ましい搬送サービス要求を識別するために最適化することができる。搬送データは、限定はしないが、少なくとも１つの自律車両、少なくとも１つの自律車両センサ、少なくとも１つのセンサデータ、少なくとも１つのサードパーティプロバイダ、少なくとも１つのマッピングプロバイダ、少なくとも１つの遠隔サーバ、少なくとも１つの外部サーバ、少なくとも１つのサービスプロバイダ等から来得る最適化データを含み得る。搬送データは、例えば、限定はしないが、少なくとも１つの地理的エリアに関連する人口統計学データ、少なくとも１つの搬送サービス要求、搬送データの全部または一部、少なくとも１つの自律車両に関連する搬送データの全部または一部、少なくとも１つの搬送クライアント、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを含み得る。搬送データは、限定はしないが、少なくとも１つのフィルタリングされた搬送サービス要求の少なくとも１つの統計的変数を含み得る。搬送データは、限定はしないが、少なくとも１つの好ましい搬送サービス要求の少なくとも１つの統計的変数を含み得る。
【０６５３】
少なくとも１つの自律車両に関連する搬送データの全部または一部は、少なくとも１つの自律車両に関連する全部または一部のデータであり得る。少なくとも１つの自律車両に関連する搬送データの全部または一部は、限定はしないが、少なくとも１つの自律車両の少なくとも１つのリアルタイムまたはほぼリアルタイムの地理的位置を含み得る。
【０６５４】
限定を目的としない例として、搬送データは、好ましくは、リアルタイムまたはほぼリアルタイムであり得、限定はしないが、少なくとも１つのサービス開始地理的位置、少なくとも１つのサービス終了地理的位置、価格設定情報、高価格設定情報、少なくとも１つの代理人選好、少なくとも１つの選択された選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい搬送クライアント、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含み得る。
【０６５５】
限定を目的としない例として、少なくとも１つの自律車両に関連する少なくとも１つのセンサデータは、少なくとも１つの他の自律車両、少なくとも１つのサービスプロバイダ、少なくとも１つの商品サプライヤ、少なくとも１つの自律車両の少なくとも１つのオーナまたは少なくとも１つのコントローラ、少なくとも１つのフリートマネージャ、少なくとも１つのロジスティクスプロバイダ、少なくとも１つのロジスティクスサプライヤ、またはそれらの組合せに通信することができる。限定を目的としない例として、少なくとも１つの自律車両に関連する少なくとも１つのセンサデータは、少なくとも１つの中央サーバ、少なくとも１つの外部サーバ、少なくとも１つのアプリケーション、少なくとも１つの端末、少なくとも１つのオーナアプリケーションまたはコントローラアプリケーション、またはそれらの組合せに通信することができる。限定を目的としない例として、少なくとも１つのセンサデータを使用して、少なくとも１つの自律車両の少なくとも１つの状態を通信することができる。
【０６５６】
限定を目的としない例として、少なくとも１つのセンサデータを使用して、少なくとも１つの自律車両の少なくとも１つのバッテリレベル、少なくとも１つの自律車両の少なくとも１つのフリート、またはそれらの組合せを通信することができる。限定を目的としない例として、少なくとも１つの自律車両自動化プラットフォームが、少なくとも１つの自律車両、好ましいと識別することができる少なくとも１つの自律車両、またはそれらの組合せのために、またはそれらを基準に、少なくとも１つの好ましい搬送サービス要求を分析または評価し、好ましくは確保または取得しているときに、少なくとも１つのセンサデータを使用して、少なくとも１つの自律車両の少なくとも１つの状態を通信することができる。
【０６５７】
限定を目的としない例として、少なくとも１つのセンサデータを使用して、少なくとも１つの自律車両の少なくとも１つのリアルタイムまたはほぼリアルタイムの地理的位置、または少なくとも１つの自律車両の少なくとも１つのフリートの少なくとも１つのリアルタイムまたはほぼリアルタイムの地理的位置を見つけ、位置特定し、更新し、フィルタリングし、識別し、またはそれらの組合せを行うことができる。限定を目的としない例として、少なくとも１つの自律車両の少なくとも１つのリアルタイムまたはほぼリアルタイムの地理的位置は、少なくとも１つのセンサデータに基づくか、または関連し得る。限定を目的としない例として、少なくとも１つのセンサデータは、少なくとも１つの好ましい搬送サービス要求、好ましいと識別することができる少なくとも１つの自律車両、少なくとも１つの自律車両に関連する好ましい搬送データの全部または一部、またはそれらの組合せを分析または評価し、次いで確保または取得することができる自律車両自動化プラットフォームによって使用され得る。
【０６５８】
限定を目的としない例として、少なくとも１つの自律車両に関連する搬送データの全部または一部が検討された場合、少なくとも１つの自律車両の少なくとも１つのフリートに関連する搬送データの全部または一部も検討することができる。限定を目的としない例として、少なくとも１つの自律車両の少なくとも１つのフリートに関連する搬送データの全部または一部が検討された場合、少なくとも１つの自律車両の少なくとも１つのフリートに関連するフィルタリングされた搬送データの全部または一部、少なくとも１つの自律車両の少なくとも１つのフリートに関連する好ましい搬送データの全部または一部、またはそれらの組合せも検討することができる。限定を目的としない例として、少なくとも１つの自律車両の少なくとも１つのフリートに関連する好ましい搬送データの全部または一部は、少なくとも１つの代理人選好の少なくとも１つの最も高い重み付け平均または少なくとも１つの選択された選好の少なくとも１つの最も高い重み付け平均を有し得る少なくとも１つの自律車両の少なくとも１つのフリートに関連するフィルタリングされた搬送データの全部または一部から識別することができる。
【０６５９】
限定を目的としない例として、搬送データは、少なくとも１つの中央サーバ、少なくとも１つの外部サーバ、少なくとも１つの端末、少なくとも１つのアプリケーション、少なくとも１つのオーナアプリケーションまたはコントローラアプリケーション、またはそれらの組合によって生成または提供され得る。限定を目的としない例として、少なくとも１つの自律車両または少なくとも１つの搬送サービス要求に関連する搬送データは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等に関連する少なくとも１つの外部サーバによって供給または提供され得る。限定を目的としない例として、少なくとも１つの自律車両の少なくとも１つのリアルタイムまたはほぼリアルタイムの地理的位置等の少なくとも１つの自律車両に関連する搬送データは、少なくとも１つの自律車両によって供給または提供され得る。限定を目的としない例として、少なくとも１つの自律車両の少なくとも１つのリアルタイムまたはほぼリアルタイムの地理的位置等の少なくとも１つの自律車両に関連する搬送データは、少なくとも１つの外部サーバによって供給または提供され得る。限定を目的としない例として、搬送データの全部または一部は、組み合わせるかまたは統合することが可能な、少なくとも１つのアプリケーション、少なくとも１つのオーナアプリケーションまたはコントローラアプリケーション、少なくとも１つの自律車両、少なくとも１つの端末、少なくとも１つの中央サーバ、少なくとも１つの外部サーバ、少なくとも１つのリンク、またはそれらの組合せと通信することができる。
【０６６０】
限定を目的としない例として、少なくとも１つの自律車両によって供給または提供される搬送データの全部または一部は、少なくとも１つのセンサ、少なくとも１つのトランシーバ、少なくとも１つの受信機、少なくとも１つのインターフェース、少なくとも１つのアプリケーション、少なくとも１つの端末等の、少なくとも１つの様々なタイプの入力から供給され得る。
【０６６１】
限定を目的としない例として、少なくとも１つの自律車両または少なくとも１つの搬送サービス要求に関連する搬送データの全部または一部は、ルート計画および、少なくとも１つの好ましい搬送サービス要求、好ましいと識別することができる少なくとも１つの自律車両、またはそれらの組合せの識別に利用される、少なくとも１つのサードパーティマッププロバイダによって提供され得る最適化データを含み得る。
【０６６２】
限定を目的としない例として、少なくとも１つの自律車両に関連する搬送データは、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等によって少なくとも１つの搬送サービス要求をリアルタイムまたはほぼリアルタイムで分析または評価するのに使用することができる。
【０６６３】
限定を目的としない例として、搬送データは、少なくとも１つの搬送クライアントに属する少なくとも１つのデバイスまたは少なくとも１つの端末の少なくとも１つのバッテリレベルに関連し得る。限定を目的としない例として、搬送データは、限定はしないが、マイルストーン、賞金、インセンティブ、完了したライド（ｒｉｄｅ）の回数、金銭的収益、財務情報、またはスケジューリング情報を含み得る。限定を目的としない例として、搬送データの全部または一部は、例えば、少なくとも１つの好ましい車両タイプ、少なくとも１つの好ましい車両サービス、またはそれらの組合せを識別するために利用され得る、少なくとも１つの車両詳細または少なくとも１つの自律車両詳細を含み得る。
【０６６４】
「搬送サービス要求」
少なくとも１つの搬送サービス要求は、例えば、限定はしないが、少なくとも１つの搬送クライアントまたは少なくとも１つのエンティティからの、少なくとも１人の人、少なくとも１つの商品、少なくとも１つの物品、少なくとも１つの物、またはそれらの組合せの少なくとも１つの地理的位置から少なくとも１つの他の地理的位置への搬送のための少なくとも１つの要求であり得る。例えば、少なくとも１つのサービス開始地理的位置、少なくとも１つのサービス終了地理的位置、またはそれらの組み合わせが、少なくとも１つのアプリケーション、少なくとも１つの中央サーバ、または少なくとも１つの外部サーバに入力または提供されると、少なくとも１つの搬送クライアントに関連する少なくとも１つの搬送サービス要求を生成することができる。少なくとも１つの搬送サービス要求が検討された場合、対応する搬送データが関連付けられた少なくとも１つの搬送サービス要求も検討することができる。
【０６６５】
対応する搬送データが関連付けられた少なくとも１つの搬送サービス要求は、限定はしないが、少なくとも１つの外部サーバ、少なくとも１つのサービスプロバイダ、少なくとも１つの商品サプライヤ、少なくとも１つのフリートマネージャ等から供給または提供することができる。少なくとも１つの搬送サービス要求は、少なくとも１つのコンピュータ可読メモリおよび／または少なくとも１つの中央サーバの少なくとも１つのデータベースに格納またはキャッシュすることができる。少なくとも１つの搬送サービス要求は、少なくとも１つの搬送業界セグメントに関連し得る。少なくとも１つの搬送サービス要求は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組み合わせに関連し得る。
【０６６６】
少なくとも１つの搬送サービス要求の全部または一部は、対応する搬送データを有するか、または対応する搬送データに関連付けることができる。少なくとも１つの搬送サービス要求の全部または一部は、少なくとも１つのデータベースに格納することができる固有の搬送データを有することができるか、またはそれに関連付けることができる。少なくとも１つの搬送サービス要求の全部または一部は、好ましいと識別することができる少なくとも１つの自律車両のために、またはそれを基準に、確保または取得される少なくとも１つの好ましい搬送サービス要求をフィルタリングして識別するために使用することができる、関連する搬送データに関連付けるか、または本質的に関連する搬送データを有し得る。少なくとも１つの搬送サービス要求は、リアルタイムまたはほぼリアルタイムで更新またはリフレッシュすることができ、最高の発展レベルまたは最新技術に更新またはリフレッシュされているものを指し得る。少なくとも１つの搬送サービス要求は、少なくとも１つの中央サーバ、少なくとも１つの外部サーバ、少なくとも１つのアプリケーション、少なくとも１つのオーナアプリケーションまたはコントローラアプリケーション、またはそれらの組合せ上で事前にフィルタリングするかまたは事前に分類することができる。
【０６６７】
少なくとも１つの搬送サービス要求は、少なくとも１つの選択された選好または少なくとも１つの代理人選好に関連する、少なくとも１つのフィルタリングされた搬送サービス要求、少なくとも１つの好ましい搬送サービス要求、またはそれらの組合せであり得る。少なくとも１つの搬送サービス要求は、少なくとも１つの代理人によって入力または提供された少なくとも１つの代理人選好に基づいて、少なくとも１つのフィルタリングされた搬送サービス要求、少なくとも１つの好ましい搬送サービス要求、またはそれらの組合せになり得る。少なくとも１つの搬送サービス要求は、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等によって入力または提供された少なくとも１つの選択された選好に基づいて、少なくとも１つのフィルタリングされた搬送サービス要求、少なくとも１つの好ましい搬送サービス要求、またはそれらの組合せになり得る。
【０６６８】
少なくとも１つの搬送サービス要求は、１回または２回以上フィルタリングすることができる。少なくとも１つの搬送サービス要求が、少なくとも１つのフィルタリングされた搬送サービス要求にフィルタリングすることができるか、または少なくとも１つの好ましい搬送サービス要求として識別することができるときはいつでも、少なくとも１つの自律車両に関連する搬送データの全部または一部を、任意で、少なくとも１つの自律車両に関連するフィルタリングされた搬送データの全部または一部にフィルタリングすることができるか、または少なくとも１つの自律車両に関連する好ましい搬送データの全部または一部として識別することができる。
【０６６９】
限定を目的としない例として、少なくとも１つの搬送サービス要求は、少なくとも１つのライドヘイルサービス要求、少なくとも１つのライドシェアサービス要求、少なくとも１つのカーシェアサービス要求、少なくとも１つのピアツーピア搬送サービス要求、少なくとも１つの輸送サービス要求、少なくとも１つの人物配達サービス要求、少なくとも１つのタクシーサービス要求、少なくとも１つのシャトルサービス要求、少なくとも１つの商品配達サービス要求、少なくとも１つのアイテム配達サービス要求、少なくとも１つの医療サービスおよび医療配達要求、少なくとも１つの食品配達サービス要求、少なくとも１つの宅配便配達サービス要求、少なくとも１つの貨物配達サービス要求、少なくとも１つの動物配達サービス要求、少なくとも１つの配達サービス要求、またはそれらの組合せであり得る。
【０６７０】
限定を目的としない例として、少なくとも１つの搬送サービス要求は、少なくとも１つのフィルタリングされた搬送サービス要求または少なくとも１つの好ましい搬送サービス要求ととらえるか、または呼ぶことができる。限定を目的としない例として、少なくとも１つの搬送サービス要求は、少なくとも１つの代理人、少なくとも１つの自律車両、少なくとも１つの自律車両の少なくとも１つのフリート、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せのための、またはそれらを基準とした場合の、少なくとも１つのフィルタリングされた搬送サービス要求または少なくとも１つの好ましい搬送サービス要求と識別するか、または呼ぶことができる。限定を目的としない例として、少なくとも１つの搬送サービス要求は、少なくとも１つのウェイポイントを含み得る。限定を目的としない例として、少なくとも１つの搬送サービス要求は、少なくとも１つのウェイポイントを含むことができ、少なくとも１つの搬送クライアントは、少なくとも１つの搬送サービスのためにピックアップされる少なくとも１つの指定されたエリアまで歩くことができる。限定を目的としない例として、少なくとも１つの搬送サービス要求が確保または取得された場合、その少なくとも１つの確保または取得された搬送サービス要求を、少なくとも１つの好ましい搬送サービス要求と呼ぶか、または識別することができる。
【０６７１】
限定を目的としない例として、少なくとも１つの搬送サービス要求を事前にスケジュールすることができる。限定を目的としない例として、搬送される少なくとも１つの物は、限定はしないが、鍵や書類のような、少なくとも１つの個人のアイテムを含み得る。限定を目的としない例として、少なくとも１つの搬送サービス要求は、特別な要求情報を含み得る。限定を目的としない例として、少なくとも１つの搬送サービス要求は、少なくとも１つのコンピュータ可読メモリおよび／または少なくとも１つのアプリケーションの少なくとも１つのデータベースに格納またはキャッシュすることができる。限定を目的としない例として、少なくとも１つの搬送サービス要求は、少なくとも１つの個々の搬送業界セグメントに関連し得る。限定を目的としない例として、少なくとも１つの搬送サービス要求は、少なくとも１つの個々のサービスプロバイダ、少なくとも１つの個々の商品サプライヤ、少なくとも１つの個々のフリートマネージャ等に関連し得る。限定を目的としない例として、少なくとも１つの搬送サービス要求は、少なくとも１つの事前にフィルタリングされた搬送サービス要求であり得る。限定を目的としない例として、複数の搬送サービス要求は、１つの搬送サービス要求であり得る。限定を目的としない例として、少なくとも１つの搬送サービス要求は、少なくとも１つの地理的位置に基づいて、少なくとも１つの中央サーバ上で事前にフィルタリングするかまたは事前に分類することができる。
【０６７２】
限定を目的としない例として、少なくとも１つの搬送サービス要求は、任意で、少なくとも１つの自律車両に関連する搬送データの全部または一部と同じまたは類似のものとしてとらえるか、または取り扱うことができる。限定を目的としない例として、少なくとも１つの搬送サービス要求、少なくとも１つの自律車両に関連する搬送データの全部または一部、またはそれらの組合せは、いずれかの順序でもフィルタリングすることができる。限定を目的としない例として、少なくとも１つの搬送サービス要求に対応する搬送データの全部または一部、少なくとも１つの自律車両に関連する搬送データの全部または一部、またはそれらの組合せを、少なくとも１つのデータベーステーブルに格納することができる。
【０６７３】
限定を目的としない例として、少なくとも１つの搬送サービス要求は、限定はしないが、少なくとも１つの選択された選好、少なくとも１つの自律車両の少なくとも１つのフリートの少なくとも１つのリアルタイムまたはほぼリアルタイムの地理的位置、またはそれらの組合せでフィルタリングすることができる。限定を目的としない例として、少なくとも１つの搬送サービス要求が、少なくとも１つのフィルタリングされた搬送サービス要求にフィルタリングすることができるか、または少なくとも１つの好ましい搬送サービス要求として識別することができるときはいつでも、少なくとも１つの自律車両の少なくとも１つのフリートに関連する搬送データの全部または一部を、任意で、少なくとも１つの自律車両の少なくとも１つのフリートに関連するフィルタリングされた搬送データの全部または一部にフィルタリングすることができるか、または少なくとも１つの自律車両の少なくとも１つのフリートに関連する好ましい搬送データの全部または一部として識別することができる。
【０６７４】
「フィルタリングされた搬送サービス要求」
少なくとも１つのフィルタリングされた搬送サービス要求は、例えば、限定はしないが、少なくとも１つの代理人選好、少なくとも１つの選択された選好、少なくとも１つの代理人の少なくとも１つのリアルタイムまたはほぼリアルタイムの地理的位置、少なくとも１つの自律車両の少なくとも１つのリアルタイムまたはほぼリアルタイムの地理的位置、またはそれらの組合せでフィルタリングすることができる少なくとも１つの搬送サービス要求であり得る。少なくとも１つのフィルタリングされた搬送サービス要求が検討された場合、対応する搬送データが関連付けられた少なくとも１つのフィルタリングされた搬送サービス要求も検討することができる。
【０６７５】
少なくとも１つのフィルタリングされた搬送サービス要求は、少なくとも１つのコンピュータ可読メモリおよび／または少なくとも１つの中央サーバの少なくとも１つのデータベースに格納またはキャッシュすることができる。少なくとも１つの代理人選好または少なくとも１つの選択された選好が更新、修正、追加、削除、および／またはリフレッシュされた場合、少なくとも１つのフィルタリングされた搬送サービス要求の少なくとも１つの新しいセットを生成することができる。少なくとも１つのフィルタリングされた搬送サービス要求は、少なくとも１つの搬送業界セグメントに関連し得る。少なくとも１つのフィルタリングされた搬送サービス要求は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せに関連し得る。
【０６７６】
少なくとも１つのフィルタリングされた搬送サービス要求の全部または一部は、対応する搬送データを有するか、または対応する搬送データに関連付けることができる。少なくとも１つのフィルタリングされた搬送サービス要求の全部または一部は、少なくとも１つのデータベースに格納することができる固有の搬送データを有するか、またはそれに関連付けることができる。少なくとも１つのフィルタリングされた搬送サービス要求の全部または一部は、好ましいと識別することができる少なくとも１つの自律車両のために、またはそれを基準に、確保または取得される少なくとも１つの好ましい搬送サービス要求を識別するために使用することができる、関連する搬送データに関連付けるか、または本質的に関連付けられた搬送データを有することができる。
【０６７７】
少なくとも１つのフィルタリングされた搬送サービス要求は、リアルタイムまたはほぼリアルタイムで更新またはリフレッシュすることができ、最高の発展レベルまたは最新技術に更新またはリフレッシュされているものを指し得る。少なくとも１つのフィルタリングされた搬送サービス要求は、少なくとも１つの中央サーバ上で事前にフィルタリングするかまたは事前に分類することができる。少なくとも１つのフィルタリングされた搬送サービス要求は、少なくとも１つの代理人選好または少なくとも１つの選択された選好に適合するかまたはそれらを満たす少なくとも１つの搬送サービス要求であり得る。少なくとも１つのフィルタリングされた搬送サービス要求は、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等によって入力または提供される少なくとも１つの選択された選好に基づいて、少なくとも１つの好ましい搬送サービス要求になり得る。
【０６７８】
少なくとも１つのフィルタリングされた搬送サービス要求は、１回または２回以上フィルタリングすることができる。少なくとも１つのフィルタリングされた搬送サービス要求が、少なくとも１つの好ましい搬送サービス要求として識別することができるときはいつでも、少なくとも１つの自律車両に関連するフィルタリングされた搬送データの全部または一部は、任意で、少なくとも１つの自律車両に関連する好ましい搬送データの全部または一部として識別することができる。
【０６７９】
限定を目的としない例として、少なくとも１つのフィルタリングされた搬送サービス要求を、少なくとも１つのアプリケーション、または少なくとも１つのオーナアプリケーションまたはコントローラアプリケーション上に表示することができる。限定を目的としない例として、少なくとも１つの視覚的表現の少なくとも１つの地理的マップ上に、少なくとも１つのフィルタリングされた搬送サービス要求を表示することができる。限定を目的としない例として、少なくとも１つのフィルタリングされた搬送サービス要求は、少なくとも１つの個々の搬送業界セグメントに関連し得る。限定を目的としない例として、少なくとも１つのフィルタリングされた搬送サービス要求は、少なくとも１つの個々のサービスプロバイダ、少なくとも１つの個々の商品サプライヤ、少なくとも１つの個々のフリートマネージャ等に関連し得る。限定を目的としない例として、少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せが、少なくとも１つのフィルタリングされた搬送サービス要求を確保または取得した場合、その少なくとも１つの確保または取得されたフィルタリングされた搬送サービス要求を、少なくとも１つの好ましい搬送サービス要求と呼ぶか、または識別することができる。限定を目的としない例として、少なくとも１つのフィルタリングされた搬送サービス要求は、少なくとも１つの事前にフィルタリングされた搬送サービス要求であり得る。限定を目的としない例として、少なくとも１つのフィルタリングされた搬送サービス要求は、少なくとも１つの搬送サービス要求ととらえるか、または呼ぶことができる。限定を目的としない例として、複数のフィルタリングされた搬送サービス要求は、１つのフィルタリングされた搬送サービス要求であり得る。
【０６８０】
限定を目的としない例として、少なくとも１つのフィルタリングされた搬送サービス要求は、任意で、少なくとも１つの自律車両に関連するフィルタリングされた搬送データの全部または一部と同じまたは類似のものととらえるか、または取り扱うことができる。限定を目的としない例として、少なくとも１つのフィルタリングされた搬送サービス要求、少なくとも１つの自律車両に関連するフィルタリングされた搬送データの全部または一部、またはそれらの組合せを、いずれかの順序で好ましいものとして識別することができる。限定を目的としない例として、少なくとも１つのフィルタリングされた搬送サービス要求に対応する搬送データの全部または一部、少なくとも１つの自律車両に関連するフィルタリングされた搬送データの全部または一部、またはそれらの組合せを、少なくとも１つのデータベーステーブルに格納することができる。
【０６８１】
限定を目的としない例として、少なくとも１つのフィルタリングされた搬送サービス要求は、例えば、限定はしないが、少なくとも１つの選択された選好、少なくとも１つの自律車両の少なくとも１つのフリートの少なくとも１つのリアルタイムまたはほぼリアルタイムの地理的位置、またはそれらの組み合わせでフィルタリングすることができる少なくとも１つの搬送サービス要求であり得る。限定を目的としない例として、少なくとも１つのフィルタリングされた搬送サービス要求を少なくとも１つの好ましい搬送サービス要求として識別することができるときはいつでも、少なくとも１つの自律車両の少なくとも１つのフリートに関連するフィルタリングされた搬送データの全部または一部は、任意で、少なくとも１つの自律車両の少なくとも１つのフリートに関連する好ましい搬送データの全部または一部として識別することができる。
【０６８２】
「好ましい搬送サービス要求」
少なくとも１つの好ましい搬送サービス要求は、例えば、少なくとも１つの地理的位置から、少なくとも１つのフィルタリングされた搬送サービス要求から識別することができる少なくとも１つの他の地理的位置まで、限定はしないが、少なくとも１人の人、少なくとも１つの商品、少なくとも１つの物、少なくとも１つの物品、またはそれらの組合せを輸送するための少なくとも１つの要求であり得る。少なくとも１つの好ましい搬送サービス要求は、例えば、限定はしないが、好ましいと識別された少なくとも１つの中央サーバ、少なくとも１つの代理人、少なくとも１つのアプリケーション、少なくとも１つのオーナアプリケーションまたはコントローラアプリケーション、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを含む少なくとも１つの要求であり得る。少なくとも１つの好ましい搬送サービス要求が検討された場合、対応する搬送データが関連付けられた少なくとも１つの好ましい搬送サービス要求も検討することができる。
【０６８３】
少なくとも１つの好ましい搬送サービス要求は、少なくとも１つのコンピュータ可読メモリおよび／または少なくとも１つの中央サーバの少なくとも１つのデータベースに格納またはキャッシュすることができる。少なくとも１つの好ましい搬送サービス要求は、例えば、最初は、少なくとも１つの外部サーバ、少なくとも１つのサービスプロバイダ、少なくとも１つの商品サプライヤ、少なくとも１つのフリートマネージャ等によって供給または提供され得る。少なくとも１つの好ましい搬送サービス要求は、少なくとも１つの代理人選好または少なくとも１つの選択された選好に適合するかまたはそれらを満たす、少なくとも１つの搬送サービス要求または少なくとも１つのフィルタリングされた搬送サービス要求であり得る。少なくとも１つのフィルタリングされた搬送サービス要求は、少なくとも１つの中央サーバ、少なくとも１つの代理人、少なくとも１つのアプリケーション、少なくとも１つのオーナアプリケーションまたはコントローラアプリケーション、少なくとも１つの自律車両の少なくとも１つのオーナまたは少なくとも１つのコントローラ、少なくとも１つの自律車両、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって好ましいと識別することができ、次いで、少なくとも１つのフィルタリングされた搬送サービス要求は、少なくとも１つの好ましい搬送サービス要求になることができる。
【０６８４】
少なくとも１つの好ましい搬送サービス要求の全部または一部は、対応する搬送データを有するか、または対応する搬送データに関連付けることができる。少なくとも１つの好ましい搬送サービス要求の全部または一部は、少なくとも１つのデータベースに格納することができる固有の搬送データを有するか、またはそれに関連付けることができる。少なくとも１つの好ましい搬送サービス要求の全部または一部は、好ましいと識別することができる少なくとも１つの自律車両のために、またはそれを基準に、少なくとも１つの好ましい搬送サービス要求を確保または取得するために使用することができる関連する搬送データに関連付けるか、または本質的に関連する搬送データを有することができる。
【０６８５】
少なくとも１つの好ましい搬送サービス要求を識別することができるときはいつでも、少なくとも１つの自律車に関連する好ましい搬送データの全部または一部を任意に識別することができ、好ましいと特定できる１つの自律車のために、またはそれを基準に、少なくとも１つの好ましい搬送サービス要求を確保または取得することができる。
【０６８６】
少なくとも１つの好ましい搬送サービス要求は、少なくとも１つの代理人または少なくとも１つの自律車両の少なくとも１つのリアルタイムまたはほぼリアルタイムの地理的位置が変更または更新された場合に、リアルタイムまたはほぼリアルタイムで更新または変更することができる。少なくとも１つの好ましい搬送サービス要求は、少なくとも１つの搬送業界セグメントに関連し得る。少なくとも１つの好ましい搬送サービス要求は、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せに関連し得る。少なくとも１つの好ましい搬送サービス要求は、リアルタイムまたはほぼリアルタイムで更新またはリフレッシュすることができ、最高の発展レベルまたは最新技術に更新またはリフレッシュされているものを指し得る。
【０６８７】
少なくとも１つの搬送サービス要求は、少なくとも１つの代理人選好または少なくとも１つの選択された選好を使用して、少なくとも１つのフィルタリングされた搬送サービス要求の少なくとも１つのセットを作成することによって、リアルタイムまたはほぼリアルタイムでフィルタリングすることができる。少なくとも１つのフィルタリングされた搬送サービス要求は、好ましくは、少なくとも１つの好ましい搬送サービス要求を識別するために、少なくとも１つの代理人選好または少なくとも１つの選択された選好の少なくとも１つの加重平均に関して、リアルタイムまたはほぼリアルタイムでソートすることができる。少なくとも１つの好ましい搬送サービス要求は、少なくとも１つの代理人選好の少なくとも１つの最も高い加重平均によって好ましいと識別することができる。少なくとも１つの好ましい搬送サービス要求は、少なくとも１つの選択された選好の少なくとも１つの最も高い加重平均によって、好ましいと識別することができる。少なくとも１つの代理人選好または少なくとも１つの選択された選好が更新、修正、追加、除去、および／またはリフレッシュされた場合、少なくとも１つの好ましい搬送サービス要求の少なくとも１つの新しいセットを生成または識別することができる。
【０６８８】
限定を目的としない例として、少なくとも１つの好ましい搬送サービス要求は、交通情報が変更または更新された場合にリアルタイムまたはほぼリアルタイムで更新することができる。限定を目的としない例として、少なくとも１つの好ましい搬送サービス要求を識別するために、少なくとも１つの搬送サービス要求をフィルタリングする際に、少なくとも１つの代理人等の少なくとも１つのリアルタイムまたはほぼリアルタイムの地理的位置以外の少なくとも１つの異なる地理的位置を使用することができる。限定を目的としない例として、少なくとも１つの好ましい搬送サービス要求は、少なくとも１つの個々の搬送業界セグメントに関連し得る。限定を目的としない例として、少なくとも１つの好ましい搬送サービス要求は、少なくとも１つの個々のサービスプロバイダ、少なくとも１つの個々の商品サプライヤ、少なくとも１つの個々のフリートマネージャ等に関連し得る。
【０６８９】
限定を目的としない例として、少なくとも１つの好ましい搬送サービス要求は、少なくとも１つの視覚的表現上に表示される少なくとも１つのフィルタリングされた搬送サービス要求から視覚的に識別可能であり得る。限定を目的としない例として、少なくとも１つの好ましい搬送サービス要求は、少なくとも１つの視覚的表現の少なくとも１つの地理的マップ上に表示することができる。限定を目的としない例として、少なくとも１つの好ましい搬送サービス要求は、少なくとも１つのアプリケーション、または少なくとも１つのオーナアプリケーションまたはコントローラアプリケーション上に表示することができる。限定を目的としない例として、少なくとも１つのアプリケーションまたは少なくとも１つのオーナアプリケーションまたはコントローラアプリケーションは、少なくとも１つの好ましい搬送サービス要求を確保または取得することができる。限定を目的としない例として、少なくとも１つの中央サーバ、少なくとも１つのアプリケーション、少なくとも１つのオーナアプリケーションまたはコントローラアプリケーション、またはそれらの組み合わせは、好ましいと識別することができる少なくとも１つの自律車両のために、またはそれを基準に、少なくとも１つの好ましい搬送サービス要求を確保または取得することができる。
【０６９０】
限定を目的としない例として、少なくとも１つの好ましい搬送サービス要求は、少なくとも１つの代理人選好または少なくとも１つの選択された選好の少なくとも１つの最も高い加重平均を有する少なくとも１つのフィルタリングされた搬送サービス要求から識別することができる。限定を目的としない例として、少なくとも１つの代理人選好または少なくとも１つの選択された選好は、少なくとも１つの好ましい搬送サービス要求を識別するために少なくとも１つの加重平均を使用する際に、少なくとも１つの等しい重みまたは少なくとも１つの等しくない重みを有し得る。限定を目的としない例として、少なくとも１つの好ましい搬送サービス要求は、少なくとも１つの搬送サービス要求または少なくとも１つのフィルタリングされた搬送サービス要求ととらえるかまたは呼ぶことができる。限定を目的としない例として、２つ以上の好ましい搬送サービス要求を、好ましいと識別することができる少なくとも１つの自律車両のために、またはそれを基準に、同時に確保または取得することができる。
【０６９１】
限定を目的としない例として、少なくとも１つの好ましい搬送サービス要求は、任意で、少なくとも１つの自律車両に関連する好ましい搬送データの全部または一部と同じまたは同様のものととらえるか、または取り扱うことができる。限定を目的としない例として、少なくとも１つの好ましい搬送サービス要求、少なくとも１つの自律車両に関連する好ましい搬送データの全部または一部、またはそれらの組合せを、任意の順序で好ましいものとして識別することができる。限定を目的としない例として、少なくとも１つの好ましい搬送サービス要求に対応する搬送データの全部または一部、少なくとも１つの自律車両に関連する好ましい搬送データの全部または一部、またはそれらの組合せを、少なくとも１つのデータベーステーブルに格納することができる。限定を目的としない例として、少なくとも１つの好ましい搬送サービス要求を識別することができるときはいつでも、少なくとも１つの自律車両の少なくとも１つのフリートに関連する全部または一部の好ましい搬送データを任意で識別することができ、好ましいと識別することができる少なくとも１つの自律車両の少なくとも１つのフリートのために、またはそれを基準に、少なくとも１つの好ましい搬送サービス要求を確保または取得することができる。
【０６９２】
「代理人選好」
少なくとも１つの代理人選好は、例えば、少なくとも１つの好ましい搬送サービス要求、好ましいと識別することができる少なくとも１つの自律車両、またはこれらの組合せを確保または取得するための少なくとも１つの操作または少なくとも１つの機能を容易にするために使用することができる少なくとも１つのルールまたは少なくとも１つのパラメータであり得る。少なくとも１つの代理人選好は、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用または操作することができる、少なくとも１つのルールまたは少なくとも１つのパラメータであり得る。少なくとも１つの代理人選好は、少なくとも１つの好ましい搬送サービス要求、好ましいと識別することができる少なくとも１つの自律車両、またはそれらの組合せをフィルタリングおよび／または識別する少なくとも１つのプロセス中に使用または利用することができる任意のルールまたはパラメータであり得る。
【０６９３】
少なくとも１つの代理人選好は、搬送データの全部または一部、少なくとも１つの自律車両に関連する搬送データの全部または一部、少なくとも１つの自律車両、少なくとも１つの搬送サービス要求、またはそれらの組合せを最適化することができる少なくとも１つのルールまたは少なくとも１つのパラメータであり得る。少なくとも１つの代理人選好は、少なくとも１つの好ましい搬送サービス要求、好ましいと識別することができる少なくとも１つの自律車両、少なくとも１つの自律車両に関連する好ましい搬送データの全部または一部、またはそれらの組合せに直接または間接的に関連し得る。少なくとも１つの代理人選好は、少なくとも１つの自律車両または好ましいと識別することができる少なくとも１つの自律車両を、少なくとも１つの好ましい搬送サービス要求、少なくとも１つの搬送クライアント、またはそれらの組合せのために、またはそれらと、マッチングさせるために使用することができる、少なくとも１つの特徴または少なくとも１つの様々な特徴に関連付けることができるか、またはそれらを有することができる。少なくとも１つの代理人選好は、少なくとも１つのルールベースのシステム、少なくとも１つのルールベースの方法、またはそれらの組み合わせで実装される少なくとも１つのルールであり得る。
【０６９４】
少なくとも１つの代理人選好は、例えば、少なくとも１つの好ましい搬送サービス要求を識別し、好ましくは確保または取得するために、少なくとも１つの代理人によって使用され得る。少なくとも１つの代理人選好は、限定はしないが、少なくとも１つの好ましい搬送サービス要求を識別するために、少なくとも１つの搬送サービス要求をリアルタイムまたはほぼリアルタイムでフィルタリングおよび／または好ましくはソートするために、例えば少なくとも１つの代理人によって選択または提供される少なくとも１つのオプションを含み得る。少なくとも１つの代理人選好を、少なくとも１つの代理人少なくとも１つのリアルタイムまたはほぼリアルタイムの地理的位置または少なくとも１つの異なる地理的位置とともに使用して、少なくとも１つの搬送サービス要求を少なくとも１つのフィルタリングされた搬送サービス要求にフィルタリングすることができる。少なくとも１つのフィルタリングされた搬送サービス要求は、好ましくは、少なくとも１つの好ましい搬送サービス要求を識別するために、少なくとも１つの代理人選好の少なくとも１つの加重平均に関連する少なくとも１つの順序でリアルタイムまたはほぼリアルタイムでソートすることができる。少なくとも１つの代理人は、少なくとも１つの好ましい搬送サービス要求を識別し、好ましくは確保または取得するために使用することができる少なくとも１つのアプリケーションに、少なくとも１つの代理人選好を入力または提供することができる。
【０６９５】
少なくとも１つの代理人選好は、限定はしないが、少なくとも１つの中央サーバ、少なくとも１つのアプリケーション、少なくとも１つの外部サーバ、またはそれらの組合せに格納またはキャッシュすることができる。少なくとも１つの代理人選好は、限定はしないが、少なくとも１つの中央サーバ、少なくとも１つのアプリケーション、少なくとも１つの外部サーバ、またはそれらの組み合わせに格納またはキャッシュするか、あるいはそれらに送信することができる。少なくとも１つの代理人選好は、限定はしないが、少なくとも１つの中央サーバ、少なくとも１つの外部サーバ、少なくとも１つのアプリケーション、またはそれらの組合せ上で事前に設定することができる。少なくとも１つの代理人選好は、少なくとも１つの搬送サービス要求をフィルタリング等するために、包括的または排他的のいずれかであり得る。少なくとも１つの好ましい搬送サービス要求を識別するために少なくとも１つの加重平均を計算する際、少なくとも１つの個々の代理人選好は、少なくとも１つの等しい重みまたは少なくとも１つの等しくない重みを有し得る。少なくとも１つの代理人は、少なくとも１つの代理人選好が少なくとも１つの等しい重みまたは少なくとも１つの等しくない重みを有するように、少なくとも１つの代理人選好について少なくとも１つの重みを任意に選択することができる。
【０６９６】
少なくとも１つの代理人選好は、リアルタイムまたはほぼリアルタイムで更新またはリフレッシュすることができ、最高の発展レベルまたは最新技術に更新またはリフレッシュされているものを指し得る。少なくとも１つの代理人選好を使用して、最高の発展レベルまたは最新技術に更新またはリフレッシュされる少なくとも１つの機能をリアルタイムまたはほぼリアルタイムで実行することができる。
【０６９７】
少なくとも１つの中央サーバ、少なくとも１つのアプリケーション、またはそれらの組合せは、少なくとも１つの代理人のために、少なくとも１つの代理人選好基準を満たさない少なくとも１つの搬送サービス要求をフィルタリングにより除去するか、隠すか、または取り除くことができる。少なくとも１つの代理人選好は更新または変更することができ、限定はしないが、少なくとも１つのフィルタリングされた搬送サービス要求、少なくとも１つの好ましい搬送サービス要求、またはそれらの組合せを含む少なくとも１つの新しいまたは異なるセットを識別することができる。少なくとも１つの代理人選好を使用して、少なくとも１つのフィルタリングされた搬送サービス要求または少なくとも１つの事前にフィルタリングされた搬送サービス要求から少なくとも１つの好ましい搬送サービス要求を識別することができる。少なくとも１つの代理人選好は、少なくとも１つの搬送業界セグメントに使用することができる。少なくとも１つの代理人選好を、少なくとも１つのサービスプロバイダに使用することができる。
【０６９８】
限定を目的としない例として、少なくとも１つの代理人選好は、限定はしないが、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去の選好、少なくとも１つの効率選好、少なくとも１つのセンサ選好、少なくとも１つのイベント包含選好、少なくとも１つのイベント除外選好、少なくとも１つの交通ベースの選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ包含選好、少なくとも１つのサービスプロバイダ除外選好、少なくとも１つのサービスプロバイダ密度選好、少なくとも１つのサービスレベル選好、少なくとも１つの商品サプライヤ包含選好、少なくとも１つの商品サプライヤ除外選好、少なくとも１つの商品サプライヤ密度選好、少なくとも１つの自律車両の少なくとも１つのオーナまたは少なくとも１つのコントローラ包含選好、少なくとも１つの自律車両の少なくとも１つのオーナまたは少なくとも１つのコントローラ除外選好、少なくとも１つの自律車両の少なくとも１つのオーナまたは少なくとも１つのコントローラ密度選好、少なくとも１つのフリートマネージャ包含選好、少なくとも１つのフリートマネージャ除外選好、少なくとも１つのフリートマネージャ密度選好、少なくとも１つのフリートマネージャ密度選好、少なくとも１つのロジスティクスプロバイダ包含選好、少なくとも１つのロジスティクスプロバイダ除外選好、少なくとも１つのロジスティクスプロバイダ密度選好、少なくとも１つのロジスティクスサプライヤ包含選好、少なくとも１つのロジスティクスサプライヤ除外選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最も古い未処理要求選好、またはそれらの組合せであり得る。
【０６９９】
限定を目的としない例として、少なくとも１つの代理人選好は、限定はしないが、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去の選好、少なくとも１つの効率選好、少なくとも１つのイベント包含選好、少なくとも１つのイベント除外選好、少なくとも１つの交通ベースの選好、少なくとも１つの道路条件選好、少なくとも１つの気象条件選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つのサービスプロバイダ包含選好、少なくとも１つのサービスプロバイダ除外選好、少なくとも１つのサービスプロバイダ密度選好、少なくとも１つのサービスレベル選好、少なくとも１つの商品サプライヤ包含選好、少なくとも１つの商品サプライヤ除外選好、少なくとも１つの商品サプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、またはそれらの組合せであり得る。
【０７００】
限定を目的としない例として、少なくとも１つの効率選好は、車両利用を最適化することができる少なくとも１つのパラメータまたは少なくとも１つのルールであり得る。限定を目的としない例として、少なくとも１つの効率選好が選択された場合、少なくとも１つの代理人は、少なくとも１つの追加の搬送サービスを実行し、より多くの稼ぎを得るために、同じレストランの少なくとも１つの追加の食品配達サービス要求を受諾することができる。限定を目的としない例として、少なくとも１つの価格選好が選択された場合、好ましくは、少なくとも１つの設定された最低価格よりも高い価格の少なくとも１つの搬送サービス要求を、少なくとも１つの好ましい搬送サービス要求として識別することができる。限定を目的としない例として、距離選好が選択された場合、好ましくは、選択された距離内の少なくとも１つの搬送サービス要求を、少なくとも１つの好ましい搬送サービス要求として識別することができる。限定を目的としない例として、少なくとも１つの商品詳細選好は、脆弱な少なくとも１つのアイテムを含み得る。限定を目的としない例として、少なくとも１つの商品詳細選好が選択された場合、好ましくは、少なくとも１つの冷蔵庫または少なくとも１つのミラーを送達する能力等、少なくとも１つの代理人が配達することができる少なくとも１つの商品の少なくとも１つの特定のタイプおよび／または量を搬送する少なくとも１つの搬送サービス要求を、少なくとも１つの好ましい搬送サービス要求として識別することができる。限定を目的としない例として、少なくとも１つの貨物選好が選択された場合、好ましくは、少なくとも１つの生体有害物質または少なくとも１つの可燃性物質を配達する少なくとも１つの搬送サービス要求等、少なくとも１人の代理人が配達することができる貨物を搬送する少なくとも１つの搬送サービス要求を、少なくとも１つの好ましい搬送サービス要求として識別することができる。
【０７０１】
限定を目的としない例として、少なくとも１つの個々の代理人選好が少なくとも１つの等しくない重みを有する場合、少なくとも１つの価格設定選好は７０％の重みを有し、少なくとも１つの距離選好は３０％の重みを有することができ、これらの重みは、少なくとも１つの好ましい搬送サービス要求を識別するために、どの少なくとも１つのフィルタリングされた搬送サービス要求が最も高い加重平均を有するかを判断する際に使用することができる。
【０７０２】
限定を目的としない例として、少なくとも１つの代理人選好は、少なくとも１つの個々の搬送業界セグメントに使用することができる。限定を目的としない例として、少なくとも１つの代理人選好は、少なくとも１つの個々のサービスプロバイダに使用することができる。限定を目的としない例として、少なくとも１つの代理人は、少なくとも１つの地理的位置選好を使用することによって、少なくとも１つの所与のエリアで働く少なくとも１つの代理人選好を指定することができる。限定を目的としない例として、少なくとも１人の代理人は、少なくとも１つの地理的位置選好を使用することによって、６マイルの範囲で働く少なくとも１つの代理人選好を指定することができる。
【０７０３】
限定を目的としない例として、少なくとも１つの代理人選好は、少なくとも１つのアプリケーションに入力または提供されると、少なくとも１つのアプリケーション、少なくとも１つの中央サーバの少なくとも１つのコンピュータ可読メモリ、またはそれらの組合せに格納またはキャッシュすることができ、少なくとも１つの代理人選好は、少なくとも１つの代理人によって少なくとも１つのアプリケーションに再び入力または提供されない。限定を目的としない例として、少なくとも１つの代理人選好は、少なくとも１つの中央サーバの少なくとも１つのコンピュータ可読メモリに格納またはキャッシュすることができ、少なくとも１つの代理人選好は、少なくとも１つのアプリケーションから少なくとも１つの中央サーバに再び送信されない。限定を目的としない例として、少なくとも１つの代理人選好、少なくとも１つの代理人の少なくとも１つのリアルタイムまたはほぼリアルタイムの地理的位置、またはそれらの組合せを、少なくとも１つのアプリケーションから少なくとも１つの中央サーバに、少なくとも１つの搬送サービス要求をフィルタリングする等の前の任意の時間に送信することができる。限定を目的としない例として、少なくとも１つの代理人選好および少なくとも１つの選択された選好を使用して、少なくとも１つの代理人自動化プラットフォーム、少なくとも１つの自律車両自動化プラットフォーム、またはそれらの組合せにおいて、少なくとも１つの代理人および少なくとも１つの自律車両を管理または操作することができる。
【０７０４】
限定を目的としない例として、少なくとも１つの代理人選好は、少なくとも１つの選択された選好に類似し得る。限定を目的としない例として、少なくとも１つの代理人選好は、少なくとも１つの選択された選好と同様の論理を有することができる。
【０７０５】
「選択された選好」
少なくとも１つの選択された選好は、例えば、少なくとも１つの好ましい搬送サービス要求、好ましいと識別することができる少なくとも１つの自律車両、またはこれらの組合せを確保または取得するための少なくとも１つの操作または少なくとも１つの機能を容易にするために使用することができる少なくとも１つのルールまたは少なくとも１つのパラメータであり得る。少なくとも１つの選択された選好は、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用または操作することができる、少なくとも１つのルールまたは少なくとも１つのパラメータであり得る。少なくとも１つの選択された選好は、少なくとも１つの好ましい搬送サービス要求、好ましいと識別することができる少なくとも１つの自律車両、またはそれらの組合せをフィルタリングおよび／または識別する少なくとも１つのプロセス中に使用または利用することができる任意のルールまたはパラメータであり得る。
【０７０６】
少なくとも１つの選択された選好は、搬送データの全部または一部、少なくとも１つの自律車両に関連する搬送データの全部または一部、少なくとも１つの自律車両、少なくとも１つの搬送サービス要求、またはそれらの組合せを最適化することができる少なくとも１つのルールまたは少なくとも１つのパラメータであり得る。少なくとも１つの選択された選好は、少なくとも１つの好ましい搬送サービス要求、好ましいと識別することができる少なくとも１つの自律車両、少なくとも１つの自律車両に関連する好ましい搬送データの全部または一部、またはそれらの組合せに直接または間接的に関連し得る。少なくとも１つの選択された選好は、少なくとも１つの自律車両または好ましいと識別することができる少なくとも１つの自律車両を、少なくとも１つの好ましい搬送サービス要求、少なくとも１つの搬送クライアント、またはそれらの組合せのために、またはそれらと、マッチングさせるために使用することができる、少なくとも１つの特徴または少なくとも１つの様々な特徴に関連付けることができるか、またはそれらを有することができる。少なくとも１つの選択された選好は、少なくとも１つのルールベースのシステム、少なくとも１つのルールベースの方法、またはそれらの組み合わせで実装される少なくとも１つのルールであり得る。
【０７０７】
少なくとも１つの選択された選好は、例えば、少なくとも１つの好ましい搬送サービス要求、少なくとも１つの自律車両、好ましいと識別することができる少なくとも１つの自律車両、またはそれらの組合せを識別し、好ましくは確保または取得するために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって使用され得る。少なくとも１つの選択された選好または少なくとも１つの選択された選好の少なくとも１つのセットを使用して、少なくとも１つの好ましい搬送サービス要求をフィルタリングし、好ましいと識別し、確保または取得し、またはそれらの組合せを行うことができる。少なくとも１つの異なる選択された選好、または少なくとも１つの選択された選好の少なくとも１つの異なるセットを使用して、好ましいと識別することができる少なくとも１つの自律車両をフィルタリングし、好ましいと識別し、確保または取得し、またはそれらの組合せを行うことができる。少なくとも１つの選択された選好、または少なくとも１つの選択された選好の少なくとも１つのセットは、好ましいと識別することができる少なくとも１つの自律車両をフィルタリングし、好ましいと識別し、確保または取得し、またはそれらの組合せを行うために使用され得る。
【０７０８】
少なくとも１つの選択された選好は、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ、またはそれらの組合せによって改良またはカスタマイズすることができる。少なくとも１つの選択された選好は、少なくとも１つの中央サーバ上に固定されるか、または組み込まれ得る。少なくとも１つの選択された選好を編集不可能にすることができる。少なくとも１つの選択された選好は、少なくとも１つの数字または少なくとも１つの数であり得る。
【０７０９】
少なくとも１つの選択された選好は、少なくとも１つのツール、例えば、少なくとも１つの好ましい搬送サービス要求、少なくとも１つのフィルタリングされた搬送サービス要求、少なくとも１つの搬送サービス要求、またはそれらの組合せをフィルタリングし、識別し、確保または取得し、またはそれらの組合せを行うための、少なくとも１つのルールまたは少なくとも１つのパラメータであり得る。少なくとも１つの選択された選好は、少なくとも１つのツール、例えば、好ましいと識別することができる少なくとも１つの自律車両、フィルタリングすることができる少なくとも１つの自律車両、少なくとも１つの自律車両、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、またはそれらの組合せをフィルタリングし、識別し、確保または取得し、またはそれらの組合せを行うための、少なくとも１つのルールまたは少なくとも１つのパラメータであり得る。
【０７１０】
少なくとも１つの選択された選好を使用して、少なくとも１つの好ましい搬送サービス要求、少なくとも１つのフィルタリングされた搬送サービス要求、少なくとも１つの搬送サービス要求、またはそれらの組合せを、少なくとも１つの自律車両または好ましいと識別することができる少なくとも１つの自律車両とマッチングさせるか、またはそれらで満たすことができる。少なくとも１つの選択された選好を使用して、少なくとも１つの好ましい搬送サービス要求、少なくとも１つのフィルタリングされた搬送サービス要求、少なくとも１つの搬送サービス要求、またはそれらの組合せのために、またはそれらを、少なくとも１つの自律車両または好ましいと識別することができる少なくとも１つの自律車両とマッチングさせるか、またはそれらで満たすことができる。少なくとも１つの選択された選好を使用して、少なくとも１つの好ましい搬送サービス要求、少なくとも１つのフィルタリングされた搬送サービス要求、少なくとも１つの搬送サービス要求、またはそれらの組合せを、少なくとも１つの自律車両または好ましいと識別することができる少なくとも１つの自律車両とマッチングさせるか、またはそれらで満たすことができる。少なくとも１つの選択された選好は、例えば、好ましいと識別することができる少なくとも１つの自律車両のために、またはそれらを基準に、少なくとも１つの好ましい搬送サービス要求を識別し、好ましくは確保または取得するために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって利用され得る。
【０７１１】
少なくとも１つの選択された選好は、限定はしないが、リアルタイムまたはほぼリアルタイムで少なくとも１つの搬送サービス要求をフィルタリングおよび／または好ましくはソート等して少なくとも１つの好ましい搬送サービス要求を識別するために、例えば少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって選択または提供される少なくとも１つのオプションを含み得る。少なくとも１つの選択された選好は、限定はしないが、少なくとも１つの自律車両に関連する搬送データの全部または一部をリアルタイムまたはほぼリアルタイムでフィルタリングおよび／または好ましくはソート等して少なくとも１つの自律車両または好ましいと識別することができる少なくとも１つの自律車両に関連する好ましい搬送データの全部または一部を識別するために、例えば少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せによって選択または提供される少なくとも１つのオプションを含み得る。
【０７１２】
少なくとも１つの選択された選好は、例えば、少なくとも１つの好ましい搬送サービス要求をフィルタリングおよび識別し、次いで、好ましいと識別することができる少なくとも１つの自律車両、少なくとも１つの自律車両に関連する好ましい搬送データの全部または一部、またはそれらの組合せをフィルタリングして識別し、好ましくは、一緒に確保または取得するために使用することができる。少なくとも１つの選択された選好は、例えば、好ましいと識別することができる少なくとも１つの自律車両、少なくとも１つの自律車両に関連する好ましい搬送データの全部または一部、またはそれらの組合せをフィルタリングして識別し、次いで、少なくとも１つの好ましい搬送サービス要求をフィルタリングして識別し、好ましくは一緒に確保または取得するために使用することができる。
【０７１３】
少なくとも１つの選択された選好は、少なくとも１つの好ましい搬送サービス要求、好ましいと識別することができる少なくとも１つの自律車両、またはそれらの組合せの間の少なくとも１つのマッチングを確保または取得する前に、少なくとも１つの搬送サービス要求、少なくとも１つの自律車両に関連する搬送データの全部または一部、またはそれらの組合せを任意の順序でフィルタリングするために使用することができる。少なくとも１つの選択された選好を使用して、少なくとも１つの好ましい搬送サービス要求、少なくとも１つの自律車両に関連する好ましい搬送データの全部または一部、好ましいと識別することができる少なくとも１つの自律車両、またはそれらの組合せを、少なくとも１つの好ましい搬送サービス要求、好ましいと識別することができる少なくとも１つの自律車両、またはそれらの組合せの間の少なくとも１つのマッチングを確保または取得する前に、任意の順序で識別することができる。
【０７１４】
少なくとも１つの選択された選好は、少なくとも１つの好ましい搬送サービス要求、少なくとも１つのフィルタリングされた搬送サービス要求、またはそれらの組合せをフィルタリングし識別するために使用することができる選好の少なくとも１つのセットまたはパラメータの少なくとも１つのセットを有するか、またはそれらに関連付けることができる。少なくとも１つの選択された選好は、少なくとも１つの自律車両に関連する好ましい搬送データの全部または一部、少なくとも１つの自律車両に関連するフィルタリングされた搬送データの全部または一部、またはそれらの組合せをフィルタリングし識別するために使用することができる選好の少なくとも１つのセットまたはパラメータの少なくとも１つのセットを有するか、またはそれに関連付けることができる。少なくとも１つの選択された選好は、少なくとも１つの好ましい搬送サービス要求、少なくとも１つのフィルタリングされた搬送サービス要求、少なくとも１つの自律車両に関連する好ましい搬送データの全部または一部、少なくとも１つの自律車両に関連するフィルタリングされた搬送データの全部または一部、好ましいと識別することができる少なくとも１つの自律車両、フィルタリングすることができる少なくとも１つの自律車両、またはそれらの組合せをフィルタリングし識別するために使用することができる選好の少なくとも１つのセットまたはパラメータの少なくとも１つのセットを有するか、または関連付けることができる。
【０７１５】
少なくとも１つの選択された選好は、限定はしないが、少なくとも１つの中央サーバ、少なくとも１つの外部サーバ、少なくとも１つのアプリケーション、少なくとも１つのオーナアプリケーションまたはコントローラアプリケーション、少なくとも１つの端末、またはそれらの組合せ上で事前に設定することができる。少なくとも１つの選択された選好は、少なくとも１つの搬送サービス要求のフィルタリング等のために包括的または排他的のいずれかであり得る。少なくとも１つの選択された選好は、少なくとも１つの好ましい搬送サービス要求の識別等のために包括的または排他的のいずれかであり得る。少なくとも１つの選択された選好は、少なくとも１つの自律車両に関連する搬送データの全部または一部のフィルタリング等のために包括的または排他的のいずれかであり得る。少なくとも１つの選択された選好は、少なくとも１つの自律車両、好ましいと識別することができる少なくとも１つの自律車両、またはそれらの組み合わせに関連する好ましい搬送データの全部または一部の識別等のために包括的または排他的のいずれかであり得る。
【０７１６】
少なくとも１つの好ましい搬送サービス要求、少なくとも１つの自律車両に関連する好ましい搬送データの全部または一部、好ましいと識別することができる少なくとも１つの自律車両、またはそれらの組合せを識別するために少なくとも１つの加重平均を計算する際、少なくとも１つの個々の選択された選好は、少なくとも１つの等しい重みまたは少なくとも１つの等しくない重みを有することができる。少なくとも１つのフィルタリングされた搬送サービス要求は、好ましくは、少なくとも１つの好ましい搬送サービス要求を識別するために、少なくとも１つの選択された選好の少なくとも１つの加重平均に関連する少なくとも１つの順序でリアルタイムまたはほぼリアルタイムでソートすることができる。少なくとも１つの自律車両に関連するフィルタリングされた搬送データの全部または一部は、好ましくは、少なくとも１つの自律車両、好ましいと識別することができる少なくとも１つの自律車両、またはそれらの組合せに関連する好ましい搬送データの全部または一部を識別するために、少なくとも１つの選択された選好の少なくとも１つの加重平均に関連する少なくとも１つの順序でリアルタイムまたはほぼリアルタイムでソートすることができる。
【０７１７】
少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、任意で、少なくとも１つの等しい重みまたは少なくとも１つの等しくない重みを有するように、少なくとも１つの選択された選好のための少なくとも１つの重みを選択することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、任意で、少なくとも１つの好ましい搬送サービス要求をフィルタリングし、識別し、確保または取得し、またはそれらの組合せを行うために、少なくとも１つの選択された選好のための少なくとも１つの重みを選択することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、好ましいと識別することができる少なくとも１つの自律車両または少なくとも１つの自律車両に関連する好ましい搬送データの全部または一部をフィルタリングし、識別し、確保または取得し、またはそれらの組合せを行うために、少なくとも１つの選択された選好のための少なくとも１つの重みを任意で選択することができる。
【０７１８】
少なくとも１つの選択された選好を使用して、少なくとも１つの搬送サービス要求を少なくとも１つのフィルタリングされた搬送サービス要求にフィルタリングすることができる。少なくとも１つの選択された選好を使用して、少なくとも１つのフィルタリングされた搬送サービス要求から少なくとも１つの好ましい搬送サービス要求を識別することができる。少なくとも１つの選択された選好を使用して、少なくとも１つの自律車両に関連する搬送データの全部または一部を、少なくとも１つの自律車両に関連するフィルタリングされた搬送データの全部または一部にフィルタリングすることができる。少なくとも１つの選択された選好を使用して、少なくとも１つの自律車両に関連するフィルタリングされた搬送データの全部または一部から、少なくとも１つの自律車両に関連する好ましい搬送データの全部または一部、好ましいと識別することができる少なくとも１つの自律車両、またはそれらの組合せを識別することができる。
【０７１９】
限定を目的としない例として、好ましいと識別することができる少なくとも１つの自律車両を識別するために、少なくとも１つの選択された選好を使用して、少なくとも１つの好ましい搬送サービス要求をフィルタリングし識別する少なくとも１つのプロセスと同じ少なくとも１つのプロセスまたは同様の少なくとも１つのプロセスによって、好ましいと識別することができる少なくとも１つの自律車両をフィルタリングし識別することができる。限定を目的としない例として、少なくとも１つの自律車両に関連する好ましい搬送データの全部または一部を識別するために、少なくとも１つの選択された選好を使用して、少なくとも１つの好ましい搬送サービス要求をフィルタリングし識別する少なくとも１つのプロセスと同じ少なくとも１つのプロセスまたは同様の少なくとも１つのプロセスによって、少なくとも１つの自律車両に関連する好ましい搬送データの全部または一部をフィルタリングし識別することができる。限定を目的としない例として、少なくとも１つの搬送サービス要求が、フィルタリングされるか、または好ましいと識別される少なくとも１つのプロセスを経るときはいつでも、少なくとも１つの自律車両に関連する搬送データの全部または一部は、同じ少なくとも１つのプロセスまたは同様の少なくとも１つのプロセスを経ることができる。
【０７２０】
少なくとも１つの選択された選好は、限定はしないが、少なくとも１つの中央サーバ、少なくとも１つのアプリケーション、少なくとも１つのオーナアプリケーションまたはコントローラアプリケーション、少なくとも１つの外部サーバ、少なくとも１つの端末、またはそれらの組合せに格納またはキャッシュすることができる。少なくとも１つの選択された選好は、限定はしないが、少なくとも１つの中央サーバ、少なくとも１つの外部サーバ、少なくとも１つの端末、少なくとも１つのアプリケーション、少なくとも１つのオーナアプリケーションまたはコントローラアプリケーション、またはそれらの組合せに格納またはキャッシュするか、あるいは送信することができる。少なくとも１つの選択された選好は、少なくとも１つの中央サーバから遠隔の場所にあり得る少なくとも１つのサーバに保存するか、または少なくとも１つのサーバから読み出すことができる。
【０７２１】
少なくとも１つの選択された選好は、少なくとも１つのデータベースに格納またはキャッシュすることができる。少なくとも１つの選択された選好は、少なくとも１つの好ましい搬送サービス要求、少なくとも１つのフィルタリングされた搬送サービス要求、少なくとも１つの搬送サービス要求、またはそれらの組合せをフィルタリングし識別するために、少なくとも１つのデータベースにおいて使用することができる。少なくとも１つの選択された選好は、好ましいと識別することができる少なくとも１つの自律車両、フィルタリングすることができる少なくとも１つの自律車両、少なくとも１つの自律車両、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、またはそれらの組み合わせをフィルタリングし識別するために少なくとも１つのデータベースにおいて使用することができる。
【０７２２】
少なくとも１つのデータベースから少なくとも１つの好ましい搬送サービス要求を少なくとも１つのデータセット結果として識別した後、少なくとも１つの他のデータベースから好ましいと識別することができる少なくとも１つの自律車両を少なくとも１つのデータセット結果として識別することができ、少なくとも１つの好ましい搬送サービス要求は、好ましいと識別することができる少なくとも１つの自律車両のために、またはそれを基準に、確保または取得することができる。好ましいと識別することができる少なくとも１つの自律車両または少なくとも１つの自律車両に関連する好ましい搬送データの全部または一部を、少なくとも１つのデータベースからの少なくとも１つのデータセット結果として識別した後、少なくとも１つの好ましい搬送サービス要求を、少なくとも１つの他のデータベースから少なくとも１つのデータセット結果として識別することができ、好ましいと識別することができる少なくとも１つの自律車両を、少なくとも１つの好ましい搬送サービス要求のために、またはそれを基準に、確保または取得することができる。
【０７２３】
少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの選択された選好を使用して、少なくとも１つの好ましい搬送サービス要求、少なくとも１つのフィルタリングされた搬送サービス要求、少なくとも１つの搬送サービス要求、またはそれらの組合せをフィルタリングし識別することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせは、好ましいと識別することができる少なくとも１つの自律車両、フィルタリングすることができる少なくとも１つの自律車両、少なくとも１つの自律車両、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、またはそれらの組み合わせをフィルタリングし識別するために、少なくとも１つの選択された選好を使用することができる。
【０７２４】
少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、好ましいと識別することができる少なくとも１つの自律車両、少なくとも１つの自律車両、またはそれらの組合せのために、またはそれらを基準に、少なくとも１つの好ましい搬送サービス要求を識別し、好ましくは確保または取得するために使用することができる、少なくとも１つのオーナアプリケーションまたはコントローラアプリケーション、少なくとも１つのアプリケーション、または少なくとも１つの中央サーバに、少なくとも１つの選択された選好を入力または提供することができる。
【０７２５】
少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの自律車両の少なくとも１つのフリートを管理、制御、または操作するために、少なくとも１つの選択された選好を使用することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの自律車両の少なくとも１つのフリート内の少なくとも１つの自律車両を管理、制御、または操作するために、少なくとも１つの選択された選好を使用することができる。
【０７２６】
少なくとも１つの選択された選好は、リアルタイムまたはほぼリアルタイムで更新またはリフレッシュすることができ、最高の発展レベルまたは最新技術に更新またはリフレッシュされているものを指し得る。少なくとも１つの選択された選好を使用して、最高の発展レベルまたは最新技術に更新またはリフレッシュされる少なくとも１つの機能をリアルタイムで、またはほぼリアルタイムで実行することができる。
【０７２７】
少なくとも１つの選択された選好は更新または変更することができ、限定はしないが、少なくとも１つのフィルタリングされた搬送サービス要求、少なくとも１つの好ましい搬送サービス要求、またはそれらの組合せを含む少なくとも１つの新しいまたは異なるセットを識別することができる。少なくとも１つの選択された選好は更新または変更することができ、限定はしないが、少なくとも１つの自律車両に関連するフィルタリングされた搬送データの全部または一部、少なくとも１つの自律車両に関連する好ましい搬送データの全部または一部、好ましいと識別することができる少なくとも１つの自律車両、フィルタリングすることができる少なくとも１つの自律車両、またはそれらの組合せを含む少なくとも１つの新しいまたは異なるセットを識別することができる。
【０７２８】
少なくとも１つの中央サーバ、少なくとも１つのアプリケーション、少なくとも１つのオーナアプリケーションまたはコントローラアプリケーション、またはそれらの組み合わせは、例えば、少なくとも１つの自律車両の少なくとも１つのオーナもしくは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等のための少なくとも１つの選択された選好の基準を満たさない、または基準に適合しない少なくとも１つの搬送サービス要求を除去するか、隠すか、または取り除くことができる。少なくとも１つの中央サーバ、少なくとも１つのアプリケーション、少なくとも１つのオーナアプリケーションまたはコントローラアプリケーション、またはそれらの組み合わせは、例えば、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等のための少なくとも１つの選択された選好の基準を満たさないか、または基準に適合しない少なくとも１つの自律車両に関連する搬送データの全部または一部を除去するか、隠すか、または取り除くことができる。少なくとも１つの選択された選好を、少なくとも１つの自律車両の少なくとも１つのリアルタイムまたはほぼリアルタイムの地理的位置、または少なくとも１つの異なる地理的位置とともに使用して、少なくとも１つの搬送サービス要求を少なくとも１つのフィルタリングされた搬送サービス要求にフィルタリングすることができる。
【０７２９】
少なくとも１つの選択された選好を使用して、少なくとも１つのフィルタリングされた搬送サービス要求または少なくとも１つの事前にフィルタリングされた搬送サービス要求から少なくとも１つの好ましい搬送サービス要求を識別することができる。少なくとも１つの選択された選好を使用して、少なくとも１つの自律車両に関連する好ましい搬送データの全部または一部、好ましいと識別することができる少なくとも１つの自律車両、またはそれらの組合せを、少なくとも１つの自律車両に関連するフィルタリングされた搬送データの全部または一部、または少なくとも１つの自律車両に関して事前にフィルタリングされた搬送データの全部または一部から識別することができる。
【０７３０】
少なくとも１つの選択された選好は、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせによって使用され得る。少なくとも１つの選択された選好は、少なくとも１つの搬送業界セグメントで活動する、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、またはそれらの組合せによって使用され得る。
【０７３１】
少なくとも１つの選択された選好は、少なくとも１つのルート計画情報を利用することができる少なくとも１つのルールまたは少なくとも１つのパラメータであり得る。少なくとも１つの選択された選好は、少なくとも１つの搬送サービス要求、搬送データの全部または一部、少なくとも１つの自律車両に関連する搬送データの全部または一部、少なくとも１つの搬送クライアント、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、搬送データの全部または一部、またはそれらの組合せに関連して経時的に学習することができる。少なくとも１つの選択された選好は、機械学習技術および／または量子計算等を利用することができる少なくとも１つの予測選好であり得る。
【０７３２】
少なくとも１つの選択された選好は、少なくとも１つの好ましい搬送サービス要求、少なくとも１つのフィルタリングされた搬送サービス要求、少なくとも１つの搬送サービス要求、少なくとも１つの自律車両に関連する好ましい搬送データの全部または一部、好ましいと識別することができる少なくとも１つの自律車両、少なくとも１つの自律車両に関連するフィルタリングされた搬送データの全部または一部、少なくとも１つの自律車両に関連する搬送データの全部または一部、少なくとも１つの自律車両、またはそれらの組合せをフィルタリングし識別するために、少なくとも１つのセンサデータを使用することができる。
【０７３３】
少なくとも１つのサービスレベル選好を使用して、例えば、少なくとも１つの車両タイプ、少なくとも１つのサービスタイプ、少なくとも１つの車両詳細、少なくとも１つの自律車両詳細等を識別することができる。少なくとも１つの選択された選好は、少なくとも１つの地域または少なくとも１つの国の少なくとも１つの文化的特徴を有するか、またはそれに関連付けることができる。少なくとも１つの選択された選好は、少なくとも１つの車両、少なくとも１つの自律車両、少なくとも１つの代理人、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに関連する少なくとも１つの容量レベルを管理または監視するために利用することができる少なくとも１つの容量選好であり得る。少なくとも１つの選択された選好は、搬送データ、少なくとも１つの自律車両に関連する搬送データの全部または一部等に関連し得る、少なくとも１つの車両診断選好であり得る。
【０７３４】
限定を目的としない例として、少なくとも１つの選択された選好は、限定はしないが、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去の選好、少なくとも１つの効率選好、少なくとも１つのセンサ選好、少なくとも１つのイベント包含選好、少なくとも１つのイベント除外選好、少なくとも１つの交通ベースの選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス要求密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ包含選好、少なくとも１つのサービスプロバイダ除外選好、少なくとも１つのサービスプロバイダ密度選好、少なくとも１つのサービスレベル選好、少なくとも１つの商品サプライヤ包含選好、少なくとも１つの商品サプライヤ除外選好、少なくとも１つの商品サプライヤ密度選好、少なくとも１つの自律車両の少なくとも１つのオーナまたは少なくとも１つのコントローラ包含選好、少なくとも１つの自律車両の少なくとも１つのオーナまたは少なくとも１つのコントローラ除外選好、少なくとも１つの自律車両の少なくとも１つのオーナまたは少なくとも１つのコントローラ密度選好、少なくとも１つのフリートマネージャ包含選好、少なくとも１つのフリートマネージャ除外選好、少なくとも１つのフリートマネージャ密度選好、少なくとも１つのフリートマネージャ密度選好、少なくとも１つのロジスティクスプロバイダ包含選好、少なくとも１つのロジスティクスプロバイダ除外選好、少なくとも１つのロジスティクスプロバイダ密度選好、少なくとも１つのロジスティクスサプライヤ包含選好、少なくとも１つのロジスティクスサプライヤ除外選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最も古い未処理要求選好、またはそれらの組合せであり得る。
【０７３５】
限定を目的としない例として、少なくとも１つの搬送サービス要求密度選好が、少なくとも１つの選択された選好として選択された場合、少なくとも１つのサービスプロバイダまたは少なくとも１つのフリートマネージャは、少なくとも１つの自律車両を、より多くの少なくとも１つの搬送サービス要求の供給がある少なくとも１つのエリアに戦略的に配置することができる。限定を目的としない例として、少なくとも１つのサービスプロバイダ包含選好が、少なくとも１つの自律車両の少なくとも１つのオーナまたは少なくとも１つのコントローラによって選択された場合、好ましくは、少なくとも１つの選択されたサービスプロバイダからの少なくとも１つの搬送サービス要求を、少なくとも１つの好ましい搬送サービス要求として識別することができる。限定を目的としない例として、少なくとも１つの天候選好が選択された場合、好ましくは、雪のような悪天候の少なくとも１つのエリアを通る少なくとも１つのルートがない少なくとも１つの搬送サービス要求を、少なくとも１つの好ましい搬送サービス要求として識別することができる。限定を目的としない例として、少なくとも１つの選択された選好は、少なくとも１つのオーナアプリケーションまたはコントローラアプリケーションから少なくとも１つの中央サーバに送信することができる。限定を目的としない例として、少なくとも１つの個々の選択された選好が少なくとも１つの等しい重みを有する場合、少なくとも１つの業界セグメント選好は２５％の重みを有し、少なくとも１つのサービスプロバイダ包含選好は２５％の重みを有し、少なくとも１つの価格設定選好は２５％の重みを有し、少なくとも１つの商品詳細選好は２５％の重みを有することができ、これを使用して、どの少なくとも１つのフィルタリングされた搬送サービス要求が少なくとも１つの最も高い重み付け平均を有するかを判断するときに、少なくとも１つの好ましい搬送サービス要求を識別することができる。
【０７３６】
限定を目的としない例として、少なくとも１つの選択された選好を、少なくとも１つの個々の搬送業界セグメントに使用することができる。限定を目的としない例として、少なくとも１つの選択された選好は、少なくとも１つの搬送業界セグメントにおける少なくとも１つの自律車両の少なくとも１つのフリートを操作または制御するために、少なくとも１つのフリートマネージャ等によって使用され得る。限定を目的としない例として、少なくとも１つの選択された選好は、少なくとも１つの個々のサービスプロバイダのために使用することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの地理的位置選好を使用することによって、少なくとも１つの所与のエリアで働くための少なくとも１つの選択された選好を指定することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの地理的位置選好を使用することによって、５マイルの範囲で働く少なくとも１つの選択された選好を指定することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの選択された選好を指定して、消費者の感情が維持され、少なくとも１つの搬送クライアントが長く待つ必要がないことを保証するために、少なくとも１つの最も古い未処理の搬送サービス要求を識別することができる。
【０７３７】
限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等は、少なくとも１つの搬送サービス要求をフィルタリングするために２つの特定の選択された選好を使用することができ、少なくとも１つの自律車両に関連する搬送データの全部または一部をフィルタリングするために５つの特定の選択された選好を使用することができる。限定を目的としない例として、少なくとも１つの選択された選好は、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ等によって、少なくとも１つのアプリケーションまたは少なくとも１つのオーナアプリケーションまたはコントローラアプリケーションに提供または入力することができ、少なくとも１つのアプリケーション、少なくとも１つのオーナアプリケーションまたはコントローラアプリケーション、少なくとも１つの中央サーバ、少なくとも１つの外部サーバ、またはそれらの組合せに格納またはキャッシュすることができる。限定を目的としない例として、少なくとも１つの選択された選好は、少なくとも１つの代理人選好と同様のものであり得る。
【０７３８】
限定を目的としない例として、少なくとも１つの選択された選好を、少なくとも１つのアプリケーションと少なくとも１つの中央サーバとの間の少なくとも１つのリンクを介して、少なくとも１つのアプリケーションと少なくとも１つの中央サーバとの間で、または少なくとも１つのアプリケーションから少なくとも１つの中央サーバに、送信することができる。限定を目的としない例として、少なくとも１つの選択された選好を、少なくとも１つのアプリケーションと少なくとも１つの外部サーバとの間の少なくとも１つのリンクを介して、少なくとも１つのアプリケーションと少なくとも１つの外部サーバとの間で、または少なくとも１つのアプリケーションから少なくとも１つの外部サーバに、送信することができる。限定を目的としない例として、少なくとも１つの選択された選好を、少なくとも１つのオーナアプリケーションまたはコントローラアプリケーションと少なくとも１つの中央サーバとの間の少なくとも１つのリンクを介して、少なくとも１つのオーナアプリケーションまたはコントローラアプリケーションと少なくとも１つの中央サーバとの間で、または少なくとも１つのオーナアプリケーションまたはコントローラアプリケーションから少なくとも１つの中央サーバに、送信することができる。少なくとも１つの選択された選好を、少なくとも１つのオーナアプリケーションまたはコントローラアプリケーションと少なくとも１つの外部サーバとの間の少なくとも１つのリンクを介して、少なくとも１つのオーナアプリケーションまたはコントローラアプリケーションと少なくとも１つの外部サーバとの間で、または少なくとも１つのオーナアプリケーションまたはコントローラアプリケーションから少なくとも１つの外部サーバに、送信することができる。限定を目的としない例として、少なくとも１つの選択された選好、少なくとも１つの自律車両に関連する搬送データの全部または一部、少なくとも１つの自律車両の少なくとも１つのリアルタイムまたはほぼリアルタイムの地理的位置、またはそれらの組合せを、少なくとも１つのアプリケーションまたは少なくとも１つのオーナアプリケーションまたはコントローラアプリケーションから、少なくとも１つの中央サーバまたは少なくとも１つの外部サーバに、少なくとも１つの搬送サービス要求をフィルタリングする等の前の任意の時点で送信することができる。
【０７３９】
限定を目的としない例として、少なくとも１つの選択された選好は、少なくとも１つのデータベース、少なくとも１つのデータベースクエリ、少なくとも１つのデータベーステーブル、少なくとも１つのデータベース結果セット等に関連付けることができる。限定を目的としない例として、少なくとも１つのデータベースクエリは、少なくとも１つの選択された選好を含むか、またはそれに関連付けることができる。限定を目的としない例として、少なくとも１つの選択された選好は、別の少なくとも１つの選択された選好に関連し得るか、または関連付けることができる。限定を目的としない例として、少なくとも１つの選択された選好を使用して、データベースからデータを取り出すことができる。限定を目的としない例として、少なくとも１つの選択された選好は、少なくとも１つの中央サーバの少なくとも１つの内部部分であり得る。限定を目的としない例として、少なくとも１つの選択された選好は、少なくとも１つのＳＱＬパラメータ、少なくとも１つの変数等に関連する少なくとも１つの形式または少なくとも１つのフォーマットであり得る。限定を目的としない例として、複数の選択された選好は、好ましいと識別することができる少なくとも１つの自律車両のために、またはそれを基準に、少なくとも１つの好ましい搬送サービス要求をフィルタリングおよび／または識別する少なくとも１つのプロセス中に、複数回使用することができる。限定を目的としない例として、少なくとも１つの選択された選好は、少なくとも１つの条件文、少なくとも１つの条件式、少なくとも１つの条件構成等とともに、またはそれらの中で使用することができる。限定を目的としない例として、少なくとも１つの選択された選好を、少なくとも１つの条件に基づいて少なくとも１つの制御フローを変更するために使用することができる。
【０７４０】
限定を目的としない例として、少なくとも１つの選択された選好は、少なくとも１つの好ましい搬送サービス要求、少なくとも１つのフィルタリングされた搬送サービス要求、少なくとも１つの搬送サービス要求、またはそれらの組合せをフィルタリングし識別するために使用することができる、少なくとも１つの異なる選好のセットまたは少なくとも１つの異なるパラメータのセットを有するか、またはそれらに関連付けることができる。限定を目的としない例として、少なくとも１つの選択された選好は、少なくとも１つの好ましい搬送サービス要求、少なくとも１つのフィルタリングされた搬送サービス要求、少なくとも１つの搬送サービス要求、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、好ましいと識別することができる少なくとも１つの自律車両、フィルタリングすることができる少なくとも１つの自律車両、少なくとも１つの自律車両、またはそれらの組合せをフィルタリングし識別するために使用することができる少なくとも１つの選好の異なるセットまたは少なくとも１つのパラメータの異なるセットを有するか、または関連付けることができる。
【０７４１】
限定を目的としない例として、少なくとも１つの中央サーバが、少なくとも１つの好ましい搬送サービス要求、少なくとも１つのフィルタリングされた搬送サービス要求、少なくとも１つの搬送サービス要求、好ましいと識別することができる少なくとも１つの自律車両、フィルタリングすることができる少なくとも１つの自律車両、少なくとも１つの自律車両、少なくとも１つの自律車両に関連する好ましい搬送データの全部または一部、少なくとも１つの自律車両に関連するフィルタリングされた搬送データの全部または一部、少なくとも１つの自律車両に関連する搬送データの全部または一部、またはそれらの組合せをフィルタリングおよび／または識別する際、いくつかの選択された選好は、他の選択された選好よりも関連性が高いことがある。限定を目的としない例として、少なくとも１つの選択された選好は、少なくとも１つの搬送サービス要求、少なくとも１つの自律車両に関連する搬送データの全部または一部、またはそれらの組合せをフィルタリングするために使用され得、少なくとも１つの異なる選択された選好は、少なくとも１つの好ましい搬送サービス要求、好ましいと識別することができる少なくとも１つの自律車両、少なくとも１つの自律車両に関連する好ましい搬送データの全部または一部、またはそれらの組合せを識別するために使用され得る。
【０７４２】
限定を目的としない例として、少なくとも１つの選択された選好は、好ましいと識別することができる少なくとも１つの自律車両、少なくとも１つの自律車両、またはそれらの組合せを基準に、またはそれらのために、少なくとも１つのセンサデータを使用して、少なくとも１つの好ましい搬送サービス要求を分析または評価し、好ましくは確保または取得することができる。限定を目的としない例として、少なくとも１つの選択された選好は、少なくとも１つのセンサデータを使用して、少なくとも１つの自律車両が少なくとも１つの搬送サービスを実行するのに十分なバッテリを有するかどうかを識別することができる。
【０７４３】
限定を目的としない例として、少なくとも１つの輸送選好は、少なくとも１つの搬送サービス選好を識別することができる少なくとも１つのパラメータまたは少なくとも１つのルールであり得る。限定を目的としない例として、少なくとも１つの輸送選好は、障碍者支援を必要とする少なくとも１つの搬送サービス要求を識別することができる。限定を目的としない例として、少なくとも１つの輸送選好は、少なくとも１つの高級車両を必要とする少なくとも１つの搬送サービス要求を識別することができる。限定を目的としない例として、少なくとも１つの効率選好は、車両利用を最適化することができる少なくとも１つのパラメータまたは少なくとも１つのルールであり得る。限定を目的としない例として、少なくとも１つの選択された選好は、少なくとも１つのデータベーステーブルに格納またはキャッシュすることができる。限定を目的としない例として、少なくとも１つの選択された選好は、少なくとも１つの中央サーバ、少なくとも１つの外部サーバ、少なくとも１つのアプリケーション、少なくとも１つのオーナアプリケーションまたはコントローラアプリケーション、またはそれらの組合せに接続することができる、または関連付けることができる、少なくとも１つのデータベースに格納またはキャッシュすることができる。
【０７４４】
限定を目的としない例として、少なくとも１つのルート計画選好は、有料道路を回避することができる少なくとも１つのルートを識別することができる。限定を目的としない例として、少なくとも１つのルート計画選好は、少なくとも１つの好ましい搬送サービス要求、好ましいと識別することができる少なくとも１つの自律車両、少なくとも１つの自律車両に関連する好ましい搬送データの全部または一部、またはそれらの組合せを識別するのを補助することができる少なくとも１つの最適なナビゲーションルートを識別することができる。限定を目的としない例として、少なくとも１つの燃費選好は、１／４バッテリレベルよりも低いバッテリレベルの少なくとも１つの自律車両を除外または破棄することであり得る。限定を目的としない例として、少なくとも１つの燃費の選好は、スポーツモード、快適モード、エコモード等の、少なくとも１つの自律車両が実行することができる少なくとも１つの特定のモードを識別することであり得る。
【０７４５】
限定を目的としない例として、少なくとも１つの予測選好は、少なくとも１つの搬送サービス要求、搬送データの全部または一部、少なくとも１つの自律車両に関連する搬送データの全部または一部、少なくとも１つの搬送クライアント、少なくとも１つの代理人、少なくとも１つの自律車両、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せに関連する少なくとも１つのパターンに基づいて、経時的に識別または学習することができる。
【０７４６】
限定を目的としない例として、少なくとも１つのバッテリ寿命選好は、１００マイルを超える少なくとも１つの搬送サービスに対して９０％を超えるバッテリレベルを有することができる少なくとも１つの自律車両のみを含むことができる。限定を目的としない例として、少なくとも１つの時間選好は、少なくとも１日のうちの少なくとも１つの時間、少なくとも１週間のうちの少なくとも１つの時間、少なくとも１ヶ月のうちの少なくとも１つの時間、少なくとも１年のうちの少なくとも１つの時間、またはそれらの組合せの間の、少なくとも１つの時間範囲、少なくとも１つのピックアップ時間、少なくとも１つのドロップオフ時間、少なくとも１つの事前にスケジュールされた時間等に関連し得る。限定を目的としない例として、少なくとも１つの搬送クライアント詳細選好は、少なくとも１つの搬送クライアント、少なくとも１つのアプリケーション、少なくとも１つのオーナアプリケーションまたはコントローラアプリケーション、少なくとも１つの中央サーバ、少なくとも１つの外部サーバ、少なくとも１つのサードパーティ、少なくとも１つのマッププロバイダ、またはそれらの組合せによって提供される少なくとも１つのルート選好であり得る。
【０７４７】
限定を目的としない例として、少なくとも１つのルート選好を利用して、少なくとも１つの過去のルート、少なくとも１つの特定のルート、少なくとも１つの好ましいルート、少なくとも１つのエリア、少なくとも１つの特定の場所、少なくとも１つの価格情報等を識別することができる。限定を目的としない例として、少なくとも１つのルート選好は、平日の午後５時ごろに第５州間幹線道路上の交通渋滞を回避するために、経時的に学習することができる。限定を目的としない例として、少なくとも１つのルート選好は、少なくとも１つの搬送クライアントまたは少なくとも１つの搬送サービスの少なくとも１つの受取人が選好する、少なくとも１つの道路、少なくとも１つの通り、少なくとも１つの高速道路、少なくとも１つの近隣等を回避することであり得る。
【０７４８】
限定を目的としない例として、少なくとも１つのサービスレベル選好は、少なくとも１つの高級車、少なくとも１つの環境にやさしい車、少なくとも１つのドライバレス車両等を識別するために、少なくとも１つの搬送クライアントによって使用され得る。限定を目的としない例として、少なくとも１つのより古い車両よりも少なくとも１つのより新しい車両を識別するために、少なくとも１つのサービスレベル選好を利用することができる。限定を目的としない例として、少なくとも１つのサービスレベル選好は、少なくとも１つのより高いサービスレベル、例えば、少なくとも１つの高級サービスを提供し、収入の可能性を高めるために、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等によって利用され得る。
【０７４９】
限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等が提供できる異なるサービスレベルを識別するために、少なくとも１つの視覚的表現上に、または少なくとも１つの視覚的表現を用いて、少なくとも１つのサービスレベル選好を表示することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等が提供することができる、異なるサービスレベルの少なくとも１つの選択を可能にするために、少なくとも１つのサービスレベル選好を、少なくとも１つのアイコンとして、少なくとも１つの視覚的表現を用いて、または少なくとも１つの視覚的表現上に、表示することができる。
【０７５０】
限定を目的としない例として、少なくとも１つのサービスレベル選好を少なくとも１つの動的マップ上に表示して、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、少なくとも１つのサードパーティ等が提供することができる異なるサービスレベルを識別することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せを、少なくとも１つのサービスレベル選好を表示することができる少なくとも１つの動的マップ上に、または少なくとも１つの動的マップを用いて、表示することができ、少なくとも１つの移動型アイコンまたは一時的アイコンによって表すことができる。
【０７５１】
限定を目的としない例として、少なくとも１つのイベント包含選好は、格付けが５つの星のうちの４つの少なくとも１つの目的地を、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせのために、またはそれらを基準に、識別することができる。限定を目的としない例として、少なくとも１つのイベント包含選好は、少なくとも１つのイベント、またはそのイベントまたはエリアの中または近くに現在良好に配置されている可能性がある少なくとも１つのサービスプロバイダ等に最適であり得る少なくとも１つのエリアを識別することができるが、そのイベントまたはエリアからさらに離れた他のサービスプロバイダ等には最適ではない場合がある。
【０７５２】
限定を目的としない例として、少なくとも１つの選択された選好は、少なくとも１つの商品サプライヤが少なくとも１つの現在のまたは少なくとも１つの将来の搬送サービス要求を遅延または延期することを可能にすることができる少なくとも１つの商品サプライヤ選好であり得る。限定を目的としない例として、少なくとも１つの搬送クライアント選好または少なくとも１つの搬送サービスの少なくとも１つの受取人の少なくとも１つの選好を、少なくとも１つの選択された選好と比較して、少なくとも１つのマッチングを識別し、好ましくは、好ましいと識別することができる少なくとも１つの自律車両のために、またはそれを基準に、少なくとも１つの好ましい搬送サービス要求を確保または取得することができる。
【０７５３】
限定を目的としない例として、少なくとも１つの選択された選好は、少なくとも１つの自律車両と少なくとも１つの好ましい搬送サービス要求との間の少なくとも１つのマッチングに影響を及ぼし得る少なくとも１つの文化的特徴を有するか、またはそれに関連し得る。限定を目的としない例として、少なくとも１つの選択された選好は、対応する搬送データが関連付けられた少なくとも１つの搬送サービス要求の全部または一部、少なくとも１つの自律車両に関連する搬送データの全部または一部、またはそれらの組合せに影響を及ぼし得る少なくとも１つの文化的特徴を有するか、またはそれに関連し得る。限定を目的としない例として、アメリカ人は、カナダ人と比較して、より短い推定到着時間の少なくとも１つの選択された選好を好む。
【０７５４】
限定を目的としない例として、少なくとも１つの容量選好は、少なくとも１つの車両または少なくとも１つの自律車両内の乗客または商品の最大数を識別することができる。限定を目的としない例として、少なくとも１つの搬送クライアントは、少なくとも１つの選択された選好を利用して、少なくとも１つの搬送クライアントが少なくとも１つの自律車両または少なくとも１つの代理人を好むかどうかを指定することができる。限定を目的としない例として、少なくとも１つの選択された選好は、少なくとも相乗り選好であり得る。限定を目的としない例として、少なくとも１つの選択された選好を使用して、少なくとも１つのサービス終了地理的位置への少なくとも１つの搬送サービスに相乗りすることができる少なくとも１つの搬送クライアントまたは少なくとも１つの搬送クライアントの少なくとも１つのグループを識別することができる。限定を目的としない例として、少なくとも１つの選択された選好は、例えば、少なくとも１つの自律車両が障碍者に優しいものである等の、安全性に関連し得る。
【０７５５】
限定を目的としない例として、少なくとも１つの配信サービス選好は、合計移動時間に１０分を超える時間が追加されうる配達を除外することであり得る。限定を目的としない例として、少なくとも１つの配達サービス選好は、少なくとも１つの商品、少なくとも１つのアイテム等の少なくとも１つの寸法を指定することができる。限定を目的としない例として、少なくとも１つの配達サービス選好を使用して、少なくとも１つの商品配達、少なくとも１つのアイテム配達等に関連する少なくとも１つの特定の特徴を有する少なくとも１つの自律車両を識別することができる。限定を目的としない例として、少なくとも１つの配達サービス選好を使用して、少なくとも１つの事前にスケジュールされた搬送サービス要求または少なくとも１つの事前にスケジュールされた自律車両を識別することができる。
【０７５６】
限定を目的としない例として、少なくとも１つの車両診断選好は、少なくとも１つの自律車両を道路から離すこと、または少なくとも１つの自律車両の保守が予定されている場合には、別の搬送サービス要求を確保または取得しないことであり得る。限定を目的としない例として、少なくとも１つの車両診断選好は、少なくとも１つの自律車両を道路から離すこと、または少なくとも１つの自律車両に関連する少なくとも１つの基準が満たされた場合に、別の搬送サービス要求を確保または取得しないことであり得る。限定を目的としない例として、少なくとも１つの車両診断選好は、少なくとも１つの自律車両上の少なくとも１つのセンサデータに関連し得る。
【０７５７】
限定を目的としない例として、少なくとも１つの中央サーバは、第２の選択された選好を使用または適用することができ、少なくとも１つのプロセスは、任意で、少なくとも１つの追加のレベルのフィルタリングと呼ぶか、または見なすことができる。限定を目的としない例として、少なくとも１つの中央サーバは、まず、少なくとも１つの選択された選好に基づいて搬送サービス要求をフィルタリングし、次いで、少なくとも１つの異なる選択された選好に基づいて搬送サービス要求の少なくとも１つのサブセットをフィルタリングする２ステッププロセスを使用して、搬送サービス要求をフィルタリングすることができる。限定を目的としない例として、少なくとも１つの中央サーバは、まず、少なくとも１つの選択された選好に基づいて少なくとも１つの自律車両に関連する搬送データの全部または一部をフィルタリングし、次いで、少なくとも１つの異なる選択された選好に基づいて少なくとも１つの自律車両に関連する搬送データの全部または一部の少なくとも１つのサブセットをフィルタリングする２ステッププロセスを使用して、少なくとも１つの自律車両に関連する搬送データの全部または一部をフィルタリングすることができる。
【０７５８】
限定を目的としない例として、少なくとも１つの選択された選好は、少なくとも１つの代理人選好と同様のものであり得る。限定を目的としない例として、少なくとも１つの選択された選好は、少なくとも１つの代理人選好と同様の論理を有し得る。
【０７５９】
「少なくとも１つの代理人、自律車両、搬送クライアント、サービスプロバイダ、商品サプライヤ、フリートマネージャ、ロジスティクスプロバイダ、ロジスティクスサプライヤ、または自律車両のオーナまたはコントローラの地理的位置」
少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、例えば、リアルタイム、ほぼリアルタイム、静的、または非リアルタイムであり得る。
【０７６０】
任意の個々の人物、機械、エンティティ、またはそれらの組合せの少なくとも１つの地理的位置は、少なくとも１つの小数点表記または十進表記の少なくとも１つの経度および少なくとも１つの緯度に関連するか、またはそれらを有し得る。任意の個々の人物、機械、エンティティ、またはそれらの組み合わせの少なくとも１つの地理的位置は、少なくとも１つのデータベースにおいて、少なくとも１つの小数点表記または十進表記の少なくとも１つの経度および少なくとも１つの緯度に関連するか、またはそれらを有することができる。任意の個々の人物、機械、エンティティ、またはそれらの組み合わせの少なくとも１つの地理的位置は、少なくとも１つの異なる小数点表記または十進表記で、少なくとも１つの経度および少なくとも１つの緯度に関連するか、またはそれらを有することができる。任意の個々の人物、機械、エンティティ、またはそれらの組み合わせの少なくとも１つの地理的位置は、少なくとも１つのデータベースにおいて、少なくとも１つの異なる小数点表記または十進表記の少なくとも１つの経度および少なくとも１つの緯度に関連するか、またはそれらを有することができる。
【０７６１】
少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、好ましくは少なくとも１つの一様なフォーマットで標準化することができる、少なくとも１つの可変精度を有するか、または利用することができる。少なくとも１つの地理的位置を符号化する多くの異なるシステムや方法が存在するため、少なくとも１つの可変精度が、少なくとも１つの地理的位置を標準化するために好ましいことがある。少なくとも１つの自律車両の少なくとも１つのリアルタイムまたはほぼリアルタイムの地理的位置を符号化する多くの異なるシステムや方法が存在するため、少なくとも１つの可変精度が、少なくとも１つの数字または少なくとも１つの小数を標準化するために好ましいことがある。
【０７６２】
任意の個々の人物、機械、エンティティ、またはそれらの組合せの少なくとも１つの地理的位置は、リアルタイムまたはほぼリアルタイムで更新またはリフレッシュすることができ、最高の発展レベルまたは最新技術に更新またはリフレッシュされているものを指し得る。任意の個々の人物、機械、エンティティ、またはそれらの組合せの少なくとも１つの地理的位置を使用して、最高の発展レベルまたは最新技術に更新またはリフレッシュされる少なくとも１つの機能をリアルタイムまたはほぼリアルタイムで実行することができる。少なくとも１つの地理的位置は、限定はしないが、少なくとも１つの中央サーバ、少なくとも１つの外部サーバ、少なくとも１つのアプリケーション、少なくとも１つのオーナアプリケーションまたはコントローラアプリケーション、少なくとも１つの視覚的表現、またはそれらの組合せ上で事前に設定することができる。
【０７６３】
少なくとも１つの代理人の少なくとも１つの地理的位置は、限定はしないが、少なくとも１つの代理人が任意の所与の時点においている可能性がある、少なくとも１つの地理的位置、少なくとも１つの座標、少なくとも１つの位置、または少なくとも１つの場所であり得る。
【０７６４】
少なくとも１つの搬送クライアントの少なくとも１つの地理的位置は、限定はしないが、少なくとも１つの搬送クライアントが任意の所与の時点においている可能性がある、少なくとも１つの地理的位置、少なくとも１つの座標、少なくとも１つの位置、または少なくとも１つの場所であり得る。
【０７６５】
少なくとも１つの自律車両の少なくとも１つの地理的位置は、限定はしないが、少なくとも１つの自律車両が任意の所与の時点においている可能性がある、少なくとも１つの地理的位置、少なくとも１つの座標、少なくとも１つの位置、または少なくとも１つの場所であり得る。
【０７６６】
少なくとも１つのサービスプロバイダの少なくとも１つの地理的位置は、限定はしないが、少なくとも１つのサービスプロバイダが任意の所与の時点においている可能性がある、少なくとも１つの地理的位置、少なくとも１つの座標、少なくとも１つの位置、または少なくとも１つの場所であり得る。
【０７６７】
少なくとも１つの商品サプライヤの少なくとも１つの地理的位置は、限定はしないが、少なくとも１つの商品サプライヤが任意の所与の時点においている可能性がある、少なくとも１つの地理的位置、少なくとも１つの座標、少なくとも１つの位置、または少なくとも１つの場所であり得る。
【０７６８】
少なくとも１つのフリートマネージャの少なくとも１つの地理的位置は、限定はしないが、少なくとも１つのフリートマネージャが任意の所与の時点においている可能性がある、少なくとも１つの地理的位置、少なくとも１つの座標、少なくとも１つの位置、または少なくとも１つの場所であり得る。
【０７６９】
少なくとも１つの自律車両の少なくとも１つのオーナまたは少なくとも１つのコントローラの少なくとも１つの地理的位置は、限定はしないが、少なくとも１つの自律車両の少なくとも１つのオーナまたは少なくとも１つのコントローラが任意の所与の時点においている可能性がある、少なくとも１つの地理的位置、少なくとも１つの座標、少なくとも１つの位置、または少なくとも１つの場所であり得る。
【０７７０】
少なくとも１つのロジスティクスプロバイダの少なくとも１つの地理的位置は、限定はしないが、少なくとも１つのロジスティクスプロバイダが任意の所与の時点においている可能性がある、少なくとも１つの地理的位置、少なくとも１つの座標、少なくとも１つの位置、または少なくとも１つの場所であり得る。
【０７７１】
少なくとも１つのロジスティクスサプライヤの少なくとも１つの地理的位置は、限定はしないが、少なくとも１つのロジスティクスサプライヤが任意の所与の時点においている可能性がある、少なくとも１つの地理的位置、少なくとも１つの座標、少なくとも１つの位置、または少なくとも１つの場所であり得る。
【０７７２】
少なくとも１つの代理人、少なくとも１つの自律車両、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、例えば、少なくとも１つの視覚的表現上に表示することができる。
【０７７３】
少なくとも１つの自律車両の少なくとも１つのリアルタイムまたはほぼリアルタイムの地理的位置が検討された場合、少なくとも１つの自律車両の少なくとも１つのフリートの少なくとも１つのリアルタイムまたはほぼリアルタイムの地理的位置も検討することができる。任意の個々の人物、機械、エンティティ、またはそれらの組合せの少なくとも１つの地理的位置が検討された場合、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ等の少なくとも１つの地理的位置も検討することができる。
【０７７４】
限定を目的としない例として、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、少なくとも１つの搬送業界セグメントで活動する少なくとも１つのサービスプロバイダに関連し得る。
【０７７５】
限定を目的としない例として、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置を、それぞれの密度選好のために使用することができる。限定を目的としない例として、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、少なくとも１つの個々の搬送業界セグメントで活動する少なくとも１つの個々のサービスプロバイダに関連し得る。
【０７７６】
限定を目的としない例として、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、静的または非リアルタイムであり得る。限定を目的としない例として、少なくとも１つの商品サプライヤの少なくとも１つの地理的位置は、少なくとも１つの実在する地理的位置に関連し得るため、静的または非リアルタイムであり得る。限定を目的としない例として、少なくとも１つの自律車両の少なくとも１つの地理的位置は、少なくとも１つの自律車両に関連付けられた少なくとも１つのセンサデータに基づくか、または関連し得る。
【０７７７】
限定を目的としない例として、少なくとも１つの自律車両の少なくとも１つのフリートまたは少なくとも１つの自律車両フリートの少なくとも１つの地理的位置は、限定はしないが、少なくとも１つの自律車両の少なくとも１つのフリートが任意の所与の時点においている可能性がある、少なくとも１つの地理的位置、少なくとも１つの座標、少なくとも１つの位置、または少なくとも１つの場所であり得る。限定を目的としない例として、少なくとも１つの自律車両の少なくとも１つの地理的位置は、少なくとも１つの自律車両または少なくとも１つの自律車両の少なくとも１つのフリートに基づき得る。限定を目的としない例として、少なくとも１つの自律車両の少なくとも１つの地理的位置は、少なくとも１つの自律車両の少なくとも１つのリアルタイムまたはほぼリアルタイムの地理的位置であり得る。限定を目的としない例として、少なくとも１つの自律車両の少なくとも１つの地理的位置は、少なくとも１つの自律車両の少なくとも１つのフリートの少なくとも１つのリアルタイムまたはほぼリアルタイムの地理的位置であり得る。
【０７７８】
限定を目的としない例として、任意の個々の人物、機械、エンティティ、またはそれらの組み合わせの少なくとも１つの地理的位置は、３つの外部サーバから供給または提供され得、少なくとも１つの類似の小数点表記または十進表記を有するように標準化することができる少なくとも１つの異なる小数点表記または十進表記を有する少なくとも１つのデータベーステーブルにおいて、少なくとも１つの経度および少なくとも１つの緯度に関連付けられ得るか、またはそれらを有し得る。限定を目的としない例として、少なくとも１つの自律車両の少なくとも１つのリアルタイムまたはほぼリアルタイムの地理的位置、少なくとも１つの自律車両の少なくとも１つのフリートの少なくとも１つのリアルタイムまたはほぼリアルタイムの地理的位置、少なくとも１つの自律車両フリートの少なくとも１つのリアルタイムまたはほぼリアルタイムの地理的位置、またはそれらの組合せは、好ましくは少なくとも１つの一様なフォーマットで標準化することができる少なくとも１つの可変精度を有するか、またはそれに関連付けられることができる。限定を目的としない例として、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、好ましくは少なくとも１つの一様なフォーマットで標準化することができる少なくとも１つの可変精度を有するか、または少なくとも１つの可変精度と関連付けることができる。
【０７７９】
限定を目的としない例として、少なくとも１つの自律車両の少なくとも１つのリアルタイムまたはほぼリアルタイムの地理的位置、少なくとも１つの自律車両の少なくとも１つのフリートの少なくとも１つのリアルタイムまたはほぼリアルタイムの地理的位置、少なくとも１つの自律車両フリートの少なくとも１つのリアルタイムまたはほぼリアルタイムの地理的位置、またはそれらの組合せは、少なくとも１つの小数点表記または十進表記の少なくとも１つの経度および少なくとも１つの緯度を有するか、または関連付けることができる。限定を目的としない例として、少なくとも１つの自律車両の少なくとも１つのリアルタイムまたはほぼリアルタイムの地理的位置、少なくとも１つの自律車両の少なくとも１つのフリートの少なくとも１つのリアルタイムまたはほぼリアルタイムの地理的位置、少なくとも１つの自律車両フリートの少なくとも１つのリアルタイムまたはほぼリアルタイムの地理的位置、またはそれらの組合せは、少なくとも１つの小数点表記または十進表記を有する少なくとも１つのデータベーステーブル内の少なくとも１つの経度および少なくとも１つの緯度を有するか、またはそれらに関連付けることができる。
【０７８０】
限定を目的としない例として、少なくとも１つの自律車両の少なくとも１つのリアルタイムまたはほぼリアルタイムの地理的位置、少なくとも１つの自律車両の少なくとも１つのフリートの少なくとも１つのリアルタイムまたはほぼリアルタイムの地理的位置、少なくとも１つの自律車両フリートの少なくとも１つのリアルタイムまたはほぼリアルタイムの地理的位置、またはそれらの組合せは、少なくとも１つの異なる小数点表記または十進表記の少なくとも１つの経度および少なくとも１つの緯度を有するか、またはそれらに関連付けることができる。限定を目的としない例として、少なくとも１つの自律車両の少なくとも１つのリアルタイムまたはほぼリアルタイムの地理的位置、少なくとも１つの自律車両の少なくとも１つのフリートの少なくとも１つのリアルタイムまたはほぼリアルタイムの地理的位置、少なくとも１つの自律車両フリートの少なくとも１つのリアルタイムまたはほぼリアルタイムの地理的位置、またはそれらの組合せは、少なくとも１つの異なる小数点表記または十進表記を有する少なくとも１つのデータベーステーブル内の少なくとも１つの経度および少なくとも１つの緯度を有するか、またはそれらに関連付けることができる。
【０７８１】
限定を目的としない例として、少なくとも１つの個々の人物、少なくとも１つの個々の機械、少なくとも１つの個々のエンティティ、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、少なくとも１つの小数点表記または十進表記を有する少なくとも１つのデータベーステーブル内の少なくとも１つの経度および少なくとも１つの緯度を有するか、またはそれらに関連付けることができる。限定を目的としない例として、少なくとも１つの個々の人物、少なくとも１つの個々の機械、少なくとも１つの個々のエンティティ、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置は、少なくとも１つの異なる小数点表記または十進表記を有する少なくとも１つのデータベーステーブル内の少なくとも１つの経度および少なくとも１つの緯度を有するか、またはそれらに関連付けることができる。
【０７８２】
限定を目的としない例として、少なくとも１つの代理人、少なくとも１つの自律車両、少なくとも１つの自律車両の少なくとも１つのフリート、少なくとも１つの搬送クライアント、少なくとも１つのサービスプロバイダ、少なくとも１つの商品サプライヤ、少なくとも１つのフリートマネージャ、少なくとも１つの自律車両の少なくとも１つのオーナまたは少なくとも１つのコントローラ、少なくとも１つのロジスティクスプロバイダ、少なくとも１つのロジスティクスサプライヤ、またはそれらの組合せの少なくとも１つの地理的位置を符号化するための多くの異なるシステムや方法が存在するため、少なくとも１つの数字または少なくとも１つの十進表記を標準化するためには、少なくとも１つの可変精度が好ましい。
【０７８３】
「サービス開始地理的位置」
少なくとも１つのサービス開始地理的位置は、限定はしないが、例えば、少なくとも１つの搬送クライアントまたは少なくとも１つのエンティティによって要求される、少なくとも１つの搬送サービスが開始または要求される少なくとも１つの地理的位置であり得る。少なくとも１つのサービス開始地理的位置は、少なくとも１つのウェイポイントを利用する場合、少なくとも１つの搬送サービスの前および／または最中に修正することができる。少なくとも１つのサービス開始地理的位置は、少なくとも１つの搬送クライアントの少なくとも１つのリアルタイムまたはほぼリアルタイムの地理的位置である必要はない。少なくとも１つのサービス開始地理的位置は、リアルタイムまたはほぼリアルタイムで更新またはリフレッシュすることができ、最高の発展レベルまたは最新技術に更新またはリフレッシュされているものを指し得る。少なくとも１つのサービス開始地理的位置を使用して、最高の発展レベルまたは最新技術に更新またはリフレッシュされる少なくとも１つの機能をリアルタイムまたはほぼリアルタイムで実行することができる。少なくとも１つのサービス開始地理的位置は、限定はしないが、少なくとも１つの中央サーバ、少なくとも１つの外部サーバ、少なくとも１つのアプリケーション、少なくとも１つのオーナアプリケーションまたはコントローラアプリケーション、またはそれらの組合せ上で事前に設定するかまたは事前に決定することができる。少なくとも１つのサービス開始地理的位置は、少なくとも１つの搬送サービス要求に関連付けることができる。
【０７８４】
限定を目的としない例として、少なくとも１つのサービス開始地理的位置は、静的または非リアルタイムであり得る。限定を目的としない例として、少なくとも１つの代理人または少なくとも１つの自律車両は、少なくとも１つのサービス開始地理的位置で少なくとも１つの搬送クライアントをピックアップすることができる。限定を目的としない例として、少なくとも１つのサービス開始地理的位置は、少なくとも１つのウェイポイントを有するか、またはそれに関連付けることができる。限定を目的としない例として、少なくとも１つのサービス開始地理的位置は、少なくとも１つの搬送クライアントが少なくとも１つのサービス開始地理的位置に移動することができる少なくとも１つのウェイポイントを有するか、またはそれに関連付けることができる。限定を目的としない例として、少なくとも１つの搬送クライアントは、１つのサービス開始地理的位置からパブリックバスに乗り、次いで第２のサービス開始地理的位置で少なくとも１つの自律車両によってピックアップしてもらうことができる、少なくとも１つのウェイポイントを含む２つまたは複数のサービス開始地理的位置を有するか、または使用することができる。
【０７８５】
限定を目的としない例として、少なくとも１つのサービス開始地理的位置は、少なくとも１つの将来のサービス開始地理的位置であり得る。限定を目的としない例として、少なくとも１つのサービス開始地理的位置を、少なくとも１つの自律車両のために、またはそれを基準に、使用して、少なくとも１つの搬送サービス提供を作成することができる。限定を目的としない例として、少なくとも１つのサービス開始地理的位置は動的であり得る。限定を目的としない例として、少なくとも１つのサービス開始地理的位置を緯度および経度に関連付けることができる。
【０７８６】
「サービス終了地理的位置」
少なくとも１つのサービス終了地理的位置は、限定はしないが、例えば、少なくとも１つの搬送クライアントまたは少なくとも１つのエンティティによって要求される、少なくとも１つの搬送サービスが終了する少なくとも１つの地理的位置であり得る。少なくとも１つのサービス終了地理的位置は、少なくとも１つの搬送サービスの前および／またはその間に修正することができる。少なくとも１つのサービス終了地理的位置は、少なくとも１つのウェイポイントを含み得る。少なくとも１つのサービス終了地理的位置は、リアルタイムまたはほぼリアルタイムで更新またはリフレッシュすることができ、最高の発展レベルまたは最新技術に更新またはリフレッシュされているものを指し得る。少なくとも１つのサービス終了地理的位置を使用して、最高の発展レベルまたは最新技術に更新またはリフレッシュされる少なくとも１つの機能をリアルタイムまたはほぼリアルタイムで実行することができる。少なくとも１つのサービス終了地理的位置は、限定はしないが、少なくとも１つの中央サーバ、少なくとも１つの外部サーバ、少なくとも１つのアプリケーション、少なくとも１つのオーナアプリケーションまたはコントローラアプリケーション、またはそれらの組合せ上で事前に設定するかまたは事前に決定することができる。少なくとも１つのサービス終了地理的位置は、少なくとも１つの搬送サービス要求に関連付けることができる。
【０７８７】
限定を目的としない例として、少なくとも１つのサービス終了地理的位置は、静的または非リアルタイムであり得る。限定を目的としない例として、少なくとも１つの代理人または少なくとも１つの自律車両は、少なくとも１つのサービス終了地理的位置において、少なくとも１つの搬送クライアントを降ろすことができる。限定を目的としない例として、少なくとも１つのサービス終了地理的位置は、少なくとも１つの搬送クライアントが、少なくとも１つのサービス終了地理的位置かで降ろされる前にコーヒーショップで停止することができる、少なくとも１つのウェイポイントを有するか、または少なくとも１つのウェイポイントに関連付けることができる。限定を目的としない例として、少なくとも１つのサービス終了地理的位置は、少なくとも１つの将来のサービス終了地理的位置であり得る。限定を目的としない例として、少なくとも１つのサービス終了地理的位置を、少なくとも１つの自律車両のために、またはそれを基準に、使用して、少なくとも１つの搬送サービス提供を作成することができる。限定を目的としない例として、少なくとも１つのサービス終了地理的位置は、動的であり得る。限定を目的としない例として、少なくとも１つのサービス終了地理的位置を緯度および経度に関連付けることができる。
【０７８８】
「搬送業界セグメント」
搬送業界は、例えば、少なくとも１つの地理的位置から少なくとも１つの他の地理的位置への誰かまたは何かの輸送によって分類される業界であり得る。搬送業界は、例えば、リアルタイムまたはほぼリアルタイムの少なくとも１つの地理的位置から少なくとも１つの他の地理的位置への誰かまたは何かの輸送によって分類される業界であり得る。少なくとも１つの搬送業界セグメントは、例えば、異なる限定特性によって分類される、搬送業界全体のより小さい部分であり得る。少なくとも１つの搬送業界セグメントは、リアルタイムまたはほぼリアルタイムで更新またはリフレッシュすることができ、最高の発展レベルまたは最新技術に更新またはリフレッシュされているものを指し得る。
【０７８９】
少なくとも１つのサービスプロバイダ、少なくとも１つの自律車両の少なくとも１つのオーナまたは少なくとも１つのコントローラ、少なくとも１つの商品サプライヤ、少なくとも１つのフリートマネージャ、少なくとも１つのロジスティクスプロバイダ、少なくとも１つのロジスティクスサプライヤ、少なくとも１つの自律車両、またはそれらの組合せは、少なくとも１つの搬送業界セグメントで活動することができる。少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、少なくとも１つの搬送業界セグメント内において少なくとも１つの自律車両を管理、制御、操作等することができる。少なくとも１つの搬送サービス要求は、少なくとも１つの搬送業界セグメントに関連付けることができる。少なくとも１つの自律車両自動化プラットフォームは、少なくとも１つの搬送業界セグメントで活動することができる少なくとも１つの自律車両を管理、操作、制御等することができる。少なくとも１つの代理人自動化プラットフォームは、少なくとも１つの搬送業界セグメントで活動することができる少なくとも１つの代理人を管理、操作、制御等することができる。少なくとも１つの自律車両自動化プラットフォーム、少なくとも１つの代理人自動化プラットフォーム、またはそれらの組み合わせは、少なくとも１つの搬送業界セグメントで活動することができる、少なくとも１つの自律車両、少なくとも１つの代理人、またはそれらの組み合わせを管理、操作、制御等することができる。
【０７９０】
限定を目的としない例として、少なくとも１つの搬送業界セグメントは、限定はしないが、少なくとも１つのライドヘイル業界セグメント、少なくとも１つのライドシェア業界セグメント、少なくとも１つのカーシェア業界セグメント、少なくとも１つのピアツーピア搬送業界セグメント、少なくとも１つの人物搬送業界セグメント、少なくとも１つのタクシー業界セグメント、少なくとも１つのアイテム搬送業界セグメント、少なくとも１つの商品搬送業界セグメント、少なくとも１つの貨物搬送業界セグメント、少なくとも１つの医療サービスおよび医療配達業界セグメント、少なくとも１つの食品配達業界セグメント、少なくとも１つの宅配便業界セグメント、少なくとも１つの動物配達業界セグメント、少なくとも１つの輸送業界セグメント、またはそれらの組合せであり得る。
【０７９１】
限定を目的としない例として、少なくとも１つの個々のサービスプロバイダ等は、少なくとも１つの個々の搬送業界セグメントで活動することができる。限定を目的としない例として、本発明は、少なくとも１つの代理人または少なくとも１つの自律車両が、少なくとも１つの搬送クライアントのために、ライドヘイル業界セグメントにおいてライドを提供し、少なくとも１つの類似のサービスプロバイダに関連する食品配達業界セグメントにおいて食品を配達することを可能にすることができる。
【０７９２】
限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせは、少なくとも１つの搬送業界セグメントにおいて少なくとも１つの自律車両の少なくとも１つのフリートを管理または操作することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組合せは、ライドヘイル業界セグメントでは１００台の自律車両を管理または操作し、貨物業界セグメントでは２００台の自律車両を管理または操作することができる。限定を目的としない例として、少なくとも１つの自律車両の少なくとも１つのオーナまたは少なくとも１つのコントローラ、少なくとも１つのサービスプロバイダ、少なくとも１つの商品サプライヤ、少なくとも１つのフリートマネージャ、少なくとも１つのロジスティクスプロバイダ、少なくとも１つのロジスティクスサプライヤ、またはそれらの組み合わせは、２つ以上の搬送業界セグメントで活動することができる１つの自律車両を管理または操作することができる。
【０７９３】
＜例＞
例１：好ましい要素およびそれらの好ましい相互作用の概要
開示された本発明の、全てではないが幾つかの態様及び実施形態の、全てではないが幾つかの要素のこの概要は、特に図面及びその説明に記載されているような、少なくとも１つの搬送業界セグメントにおける、本発明の少なくとも１つの例示的なシステムの幾つかの好ましい限定を目的としない態様および本発明の少なくとも１つのシステムの少なくとも１つの例示的な使用方法に関連する。これらの要素の全てが本発明において使用される必要はなく、他の要素が含まれてもよく、またはいくつかの要素が除外されてもよく、これらの要素のいずれも有さない発明も、本発明の一部であり得る。参照数字は、図中のものを指す。以下の要素は、図１〜図１２に示されている要素である。
【０７９４】
少なくとも１つの搬送クライアント１は、限定はしないが、少なくとも１つの搬送サービスを受けることができる、少なくとも１人の人、少なくとも１つのロボット、少なくとも１つの機械、またはそれらの組合せであり得る。少なくとも１つの搬送クライアント１は、必ずしも少なくとも１つのサービスの少なくとも１つの消費者である必要はない。
【０７９５】
少なくとも１つの代理人２は、限定はしないが、少なくとも１つの好ましい搬送サービス要求１７を分析または評価し、次いで、好ましくは、確保または取得することができる、少なくとも１人の人、少なくとも１つのロボット、少なくとも１つの機械、またはそれらの組み合わせであり得る。少なくとも１つの代理人２は、限定はしないが、少なくとも１人の人、少なくとも１つの商品、少なくとも１つの物、少なくとも１つの物品、少なくとも１つのアイテム、少なくとも１つの搬送クライアント１、またはこれらの組み合わせに少なくとも１つの搬送サービスを提供するか、またはそれらの少なくとも１つの搬送サービスを実行することができる。少なくとも１つの代理人２は、少なくとも１つの好ましい搬送サービス要求１７を識別するために使用される少なくとも１つの代理人選好１８を入力または提供することができる。少なくとも１つの代理人２は、少なくとも１つの搬送業界セグメントで活動する少なくとも１つのサービスプロバイダ５に関連する少なくとも１つの搬送サービスを提供または実行することができる。少なくとも１つの代理人２は、少なくとも１つの好ましい搬送サービス要求１７を受諾するかまたは拒否することができる。少なくとも１つの代理人２は、少なくとも１つの自律車両３に関連付けられた少なくとも１つの搬送サービスの全部または一部を実行することができる。
【０７９６】
少なくとも１つの自律車両３は、例えば、限定はしないが、少なくとも１人の人、少なくとも１つの商品、少なくとも１つの物品、少なくとも１つの物、少なくとも１つのアイテム、少なくとも１つの搬送クライアント１、またはそれらの組合せに、少なくとも１つの搬送サービスを提供するか、またはそれらの少なくとも１つの搬送サービスを実行するために使用できる、少なくとも１つの自己管理型機械、少なくとも１つの自己操縦機械、少なくとも１つの自己運転機械等であり得る。少なくとも１つの自律車両３は、少なくとも１つの搬送業界セグメントで活動する少なくとも１つのサービスプロバイダ５等に関連する少なくとも１つの搬送サービスを実行または提供することができる。少なくとも１つの自律車両３は、ハードウェア及び／またはソフトウェアを単独でまたは組み合わせて含むことができる。少なくとも１つの自律車両３は、好ましいものとして識別することができる。
【０７９７】
少なくとも１つの自律車両の少なくとも１つのオーナまたは少なくとも１つのコントローラ４は、限定はしないが、少なくとも１つの自律車両３を所有または制御することができる、少なくとも１つのエンティティ、少なくとも１つの業界、少なくとも１人の人、少なくとも１つのロボット、少なくとも１つの機械、またはそれらの組合せであり得る。少なくとも１つの自律車両の少なくとも１つのオーナまたは少なくとも１つのコントローラ４は、少なくとも１つの好ましい搬送サービス要求１７を識別するために使用される少なくとも１つの選択された選好１９を入力または提供することができる。少なくとも１つの自律車両の少なくとも１つのオーナまたは少なくとも１つのコントローラ４は、少なくとも１つの好ましい搬送サービス要求１７を受諾するかまたは拒否することができる。少なくとも１つの自律車両の少なくとも１つのオーナまたは少なくとも１つのコントローラ４は、少なくとも１つのサービスプロバイダ５、少なくとも１つのフリートマネージャ、少なくとも１つのロジスティクスプロバイダ、少なくとも１つのロジスティクスサプライヤ、またはそれらの組合せであり得る。
【０７９８】
少なくとも１つのサービスプロバイダ５は、例えば、限定はしないが、少なくとも１つの代理人２、少なくとも１つの自律車両３、少なくとも１つの商品サプライヤ、またはそれらの組合せを雇用するかまたはそれらと契約することができる少なくとも１つのエンティティまたは少なくとも１つの業界であり得る。少なくとも１つのサービスプロバイダ５は、限定はしないが、少なくとも１つの代理人２、少なくとも１つの自律車両３、少なくとも１つの商品サプライヤ、少なくとも１つの搬送クライアント１、少なくとも１つの自律車両の少なくとも１つのオーナまたは少なくとも１つのコントローラ４、またはそれらの組合せの間の少なくとも１つの搬送サービスを容易にすることができる。少なくとも１つのサービスプロバイダ５は、少なくとも１つの搬送業界セグメントで活動することができる。少なくとも１つのサービスプロバイダ５は、少なくとも１つの自律車両の少なくとも１つのオーナまたは少なくとも１つのコントローラ４、少なくとも１つの商品サプライヤ、少なくとも１つのフリートマネージャ、少なくとも１つのロジスティクスプロバイダ、少なくとも１つのロジスティクスサプライヤ、またはそれらの組合せであり得る。
【０７９９】
少なくとも１つのアプリケーション６は、限定はしないが、少なくとも１つの端末７を介してアクセス可能なソフトウェアであり得る。少なくとも１つのアプリケーション６を、少なくとも１つの自律車両３に関連付けることができる。少なくとも１つのアプリケーション６は、例えば、少なくとも１つの好ましい搬送サービス要求１７、好ましいと識別することができる少なくとも１つの自律車両３、またはそれらの組合せを確保または取得するための少なくとも１つの操作または少なくとも１つの機能を容易にすることができる少なくとも１つのソフトウェアであり得る。少なくとも１つのアプリケーション６は、例えば、少なくとも１つの好ましい搬送サービス要求１７の分析、評価、確保、取得、受諾、または拒否のために使用することができる。少なくとも１つのアプリケーション６は、限定はしないが、少なくとも１つの好ましい搬送サービス要求１７を表示することができる。少なくとも１つの代理人２は、少なくとも１つの代理人選好１８を少なくとも１つのアプリケーション６に入力または提供することができる。少なくとも１つのアプリケーション６は、限定はしないが、少なくとも１つの視覚的表現１２を表示することができる。
【０８００】
少なくとも１つの端末７は、限定はしないが、少なくとも１つの電子計算装置であり得る。少なくとも１つの端末７は、少なくとも１つの自律車両３に関連付けることができる。少なくとも１つの端末７は、限定はしないが、少なくとも１つのコンピュータプロセッサ、少なくとも１つのコンピュータ可読メモリ、少なくとも１つの入力ソース、少なくとも１つの地理的位置モジュール、少なくとも１つのディスプレイ、少なくとも１つのネットワークインターフェース、またはそれらの組合せを含み得る。少なくとも１つの端末７は、少なくとも１つのリンク８を介して通信することができ得る。少なくとも１つの端末７を使用して、少なくとも１つのアプリケーション６にアクセスすることができる。少なくとも１つの端末７は、ハードウェア及び／またはソフトウェアを、単独で、または組み合わせて、包含することができる。少なくとも１つの端末７は、少なくとも１つの自律車両３に関連付けることができる。
【０８０１】
少なくとも１つのリンク８は、限定はしないが、少なくとも１つのソフトウェア機能、少なくとも１つのソフトウェア動作、少なくとも１つのソフトウェアコンポーネント、少なくとも１つのソフトウェアモジュール、またはそれらの組み合わせとの少なくとも１つの接続または少なくとも１つの関連付けであり得る。少なくとも１つのリンク８は、限定はしないが、少なくとも１つの電子通信ネットワークチャンネルであり得る。少なくとも１つのリンク８は、限定はしないが、少なくとも１つの中央サーバ９、少なくとも１つの外部サーバ１０、少なくとも１つの端末７、少なくとも１つのアプリケーション６、少なくとも１つの自律車両３、少なくとも１つのオーナアプリケーションまたはコントローラアプリケーション１１、またはそれらの組合せの間の接続の少なくとも１つの組合せであり得る。少なくとも１つのリンク８は、ハードウェア及び／またはソフトウェアを、単独で、または組み合わせて、包含することができる。
【０８０２】
少なくとも１つの中央サーバ９は、例えば、少なくとも１つの代理人２または少なくとも１つの自律車両３のために、少なくとも１つの好ましい搬送サービス要求１７、好ましいと識別することができる少なくとも１つの自律車両３、またはそれらの組合せを確保または取得するための少なくとも１つの操作または少なくとも１つの機能を容易にすることができる、少なくとも１つのソフトウェアおよび／または少なくとも１つのハードウェアであり得る。少なくとも１つの中央サーバ９は、限定はしないが、少なくとも１つのコンピュータプロセッサ、少なくとも１つのコンピュータ可読メモリ、少なくとも１つのネットワークインターフェース、またはそれらの組合せを含み得る。少なくとも１つの中央サーバ９は、少なくとも１つのリンク８を介して、限定はしないが、少なくとも１つの外部サーバ１０、少なくとも１つのアプリケーション６、少なくとも１つの端末７、少なくとも１つのオーナアプリケーションまたはコントローラアプリケーション１１、少なくとも１つの自律車両３、またはこれらの組合せに接続するかまたはそれらと通信することができる。少なくとも１つの中央サーバ９は、少なくとも１つのデータベースを含むか、または少なくとも１つのデータベースに接続することができる。少なくとも１つの中央サーバ９は、ハードウェア及び／またはソフトウェアを、単独で、または組み合わせて、包含することができる。
【０８０３】
少なくとも１つの外部サーバ１０は、限定はしないが、対応する搬送データが関連付けられた少なくとも１つの搬送サービス要求１５、少なくとも１つの自律車両３に関連する搬送データの全部または一部、またはそれらの組合せの少なくとも１つのソースであり得る。少なくとも１つの外部サーバ１０は、限定はしないが、少なくとも１つのコンピュータプロセッサ、少なくとも１つのコンピュータ可読メモリ、少なくとも１つのネットワークインターフェース、またはそれらの組合せを含み得る。少なくとも１つの外部サーバ１０は、少なくとも１つのリンク８を介して、少なくとも１つの中央サーバ９、少なくとも１つのアプリケーション６、少なくとも１つの端末７、少なくとも１つのオーナアプリケーションまたはコントローラアプリケーション１１、少なくとも１つの自律車両３、またはそれらの組合せに接続するか、またはそれらと通信することができる。少なくとも１つの外部サーバ１０は、少なくとも１つのデータベースを含むか、または少なくとも１つのデータベースに接続することができる。少なくとも１つの外部サーバ１０は、ハードウェア及び／またはソフトウェアを、単独で、または組み合わせて、包含することができる。
【０８０４】
少なくとも１つのオーナアプリケーションまたはコントローラアプリケーション１１は、例えば、少なくとも１つのリンク８を介して、限定はしないが、少なくとも１つの中央サーバ９、少なくとも１つの外部サーバ１０、少なくとも１つの自律車両３、少なくとも１つのアプリケーション６、またはそれらの組合せと通信するのに適したソフトウェアであり得る。少なくとも１つのオーナアプリケーションまたはコントローラアプリケーション１１は、例えば、少なくとも１つの好ましい搬送サービス要求１７、好ましいと識別することができる少なくとも１つの自律車両３、またはそれらの組合せを確保または取得するための少なくとも１つの操作または少なくとも１つの機能を容易にすることができる少なくとも１つのソフトウェアであり得る。少なくとも１つのオーナアプリケーションまたはコントローラアプリケーション１１は、少なくとも１つの自律車両の少なくとも１つのオーナまたは少なくとも１つのコントローラ４によって、少なくとも１つの好ましい搬送サービス要求１７を識別するために使用することができる少なくとも１つの選択された選好１９を入力または提供するために使用することができる。少なくとも１つのオーナアプリケーションまたはコントローラアプリケーション１１は、少なくとも１つの好ましい搬送サービス要求１７の分析、評価、確保、取得、受諾、または拒否に使用することができる。少なくとも１つのオーナアプリケーションまたはコントローラアプリケーション１１は、受諾されるかまたは拒否される少なくとも１つの好ましい搬送サービス要求１７を表示することができる。少なくとも１つのオーナアプリケーションまたはコントローラアプリケーション１１は、少なくとも１つの確保または取得された好ましい搬送サービス要求１７を表示することができる。
【０８０５】
少なくとも１つの視覚的表現１２は、少なくとも１つの代理人２が、例えば少なくとも１つの地理的マップ上で、少なくとも１つの搬送サービス要求１５または少なくとも１つの搬送サービス要求メトリックを分析または評価して、少なくとも１つの好ましい搬送サービス要求１７を確保または取得するのを手助けするために使用される少なくとも１つのツールであり得る。少なくとも１つの視覚的表現１２は、少なくとも１つの自律車両３内または自律車両３上に表示することができる。少なくとも１つの視覚的表現１２は、限定はしないが、少なくとも１つの視点、少なくとも１つの基準点、少なくとも１つの関心点、またはそれらの組み合わせから見ることができる。
【０８０６】
全体的または部分的に自動化された少なくとも１つの代理人自動化プラットフォーム１３は、例えば、少なくとも１つの代理人選好１８、および、好ましくは、少なくとも１つの代理人２の少なくとも１つのリアルタイムまたはほぼリアルタイムの地理的位置に関して、少なくとも１つの搬送サービス要求１５をリアルタイムまたはほぼリアルタイムで連続的にまたは繰り返し分析または評価して、少なくとも１つの代理人２のために少なくとも１つの好ましい搬送サービス要求１７を確保または取得することができる。少なくとも１つの代理人自動化プラットフォーム１３は、好ましくは、少なくとも１つの代理人２の少なくとも１つのリアルタイムまたはほぼリアルタイムの地理的位置が更新または変更されている間は、少なくとも１つの第１の好ましい搬送サービス要求１７が確保または取得された後に、少なくとも１つの後続のまたは追加の好ましい搬送サービス要求１７を確保または取得することができる。少なくとも１つの代理人自動化プラットフォーム１３は、少なくとも１つの搬送業界セグメントで活動する少なくとも１つのサービスプロバイダ５に関連する少なくとも１つの好ましい搬送サービス要求１７を確保または取得することができる。
【０８０７】
全体的または部分的に自動化された少なくとも１つの自律車両自動化プラットフォーム１４は、例えば、少なくとも１つの搬送サービス要求１５、少なくとも１つの自律車両３に関連する搬送データの全部または一部、またはそれらの組合せを、少なくとも１つの選択された選好１９、および、好ましくは、少なくとも１つの自律車両３の少なくとも１つのリアルタイムまたはほぼリアルタイムの地理的位置に関して、リアルタイムまたはほぼリアルタイムで連続的にまたは繰り返し分析または評価して、少なくとも１つの自律車両３、好ましいと識別することができる少なくとも１つの自律車両３、またはそれらの組合せのために、またはそれらを基準に、少なくとも１つの好ましい搬送サービス要求１７を確保または取得することができる。少なくとも１つの自律車両自動化プラットフォーム１４は、好ましくは、少なくとも１つの自律車両３の少なくとも１つのリアルタイムまたはほぼリアルタイムの地理的位置が更新または変更されている間は、少なくとも１つの第１の好ましい搬送サービス要求１７が確保または取得された後に、少なくとも１つの後続のまたは追加の好ましい搬送サービス要求１７を確保または取得することができる。少なくとも１つの自律車両自動化プラットフォーム１４は、少なくとも１つの搬送業界セグメントで活動する少なくとも１つのサービスプロバイダ５等に関連する少なくとも１つの好ましい搬送サービス要求１７を確保または取得することができる。
【０８０８】
少なくとも１つの搬送サービス要求１５は、例えば、少なくとも１つの地理的位置から少なくとも１つの他の地理的位置までの、限定はしないが、少なくとも１人の人、少なくとも１つの商品、少なくとも１つの物品、少なくとも１つのアイテム、少なくとも１つの搬送クライアント１、またはこれらの組み合わせの輸送の、少なくとも１つの要求であり得る。少なくとも１つの搬送サービス要求１５は、限定はしないが、少なくとも１つの搬送クライアント１からの少なくとも１つの要求であり得る。少なくとも１つの搬送サービス要求１５は、少なくとも１つの外部サーバ１０から供給または提供され得る。少なくとも１つの搬送サービス要求１５は、少なくとも１つのサービスプロバイダ５によって供給または提供され得る。少なくとも１つの搬送サービス要求１５は、リアルタイムまたはほぼリアルタイムで更新することができる。
【０８０９】
少なくとも１つのフィルタリングされた搬送サービス要求１６は、例えば、限定はしないが、少なくとも１つの代理人選好１８、少なくとも１つの代理人２の少なくとも１つのリアルタイムまたはほぼリアルタイムの地理的位置、またはそれらの組合せを使用することによってフィルタリングすることができる少なくとも１つの搬送サービス要求１５であり得る。少なくとも１つのフィルタリングされた搬送サービス要求１６は、限定はしないが、少なくとも１つの選択された選好１９、少なくとも１つの自律車両３の少なくとも１つのリアルタイムまたはほぼリアルタイムの地理的位置、またはそれらの組合せを使用することによってフィルタリングすることができる少なくとも１つの搬送サービス要求１５であり得る。少なくとも１つのフィルタリングされた搬送サービス要求１６は、リアルタイムまたはほぼリアルタイムで更新することができる。
【０８１０】
少なくとも１つの好ましい搬送サービス要求１７は、例えば、限定はしないが、少なくとも１つの代理人２、少なくとも１つの自律車両３、少なくとも１つの自律車両の少なくとも１つのオーナまたは少なくとも１つのコントローラ４、少なくとも１つの中央サーバ９、少なくとも１つのアプリケーション６、少なくとも１つのオーナアプリケーションまたはコントローラアプリケーション１１、またはそれらの組合せによって、好ましいと識別することができる少なくとも１つのフィルタリングされた搬送サービス要求１６であり得る。少なくとも１つの好ましい搬送サービス要求１７は、例えば、少なくとも１つの代理人選好１８または少なくとも１つの選択された選好１９を使用することによって、好ましいと識別することができる。少なくとも１つの好ましい搬送サービス要求１７は、リアルタイムまたはほぼリアルタイムで更新することができる。
【０８１１】
少なくとも１つの代理人選好１８は、限定はしないが、少なくとも１つの搬送サービス要求１５をフィルタリングし、好ましくは少なくとも１つの好ましい搬送サービス要求１７を識別するために使用することができる、少なくとも１つの代理人２によって選択または提供される少なくとも１つのオプションであり得る。少なくとも１つの代理人選好１８は、少なくとも１つの中央サーバ９、少なくとも１つの外部サーバ１０、少なくとも１つのアプリケーション６、またはそれらの組合せに格納またはキャッシュすることができる。少なくとも１つの代理人選好１８は、少なくとも１つの搬送サービス要求１５をフィルタリングするために包括的または排他的であり得る。
【０８１２】
少なくとも１つの選択された選好１９は、例えば、少なくとも１つの好ましい搬送サービス要求１７、好ましいと識別することができる少なくとも１つの自律車両３、またはこれらの組み合わせを確保または取得するための少なくとも１つの操作または少なくとも１つの機能を容易にするために使用することができる、少なくとも１つのルールまたは少なくとも１つのパラメータであり得る。少なくとも１つの選択された選好１９は、限定はしないが、少なくとも１つの搬送サービス要求１５をフィルタリングし、好ましくは少なくとも１つの好ましい搬送サービス要求１７を識別するために使用することができる、少なくとも１つの自律車両の少なくとも１つのオーナまたは少なくとも１つのコントローラ４等によって選択または提供される少なくとも１つのオプションであり得る。少なくとも１つの選択された選好１９は、少なくとも１つの中央サーバ９、少なくとも１つの外部サーバ１０、少なくとも１つのアプリケーション６、少なくとも１つのオーナアプリケーションまたはコントローラアプリケーション１１、またはそれらの組合せに格納またはキャッシュすることができる。少なくとも１つの選択された選好１９は、少なくとも１つの搬送サービス要求１５、少なくとも１つの自律車両３に関連する搬送データの全部または一部、またはそれらの組合せのフィルタリングのために包括的または排他的であり得る。
【０８１３】
例２：
この例は、特に図面およびその説明に記載されるように、少なくとも１つの代理人が利益を得ることができる、全体的にまたは部分的に自動化された本発明の例示的なシステムのいくつかの好ましい限定を目的としない態様、および本発明のシステムの例示的な使用方法を規定するものである。以下は、少なくとも１つの代理人自動化プラットフォームが少なくとも１つの代理人によって使用される限定を目的としない例である。参照数字は、図中のものを指す。以下は、好ましいが必須ではない順序の、例示的な方法のステップである。通常は、本発明の非限定的かつ例示的なシステムについては図１および図２を参照し、本発明の方法については図３を参照されたい。
【０８１４】
ステップ１：少なくとも１つの搬送サービス要求を、少なくとも１つのリンクを介して、少なくとも１つの外部サーバから少なくとも１つの中央サーバにリアルタイムまたはほぼリアルタイムで連続的に送信することができる。
ステップ２：少なくとも１つの中央サーバ上に少なくとも１回、少なくとも１つの搬送サービス要求の格納、標準化、集約、またはそれらの組合せを行うことができる。
ステップ３：少なくとも１つの代理人は、少なくとも１つのアプリケーションにアクセスするために少なくとも１つの端末を使用することができる。
ステップ４：少なくとも１人の代理人は認証を受けることができる。
ステップ５：少なくとも１つの代理人は、少なくとも１つのアプリケーションに少なくとも１つの代理人選好を入力または提供することができる。
ステップ６：少なくとも１つの代理人選好、および、好ましくは、少なくとも１つの代理人の少なくとも１つのリアルタイムまたはほぼリアルタイムの地理的位置を、少なくとも１つのリンクを介して少なくとも１つのアプリケーションから少なくとも１つの中央サーバに送信することができる。
ステップ７：少なくとも１つの中央サーバによって、少なくとも１つの代理人選好、および、好ましくは、少なくとも１つの代理人の少なくとも１つのリアルタイムまたはほぼリアルタイムの地理的位置を使用して、少なくとも１つの搬送サービス要求を少なくとも１つのフィルタリングされた搬送サービス要求にフィルタリングすることができる。
ステップ８：少なくとも１つのフィルタリングされた搬送サービス要求は、好ましくは、少なくとも１つの好ましい搬送サービス要求を識別するために、少なくとも１つの代理人選好の少なくとも１つの加重平均に関連する少なくとも１つの順序でソートすることができる。
ステップ９：少なくとも１つの好ましい搬送サービス要求は、少なくとも１つの中央サーバによって、少なくとも１つのフィルタリングされた搬送サービス要求から、最も高い加重平均を有する少なくとも１つのフィルタリングされた搬送サービス要求として識別することができる。
ステップ１０：少なくとも１つの好ましい搬送サービス要求を、少なくとも１つのリンクを介して、少なくとも１つの中央サーバから少なくとも１つのアプリケーションに送信することができる。
ステップ１１：少なくとも１つのアプリケーションは、例えば、限定はしないが、少なくとも１つの好ましい搬送サービス要求の価格および少なくとも１つのサービスプロバイダ等の詳細の少なくとも１つのポップアップを表示することができる。
ステップ１２：少なくとも１人の代理人は、例えば、少なくとも１つの好ましい搬送サービス要求を拒否することができる。
ステップ１３：少なくとも１つの中央サーバによって、少なくとも１つの新しいまたは異なる好ましい搬送サービス要求を、リアルタイムまたはほぼリアルタイムで識別することができる。
ステップ１４：少なくとも１つのアプリケーションは、例えば、限定はしないが、少なくとも１つの新しいまたは異なる好ましい搬送サービス要求の価格及び少なくとも１つのサービスプロバイダといった詳細の、少なくとも１つの新しいまたは異なるポップアップを表示することができる。
ステップ１５：少なくとも１人の代理人は、少なくとも１つの新しいまたは異なる好ましい搬送サービス要求を受諾することができる。
ステップ１６：少なくとも１つの中央サーバは、少なくとも１つの受諾された好ましい搬送サービス要求を確保または取得することができる。
ステップ１７：少なくとも１つの確保または取得された好ましい搬送サービス要求は、少なくとも１つのリンクを介して、少なくとも１つの中央サーバから少なくとも１つのアプリケーションに送信することができる。
ステップ１８：少なくとも１人の代理人は、少なくとも１つの確保または取得された好ましい搬送サービス要求に関連する少なくとも１つの搬送サービスを実行することができ、少なくとも１人の代理人の少なくとも１つのリアルタイムまたはほぼリアルタイムの地理的位置は更新または変更することができ、その間、少なくとも１つの代理人自動化プラットフォームは、少なくとも１つの搬送サービス要求をリアルタイムまたはほぼリアルタイムで連続的に分析または評価することができ、次いで、好ましくは、少なくとも１人の代理人によって停止されるまで、少なくとも１つの後続のまたは追加の好ましい搬送サービス要求を確保または取得することができる。
【０８１５】
この限定を目的としない例は、任意の商品またはサービスの搬送に適用することができるが、以下は、２つ以上の搬送業界セグメントにおける限定を目的としない例である。この限定を目的としない例では、代理人２はドライバであり得、搬送クライアント１は搬送サービスの乗客または受取人であり得、好ましい搬送サービス要求１７は、配達サービス要求、ライドサービス要求、及び食品配達サービス要求であり得る。
【０８１６】
この限定を目的としない例では、代理人２は、代理人自動化プラットフォーム１３を使用して、５つの好ましい搬送サービス要求１７を確保または取得することができる。代理人２は、代理人自動化プラットフォーム１３によって提供されるガイダンスに基づいて搬送サービスを提供することができる。個々の好ましい搬送サービス要求１７を確保または取得することができ、次いで、好ましくは、代理人自動化プラットフォーム１３によって適切に配列された任意の順序で完了させることができる。代理人自動化プラットフォーム１３は、好ましくは、代理人選好１８を適用して、好ましい搬送サービス要求１７のみを受諾することを可能にすることができる。中央サーバ９は、少なくとも１つのリンク８を介して、リアルタイムまたはほぼリアルタイムで、好ましくは２つ以上の外部サーバ１０から搬送サービス要求１５を連続的に受信することができ、リアルタイムまたはほぼリアルタイムで、搬送サービス要求１５を格納、標準化、集約およびフィルタリングすることができる。中央サーバ９は、好ましくは、フィルタリングされた搬送サービス要求１６をリアルタイムまたはほぼリアルタイムでソートするか、または別の技法を使用して、好ましい搬送サービス要求１７を識別することができる。代理人２は、例えば、端末７を使用してアプリケーション６にアクセスして、２つ以上の搬送業界セグメントの知識を得ることができる。
【０８１７】
アプリケーション６にログインすると、代理人２は、例えば、代理人選好１８をアプリケーション６に入力または提供することができるようになる。この限定を目的としない例では、代理人２は、２つの代理人選好１８、すなわち効率選好およびサービスプロバイダ５包含選好を入力または提供することができる。効率選好は、例えば、同時にまたは同じ旅程中に実行することができる、特定の地理的位置内の３つ以上の選好搬送サービス要求１７の選好であり得る。サービスプロバイダ５包含選好は、例えば、代理人２がアカウントを保持する３つの特定のサービスプロバイダ５を含む選好であり得る。
【０８１８】
例えば、中央サーバ９は、代理人２の２つの代理人選好１８に適合しないか、またはそれを満たさない搬送サービス要求１５を除外することができる。代理人選好１８の利点は、搬送サービスを提供する際に、限定はしないが、より高い収益性、より高い効率、より適切な搬送サービス要求１５、またはそれらの組み合わせ等の基準を代理人２が一層多く満たすことを可能にできることであり得る。この例における２つの代理人選好１８、および、好ましくは、代理人２のリアルタイムまたはほぼリアルタイムの地理的位置を、少なくとも１つのリンク８を介してアプリケーション６から中央サーバ９に送信することができる。
【０８１９】
中央サーバ９は、例えば、２つの代理人選好１８、および、好ましくは、代理人２のリアルタイムまたはほぼリアルタイムの地理的位置と比較することによって、搬送サービス要求１５をフィルタリングされた搬送サービス要求１６にフィルタリングすることができる。指定された２つの代理人選好１８に適合する搬送サービス要求１５は、フィルタリングされた搬送サービス要求１６として識別することができる。指定された２つの代理人選好１８に適合しない搬送サービス要求１５は、フィルタリングされた搬送サービス要求１６ではないものとして破棄または無視することができる。フィルタリングされた搬送サービス要求１６は、好ましい搬送サービス要求１７を識別するために、好ましくは、例えば、２つの代理人選好１８の加重平均によってソートすることができる。代理人選好１８は、加重平均を計算する際には、限定はしないが、効率選好が例えば７５％、サービスプロバイダ５包含選好が例えば２５％の、等しくない重みを有し得る。代理人２は、任意で、代理人選好１８が等しいまたは等しくない重みを有するように選択することができる。この限定を目的としない例では、代理人２は、特定のサービスプロバイダ５と働くよりも効率選好を好んできる。
【０８２０】
好ましくは、最も高い加重平均を有するフィルタリングされた搬送サービス要求１６は、好ましい搬送サービス要求１７として識別することができる。例えば、中央サーバ９は、好ましくは、効率選好およびサービスプロバイダ５包含選好の最も高い加重平均を使用することによって、フィルタリングされた搬送サービス要求１６から好ましい搬送サービス要求１７を識別することができる。好ましくは、追加の搬送サービス要求１５は、中央サーバ９によって受信され、連続的にフィルタリングされて、追加のフィルタリングされた搬送サービス要求１６になり得る。好ましくは、追加のフィルタリングされた搬送サービス要求１６は、中央サーバ９によって、好ましい搬送サービス要求１７に分類することができる。
【０８２１】
対応する搬送データが関連付けられた好ましい搬送サービス要求１７は、少なくとも１つのリンク８を介して中央サーバ９からアプリケーション６に送信することができる。アプリケーション６は、例えば、限定はしないが、価格及び好ましい搬送サービス要求１７のサービスプロバイダ５等の詳細のポップアップを表示することができる。代理人２は、対応する搬送データを有する好ましい搬送サービス要求１７を分析または評価することができ、例えば、好ましい搬送サービス要求１７を拒否することができる。新しい好ましい搬送サービス要求１７は、中央サーバ９によって識別することができ、例えば、アプリケーション６上の別のポップアップを介して代理人２に表示することができる。好ましくは、代理人２は、新しい好ましい搬送サービス要求１７を受諾することができ、中央サーバ９は、代理人２のために、新しく受諾された好ましい搬送サービス要求１７を確保または取得することができる。確保または取得された好ましい搬送サービス要求１７は、少なくとも１つのリンク８を介して、中央サーバ９からアプリケーション６に送信することができる。
【０８２２】
少なくとも１つのアプリケーション６、少なくとも１つの中央サーバ９、少なくとも１つの外部サーバ１０、少なくとも１つの端末７、少なくとも１つのリンク８、またはそれらの組み合わせは、結合または統合することができる。代理人２は搬送サービスを実行することができ、代理人２のリアルタイムまたはほぼリアルタイムの地理的位置は更新または変更され、その間、代理人自動化プラットフォーム１３は、リアルタイムまたはほぼリアルタイムで搬送サービス要求１５を連続的に分析または評価することができ、次いで、好ましくは、代理人２によって停止されるまで、後続のまたは追加の好ましい搬送サービス要求１７を確保または取得することができる。
【０８２３】
この限定を目的としない例では、代理人自動化プラットフォーム１３は、最初に、代理人２によって受諾された商品配達業界セグメント内の個々の商品サプライヤに関連する３つの好ましい搬送サービス要求１７（サービス要求＃１、＃２、および＃３）を確保するか、または取得することができる。
【０８２４】
例えば、代理人２は、搬送サービスの実行を開始することができ、商品サプライヤから搬送する３つの商品配達物を全て受け取ることができる。サービス要求＃１、＃２、および＃３の完了前に、代理人自動化プラットフォーム１３は、例えば、ライドヘイル業界セグメントにおいて、好ましい搬送サービス要求１７（サービス要求＃４）を確保または取得することができる。
【０８２５】
好ましくは、代理人２は、サービス要求＃４を開始し、サービス開始地理的位置で搬送クライアント１をピックアップし、次いで、好ましくは、サービス終了地理的位置で搬送クライアント１を降ろしてサービス要求＃４を完了させることができる。サービス要求＃４の完了後、代理人自動化プラットフォーム１３は、例えば、食品配達業界セグメントにおいて、好ましい搬送サービス要求１７（サービス要求＃５）を確保または取得することができる。
【０８２６】
好ましくは、代理人２は、サービス要求＃５を開始し、商品サプライヤ地理的位置で要求された食品をピックアップし、次いで、好ましくは、サービス終了地理的位置で要求された食品を降ろしてサービス要求＃５を完了させることができる。サービス要求＃５の完了後、代理人自動化プラットフォーム１３は、例えば、代理人２にサービス要求＃１を完了させるように指示することができる。
【０８２７】
好ましくは、代理人２は、サービス終了地理的位置で配達物を降ろしてサービス要求＃１を完了させることができる。次に、代理人自動化プラットフォーム１３は、例えば、代理人２にサービス要求＃３を完了させるように指示することができる。好ましくは、代理人２は、サービス終了地理的位置で配達物を降ろしてサービス要求＃３を完了させることができる。最後に、代理人自動化プラットフォーム１３は、例えば、代理人２にサービス要求＃２を完了させるように指示することができる。好ましくは、代理人２は、サービス終了地理的位置で配達物を降ろしてサービス要求＃２を完了させることができる。次いで、代理人２は、例えば、代理人自動化プラットフォーム１３をオフにすることができる。
【０８２８】
例３：
この例は、特に図面およびその説明に記載されるように、少なくとも１つの自律車両の少なくとも１つのオーナまたは少なくとも１つのコントローラが利益を得ることができる、全体的にまたは部分的に自動化された本発明の例示的なシステムのいくつかの好ましい限定を目的としない態様、および本発明のシステムの例示的な使用方法を規定するものである。以下は、少なくとも１つの自律車両自動化プラットフォームが少なくとも１つの自律車両によって使用される限定を目的としない例である。参照数字は、図中のものを指す。以下は、好ましいが必須ではない順序の、例示的な方法のステップである。通常は、本発明の非限定的かつ例示的なシステムについては図４および図５を参照し、本発明の方法については図６および図８を参照されたい。
【０８２９】
ステップ１：少なくとも１つのリンクを介して、少なくとも１つの外部サーバから少なくとも１つの中央サーバに、リアルタイムまたはほぼリアルタイムで連続的に少なくとも１つの搬送サービス要求を送信することができる。
ステップ２：少なくとも１つの中央サーバ上で、少なくとも１回、少なくとも１つの搬送サービス要求の格納、標準化、集約、またはそれらの組合せを行うことができる。
ステップ３：少なくとも１つの自律車両の少なくとも１つのオーナまたは少なくとも１つのコントローラは、少なくとも１つの選択された選好を少なくとも１つのオーナアプリケーションまたはコントローラアプリケーションに入力または提供することができる。
ステップ４：少なくとも１つの自律車両は、少なくとも１つの端末を介して少なくとも１つのアプリケーションに接続することができる。
ステップ５：少なくとも１つの自律車両は認証を受けることができる。
ステップ６：少なくとも１つの選択された選好は、少なくとも１つのリンクを介して、少なくとも１つのオーナアプリケーションまたはコントローラアプリケーションから少なくとも１つの中央サーバに送信することができる。
ステップ７：好ましくは、少なくとも１つの自律車両の少なくとも１つのリアルタイムまたはほぼリアルタイムの地理的位置を、少なくとも１つのリンクを介して、少なくとも１つのアプリケーションから少なくとも１つの中央サーバに送信することができる。
ステップ８：少なくとも１つの搬送サービス要求は、少なくとも１つの中央サーバによって、少なくとも１つの選択された選好、および、好ましくは、少なくとも１つの自律車両の少なくとも１つのリアルタイムまたはほぼリアルタイムの地理的位置を使用して、少なくとも１つのフィルタリングされた搬送サービス要求にフィルタリングすることができる。
ステップ９：少なくとも１つのフィルタリングされた搬送サービス要求は、好ましくは、少なくとも１つの好ましい搬送サービス要求を識別するために、少なくとも１つの選択された選好の少なくとも１つの加重平均に関連する少なくとも１つの順序でソートすることができる。
ステップ１０：少なくとも１つの好ましい搬送サービス要求は、少なくとも１つの中央サーバによって、少なくとも１つのフィルタリングされた搬送サービス要求から、最も高い加重平均を有する少なくとも１つのフィルタリングされた搬送サービス要求として識別することができる。
ステップ１１：少なくとも１つの中央サーバは、少なくとも１つの好ましい搬送サービス要求を確保または取得することができる。
ステップ１２：少なくとも１つの確保または取得された好ましい搬送サービス要求は、少なくとも１つのリンクを介して、少なくとも１つの中央サーバから少なくとも１つのアプリケーションに送信することができる。
ステップ１３：少なくとも１つの自律車両は、少なくとも１つの確保または取得された好ましい搬送サービス要求に関連する少なくとも１つの搬送サービスを実行することができ、少なくとも１つの自律車両の少なくとも１つのリアルタイムまたはほぼリアルタイムの地理的位置が更新または変更され得、その間、少なくとも１つの自律車両自動化プラットフォームは、少なくとも１つの自律車両の少なくとも１つのオーナまたは少なくとも１つのコントローラによって停止されるまで、少なくとも１つの搬送サービス要求をリアルタイムまたはほぼリアルタイムで連続的に分析または評価することができ、次いで、好ましくは、少なくとも１つの後続のまたは追加の好ましい搬送サービス要求を確保または取得することができる。
【０８３０】
この限定を目的としない例は、任意の商品またはサービスの搬送に適用することができるが、以下は、２つ以上の搬送業界セグメントにおいて自律車両３のフリートを所有または制御する個々のサービスプロバイダ５の限定を目的としない例である。自律車両３のフリートは同様の方法で制御または操作することができるが、この限定を目的としない例では、サービスプロバイダ５によって制御または操作されている１つの自律車両３に焦点を当てている。この限定を目的としない例では、搬送クライアント１は、搬送サービスの乗客または受取人であり得、自律車両のオーナまたはコントローラ４はサービスプロバイダ５であり得、好ましい搬送サービス要求１７は、宅配便サービス要求、ライドサービス要求、および食品配達サービス要求であり得る。
【０８３１】
自律車両３は、自律車両自動化プラットフォーム１４によって提供されるガイダンスに基づいて搬送サービスを提供することができる。個々の好ましい搬送サービス要求１７を確保または取得することができ、次いで、好ましくは、自律車両自動化プラットフォーム１４によって適切に配列された任意の順序で完了させることができる。自律車両自動化プラットフォーム１４は、好ましくは、選択された選好１９を適用して、好ましい搬送サービス要求１７のみを受諾することを可能にすることができる。中央サーバ９は、例えば、少なくとも１つのリンク８を介して、１つの外部サーバ１０から、リアルタイムまたはほぼリアルタイムで搬送サービス要求１５を連続的に受信することができ、リアルタイムまたはほぼリアルタイムで搬送サービス要求１５を格納、標準化、集約およびフィルタリングすることができる。中央サーバ９は、好ましくは、フィルタリングされた搬送サービス要求１６をリアルタイムまたはほぼリアルタイムでソートするか、または別の技法を使用して、好ましい搬送サービス要求１７を識別することができる。少なくとも１つのアプリケーション６、少なくとも１つのオーナアプリケーションまたはコントローラアプリケーション１１、少なくとも１つの中央サーバ９、少なくとも１つの外部サーバ１０、少なくとも１つの端末７、少なくとも１つのリンク８、またはそれらの組合せは、結合または統合することができる。
【０８３２】
自律車両のオーナまたはコントローラ４は、例えば、選択された選好１９をオーナアプリケーションまたはコントローラアプリケーション１１に入力または提供することができる。この限定を目的としない例では、自律車両のオーナまたはコントローラ４は、業界セグメント選好および地理的位置選好という２つの選択された選好１９を入力または提供することができる。業界セグメント選好は、例えば、自律車両３が、宅配便業界セグメント、ライドヘイル搬送業界セグメント、および食品配達業界セグメントにおいて搬送サービスを提供することができることであり得る。地理的位置選好は、例えば、自律車両３が、特定の象限または地理的エリアにおいて搬送サービスを提供することができることであり得る。サービスプロバイダ５は、自律車両３が都市または場所のどこにわたって搬送サービスを提供することができるかを制御することができる。例えば、中央サーバ９は、自律車両のオーナまたはコントローラ４の選択された選好１９の基準に適合しないか、またはそれを満たさない搬送サービス要求１５を除外することができる。
【０８３３】
選択された選好１９の利点は、搬送サービスを提供する際に、限定はしないが、より高い収益性、より高い効率、より多くの搬送サービスの提供、より適切な搬送サービス要求１５、またはそれらの組合せ等のそれらの基準を自律車両のオーナまたはコントローラ４がより良好に満たすことを可能にすることであり得る。この例における２つの選択された選好１９は、少なくとも１つのリンク８を介して、オーナアプリケーションまたはコントローラアプリケーション１１から中央サーバ９に送信することができる。好ましくは、自律車両３のリアルタイムまたはほぼリアルタイムの地理的位置を、少なくとも１つのリンク８を介して、アプリケーション６から中央サーバ９に送信することができる。
【０８３４】
中央サーバ９は、自律車両３に関連付けられた端末７上のアプリケーション６を使用することによって、自律車両３と通信することができる。自律車両３は、端末７を介してアプリケーション６に接続することができ、認証を受けることができる。
【０８３５】
中央サーバ９は、例えば、２つの選択された選好１９、および、好ましくは、自律車両３のリアルタイムまたはほぼリアルタイムの地理的位置と比較することによって、搬送サービス要求１５をフィルタリングされた搬送サービス要求１６にフィルタリングすることができる。指定された２つの選択された選好１９に適合する搬送サービス要求１５は、フィルタリングされた搬送サービス要求１６として識別することができる。指定された２つの選択された選好１９に適合しない搬送サービス要求１５は、フィルタリングされた搬送サービス要求１６でないとして破棄または無視することができる。フィルタリングされた搬送サービス要求１６は、好ましくは、好ましい搬送サービス要求１７を識別するために、例えば、２つの選択された選好１９の加重平均によってソートすることができる。自律車両のオーナまたはコントローラ４は、選択された選好１９が等しいまたは等しくない重みを有するように任意で選択することができる。選択された選好１９は、加重平均を計算する際には、限定はしないが、例えば、５０％という等しい重みを有し得る。
【０８３６】
自律車両のオーナまたはコントローラ４によって選択された選択された選好１９には、任意で、例えば、限定はしないが、７０％および３０％という等しくない重みを与えることができる。この限定を目的としない特定の例では、自律車両のオーナまたはコントローラ４によって、業界セグメント選好に７０％の重みを与え、ライドヘイル業界、宅配便業界、および食品配達業界を含むように業界セグメント選好を設定することができる。ライドヘイル業界、宅配便業界、または食品配達業界におけるフィルタリングされた搬送サービス要求１６には、中央サーバ９によって、１０点満点中１０点のスコアを割り当てることができる。ライドヘイル業界、宅配便業界、または食品配達業界ではないフィルタリングされた搬送サービス要求１６には、中央サーバ９によって、１０点満点中０点のスコアを割り当てることができる。自律車両のオーナまたはコントローラ４によって、地理的位置選好に３０％の重みを与え、自律車両３のリアルタイムまたはほぼリアルタイムの地理的位置から５マイルのエリアまたは範囲内にあるフィルタリングされた搬送サービス要求１６を含むように地理的位置選好を設定することができる。自律車両３のリアルタイムまたはほぼリアルタイムの地理的位置から１マイル以内にあるフィルタリングされた搬送サービス要求１６には、中央サーバ９によって、１０点満点中１０点のスコアを割り当てることができる。自律車両３のリアルタイムまたはほぼリアルタイムの地理的位置から２マイル以内にあるフィルタリングされた搬送サービス要求１６には、中央サーバ９によって、１０点満点中８点のスコアを割り当てることができる。自律車両３のリアルタイムまたはほぼリアルタイムの地理的位置から３マイル以内にあるフィルタリングされた搬送サービス要求１６には、中央サーバ９によって、１０点満点中６点のスコアを割り当てることができる。自律車両３のリアルタイムまたはほぼリアルタイムの地理的位置から４マイル以内にあるフィルタリングされた搬送サービス要求１６には、中央サーバ９によって、１０点満点中４点のスコアを割り当てることができる。自律車両３のリアルタイムまたはほぼリアルタイムの地理的位置から５マイル以内にあるフィルタリングされた搬送サービス要求１６には、中央サーバ９によって、１０点満点中２点のスコアを割り当てることができる。自律車両３のリアルタイムまたはほぼリアルタイムの地理的位置から５マイル以上離れているフィルタリングされた搬送サービス要求１６には、中央サーバ９によって、１０点満点中０点のスコアを割り当てることができる。例えば、ライドヘイル業界における、自律車両３のリアルタイムまたはほぼリアルタイムの地理的位置から３マイル以内にあるフィルタリングされた搬送サービス要求１６は、中央サーバ９によって、業界セグメント選好および地理的位置選好に基づいて、加重平均が（１０の７０％）と（６の３０％）を足し合わせて８．８であるものと計算または判断することができる。８．８というこの例において最も高い加重平均を有するフィルタリングされた搬送サービス要求１６は、これより低い加重平均を有する他のフィルタリングされた搬送サービス要求１６と比較して、好ましい搬送サービス要求１７であると識別することができる。
【０８３７】
好ましくは、最も高い加重平均を有するフィルタリングされた搬送サービス要求１６は、好ましい搬送サービス要求１７として識別することができる。例えば、中央サーバ９は、好ましくは、業界セグメント選好及び地理的位置選好の最高加重平均を使用することによって、フィルタリングされた搬送サービス要求１６から好ましい搬送サービス要求１７を識別することができる。好ましくは、追加の搬送サービス要求１５は、中央サーバ９によって受信され、連続的にフィルタリングされて、追加のフィルタリングされた搬送サービス要求１６になり得る。好ましくは、追加のフィルタリングされた搬送サービス要求１６は、中央サーバ９によって、適切なときに、好ましい搬送サービス要求１７に分類することができる。
【０８３８】
中央サーバ９は、自律車両３のために、好ましい搬送サービス要求１７を確保または取得することができる。確保または取得された好ましい搬送サービス要求１７は、少なくとも１つのリンク８を介して、中央サーバ９から自律車両３内のアプリケーション６に送信することができる。
【０８３９】
自律車両３は搬送サービスを実行することができ、自律車両３のリアルタイムまたはほぼリアルタイムの地理的位置が更新または変更され得、その間、自律車両自動化プラットフォーム１４は、自律車両のオーナまたはコントローラ４によって停止されるまで、搬送サービス要求１５をリアルタイムまたはほぼリアルタイムで連続的に分析または評価することができ、次いで、好ましくは、後続のまたは追加の好ましい搬送サービス要求１７を確保または取得することができる。
【０８４０】
この限定を目的としない例では、自律車両自動化プラットフォーム１４は、例えば、３つの好ましい搬送サービス要求１７を確保または取得するために、自律車両３によって使用され得る。好ましくは、自律車両３は、自律車両自動化プラットフォーム１４によって提供されるガイダンスに基づいて、搬送サービスを実行または提供することができる。個々の好ましい搬送サービス要求１７を確保または取得することができ、次いで、好ましくは、自律車両自動化プラットフォーム１４によって適切に配列された任意の順序で完了させることができる。この限定を目的としない例では、自律車両自動化プラットフォーム１４は、最初に、宅配便業界セグメントにおける好ましい搬送サービス要求１７（サービス要求＃１）を受諾することができる。
【０８４１】
例えば、自律車両３は、搬送サービスを開始することができ、搬送すべきパッケージをピックアップすることができる。パッケージは、自律車両３内に配置することができる。サービス要求＃１の完了前に、自律車両自動化プラットフォーム１４は、例えば、ライドヘイル業界セグメントにおいて、追加の好ましい搬送サービス要求１７（サービス要求＃２）を確保または取得することができる。
【０８４２】
好ましくは、自律車両３は、サービス要求＃２を開始し、サービス開始地理的位置で搬送クライアント１をピックアップし、次いで、好ましくは、サービス終了地理的位置で搬送クライアント１を降ろしてサービス要求＃２を完了させることができる。サービス要求＃２の完了後、自律車両自動化プラットフォーム１４は、例えば、食品配達業界において、追加の好ましい搬送サービス要求１７（サービス要求＃３）を確保または取得することができる。
【０８４３】
好ましくは、自律車両３は、サービス要求＃３を開始することができ、配達すべき食品を、商品サプライヤの地理的位置において自律車両３内に配置することができる。自律車両３は、例えば、サービス終了地理的位置で食品配達物を降ろしてサービス要求＃３を完了させることができる。サービス要求＃３の完了後、自律車両自動化プラットフォーム１４は、例えば、自律車両３にサービス要求＃１を完了させるように指示することができる。自律車両３は、例えば、サービス終了地理的位置でパッケージを降ろしてサービス要求＃１を完了させることができる。次に、自律車両のオーナまたはコントローラ４は、例えば、自律車両自動化プラットフォーム１４をオフにすることができる。
【０８４４】
例４：
この例は、特に図面およびその説明に記載されるように、少なくとも１つの代理人が利益を得ることができる、全体的にまたは部分的に自動化された本発明の例示的なシステムのいくつかの好ましい限定を目的としない態様、および本発明のシステムの例示的な使用方法を規定するものである。以下は、少なくとも１つの代理人自動化プラットフォームが少なくとも１つの代理人によって使用される限定を目的としない例である。参照数字は、図中のものを指す。以下は、好ましいが必須ではない順序の、例示的な方法のステップである。通常は、本発明の非限定的かつ例示的なシステムおよび方法の両方について、図７を参照されたい。
【０８４５】
この限定を目的としない例は、搬送サービス要求１５がどのようにしてフィルタリングされた搬送サービス要求１６になり、次いで好ましい搬送サービス要求１７になることができるかを示すことができる。この限定を目的としない例では、代理人２はドライバであり得、搬送クライアント１は搬送サービスの乗客または受取人であり得、好ましい搬送サービス要求１７はライドサービス要求であり得る。この限定を目的としない例では、代理人２は、代理人自動化プラットフォーム１３を使用して、好ましい搬送サービス要求１７を確保または取得することができる。
【０８４６】
中央サーバ９は、搬送サービス要求１５を、外部サーバ１０から、リアルタイムまたはほぼリアルタイムで連続的または繰り返し受信することができる。中央サーバ９は、任意の順序で、搬送サービス要求１５の格納、標準化、集約、またはそれらの組合せを行うことができる。代理人２は、２つの代理人選好１８、代理人のリアルタイムまたはほぼリアルタイムの地理的位置、またはそれらの組合せを中央サーバ９に入力または提供することができる。
【０８４７】
中央サーバ９は、搬送サービス要求１５を、代理人２のリアルタイムまたはほぼリアルタイムの地理的位置と比較し、１０マイルの範囲より遠い搬送サービス要求１５を破棄または無視することができる。１０マイルの範囲内にあり且つ業界セグメント選好にも適合するかまたはそれを満たす搬送サービス要求１５のサブセットを、フィルタリングされた搬送サービス要求１６として識別することができる。
【０８４８】
この限定を目的としない特定の例では、代理人２によって、業界セグメント選好に４０％の重みを与え、ライドヘイル業界セグメントのみを含むように業界セグメント選好を設定することができる。ライドヘイル業界セグメントにおけるフィルタリングされた搬送サービス要求１６には、中央サーバ９によって、１０点満点中１０点のスコアを割り当てることができる。ライドヘイル業界セグメントにないフィルタリングされた搬送サービス要求１６には、中央サーバ９によって、１０点満点中０点のスコアを割り当てることができる。
【０８４９】
代理人２によって、価格設定選好に６０％の重みを与え、実行される搬送サービス当たり少なくとも１０．００ドルの収益があるフィルタリングされた搬送サービス要求１６を含むように価格設定選好を設定することができる。
【０８５０】
収益が１０．００ドル未満のフィルタリングされた搬送サービス要求１６には、中央サーバ９によって、１０点満点中０点のスコアを割り当てることができる。収益が１０．００〜１４．９９ドルの価格設定であるフィルタリングされた搬送サービス要求１６には、中央サーバ９によって、１０点満点中４点のスコアを割り当てることができる。収益が１５．００〜１９．９９ドルの価格設定であるフィルタリングされた搬送サービス要求１６には、中央サーバ９によって、１０点満点中７点のスコアを割り当てることができる。収益が２０ドル以上の価格設定であるフィルタリングされた搬送サービス要求１６には、中央サーバ９によって、１０点満点中１０点のスコアを割り当てることができる。
【０８５１】
例えば、価格設定が１７．００ドルである、ライドヘイル業界セグメントにおけるフィルタリングされた搬送サービス要求１６は、中央サーバ９によって、業界セグメント選好及び価格選好に基づいて、加重平均が（１０の４０％）と（７の６０％）を足し合わせて８．２であるものと計算または判断ることができる。フィルタリングされた搬送サービス要求１６は、好ましくは、この例においては８．２という加重平均に関連する昇順にソートすることができ、これより低い加重平均を有する他のフィルタリングされた搬送サービス要求１６と比較して、好ましい搬送サービス要求１７であると識別することができる。
【０８５２】
代理人自動化プラットフォーム１３は、価格設定が１７．００ドルである、ライドヘイル業界セグメントにおける好ましい搬送サービス要求１７を確保または取得することができる。代理人２は搬送サービスを実行することができ、代理人２のリアルタイムまたはほぼリアルタイムの地理的位置が更新または変更され得、その間、代理人自動化プラットフォーム１３は、代理人２によって停止されるまで、搬送サービス要求１５をリアルタイムまたはほぼリアルタイムで連続的に分析または評価することができ、次いで、好ましくは、後続のまたは追加の好ましい搬送サービス要求１７を確保または取得することができる。中央サーバ９または少なくとも１つの外部サーバ１０の少なくとも１つの機能は、アプリケーション６によって実行することができる。
【０８５３】
少なくとも１つの自律車両３に関連する搬送データの全部または一部は、少なくとも１つの搬送サービス要求１５を少なくとも１つの好ましい搬送サービス要求１７にフィルタリングし識別するためのプロセスと同じ少なくとも１つのプロセスまたは同様の少なくとも１つのプロセスによって、フィルタリングすることができ、好ましいと識別することができる。少なくとも１つのアプリケーション６、少なくとも１つの中央サーバ９、少なくとも１つの外部サーバ１０、少なくとも１つの端末７、少なくとも１つのリンク、またはそれらの組み合わせは、結合または統合することができる。
【０８５４】
例５：
この例は、特に図面およびその説明に記載されるように、少なくとも１つの自律車両の少なくとも１つのオーナまたは少なくとも１つのコントローラが利益を得ることができる、全体的にまたは部分的に自動化された本発明の例示的なシステムのいくつかの好ましい限定を目的としない態様、および本発明のシステムの例示的な使用方法を規定するものである。以下は、少なくとも１つの自律車両自動化プラットフォームが少なくとも１つの自律車両によって使用される限定を目的としない例である。参照数字は、図中のものを指す。以下は、好ましいが必須ではない順序の、例示的な方法のステップである。通常は、本発明の非限定的かつ例示的なシステムおよび方法の両方について、図５および図７を参照されたい。
【０８５５】
この限定を目的としない例は、搬送サービス要求１５がどのようにしてフィルタリングされた搬送サービス要求１６になり、次いで好ましい搬送サービス要求１７になることができるかを示すことができる。この限定を目的としない例は、任意の商品またはサービスの搬送に適用することができるが、以下は、食品配達業界セグメントにおける限定を目的としない例である。この限定を目的としない例では、搬送クライアント１は食品を注文することができる人であり得、自律車両３は搬送サービスを実行することができ、自律車両のオーナまたはコントローラ４は自律車両３の個人のオーナであり得、好ましい搬送サービス要求１７は食品配達サービス要求であり得る。
【０８５６】
中央サーバ９は、外部サーバ１０から、搬送サービス要求１５を、リアルタイムまたはほぼリアルタイムで連続的にまたは繰り返し受信することができ、郵便番号に従って搬送サービス要求１５を事前に分類することができる。中央サーバ９は、任意の順序で、搬送サービス要求１５の格納、標準化、集約、またはそれらの組合せを行うことができる。自律車両のオーナまたはコントローラ４は、１つの選択された選好１９を中央サーバ９に入力または提供することができる。自律車両３のリアルタイムまたはほぼリアルタイムの地理的位置は、少なくとも１つのリンク８を介して、アプリケーション６から中央サーバ９に送信することができる。
【０８５７】
中央サーバ９は、予め分類された搬送サービス要求１５を自律車両３のリアルタイムまたはほぼリアルタイムの地理的位置と比較し、自律車両３の郵便番号エリア以外の異なる郵便番号エリアにある搬送サービス要求１５を破棄または無視することができる。自律車両３の郵便番号エリア内の搬送サービス要求１５のサブセットであって、推定到着時間選好にも適合するか、またはそれも満たすサブセットは、フィルタリングされた搬送サービス要求１６として識別することができる。
【０８５８】
この限定を目的としない特定の例では、自律車両のオーナまたはコントローラ４によって、推定到着時間選好に１００％の重みを与え、推定到着時間選好を自律車両３から２０分未満に設定することができる。推定到着時間が２０分を超えるフィルタリングされた搬送サービス要求１６には、中央サーバ９によって、１０点満点中１０点のスコアを割り当てることができる。推定到着時間が２０分以下のフィルタリングされた搬送サービス要求１６には、中央サーバ９によって、１分当たり０．５点のスコアを割り当てることができる。例えば、推定到着時間が１４分のフィルタリングされた搬送サービス要求１６には、１０点満点中７点のスコアを割り当てることができ、推定到着時間が６分のフィルタリングされた搬送サービス要求１６には、１０点満点中３点のスコアを割り当てることができる。
【０８５９】
例えば、食品配達業界セグメントにおける、推定到着時間が４分のフィルタリングされた搬送サービス要求１６は、中央サーバ９によって、推定到着時間選好に基づいて、加重平均が（２の１００％）、すなわち２であるものと計算または判断することができる。最小関数を利用して、より高い加重平均を有する他のフィルタリングされた搬送サービス要求１６と比較して最も低い加重平均を有するフィルタリングされた搬送サービス要求１６を、好ましい搬送サービス要求１７として識別することができる。
【０８６０】
少なくとも１つのアプリケーション６、少なくとも１つのオーナアプリケーションまたはコントローラアプリケーション１１、少なくとも１つの中央サーバ９、少なくとも１つの外部サーバ１０、少なくとも１つの端末７、少なくとも１つのリンク、少なくとも１つの自律車両３、またはそれらの組合せは、結合または統合することができる。
【０８６１】
例６：
この例は、少なくとも１つの自律車両の少なくとも１つのオーナまたは少なくとも１つのコントローラ４またはフリートマネージャが利益を得ることができる、全体的にまたは部分的に自動化された本発明の例示的なシステムのいくつかの好ましい限定を目的としない態様、および本発明のシステムの例示的な使用方法を規定するものである。参照数字は、図中のものを指す。以下は、好ましいが必須ではない順序の、例示的な方法のステップである。通常は、本発明の非限定的かつ例示的なシステムおよび方法の両方について、図４、５、９、１０、１１、および１２を参照されたい。
【０８６２】
この限定を目的としない例は、任意の商品またはサービスの搬送に適用することができるが、以下は、少なくとも１つの搬送業界セグメントにおいて自律車両３のフリートを所有または制御する個々のフリートマネージャの限定を目的としない例である。この限定を目的としない例では、搬送サービスを受信するのに長く待機する搬送クライアント１がないようにフリートマネージャを手助けすることに焦点を当てている。この限定を目的としない例では、自律車両自動化プラットフォームは、３つの自律車両３Ａ、３Ｂ、および３Ｃのフリートを制御または操作して、すべてのまたはほとんどの搬送サービス要求１５を実行するかまたはサービスを提供するために、自律車両のオーナまたはコントローラ４またはフリートマネージャによって使用され得る。この限定を目的としない例では、搬送クライアント１Ａ、１Ｂ、および１Ｃは搬送サービスの乗客または受取人であり得、自律車両のオーナまたはコントローラ４はフリートマネージャであり得、搬送サービス要求１５Ａ、１５Ｂ、および１５Ｃはそれぞれ搬送クライアント１Ａ、１Ｂ、および１Ｃに対応し、好ましい搬送サービス要求１７Ｃは最も古い未処理のライドサービス要求であり得る。この限定を目的としない例では、自律車両のオーナまたはコントローラ４またはフリートマネージャは、良好な消費者感情を維持するために、自律車両自動化プラットフォームを利用して、最も古い未処理の搬送サービス要求１５Ｃを、自律車両３によってできるだけ早く満たされるかまたは実行される必要がある、好ましい搬送サービス要求１７Ｃとして識別することができる。
【０８６３】
自律車両３は、自律車両自動化プラットフォームにより提供されるガイダンスに基づいて搬送サービスを提供することができる。自律車両自動化プラットフォームは、フリート性能を最適化することができ、効率的な方法で自律車両３Ａ、３Ｂ、および３Ｃのフリートを制御または操作することができ、良好な消費者感情を維持することができる。この限定を目的としない例では、自律車両のオーナまたはコントローラ４またはフリートマネージャは、選択された選好１９を使用して、好ましいと識別することができる自律車両３Ｂのために、またはそれを基準に、最も古い未処理のライド要求として好ましい搬送サービス要求１７Ｃを識別することができる。この限定を目的としない例では、自律車両自動化プラットフォームは、最も古い未処理の搬送サービス要求１５Ｃを、好ましい搬送サービス要求１７Ｃとして選抜または識別することができる。少なくとも１つのアプリケーション６、少なくとも１つのオーナアプリケーションまたはコントローラアプリケーション１１、少なくとも１つの中央サーバ９、少なくとも１つの外部サーバ１０、少なくとも１つの端末７、少なくとも１つのリンク８、少なくとも１つの自律車両３、またはそれらの組合せは、結合または統合することができる。
【０８６４】
中央サーバ９は、対応する搬送データを有する搬送サービス要求１５Ａ、１５Ｂ、および１５Ｃ、対応する搬送データを有する自律車両３Ａ、３Ｂ、および３Ｃのフリート、自律車両３Ａ、３Ｂ、および３Ｃのフリートのリアルタイムまたはほぼリアルタイムの地理的位置、またはそれらの組合せを、少なくとも１つのリンク８を介して、リアルタイムまたはほぼリアルタイムで、例えば２つの外部サーバ１０から受信することができる。自律車両３Ａ、３Ｂ、および３Ｃのフリートのリアルタイムまたはほぼリアルタイムの地理的位置は、任意で、少なくとも１つのアプリケーション６から、外部サーバ１０を介して、少なくとも１つのリンク８を介して中央サーバ９に送信することができる。中央サーバ９は、リアルタイムまたはほぼリアルタイムで、搬送サービス要求１５Ａ、１５Ｂ、および１５Ｃ、自律車両３Ａ、３Ｂ、および３Ｃのフリートに対応する搬送データ、自律車両３Ａ、３Ｂ、および３Ｃのフリートのリアルタイムまたはほぼリアルタイムの地理的位置、またはそれらの組合せの格納、標準化、集約、またはそれらの組合せを行うことができる。搬送サービス要求１５Ａ、１５Ｂ、および１５Ｃは、外部サーバ１０から送信または送信することができ、中央サーバ９上で受信することができる。中央サーバ９は、少なくとも１つのデータベースに搬送サービス要求１５Ａ、１５Ｂ、および１５Ｃを格納することができ、第１のデータベーステーブルに搬送サービス要求１５を編成することができる。この限定を目的としない例では、搬送サービス要求１５の全部または一部を、正確なまたは特定の作成タイムスタンプとともに第１のデータベーステーブルに格納することができる。中央サーバ９は、自律車両３Ａ、３Ｂ、および３Ｃのフリート、自律車両３Ａ、３Ｂ、および３Ｃのフリートのリアルタイムまたはほぼリアルタイムの地理的位置、またはそれらの組合せに対応する搬送データを、第２のデータベーステーブルの少なくとも１つのデータベースに格納し、編成し、分析することができる。
【０８６５】
限定を目的としない例として、自律車両のオーナまたはコントローラ４またはフリートマネージャは、ウェブサイトであるオーナアプリケーションまたはコントローラアプリケーション１１に、選択された選好１９を入力または提供することができる。この限定を目的としない例における選択された選好１９は、少なくとも１つのリンク８を介して、ウェブサイトであるオーナアプリケーションまたはコントローラアプリケーション１１から中央サーバ９に送信することができる。この限定を目的としない例では、自律車両のオーナまたはコントローラ４またはフリートマネージャは、合計３つの選択された選好１９を入力または提供することができ、少なくとも１つの選択された選好１９を各データベーステーブルに適用することができる。この限定を目的としない例では、３つの選択された選好１９は、業界セグメント選好、距離選好、および最も古い未処理要求選好であり得る。この限定を目的としない例では、業界セグメント選好はライドヘイル業界セグメントであり得、距離選好は１マイルの範囲内の自律車両３を識別することができ、最も古い未処理要求選好は正確なまたは特定の作成タイムスタンプに基づいて最も古い未処理の搬送サービス要求１５を識別することができる。自律車両のオーナまたはコントローラ４またはフリートマネージャは、好ましい搬送サービス要求１７、好ましいと識別することができる自律車両３、またはそれらの組合せをフィルタリングし識別する際に、３つの選択された選好１９の任意の組合せを利用することができる。
【０８６６】
データベースクエリを実行した結果、少なくとも１つの中央サーバ９によって、第１のデータベーステーブルに編成された搬送サービス要求１５Ａ、１５Ｂ、および１５Ｃを、フィルタリングされた搬送サービス要求１６Ａおよび１６Ｃの少なくとも１つの結果セットにフィルタリングすることができる。この限定を目的としない動作では、業界セグメント選好、例えば、ライドヘイル業界セグメント選好を適用することができる。ライドヘイル搬送サービス要求である搬送サービス要求１５Ａおよび１５Ｃは、選択された選好１９に適合するかまたはそれを満たすことができ、フィルタリングされた搬送サービス要求１６Ａおよび１６Ｃになることができる。搬送サービス要求１５Ｂは、食品配達サービス要求であり得、選択された選好１９に適合しないかまたはそれを満たさず、その結果、破棄され得る。最も古い未処理要求選好を適用することによって、中央サーバ９は、フィルタリングされた搬送サービス要求１６Ａおよび１６Ｃを昇順または降順にソートして、最も古い作成タイムスタンプまたは作成日を識別することができ、その結果、フィルタリングされた搬送サービス要求１６Ｃを、好ましい搬送サービス要求１７Ｃとして識別することができる。データベースクエリを実行した結果、第２のデータベーステーブルに編成された自律車両３Ａ、３Ｂ、および３Ｃのフリートに関連する搬送データの全部または一部を、少なくとも１つの中央サーバ９によって、自律車両３Ａおよび３Ｂに関連するフィルタリングされた搬送データの全部または一部の少なくとも１つの結果セットにフィルタリングすることができる。この限定を目的としない動作では、例えば、好ましい搬送サービス要求１７Ｃから１マイル未満の距離選好を適用することができる。好ましい搬送サービス要求１７Ｃから１マイルの範囲内に位置する自律車両３Ａおよび３Ｂを表す自律車両３Ａおよび３Ｂのフリートに関連する搬送データの全部または一部は、選択された選好１９に適合するかまたはそれを満たすことができ、自律車両３Ａおよび３Ｂのフリートに関連するフィルタリングされた搬送データの全部または一部になることができる。好ましい搬送サービス要求１７Ｃから１マイルよりも遠くに位置し得る自律車両３Ｃを表す自律車両３Ｃに関連する搬送データの全部または一部は、選択された選好１９に適合せず、またはそれを満たさず、その結果、破棄され得る。
【０８６７】
中央サーバ９は、残った自律車両３Ａおよび３Ｂのフリートに関連するフィルタリングされた搬送データの全部または一部を、好ましい搬送サービス要求１７Ｃからの物理的距離に従ってソートすることによって、自律車両３Ｂに関連する好ましい搬送データの全部または一部、または好ましい搬送サービス要求１７Ｃから最も近い物理的距離内にあるものとして好ましいと識別することができる自律車両３Ｂに関連する好ましい搬送データの全部または一部を識別することができる。
【０８６８】
好ましい搬送サービス要求１７Ｃと、好ましいと識別することができる自律車両３Ｂとの間のマッチングを識別した後、フリートマネージャは、自律車両３Ｂのために、またはそれを基準に、好ましい搬送サービス要求１７Ｃを自動的に確保または取得することができ、自律車両３Ａ、３Ｂ、および３Ｃのフリートの効率および性能を改善することができる、自律車両自動化プラットフォームを利用することができる。この限定を目的としない例では、フリートマネージャは、可能な限り速やかにサービスを提供するかまたは実行されるよう、最も古い未処理の搬送サービス要求１５Ｃを、好ましい搬送サービス要求１７Ｃとして識別することができ、また、好ましいと識別することができる自律車両３Ｂのために、またはそれを基準に、確保または取得することができるため、良好な消費者感情を維持することができる。
【０８６９】
例７：
この例は、少なくとも１つの自律車両の少なくとも１つのオーナまたは少なくとも１つのコントローラ４または少なくとも１つのフリートマネージャが利益を得ることができる、全体的にまたは部分的に自動化された本発明の例示的なシステムのいくつかの好ましい限定を目的としない態様、および本発明のシステムの例示的な使用方法を規定するものである。参照数字は、図中のものを指す。以下は、好ましいが必須ではない順序の、例示的な方法のステップである。通常は、本発明の非限定的かつ例示的なシステムおよび方法の両方については、図４、５、９、１０、１１、および１２を参照されたい。
【０８７０】
この限定を目的としない例は、任意の商品またはサービスの搬送に適用することができるが、以下は、少なくとも１つの自律車両自動化プラットフォームをフリートマネージャが使用して、２つ以上の搬送業界セグメントにおいて自律車両３のフリートを制御または操作することができる限定を目的としない例である。この限定を目的としない例では、フリートマネージャによって制御または操作されているフリート内の２つの自律車両３Ａおよび３Ｂに焦点を当てている。この限定を目的としない例では、自律車両３Ａはライドヘイル業界セグメントで活動し、自律車両３Ｂは同じフリートマネージャまたは同じ自律車両のオーナまたはコントローラ４によって操作または制御することができる食品配達業界セグメントで活動する。この限定を目的としない例では、搬送クライアント１は、搬送サービスの乗客または受取人であり得、自律車両のオーナまたはコントローラ４はフリートマネージャであり得、好ましい搬送サービス要求１７Ａおよび１７Ｂはそれぞれライドサービス要求および食品配達サービス要求であり得る。この限定を目的としない例では、自律車両自動化プラットフォームは、最初にライドヘイル業界セグメントにおいて最も性能が低い自律車両３Ａのための好ましい搬送サービス要求１７Ａを識別して確保または取得することができ、次に、食品配達業界セグメントにおいて最も性能が低い自律車両３Ｂのための好ましい搬送サービス要求１７Ｂを識別して確保または取得することができる。
【０８７１】
自律車両自動化プラットフォームは、効率的な方法で自律車両３のフリートを制御または操作することによって、フリート性能を最適化することができる。自律車両自動化プラットフォームは、少なくとも１つの単一の自律車両３の視点、少なくとも１つのフリートの視点、少なくとも１つの独立したサードパーティの視点、またはそれらの組合せから自律車両３を管理または制御することができる。自律車両自動化プラットフォームは、不十分な動作性能のためにパフォーマンスが低い少なくとも１つの自律車両３を、監視して選抜または指摘することができる。この限定を目的としない例では、自律車両のオーナまたはコントローラ４またはフリートマネージャは、必要に応じて、自律車両３の選択された選好１９の度合いを強めて、パフォーマンスが低い自律車両３のための好ましい搬送サービス要求１７が確保または取得される可能性を高めることができる。少なくとも１つのアプリケーション６、少なくとも１つのオーナアプリケーションまたはコントローラアプリケーション１１、少なくとも１つの中央サーバ９、少なくとも１つの外部サーバ１０、少なくとも１つの端末７、少なくとも１つのリンク８、少なくとも１つの自律車両３、またはそれらの組合せは、結合または統合することができる。
【０８７２】
中央サーバ９は、対応する搬送データを有する搬送サービス要求１５、対応する搬送データを有する自律車両３のフリート、自律車両３のフリートのリアルタイムまたはほぼリアルタイムの地理的位置、またはそれらの組合せを、少なくとも１つのリンク８を介して、例えば１つの外部サーバ１０から、リアルタイムまたはほぼリアルタイムで連続的に受信することができる。中央サーバ９は、搬送サービス要求１５、自律車両３のフリートに対応する搬送データ、自律車両３のフリートのリアルタイムまたはほぼリアルタイムの地理的位置、またはそれらの組合せを、リアルタイムまたはほぼリアルタイムで格納、標準化、集約、およびフィルタリングすることができる。好ましくは、自律車両３のフリートのリアルタイムまたはほぼリアルタイムの地理的位置は、少なくとも１つのリンク８を介して、外部サーバ１０上のＡＰＩから中央サーバ９に送信することができる。
【０８７３】
中央サーバ９は、データベース内の対応する搬送データを有する自律車両３のフリートを分類または事前に分類することができる。中央サーバ９は、データベース内の対応する搬送データを有する搬送サービス要求１５を分類または事前に分類することができる。この限定を目的としない例では、中央サーバ９は、好ましくは、自律車両３のフリートのリアルタイムまたはほぼリアルタイムの地理的位置に基づいて、データベース内の対応する搬送データを有する自律車両３のフリートを分類または事前に分類することができる。この限定を目的としない特定の例では、ライドヘイル業界セグメントで活動する、対応する搬送データを有する自律車両３Ａは、第１のデータベーステーブルに分類することができ、食品配達業界セグメントで活動する、対応する搬送データを有する自律車両３Ｂは、第２のデータベーステーブルに分類することができる。この限定を目的としない特定の例では、すべての業界セグメントからの搬送サービス要求１５は、第３のデータベーステーブルに分類または事前に分類することができる。
【０８７４】
フリートマネージャは、少なくとも１つのリンク８を介して中央サーバ９または自律車両自動化プラットフォームと通信するかまたはそれらに送信することができる少なくとも１つの選択された選好１９を、コンピュータアプリケーションであるオーナアプリケーションまたはコントローラアプリケーション１１に入力または提供することができる。フリートマネージャは、最長空き時間選好およびライドヘイル業界セグメント選好という２つの選択された選好１９を使用または適用して、好ましいと識別することができる自律車両３Ａをフィルタリングし識別することができる。フリートマネージャは、地理的位置選好または最短移動時間選好という選択された選好１９も使用または適用して、好ましい搬送サービス要求１７Ａをフィルタリングし識別することができる。この限定を目的としない例では、自律車両のオーナまたはコントローラ４またはフリートマネージャは、複数の選択された選好１９を入力または提供することができ、少なくとも１つの選択された選好１９を各データベースに適用することができる。この限定を目的としない例では、自律車両自動化プラットフォームは、ライドヘイル業界セグメント内のどの自律車両３が、搬送サービスを実行することなく最も長い時間待機しているかを発見することができる。
【０８７５】
少なくとも１つのデータベースクエリを実行した結果、少なくとも１つの中央サーバ９によって、第１のデータベーステーブルに編成された自律車両３のフリートに関連する搬送データの全部または一部を、自律車両３のフリートに関連するフィルタリングされた搬送データの全部または一部の少なくとも１つの結果セットにフィルタリングすることができる。ライドヘイル業界セグメントにおいて搬送サービスを実行する自律車両３のフリートに関連する搬送データの全部または一部は、選択された選好１９に適合するかまたはそれを満たすことができ、自律車両３のフリートに関連するフィルタリングされた搬送データの全部または一部になることができる。自律車両３のフリートに関連するフィルタリングされた搬送データの全部または一部は、アイドル時間によってソートすることができ、搬送サービスを実行せずに最も長い時間待機している自律車両３を、好ましいと識別することができる自律車両３Ａとして識別することができる。ライドヘイル業界では働かないまたは活動しない自律車両３は破棄または無視することができ、その結果、好ましいと識別することができる自律車両３Ａになることができない。中央サーバ９またはフリートマネージャは、２つの選択された選好１９、および、好ましくは、自律車両３のフリートのリアルタイムまたはほぼリアルタイムの地理的位置を満たさないまたはそれらに適合しない自律車両３を除外することができる。限定を目的としない例として、自律車両３Ｃが、車両要件制約のために冷蔵貨物業界セグメントのみで働くかまたは活動する場合、自律車両３Ｃは、少なくとも１つのデータベース結果セットから除外され得る。
【０８７６】
地理的位置選好に基づいて少なくとも１つのデータベースクエリを実行した結果、第３のデータベーステーブルに編成された搬送サービス要求１５は、好ましいと識別することができる自律車両３Ａからの地理的近接度または移動時間によってフィルタリングし、好ましくはソートすることができる。少なくとも１つの選択された選好１９に適合しない搬送サービス要求１５は、破棄または無視することができる。好ましいと識別することができる自律車両３Ａへの最短の移動時間を有するフィルタリングされた搬送サービス要求１６は、自律車両自動化プラットフォームまたは中央サーバ９によって、好ましい搬送サービス要求１７Ａとして識別することができる。好ましい搬送サービス要求１７Ａは、好ましいと識別することができる自律車両３Ａのために、またはそれを基準に、確保または取得することができる。
【０８７７】
フリートマネージャは、少なくとも１つのリンク８を介して中央サーバ９または自律車両自動化プラットフォームと通信するかまたはそれらに送信することができる少なくとも１つの選択された選好１９を、コンピュータアプリケーションであるオーナアプリケーションまたはコントローラアプリケーション１１に入力または提供することができる。フリートマネージャは、最長アイドル時間選好および食品配達業界セグメント選好という２つの選択された選好１９を使用または適用して、好ましいと識別することができる自律車両３Ｂをフィルタリングし識別することができる。フリートマネージャは、地理的位置選好または最短移動時間選好という少なくとも１つの選択された選好１９も使用または適用して、好ましい搬送サービス要求１７Ｂをフィルタリングし識別することができる。この限定を目的としない例では、自律車両のオーナまたはコントローラ４またはフリートマネージャは、複数の選択された選好１９を入力または提供することができ、少なくとも１つの選択された選好１９を各データベースに適用することができる。この限定を目的としない例では、自律車両自動化プラットフォームは、食品配達業界セグメント内のどの自律車両３が、搬送サービスを実行することなく最も長い時間待機しているかを発見することができる。
【０８７８】
少なくとも１つのデータベースクエリを実行した結果、少なくとも１つの中央サーバ９によって、第２のデータベーステーブルに編成された自律車両３のフリートに関連する搬送データの全部または一部を、自律車両３のフリートに関連するフィルタリングされた搬送データの全部または一部の少なくとも１つの結果セットにフィルタリングすることができる。食品配達業界セグメントにおいて搬送サービスを実行する自律車両３のフリートに関連する搬送データの全部または一部は、少なくとも１つの選択された選好１９に適合するかまたはそれらを満たすことができ、自律車両３のフリートに関連するフィルタリングされた搬送データの全部または一部になることができる。自律車両３のフリートに関連するフィルタリングされた搬送データの全部または一部は、アイドル時間によってソートすることができ、搬送サービスを実行せずに最も長い時間待機している自律車両３を、好ましいと識別することができる自律車両３Ｂとして識別することができる。中央サーバ９またはフリートマネージャは、２つの選択された選好１９、および、好ましくは、自律車両３のフリートのリアルタイムまたはほぼリアルタイムの地理的位置を満たさないかまたは適合しない自律車両３を除外することができる。食品配達業界で働かないかまたは活動しない自律車両３は、破棄または無視することができ、好ましいと識別することができる自律車両３Ｂにはなることができない。限定を目的としない例として、自律車両３Ｄが、車両要件の制約のために生体有害貨物業界のみで働くかまたは活動する場合、自律車両３Ｄは、少なくとも１つのデータベース結果セットから除外することができる。
【０８７９】
地理的位置選好に基づいて少なくとも１つのデータベースクエリを実行した結果、第３のデータベーステーブルに編成された搬送サービス要求１５は、好ましいと識別することができる自律車両３Ｂからの地理的近接度または移動時間によってフィルタリングし、好ましくはソートすることができる。少なくとも１つの選択された選好１９に適合しない搬送サービス要求１５は、破棄または無視することができる。好ましいと識別することができる自律車両３Ｂに最も近い地理的近接度を有するフィルタリングされた搬送サービス要求１６は、自律車両自動化プラットフォームまたは中央サーバ９によって、好ましい搬送サービス要求１７Ｂとして識別することができる。好ましい搬送サービス要求１７Ｂは、好ましいと識別できる自動運転車３Ｂのために、またはそれを基準に、確保または取得することができる。
【０８８０】
自律車両３Ａおよび３Ｂは両方とも搬送サービスを実行することができ、自律車両３Ａおよび３Ｂのリアルタイムまたはほぼリアルタイムの地理的位置は更新または変更され得、その間、自律車両自動化プラットフォームは、自律車両のオーナまたはコントローラ４またはフリートマネージャによって停止されるまで、搬送サービス要求１５、自律車両３のフリート、自律車両３のフリートに対応する搬送データ、またはそれらの組合せをリアルタイムまたはほぼリアルタイムで連続的に分析または評価し、次いで、好ましくは、好ましいと識別することができる自律車両３Ａおよび３Ｂのために、またはそれらを基準に、後続のまたは追加の好ましい搬送サービス要求１７を確保または取得することができる。この限定を目的としない例では、対応する搬送データが関連付けられた自律車両３のフリートをフィルタリングすることができ、自律車両３Ａおよび３Ｂを、搬送サービス要求１５を好ましい搬送サービス要求１７にフィルタリングし識別するためのプロセスと同じまたは同様のプロセスで、好ましいものとして識別することができる。
【０８８１】
例８：
この例は、自律車両のオーナまたはコントローラ４、フリートマネージャ、商品サプライヤ、サービスプロバイダ５、ロジスティクスプロバイダ、ロジスティクスサプライヤ、またはそれらの組合せが利益を得ることができる、全体的にまたは部分的に自動化された本発明の例示的なシステムのいくつかの好ましい限定を目的としない態様、および本発明のシステムの例示的な使用方法を規定するものである。参照数字は、図中のものを指す。以下は、好ましいが必須ではない順序の、例示的な方法のステップである。以下は、自律車両自動化プラットフォームのために、またはそれとともに実施することができる、サービスプロバイダ５に関連する少なくとも５つの異なるシナリオを示す。通常は、本発明の非限定的かつ例示的なシステムおよび方法の両方について、図４、５、９、１０、１１、および１２を参照されたい。
【０８８２】
図１０に単実線で示すように、搬送サービス要求１５Ａは、搬送クライアント１によって、サービスプロバイダ５Ａに関連付けられた外部サーバ１０Ａに提出された、ライドヘイル要求であり得る。図１０に円形の点線で示すように、搬送サービス要求１５Ｂは、搬送クライアント１によって、サービスプロバイダ５Ｂに関連付けられた外部サーバ１０Ｂに提出された、ライドヘイル要求であり得る。図１０に二重実線で示すように、搬送サービス要求１５Ｃは、サービスプロバイダ５Ｃに関連付けられた２つの外部サーバ１０Ｃから来た、食品配達要求およびライドヘイル要求であり得る。図１０に長方形の点線で示すように、搬送サービス要求１５Ｄは、２つの搬送クライアント１によって、サービスプロバイダ５Ｄまたは商品サプライヤに関連付けられた１つの外部サーバ１０Ｄに提出された、宅配便配達要求および商品配達要求であり得る。図１０に示すサービスプロバイダ５Ｅまたはフリートマネージャに関連付けられた外部サーバ１０Ｅに提出された搬送サービス要求１５はない。
【０８８３】
異なるサービスプロバイダ５を識別するために、個々のサービスプロバイダ５は、対応する文字Ａ、Ｂ、Ｃ、Ｄ、およびＥで表示することができる。個々のサービスプロバイダ５は、任意で、少なくとも１つのオーナアプリケーションまたはコントローラアプリケーション１１を有するか、または利用することができる。個々のサービスプロバイダ５Ａ、５Ｂ、５Ｃ、および５Ｄは、例えば、直接または間接の接続線を表す少なくとも１つの異なるまたは固有の線で表示することができる。サービスプロバイダ５Ｅまたはフリートマネージャは、別のサービスプロバイダ５Ｃのための自律車両３のフリートを管理または操作することができ、これは、サービスプロバイダ５Ｃと同じ二重実線によって表現され、表示される。
【０８８４】
各サービスプロバイダ５は、中央サーバ９に接続された少なくとも１つの外部サーバ１０を利用することができる。この限定を目的としない例では、人物およびブリーフケースのアイコンまたはビジュアルで表現されたライドヘイル要求は、対応する搬送データが関連付けられた搬送サービス要求１５Ａと特徴付けることができ、サービスプロバイダ５Ａに関連付けることができる１つの外部サーバ１０Ａ上で、または１つの外部サーバ１０Ａにおいて、受信、管理、操作、またはそれらの組合せを行うことができる。この限定を目的としない例では、サービスプロバイダ５Ａは、中央サーバ９に接続された１つの外部サーバ１０Ａを利用して対応する搬送データが関連付けられた搬送サービス要求１５Ａを管理し、中央サーバ９に接続された別のまたは別個の外部サーバ１０Ａを利用して、自律車両３Ａ、自律車両３Ａに関連する搬送データ、自律車両３Ａのリアルタイムまたはほぼリアルタイムの地理的位置、またはそれらの組合せを管理または制御することができる。この限定を目的としない例では、サービスプロバイダ５Ａは、オンデマンドサービスプロバイダ５Ａネットワークを管理し、ライドヘイル要求の需要のために、またはそれを基準に、自律車両３Ａの供給をマッチングさせることができる、中央サーバ９に接続された２つの異なる外部サーバ１０Ａを利用することができる。
【０８８５】
サービスプロバイダ５Ｂは、対応する搬送データが関連付けられた搬送サービス要求１５Ｂの受信、格納、標準化、集約、またはそれらの組合せを行うことができる中央サーバ９に接続された１つの外部サーバ１０Ｂに関連付けることができる。この限定を目的としない例では、人物およびブリーフケースのアイコンまたはビジュアルで表現されたライドヘイル要求は、対応する搬送データが関連付けられた搬送サービス要求１５Ｂと特徴付けることができ、中央サーバ９に接続された１つの外部サーバ１０Ｂ上で、または１つの外部サーバ１０Ｂにおいて受信、格納、管理等を行うことができる。この限定を目的としない例では、サービスプロバイダ５Ｂは、自律車両３Ｂ、自律車両３Ｂに関連する搬送データ、自律車両３Ｂのリアルタイムまたはほぼリアルタイムの地理的位置、またはそれらの組合せを管理または操作するために、中央サーバ９に接続された１つの外部サーバ１０Ｂを所有または制御しないが、中央サーバ９を介して、自律車両３Ｂへの直接の通信または自律車両３Ｂとの直接の通信を有する。
【０８８６】
中央サーバ９に接続された両方の外部サーバ１０Ｃは、少なくとも１つのデータベーステーブルを、対応する搬送データが関連付けられた搬送サービス要求１５Ｃの全部または一部を、事前分類、分類、格納、編成、またはそれらの組合せに利用することができる。この限定を目的としない例では、ピザボックスのアイコンまたはビジュアルで表現される食品配達要求は、対応する搬送データが関連付けられた搬送サービス要求１５Ｃと特徴付けることができ、中央サーバ９に接続された１つの外部サーバ１０Ｃにおいて受信、分類、格納、操作、編成等を行うことができる。この限定を目的としない例では、人物およびブリーフケースのアイコンまたはビジュアルで表現されるライドヘイル要求は、対応する搬送データが関連付けられた搬送サービス要求１５Ｃと特徴付けることができ、中央サーバ９に接続された別のまたは別個の外部サーバ１０Ｃ上で、または外部サーバ１０Ｃにおいて、受信、分類、格納、操作、編成等を行うことができる。この限定を目的としない例では、サービスプロバイダ５Ｃは、中央サーバ９に接続された２つの異なる外部サーバ１０Ｃまたは少なくとも２つの異なるデータベーステーブルを利用して、個々の搬送業界セグメントに基づいて搬送サービスの全部または一部を管理または制御することができる。この限定を目的としない例では、両方の外部サーバ１０Ｃ間の二重実線によって表現されているように、サービスプロバイダ５Ｃは、両方の外部サーバ１０Ｃが互いに直接通信するように構成することができる唯一のサービスプロバイダ５である。この限定を目的としない例では、サービスプロバイダ５Ｃは、１つの外部サーバ１０Ｃ、少なくとも１つの外部サーバ１０Ｃ、両方の外部サーバ１０Ｃ、少なくとも１つの中央サーバ９、またはそれらの組合せ上で、またはそれらにおいて、事前に分類、分類、格納、編成等することができる、少なくとも１つの選択された選好１９または対応する搬送データが関連付けられた搬送サービス要求１５Ｃの全部または一部を更新または変更することができる。
【０８８７】
サービスプロバイダ５Ｄまたは商品サプライヤは、対応する搬送データが関連付けられた搬送サービス要求１５Ｄの全部または一部、３つの自律車両３Ｄに関連する搬送データの全部または一部、３つの自律車両３Ｄのリアルタイムまたはほぼリアルタイムの地理的位置の全部または一部、またはそれらの組合せを保存、標準化、集約等することができる、中央サーバ９に接続された２つの外部サーバ１０Ｄと関連付けることができる。この限定を目的としない例では、ドキュメントのアイコンまたはビジュアルで表現される宅配便配達要求は、対応する搬送データが関連付けられた搬送サービス要求１５Ｄと特徴付けることができ、中央サーバ９に接続された１つの外部サーバ１０Ｄにおいて標準化、集約、編成、管理等を行うことができる。
【０８８８】
この限定を目的としない例では、パッケージのアイコンまたはビジュアルで表現される商品配達要求は、対応する配信データが関連付けられた搬送サービス要求１５Ｄと特徴付けることができ、中央サーバ９に接続された同じ外部サーバ１０Ｄ上で、またはそこにおいて、標準化、集約、編成、管理等を行うことができる。この限定を目的としない例では、サービスプロバイダ５Ｄまたは商品サプライヤは、中央サーバ９に接続された１つの外部サーバ１０Ｄまたは少なくとも１つのデータベーステーブルを利用して、２つの異なる搬送業界セグメントに基づいて搬送サービスの全部または一部を管理することができる。この限定を目的としない例では、サービスプロバイダ５Ｄまたは商品サプライヤは、中央サーバ９に接続された１つの外部サーバ１０Ｄまたは少なくとも１つのデータベーステーブルを利用して、対応する搬送データが関連付けられた搬送サービス要求１５Ｄの全部または一部を管理することができる。この限定を目的としない例では、サービスプロバイダ５Ｄまたは商品サプライヤは、中央サーバ９に接続された別のまたは別個の外部サーバ１０Ｄまたは少なくとも１つのデータベーステーブルを利用して、自律車両３Ｄの全部または一部、３つの自律車両３Ｄに関連する搬送データの全部または一部、３つの自律車両３Ｄのリアルタイムまたはほぼリアルタイムの地理的位置の全部または一部、またはそれらの組合せを管理することができる。この限定を目的としない例では、サービスプロバイダ５Ｄまたは商品サプライヤは、中央サーバ９に接続された２つの異なる外部サーバ１０Ｄを利用して、一方の外部サーバ１０Ｄが自律車両３Ｄの供給の全部または一部を容易にし、他方の外部サーバ１０Ｄが搬送サービスの需要の全部または一部を容易にするオンデマンド配達ネットワークを管理することができる。
【０８８９】
サービスプロバイダ５Ｅまたはフリートマネージャは、中央サーバ９に接続された２つの外部サーバ１０Ｃと関連付けることができるサービスプロバイダ５Ｃから直接または間接的に供給または提供され得る自律車両３Ｃに関連する搬送データ、自律車両３Ｃのリアルタイムまたはほぼリアルタイムの地理的位置、またはそれらの組み合わせの格納、事前の標準化、集約等を行うことができる中央サーバ９に接続された１つの外部サーバ１０Ｅと関連付けることができる。この限定を目的としない例では、サービスプロバイダ５Ｅまたはフリートマネージャは、中央サーバ９に接続された１つの外部サーバ１０Ｅを利用して、サービスプロバイダ５Ｃのためにのみ搬送サービスの全部または一部を実行することができる自律車両３Ｃを制御または操作することができる。
【０８９０】
この限定を目的としない例では、サービスプロバイダ５Ｅまたはフリートマネージャは、任意で、サービスプロバイダ５Ｃに関連付けることができる少なくとも１つの外部サーバ１０Ｃを、直接または中央サーバ９を用いて間接的に、管理または操作することができる。この限定を目的としない例では、人物およびブリーフケースのアイコンまたはビジュアルを用いて表現されるライドヘイル要求は、少なくとも１つの外部サーバ１０Ｃ、中央サーバ９、１つの外部サーバ１０Ｅ、またはそれらの組合せを介して、自律車両３Ｃのために、またはそれを基準に、マッチングさせ、好ましくは、自律車両３Ｃのために、またはそれを基準に、確保または取得することができる、対応する搬送データが関連付けられた搬送サービス要求１５Ｃと特徴付けることができる。
【０８９１】
この限定を目的としない例では、外部サーバ１０Ａ、１０Ｂ、１０Ｃ、１０Ｄ、および１０Ｅは、少なくとも１つのリンク８を介して中央サーバ９に接続することができる。各リンク８は、例えば、その中に含まれる個々のネットワーク参加者間の直接的または間接的な接続線を表す少なくとも１つの異なるまたは固有の線を用いて表示することができる。
【０８９２】
サービスプロバイダ５Ａは、ライドヘイル業界セグメントでしか活動することがでないため、ライドヘイル要求しか実行することができない。これは、サービスプロバイダ５Ａまたは外部サーバ１０Ａに関連付けられた他の搬送サービス要求１５がないことから明らかである。サービスプロバイダ５Ａは、搬送サービス要求１５Ａに関連する搬送サービスを実行するのに自律車両３Ａしか利用することができない自律車両自動化プラットフォームを採用することができる。この限定を目的としない例では、サービスプロバイダ５Ａは、１つの外部サーバ１０Ａに接続された中央サーバ９によって制御または操作される自律車両３Ａを所有することができ、他の外部サーバ１０Ａに接続された中央サーバ９によって制御または操作される搬送サービス要求１５Ａを所有することができる。
【０８９３】
この限定を目的としない例では、サービスプロバイダ５Ａは、任意で、少なくとも１つのリンク８を介して、中央サーバ９と少なくとも１つの外部サーバ１０Ａとの間に直接的または間接的な通信を有することができる。この限定を目的としない例では、サービスプロバイダ５Ａは、少なくとも１つのクローズドエンド型または個人のサービスプロバイダ５ネットワークを操作する際に、少なくとも１つの好ましいシステム、少なくとも１つの好ましい方法、またはそれらの組合せを示すことができる。しかしながら、サービスプロバイダ５は、サービスプロバイダ５Ｃのためにサービスプロバイダ５Ｅによって操作または制御されている自律車両３Ｃから明らかなように、他の自律車両３が搬送サービスを実行することを可能にするかまたは容易にすることができる自律車両自動化プラットフォームを利用することができる。
【０８９４】
サービスプロバイダ５Ｂは、ライドヘイル業界セグメントでしか活動することができないため、ライドヘイル要求しか提供することができない。これは、サービスプロバイダ５Ｂまたは外部サーバ１０Ｂに関連付けられた他の搬送サービス要求１５がないことが明らかである。この限定を目的としない例では、サービスプロバイダ５Ｂは、自律車両３Ｂを所有しているが、効率的な方法で搬送サービスを遂行し実行するための適切なソフトウェアまたはロジスティクスを有していないため、ロジスティクスプロバイダからのリソースを必要とする。この限定を目的としない例では、サービスプロバイダ５Ｅはロジスティクスプロバイダでもあり、有償でサービスプロバイダ５Ｅのロジスティクス機能へのアクセスを提供することができるため、サービスプロバイダ５Ｂは、サービスプロバイダ５Ｅまたはフリートマネージャからロジスティクスにアクセスして搬送サービスを実行することができる。この限定を目的としない例では、サービスプロバイダ５Ｂは、サービスプロバイダ５Ｅからロジスティクスを利用して搬送サービス要求１５Ｂに関連するライドヘイル要求を実行する自律車両自動化プラットフォームを採用することによって、サービスプロバイダ５Ｂに関連付けることができる自律車両３Ｂと直接契約するかまたはそれを直接使用することができる。この限定を目的としない例では、自律車両３Ｂは、追加の３Ｃおよび３Ｄを有する自律車両３Ｂで示され、図１０では自律車両３Ｂ／３Ｃ／３Ｄとして表示されているように、他のサービスプロバイダ５Ｃおよび５Ｄのネットワーク上で操作、制御、管理等が可能な自律車両３Ｂと表現することができる。
【０８９５】
サービスプロバイダ５Ｃは、ライドヘイル業界セグメントおよび食品配達業界セグメントの両方で活動することができるため、ライドヘイル要求および食品配達要求を実行することができる。これは、サービスプロバイダ５Ｃまたは両方の外部サーバ１０Ｃに関連付けられた他の搬送サービス要求１５がないことから明らかである。この限定を目的としない例では、サービスプロバイダ５Ｃは、好ましくは、個々の搬送業界セグメントに基づいて、２つの外部サーバ１０Ｃ上の対応する搬送データが関連付けられた搬送サービス要求１５Ｃの全部または一部、または中央サーバ９に関連付けられた少なくとも２つのデータベーステーブルを分類または事前に分類することができる唯一のサービスプロバイダ５であり、これによって、サービスプロバイダ５がハードウェアおよび／またはソフトウェアの両方を含む正しいインフラストラクチャを有する場合に効率を改善することができる。サービスプロバイダ５Ｃは、少なくとも１つの外部サーバ１０Ｃに関連付けられた少なくとも１つの中央サーバ９を介して自律車両３Ｃにアクセスし自律車両３Ｃを利用して、食品配達要求である搬送サービス要求１５Ｃに関連する搬送サービスを実行することができる。
【０８９６】
この限定を目的としない例では、サービスプロバイダ５Ｃは、自律車両自動化プラットフォームを採用してサービスプロバイダ５Ｃに関連付けることができる自律車両３Ｃを管理または操作することによって、搬送サービス要求１５Ｃに関連する食品配達要求を実行することができる。この限定を目的としない例では、サービスプロバイダ５Ｃは、サービスプロバイダ５Ｅのロジスティクスへのアクセスと引き換えに、自律車両３Ｃを所有して、外部サーバ１０Ｃに関連付けられたライドヘイル要求である搬送サービス要求１５Ｃとともに、サービスプロバイダ５Ｅまたはフリートマネージャに貸し出すことができる唯一のサービスプロバイダ５である。この限定を目的としない例では、サービスプロバイダ５Ｃは、少数の自律車両３に対して複数の搬送業界セグメントにある搬送サービス要求１５の数が多いことが原因で、効率的な方法で搬送サービスを満たしたり実行したりすることができないため、サービスプロバイダ５Ｅのロジスティクスを必要とする。その結果、サービスプロバイダ５Ｅまたはフリートマネージャは、自律車両自動化プラットフォームを利用して、サービスプロバイダ５Ｃのネットワークにアクセスし、そのネットワーク上で活動して、ライドヘイル要求に関連する搬送サービス要求１５Ｃを遂行または実行することができる。
【０８９７】
サービスプロバイダ５Ｄは、商品サプライヤととらえられるか、または呼ばれることもある。サービスプロバイダ５Ｄまたは商品サプライヤは、宅配便業界セグメントおよび商品配達業界セグメントの両方で活動することができるため、宅配便配達要求および商品配達要求を実行することができる。これは、サービスプロバイダ５Ｄまたは外部サーバ１０Ｄに関連付けられた他の搬送サービス要求１５がないことから明らかである。この限定を目的としない例では、サービスプロバイダ５Ｄまたは良品サプライヤは、中央サーバ９に接続された１つの外部サーバ１０Ｄまたは少なくとも１つのデータベーステーブル上で、対応する搬送データが関連付けられた搬送サービス要求１５Ｄの全部または一部の格納、標準化、集約、管理、またはそれらの組合せを行うことができる唯一のサービスプロバイダ５であり、搬送サービスは、２つの異なる搬送業界セグメントに関連している。この限定を目的としない例では、サービスプロバイダ５Ｄまたは商品サプライヤは、任意で、個々の搬送業界セグメントに関連する１つの外部サーバ１０Ｄに接続された中央サーバ９上の少なくとも２つのデータベーステーブルを利用することができる。
【０８９８】
サービスプロバイダ５Ｄまたは商品サプライヤは、直接または間接的に３つの自律車両３Ｄの全部または一部にアクセスし利用して、両方の搬送サービス要求１５Ｄに関連する搬送サービスを実行することができる。この限定を目的としない例では、サービスプロバイダ５Ｄまたは商品サプライヤは、２つの異なるタイプの自律車両３Ｄを制御または操作する唯一のサービスプロバイダ５である。この限定を目的としない例では、自律車両３Ｄは、両方の外部サーバ１０Ｄおよび中央サーバ９に接続することができ且つこれらを介して制御することができ、１つの外部サーバ１０Ｄ上で、または１つの外部サーバ１０Ｄにおいて、自律車両３Ｄ、自律車両３Ｄのリアルタイムまたはほぼリアルタイムの地理的位置、またはそれらの組合せに関連する搬送データの全部または一部と見なすことができる、自律トラックのアイコンまたはビジュアルで表現される。この限定を目的としない例では、自律車両３Ｄは、１つの外部サーバ１０Ｄおよび中央サーバ９に接続することができ且つこれらを介して制御することができ、中央サーバ９上で、自律車両３Ｄ、自律車両３Ｄのリアルタイムまたはほぼリアルタイムの地理的位置、またはそれらの組合せに関連する搬送データの全部または一部と見なすことができる、自律トラックのアイコンまたはビジュアルで表現される。
【０８９９】
この限定を目的としない例では、自律車両３Ｄは、１つの外部サーバ１０Ｄおよび中央サーバ９に接続することができ且つこれらを介して制御することができ、中央サーバ９上で、自律車両３Ｄ、自律車両３Ｄのリアルタイムまたはほぼリアルタイムの地理的位置、またはそれらの組合せに関連する搬送データの全部または一部と見なすことができる、自律車両３Ｄのアイコンまたはビジュアルで表現される。
【０９００】
この限定を目的としない例では、サービスプロバイダ５Ｄまたは商品サプライヤは、宅配便配達要求である搬送サービス要求１５Ｄに関連する搬送サービスを実行するために、自律車両自動化プラットフォームを採用して、両方の外部サーバ１０Ｄに接続された中央サーバ９を介して、トラックアイコンを有する自律車両３Ｄにアクセスし利用することができる。この限定を目的としない例では、サービスプロバイダ５Ｄまたは商品サプライヤは、商品配達要求である搬送サービス要求１５Ｄに関連する搬送サービスを実行するために、自律車両自動化プラットフォームを採用して、１つの外部サーバ１０Ｄに接続された中央サーバ９を介して、トラックアイコンを有する自律車両３Ｄにアクセスし利用することができる。この限定を目的としない例では、サービスプロバイダ５Ｄまたは商品サプライヤは、サービスプロバイダ５Ｄまたは商品サプライヤに自律車両３が過剰に供給されているかまたはサービスプロバイダ５Ｄまたは商品サプライヤへの搬送サービス要求１５が不足している場合に、自律車両自動化プラットフォームを採用して、少なくとも１つの外部サーバ１０Ｄに接続された中央サーバ９を介して、残りの自律車両３Ｄの時間を利用し、任意で貸して、搬送サービスを実行することができる。
【０９０１】
サービスプロバイダ５Ｅは、フリートマネージャととらえるか、または呼ぶこともでき、結果として、サービスプロバイダ５Ｅまたはフリートマネージャは、経時的に最適化された高効率の車両利用を有することになり、また、ロジスティクスプロバイダでもあるということになる。サービスプロバイダ５Ｅまたはフリートマネージャは、サービスプロバイダの５Ｃのネットワーク上で活動することから、ライドヘイル業界セグメントおよび食品配達業界セグメントの両方で活動することができるため、ライドヘイル要求を実行することができ、任意で食品配達要求を実行することができる。
【０９０２】
サービスプロバイダ５Ｅまたはフリートマネージャもロジスティクスプロバイダであり、サービスプロバイダ５Ｂに有料でロジスティクス機能を提供することができる。サービスプロバイダ５Ｅまたはロジスティクスプロバイダは、自律車両３Ｃを操作または制御して、サービスプロバイダ５Ｃのネットワーク上の、外部サーバ１０Ｃに関連付けられたライドヘイル要求である搬送サービス要求１５Ｃを実行することと引き換えに、サービスプロバイダ５Ｃにロジスティクス機能を提供することができる。この限定を目的としない例では、サービスプロバイダ５Ｅまたはフリートマネージャは、自律車両３または搬送サービス要求１５の搬送ネットワークを所有しておらず、自律車両自動化プラットフォームを採用して、サービスプロバイダ５Ｃのネットワークにアクセスし利用して、ライドヘイル要求に関連する搬送サービス要求１５Ｃを実行することができる。この限定を目的としない例では、サービスプロバイダ５Ｂおよびサービスプロバイダ５Ｃは、自律車両自動化プラットフォームを採用して、サービスプロバイダ５Ｅのロジスティクス機能にアクセスし利用して、搬送サービスを実行することができる。
【０９０３】
少なくとも１つのアプリケーション６、少なくとも１つのオーナアプリケーションまたはコントローラアプリケーション１１、少なくとも１つの中央サーバ９、少なくとも１つの外部サーバ１０、少なくとも１つの端末７、少なくとも１つのリンク、少なくとも１つの自律車両３、またはそれらの組合せは、結合または統合することができる。
【０９０４】
本出願および文献目録および添付書類において言及されている、特許文献および科学論文を含むすべての出版物は、個々の出版物を参照により別々に組み込んだのと同じ程度に、すべての目的のためにその全体が参照により組み込まれる。
【０９０５】
すべての見出しおよびタイトルは、読者の便宜のためのものであり、指定されない限り、見出しに続くテキストの意味を限定するために使用されるべきではない。また、単数形で示されている場合には、複数形も含まれ、複数形で示されている場合には、単数形も含まれる。
【図１】
2020530173.tif 000003
【図２】
2020530173.tif 000004
【図３】
2020530173.tif 000005
【図４】
2020530173.tif 000006
【図５】
2020530173.tif 000007
【図６】
2020530173.tif 000008
【図７】
2020530173.tif 000009
【図８】
2020530173.tif 000010
【図９】
2020530173.tif 000011
【図１０】
2020530173.tif 000012
【図１１】
2020530173.tif 000013
【図１２】
2020530173.tif 000014
【国際調査報告】
2020530173.tif 000015